(57)【要約】本発明は、核酸を切断および修飾するための新規の切断因子およびポリメラーゼを提供する。これらの切断因子およびポリメラーゼは、例えば、核酸配列および核酸配列の変異を検出し、特徴を調べる上で有用である。いくつかの態様においては、多様な酵素の５’ヌクレアーゼ活性を用いて、標的依存的な切断構造を切断し、それによって、特異的な核酸配列、または特異的な核酸配列変異が存在することが示される。【特許請求の範囲】
【請求項１】
酵素を含む組成物であって、該酵素が異種性の機能ドメインを有し、該異種性機能ドメインが、核酸切断アッセイ法において改変された機能性を提供する組成物。
【請求項２】
酵素が５’ヌクレアーゼを含む、請求項１記載の組成物。
【請求項３】
５’ヌクレアーゼが熱安定的５’ヌクレアーゼを含む、請求項２記載の組成物。
【請求項４】
酵素がポリメラーゼを含む、請求項１記載の組成物。
【請求項５】
ポリメラーゼの配列が天然のポリメラーゼ配列に対して変化しているため、天然のポリメラーゼよりも低いＤＮＡ合成活性を示す、請求項４記載の組成物。
【請求項６】
ポリメラーゼが熱安定的ポリメラーゼを含む、請求項４記載の組成物。
【請求項７】
熱安定的ポリメラーゼが、サーマス（Ｔｈｅｒｍｕｓ）種に由来するポリメラーゼを含む、請求項６記載の組成物。
【請求項８】
サーマス種が、サーマス・アクアティカス（Ｔｈｅｒｍｕｓ ａｑｕａｔｉｃｕｓ）、サーマス・フラバス（Ｔｈｅｒｍｕｓ ｆｌａｖｕｓ）、サーマス・サーモフィラス（Ｔｈｅｒｍｕｓ ｔｈｅｒｍｏｐｈｉｌｕｓ）、サーマス・フィリフォルミス（Ｔｈｅｒｍｕｓ ｆｉｌｉｆｏｒｍｕｓ）、およびサーマス・スコトダクタス（Ｔｈｅｒｍｕｓ ｓｃｏｔｏｄｕｃｔｕｓ）からなる群より選択される、請求項７記載の組成物。
【請求項９】
異種性機能ドメインが、核酸切断アッセイ法において、改良されたヌクレアーゼ活性を提供するアミノ酸配列を含む、請求項１記載の組成物。
【請求項１０】
異種性機能ドメインが、核酸切断アッセイ法において、改良された基質結合活性を提供するアミノ酸配列を含む、請求項１記載の組成物。
【請求項１１】
異種性機能ドメインが、核酸切断アッセイ法において、改良されたバックグラウンド特異性を提供するアミノ酸配列を含む、請求項１記載の組成物。
【請求項１２】
異種性機能ドメインが、ポリメラーゼのポリメラーゼドメイン由来のアミノ酸を２個またはそれ以上含む、請求項１記載の組成物。
【請求項１３】
２個またはそれ以上のアミノ酸のうち、少なくとも１個がポリメラーゼドメインのパーム（ｐａｌｍ）領域に由来するものである、請求項１２記載の組成物。
【請求項１４】
２個またはそれ以上のアミノ酸のうち、少なくとも１個がポリメラーゼドメインのサム（ｔｈｕｍｂ）領域に由来するものである、請求項１２記載の組成物。
【請求項１５】
ポリメラーゼが、サーマス・サーモフィラス（Ｔｈｅｒｍｕｓ ｔｈｅｒｍｏｐｈｉｌｕｓ）のポリメラーゼである、請求項１２記載の組成物。
【請求項１６】
ポリメラーゼドメイン由来の２個またはそれ以上のアミノ酸が、配列番号：１の３００〜６５０位のアミノ酸に由来する２個またはそれ以上のアミノ酸を含む、請求項１２記載の組成物。
【請求項１７】
酵素が、配列番号：２〜６８、３４１、３４６、３４８、３５１、３５３、３５９、３６５、３６７、３６９、３７４、３７６、３８０、３８４、３８８、３９２、３９６、４００、４０２、４０６、４０８、４１０、４１２、４１６、４１８、４２０、４２４、４２７、４２９、４３２、４３６、４４０、４４４、４４６、４４８、４５０、４５６、４６０、４６４、４６８、４７２、４７６、４８２、４８５、４８８、４９１、４９４、４９６、４９８、５００、５０２、５０６、５１０、５１４、５１８、５２２、５２６、５３０、５３４、５３８、５４２、５４４、５５０、５５３、５６０、５６４、５６６、５６８、５７２、５７４、５７６、５７８、５８０、５８２、５８４、５８６、５８８、および５９０からなる群より選択されるアミノ酸配列を含む、請求項１記載の組成物。
【請求項１８】
核酸切断アッセイ法が、少なくとも１個のＲＮＡ成分を含む基質のＤＮＡ部分の切断を含む、請求項１記載の組成物。
【請求項１９】
核酸切断アッセイ法が侵襲的（ｉｎｖａｓｉｖｅ）切断アッセイ法である、請求項１記載の組成物。
【請求項２０】
請求項１記載の酵素をコードする核酸を含む組成物。
【請求項２１】
核酸が、配列番号：６９〜１３５、３４０、３４５、３４７、３５０、３５２、３５８、３６４、３６６、３６８、３７３、３７５、３７９、３８３、３８７、３９１、３９５、３９９、４０１、４０５、４０７、４０９、４１１、４１５、４１７、４１９、４２３、４２６、４２８、４３１、４３５、４３９、４４３、４４５、４４７、４４９、４５２、４５４、４５５、４５９、４６３、４６７、４７１、４７５、４８１、４８４、４９５、４９７、４９９、５０１、５０５、５０９、５１３、５１７、５２１、５２５、５２９、５３３、５３７、５４１、５４３、５４９、５５２、５５９、５６３、５６５、５６７、５７１、５７３、５７５、５７７、５７９、５８１、５８３、５８５、５８７、および５８９からなる群より選択される、請求項２０記載の組成物。
【請求項２２】
請求項２０記載の核酸を含む発現ベクターを含む組成物。
【請求項２３】
請求項２２記載の発現ベクターを含む宿主細胞を含む組成物。
【請求項２４】
核酸切断アッセイ法において、改良された機能性をもつ改変酵素を産生する方法であって、
ａ）酵素および核酸被検基質を提供する工程、
ｂ）異種性機能ドメインを該酵素に導入して改変酵素を産生させる工程、
ｃ）該改変酵素を該核酸被検基質に接触させて切断産物を産生させる工程、および
ｄ）該切断産物を検出する工程
を含む方法。
【請求項２５】
異種性機能ドメインの導入工程が、該酵素の１個または複数のアミノ酸を変異させる工程を含む、請求項２４記載の方法。
【請求項２６】
異種性機能ドメインの酵素への導入工程が、タンパク質の機能ドメインを該酵素に付加する工程を含む、請求項２４記載の方法。
【請求項２７】
タンパク質の機能ドメインを酵素に付加する工程が、該タンパク質の該機能ドメインを付加する前に該酵素の配列の一部を除去する工程を含む、請求項２６記載の方法。
【請求項２８】
核酸被検基質が切断構造を含む、請求項２４記載の方法。
【請求項２９】
切断構造がＲＮＡ標的核酸を含む、請求項２８記載の方法。
【請求項３０】
切断構造が侵襲的切断構造を含む、請求項２８記載の方法。
【請求項３１】
酵素が５’ヌクレアーゼを含む、請求項２４記載の方法。
【請求項３２】
５’ヌクレアーゼが熱安定性５’ヌクレアーゼを含む、請求項３１記載の方法。
【請求項３３】
酵素がポリメラーゼを含む、請求項２４記載の方法。
【請求項３４】
ポリメラーゼの配列が天然のポリメラーゼ配列に対して変化しているため、天然のポリメラーゼよりも低いＤＮＡ合成活性を示す、請求項３３記載の方法。
【請求項３５】
ポリメラーゼが熱安定的ポリメラーゼを含む、請求項２４記載の方法。
【請求項３６】
熱安定的ポリメラーゼが、サーマス（Ｔｈｅｒｍｕｓ）種に由来するポリメラーゼを含む、請求項３５記載の方法。
【請求項３７】
サーマス種が、サーマス・アクアティカス、サーマス・フラバス、サーマス・サーモフィラス、サーマス・フィリフォルミス、およびサーマス・スコトダクタスからなる群より選択される、請求項３６記載の方法。
【請求項３８】
異種性機能ドメインが、核酸切断アッセイ法において、改良されたヌクレアーゼ活性を提供するアミノ酸配列を含む、請求項２４記載の方法。
【請求項３９】
異種性機能ドメインが、核酸切断アッセイ法において、改良された基質結合活性を提供するアミノ酸配列を含む、請求項２４記載の方法。
【請求項４０】
異種性機能ドメインが、核酸切断アッセイ法において、改良されたバックグラウンド特異性を提供するアミノ酸配列を含む、請求項２４記載の方法。
【請求項４１】
異種性機能ドメインが、ポリメラーゼのポリメラーゼドメイン由来の２個またはそれ以上のアミノ酸を含む、請求項２４記載の方法。
【請求項４２】
２個またはそれ以上のアミノ酸のうち、少なくとも１個がポリメラーゼドメインのパーム領域に由来するものである、請求項４１記載の方法。
【請求項４３】
２個またはそれ以上のアミノ酸のうち、少なくとも１個がポリメラーゼドメインのサム領域に由来するものである、請求項４１記載の方法。
【請求項４４】
ポリメラーゼドメインが、サーマス・サーモフィラスポリメラーゼのポリメラーゼドメインを含む、請求項４１記載の方法。
【請求項４５】
ポリメラーゼドメイン由来の２個またはそれ以上のアミノ酸が、配列番号：１の３００〜６５０位のアミノ酸に由来する２個またはそれ以上のアミノ酸を含む、請求項４１記載の方法。
【請求項４６】
酵素が、配列番号：２〜６８、３４１、３４６、３４８、３５１、３５３、３５９、３６５、３６７、３６９、３７４、３７６、３８０、３８４、３８８、３９２、３９６、４００、４０２、４０６、４０８、４１０、４１２、４１６、４１８、４２０、４２４、４２７、４２９、４３２、４３６、４４０、４４４、４４６、４４８、４５０、４５６、４６０、４６４、４６８、４７２、４７６、４８２、４８５、４８８、４９１、４９４、４９６、４９８、５００、５０２、５０６、５１０、５１４、５１８、５２２、５２６、５３０、５３４、５３８、５４２、５４４、５５０、５５３、５６０、５６４、５６６、５６８、５７２、５７４、５７６、５７８、５８０、５８２、５８４、５８６、５８８、および５９０からなる群より選択されるアミノ酸配列を含む、請求項２４記載の方法。
【請求項４７】
改変酵素が、配列番号：６９〜１３５、３４０、３４５、３４７、３５０、３５２、３５８、３６４、３６６、３６８、３７３、３７５、３７９、３８３、３８７、３９１、３９５、３９９、４０１、４０５、４０７、４０９、４１１、４１５、４１７、４１９、４２３、４２６、４２８、４３１、４３５、４３９、４４３、４４５、４４７、４４９、４５２、４５４、４５５、４５９、４６３、４６７、４７１、４７５、４８１、４８４、４９５、４９７、４９９、５０１、５０５、５０９、５１３、５１７、５２１、５２５、５２９、５３３、５３７、５４１、５４３、５４９、５５２、５５９、５６３、５６５、５６７、５７１、５７３、５７５、５７７、５７９、５８１、５８３、５８５、５８７、および５８９からなる群より選択されるアミノ酸配列を含む、請求項２４記載の方法。
【請求項４８】
請求項２４記載の方法によって産生される改変酵素。
【請求項４９】
請求項４８記載の改変酵素を含むキット。
【請求項５０】
請求項１記載の組成物を含むキット。
【請求項５１】
少なくとも１個の核酸切断基質をさらに含む、請求項５０記載のキット。
【請求項５２】
核酸切断基質にハイブリダイズすることができる少なくとも１個のＲＮＡをさらに含む、請求項５１記載のキット。
【請求項５３】
標識されたオリゴヌクレオチドをさらに含む、請求項５０記載のキット。
【請求項５４】
侵襲性オリゴヌクレオチドをさらに含む、請求項５０記載のキット。
【請求項５５】
核酸を切断する方法であって、
ａ）ｉ）請求項１記載の酵素と、
ｉｉ）基質核酸を含む試料と
を提供する工程、および
ｂ）該基質核酸を該酵素に曝露する工程
を含む方法。
【請求項５６】
基質核酸の酵素への曝露によって、少なくとも１つの切断産物が産生される、請求項５５記載の方法。
【請求項５７】
ｃ）切断産物を検出する工程をさらに含む、請求項５６記載の方法。
【請求項５８】
基質核酸を含む試料が細胞可溶化物を含む、請求項５５記載の方法。
【請求項５９】
標的となる核酸の存在を検出する方法であって、
ａ）ＲＮＡ標的核酸を含む侵襲的切断構造を切断する工程、および
ｂ）該侵襲的切断構造の切断を検出する工程
を含む方法。
【請求項６０】
切断工程が切断因子によって行われる、請求項５９記載の方法。
【請求項６１】
標的核酸が、第一の領域および第二の領域を含み、該第二の領域が該第一の領域の下流に連続して存在する、請求項５９記載の方法。
【請求項６２】
侵襲的切断構造が、ＲＮＡ標的核酸、第一のオリゴヌクレオチド、および第二のオリゴヌクレオチドを含み、該第一のオリゴヌクレオチドの少なくとも一部が、該第一の標的核酸の第一の領域に完全に相補的であり、且つ該第二のオリゴヌクレオチドが３’部位と５’部位を含み、該５’部位が、該標的核酸の第二の領域に完全に相補的である、請求項６１記載の方法。
【請求項６３】
第一のオリゴヌクレオチドの少なくとも一部が、標的核酸の第一の領域にアニーリングし、第二のオリゴヌクレオチドの少なくとも５’部位が、該標的核酸の第二の領域にアニーリングする、請求項６２記載の方法。
【請求項６４】
切断工程によって非標的切断産物が生成される、請求項５９記載の方法。
【請求項６５】
侵襲的切断構造の切断の検出工程が、非標的切断産物を検出する工程を含む、請求項６４記載の方法。
【請求項６６】
第二のオリゴヌクレオチドの３’部位が、標的核酸に相補的ではない３’末端ヌクレオチドを含む、請求項６２記載の方法。
【請求項６７】
第二のオリゴヌクレオチドの３’部位が、標的核酸に相補的ではない単一ヌクレオチドを含む、請求項６２記載の方法。
【請求項６８】
侵襲的切断構造の切断の検出工程が、蛍光の検出を含む、請求項５９記載の方法。
【請求項６９】
侵襲的切断構造の切断の検出工程が、質量の検出を含む、請求項５９記載の方法。
【請求項７０】
侵襲的切断構造の切断の検出工程が、蛍光エネルギー移動の検出を含む、請求項５９記載の方法。
【請求項７１】
侵襲的切断構造の切断の検出工程が、放射能、発光、リン光、蛍光偏光、および電荷からなる群より選択される検出を含む、請求項５９記載の方法。
【請求項７２】
第一のオリゴヌクレオチドが固相支持体に付着している、請求項６２記載の方法。
【請求項７３】
第二のオリゴヌクレオチドが固相支持体に付着している、請求項６２記載の方法。
【請求項７４】
切断因子が構造特異的ヌクレアーゼを含む、請求項６０記載の方法。
【請求項７５】
構造特異的ヌクレアーゼが熱安定性構造特異的ヌクレアーゼを含む、請求項７４記載の方法。
【請求項７６】
切断因子が酵素を含み、該酵素が異種性機能ドメインを含み、該異種性機能ドメインが核酸切断アッセイ法において改変された機能性を提供する、請求項６０記載の方法。
【請求項７７】
酵素が５’ヌクレアーゼを含む、請求項７６記載の方法。
【請求項７８】
５’ヌクレアーゼが熱安定的５’ヌクレアーゼを含む、請求項７７記載の方法。
【請求項７９】
酵素がポリメラーゼを含む、請求項７６記載の方法。
【請求項８０】
ポリメラーゼの配列が天然のポリメラーゼ配列に対して変化しているため、天然のポリメラーゼよりも低いＤＮＡ合成活性を示す、請求項７９記載の方法。
【請求項８１】
ポリメラーゼが熱安定的ポリメラーゼを含む、請求項７９記載の方法。
【請求項８２】
熱安定的ポリメラーゼが、サーマス種に由来するポリメラーゼを含む、請求項８１記載の方法。
【請求項８３】
サーマス種が、サーマス・アクアティカス、サーマス・フラバス、サーマス・サーモフィラス、サーマス・フィリフォルミス、およびサーマス・スコトダクタスからなる群より選択される、請求項８２記載の方法。
【請求項８４】
異種性機能ドメインが、核酸切断アッセイ法において、改良されたヌクレアーゼ活性を提供するアミノ酸配列を含む、請求項７６記載の方法。
【請求項８５】
異種性機能ドメインが、核酸切断アッセイ法において、改良された基質結合活性を提供するアミノ酸配列を含む、請求項７６記載の方法。
【請求項８６】
異種性機能ドメインが、核酸切断アッセイ法において、改良されたバックグラウンド特異性を提供するアミノ酸配列を含む、請求項７６記載の方法。
【請求項８７】
異種性機能ドメインが、ポリメラーゼのポリメラーゼドメイン由来の２個またはそれ以上のアミノ酸を含む、請求項７６記載の方法。
【請求項８８】
２個またはそれ以上のアミノ酸のうち、少なくとも１個がポリメラーゼドメインのパーム領域に由来するものである、請求項８７記載の方法。
【請求項８９】
２個またはそれ以上のアミノ酸のうち、少なくとも１個がポリメラーゼドメインのサム領域に由来するものである、請求項８７記載の方法。
【請求項９０】
ポリメラーゼドメインが、サーマス・サーモフィラスポリメラーゼのポリメラーゼドメインを含む、請求項８７記載の方法。
【請求項９１】
ポリメラーゼドメイン由来の２個またはそれ以上のアミノ酸が、配列番号：１の３００〜６５０位のアミノ酸に由来する２個またはそれ以上のアミノ酸を含む、請求項８７記載の方法。
【請求項９２】
酵素が、配列番号：２〜６８、３４１、３４６、３４８、３５１、３５３、３５９、３６５、３６７、３６９、３７４、３７６、３８０、３８４、３８８、３９２、３９６、４００、４０２、４０６、４０８、４１０、４１２、４１６、４１８、４２０、４２４、４２７、４２９、４３２、４３６、４４０、４４４、４４６、４４８、４５０、４５６、４６０、４６４、４６８、４７２、４７６、４８２、４８５、４８８、４９１、４９４、４９６、４９８、５００、５０２、５０６、５１０、５１４、５１８、５２２、５２６、５３０、５３４、５３８、５４２、５４４、５５０、５５３、５６０、５６４、５６６、５６８、５７２、５７４、５７６、５７８、５８０、５８２、５８４、５８６、５８８、および５９０からなる群より選択されるアミノ酸配列を含む、請求項７６記載の方法。
【請求項９３】
酵素が、配列番号：６９〜１３５、３４０、３４５、３４７、３５０、３５２、３５８、３６４、３６６、３６８、３７３、３７５、３７９、３８３、３８７、３９１、３９５、３９９、４０１、４０５、４０７、４０９、４１１、４１５、４１７、４１９、４２３、４２６、４２８、４３１、４３５、４３９、４４３、４４５、４４７、４４９、４５２、４５４、４５５、４５９、４６３、４６７、４７１、４７５、４８１、４８４、４９５、４９７、４９９、５０１、５０５、５０９、５１３、５１７、５２１、５２５、５２９、５３３、５３７、５４１、５４３、５４９、５５２、５５９、５６３、５６５、５６７、５７１、５７３、５７５、５７７、５７９、５８１、５８３、５８５、５８７、および５８９からなる群より選択される核酸によってコードされる、請求項７６記載の方法。
【請求項９４】
非標的切断産物を含む第二の侵襲的切断構造を形成する工程、および該第二の侵襲的切断構造を切断する工程をさらに含む、請求項６４記載の方法。
【請求項９５】
侵襲的切断構造または第二の侵襲的切断構造が、配列番号：７０９〜２６４０からなる群より選択される配列を含むオリゴヌクレオチドを含む、請求項９４記載の方法。
【請求項９６】
侵襲的切断構造または第二の侵襲的切断構造が、配列番号：１６９〜２１１および６１９〜７０６からなる群より選択される配列を含むオリゴヌクレオチドを含む、請求項９４記載の方法。
【請求項９７】
ＲＮＡ標的核酸がチトクロームＰ４５０ ＲＮＡを含む、請求項５９記載の方法。
【請求項９８】
ＲＮＡ標的核酸がサイトカインＲＮＡを含む、請求項５９記載の方法。
【請求項９９】
標的核酸の第一の領域および第二の領域を含む標的核酸の一部が、スプライス部位を含む、請求項６１記載の方法。
【請求項１００】
標的核酸の第一の領域および第二の領域がエクソンを含む、請求項６１記載の方法。
【請求項１０１】
標的核酸の第一の領域および第二の領域がイントロンを含む、請求項６１記載の方法。
【請求項１０２】
ＲＮＡ標的核酸が細胞可溶化物の中で提供される、請求項５９記載の方法。
【請求項１０３】
第一のオリゴヌクレオチドが第二のオリゴヌクレオチドに共有結合している、請求項６２記載の方法。
【請求項１０４】
侵襲的切断アッセイ法を行なうためのキットであって、プローブ用オリゴヌクレオチド、およびＲＮＡ標的核酸存在下で侵襲的切断構造を形成するよう設計されている侵襲オリゴヌクレオチドを含むキット。
【請求項１０５】
配列番号：７０９〜２６４０からなる群より選択される配列を含むオリゴヌクレオチドを含む、請求項１０４記載のキット。
【請求項１０６】
配列番号：１６９〜２１１および６１９〜７０６からなる群より選択される配列を含むオリゴヌクレオチドを含む、請求項１０４記載のキット。
【請求項１０７】
２個またはそれ以上の標的核酸配列の存在を検出する方法であって、
ａ）２個またはそれ以上の侵襲的切断構造を切断する工程であって、侵襲的切断構造のそれぞれが、標的配列を有するＲＮＡ標的核酸を含み、さまざまなＲＮＡ標的配列を含む工程、および
ｂ）該侵襲的切断構造が切断されたことを検出する工程
を含む方法。
【発明の詳細な説明】
【０００１】
本出願は、米国特許出願第０９／５７７，３０４号および第０９／７５８，２８２号の一部継続出願であり、米国特許第５，９８５，５５７号の分割出願である米国特許出願第０９／３５０，３０９号の一部継続出願であり、また、ＰＣＴ出願であるＵＳ ９８／０５８０９号の国内出願であって、同時係属中の米国特許出願第０９／３８１，２１２号の一部継続出願であり、米国特許第５，９９４，０６９号、第６，０９０，５４３号、第５，９８５，５５７号、第６，００１，５６７号および第５，８４６，７１７号、ならびにＰＣＴ出願であるＵＳ ９７／０１０７２号に対して優先権を主張するものである。
【０００２】
発明の分野
本発明は、核酸配列および核酸配列における変異を検出し、その特徴を調べる組成物および方法に関する。本発明は、標的配列上に核酸切断構造を形成し、部位特異的にその核酸切断構造を切断する方法に関する。例えば、いくつかの態様においては、多様な酵素の５’ヌクレアーゼ活性を用いて、標的依存的な切断構造を切断し、それによって、特異的な核酸配列、または特異的な核酸配列変異が存在することを標示する。
【０００３】
発明の背景
特異的核酸配列および配列変異を検出してその特徴を調べる方法は、ウイルスや細菌の感染の指標となる核酸配列の存在を検出したり、病気や癌に関連する遺伝子の変異または対立遺伝子の存在を検出するために用いられている。これらの方法は、法医学分析または親子鑑定などのために、核酸の持ち主を同定するときにも適用することができる。
【０００４】
特異的核酸配列および配列変異を検出し、その特徴を調べるために使用することができる方法は、当技術分野においてさまざまなものが知られている。それにもかかわらず、ヒトゲノム、ならびに多数の病原性生物のゲノムの核酸配列決定が完了するに伴って、迅速で信頼性が高く、安価で、かつ利便性の高い特異的核酸配列検出試験法に対する需要は増大し続けている。重要なのは、これらの試験法が、目的とする配列をほんの少ししか含んでいない試料から検出可能なシグナルを発生させることができなければならないという点である。以下の考察では、現在使用されている以下の核酸検出アッセイ法を２つの基準で検討する：Ｉ．微量配列検出のためのシグナル増幅技術；ＩＩ．配列の定量的検出のための直接検出技術；およびＩＩＩ．ＲＮＡの直接検出法。
。
【０００５】
Ｉ．増幅のためのシグナル増幅技術法
「ポリメラーゼ連鎖反応」（ＰＣＲ）は、核酸増幅法の第一世代をなす。しかし、特異性の基礎は同一であるが、異なった増幅メカニズムによってシグナルを発生させる別の方法もいくつか開発されている。このような方法には、「リガーゼ連鎖反応」（ＬＣＲ）、「自立合成反応（Ｓｅｌｆ−Ｓｕｓｔａｉｎｅｄ Ｓｙｎｔｈｅｔｉｃ Ｒｅａｃｔｉｏｎ）」（３ＳＲ／ＮＡＳＢＡ）、および「Ｑβ−レプリカーゼ」（Ｑβ）などがある。
【０００６】
ポリメラーゼ連鎖反応（ＰＣＲ）
ＭｕｌｌｉｓおよびＭｕｌｌｉｓらに付与された米国特許第４，６８３，１９５号、第４，６８３，２０２号、および第４，９６５，１８８号（これらの開示内容は参照として本明細書に組み入れられる）に記載されている通り、ポリメラーゼ連鎖反応（ＰＣＲ）は、クロニーングや精製を行わずに、ゲノムＤＮＡの混合物における標的配列のセグメントの濃度を増加させる方法を説明する。この技術は、標的配列の濃度が低いという問題を解決するための一つの方法を提供する。ＰＣＲを用いて、直接、標的の濃度を容易に検出可能な高さに上昇させることができる。この標的配列増幅法は、所望の標的配列を含むＤＮＡ混合物に、二本鎖標的配列のそれぞれの鎖に相補的な２種類のオリゴヌクレオチドプライマーを過剰モル濃度導入することを含む。この混合物を変性してから、ハイブリダイズさせる。ハイブリダイゼーションした後、ポリメラーゼによってプライマーを伸長させて相補鎖を形成させる。所望の標的配列セグメントを相対的に高濃度で得るために、変性、ハイブリダイゼーション、およびポリメラーゼ伸長という工程を必要なだけ繰り返す。
【０００７】
プライマーの互いに対する相対的な位置から、所望の標的配列セグメントの長さを測定できるので、この長さを調節可能なパラメーターとする。所望の標的配列セグメントが混合液中で（濃度に関して）優勢な配列となるため、これらを「ＰＣＲ増幅された」ものと言う。
【０００８】
リガーゼ連鎖反応（ＬＣＲまたはＬＡＲ）
リガーゼ連鎖反応（ＬＣＲ；Ｂａｒａｎｙ， Ｐｒｏｃ． Ｎａｔｌ． Ａｃａｄ． Ｓｃｉ．， ８８： １８９ （１９９１）； Ｂａｒａｎｙ、ＰＣＲ Ｍｅｔｈｏｄｓ ａｎｄ Ａｐｐｌｉｃ．， １： ５ （１９９１）； ならびにＷｕおよびＷａｌｌａｃｅ、Ｇｅｎｏｍｉｃｓ ４： ５６０ （１９８９）に記載されているように、リガーゼ増幅反応（ＬＡＲ）とも言われる）は、よく認知された代替的な核酸増幅法となっている。ＬＣＲにおいては、標的ＤＮＡの一方の鎖に特有にハイブリダイズする２種類の隣り合うオリゴヌクレオチド、および、対向鎖にハイブリダイズする隣り合うオリゴヌクレオチドの相補的なセットという４種類のオリゴヌクレオチドを混合し、混合液にＤＮＡリガーゼを加える。結合部に完全な相補性があれば、ハイブリダイズした分子の各組をリガーゼが共有結合する。ＬＣＲで重要なのは、２つのプローブが、ギャップやミスマッチをもつことなく標的試料中の配列と塩基対合したときにだけ一つに連結されるという点である。変性、ハイブリダイゼーション、およびライゲーションというサイクルを繰り返すことによってＤＮＡの短いセグメントが増幅される。また、ＬＣＲをＰＣＲと組み合わせて使用し、一塩基の変異の検出強化が実現されている。Ｓｅｇｅｖ、ＰＣＴ国際公開公報第９００１０６９Ａ１号（１９９０）。しかし、このアッセイ法で使用される４種類のオリゴヌクレオチドは対合して２つの短い連結可能な断片を形成する可能性があるため、標的とは無関係にバックグラウンドシグナルを生成する可能性がある。変異スクリーニングにＬＣＲを使用するのは、特定の核酸位置を調べるときにだけ限定されている。
【０００９】
自立合成反応（３ＳＲ／ＮＡＳＢＡ）
自立合成反応（３ＳＲ）（Ｇｕａｔｅｌｌｉら、Ｐｒｏｃ． Ｎａｔｌ． Ａｃａｄ． Ｓｃｉ．， ８７： １８７４−１８７８ ［１９９０］、これに対する正誤訂正、Ｐｒｏｃ． Ｎａｔｌ． Ａｃａｄ． Ｓｃｉ．， ８７： ７７９７ ［１９９０］）は、均一な温度でＲＮＡ配列を対数的に増幅することができる、転写を利用したインビトロ増幅系である（Ｋｗｏｋら、Ｐｒｏｃ． Ｎａｔｌ． Ａｃａｄ． Ｓｃｉ．， ８６： １１７３−１１７７ ［１９８９］）。そして、増幅されたＲＮＡを変異検出に利用することができる（Ｆａｈｙら、ＰＣＲ Ｍｅｔｈ． Ａｐｐｌ．， １： ２５ ［１９９１］）。この方法では、オリゴヌクレオチドプライマーを用いて、目的とする配列の５’末端にファージのＲＮＡポリメラーゼのプロモーターを付加する。別のプライマー、逆転写酵素、ＲＮａｓｅ Ｈ、ＲＮＡポリメラーゼ、ならびにリボ−およびデオキシリボ−ヌクレオシド三リン酸を含む、酵素と基質の混合液の中では、目的とする領域を増幅するために標的配列の転写、ｃＤＮＡ合成、および第二の鎖合成が繰り返し行われる。変異検出のために３ＳＲを使用するのは、ＤＮＡの小型のセグメント（例えば、２００〜３００塩基対）をスクリーニングすることに動力学的に限定される。
【００１０】
Ｑ−ベータ（Ｑβ）レプリカーゼ
この方法では、目的の配列を認識するプローブが、Ｑβレプリカーゼにとって複製可能な鋳型ＲＮＡに結合する。ハイブリダイズしないプローブを複製することから生じる偽陽性という大きな問題が以前確認されていたが、この問題には、配列特異的なライゲーション工程を採用することで対処している。しかしながら、利用可能な熱安定性ＤＮＡリガーゼは、このＲＮＡ基質には有効でないため、Ｔ４ ＤＮＡリガーゼによって低温（３７℃）でライゲーションを行わなければならない。このため、ＬＣＲと同様の特異性を実現する手段として高温を利用することができず、ライゲーション反応を用いて、結合部位の変異を検出することはできるが、それ以外の部位についてはできない。
【００１１】
下記の表２は、感度の高い核酸診断法において有用なシステムにとって望ましい特徴をいくつか列挙し、主要な増幅法のそれぞれの能力を要約したものである（または、Ｌａｎｄｇｒｅｎ、Ｔｒｅｎｄｓ ｉｎ Ｇｅｎｅｔｉｃｓ ９： １９９ ［１９９３］を参照されたい）。
【００１２】
好適な診断法は、特異性が非常に高いものであることが必要である。核酸のハイブリダイゼーションを制御する単純な方法は、反応温度を調節することである。３ＳＲ／ＮＡＳＢＡ、およびＱβ系はすべて、大量のシグナルを生成することはできるが、それぞれに含まれる一種類以上の酵素を高温（すなわち、＞５５℃）で使用することができない。プローブを低温でも簡単に融解できるように短くしたら、複雑なゲノムの中で完全に配列一致する組み合わせ以外のものが生じる可能性が高くなる。これらの理由で、最近では、ＰＣＲとＬＣＲが、検出技術の研究分野において主要なものとなっている。
【００１３】
【表１】
2004521606.tif 000002
【００１４】
ＰＣＲおよびＬＣＲにおける増幅法の基礎は、一回のサイクルでの生成物を、その後のすべてのサイクルにおいて鋳型として使用でき、結果的に、各サイクル毎に集団が倍増するという事実にある。このような倍増系における最終収率は、（１＋Ｘ）ｎ＝ｙと表現することができる。式中、「Ｘ」は平均効率（各サイクルで複製される割合（％））であり、「ｎ」はサイクル数、「ｙ」は、全部の効率、すなわち反応物の収率である（Ｍｕｌｌｉｓ， ＰＣＲ Ｍｅｔｈｏｄｓ Ａｐｐｌｉｃ．， １： １ ［１９９１］）。ポリメラーゼ連鎖反応のすべてのサイクルで標的ＤＮＡのすべてのコピーを鋳型として利用したとすると、平均効率は１００％である。２０サイクルのＰＣＲを行なった場合、収量は出発物質の２２０倍、すなわち１，０４８，５７６コピーとなる。反応条件を平均効率８５％まで低下させると、同様に２０サイクルで、出発物質の１．８５２０倍、すなわち２２０，５１３コピーとなる。すなわち、ＰＣＲを８５％の効率で行なうと、反応を１００％の効率で行なったときに較べて、２１％の最終産物しか得られないということになる。反応が平均効率５０％まで低下すると、可能な生成物の１％未満の収率しか得られない。
【００１５】
実際、通常のポリメラーゼ連鎖反応では、理論上の最大収率を達成することはほとんどないので、低収率を補うために、通常２０サイクル以上のＰＣＲを行なう。平均効率５０％では、３４サイクル行わないと、理論的には２０サイクルで可能となる１００万倍増幅を達成することができない。そして、それよりも低い効率では、必要となるサイクル数はけた外れなものとなる。なお、バックグラウンド生成物が、目的とする標的よりも高い平均効率で増幅すると主要な生成物となる。
【００１６】
また、ほんの数例を挙げると、標的ＤＮＡの長さおよび二次構造、プライマーの長さと設計、プライマーおよびｄＮＴＰの濃度、および緩衝液組成など、さまざまな変数がＰＣＲの平均効率に影響を与える。外因性ＤＮＡ（例えば、実験器具にこぼれ落ちたＤＮＡ）による反応液の汚染、すなわち交叉汚染も重要な検討条件である。反応条件は、各プライマー対および標的配列ごとに慎重に最適化する必要があり、熟練した研究者でさえ、この工程に何日もかけることがある。数多くの技術的検討、およびその他の要素など、この工程の煩雑さが、臨床場面におけるＰＣＲの利用を大いに妨げている。実際、ＰＣＲは、未だに医療市場に飛躍的には浸透していない。ＬＣＲでも、各標的配列毎に、さまざまなオリゴヌクレオチド配列を用いるためにＬＣＲを最適化しなければならないので同じ問題が生じる。さらに、どちらの方法も、正確な温度周期を実施することができる高価な装置を必要とする。
【００１７】
対立遺伝子の変異を調査する場合などのように、核酸検出技術の多くは、複雑なバックグラウンドの中で特異的な配列を検出するだけでなく、数個または１個のヌクレオチドの違いしかない配列を区別することを含んでいる。ＰＣＲによって対立遺伝子特異的変異を検出する一つの方法は、鋳型鎖とプライマーの３’末端の間に不一致があると、ＴａｑポリメラーゼがＤＮＡ鎖を合成することは困難であるとの事実に基づいている。可能な対立遺伝子の一つにだけ完全に一致するプライマーを使用することで、対立遺伝子特異的変異を検出することができる。別の対立遺伝子とのミスマッチによって、プライマーの伸長ができなくなるため、その配列は増幅されない。この方法には、ミスマッチ配列の塩基組成がミスマッチ配列の伸長を阻害する可能性に影響を与え、一定のミスマッチは伸長を妨げないか、最小の影響しかもたないという点で相当な制約がある（Ｋｗｏｋら、Ｎｕｃｌ． Ａｃｉｄｓ Ｒｅｓ．， １８： ９９９ ［１９９０］）。
【００１８】
同様な３’−ミスマッチ法が、より高い効果を以て、ＬＣＲにおけるライゲーションを阻害するために用いられている（Ｂａｒａｎｙ， ＰＣＲ Ｍｅｔｈｏｄｓ ａｎｄ Ａｐｐｌｉｃ．， １： ５ （１９９１））。どのようなミスマッチでも、熱安定性リガーゼの作用を効果的に遮断するが、ＬＣＲには、標的非依存的なバックグラウンドライゲーションの生成物が増幅を開始するという問題点がある。さらに、個々の位置におけるヌクレオチドを同定するためにＰＣＲと、その後にＬＣＲを組み合わせることは、明らかに、臨床研究にとっては煩雑な計画でもある。
【００１９】
ＩＩ．直接検出技術
検出すべき核酸を十分な量用いることができる場合には、（例えば、ＰＣＲおよびＬＣＲなどで）その標的のコピーをより多く作成することなく、その配列を直接検出できることには利点がある。もっとも顕著には、シグナルを対数的に増殖しない方法は、定量解析の感度がより高いということである。１個のヌクレオチドに複数の色素を付着させてシグナルを増強させたとしても、最終シグナル強度と標的量との間の相関関係は直接的である。このようなシステムには、反応生成物自体がさらなる反応を進めることはないため、生成物による実験器具の表面の汚染は大した関心の対象にならないという、さらに別の利点がある。ノーザンおよびサザンブロッティング、およびＲＮａｓｅ保護アッセイ法など、従来からの直接検出法では、通常、放射能の使用が必要なため、自動化には馴染まない。最近になって考案された技術では、放射能の使用をなくすこと、および／または、自動化方式での感度を上昇させることを目指してきた。２つの例が「サイクリングプローブ反応（Ｃｙｃｌｉｎｇ Ｐｒｏｂｅ Ｒｅａｃｔｉｏｎ）」（ＣＰＲ）と「分岐ＤＮＡ法（Ｂｒａｎｃｈｅｄ ＤＮＡ）」（ｂＤＮＡ）である。
【００２０】
サイクリングプローブ反応（ＣＰＲ）（Ｄｕｃｋら、ＢｉｏＴｅｃｈ．， ９： １４２ ［１９９０］）では、中心部がＲＮＡでできていて、２つの末端部はＤＮＡでできている、長いキメラオリゴヌクレオチドを使用する。標的ＤＮＡへのプローブのハイブリダイゼーション、および熱安定性ＲＮａｓｅ Ｈへの曝露によって、ＲＮＡ部分の分解が起きる。これによって、残りの二本鎖ＤＮＡ部分が不安定化して、標的ＤＮＡから残りのプローブが解離するため、別のプローブ分子がこの工程を繰り返すことが可能になる。切断されたプローブ分子という形のシグナルが、直線的な速さで蓄積される。この工程を繰り返せばシグナルは増加するが、オリゴヌクレオチドのＲＮＡ部位は、試料調製によって持ち込まれるＲＮａｓｅによって分解されやすい。
【００２１】
Ｕｒｄｅａら、Ｇｅｎｅ ６１：２５３−２６４ （１９８７）が記載した分枝ＤＮＡ法 （ｂＤＮＡ）は、各オリゴヌクレオチドに３５個から４０個の標識（例えば、アルカリホスファターゼ酵素）をもたせることができる分枝構造をもつオリゴヌクレオチドを含む。これによって、ハイブリダイゼーションによって生じるシグナルが増強されるが、非特異的結合によって生じるシグナルも同様に増強される。
【００２２】
これらの方法はどちらも、上記の直接検出法の利点を持っているが、ＣＰＲとｂＤＮＡのどちらの方法も、上記第Ｉ節で述べたシグナル増幅法では普通である、２種類以上のプローブ（オリゴヌクレオチド）配列によって別々に認識することを要求することによって可能となる特異性を利用することができない。検出可能なシグナルを生成するためには、２つのオリゴヌクレオチドが一つの標的核酸に結合しなければならないという条件は、どの検出アッセイ法に対しても特別なストリンジェンシーの基準を与える。２つのオリゴヌクレオチドが一つの標的核酸に結合することが必要となることで、標的へのプローブの非特異的結合によって偽「陽性」の結果が生じる機会が減少する。さらに、オリゴヌクレオチドを反対方向であるが正しい方向に配向させて、ＤＮＡポリメラーゼが２つのオリゴヌクレオチドの間にあるギャップを両方向から埋めることができるようになければならないＰＣＲにおいて必要とされるように、２つのオリゴヌクレオチドを、標的に対して特異的な方向で結合させなければならないという条件は、検出反応の特異性をさらに増強する。しかし、ＰＣＲは２種類のオリゴヌクレオチドプローブ（プライマーと言う）を利用しながらも、「非特異的」増幅（すなわち、用いた２種類のプライマーによって指令されない配列増幅）が一般的なアーティファクトであるというのは、当業者に周知のことである。これは、一部は、ＰＣＲに使用するＤＮＡポリメラーゼが、オリゴヌクレオチド間に、ヌクレオチドで測ると非常に長い距離があっても対応できるため、オリゴヌクレオチドの非特異的結合によって不適当な生成物の対数増加をもたらしうるような大きな枠があることが原因である。これに対して、ＬＣＲは、使用するオリゴヌクレオチドが互いに隣り合って結合しないかぎり反応を進行させることができない。このため、二重のオリゴヌクレオチドによるハイブリダイゼーションの恩典が十分に認識されている。
【００２３】
理想的な直接検出法は、直接検出アッセイ法の利点（例えば、定量の容易さ、持ち越し汚染のリスクが最小であるなど）を、二重オリゴヌクレオチドハイブリダイゼーション測定法と組み合わせたものであると考えられる。
【００２４】
ＩＩＩ．ＲＮＡの直接検出法
分子医学では、直接的かつ定量的にＲＮＡを検出するための簡単で安価な方法があれば、ＲＮＡウイルスの解析や特異的遺伝子発現の測定を大きく促進させることができよう。これらの問題はどちらも、現在、当分野において急を要する問題となっている。このような必要にも関わらず、本当に直接的といえる技術はほとんど出現していない。ＰＣＲを利用する検出アッセイ法は、増幅をしたり、正確な定量を危うくしうる変数を導入したりする前に、ＲＮＡをＤＮＡに変換する必要がある。さらに、対数的増幅に基づいたＰＣＲや他の方法（例えば、ＮＡＳＢＡ）は、交叉汚染を防ぐために手の懸かる封じ込め装置を必要とし、また、小さな量的差異（例えば、２倍から３倍）を区別するのは困難である。ＲＮＡを直接調べる他の試験法には、時間のかかるオートラジオグラフィーの工程（例えば、ＲＮａｓｅ保護アッセイ法）や、一晩という反応時間を要する（例えば、分枝ＤＮＡアッセイ法）など、さまざまな短所がある。米国では、毎年１５０万件を超すウイルス負荷量測定が行われているため、ＲＮＡの定量的測定を行うための安価で迅速でハイスループットなシステムには大きな可能性がある。
【００２５】
ｍＲＮＡを直接的かつ定量的に検出する技術は、多数のさまざまな遺伝子の発現を観察するために重要である。特に、サイトカイン（例えば、インターロイキンおよびリンフォカイン）の発現量が、広範な病気の進行における免疫応答の臨床的測定値として（Ｖａｎ Ｄｅｕｒｅｎら、Ｊ． Ｉｎｔ． Ｆｅｄ． Ｃｌｉｎ． Ｃｈｅｍ．， ５： ２１６ ［１９９３］、Ｖａｎ Ｄｅｕｒｅｎら、Ｊ． Ｉｎｆ． Ｄｉｓ．， １６９： １５７ ［１９９４］、Ｐｅｒｅｎｂｏｏｍら、Ｅｕｒ． Ｊ． Ｃｌｉｎ． Ｉｎｖｅｓｔ．， ２６： １５９ ［１９９６］、Ｇｕｉｄｏｔｔｉら、Ｉｍｍｕｎｉｔｙ ４： ２５ ［１９９６］）、ならびに、移植レシピエントを監視するために（Ｇｒａｎｔら、Ｔｒａｎｓｐｌａｎｔａｔｉｏｎ ６２： ９１０ ［１９９６］）利用されている。さらに、ウイルス負荷量をモニターし、ウイルスの遺伝子型を同定することは、ＨＩＶやＣ型肝炎ウイルス（ＨＣＶ）などの病原体によるウイルス感染症を患う人々にとって臨床上重要な意味がある。ウイルス負荷量（すなわち、血流中のウイルス粒子の絶対数）とＡＩＤＳに進展するまでの時間との間には高い相関関係がある（Ｍｅｌｌｏｒｓら、Ｓｃｉｅｎｃｅ ２７２： １１６７ ［１９９６］、Ｓａａｇら、Ｎａｔｕｒｅ Ｍｅｄｉｃｉｎｅ ２： ２６５ ［１９９６］）。このような理由で、核酸による定量的試験法によって測定されるウイルス量が、ＨＩＶ陽性患者の治療の有効性および臨床状態を評価するための標準的な監視手段となりつつある。感染のできるだけ初期にウイルス負荷量を減少させること、および定期的にウイルス量を評価することが重要であると考えられている。ＨＣＶの場合には、肝臓病の重さおよびインターフェロン療法への応答性と相関性があるため、ウイルスの遺伝子型が臨床上重要な意味をもつ。さらに、ＨＣＶは培養できないため、ウイルスの遺伝子型と臨床結果などの特徴同士の間に相関関係を確立することによってしか、新しい抗ウイルス治療法を評価することができない。
【００２６】
上記した方法は、処理量が低いとき、研究への応用、または限られた臨床応用には役立てることができたが、どのような遺伝子系にも簡単に適用することができるＲＮＡの大量定量解析法システムには、さらに革新的な取り組みが必要であることは明らかである。理想的な直接検出法は、直接検出アッセイ法の利点（例えば、定量の容易さ、持ち越し汚染のリスクが最小であるなど）を、二重オリゴヌクレオチドハイブリダイゼーション測定法によって提供される特異性とを組み合わせたものであると考えられる。
【００２７】
上記した方法の多くは、他の核酸から標的分子を区別するのに、ハイブリダイゼーションのみに依存している。これらの方法のいくつかは非常に感度が高いが、近縁のｍＲＮＡ、特に、同一の試料中で異なった量発現しているＲＮＡを正確に定量したり、区別することはほとんどできない。上記の方法はいくつかの目的には役立つが、特に、巧みに特定のＲＮＡを近縁の分子と区別する技術に対する需要が存在する。
【００２８】
発明の概要
本発明は、核酸配列および核酸配列における変異を検出し、その特徴を調べる組成物および方法に関する。本発明は、標的配列上に核酸切断構造を形成し、部位特異的にその核酸切断構造を切断する方法に関する。例えば、いくつかの態様においては、多様な酵素の５’ヌクレアーゼ活性を用いて、標的依存的な切断構造を切断し、それによって、特異的な核酸配列、または特異的な核酸配列変異が存在することが示される。
【００２９】
本発明は、中温性、好冷性、好熱性、および超好熱性の生物など多様な生物源に由来する構造特異的な切断因子（例えば、ヌクレアーゼ）を提供する。好適な構造特異的ヌクレアーゼは熱安定性である。熱安定性構造特異的ヌクレアーゼは、核酸のハイブリダイゼーションが非常に特異的な温度で作用する点で特に有用であり、対立遺伝子特異的検出（一塩基ミスマッチなど）を可能にする。一つの態様において、熱安定性構造特異的ヌクレアーゼは、サーマス・アクアティカス（Ｔｈｅｒｍｕｓ ａｑｕａｔｉｃｕｓ）、サーマス・フラバス（Ｔｈｅｒｍｕｓ ｆｌａｖｕｓ）、サーマス・サーモフィラス（Ｔｈｅｒｍｕｓ ｔｈｅｒｍｏｐｈｉｌｕｓ）などであるが、これらに限定されないサーマス種の天然型ポリメラーゼに由来する改変ポリメラーゼを含む熱安定性５’ヌクレアーゼである。しかし、本発明は、熱安定性５’ヌクレアーゼの使用に限定されるものではない。ＦＥＮ−１、ＲＡＤ２、およびＸＰＧに分類されるヌクレアーゼに由来する熱安定性構造特異的ヌクレアーゼも好ましい。
【００３０】
本発明は、標的配列（例えば、突然変異、多型性など）を検出する方法であって、標的配列を含むと思われる試料、標的配列の存在下で侵襲的（ｉｎｖａｓｉｖｅ）切断構造を形成することができるオリゴヌクレオチド、および侵襲的切断構造の存在を検出するための因子を提供する工程、ならびにこの試料をオリゴヌクレオチドおよび因子に曝露する工程を含む方法を提供する。いくつかの態様において、本方法は、さらに、因子と侵襲的切断構造を含む複合体を（直接的または間接的に）検出する工程を含む。いくつかの態様において、この因子は切断因子を含む。いくつかの好ましい態様において、試料をオリゴヌクレオチドおよび因子に曝露する工程は、標的配列が試料中に存在する場合に、標的配列とオリゴヌクレオチドの間で侵襲的切断構造が形成される条件下で試料をオリゴヌクレオチドおよび因子に曝露して、この侵襲的切断構造を切断因子で切断して切断産物を形成させることを含む。いくつかの態様において、本方法は、さらに、切断産物を検出する工程を含む。いくつかの態様において、標的配列は、第二の領域が第一の領域の下流に連続して存在する、第一の領域と第二の領域を含み、オリゴヌクレオチドは、第一および第二のオリゴヌクレオチドを含み、この第一のオリゴヌクレオチドの少なくとも一部が、標的配列の第一の部位に完全に相補的であり、また、第二のオリゴヌクレオチドが３’部位と５’部位を含み、この５’部位が該標的核酸の第二の部位に完全に相補的である。
【００３１】
本発明は、また、このような標的配列を検出するためのキットであって、標的配列存在下で侵襲的切断構造を形成することができるオリゴヌクレオチドを含むキットを提供する。いくつかの態様において、このキットは、さらに、侵襲的切断構造の存在を検出するためにの因子（例えば、切断因子）を含む。いくつかの態様において、このオリゴヌクレオチドは、第一および第二のオリゴヌクレオチドを含み、該第一のオリゴヌクレオチドが、標的核酸の第一の領域に相補的な５’部位を含み、該第二のオリゴヌクレオチドが、３’部位と、第一の領域の下流に連続して存在する標的核酸の第二の領域に相補的な５’部位を含んでいる。いくつかの好ましい態様において、標的配列は含む。
【００３２】
また、本発明は、非標的切断産物を検出することによって、標的核酸分子の存在を検出する方法であって、切断因子；標的核酸の起源；第二の領域が第一の領域の下流に連続して存在する、第一の領域と第二の領域を含む標的核酸；第一のオリゴヌクレオチドの少なくとも一部が、標的配列の第一の部位に完全に相補的な第一のオリゴヌクレオチド；ならびに３’部位と５’部位を含み、この５’部位が標的核酸の第二の部位に完全に相補的な第二のオリゴヌクレオチドを提供する工程；切断因子、標的核酸、第一のオリゴヌクレオチド、および第二のオリゴヌクレオチドを混合して、第一のオリゴヌクレオチドの少なくとも一部が、該標的核酸の第一の領域にアニーリングし、第二のオリゴヌクレオチドの少なくとも５’部位が該標的核酸の第二の領域にアニーリングして切断構造を形成し、さらに、切断構造の切断が起きて非標的切断産物が生成するような反応条件下で、反応混合液を作成する工程；ならびに切断構造の切断を検出する工程を含む方法を提供する。
【００３３】
切断構造の切断の検出は、任意の方法で行なうことができる。いくつかの態様において、切断構造の切断の検出は、非標的切断産物の検出を含む。さらに別の態様において、切断構造の切断の検出は、蛍光、質量、または蛍光エネルギー移動を検出することを含む。この他の検出方法には、放射能、発光、リン光、蛍光偏光、および電荷を検出することなどがあるが、それらに限定されない。いくつかの態様において、非標的切断産物、タンパク質結合領域の一本鎖部分を規定するためにアニーリングしている２種類の一本鎖核酸を含む組成物、およびタンパク質を提供する工程、タンパク質がタンパク質結合領域に結合する条件下で、非標的切断産物を、タンパク質結合領域の一本鎖部分に曝露する工程を含む方法によって、検出を行なう。いくつかの態様において、このタンパク質は、タンパク質結合領域に結合して核酸を生成する核酸生成タンパク質を含む。いくつかの態様において、タンパク質結合領域は、鋳型依存的ＲＮＡポリメラーゼ結合領域（例えば、Ｔ７ ＲＮＡポリメラーゼ結合領域）である。別の態様においては、非標的切断産物、ＲＮＡポリメラーゼ結合領域の一本鎖部分を規定する配列を含む一本の連続した核酸鎖、鋳型依存型ＤＮＡポリメラーゼ、および鋳型依存型ＲＮＡポリメラーゼを提供する工程、非標的切断産物をＲＮＡポリメラーゼ結合領域の一本鎖部分に結合させて結合非標的切断産物を生成させる条件下で、非標的切断産物を、ＲＮＡポリメラーゼ結合領域に曝露する工程、二本鎖ＲＮＡポリメラーゼ結合領域を生成させる条件下で結合非標的切断産物を鋳型依存型ＤＮＡポリメラーゼに曝露する工程、ならびにＲＮＡ転写産物が生成されるような条件下で、二本鎖ＲＮＡポリメラーゼ結合領域を鋳型依存型ＲＮＡポリメラーゼに曝露する工程を含む方法によって検出を行なう。いくつかの態様において、本方法は、さらに、ＲＮＡ転写産物を検出する工程を含む。いくつかの態様において、鋳型依存型ＲＮＡポリメラーゼはＴ７ ＲＮＡポリメラーゼである。
【００３４】
本発明は、第二のオリゴヌクレオチドの３’部位の性質によって制限されない。いくつかの好ましい態様において、第二のオリゴヌクレオチドの３’部位は、標的核酸に相補的でない３’末端ヌクレオチドを有する。いくつかの態様において、第二のオリゴヌクレオチドの３’部位は、標的核酸に相補的でない単一のヌクレオチドを含む。
【００３５】
本方法のいかなる成分も固相支持体に付着させることができる。例えば、いくつかの態様においては、第一のオリゴヌクレオチドを固相支持体に付着させる。別の態様においては、第二のオリゴヌクレオチドを固相支持体に付着させる。
【００３６】
切断因子は、侵襲的切断構造切断することのできる因子である。いくつかの態様において、切断因子は、構造特異的ヌクレアーゼを含む。特に好ましい態様においては、構造特異的ヌクレアーゼは、熱安定性構造特異的ヌクレアーゼ（例えば、熱安定性５’ヌクレアーゼ）を含む。熱安定性構造特異的ヌクレアーゼには、好熱性生物（例えば、サーマス・アクアティカス、サーマス・フラバス、およびサーマス・サーモフィラス）に由来する熱安定性ＤＮＡポリメラーゼのアミノ酸配列の一部に相同なアミノ酸配列を有するヌクレオチドがあるが、これらに限定されない。別の態様において、熱安定性構造特異的ヌクレアーゼは、ＦＥＮ−１、ＲＡＤ２、またはＸＰＧに分類されるヌクレアーゼに由来するヌクレアーゼ、または、上記切断因子のいずれかの一部またはそれ以上の部位を含む化学構造を含む。
【００３７】
本方法は、標的核酸の性質により制限されない。いくつかの態様において、標的核酸は、一本鎖または二本鎖のＤＮＡまたはＲＮＡである。いくつかの態様において、二本鎖核酸は、切断構造を形成する前に（例えば、熱によって）一本鎖にされる。いくつかの態様において、標的核酸の起源には、ゲノムＤＮＡを含む試料が含まれる。試料には、血液、唾液、脳脊髄液、胸水、乳汁、リンパ液、痰、および精液などがあるが、これらに限定されない。
【００３８】
いくつかの態様において、本方法での反応条件は、二価性カチオンの供給源を提供することを含む。いくつかの態様において、二価性カチオンはＭｎ２＋イオンおよびＭｇ２＋イオンからなる群より選択される。いくつかの態様において、本方法での反応条件は、標的核酸と較べて過剰濃度の第一および第二のオリゴヌクレオチドを提供することを含む。
【００３９】
いくつかの態様において、本方法は、さらに、標的核酸の第一の部位の上流にある、標的核酸の第三の部位に相補的な第三のオリゴヌクレオチドであって、反応混合液と混合される第三のオリゴヌクレオチドを提供する工程を含む。
【００４０】
本発明は、また、非標的切断産物を検出することによって標的核酸部分の存在を検出する方法であって、切断因子；標的核酸の起源；第二の領域が第一の領域の下流に連続して存在する、第一の領域と第二の領域を含む標的核酸；第一のオリゴヌクレオチドの少なくとも一部が、標的配列の第一の部位に完全に相補的な複数の第一のオリゴヌクレオチド；ならびに３’部位と５’部位を含み、この５’部位が標的核酸の第二の部位に完全に相補的な第二のオリゴヌクレオチドを提供する工程；切断因子、標的核酸、複数の第一のオリゴヌクレオチド、および第二のオリゴヌクレオチドを混合して、第一のオリゴヌクレオチドの少なくとも一部が、標的核酸の第一の領域にアニーリングし、第二のオリゴヌクレオチドの少なくとも５’部位が標的核酸の第二の領域にアニーリングして切断構造を形成し、さらに、切断構造の切断が起きて非標的切断産物を生成させるような反応条件であって、複数種の切断構造を形成することができ、標的核酸から切り取ることができるような反応条件下で反応混合液を作成する工程；ならびに該切断構造の切断を検出する工程を含む方法を提供する。いくつかの態様において、この条件は、複数の第一のオリゴヌクレオチドを標的核酸から解離させる等温条件を含む。本発明は、特定の標的核酸上で形成される切断構造の数により制限されるが、いくつかの態様においては、複数の第一のオリゴヌクレオチドの２個またはそれ以上（３、４、５、．．．、１０、．．．、１００００、．．．）が、特定の標的核酸とともに切断構造を形成し、これらの切断構造を切断して非標的切断産物を産生する。
【００４１】
本発明は、また、上記の方法でできた切断産物をさらに別の侵襲的切断反応において使用する方法を提供する。例えば、本発明は、切断因子；第二の領域が第一の領域の下流に連続して存在する、第一の領域と第二の領域を含む第一の標的核酸；第一のオリゴヌクレオチドの少なくとも一部が、第一の標的核酸の第一の部位に完全に相補的である第一のオリゴヌクレオチド； ３’部位と５’部位を含み、この５’部位が第一の標的核酸の第二の部位に完全に相補的である第二のオリゴヌクレオチド；第二の領域が第一の領域の下流に連続して存在する、第一の領域と第二の領域を含む第二の標的核酸；ならびに第三のオリゴヌクレオチドの少なくとも一部が、第二の標的核酸の第一の部位に完全に相補的である第三のオリゴヌクレオチドを提供する工程；第一のオリゴヌクレオチドの少なくとも該部位が第一の標的核酸の第一の領域にアニーリングし、第二のオリゴヌクレオチドの少なくとも５’部位が第一の標的核酸の第二の領域にアニーリングし、また、第一の切断構造の切断が切断因子によって生じて、３’部位と５’部位とを含む第四のオリゴヌクレオチドであって、５’部位が第二の標的核酸の第二の部位に完全に相補的である第四のオリゴヌクレオチドを生成させる第一の切断構造を生成させる工程；第三のオリゴヌクレオチドの少なくとも該部位が第二の標的核酸の第一の領域にアニーリングし、第四のオリゴヌクレオチドの少なくとも５’部位が第二の標的核酸の第二の領域にアニーリングし、また、第二の切断構造の切断が生じて、切断断片を生成させる第二の切断構造を生成させる工程；ならびに第二の切断構造の切断を検出する工程を含む方法を提供する。いくつかの態様において、第四のオリゴヌクレオチドの３’部位は、第二の標的核酸に相補的ではない３’末端ヌクレオチドを含む。いくつかの態様において、第三のオリゴヌクレオチドの３’部位は、第二の標的核酸に共有結合により連結している。いくつかの態様において、第二の標的核酸は、さらに、第二の標的核酸の５’側領域が第三のオリゴヌクレオチドである５’側領域を含む。本発明は、さらに、切断因子；標的配列の第一の部位に相補的な５’部位を含む第一のオリゴヌクレオチド；ならびに３’部位と５’部位を含み、この５’部位が標的核酸の第一の部位の下流にあってそれに連続している標的核酸の第二の部位に相補的である第二のオリゴヌクレオチドを含むキットを提供する。いくつかの態様において、第二のオリゴヌクレオチドの３’部位は、標的核酸に相補的でない３’末端ヌクレオチドを含む。好ましい態様において、第二のオリゴヌクレオチドの３’部位は、標的核酸に相補的でない単一のヌクレオチドを含む。いくつかの態様において、本キットは、さらに固相支持体を含む。例えば、いくつかの態様において、第一および／または第二のオリゴヌクレオチドが該固相支持体に付着している。いくつかの態様において、本キットは、さらに、緩衝液を含む。いくつかの態様において、緩衝液は二価性カチオン（例えば、Ｍｎ２＋イオンおよび／またはＭｇ２＋イオン）の発生源を含む。いくつかの態様において、本キットは、さらに、第一の標的核酸の第一の部位の上流にある、標的核酸の第三の部位に相補的な第��のオリゴヌクレオチドを含む。さらに別の態様において、本キットは、さらに、標的核酸を含む。いくつかの態様において、本キットは、さらに、第二の標的核酸を含む。さらに別の態様において、本キットは、さらに、第二の標的核酸の第一の領域に相補的な５’部位を含む第三のオリゴヌクレオチドを含む。いくつかの態様において、第三のオリゴヌクレオチドの３’部位は、第二の標的核に共有結合的に連結している。別の具体的な態様においては、第二の標的核酸は、さらに、第二の標的核酸の５’部位が第三のオリゴヌクレオチドである５’部位を含む。さらに別の態様においては、本キットは、さらに、ＡＲＲＥＳＴＯＲ分子（例えば、ＡＲＲＥＳＴＯＲオリゴヌクレオチド）を含む。
【００４２】
本発明は、さらに、ａ）第一の領域、第二の領域、第三の領域、および第四の領域を含む標的核酸であって、第一の領域が第二の領域の下流に隣接しており、第二の領域が第三の領域の下流に隣接しており、第三の領域が第四の領域の下流に隣接している標的核酸；ｂ）標的核酸の第四の領域に相補的な第一のオリゴヌクレオチド；ｃ）３’部位と５’部位を含む第二のオリゴヌクレオチドであって、第二のオリゴヌクレオチドの５’部位が標的核酸の第二の領域に相補的な配列を含み、第二のオリゴヌクレオチドの３’部位が標的核酸の第三の領域に相補的な配列を含む第二のオリゴヌクレオチド；ならびにｄ）３’部位と５’部位を含む第三のオリゴヌクレオチドであって、第三のオリゴヌクレオチドの５’部位が標的核酸の第一の領域に相補的な配列を含み、第三のオリゴヌクレオチドの３’部位が標的核酸の第二の領域に相補的な配列を含む第三のオリゴヌクレオチドを含む切断構造を含む組成物を提供する。
【００４３】
本発明は、標的核酸の４つの領域の長さにより制限されるものではない。一つの態様において、標的核酸の第一の領域は、１１〜５０ヌクレオチドの長さである。別の態様において、標的核酸の第二の領域は、１〜３ヌクレオチドの長さである。別の態様において、標的核酸の第三の領域は、６から９ヌクレオチドの長さである。さらに別の態様において、標的核酸の第四の領域は、６から５０ヌクレオチドの長さである。
【００４４】
本発明は、第一、第二、第三および第四のオリゴヌクレオチドの性質又は組成により制限されるものではなく、これらのオリゴヌクレオチドはＤＮＡ、ＲＮＡ、ＰＮＡ、およびこれらを組み合わせたものを含むことができ、また、修飾されたヌクレオチド、汎用塩基（ｕｎｉｖｅｒｓａｌ ｂａｓｅ）、付加体（ａｄｄｕｃｔ）などを含むこともできる。さらに、第一、第二、第三および第四のオリゴヌクレオチドのうち一つまたは複数が、３’末端にジデオキシヌクレオチドを含むことができる。
【００４５】
好ましい態様において、標的核酸は、第一、第二、第三および第四のオリゴヌクレオチドのうちの少なくとも１つに完全には相補的でない。特に好ましい態様においては、標的核酸は、第二のオリゴヌクレオチドに完全には相補的でない。
【００４６】
上記のとおり、本発明は、検出法において構造特異的ヌクレアーゼを使用することを意図したものである。一つの態様において、本発明は、非標的切断産物を検出することによって標的核酸分子の存在を検出する方法であって、ａ）ｉ）切断手段、ｉｉ）第一の領域、第二の領域、第三の領域、および第四の領域を含む標的核酸であって、第一の領域が第二の領域の下流に隣接しており、第二の領域が第三の領域の下流に隣接しており、第三の領域が第四の領域の下流に隣接している標的核酸の起源、ｉｉｉ）標的核酸の第四の領域に相補的な第一のオリゴヌクレオチド；ｉｖ）３’部位と５’部位を含む第二のオリゴヌクレオチドであって、第二のオリゴヌクレオチドの５’部位が標的核酸の第二の領域に相補的な配列を含み、第二のオリゴヌクレオチドの３’部位が標的核酸の第三の領域に相補的な配列を含む第二のオリゴヌクレオチド；ｉｖ）３’部位と５’部位を含む第三のオリゴヌクレオチドであって、第三のオリゴヌクレオチドの５’部位が標的核酸の第一の領域に相補的な配列を含み、第三のオリゴヌクレオチドの３’部位が標的核酸の第二の領域に相補的な配列を含む第三のオリゴヌクレオチドを提供する工程；ｂ）第一のオリゴヌクレオチドが標的核酸の第四の領域にアニーリングし、第二のオリゴヌクレオチドの少なくとも３’部位が標的核酸にアニーリングし、また、第三のオリゴヌクレオチドの少なくとも５’部位が標的核酸にアニーリングして切断構造を作出し、この切断構造の切断が生じて、それぞれ３’−ヒドロキシル基をもつ非標的切断産物が生成されるような反応条件下で、切断手段、標的核酸、第一のオリゴヌクレオチド、第二のオリゴヌクレオチド、および第三のオリゴヌクレオチドを混合する工程、ならびにｃ）非標的切断産物を検出する工程を含む方法を提供する。
【００４７】
本発明は、標的核酸の性質によって制限されない。一つの態様において、標的核酸は一本鎖ＤＮＡを含む。別の態様において、標的核酸は二本鎖ＤＮＡを含み、工程ｃ）の前に、二本鎖ＤＮＡが実質的に一本鎖となるように反応混合液を処理する。別の態様において、標的核酸はＲＮＡを含み、第一および第二のオリゴヌクレオチドはＤＮＡを含む。
【００４８】
本発明は、切断手段の性質によって制限されない。一つの態様において、切断手段は構造特異的ヌクレアーゼであり、特に好適な構造特異的ヌクレアーゼは熱安定性構造特異的ヌクレアーゼである。
【００４９】
別の好ましい態様において、熱安定性構造特異的ヌクレアーゼはキメラヌクレアーゼである。
【００５０】
代替的な好ましい態様において、非標的切断産物の検出法は、反応産物を電気泳動によって分離し、その後、分離された非標的切断産物を可視化することを含む。
【００５１】
別の好ましい態様において、第一、第二、および第三のオリゴヌクレオチドのうち一つまたは複数が３’末端にジデオキシヌクレオチドを含む。ジデオキシヌクレオチドを含むオリゴヌクレオチドを使用する場合、非標的切断産物の検出は、好ましくは、ａ）少なくとも１つの標識オリゴヌクレオチドが非標的切断産物の３’−ヒドロキシル基に付加されて標識された非標的切断産物が生成されるような条件下で、非標的切断産物を、鋳型非依存型ポリメラーゼ、および少なくとも１つの標識ヌクレオシド三リン酸とともにインキュベートする工程、ならびにｂ）標識された非標的切断産物の存在を検出する工程を含む。本発明は、用いられる鋳型非依存型ポリメラーゼの性質によって制限されず、一つの態様において、鋳型非依存型ポリメラーゼは、末端デオキシヌクレオチジルトランスフェラーゼ（ＴｄＴ）およびポリＡポリメラーゼからなる群より選択される選択される。ＴｄＴまたはポリＡポリメラーゼを検出工程で使用する場合には、第二のオリゴヌクレオチドは、標識ヌクレオシド三リン酸上に存在する標識とは異なる標識である５’末端標識を含むことができる。本発明は、５’末端標識の性質によって制限されず、当技術分野において、適当な５’末端標識にはさまざまななものが知られており、ビオチン、フルオレセイン、テトラクロロフルオレセイン、ヘキサクロロフルオレセイン、Ｃｙ３アミダイト、Ｃｙ５アミダイト、およびジゴキシゲニンが含まれる。
【００５２】
別の態様において、非標的切断産物の検出は、ａ）少なくとも１つのオリゴヌクレオチドが非標的切断産物の３’−ヒドロキシル基に付加されて端が尾状になった非標的切断産物が生成されるような条件下で、非標的切断産物を、鋳型非依存型ポリメラーゼ、および少なくとも１つのヌクレオシド三リン酸とともにインキュベートする工程、ならびにｂ）端が尾状になった非標的切断産物の存在を検出する工程を含む。本発明は、用いられる鋳型非依存型ポリメラーゼの性質によって制限されず、一つの態様において、鋳型非依存型ポリメラーゼは、末端デオキシヌクレオチジルトランスフェラーゼ（ＴｄＴ）およびポリＡポリメラーゼからなる群より選択される選択される。ＴｄＴまたはポリＡポリメラーゼを検出工程で使用する場合には、第二のオリゴヌクレオチドは５’末端標識を含むことができる。本発明は、５’末端標識の性質によって制限されず、当技術分野において、適当な５’末端標識にはさまざまななものが知られており、ビオチン、フルオレセイン、テトラクロロフルオレセイン、ヘキサクロロフルオレセイン、Ｃｙ３アミダイト、Ｃｙ５アミダイト、およびジゴキシゲニンが含まれる。
【００５３】
好ましい態様において、反応条件は、二価性カチオンの起源を提供することを含み、特に好適な二価性カチオンはＭｎ２＋イオンおよびＭｇ２＋イオンである。
【００５４】
本発明は、さらに、非標的切断産物を検出することによって標的核酸分子の存在を検出する方法であって、ａ）ｉ）切断手段、ｉｉ）第一の領域、第二の領域、および第三の領域を含む標的核酸であって、第一の領域が第二の領域の下流に隣接しており、第二の領域が第三の領域の下流に隣接している標的核酸の起源、ｉｉｉ）３’部位と５’部位を含む第一のオリゴヌクレオチドであって、第一のオリゴヌクレオチドの５’部位が標的核酸の第二の領域に相補的な配列を含み、第一のオリゴヌクレオチドの３’部位が標的核酸の第三の領域に相補的な配列を含む第一のオリゴヌクレオチド；ｉｖ）長さが１１個から１５個のヌクレオチドで、３’部位と５’部位を含む第二のオリゴヌクレオチドであって、第二のオリゴヌクレオチドの５’部位が標的核酸の第一の領域に相補的な配列を含み、第二のオリゴヌクレオチドの３’部位が標的核酸の第二の領域に相補的な配列を含む第三のオリゴヌクレオチドを提供する工程；ｂ）第一のオリゴヌクレオチドの少なくとも３’部位が標的核酸にアニーリングし、また、第二のオリゴヌクレオチドの少なくとも５’部位が標的核酸にアニーリングして切断構造を作出し、この切断構造の切断が生じて、それぞれが３’−ヒドロキシル基をもつ非標的切断産物が生成されるような反応条件下で、切断手段、標的核酸、第一のオリゴヌクレオチド、および第二のオリゴヌクレオチドを混合する工程、ならびにｃ）非標的切断産物を検出する工程を含む方法を提供する。好ましい態様において、切断手段は構造特異的ヌクレアーゼ、好ましくは、熱安定性構造特異的ヌクレアーゼである。
【００５５】
本発明は、標的核酸のさまざまな領域の長さにより制限されることはない。好ましい態様において、標的核酸の第二の領域は１〜５ヌクレオチドの長さである。別の好ましい態様において、第一および第二のオリゴヌクレオチドのうち一つまたは複数が、３’末端にジデオキシヌクレオチドを含む。ジデオキシヌクレオチドを含むオリゴヌクレオチドを使用する場合、非標的切断産物の検出は、好ましくは、ａ）少なくとも１つの標識オリゴヌクレオチドが非標的切断産物の３’−ヒドロキシル基に付加されて標識された非標的切断産物が生成されるような条件下で、非標的切断産物を、鋳型非依存型ポリメラーゼ、および少なくとも１つの標識ヌクレオシド三リン酸とともにインキュベートする工程、ならびにｂ）標識された非標的切断産物の存在を検出する工程を含む。本発明は、用いられる鋳型非依存型ポリメラーゼの性質によって制限されず、一つの態様において、鋳型非依存型ポリメラーゼは、末端デオキシヌクレオチジルトランスフェラーゼ（ＴｄＴ）およびポリＡポリメラーゼからなる群より選択される選択される。ＴｄＴまたはポリＡポリメラーゼを検出工程で使用する場合には、第二のオリゴヌクレオチドは、標識ヌクレオシド三リン酸上に存在する標識とは異なる標識である５’末端標識を含むことができる。本発明は、５’末端標識の性質によって制限されず、当技術分野において、適当な５’末端標識にはさまざまななものが知られており、ビオチン、フルオレセイン、テトラクロロフルオレセイン、ヘキサクロロフルオレセイン、Ｃｙ３アミダイト、Ｃｙ５アミダイト、およびジゴキシゲニンが含まれる。
【００５６】
別の態様において、非標的切断産物の検出は、ａ）少なくとも１つのオリゴヌクレオチドが非標的切断産物の３’−ヒドロキシル基に付加されて端が尾状になった非標的切断産物が生成されるような条件下で、非標的切断産物を、鋳型非依存型ポリメラーゼ、および少なくとも１つのヌクレオシド三リン酸とともにインキュベートする工程、ならびにｂ）端が尾状になった非標的切断産物の存在を検出する工程を含む。本発明は、用いられる鋳型非依存型ポリメラーゼの性質によって制限されず、一つの態様において、鋳型非依存型ポリメラーゼは、末端デオキシヌクレオチジルトランスフェラーゼ（ＴｄＴ）およびポリＡポリメラーゼからなる群より選択される選択される。ＴｄＴまたはポリＡポリメラーゼを検出工程で使用する場合には、第二のオリゴヌクレオチドは５’末端標識を含むことができる。本発明は、５’末端標識の性質によって制限されず、当技術分野において、適当な５’末端標識にはさまざまななものが知られており、ビオチン、フルオレセイン、テトラクロロフルオレセイン、ヘキサクロロフルオレセイン、Ｃｙ３アミダイト、Ｃｙ５アミダイト、およびジゴキシゲニンが含まれる。
【００５７】
本発明に係る新規の検出法は、病気または癌に関連しているか、関連している可能性のある、ヒトまたは動物由来の遺伝子などの野生型および変異型の対立遺伝子を含む標的ＤＮＡおよびＲＮＡであるが、これらに限定されない標的ＤＮＡおよびＲＮＡを検出するために用いることができる。さらに、本発明に係る方法は、細菌、真菌、原生動物、繊毛虫類、およびウイルスなど微生物の系統を検出および／または同定するために（特に、ＨＣＶなどのＲＮＡウイルスを検出および同定するために）使用することができる。
【００５８】
本発明は、さらに、核酸、特にＲＮＡを直接に検出、特徴づけ、および定量化するために設計された新規の酵素を提供する。本発明は、標的ＲＮＡ配列上に形成された特異的核酸切断構造を認識し、この核酸切断構造を部位特異的に切断して非標的切断産物を産生する酵素を提供する。本発明は、ＤＮＡおよびＲＮＡの核酸鎖を含む複合体のＤＮＡ成分を特異的に切断する改良された能力を有する酵素を提供する。
【００５９】
例えば、本発明は、核酸（例えば、ＲＮＡ）を含む構造体の切断を利用する検出アッセイ法における効率が変化する（例えば、向上する）ように、天然型のＤＮＡポリメラーゼに較べて構造が変化したＤＮＡポリメラーゼを提供する。特に、本発明に係る改変ポリメラーゼは、ＲＮＡ標的鎖を含む切断構造体（例えば、侵襲的切断構造体）のＤＮＡ成分の切断を利用する検出アッセイ法において効率の向上を示す。
【００６０】
検出アッセイ法における効率の向上は、いくつかの改良された特徴の一つまたは組み合わせによってもたらすことできる。例えば、一つの態様において、本発明に係る酵素は、特異的な標的構造の切断速度（ｋｃａｔ）が向上しているため、所定の時間内に大量の切断産物を産生することができる。別の態様において、本発明に係る酵素は、不適当または非特異的な構造を切断する活性または速度が低下している可能性がある。例えば、本発明の一定の態様において、一定の態様において、改良の一態様は、特異的な構造の切断の検出可能量と、別の構造の切断の検出可能量との間の差異が増加する点にある。従って、特異的な構造の切断の検出可能量と、別の構造の切断の検出可能量との間の差異が増加するように、天然型の酵素の速さに較べて、特異的標的構造の切断速度が低下したため、特異的な構造体の切断の検出可能量と、別の構造体の切断の検出可能量との間の差異が増加することになる酵素を提供することは、本発明の範囲に含まれる。しかし、本発明は、差異が改良される酵素に限定されることはない。
【００６１】
好ましい態様において、本発明に係る酵素は、この酵素が由来した天然型ＤＮＡポリメラーゼの活性に較べて、上記したように改変されたヌクレアーゼ活性をもち、改変された合成活性をもつＤＮＡポリメラーゼである。天然型ＤＮＡポリメラーゼの活性に較べて、ＲＮＡ標的上でのヌクレアーゼ活性の向上を示すだけでなく、合成速度の低下も示すように、ＤＮＡポリメラーゼが改変されていることが特に好ましい。合成速度が低下した酵素、およびこの酵素をコードする遺伝子については記載がある（例えば、Ｋａｉｓｅｒら、Ｊ． Ｂｉｏｌ． Ｃｈｅｍ．， ２７４： ２１３８７ ［１９９９］、Ｌｙａｍｉｃｈｅｖら、Ｐｒｏｃ． Ｎａｔｌ． Ａｃａｄ． Ｓｃｉ．， ９６：６１４３ ［１９９９］、米国特許第５，５４１，３１１号、第５，６１４，４０２号、第５，７９５，７６３号、および第６，９０９，６０６号を参照されたい。これらは参照として本明細書に組み入れられる）。本発明は、得られた５’ヌクレアーゼが合成活性を妨げることなく、ＲＮＡ検出アッセイ法において改良された効率をもつように、改変を組み合わせることを想定している。
【００６２】
本発明は、天然型のＤＮＡポリメラーゼのヌクレアーゼ活性を改変したヌクレアーゼ活性を示す、天然の配列に対して配列が変化したＤＮＡポリメラーゼをコードするＤＮＡ配列を想定している。例えば、一つの態様において、ＤＮＡ配列は、所定の時間内に大量の切断産物が産生されるよう、特異的な標的構造の切断速度（ｋｃａｔ）を向上させた酵素をコードする。別の態様において、このＤＮＡは、不適当または非特異的な構造を切断する活性または速度が低下している酵素をコードする。一定の態様において、改良の一態様は、特異的な構造の切断の検出可能量と、別の構造の切断の検出可能量との間の差異が増加する点にある。従って、特異的な構造の切断の検出可能量と、別の構造の切断の検出可能量との間の差異が増加するように、天然型の酵素の速さに較べて、特異的標的構造の切断速度が低下したため、特異的な構造体の切断の検出可能量と、別の構造体の切断の検出可能量との間の差異が増加することになる酵素をコードするＤＮＡを提供することは、本発明の範囲に含まれる。しかし、本発明は、差異を向上させるポリメラーゼに限定されることはない。
【００６３】
好ましい態様において、ＤＮＡ配列は、向上した酵素が由来した天然型ＤＮＡポリメラーゼの活性に較べて、上記の改変されたヌクレアーゼ活性をもち、改変された合成活性をもつＤＮＡポリメラーゼをコードする。コードされたＤＮＡポリメラーゼが、天然型ＤＮＡポリメラーゼの活性に較べて、ＲＮＡ標的上でのヌクレアーゼ活性の向上だけでなく、合成速度の低下も示すように改変されていることが特に好ましい。
【００６４】
本発明は、改変されたヌクレアーゼ活性を導入するために必要な改変の性質により制限されるよう想定されたものではない。また、観察された改変や改良の程度によって制限されることを想定したものでもない。ポリメラーゼが、合成が変わるようにも改変されていれば、変更されたタンパク質または未変更のタンパク質のポリメラーゼによって、または、ポリメラーゼ合成を変える改変の性質によって、本発明が制限されることを意図したものではない。
【００６５】
本発明は、中温性、好冷性、好熱性、および超好熱性の生物などであるが、これらに限定されない多様な生物源に由来する構造特異的なヌクレアーゼを想定している。好適な構造特異的ヌクレアーゼは熱安定性である。熱安定性構造特異的ヌクレアーゼは、下流プローブオリゴヌクレオチドの融解温度（Ｔｍ）付近でＩＮＶＡＤＥＲアッセイ法（米国特許第５，８４６，７１７号、第５，９８５，５５７号、第５，９９４，０６９号、第６，００１，５６７号、および第６，０９０，５４３号、ならびに国際公開公報第９７／２７２１４号および国際公開公報第９８／４２８７３号を参照されたい。なお、これらは参照として本明細書に組み入れられる）を行なうことができるようになり、切断されたプローブおよび非切断のプローブが、反応の過程で標的のサイクルをオン・オフできるようになるという点で特に有用である。一つの態様において、熱安定性構造特異的酵素は、サーマス・アクアティカス、サーマス・フラバス、サーマス・サーモフィラス、サーマス・フィリフォルミス（Ｔｈｅｒｍｕｓ ｆｉｌｉｆｏｒｍｕｓ）、およびサーマス・スコトダクタス（Ｔｈｅｒｍｕｓ ｓｃｏｔｏｄｕｃｔｕｓ）であるが、これらに限定されないサーマス種の天然型ポリメラーゼに由来する改変ポリメラーゼからなる群より選択される熱安定性５’ヌクレアーゼである。しかし、本発明は、熱安定性５’ヌクレアーゼの使用に限定されるものではない。例えば、本発明の特定の態様は、低温で標的のサイクルをオンおよびオフにすることができる短いオリゴヌクレオチドプローブを利用する。
【００６６】
いくつかの態様において、本発明は、酵素であって、異種性の機能ドメインを有し、この異種性機能ドメインが、核酸切断アッセイ法において改変された（例えば、改良された）機能性を提供する酵素を含む組成物を提供する。本発明は、核酸切断アッセイ法の性質により制限されるものではない。例えば、核酸切断アッセイ法は、酵素存在下で直接的または間接的に核酸を切断するアッセイ法を含む。特定の好ましい態様において、切断アッセイ法は、少なくとも１つのＲＮＡ成分を有する切断構造を利用する。別の特に好ましい態様において、この切断アッセイ法は、少なくとも１つのＲＮＡ成分を有する切断構造を利用し、この切断構造のＤＮＡ部分が切断される。
【００６７】
いくつかの好ましい態様において、酵素は５’ヌクレアーゼまたはポリメラーゼを含む。一定の好ましい態様において、５’ヌクレアーゼは、熱安定性５’ヌクレアーゼを含む。別の好ましい態様において、ポリメラーゼの配列が、天然のポリメラーゼよりも低いＤＮＡ合成活性を示すように、天然のポリメラーゼ配列に対して改変されている。一定の好ましい態様において、ポリメラーゼは、熱安定性ポリメラーゼ（例えば、サーマス・アクアティカス、サーマス・フラバス、サーマス・サーモフィラス、サーマス・フィリフォルミス、およびサーマス・スコトダクタスであるが、これらに限定されないサーマス種に由来するポリメラーゼ）を含む。
【００６８】
本発明は、異種性機能ドメインによって提供される改変された機能性の性質によって制限されることはない。改変の具体例には、異種性機能ドメインが、核酸切断アッセイ法において、改良されたヌクレアーゼ活性、改良された基質結合活性、および／または改良されたバックグラウンド特異性を提供するアミノ酸配列（例えば、１個または複数のアミノ酸）を含んでいる酵素があるが、これらに限定されない。
【００６９】
本発明は、異種性機能ドメインの性質によって制限されることはない。例えば、いくつかの態様において、異種性機能ドメインは、ポリメラーゼのポリメラーゼドメイン（例えば、キメラの機能ドメインの挿入によって酵素に導入されたもの、または突然変異によって作出されたもの）に由来する２個またはそれ以上のアミノ酸を含む。一定の好ましい態様において、この２個またはそれ以上のアミノ酸の少なくとも１個が、ポリメラーゼドメインのパーム（ｐａｌｍ）またはサム（ｔｈｕｍｂ）領域に由来している。本発明は、２個またはそれ以上のアミノ酸が選択されるポリメラーゼの同一性によって制限されることはない。一定の好ましい態様において、ポリメラーゼは、サーマス・サーモフィラスのポリメラーゼを含む。特に好ましい態様において、２個またはそれ以上のアミノ酸は、配列番号：１の３００〜６５０位のアミノ酸に由来する。
【００７０】
本発明に係る新規の酵素は、病気またはその他の症状に関連しているか、関連している可能性のある、ヒト、その他の動物、または植物に由来する遺伝子などの野生型および変異型の対立遺伝子を含む標的ＤＮＡおよびＲＮＡであるが、これらに限定されない標的ＤＮＡおよびＲＮＡを検出するために用いることができる。さらに、本発明に係る酵素は、細菌、真菌、原生動物、繊毛虫類、およびウイルスなど微生物の系統を検出および／または同定するために（また、特にＣ型肝炎ウイルス、およびヒト免疫不全ウイルスなどのＲＮＡゲノムをもつウイルスを検出および同定するために）使用することができる。例えば、本発明は、核酸を切断する方法であって、本発明に係る酵素、および基質核酸を提供する工程、ならびに（例えば、検出することのできる切断産物を生成させるために）基質核酸を酵素に曝露する工程を含む方法を提供する。
【００７１】
一つの態様において、本発明は、
2004521606.tif 000003
からなる群より選択されるアミノ酸配列を有する熱安定性５’ヌクレアーゼを提供する。別の態様において、この５’ヌクレアーゼは、
2004521606.tif 000004
からなる群より選択されるＤＮＡ配列によってコードされる。
【００７２】
本発明は、また、５’ヌクレアーゼをコードする塩基配列を有する組換えＤＮＡベクターであって、その塩基配列が、
2004521606.tif 000005
からなる群より選択される塩基配列である組換えＤＮＡベクターを提供する。好ましい態様において、本発明は、構造特異的ヌクレアーゼをコードする塩基配列であって、
2004521606.tif 000006
からなる群より選択される塩基配列を有するＤＮＡを含む組換えＤＮＡベクターによって形質転換された宿主細胞を提供する。本発明は、使用する宿主細胞の性質によって制限されることはない。当技術分野では、さまざまな原核生物および真核生物の宿主細胞の中で発現されうる構造特異的ヌクレアーゼをコードする塩基配列を発現させるのに適した発現ベクターがよく知られている。好ましい態様において、宿主細胞は大腸菌（Ｅｓｃｈｅｒｉｃｈｉａ ｃｏｌｉ）細胞である。
【００７３】
本発明は、天然型５’ヌクレアーゼ酵素に対して５’ヌクレアーゼを改変し、それらが、ＲＮＡを含む構造体の切断を利用する検出アッセイ法において改良された効率を示すようにする方法を提供する。特に、本発明に係る方法によって生成される改変５’ヌクレアーゼは、ＲＮＡ標的鎖を含む切断構造（例えば、侵襲的切断構造）のＤＮＡ部分の切断を利用する検出法において、改良された効率を示す。本発明に係る方法から得られる改良された５’ヌクレアーゼは、本明細書において検討されているいずれかの方法によって改良することができる。候補酵素における改良を評価する方法の例を示す。
【００７４】
例えば、本発明は、核酸切断アッセイ法において、改良された機能性をもつ改変酵素を産生する方法であって、酵素および核酸の被検基質を提供する工程、異種性機能ドメインを酵素に導入して改変酵素を産生する工程、改変酵素を核酸被検基質と接触させて切断産物を生成させる工程、ならびに切断産物を検出する工程を含む方法を提供する。いくつかの態様において、異種性機能ドメインの導入は、酵素の１個または複数のアミノ酸を変異させる工程を含む。別の態様において、酵素への異種性機能ドメインの導入は、あるタンパク質（例えば、別の酵素）由来の機能ドメインを該酵素に付加する工程（例えば、機能ドメインを該タンパク質に付加する前に、酵素の配列の一部を除去して、機能ドメインを置換する工程）を含む。好ましい態様において、核酸被検基質は切断構造を含む。特に好ましい態様において、切断構造は、ＲＮＡ標的核酸を含む。さらに別の好ましい態様において、切断構造は侵襲的切断構造を含む。
【００７５】
本発明は、また、核酸処理キットを提供する。一つの好ましい態様は、一つ以上の改良５’ヌクレアーゼを含む組成物を含むキットである。別の好ましい態様は、ａ）一つ以上の改良５’ヌクレアーゼを含む組成物、ならびにｂ）ＩＮＶＡＤＥＲオリゴヌクレオチドおよびシグナルプローブオリゴヌクレオチドを含むキットを提供する。本発明に係るキットのいくつかの態様において、改良５’ヌクレアーゼは、真性細菌種由来のＤＮＡポリメラーゼに由来する。更なる態様において、真性細菌種は好熱性である。さらに更なる態様において、サーマス属の好熱生物である。さらに更なる態様において、好熱生物は、サーマス・アクアティカス、サーマス・フラバス、サーマス・サーモフィラス、サーマス・フィリフォルミス、およびサーマス・スコトダクタスからなる群より選択される。好ましい態様において、改良５’ヌクレアーゼは、
2004521606.tif 000007
からなる群より選択されるＤＮＡによってコードされている。さらに別の好ましい態様において、キットは、核酸切断産物を検出するための試薬をさらに含む。更に好ましい態様において、核酸切断産物を検出するための試薬は、連続する侵襲的切断反応（ｓｅｑｕｅｎｔｉａｌ ｉｎｖａｓｉｖｅ ｃｌｅａｖａｇｅ ｒｅａｃｔｉｏｎ）において使用するオリゴヌクレオチドを含む（例えば、米国特許第５，９９４，０６９号を参照されたい）。特に好ましい態様において、連続する侵襲的切断反応において使用する試薬は、蛍光共鳴エネルギー転移（ＦＲＥＴ）効果を生じさせる成分で標識されたプローブを含む。
【００７６】
本発明は、また、核酸を処理する方法であって、ａ）マンガンを含む溶液中のエンドヌクレアーゼを含む第一の構造特異的ヌクレアーゼ、および核酸基質を提供する工程、ｂ）基質が実質的に一本鎖となるよう、核酸基質を高温で処理する工程、ｃ）一本鎖の基質が１個または複数の切断構造を形成するような条件下で温度を下げる工程、ｄ）切断手段を切断構造と反応させて、１個または複数の切断産物を生成させる工程、ならびにｅ）１個または複数の切断産物を検出する工程を含む方法を提供する。本方法のいくつかの態様において、エンドヌクレアーゼは、ＣＬＥＡＶＡＳＥ ＢＮ酵素、サーマス・アクアティカスのＤＮＡポリメラーゼ、サーマス・サーモフィラスのＤＮＡポリメラーゼ、大腸菌Ｅｘｏ ＩＩＩ、およびサッカロマイセス・セレビシエ（Ｓａｃｃｈａｒｏｍｙｃｅｓ ｃｅｒｅｖｉｓｉａｅ）のＲａｄ１／Ｒａｄ１０複合体であるが、これらに限定されない。さらに別の態様において、ヌクレアーゼは、熱安定性ＤＮＡポリメラーゼに由来する５’ヌクレアーゼであって、野生型ＤＮＡポリメラーゼのＤＮＡ合成活性よりも低い活性を示すが、野生型ＤＮＡポリメラーゼの５’ヌクレアーゼと同一の活性を保持している５’ヌクレアーゼである。さらに別の態様において、核酸は、ＲＮＡおよびＤＮＡからなる群より選択される。更なる態様において、工程（ａ）の核酸は二本鎖である。
【００７７】
また、本発明は、核酸処理キットであって、ａ）少なくとも１つの精製ＦＥＮ−１エンドヌクレアーゼを含む組成物、およびｂ）マンガンを含む溶液を含むキットを提供する。キットのいくつかの態様において、精製ＦＥＮ−１エンドヌクレアーゼは、ピロコッカス・ウォエセイ（Ｐｙｒｏｃｏｃｃｕｓ ｗｏｅｓｅｉ）ＦＥＮ−１エンドヌクレアーゼ、ピロコッカス・フリオサス（Ｐｙｒｏｃｏｃｃｕｓ ｆｕｒｉｏｓｕｓ）ＦＥＮ−１エンドヌクレアーゼ、メタノコッカス・ヤンナシイ（Ｍｅｔｈａｎｏｃｏｃｃｕｓ ｊａｎｎａｓｃｈｉｉ）ＦＥＮ−１エンドヌクレアーゼ、メタノバクテリウム・サーモオートトロフィカム（Ｍｅｔａｎｏｂａｃｔｅｒｉｕｍ ｔｈｅｒｍｏａｕｔｏｔｒｏｐｈｉｃｕｍ）ＦＥＮ−１エンドヌクレアーゼ、アルカエグロブス・フルギダス（Ａｒｃｈａｅｏｇｌｏｂｕｓ ｆｕｌｇｉｄｕｓ）ＦＥＮ−１、スルフォロバス・ソルファタリカス（Ｓｕｌｆｏｌｏｂｕｓ ｓｏｌｆａｔａｒｉｃｕｓ）、ピロバクラム・アエロフィルム（Ｐｙｒｏｂａｃｕｌｕｍ ａｅｒｏｐｈｉｌｕｍ）、テルモコッカス・リトラリス（Ｔｈｅｒｍｏｃｏｃｃｕｓ ｌｉｔｏｒａｌｉｓ）、アルカエグロブス・ベネフィカス（Ａｒｃｈａｅｇｌｏｂｕｓ ｖｅｎｅｆｉｃｕｓ）、アルカエグロブス・プロフンダス（Ａｒｃｈａｅｇｌｏｂｕｓ ｐｒｏｆｕｎｄｕｓ）、アシディアヌス・ブリエルリイ（Ａｃｉｄｉａｎｕｓ ｂｒｉｅｒｌｙｉ）、アシディアヌス・アムビバレンス（Ａｃｉｄｉａｎｕｓ ａｍｂｉｖａｌｅｎｓ）、デスルフォロコッカス・アミロリティカス（Ｄｅｓｕｌｆｕｒｏｃｏｃｃｕｓ ａｍｙｌｏｌｙｔｉｃｕｓ）、デスルフォロコッカス・モビリス（Ｄｅｓｕｌｆｕｒｏｃｏｃｃｕｓ ｍｏｂｉｌｉｓ）、ピロディクティウム・ブロキイ（Ｐｙｒｏｄｉｃｔｉｕｍ ｂｒｏｃｋｉｉ）、テルモコッカス・ゴルゴナリウス（Ｔｈｅｒｍｏｃｏｃｃｕｓ ｇｏｒｇｏｎａｒｉｕｓ）、テルモコッカス・ジルリギイ（Ｔｈｅｒｍｏｃｏｃｃｕｓ ｚｉｌｌｉｇｉｉ）、メタノピラス・カンドレリ（Ｍｅｔｈａｎｏｐｙｒｕｓ ｋａｎｄｌｅｒｉ）、メタノコッカス・イグネウス（Ｍｅｔｈａｎｏｐｙｒｕｓ ｉｇｎｅｕｓ）、ピロコッカス・ホリコシイ（Ｐｙｒｏｃｏｃｃｕｓ ｈｏｒｉｋｏｓｈｉｉ）、アエロピルム・ペルニクス（Ａｅｒｏｐｙｒｕｍ ｐｅｒｎｉｘ）、およびキメラＦＥＮ−１エンドヌクレアーゼからなる群より選択される。別の態様において、キットは、さらに、少なくとも１つの第二の構造特異的ヌクレアーゼを含む。いくつかの態様において、第二の構造特異的ヌクレアーゼは、熱安定性ＤＮＡポリメラーゼに由来する５’ヌクレアーゼであって、野生型ＤＮＡポリメラーゼのＤＮＡ合成活性よりも低い活性を示すが、野生型ＤＮＡポリメラーゼの５’ヌクレアーゼと同一の活性を保持している５’ヌクレアーゼである。キットのさらに別の態様において、第二のヌクレアーゼのアミノ酸配列の一部は、サーマス属の高熱生物種に由来する熱安定性ＤＮＡポリメラーゼのアミノ酸配列の一部に相同的である。更なる態様において、高熱生物種は、サーマス・アクアティカス、サーマス・フラバス、およびサーマス・サーモフィラスからなる群より選択される。さらに別の好ましい態様において、キットは、さらに、切断産物を検出するための試薬を含む。
【００７８】
本発明は、さらに、スルフォロバス・ソルファタリカス、ピロバクラム・アエロフィルム、テルモコッカス・リトラリス、アルカエグロブス・ベネフィカス、アルカエグロブス・プロフンダス、アシディアヌス・ブリエルリイ、アシディアヌス・アムビバレンス、デスルフォロコッカス・アミロリティカス、デスルフォロコッカス・モビリス、ピロディクティウム・ブロキイ、テルモコッカス・ゴルゴナリウス、テルモコッカス・ジルリギイ、メタノピラス・カンドレリ、メタノコッカス・イグネウス、ピロコッカス・ホリコシイ、およびアエロピルム・ペルニクスのエンドヌクレアーゼを含むエンドヌクレアーゼとともに用いられる、本明細書記載の組成物、混合物、方法、およびキットを提供する。これらは、生物由来の精製ＦＥＮ−１エンドヌクレアーゼ（本明細書が提供する配列によって記述された特異的エンドヌクレアーゼ、また、変異体および相同体など）を含む組成物、これらの組成物を含むキット、これらの生物由来のエンドヌクレアーゼの少なくとも一部を含むキメラエンドヌクレアーゼを含む組成物、このような組成物を含むキット、これらの生物（ベクターおよび宿主細胞を含む）に由来するエンドヌクレアーゼをコードする核酸を含む組成物、このような組成物を含むキット、エンドヌクレアーゼに対する抗体、これらの生物に由来するエンドヌクレアーゼを含む混合物、エンドヌクレアーゼを切断アッセイ法（例えば、侵襲的切断アッセイ法、ＣＦＬＰなど）で使用する方法、および、このような方法に有用な構成要素を含むキットを含む。これらのエンドヌクレアーゼの作成、構造、使用、および特徴づけを説明する例を本明細書に示す。
【００７９】
本発明は、本明細書に開示した方法および酵素を改良する方法も提供する。例えば、本発明は、何らかの目的（例えば、切断反応に使用する、増幅反応、結合反応、またはその他の使用）で酵素を改良する方法であって、本明細書に開示した酵素を提供し、その酵素を改変する（例えば、アミノ酸配列を変更する、配列を付加または削減する、翻訳後修飾を付加する、生物のものであると否とを問わず他の成分を付加する、または、他の改変をする）工程を含む方法を提供する。同様に、本発明は、本明細書に開示した方法を改良する方法であって、一つまたは複数の変更を加えて（例えば、本方法で提供される組成物を変更する、工程の順序を変える、または工程を追加または省略する）、本方法の工程を行なうことを含む方法も提供する。
【００８０】
検出アッセイ法における改良された効率は、いくつかの改良された特徴のいずれか、またはそれらを組み合わせることから生じる。例えば、一つの態様において本発明に係る酵素は、所定の時間内に大量の切断産物が産生されるよう、特異的な標的構造の切断速度（ｋｃａｔ）を向上させている。別の態様において、本発明に係る酵素は、不適当または非特異的な構造を切断する活性または速度が低下している。例えば、本発明の一定の態様において、改良の一態様は、特異的な構造の切断の検出可能量と、別の構造の切断の検出可能量との間の差異が増加する点にある。従って、特異的な構造の切断の検出可能量と、別の構造の切断の検出可能量との間の差異が増加するように、天然型の酵素の速さに較べて、特異的標的構造の切断速度が低下したため、特異的な構造の切断の検出可能量と、別の構造の切断の検出可能量との間の差異が増加することになる酵素を提供することは、本発明の範囲に含まれる。しかし、本発明は、差異が改良されている酵素に限定されるものではない。
【００８１】
いくつかの好ましい態様において、本発明は、酵素であって、異種性の機能ドメインを有し、この異種性機能ドメインが、核酸切断アッセイ法において改変された（例えば、改良された）機能性を提供する酵素を含む組成物を提供する。本発明は、核酸切断アッセイ法の性質により制限されるものではない。例えば、核酸切断アッセイ法は、酵素存在下で直接的または間接的に核酸を切断するアッセイ法を含む。特定の好ましい態様において、切断アッセイ法は、少なくとも１つのＲＮＡ成分を有する切断構造を利用する。別の特に好ましい態様において、この切断アッセイ法は、少なくとも１つのＲＮＡ成分を有する切断構造を利用し、この切断構造のＤＮＡ部分が切断される。
【００８２】
本発明は、異種性機能ドメインによって提供される改変された機能性の性質によって制限されることはない。改変の具体例には、異種性機能ドメインが、核酸切断アッセイ法において、改良されたヌクレアーゼ活性、改良された基質結合活性、および／または改良されたバックグラウンド特異性を提供するアミノ酸配列（例えば、１個または複数のアミノ酸）を含んでいる酵素があるが、これらに限定されない。
【００８３】
本発明は、異種性機能ドメインの性質によって制限されることはない。例えば、いくつかの態様において、異種性機能ドメインは、ポリメラーゼのポリメラーゼドメイン（例えば、キメラの機能ドメインの挿入によって酵素に導入されたもの、または突然変異によって作出されたもの）に由来する２個またはそれ以上のアミノ酸を含む。一定の好ましい態様において、この２個またはそれ以上のアミノ酸の少なくとも１個が、ポリメラーゼドメインのパームまたはサム領域に由来している。本発明は、２個またはそれ以上のアミノ酸が選択されるポリメラーゼの同一性によって制限されることはない。一定の好ましい態様において、ポリメラーゼは、サーマス・サーモフィラスのポリメラーゼを含む。特に好ましい態様において、２個またはそれ以上のアミノ酸は、配列番号：１の３００〜６５０位のアミノ酸に由来する。
【００８４】
本発明に係る新規の酵素は、病気またはその他の症状に関連しているか、関連している可能性のある、ヒト、その他の動物、または植物に由来する遺伝子などの野生型および変異型の対立遺伝子を含む標的ＤＮＡおよびＲＮＡであるが、これらに限定されない標的ＤＮＡおよびＲＮＡを検出するために用いることができる。さらに、本発明に係る酵素は、細菌、真菌、原生動物、繊毛虫類、およびウイルスを含む微生物の系統を検出および／または同定するために（また、特にＣ型肝炎ウイルス、およびヒト免疫不全ウイルスなどのＲＮＡゲノムをもつウイルスを検出および同定するために）使用することができる。例えば、本発明は、核酸を切断する方法であって、本発明に係る酵素、および基質核酸を提供する工程、ならびに（例えば、検出することのできる切断産物を生成させるために）基質核酸を酵素に曝露する工程を含む方法を提供する。いくつかの態様において、基質となる核酸は、細胞可溶化物の中に存在する。
【００８５】
本発明は、また、標的核酸配列の存在を検出する方法であって、ＲＮＡ標的核酸を含む侵襲的切断構造を切断する工程、ならびに侵襲的切断構造が切断されたことを検出する工程を含む方法を提供する。このようなアッセイ法は、多数の侵襲的切断構造が切断される多重アッセイ法を含む。このような構造には、異なる標的核酸上に形成された構造、また、試料の標的核酸の異なる位置に形成された構造などがある。いくつかの態様において、標的核酸は、第一の領域と、第一の領域の下流に連続して存在する第二の領域とを含む。いくつかの態様において、侵襲的切断構造は、標的核酸、第一のオリゴヌクレオチド、および第二のオリゴヌクレオチドを含み、この第一のオリゴヌクレオチドの少なくとも一部が、第一の標的核酸の第一の領域に完全に相補的であり、また、第二のオリゴヌクレオチドが３’部位と５’部位を含み、この５’部位が、標的核酸の該第二の領域に完全に相補的である。いくつかの態様において、第二のオリゴヌクレオチドの３’部位は、該標的核酸に相補的でない３’末端ヌクレオチド値を含む。いくつかの態様において、第二のオリゴヌクレオチドの３’部位は、標的核酸に相補的でない単一のヌクレオチドを含む。いくつかの態様において、本方法は、さらに、非標的切断産物を含む第二の侵襲的切断構造を形成させる工程、および第二の侵襲的切断構造を切断する工程を含む。いくつかの態様において、侵襲的切断構造または第二の侵襲的切断構造は、配列番号：７０９〜２６４０からなる群より選択される配列を含むオリゴヌクレオチドを含む。別の態様において、侵襲的切断構造または第二の侵襲的切断構造は、配列番号：１６９〜２１１および６１９〜７０６からなる群より選択される配列を含むオリゴヌクレオチドを含む。いくつかの好ましい態様において、標的核酸は、チトクロームＰ４５０ ＲＮＡまたはサイトカインＲＮＡを含む。いくつかの態様において、標的核酸の第一の領域または第二の領域は、スプライス部位、エクソン（またはその一部）、またはイントロン（またはその一部）を含む。いくつかの態様において、ＲＮＡ標的核酸は、細胞可溶化物中に提供される。いくつかの態様において、第一のオリゴヌクレオチドは第二のオリゴヌクレオチドに共有結合している。このようなオリゴヌクレオチドは、例えば、米国特許第５，７１４，３２０号および第５，８５４，０３３号に記載された方法に使用することができる。これらの文献は、その全体が参照として本明細書に組み入れられる。本発明は、また、上記方法で使用される１個または複数の構成要素を含むキットも提供する。
【００８６】
定義
本発明を理解しやすくするため、いくつかの用語と語句を以下に定義する。
【００８７】
本明細書において、「相補的」または「相補性」という用語は、塩基対合法則によって関連をもつポリヌクレオチド（すなわち、オリゴヌクレオチドまたは標的核酸などのヌクレオチドの配列）を意味する。例えば、「５’−Ａ−Ｇ−Ｔ−３’」という配列には、「３’−Ｔ−Ｃ−Ａ−５’」という配列が相補的である。相補性は、「部分的」なこともあり、核酸の塩基のいくつかだけが、塩基対合法則にしたがって適合する。または、核酸の間には「完全」または「全面的」相補性があることもある。核酸鎖間の相補性の程度は、核酸鎖間のハイブリダイゼーションの効率および強度に重大な影響を及ぼす。このことは、とりわけ、増幅反応、また、核酸間の結合に依存する検出法において重要である。どちらの用語も、特に、ポリヌクレオチドというつながりの中で各ヌクレオチドを意味することもある。例えば、オリゴヌクレオチド中の特定のヌクレオチドが、残りのオリゴヌクレオチドと核酸鎖の間にある相補性と対照または比較して、別の核酸鎖中のヌクレオチドに対して相補性があるかないか注目されることがある。別のヌクレオチド類似体との（例えば、ＩｓｏＣ／ＩｓｏＧ）、または天然のヌクレオチドとの（例えば、米国特許第５，９１２，３４０号に記載の通り。本文献は、その全体が参照として本明細書に組み入れられる）普通でない塩基対合を形成させるために使用されるヌクレオチド類似体も、この定義の意味する範囲内で、塩基対合する相手に対して相補的であると考えられる。
【００８８】
「相同性」および「相同的」という用語は、一致する程度を意味する。部分的相同性と完全な相同性がありうる。部分的に相同な配列は、もう一つの配列と１００％未満の同一性を有する。
【００８９】
本明細書において、「ハイブリダイゼーション」という用語は、相同的な核酸の対合を意味するために用いられる。ハイブリダイゼーションおよびハイブリダイゼーションの強度（すなわち、核酸間での会合の強さ）は、核酸間の相補性の程度、用いられるストリンジェンシー、および形成されたハイブリッドのＴｍによって影響される。「ハイブリダイゼーション」法は、一つの核酸を別の相補的な核酸、すなわち、相補的な塩基配列を有する核酸にアニーリングさせることを含む。相補配列を含む２つの核酸ポリマーが互いを認識し、塩基対合相互作用によってアニーリングすることはよく知られている現象である。ＭａｒｍｕｒおよびＬａｎｅ， Ｐｒｏｃ． Ｎａｔｌ． Ａｃａｄ． Ｓｃｉ． ＵＳＡ， ４６： ４５３ （１９６０）およびＤｏｔｙら、Ｐｒｏｃ． Ｎａｔｌ． Ａｃａｄ． Ｓｃｉ． ＵＳＡ， ４６： ４６１ （１９６０）により最初に発見された「ハイブリダイゼーション」現象は、その後精緻化されて現代生物学の重要なツールとなっている。
【００９０】
相補性については、診断に応用するときに、ハイブリダイゼーションが完全な相補性を示すか部分的な相補性を示すかを判定することが重要なことがある。例えば、病原生物（例えば、ウイルス、細菌、真菌、マイコプラズマ、原生動物）のＤＮＡの有無を単に検出したい場合には、そのハイブリダイゼーション法によって、関係する配列が存在するときには確実にハイブリダイゼーションが起きることだけが重要であって、部分的相補プローブおよび完全相補プローブがハイブリダイズする条件を選択することができる。しかし、別の診断への応用場面では、ハイブリダイゼーション法によって部分的相補性と完全な相補性を区別する必要があるかもしれない。遺伝子多型を検出することが目的のこともあると思われる。例えば、ヒトのヘモグロビンは、一部、４本のポリペプチド鎖から構成されている。これらの鎖のうち２本は、１４１アミノ酸の同一の鎖（アルファ鎖）、２本は１４６アミノ酸の同一の鎖（ベータ鎖）である。ベータ鎖をコードする遺伝子は多型を示すことが知られている。正常な対立遺伝子は、第６位にグルタミン酸をもつベータ鎖をコードしている。変異対立遺伝子は、第６位にバリンをもつベータ鎖をコードする。このアミノ酸の違いは、臨床上、鎌形赤血球貧血症として知られる重大な生理学的作用を与える（この変異遺伝子がホモ接合であるときもっとも重大である）。アミノ酸変異の遺伝的基礎は、正常な遺伝子ＤＮＡの配列と変異遺伝子のＤＮＡ配列との間に一塩基の違いがあることに関係する。
【００９１】
本明細書において、核酸配列の相補とは、一方の配列の５’末端と他方の配列の３’末端を対合するようを整列させたとき、オリゴヌクレオチドが「逆平行に会合」すること意味する。天然の核酸には普通存在しない特定の塩基を、本発明に係る核酸に含ませることができ、それらには、例えば、イノシンおよび７−デアザグアニンが挙げられる。相補性は必ずしも完全なものである必要はなく、安定した二本鎖が、ミスマッチした塩基や全く対合しない塩基を含むこともある。核酸技術分野の当業者は、例えば、オリゴヌクレオチドの長さ、オリゴヌクレオチドの塩基組成や配列、イオン強度、およびミスマッチ塩基対合の発生率などの変数を考慮して、経験的に二本鎖の安定性を判定することができる。
【００９２】
本明細書において、「Ｔｍ」という用語は「融解温度」を意味する。融解温度とは、二本鎖核酸分子の集団の半分が一本鎖に解離する温度である。核酸のＴｍを計算する等式が当技術分野においていくつか知られている。標準的な参考文献によれば、核酸が１ Ｍ ＮａＣｌの水溶液に入っているとき、Ｔｍ値を簡単に推定するには、Ｔｍ＝８１．５＋０．４１（％Ｇ＋Ｃ）という等式によって計算すればよい（「核酸のハイブリダイゼーション（Ｎｕｃｌｅｉｃ Ｈｙｂｒｉｄｉｚａｔｉｏｎ）」（１９８５）におけるＡｎｄｅｒｓｏｎおよびＹｏｕｎｇの定量的フィルターハイブリダイゼーション（Ｑｕａｎｔｉｔａｔｉｖｅ Ｆｉｌｔｅｒ Ｈｙｂｒｉｄｉｚａｔｉｏｎ）の項を参照されたい）。この他の参考文献（例えば、Ａｌｌａｗｉ， Ｈ．Ｔ．およびＳａｎｔａＬｕｃｉａ， Ｊ．， Ｊｒ．「ＤＮＡにおける内部Ｇ．ミスマッチの熱力学およびＮＭＲ（Ｔｈｅｒｍｏｄｙｎａｍｉｃｓ ａｎｄ ＮＭＲ ｏｆ ｉｎｔｅｒｎａｌ Ｇ．Ｔ ｍｉｓｍａｔｃｈｅｓ ｉｎ ＤＮＡ）」、Ｂｉｏｃｈｅｍｉｓｔｒｙ ３６， １０５８１−９４ （１９９７））には、Ｔｍを計算するために、配列の特徴だけでなく、構造や周囲の条件も考慮したより洗練された計算法が記載されている。
【００９３】
本明細書において、「ストリンジェンシー」とは、ハイブリダイゼーションを行なう条件の温度、イオン強度、および他の化合物の存在を意味する。「高いストリンジェントな」条件では、相補的な塩基配列の頻度が高い核酸断片の間でのみ核酸の塩基対合が起こる。従って、互いに完全には相補的でない核酸をハイブリダイズまたはアニーリングさせたいときには「弱い」または「低い」ストリンジェンシーが必要とされることが多い。
【００９４】
核酸のハイブリダイゼーションについて用いられる「高ストリンジェントな条件」とは、長さ約５００ヌクレオチドのプローブを使用するときには、５×ＳＳＰＥ（４３．８ ｇ／ｌ ＮａＣｌ、６．９ ｇ／ｌ ＮａＨ２ＰＯ４Ｈ２Ｏ、および１．８５ ｇ／ｌ ＥＤＴＡ、ＮａＯＨでｐＨ ７．４に調整したもの）、０．５％ ＳＤＳ、５×デンハルト（Ｄｅｎｈａｒｄｔ）試薬、および１００μｇ／ｍｌの変性サケ精子ＤＮＡを含む溶液中で４２℃で結合またはハイブリダイズさせ、その後、０．１×ＳＳＰＥ、１．０％ ＳＤＳを含む溶液中、４２℃で洗浄するのと同等な条件を含む核酸ハイブリダイゼーションを意味する。
【００９５】
核酸のハイブリダイゼーションについて用いられる「中度のストリンジェントな条件」とは、長さ約５００ヌクレオチドのプローブを使用するときには、５×ＳＳＰＥ（４３．８ ｇ／ｌ ＮａＣｌ、６．９ ｇ／ｌ ＮａＨ２ＰＯ４Ｈ２Ｏ、および１．８５ ｇ／ｌ ＥＤＴＡ、ＮａＯＨでｐＨ ７．４に調整したもの）、０．５％ ＳＤＳ、５×デンハルト試薬、および１００μｇ／ｍｌの変性サケ精子ＤＮＡを含む溶液中で４２℃で結合またはハイブリダイズさせ、その後、１．０×ＳＳＰＥ、１．０％ ＳＤＳを含む溶液中、４２℃で洗浄するのと同等な条件を含む核酸ハイブリダイゼーションを意味する。
【００９６】
「低ストリンジェントな条件」とは、長さ約５００ヌクレオチドのプローブを使用するときには、５×ＳＳＰＥ（４３．８ ｇ／ｌ ＮａＣｌ、６．９ ｇ／ｌ ＮａＨ２ＰＯ４Ｈ２Ｏ、および１．８５ ｇ／ｌ ＥＤＴＡ、ＮａＯＨでｐＨ ７．４に調整したもの）、０．１％ ＳＤＳ、５×デンハルト試薬［５０×デンハルト試薬は、５００ ｍｌ当たり、フィコール（Ｆｉｃｏｌｌ： タイプ４００、ファルマシア（Ｐｈａｒｍａｃｉａ））５ ｇ、ＢＳＡ（第Ｖ画分；シグマ（Ｓｉｇｍａ））５ ｇを含む］、および１００ ｇ／ｍｌの変性サケ精子ＤＮＡを含む溶液中で４２℃で結合またはハイブリダイズさせ、その後、５×ＳＳＰＥ、０．１％ ＳＤＳを含む溶液中、４２℃で洗浄するのと同等な条件を含む核酸ハイブリダイゼーションを意味する。
【００９７】
「遺伝子」という用語は、非コード機能をもつＲＮＡ（例えば、リボソームＲＮＡまたはトランスファーＲＮＡ）、ポリペプチド、または前駆体を産生するのに必要な対照用配列およびコード配列を含むＤＮＡ配列を意味する。完全長のコード配列、または、所望の活性が保持する限りにおいて、コード配列の一部は、ＲＮＡまたはポリペプチドをコードすることができる。
【００９８】
「野生型」という用語は、天然の起源から単離されたときに、ある遺伝子または遺伝子産物の特徴をもつ遺伝子または遺伝子産物を意味する。野生型遺伝子は、集団の中で最も頻繁に見られる遺伝子であるために、任意で「正常」型あるいは「野生」型の遺伝子と名付けられたものである。これに対し、「改変」、「変異」または「多型性」という用語は、野生型の遺伝子または遺伝子産物に較べると、配列および／または機能特性に変化（すなわち、特徴の変化）を示す遺伝子または遺伝子産物を意味する。天然の変異体を単離することができることに留意されたい。すなわち、これらの変異体は、野生型の遺伝子または遺伝子産物に較べて特徴が変化しているという事実によって特徴付けられる。
【００９９】
本明細書において、「組換えＤＮＡベクター」という用語は、所望の異種性配列を含むＤＮＡ配列を意味する。例えば、この用語は、発現される配列、または、発現産物をコードする配列だけに使用されるものではないが、いくつかの態様において、異種性配列とは、コード配列、または、宿主生物においてコード配列を複製するのに必要か、もしくは特定の宿主生物において機能的に結合しているコード配列を発現させるのに必要とされる適当な配列のことである。原核生物での発現に必要なＤＮＡ配列には、プロモーター、任意で、オペレーター配列、リボソーム結合部位、および場合によっては他の配列などが挙げられる。真核細胞は、プロモーター、ポリアデニル化シグナル、およびエンハンサーを利用することが知られている。
【０１００】
本明細書において、「ＬＴＲ」という用語は、プロウイルス（すなわち、組み込まれたレトロウイルス）の各末端における長い末端反復配列を意味する。ＬＴＲは、転写調節因子、ポリアデニル化シグナル、およびウイルスゲノムの複製および組み込みに必要となる配列など多数の調節シグナルを含む。ウイルスのＬＴＲは、Ｕ３、Ｒ、およびＵ５と呼ばれる３つの領域に分けられる。
【０１０１】
Ｕ３領域は、エンハンサー因子とプロモーター因子を含む。Ｕ５領域は、ポリアデニル化シグナルを含む。Ｒ（反復）領域は、Ｕ３領域とＵ５領域を分離し、ウイルスＲＮＡの５’末端と３’末端には、Ｒ領域を転写した配列が現れる。
【０１０２】
本明細書において、「オリゴヌクレオチド」という用語は、２個またはそれ以上のデオキシリボヌクレオチドまたはリボヌクレオチドであって、好ましくは少なくとも５個のヌクレオチド、より好ましくは少なくとも約１０〜１５個のヌクレオチド、より好ましくは少なくとも約１５〜３０個のヌクレオチドを含む分子と定義される。正確な長さは多くの要素によって決まり、さらには、最終的な機能またはオリゴヌクレオチド使用法によって決まる。オリゴヌクレオチドは、化学合成、ＤＮＡ複製、逆転写、ＰＣＲ、またはこれらを組み合わせた方法などのいかなる方法で作成してもよい。
【０１０３】
モノヌクレオチドは、その五員環の５’リン酸が、ホスホジエステル結合によって、一つの方向にその隣にある３’酸素に結合するよう反応してオリゴヌクレオチドを作り、その一方の端の５’リン酸が、モノヌクレオチドの五員環の３’酸素に結合していなければ、その端を「５’末端」といい、オリゴヌクレオチドの３’酸素が、その後ろにモノヌクレオチドの五員環の５’リン酸を結合していなければ「３’末端」という。本明細書において、核酸配列は、長いオリゴヌクレオチドの内部のものであっても、５’末端と３’末端をもつと言える。核酸鎖上の最初の領域をもう一方の領域の上流という。
【０１０４】
２つの異なった重複のないオリゴヌクレオチドが一つの直鎖状相補的核酸配列の異なった領域にアニーリングし、一方のオリゴヌクレオチドの３’末端が他方の５’末端の方向を指しているとき、前者を「上流側」オリゴヌクレオチドと呼び、後者を「下流側」オリゴヌクレオチドと呼ぶ。同様に、２つの重複をもつオリゴヌクレオチドが一つの直鎖状相補的核酸配列にハイブリダイズして、第一のオリゴヌクレオチドの５’末端が、第二のオリゴヌクレオチドの５’末端の上流になり、第一のオリゴヌクレオチドの３’末端が、第二のオリゴヌクレオチドの３’末端の上流になるときには、第一のオリゴヌクレオチドを「上流側」オリゴヌクレオチドと呼び、第二のオリゴヌクレオチドを「下流側」オリゴヌクレオチドと呼ぶ。
【０１０５】
「プライマー」という用語は、プライマー伸長が開始される条件下に置かれると、合成開始点として機能することができるオリゴヌクレオチドを意味する。オリゴヌクレオチド「プライマー」は、制限酵素消化され精製されたオリゴヌクレオチドのように天然型のものであってもよく、合成によって作成されたものであってもよい。
【０１０６】
プライマーは、鋳型の特定の配列を有する鎖に「実質的に」相補的なものを選択することができる。プライマーは、鋳型鎖にハイブリダイズしてプライマー伸長を生じさせる程度に相補的でなければならない。プライマー配列は、鋳型配列を正確に反映する必要はない。例えば、プライマーの５’末端に非相補的なヌクレオチド断片が付着していて、残りのプライマー配列が鋳型鎖に実質的に相補的なものでもよい。プライマー配列が鋳型鎖にハイブリダイズして、プライマー伸長産物を合成させるために鋳型とプライマーの複合体を形成させる程度に相補的であれば、非相補的な塩基またはより長い配列をプライマーの中に散在させることができる。
【０１０７】
本明細書において、「標識」という用語は、検出可能な（好ましくは、定量化できる）効果を提供するために使用できる原子または分子で、核酸またはタンパク質に結合することのできるものを意味する。標識には、色素；３２Ｐなどの放射性標識；ビオチンなどの結合成分；ジゴキシゲニンなどのハプテン；発光性、リン光性、および蛍光発生性の成分；および蛍光性色素のみ、または蛍光共鳴エネルギー転移（ＦＲＥＴ）によって発光スペクトルを抑制またはシフトさせることができる成分と併用したものなどがあるが、これらに限定されない。標識は、蛍光、放射能、比色定量、重量測定、Ｘ線回折もしくは吸収、磁性、酵素活性などによって検出可能なシグナルを提供することができる。標識は、電荷を帯びた成分（正または負の電荷）、あるいは、電荷が中性であってもよい。標識は、標識を含む配列が検出可能でありさえすれば、核酸またはタンパク質の配列を含むか、またはそれらからなるものでもよい。
【０１０８】
本明細書において、「シグナル」という用語は、標識またはアッセイ反応によって生じるか、または提供されると考えられるものなどの、検出可能な作用を意味する。
【０１０９】
本明細書において、「検出装置」という用語は、例えば、機器（例えば、カメラ、蛍光測定器、電荷結合素子、シンチレーションカウンターなど）または反応媒体（Ｘ線またはカメラのフィルム、ｐＨ指示器など）などの装置または装置の構成要素であって、使用者、またはある装置の別の部分（例えば、コンピュータまたは制御装置）にシグナルまたは作用の存在を伝えることができる装置を意味する。検出装置は、紫外線、蛍光または化学発光などの可視光または赤外線を検出することができる光学測定装置または分光光学測定装置；放射線検出装置；核磁気共鳴分光、質量分析、または表面増強ラマン分光分析などの分光装置；ゲルまたはキャピラリー電気泳動などの装置、またはゲル排除クロマトグラフィー；もしくは、その他、当技術分野において既知の検出装置、またはこれらを組み合わせたものでもよい。
【０１１０】
本明細書において、「切断構造」という用語は、少なくとも１つのプローブオリゴヌクレオチドと標的核酸の相互作用によって形成される構造であって、二本鎖を含み、形成された構造が、酵素などの切断因子によって切断可能なものを意味する。切断構造とは、二次構造には関係なく（すなわち、二本鎖構造の形成は必要でない）核酸分子を切断するホスホジエステラーゼなどの因子による非特異的切断の基質となる核酸分子とは異なり、切断手段によって特異的切断される基質である。
【０１１１】
本明細書において、「折り畳まれた切断構造」という用語は、二次構造を含む一本鎖核酸基質の領域であって、酵素的切断手段によって切断可能な領域を意味する。切断構造とは、二次構造には関係なく（すなわち、二本鎖構造の形成は必要でない）核酸分子を切断するホスホジエステラーゼなどの因子による非特異的切断の基質となる核酸分子とは異なり、切断手段によって特異的切断される基質である。
【０１１２】
本明細書において、「折り畳まれた標的」という用語は、少なくとも１つの二次構造領域（すなわち、核酸の一本鎖の中における少なくとも１つの二本鎖領域、および少なくとも１つの一本鎖領域）を含む核酸鎖を意味する。
【０１１３】
本明細書において、「切断手段」または「切断因子」という用語は、切断構造を切断することができる何らかの手段であって、酵素を含むが、それに限定されない。切断手段には、５’ヌクレアーゼ活性を有する天然型ＤＮＡＰ（例えば、Ｔａｑ ＤＮＡポリメラーゼ、大腸菌ＤＮＡポリメラーゼＩ）などがあるが、具体的には、５’ヌクレアーゼ活性を有するが、合成活性をもたない改変ＤＮＡＰなどである。「構造特異的ヌクレアーゼ」または「構造特異的酵素」とは、核酸分子における特異的な二次構造を認識してこれらの構造を切断する酵素である。本発明に係る切断手段は、切断構造の形成に反応して核酸分子を切断するが、切断構造内の特別な位置にある切断構造を切断する必要はない。
【０１１４】
切断手段は、５’ヌクレアーゼ活性だけをもつ酵素に限定されることはない。切断手段は、ＣＬＥＡＶＡＳＥ酵素、ＦＥＮ−１エンドヌクレアーゼ（ＲＡＤ２およびＸＰＧタンパク質を含む）、Ｔａｑ ＤＮＡポリメラーゼ、および大腸菌ＤＮＡポリメラーゼＩなど、さまざまな起源から提供されるヌクレアーゼ活性を含むことができる。
【０１１５】
「熱安定性」という用語は、５’ヌクレアーゼなどの酵素を意味し、温度が上昇しても、すなわち、約５５℃またはそれ以上でも、酵素に機能または活性がある（すなわち、触媒作用を行なうことができる）ことを意味する。
【０１１６】
本明細書において、「切断産物」という用語は、切断手段が切断構造と反応すること（すなわち、切断構造を切断手段で処理すること）によって生成される産物を意味する。
【０１１７】
「標的核酸」という用語は、少なくとも１つのプローブオリゴヌクレオチドに対して少なくとも部分的相補性をもち、ＩＮＶＡＤＥＲオリゴヌクレオチドに対しても少なくとも部分的相補性をもつ配列を含む分子を意味する。標的核酸は、一本鎖または二本鎖のＤＮＡまたはＲＮＡを含むことができ、ヌクレオチド類似体、標識、およびその他の修飾物質を含む。
【０１１８】
「プローブオリゴヌクレオチド」という用語は、標的核酸と相互作用して、ＩＮＶＡＤＥＲオリゴヌクレオチドの存在下または非存在下で切断構造を形成するオリゴヌクレオチドを意味する。標的核酸にアニーリングすると、プローブオリゴヌクレオチドと標的は切断構造を形成し、プローブオリゴヌクレオチド内で切断が起きる。
【０１１９】
「非標的切断産物」という用語は、標的核酸に生じたものではない、切断反応による生成物を意味する。上記したように、本発明に係る方法では、切断構造の切断は、通常プローブオリゴヌクレオチド内で起きる。この標的核酸依存的切断によって生じるプローブオリゴヌクレオチドの断片が「非標的切断産物」である。
【０１２０】
「ＩＮＶＡＤＥＲオリゴヌクレオチド」という用語は、プローブと標的核酸がハイブリダイズする領域の近傍で標的核酸にハイブリダイズするオリゴヌクレオチドのうち、プローブと標的がハイブリダイズする領域に重複する部位（例えば、キメラ部分またはヌクレオチド（標的に相補的であってもなくてもよい）を意味する。いくつかの態様において、ＩＮＶＡＤＥＲオリゴヌクレオチドは、その３’末端に、プローブオリゴヌクレオチドの５’末端にある配列と実質的に同一の配列を含む。
【０１２１】
核酸基質に関して、「実質的に一本鎖」という用語は、基質分子が、鎖間の塩基対合相互作用によって結合された二本鎖核酸として主に存在する二本鎖基質とは対照的に、一本鎖の核酸として主に存在することを意味する。
【０１２２】
本明細書において、「配列変異」という用語は、２つの核酸の間における塩基配列の違いを意味する。例えば、野生型の構造遺伝子と、この野生型構造遺伝子の変異型は、一塩基置換、および／または、１個または複数のヌクレオチドの欠失または挿入があることで、配列に変化が生じることがある。これら２種類の構造遺伝子の型には、互いに配列が変化しているという。構造遺伝子の別の変異型も存在しうる。この別の変異型は、野生型および第一の変異型の両方から配列が変化しているという。
【０１２３】
本明細書において、「遊離」という用語は、例えば、５ヌクレアーゼなどの作用によって、遊離された断片が残りのオリゴヌクレオチドともはや共有結合しないように、オリゴヌクレオチドなど、より大きな核酸断片から核酸断片を遊離させることを意味する。
【０１２４】
本明細書において、「Ｋｍ」という用語は、酵素のミカエリス−メンテン（Ｍｉｃｈａｅｌｉｓ−Ｍｅｎｔｅｎ）定数を意味し、所定の酵素が、酵素触媒反応において、最大速度の半分の速度が得られる、篤的の基質濃度と定義される。
【０１２５】
本明細書において、「ヌクレオチド」という用語は、天然のヌクレオチドおよび／または合成オリゴヌクレオチド、ヌクレオチド類似体、およびヌクレオチド誘導体を含むが、これらに限定されない。例えば、この用語は、天然のＤＮＡまたはＲＮＡのモノマー；ペプチド核酸（ＰＮＡ）（Ｍ． Ｅｇｈｏｌｍら、Ｎａｔｕｒｅ ３６５： ５６６ ［１９９３］）、ホスホロチオネートＤＮＡ、ホスホロジチオネートＤＮＡ、ホスホラミダイトＤＮＡ、アミド結合型ＤＮＡ、ＭＭＩ−結合型ＤＮＡ、２’−Ｏ−メチルＲＮＡ、アルファ−ＤＮＡ、およびホスホネートＤＮＡなど、骨格が修飾されているヌクレオチド；２’−Ｏ−メチルＲＮＡ、２’−フルオロＲＮＡ、２’−アミノＲＮＡ、２’−Ｏ−アルキルＤＮＡ、２’−Ｏ−アリールＲＮＡ、２’−Ｏ−アルキニルＲＮＡ、ヘキソースＤＮＡ、ピラノシルＲＮＡ、およびアンヒドロヘキシトールＤＮＡなど、糖修飾されているヌクレオチド；ならびに、Ｃ−５置換されたピリミジン（フルオロ−、ブロモ−、クロロ−、ヨード−、メチル−、エチル−、ビニル−、ホルミル−、エチニル−、プロピニル−、アルキニル−、チアゾイル−、イミダゾリル−、ピリジル−などの置換基）、フルオロ−、ブロモ−、クロロ−、ヨード−、メチル−、エチル−、ビニル−、ホルミル−、アルキニル−、チアゾイル−、イミダゾリル−、ピリジル−を含むＣ−７置換基をもつ７−デアザプリン（ｄｅａｚａｐｕｒｉｎｅ）、イノシン、およびジアミノプリンなどの塩基修飾されたヌクレオチドを含む。
【０１２６】
本明細書において、「塩基類似体」という用語は、７−デアザプリン（例えば、７−デアザ−アデニンおよび７−デアザグアニン）；例えば、ＩｓｏＣ、ＩｓｏＧ、ならびに、その全部が参照として本明細書に組み入れられる米国特許第５，４３２，２７２号、第６，００１，９８３号、第６，０３７，１２０号、第６，１４０，４９６号、第５，９１２，３４０号、第６，１２７，１２１号、および第６，１４３，８７７号記載のその他修飾された塩基およびヌクレオチドであるが、これらに限定されない不正規塩基対合などの相互作用の変化をもたらす修飾塩基；プリンまたはピリミジン環系に基づくヘテロ環塩基類似体、およびその他のヘテロ環塩基など、修飾された塩基は、例えば、などの修飾型または非天然型の塩基を意味する。ヌクレオチド類似体には塩基類似体などがあり、デオキシリボヌクレオチドおよびリボヌクレオチドの修飾型を含む。
【０１２７】
「多型遺伝子座」という用語は、集団の構成員間で変異を示す集団に存在する遺伝子座のことである（例えば、最も一般的な対立遺伝子の頻度は０．９５未満である）。これに対し、「単形遺伝子座」は、集団の構成員間に変異がほとんど見られないか、全く見られない遺伝子座のことである（通常、集団の遺伝子プールにおいて最も一般的な対立遺伝子の頻度が０．９５を超える遺伝子座と考えられている）。
【０１２８】
本明細書において、「微生物」という用語は、非常に小型のために裸眼では見えない生物を意味し、細菌、ウイルス、原生動物、真菌、および繊毛虫類などがあるが、これらに限定されない。
【０１２９】
「微生物の遺伝子配列」という用語は、微生物に由来する遺伝子配列をいう。
【０１３０】
「細菌」という用語は、真性細菌種および古細菌種などの細菌の種を意味する。
【０１３１】
「ウイルス」という用語は、自律複製できない、非常に小型の偏性細胞内寄生体を意味する（すなわち、複製には宿主細胞の機構を必要とする）。
【０１３２】
「多剤耐性」という用語は、微生物の処理に用いられる抗生物質または抗菌剤の２種類以上に耐性の微生物を意味する。
【０１３３】
本明細書および特許請求の範囲における「試料」という用語は、もっとも広義に使用されている。一方では、標本または培養物（微生物培養液）などを意味し、他方では、生物試料および環境試料の両方を含む意味である。試料には、合成による標本も含まれうる。
【０１３４】
生物試料は、ヒトを含む動物、液体、固体（例えば、大便）、または組織などであり、また、乳産物、野菜、肉、肉の副製品、および廃棄物など、液体および固体の食物および飼料用製品、および原料である。生物試料は、家畜動物のさまざまな科のすべてから、また、有蹄動物、クマ、魚類、ウサギ、齧歯類などであるが、これらに限定されない、野生化した、または野生の動物から得ることができる。
【０１３５】
環境試料には、表面物質、土壌、水、および産業試料などの環境物質があり、また、食品および乳産物の加工器具、装置、設備、調理器具、使い捨てまたは使い捨てでない道具などから得られる試料が含まれる。これらの例は、本発明に応用可能な試料の種類を限定するものと解してはならない。
【０１３６】
「標的核酸の起源」という用語は、核酸（ＲＮＡまたはＤＮＡ）を含む試料を意味する。特に好ましい標的核酸起源には、血液、唾液、脳脊髄液、胸水、乳汁、リンパ液、痰、および精液が含まれるが、これらに限定されない。
【０１３７】
あるオリゴヌクレオチドが、他のオリゴヌクレオチド（または標的核酸）よりも高濃度で存在していれば、そのオリゴヌクレオチドは、もう一方のオリゴヌクレオチド（または標的核酸）に対して「過剰量」存在しているという。プローブオリゴヌクレオチドなどのオリゴヌクレオチドが、相補的な標的核酸配列の濃度に対して過剰量切断反応液中に存在しているとき、その反応液を用いて、存在する標的核酸の量を明らかにすることができる。一般的に、過剰量存在するというのは、プローブオリゴヌクレオチドが、モル濃度で１００倍以上過剰に存在することで、一般的には、標的核酸配列が約１０ ｆｍｏｌｅ以下であれば、各１ ｐｍｏｌｅのプローブオリゴヌクレオチドを使用することになると思われる。
【０１３８】
第一および第二の標的核酸を「含んでいると思われる」試料は、標的核酸分子を含んでいるものと含んでいないものを両方とも含む。
【０１３９】
「電荷平衡（ｃｈａｒｇｅ−ｂａｌａｎｃｅｄ）」オリゴヌクレオチドという用語は、修飾されたオリゴヌクレオチドが電荷をもち、この修飾されたオリゴヌクレオチドを切断する（すなわち、短くなる）か伸長させると、生じた産物が、投入されたオリゴヌクレオチド（「電荷平衡」オリゴヌクレオチド）とは異なる電荷をもつようになるため、電荷によって、投入されたオリゴヌクレオチドと反応後のオリゴヌクレオチドとの分離が可能になるように修飾されたオリゴヌクレオチドを意味する。「電荷平衡」という用語は、修飾または平衡されたオリゴヌクレオチドが、正味の中性電荷をもつことを意味しない（しかし、そういう場合もありうる）。電荷平衡化とは、このオリゴヌクレオチド投入によって生じる特異的反応産物を、投入オリゴヌクレオチドからの電荷に基づいて分離するためにオリゴヌクレオチドを設計および修飾することを意味する。
【０１４０】
例えば、プローブオリゴヌクレオチドが
2004521606.tif 000008
という配列（すなわち、修飾塩基を含まない配列番号：１３６）をもち、プローブの切断が２位と３位の残基の間で起こるＩＮＶＡＤＥＲオリゴヌクレオチド特異的切断アッセイ法では、このオリゴヌクレオチドの電荷平衡した配列として考えられるのは、
2004521606.tif 000009
である。この修飾オリゴヌクレオチドは、正味で負に荷電している。切断後、以下のオリゴヌクレオチドが生成される：
2004521606.tif 000010
（配列番号：１３６の３〜２２位の残基）。５’Ｃｙ３−アミノＴ−アミノ−Ｔ３’は、検出可能な成分（正に荷電したＣｙ３色素）と２個のアミノ修飾塩基をもつ。このアミノ修飾塩基とＣｙ３色素は、リン酸基によって生じる過剰な負の電荷を上回る正の電荷を与えるため、５’Ｃｙ３−アミノＴ−アミノ−Ｔ３’は正味の正電荷をもつ。残りの長い方の切断断片は、投入されたプローブと同様、正味の負電荷をもつ。５’Ｃｙ３−アミノＴ−アミノ−Ｔ３’断片は、電荷に基づいて、投入プローブ（電荷平衡化オリゴヌクレオチド）から分離できるため、電荷不平衡オリゴヌクレオチドという。長い方の切断産物は、電荷に基づいて、投入プローブ（電荷平衡化オリゴヌクレオチド）から分離することはできない。どちらのオリゴヌクレオチドも正味の負電荷をもつためである。したがって、長い方の切断産物は電荷不平衡オリゴヌクレオチドではない。
【０１４１】
修飾オリゴヌクレオチドなどのオリゴヌクレオチドについて用いられるとき、「正味の中性電荷（ｎｅｔ ｎｅｕｔｒａｌ ｃｈａｒｇｅ）」という用語は、所望の反応または分離条件下において存在する電荷（すなわち、チミジン上のＲ−ＮＨ３＋基、シトシンのＮ３窒素、リン酸基の有無など）の和が本質的にゼロであることを示している。正味の中性電荷をもつオリゴヌクレオチドは、電場を移動しない。
【０１４２】
修飾オリゴヌクレオチドなどのオリゴヌクレオチドについて用いられるとき、「正味の正電荷（ｎｅｔ ｐｏｓｉｔｉｖｅ ｃｈａｒｇｅ）」という用語は、所望の反応または分離条件下において存在する電荷（すなわち、チミジン上のＲ−ＮＨ３＋基、シトシンのＮ３窒素、リン酸基の有無など）の和が＋１以上であることを意味する。正味の正電荷をもつオリゴヌクレオチドは、電場を陰極に向かって移動する。
【０１４３】
修飾オリゴヌクレオチドなどのオリゴヌクレオチドについて用いられるとき、「正味の負電荷（ｎｅｔ ｎｅｇａｔｉｖｅ ｃｈａｒｇｅ）」という用語は、所望の反応または分離条件下において存在する電荷（すなわち、チミジン上のＲ−ＮＨ３＋基、シトシンのＮ３窒素、リン酸基の有無など）の和が−１以下であることを意味する。正味の負電荷をもつオリゴヌクレオチドは、電場を陽極に向かって移動する。
【０１４４】
「重合手段」または「重合因子」という用語は、オリゴヌクレオチドへのヌクレオシド三リン酸の付加を促進することのできる因子を意味する。好ましい重合手段にはＤＮＡポリメラーゼおよびＲＮＡポリメラーゼが含まれる。
【０１４５】
「ライゲーション手段」または「ライゲーション因子」という用語は、ライゲーション（すなわち、核酸の二本の鎖の末端にある３’−ＯＨと５’Ｐの間でホスホジエステル結合を形成すること）を促進することのできる因子を意味する。好適なライゲーション手段にはＤＮＡリガーゼおよびＲＮＡリガーゼが含まれる。
【０１４６】
本明細書において、「反応剤」という用語は、最も広義の意味である。反応剤は、例えば、酵素的反応剤、化学的反応剤、または光（例えば、紫外光、特に短い波長の紫外光がオリゴヌクレオチド鎖を切断することが知られている）などである。オリゴヌクレオチドを短くする（すなわち、切断する）か伸長するために、オリゴヌクレオチドと反応することのできる因子は、「反応剤」という用語の範囲内に含まれる。
【０１４７】
本明細書において、「付加物」という用語は、オリゴヌクレオチドに付加することのできる化合物または因子を意味するために最広義で用いられる。付加物は、（正または負に）荷電していてもよく、または電荷が中性であってもよい。付加物は、共有結合または非共有結合によってオリゴヌクレオチドに付加される。付加物の例には、インドジカルボシアニン色素アミダイト、アミノ置換されたヌクレオチド、エチジウムブロマイド、エチジウムホモダイマー、（１，３−プロパンジアミノ）プロピジウム、（ジエチレントリアミノ）プロピジウム、チアゾールオレンジ、（Ｎ−Ｎ’−テトラメチル−１，３−プロパンジアミノ）プロピルチアゾールオレンジ、（Ｎ−Ｎ’−テトラメチル−１，２−エタンジアミノ）プロピルチアゾールオレンジ、チアゾールオレンジ−チアゾールオレンジホモダイマー（ＴＯＴＯ）、チアゾールオレンジ−チアゾールブルーヘテロダイマー（ＴＯＴＡＢ）、チアゾールオレンジ−エチジウムヘテロダイマー１（ＴＯＥＤ１）、チアゾールオレンジ−エチジウムヘテロダイマー２（ＴＯＥＤ２）、およびフルオロセイン−エチジウムヘテロダイマー（ＦＥＤ）、ソラレン、ビオチン、ストレプトアビジン、アビジンなどがあるが、これらに限定されない。
【０１４８】
第一のオリゴヌクレオチドが、標的核酸のある領域に相補的であり、第二のオリゴヌクレオチドが同じ領域（または、その領域の一部）に相補的であれば、標的核酸に上に「配列重複領域」が存在する。重複の程度は、相補性の性質によってさまざまであると考えられる（例えば、図２９および６７の領域「Ｘ」、ならびにそれに添付の考察を参照されたい）。
【０１４９】
本明細書において、「精製された」または「精製する」という用語は、試料から混入物を取り除くことを意味する。例えば、組換えＣＬＥＡＶＡＳＥヌクレアーゼは細菌宿主細胞で発現され、宿主細胞のタンパク質を取り除くことで、このヌクレアーゼは精製される。それにより、このような組換えヌクレアーゼの割合が試料中で増加する。
【０１５０】
本明細書において、「組換えＤＮＡ分子」という用語は、分子生物学的技術によって結合されたＤＮＡセグメントを含むＤＮＡ分子を意味する。
【０１５１】
本明細書において、「組換えタンパク質」または「組換えポリペプチド」という用語は、組換えＤＮＡ分子から発現されるタンパク質分子を意味する。
【０１５２】
ここで、タンパク質について言われる場合（「所定のタンパク質の一部」などとして）、「一部」という用語は、そのタンパク質の断片を意味する。このような断片の大きさは、４アミノ酸残基から全アミノ酸配列から１個を引いたものまでである（例えば、４個、５個、６個、．．．、（ｎ−１）個）。
【０１５３】
本明細書において、「核酸配列」という用語は、オリゴヌクレオチド、ヌクレオチド、またはポリヌクレオチド、および、その断片または一部、ならびに、一本鎖または二本鎖のゲノム由来または合成由来のＤＮＡまたはＲＮＡを意味し、センス鎖またはアンチセンス鎖を意味する。同様に、本明細書において、「アミノ酸配列」は、ペプチドまたはタンパク質の配列を意味する。
【０１５４】
本明細書において、「ペプチド核酸」（「ＰＮＡ」）という用語は、天然の核酸に存在しうる塩基または塩基類似体であるが、一般的な核酸のように糖リン酸の骨格ではなく、ペプチド骨格に結合した塩基または塩基類似体を含む分子を意味する。このようなペプチドへの塩基の結合は、オリゴヌクレオチドと同様に、相補的な核酸塩基との塩基対合を可能にする。これらの低分子は、抗遺伝子因子とも名付けられているが、核酸の相補鎖に結合して転写産物が伸長するのを停止させる（Ｎｉｅｌｓｅｎら、Ａｎｔｉｃａｎｃｅｒ Ｄｒｕｇ Ｄｅｓ． ８：５３−６３［１９９３］）。
【０１５５】
本明細書において、「精製された」または「実質的に精製された」という用語は、核酸配列であってもアミノ酸配列であっても、自然環境から取り出されて単離または分離された分子を意味し、自然では共存している他の成分から少なくとも６０％、好ましくは７５％、最も好ましくは９０％分離されている。したがって、「単離されたポリヌクレオチド」または「単離されたオリゴヌクレオチド」とは、実質的に精製されたポリヌクレオチドをいう。
【０１５６】
本明細書において、「融合タンパク質」という用語は、外因性のタンパク質断片（非ＣＬＥＡＶＡＳＥ ＢＮ／トロンビンヌクレアーゼタンパク質からなる融合相手）に結合した目的のタンパク質（例えば、ＣＬＥＡＶＡＳＥ ＢＮ／トロンビンヌクレアーゼ、またはその一部）を含むキメラタンパク質を意味する。融合相手は、宿主細胞で発現された場合に、組換えキメラタンパク質（例えば、ＣＬＥＡＶＡＳＥ ＢＮ／トロンビンヌクレアーゼ）の可溶性を高めることができたり、アフィニティータグ（例えば、ｈｉｓ−タグ）を提供して、宿主細胞または培養上清から組換え融合タンパク質を精製するのを可能にしたり、または、この両方を可能にする。望ましい場合には、当技術分野において既知のさまざまな酵素的または化学的方法によって、目的のタンパク質（例えば、ＣＬＥＡＶＡＳＥ ＢＮ／トロンビンヌクレアーゼ、またはその一部）を融合タンパク質から除去することもできる。
【０１５７】
本明細書において、「キメラタンパク質」および「キメラ的タンパク質」という用語は、二種類以上の親タンパク質分子に由来するアミノ酸配列部分を含む一個のタンパク質を意味する。これらの親タンパク質分子は、遺伝子の起源を別にする類似タンパク質に由来するものでもよく、一つの生物に由来する異なったタンパク質でもよく、または、異なった生物に由来する異なったタンパク質でもよい。制限的でない例を示せば、本発明に係るキメラ構造特異的ヌクレアーゼは、ＦＥＮ−１遺伝子をもつ二種類またはそれ以上の生物に由来するＦＥＮ−１遺伝子に由来するアミノ酸配列を混合したものであって、非天然型ヌクレアーゼを形成するように組み合わせられたものを含むことができる。本明細書において、「キメラ」という用語は、天然型遺伝子からの特定の寄与割合を示すものではなく、一部同士を組み合わせる方法を制限するものでもない。本明細書記載の試験法によって判定された切断活性をもつキメラ構造特異的ヌクレアーゼ構築物は、本発明の範囲内に含まれる改良型切断因子である。
【０１５８】
本明細書において、「核酸の連続鎖」という用語は、連続し、共有結合した骨格構造をもつ、ニックやその他の破壊部分をもたない核酸の鎖を意味する。塩基対合しているか、一本鎖であるか、ミスマッチしているかなどの各ヌクレオチドの塩基部分の状態は、連続鎖を定義する上での要件ではない。連続鎖の骨格は、天然の被修飾核酸に見られるリボース−リン酸組成物またはデオキシリボース−リン酸組成物に限定されない。本発明に係る核酸は骨格の構造に、ホスホロチオネート残基、ホスホネート残基、２’置換リボース残基（例えば、２’−Ｏ−メチルリボース）、および別の糖（例えば、アラビノース）を含む残基などであるが、これらに限定されない修飾を含むことがある。
【０１５９】
本明細書において、「連続した二本鎖」という用語は、二本鎖内での塩基対合の進行に分断がない二本鎖核酸領域を意味する（すなわち、二本鎖上の塩基対合が変形して、連続した二本鎖の領域内でギャップ、隆起、またはミスマッチをもたない）。本明細書において、この用語は、二本鎖内での塩基対合の並び方を意味するだけで、核酸鎖の骨格部分の連続性を含意するものではない。中断なしに塩基対合しているが、一方の鎖または双方の鎖にニックをもつ二本鎖核酸も、連続した二本鎖の定義に含まれる。
【０１６０】
「二本鎖」という用語は、一方の鎖上のヌクレオチドの塩基部分が、水素結合によって、他方の鎖上に配列した相補的塩基に結合している核酸の状態を意味する。二本鎖になる条件は、核酸の塩基の状態に影響を与える。塩基対合によって、核酸鎖は、主溝および副溝をもつ、二本鎖の三次構造を通常有する。らせん状態を採ることは、二本鎖化されるという作用に潜在するものである。
【０１６１】
「二本鎖依存型タンパク質結合」という用語は、二本鎖またはらせん状になった核酸に依存した、タンパク質の核酸への結合を意味する。
【０１６２】
本明細書において、「二本鎖依存型タンパク質結合部位または領域」という用語は、特定の親和性をもって二本鎖依存型タンパク質が結合している、核酸内の不連続な領域または配列を意味する。これは、特異的な配列または部位とは殆ど関係なくクロマチンに結合するヒストンタンパク質などの部位特異的でない一般的な二本鎖依存型タンパク質とは全く異なるものである。
【０１６３】
本明細書において、「タンパク質結合領域」という用語は、配列または構造によって、特定のタンパク質またはタンパク質の分類群に結合していると同定された核酸領域を意味する。既知の配列と比較すると、このような領域と同定されるような遺伝子情報を含むが、実際の結合に必要な構造を持たないと思われる領域（例えば、二本鎖依存型核酸結合タンパク質部位の一本鎖）もこの定義に含まれる。本明細書において、「タンパク質結合領域」には、エンドヌクレアーゼ結合領域は含まれない。
【０１６４】
本明細書において、「完全に二本鎖のタンパク質結合領域」という用語は、二本鎖依存型タンパク質の結合活性またはその他の活性を可能にするために必要とされる、連続した二本鎖の最小っ領域を意味する。このような定義は、二本鎖依存型核酸結合タンパク質の中には、二本の一本鎖のいずれかに見られる正規のタンパク質結合領域よりは短いが、充分な活性をもって二本鎖領域と相互作用することのできるものがあるとの観察結果を包含するためである。すなわち、この領域内の１個または複数のヌクレオチドは、結合を抑制することなく、対合しないままでいることも可能である。本明細書において、「完全に二本鎖の結合領域」という用語は、結合機能を保持する最小の配列を意味する。そのような領域には、必ずしも同時にではないが、複数の位置で二本鎖でない配列を受け入れることのできる領域があるため、単一のタンパク質結合領域は、二本鎖になると完全なタンパク質結合能をもつという複数の部分領域をもつ可能性もある。
【０１６５】
「鋳型」という用語は、鋳型依存型核酸ポリメラーゼの活性によって、その上でヌクレオシド三リン酸から相補的なコピーが構築される核酸鎖を意味する。二本鎖の中では、鋳型は、通常、「下側」の鎖として図示および記載される。同様に、鋳型でない鎖は、しばしば、「上側」の鎖として図示および記載される。
【０１６６】
「鋳型依存型ＲＮＡポリメラーゼ」という用語は、上記の鋳型鎖を複製することによって、新しいＲＮＡ鎖を作出するが、鋳型のないところではＲＮＡを合成しない核酸ポリメラーゼを意味する。これは、末端デオキシヌクレオチジルトランスフェラーゼまたはポリＡポリメラーゼなどのように、鋳型を参照することなく核酸を合成または伸長する鋳型非依存型核酸ポリメラーゼの活性と対極のものである。
【０１６７】
「ＡＲＲＥＳＴＯＲ分子」という用語は、１個または複数の反応成分にその後の作用または反応を行わせないようにするために、侵襲的切断反応に付加するか含ませる因子を意味する。これは、何らかの反応成分を隔離または不活性化すること（例えば、核酸成分を結合または塩基対合させることによって、またはタンパク質成分に結合させること）によって行なうことができる。「ＡＲＲＥＳＴＯＲオリゴヌクレオチド」という用語は、何らかの反応（例えば、第一の反応、および／またはその後の反応または作用；の１個以上の側面を停止させるため、侵襲的切断反応に含ませるオリゴヌクレオチドを意味するが、ＡＲＲＥＳＴＯＲオリゴヌクレオチドを特定の反応または反応工程に制限するものではない）。これは、何らかの反応成分を隔離すること（例えば、別の核酸に塩基対合させるか、またはタンパク質成分に結合させること）によって行なうことができる。しかし、本用語は、反応成分が隔離された状態だけに限定されるものではない。
【０１６８】
本明細書において、「キット」という用語は、物質を送達するための送達システムを意味する。反応アッセイ法に関しては、このような送達システムには、反応試薬（例えば、適当な容器に入れたオリゴヌクレオチドや酵素など）および／または支持物質（例えば、緩衝液、アッセイを行うための操作指示書など）を一つの場所から別の場所に保存、移動または送達することを可能にするシステムを意味する。例えば、キットには、関連反応試薬および／または支持物質を含む１個または複数の封入物（例えば、箱）などがある。本明細書において、「部分キット」という用語は、各々が全キット構成成分の一部を含む２個またはそれ以上の別々の容器を含む送達システムを意味する。これらの容器は、一緒または別々に受領者に送るためのものである。例えば、第一の容器は、アッセイに用いる酵素を含み、第二の容器にはオリゴヌクレオチドを入れることも可能である。「部分キット」という用語は、食品医薬品化粧品連邦法（Ｆｅｄｅｒａｌ Ｆｏｏｄ， Ｄｒｕｇ， ａｎｄ Ｃｏｓｍｅｔｉｃ Ａｃｔ）の第５２０条（ｅ）項によって規制されている分析物特異的試薬（ＡＳＲ）を含むキットを包含するが、これらに限定されない。実際、各々が全キット構成成分の一部を含む２個またはそれ以上の別々の容器を含む送達システムも、「部分キット」という用語に含まれる。これに対し、「併合キット」は、反応アッセイ法の構成成分すべてが１個の容器に入った送達システムである（例えば、所望の成分がそれぞれ入った１個の箱）。「キット」という用語は、部分キットと併合キットの両方を含む。
【０１６９】
本明細書において、「機能ドメイン」という用語は、タンパク質（例えば、酵素）の機能的な特徴を提供する、タンパク質の一領域、または領域の一部である。例えば、酵素の機能ドメインは、基質結合能および触媒活性を含むが、これらに限定されない一種類以上の酵素活性を、直接または間接的に提供することができる。機能ドメインは、機能ドメイン内の１個または複数のアミノ酸を変異させることによって特徴づけることができる、すなわち、アミノ酸の変異によって関連する機能性が変化するため、機能ドメインの存在が示される。
【０１７０】
本明細書において、「異種性機能ドメイン」という用語は、タンパク質の機能ドメインであって、その本来の環境にないものを意味する。例えば、異種性機能ドメインは、他の酵素に導入されたある酵素の機能ドメインを含む。異種性機能ドメインは、何らかの方法（例えば、変異を加えられる、複数のコピーに付加されるなど）によって改変されているタンパク質の本来の機能ドメインも含む。異種性機能ドメインは、複数の連続的なアミノ酸を含むことができ、または、アミノ酸断片である離れたアミノ酸を２個またはそれ以上（例えば、非異種性の介在配列を有する２個またはそれ以上のアミノ酸または断片）含むこともできる。異種性機能ドメインは、異種性アミノ酸は、自然では天然のアミノ酸配列に会合しているのが見られないアミノ酸配列、または自然には存在しないタンパク質の一部に会合しているアミノ酸配列に結合しているか、それを含むため、内因性の機能ドメインから区別することができる。
【０１７１】
本明細書において、「核酸切断アッセイ法における機能性の変化」という用語は、酵素の特徴で、何らかの形で改変されて、自然の状態とは異なっている（例えば、自然での存在様式とは異なっている）特徴を意味する。改変には、異種性機能ドメインの付加（例えば、突然変異、またはキメラタンパク質の作出など）があるが、これに限定されない。いくつかの態様において、改変された酵素の特徴は、核酸切断アッセイ法において酵素効率が改善するという特徴であってもよい。改善の種類は、ヌクレアーゼ活性の向上（例えば、反応速度の向上）、基質結合の改善（例えば、所望の結果［例えば、より高い特異性、より高い基質交替（ｓｕｂｓｔｒａｔｅ ｔｕｒｎｏｖｅｒ）など］を所持させる特定の核酸種［例えば、ＲＮＡまたはＤＮＡ］の結合を強化または低下させること）、およびバックグラウンド特異性の向上（例えば、望ましくない生成物が産生されるのを減らすこと）などであるが、これらに限定されない。本発明は、機能性の改善を調べるために使用される核酸切断アッセイ法によって制限を受けるものではない。しかし、本発明のいくつかの態様において、侵襲的切断アッセイ法を核酸切断アッセイ法として用いることができる。一定の具体的な態様において、ＲＮＡ標的を利用する侵襲的切断アッセイ法を、核酸切断アッセイ法として使用することができる。
【０１７２】
ここで、ポリペプチド配列に関する「Ｎ末端」および「Ｃ末端」という用語は、それぞれ、ポリペプチドのＮ末側領域およびＣ末側領域の部分を含むポリペプチド領域を意味する。ポリペプチドのＮ末側領域部分を含む配列は、主にポリペプチド鎖のＮ末側半分を含む配列であるが、そのような配列に限定されない。例えば、Ｎ末側配列は、ポリペプチドのＮ末側またはＣ末側の半分の両方を含む塩基を含むポリペプチド配列の内部部位を含むこともできる。同様のことがＣ末側領域にも言える。Ｎ末側領域およびＣ末側領域は、それぞれ、ポリペプチドのＮ末端およびＣ末端の最末端を規定するアミノ酸を含むことができるが、それを含むことは必要ではない。
【０１７３】
発明の説明
緒言
本発明は、核酸を処理するための方法および組成物、特に、核酸配列および配列における変異を検出し、その特徴を調べる方法および組成物に関する。
【０１７４】
好ましい態様において、本発明は、部位特異的に核酸の切断構造を方法に関する。本発明はさまざまな切断因子を提供し、いくつかの態様において、本発明は、核酸合成活性を妨げることなく、５’ヌクレアーゼ活性をもつ切断酵素に関する。別の態様において、本発明は、改変されたポリメラーゼおよび／またはヌクレオチドの活性を有する新規のポリメラーゼ（例えば、熱安定性ポリメラーゼ）を提供する。
【０１７５】
例えば、いくつかの態様において、本発明は、天然の熱安定性ＤＮＡポリメラーゼのＤＮＡ合成活性とは異なる改変されたＤＮＡ合成活性を示す熱安定性ＤＮＡポリメラーゼに由来する５’ヌクレアーゼを提供する。このポリメラーゼの５’ヌクレアーゼ活性は、合成活性が低下または失われても維持される。このような５’ヌクレアーゼは、妨害となる合成活性が存在しないところで、核酸の構造特異的切断を触媒することができる。切断反応の間に合成活性が存在しなければ、均一なサイズの核酸切断産物が得られる。
【０１７６】
本発明に係るヌクレアーゼの新規の特性は、特異的核酸配列を検出する方法の基礎を形成する。本方法は、現在の特異的標的配列検出法のように標的配列そのものを増幅することに依存するのではなく、検出分子の増幅に依存する。
【０１７７】
ＤＮＡポリメラーゼ（ＤＮＡＰ）は、大腸菌、サーマス属の好熱細菌、およびその他の生物から単離され、新しいＤＮＡ鎖を合成する酵素である。既知のＤＮＡＰのいくつかは、酵素の合成活性の他、関連するヌクレアーゼ活性を含む。
【０１７８】
ＤＮＡＰでは、ＤＮＡ鎖の５’末端および３’末端からヌクレオチドを除去するものが知られている（Ｋｏｒｎｂｅｒｇ， ＤＮＡ複製（ＤＮＡ Ｒｅｐｌｉｃａｔｉｏｎ）、Ｗ．Ｈ． Ｆｒｅｅｍａｎ ａｎｄ Ｃｏ．， Ｓａｎ Ｆｒａｎｃｉｓｃｏ， ｐｐ． １２７−１３９ ［１９８０］）。これらのヌクレアーゼ活性は、通常、それぞれ５’エキソヌクレアーゼおよび３’エキソヌクレアーゼと呼ばれる。例えば、いくつかのＤＮＡＰのＮ末端ドメインに位置する５’エキソヌクレアーゼ活性は、ＤＮＡ複製過程でのラギング鎖合成の間にＲＮＡプライマーを除去したり、修復過程で損傷を受けたヌクレオチドを除去することに関与する。大腸菌ＤＮＡポリメラーゼ（ＤＮＡＰＥｃＩ）など、ＤＮＡＰの中には、ＤＮＡ合成過程におけるプルーフリーディングに関与する３’エキソヌクレアーゼ活性も有するものがある（Ｋｏｒｎｂｅｒｇ、前掲）。
【０１７９】
サーマス・アクアティカスから単離されたＤＮＡＰは、Ｔａｑ ＤＮＡポリメラーゼ（ＤＮＡＰ Ｔａｑ）と名付けられ、５’エキソヌクレアーゼをもつが、機能的な３’エキソヌクレアーゼ分解ドメインをもたない（ＴｉｎｄａｌｌおよびＫｕｎｋｅｌｌ， Ｂｉｏｃｈｅｍ．， ２７： ６００８ ［１９８８］）。ＤＮＡＰＥｃＩおよびＤＮＡＰ Ｔａｑの誘導体は、それぞれクレノウ断片およびストッフェル断片と呼ばれ、酵素的操作または遺伝子操作の結果、５’エキソヌクレアーゼドメインを欠失している（Ｂｒｕｔｌａｇら、Ｂｉｏｃｈｅｍ． Ｂｉｏｐｈｙｓ． Ｒｅｓ． Ｃｏｍｍｕｎ．， ３７： ９８２ ［１９６９］； Ｅｒｌｉｃｈら、Ｓｃｉｅｎｃｅ ２５２： １６４３ ［１９９１］； ＳｅｔｌｏｗおよびＫｏｒｎｂｅｒｇ， Ｊ． Ｂｉｏｌ． Ｃｈｅｍ．， ２４７： ２３２ ［１９７２］）。
【０１８０】
ＤＮＡＰ Ｔａｑの、５’エキソヌクレアーゼ活性には、同時に合成が起こる必要があることが報告されている（Ｇｅｌｆａｎｄ、「ＰＣＲ技術− ＤＮＡ増幅の原理と応用（ＰＣＲ Ｔｅｃｈｎｏｌｏｇｙ− Ｐｒｉｎｃｉｐｌｅｓ ａｎｄ Ａｐｐｌｉｃａｔｉｏｎｓ ｆｏｒ ＤＮＡ Ａｍｐｌｉｆｉｃａｔｉｏｎ）」、Ｈ．Ａ． Ｅｒｌｉｃｈ， ［編］， Ｓｔｏｃｋｔｏｎ Ｐｒｅｓｓ， Ｎｅｗ Ｙｏｒｋ， ｐ． １９ ［１９８９］）。ＤＮＡＰＥｃＩおよびＤＮＡＰ Ｔａｑの５’エキソヌクレアーゼによる分解産物はモノヌクレオチドが大部分であるが、短いオリゴヌクレオチド（≦１２ヌクレオチド）も見られる。このことは、これらいわゆる５’エキソヌクレアーゼがエンドヌクレアーゼ的に機能できることを示唆している（Ｓｅｔｌｏｗ前掲；Ｈｏｌｌａｎｄら、Ｐｒｏｃ． Ｎａｔｌ． Ａｃａｄ． Ｓｃｉ． ＵＳＡ ８８： ７２７６ ［１９９１］）。
【０１８１】
国際公開公報第９２／０６２００号において、Ｇｅｌｆａｎｄらは、熱安定性ＤＮＡポリメラーゼの５’エキソヌクレアーゼ活性の好適な基質は置換された一本鎖ＤＮＡであることを明らかにしている。好適なエキソヌクレアーゼ切断部位は二重らせん領域中のホスホジエステル結合であるというホスホジエステル結合の加水分解が、置換された一本鎖ＤＮＡと二重らせん状ＤＮＡとの間で起こる。したがって、通常ＤＮＡＰに関連する、この５’エキソヌクレアーゼ活性は、構造依存的一本鎖エンドヌクレアーゼであり、より正確には、５’ヌクレアーゼと呼ばれる。エキソヌクレアーゼは、核酸分子の末端からヌクレオチド分子を切断する酵素である。他方、エンドヌクレアーゼは、末端部位ではなく内部にある核酸分子を切断する酵素である。いくつかの熱安定性ＤＮＡポリメラーゼヌクレアーゼ活性は、エンドヌクレアーゼのような切断を行なうが、切断には、切断される分子の５’末端との接触が必要である。従って、これらのヌクレアーゼは５’ヌクレアーゼと称される。
【０１８２】
５’ヌクレアーゼ活性が真性細菌のＡ型ＤＮＡポリメラーゼに関連するとき、このタンパク質のＮ末端側３分の１の領域に独立して機能するドメインがあることが見出されている。この分子のＣ末端側３分の２の領域は、ＤＮＡ合成に関与する重合ドメインを構成する。Ａ型ＤＮＡポリメラーゼには、分子のＣ末端側３分の２の領域に伴う３’エキソヌクレアーゼ活性をもつものもある。
【０１８３】
ＤＮＡＰの５’エキソヌクレアーゼ活性および重合活性は、ポリメラーゼ分子のタンパク質切断または遺伝子操作によって分離することができる。ＤＮＡＰＥｃＩのクレノウ断片またはタンパク質分解大断片は、ポリメラーゼ活性と３’エキソヌクレアーゼ活性を含むが、５’ヌクレアーゼ活性をもたない。ＤＮＡＰ Ｔａｑのストッフェル断片（ＤＮＡＰＳｔｆ）は、ポリメラーゼ分子のＮ末端側２８９アミノ酸を欠失させる遺伝子操作によって５’ヌクレアーゼをもたない（Ｅｒｌｉｃｈら、Ｓｃｉｅｎｃｅ ２５２： １６４３ ［１９９１］）。国際公開公報第９２／０６２００号には、レベルを改変された５’から３’へのヌクレアーゼをもつ熱安定性ＤＮＡＰを開示している。米国特許第５，１０８，８９２号は、５’から３’へのヌクレアーゼをもたないサーマス・アクアティカスＤＮＡＰを開示している。合成活性の量が低下した熱安定性ＤＮＡポリメラーゼが利用可能であり（サードウエーブテクノロジーズ社（Ｔｈｉｒｄ Ｗａｖｅ Ｔｅｃｈｎｏｌｏｇｉｅｓ）、ウィスコンシン州マディソン（Ｍａｄｉｓｏｎ， ＷＩ））、米国特許第５，５４１，３１１号、第５，６１４，４０２号、第５，７９５，７６３号、第５，６９１，１４２号および第５，８３７，４５０号に開示されている。これらの文献は、その全部が参照として本明細書に組み入れられる。本発明は、熱安定性Ａ型ＤＮＡポリメラーゼに由来する５’ヌクレアーゼであって、５’ヌクレアーゼ活性は保持しているが、合成活性が低下しているか、それを持たない５’ヌクレアーゼを提供する。酵素の合成活性を５’ヌクレアーゼ活性から切り離すことが可能なことは、５’ヌクレアーゼ活性には、以前報告されていたように、ＤＮＡ合成が同時に行なわれることは必要ではないことを証明している（Ｇｅｌｆａｎｄ， ＰＣＲ技術、前掲）。
【０１８４】
上記した真性細菌のＤＮＡポリメラーゼＩタンパク質の５’エキソヌクレアーゼドメイン以外にも、５’ヌクレアーゼは、バクテリオファージ、真核生物、および古細菌にも関係することが発見されている。全体として、この仲間の酵素はすべて、配列類似性の程度が限られているにも関わらず、非常によく似た基質特異性を示す。結果的に、本発明に係る方法において使用するのに適した酵素は、多様な起源から単離または派生させることができる。
【０１８５】
大腸菌Ｐｏｌ Ｉの５’エキソヌクレアーゼドメインに対し機能的な類似性をもつ哺乳動物の酵素が、３０年ほど前に単離された（Ｌｉｎｄａｈｌら、Ｐｒｏｃ． Ｎａｔｌ． Ａｃａｄ． Ｓｃｉ． ＵＳＡ， ６２（２）： ５９７−６０３ ［１９６９］）。その後、真核生物および古細菌に由来するフラップエンドヌクレアーゼ（ＦＥＮ１）と呼ばれる、この酵素群のさらに別のメンバーが、配列類似性は限られているにも関わらず、ほぼ同一の構造特異的活性をもつことが示された（ＨａｒｒｉｎｇｔｏｎおよびＬｉｅｂｅｒ、Ｅｍｂｏ Ｊ １３（５）， １２３５−４８ ［１９９４］； Ｍｕｒａｎｔｅら、Ｊ． Ｂｉｏ． Ｃｈｅｍ ２６９（２）， １１９１−６ ［１９９４］； Ｒｏｂｉｎｓら、Ｊ． Ｂｉｏ． Ｃｈｅｍ ２６９（４６）， ２８５３５−８ ［１９９４］； Ｈｏｓｆｉｅｌｄら、Ｊ． Ｂｉｏ． Ｃｈｅｍ ２７３（４２）， ２７１５４−６１ ［１９９８］）。ＦＥＮ１酵素、および真性細菌および関連するバクテリオファージの酵素の基質特異性を調べたところ、すべての酵素で類似していることが分かった（Ｌｙａｍｉｃｈｅｖら、Ｓｃｉｅｎｃｅ ２６０ （５１０９）， ７７８−８３ ［１９９３］； ＨａｒｒｉｎｇｔｏｎおよびＬｉｅｂｅｒ、前掲；Ｍｕｒａｎｔｅら、前掲；Ｈｏｓｆｉｅｌｄ、前掲；Ｒａｏら、 Ｊ． Ｂａｃｔｅｒｉｏｌ． １８０（２０）， ５４０６−１２ ［１９９８］；， Ｂｈａｇｗａｔら、Ｊ． Ｂｉｏ． Ｃｈｅｍ ２７２（４５）， ２８５２３−３０ ［１９９７］； ＧａｒｆｏｒｔｈおよびＳａｙｅｒｓ， Ｎｕｃｌｅｉｃ Ａｃｉｄｓ Ｒｅｓ． ２５（１９）， ３８０１−７ ［１９９７］）。
【０１８６】
成形された基質を用いて、上記に引用した研究の多くが、これらのヌクレアーゼは、切断に際してギャップを残すと判断したため、著者らは、とすれば、ポリメラーゼはギャップを埋めてライゲーション可能なニックを作り出すはずだと考えるに至った。その他数多くの５’ヌクレアーゼが、同一または類似したフラップ基質の切断後にギャップまたは重複を残すことが明らかになっている。それ以来、基質の上流と下流の二本鎖の間に重複がある場合には、構造特異的５’−エキソヌクレアーゼは、切断後にニックを残すと考えられている（Ｋａｉｓｅｒら、Ｊ． Ｂｉｏｌ． Ｃｈｅｍ． ２７４（３０）： ２１３８７−２１３９４ ［１９９９］）。数塩基の重複配列を有する二本鎖は、分枝点移動によってさまざまなコンホメーションをとりうるが、上流鎖の３’末端にある最後のヌクレオチドが対合していないコンホメーションである場合に、切断速度は、上流プライマーの末端がＡ、Ｃ、Ｇ、またはＴのいずれであっても本質的に同じ速度で切断が起きると考えられた。最適な切断をもたらすのは、配列の重複というよりは、上流プライマーの３’末端と下流二本鎖の間の位置的な重複であると考えられた。切断後これらの酵素にニックを残させることに加えて、重複部の一塩基によって、基質に重複部がないときと較べると数桁速い速度で酵素による切断が起きる（Ｋａｉｓｅｒら、前掲）。
【０１８７】
下記の５’ヌクレアーゼは、本明細書に記載した方法のいくつかの態様に適用することができる。本発明に係る方法において具体的に利用できる５’ヌクレアーゼには、サーマス・アクアティカス、サーマス・フラバス、サーマス・サーモフィラス、サーマス・フィリフォルミス、およびサーマス・スコトダクタスを含むサーマス種由来のポリメラーゼ、および改変ポリメラーゼがあるが、これらに限定されない。特に、ＲＮＡ標的鎖を含む侵襲的切断構造をもつＤＮＡ部分の切断を利用する検出アッセイ法において改良された効率を示す改変ポリメラーゼが好ましい。
【０１８８】
メタノコッカス・ヤンナシイ、メタノバクテリウム・サーモオートトロフィカム、アルカエグロブス・ベネフィカス、スルフォロバス・ソルファタリカス、ピロバクラム・アエロフィルム、テルモコッカス・リトラリス、アルカエグロブス・プロフンダス、アシディアヌス・ブリエルリイ、アシディアヌス・アムビバレンス、デスルフォロコッカス・アミロリティカス、デスルフォロコッカス・モビリス、ピロディクティウム・ブロキイ、テルモコッカス・ジルリギイ、テルモコッカス・ゴルゴナリウス、メタノピラス・カンドレリ、メタノコッカス・イグネウス、ピロコッカス・ホリコシイ、およびアエロピルム・ペルニクスのＦＥＮヌクレアーゼであるが、これらに限定されない一種類または複数のＦＥＮヌクレアーゼの部位を含むキメラポリメラーゼが応用可能であろうが、特に好ましいＦＥＮ１酵素は、キメラのアルカエグロブス・フルギダスおよびピロコッカス・フリオサスである。特に好ましくは、ＲＮＡ標的鎖を含む侵襲的切断構造をもつＤＮＡ部分の切断を利用する検出アッセイ法において改良された効率を示す改変ポリメラーゼである。
【０１８９】
本発明の詳細な説明を以下の項で開示する。
Ｉ．ＩＮＶＡＤＥＲ特異的切断アッセイ法における、５’ヌクレアーゼを用いた特異的核酸配列の検出
ＩＩ．侵襲的切断反応の産物を連続する侵襲的切断反応に取り込むことによるシグナル増強
ＩＩＩ．連続侵襲的切断反応における、シグナルおよびバックグラウンドに対するＡＲＲＥＳＴＯＲオリゴヌクレオチドの効果
ＩＶ．ＲＮＡ標的を含むＩＮＶＡＤＥＲオリゴヌクレオチド特異的切断反応において使用する改良された酵素
Ｖ．ＲＮＡ標的のＩＮＶＡＤＥＲアッセイ法による検出のための反応設計
ＶＩ．ＲＮＡ ＩＮＶＡＤＥＲアッセイ法を行なうためのキット、ならびに
ＶＩＩ．特異的ＲＮＡ分析物を直接に検出および測定するためのＩＮＶＡＤＥＲアッセイ法
【０１９０】
Ｉ．ＩＮＶＡＤＥＲ特異的切断アッセイ法における、５’ヌクレアーゼを用いた特異的核酸配列の検出
１．ＩＮＶＡＤＥＲアッセイ法の反応設計
本発明は、標的核酸の存在によって決定される核酸の切断構造を形成し、特徴的な切断産物が遊離するように核酸の切断構造を切断するための方法を提供する。例えば、５’ヌクレアーゼ活性を用いて標的依存型切断構造を切断すると、得られた切断産物は、試料中に特異的標的核酸配列が存在することの指標となる。核酸の二本の鎖、またはオリゴヌクレオチドの両鎖が標的核酸鎖にハイブリダイズして、下記のように、重複した侵襲的切断構造を形成すると、侵襲的切断が起こりうる。切断因子（例えば、５’ヌクレアーゼ）と上流のオリゴヌクレオチドとの相互作用によって、切断因子に、特徴的な切断産物が産生されるような方法で、内部部位で下流オリゴヌクレオチドを切断させることができる。このような態様は、ＩＮＶＡＤＥＲアッセイ法（サードウエーブテクノロジーズ社（Ｔｈｉｒｄ Ｗａｖｅ Ｔｅｃｈｎｏｌｏｇｉｅｓ））と名付けられており、米国特許出願第５，８４６，７１７号、第５，９８５，５５７号、第５，９９４，０６９号、第６，００１，５６７号および第６，０９０，５４３号、ならびに国際公開公報第９７／２７２１４号および国際公開公報第９８／４２８７３号に記載されている。これらの文献は、その全体が参照として本明細書に組み入れられる。
【０１９１】
本発明は、さらに、温度周期を使用したり（すなわち、標的核酸鎖を定期的に変性するため）、または核酸合成をする（すなわち、標的またはプローブ核酸鎖の重合を利用した置換）必要なしに、オリゴヌクレオチドプローブとのハイブリダイゼーションとプローブの切断を何回も行いながら、標的核酸を再使用または再利用するアッセイ法を提供する。標的鎖上でプローブを連続的に置き換えるという条件下で切断反応を行なうと（すなわち、プローブ−プローブ置換によって、もしくはプローブ／標的の会合と解離の間の平衡によって、または、これらのメカニズムを含む組み合わせによって［Ｒｅｙｂｎａｌｄｏら、Ｊ． Ｍｏｌ． Ｂｉｏｌ． ９７：５１１ （２０００）］）、多数のプローブが一つの標的にハイブリダイズすることができ、多数の切断と多数の切断産物の生成が可能となる。
【０１９２】
標的核酸鎖への相補性の程度によっては、オリゴヌクレオチドは標的の特異的領域を規定すると言うことができる。侵襲的切断構造において、２種類のオリゴヌクレオチドは、互いに隣り合う標的領域（すなわち、それらの間に、余分な標的配列を持たない領域）を規定したり、それにハイブリダイズする。オリゴヌクレオチドのいずれか、または両方が、標的鎖に相補的でない余分な部位を含むことができる。隣接してハイブリダイズすることに加えて、侵襲的切断構造形成するためには、上流オリゴヌクレオチドの３’末端が付加的部分を含まなければならない。両方のオリゴヌクレオチドが標的鎖にハイブリダイズしてある構造を形成し、そのような３’末端部分が、上流オリゴヌクレオチド上のその構造内に存在するとき、オリゴヌクレオチドは重複すると言うことができ、この構造は重複、または侵襲的切断構造ということができる。
【０１９３】
一つの態様において、侵襲的切断構造の３’部分は単一のヌクレオチドである。この態様では、３’部分はいかなるヌクレオチドであってもよい（すなわち、標的鎖に相補的でもよいが、そうである必要はない）。好ましい態様において、３’部分は、標的鎖に相補的な単一のヌクレオチドである。別の態様において、３’部分はヌクレオチド様化合物である（すなわち、ヌクレオチド類似体、または有機環状化合物など、ヌクレオチドに類似した化学的性質をもつ部分；例えば、米国特許第５，９８５，５５７号を参照のこと）。さらに別の態様において、３’部分は、下流オリゴヌクレオチドのハイブリダイズする領域の５’末端に存在する１個または複数のヌクレオチドを順序正しく複製する１個または複数のヌクレオチドである。更なる態様において、３’部分のヌクレオチドを複製した配列の後ろには、下流オリゴヌクレオチド配列をさらに複製したものではなく、別のヌクレオチドである単一のヌクレオチドが続いている。さらに別の態様において、３’部分のヌクレオチドの複製された配列の後ろには、上記したようなヌクレオチド様化合物が存在する。
【０１９４】
下流オリゴヌクレオチドは、標的核酸鎖にハイブリダイズする領域の両末端に結合した付加的部分を持つことができるが、持つ必要はない。好ましい態様において、下流オリゴヌクレオチドは、その５’末端での部分を含む（すなわち、５’部分）。特に好ましい態様において、該５’部分は、標的核酸鎖に相補的でない塩基配列を含む５’フラップまたはアームである。
【０１９５】
重複した切断構造が形成されると、この構造に特異的なヌクレアーゼ（すなわち、この構造を形成する核酸の塩基配列を認識することではなく、この構造を認識することによって、重複構造中の１個または複数の核酸を切断するヌクレアーゼ）によって認識され切断される。このようなヌクレアーゼは、「構造特異的ヌクレアーゼ」と言われる。いくつかの態様において、構造特異的ヌクレアーゼは５’ヌクレアーゼである。好ましい態様において、構造特異的ヌクレアーゼは、ＤＮＡポリメラーゼの５’ヌクレアーゼである。別の好ましい態様において、５’ヌクレアーゼをもつＤＮＡポリメラーゼは合成能をもたない。別の好ましい態様において、５’ヌクレアーゼはＦＥＮ−１エンドヌクレアーゼである。特に好ましい態様において、５’ヌクレアーゼは熱安定性である。
【０１９６】
いくつかの態様において、該構造特異的ヌクレアーゼは、下流オリゴヌクレオチドを選択的に切断する。好ましい態様において、下流オリゴヌクレオチドは、重複構造内の標的にハイブリダイズしている領域の５’末端のヌクレオチドを切断される。構造特異的ヌクレアーゼによっていずれかの位置で重複構造が切断されると、核酸の一部または断片が遊離され、これを「切断産物」という。
【０１９７】
いくつかの態様において、重複構造の切断は、構造内の１個または複数の核酸が、この構造から解離する（すなわち、ハイブリダイズ解除、または融解する）条件下で行なわれる。一つの態様において、ある切断構造の全部または一部の解離は、標的核酸がさらに別の１個または複数の重複切断構造を形成することを可能にする。好ましい態様において、この最初の切断構造は部分的に解離する。特に好ましい態様において、切断されたオリゴヌクレオチドだけが、最初の切断構造から解離して、同じオリゴヌクレオチドの別のコピーによって置換される。いくつかの態様において、該解離は、１個または複数のオリゴヌクレオチドがそれ以上標的にハイブリダイズできないように温度を上昇させることによって誘導される。別の態様において、該解離は、オリゴヌクレオチドの切断によって、その反応条件では標的鎖に結合することができない切断産物のみを産生することによって生じる。好ましい態様において、条件は、切断の有無に関わらず、ヌクレオチドが標的鎖に会合（すなわち、ハイブリダイズ）するか、標的鎖から解離でき、オリゴヌクレオチドが切断構造の重複部分の一部として標的にハイブリダイズしたときに切断される条件を選択する。特定の好ましい態様において、重複構造部分の一部となったときに切断されるオリゴヌクレオチドのコピー数が、標的核酸鎖のコピー数を上回り、最初の切断構造体が解離したときに、標的鎖がオリゴヌクレオチドの切断されたコピーと会合するよりも、オリゴヌクレオチドの本来のコピーと会合する可能性の方が高くなるのに十分な量となる条件を選択する。
【０１９８】
いくつかの態様において、重複をもたない構造を認識し、切断することができる構造特異的ヌクレアーゼによって切断を行なう。好ましい態様において、重複をもつ構造を切断する速度に較べて、重複をもたない核酸構造の切断速度の方が低いという構造特異的ヌクレアーゼによって切断を行なう。特に好ましい態様において、重複をもつ構造を切断する速度に較べて、重複をもたない核酸構造の切断速度が１％よりも遅い構造特異的ヌクレアーゼによって切断を行なう。
【０１９９】
いくつかの態様において、重複切断構造の切断を検出することが望ましい。検出は、切断産物の解析、または残った切断されていない核酸の解析によって行なうことができる。便宜上、以下では、切断産物の解析について説明するが、当業者においては、これらの方法が、侵襲的切断反応において非切断の核酸の解析にも容易に適用できることが理解されよう。核酸、核酸断片またはオリゴヌクレオチドを解析するための、当技術分野において既知の方法を、切断産物の検出に適用することができる。
【０２００】
一つの態様において、切断産物は、それらに含まれる、例えば、各原子、反応基の特定の種類、またはヌクレオチドの各塩基などの化学物質含有量によって同定することができる（Ｃｈａｒｇａｆｆら、Ｊ． Ｂｉｏｌ． Ｃｈｅｍ． １７７： ４０５ ［１９４９］）。このような方法で、切断産物を、それを切断によって遊離させる長い核酸、または別の核酸から区別することが可能になる。
【０２０１】
別の態様において、切断産物は、長さ、質量、電荷、または電荷対質量の比などがあるが、これらに限定されない具体的な物理学的属性によって区別することができる。さらに別の態様において、切断産物は、溶液中での回転速度、電気泳動による移動速度、遠心分離における沈降速度、ＭＡＬＤＩ−ＴＯＦ質量分析法における飛行時間、クロマトグラフィーにおける移動速度もしくはその他の挙動、相補的な核酸からの融解温度、または溶液からの沈殿可能性などがあるが、これらに限定されない物理学的属性に関係した挙動によって区別することができる。
【０２０２】
切断産物の検出は、標識の遊離によって行なうことができる。このような標識は、一種類以上の色素、３２Ｐまたは３５Ｓなどの放射性標識、ビオチンなどの結合成分、金属イオンまたは化学基などの質量タグ、ポリアミンまたは荷電色素などの電荷タグ、ジゴキシゲニンなどのハプテン、発光性、リン光性、および蛍光発生性の成分、ならびに、蛍光色素単独、または蛍光共鳴エネルギー転移（ＦＲＥＴ）、または衝突蛍光エネルギー移動などによって発光スペクトルを抑制またはシフトさせることができる成分と併用した蛍光色素などがあるが、これらに限定されない。
【０２０３】
いくつかの態様において、切断産物の解析には、例えば、電気泳動、ハイブリダイズもしくは支持体への選択的結合、またはＭＡＬＤＩ−ＴＯＦなどの質量分析法による物理的な分析や分離がある。別の態様において、この解析は、ＦＲＥＴに基づく解析法におけるような、切断に誘導される蛍光の変化、または蛍光偏光解析における溶液中での核酸回転速度の切断に誘導される蛍光の変化を検出するような、物理学的分析法または分離法を行なわずに実施することができる。
【０２０４】
切断産物は、引き続き、オリゴヌクレオチドを利用することができる反応または読み出し法で使用することができる。このような反応は、ライゲーション、鋳型非依存型核酸ポリメラーゼによる尾部付加、および鋳型依存型核酸ポリメラーゼによるプライマー伸長などの修飾反応があるが、それらに限定されない。切断産物の修飾は、１個または複数の標識または結合成分の付加、質量の変更、特異的配列の付加などの目的で、または、切断産物の解析を容易にしたり、または別の副産物、切断反応の結果の解析を容易にするなど別の目的で行うことができる。
【０２０５】
切断産物の解析は、切断産物そのものを修飾しないその後の工程や反応を含むこともできる。例えば、切断産物を用いて、インビボでの転写を行わせることができるプロモーター、または別のタンパク質結合部位などの機能的構造を完成させることができる。解析には、完成された機能的構造を用いること、または、その機能を実行させる工程が含まれる。１個または複数の切断産物を用いて、重複する切断構造を完成させ、それによって、その生成物を検出できたり、その生成物がさらなる切断反応への関与など、本明細書記載のいずれかの方法によって用いられる、その後の切断反応が可能になる。
【０２０６】
侵襲的切断反応の特定の好ましい態様は以下の説明に記載されている。いくつかの態様において、本発明に係る方法は、標的核酸と相互作用して、構造特異的ヌクレアーゼに対する切断構造を形成するオリゴヌクレオチドを少なくとも一組使用する。いくつかの態様において、この切断構造は、ｉ）一本鎖または二本鎖の標的核酸（二本鎖標的核酸を用いるときには、例えば、熱処理によって、一本鎖にすることができる）；ｉｉ）「プローブ」と称される第一のオリゴヌクレオチドであって、標的核酸配列の第一の領域に相補的であることによって該領域を規定するオリゴヌクレオチド；ｉｉｉ）「ＩＮＶＡＤＥＲオリゴヌクレオチド」と称される第二のオリゴヌクレオチドであって、その５’部位が第一の標的領域の下流に隣接していて、同じ標的核酸配列の第二の領域を規定し、この第二の部分が、第一のオリゴヌクレオチドによって規定される領域と重複する第二のオリゴヌクレオチドを含む。
【０２０７】
本態様におけるこれらのオリゴヌクレオチドの結合は、標的核酸を、プローブのみに相補性を有する領域、ＩＮＶＡＤＥＲオリゴヌクレオチドのみに相補性を有する領域、および両方のオリゴヌクレオチドに相補性を有する領域という３つの別々の領域に分割すると考えられる。上記したように、本発明のいくつかの態様において、重複は、重複する相補的塩基以外の部分を含むことができる。このように、いくつかの態様において、ＩＮＶＡＤＥＲオリゴヌクレオチドとプローブオリゴヌクレオチドの間には物理的な重複はあるが、配列の重複はない。すなわち、後者の態様においては、両方のオリゴヌクレオチドに対して相補性を有する標的核酸領域は存在しない。
【０２０８】
ａ）オリゴヌクレオチドの設計
これらのオリゴヌクレオチド（すなわち、ＩＮＶＡＤＥＲオリゴヌクレオチドとプローブ）の設計は、当技術分野において標準的な方法を用いて行なわれる。例えば、得られたオリゴヌクレオチドがそれ自体で折り畳まれたり、標的核酸に結合しないで互いにハイブリダイズするような自己相補性のある配列は通常用いない。
【０２０９】
これらのオリゴヌクレオチドの長さを選ぶ条件の一つは、標的核酸を含む試料の複雑さである。例えば、ヒトゲノムは、長さ約３×１０９塩基対である。ある１０ヌクレオチドの配列が、任意の塩基列の中に１：４１０の頻度、すなわち１：１，０４８，５７６の頻度で出現するため、３０億塩基対では約２，８６１回になる。明らかに、この長さのオリゴヌクレオチドでは、ヒトゲノムと同じ長さの配列を有する標的の中にある１０ヌクレオチドの領域に特異的に結合する機会は低いことになる。しかし、標的配列が３ ｋｂのプラスミドであった場合には、このようなオリゴヌクレオチドが特異的に結合する機会が十分にあることになると思われる。これと同じ計算法をによれば、１６塩基のオリゴヌクレオチド（すなわち、１６量体）が、最短の配列長で、３×１０９塩基対で一回だけ出現する数学的可能性の高い長さである。これと同程度の特異性は、より短い２種類またはそれ以上のオリゴヌクレオチドが協同的な形（すなわち、両方とも、あるいはすべてが目的とする標的配列に結合したときにだけ、目的とする複合体を産生できるような形）で結合するように構成されていれば、そのようなオリゴヌクレオチドによっても提供することができ、短いオリゴヌクレオチドを組み合わせることによって所望の特異性がもたらされる。このような態様の一つにおいて、短いオリゴヌクレオチド間での協同性は、オリゴヌクレオチドが、核酸上の隣接する部位にハイブリダイズするときに生じうる同軸的スタッキング効果（ｃｏａｘｉａｌ ｓｔａｃｋｉｎｇ ｅｆｆｅｃｔ）による。別の態様においては、短いオリゴヌクレオチドは、互いに直接、または１個もしくは複数の間隙領域を置いて連結している。このように連結した短いオリゴヌクレオチドは、標的から離れた領域に結合したり、標的内の二次構造の領域にわたって架橋するために使用することも可能である。このような架橋オリゴヌクレオチドの例が、国際公開公報第９８／５０４０３号に記載されている。この文献はその全体が参照として本明細書に組み入れられる。
【０２１０】
オリゴヌクレオチドの長さを選択する上で考慮しなければならない第二の条件は、オリゴヌクレオチドが機能すると考えられる温度範囲である。平均塩基含有量（５０％ Ｇ−Ｃ塩基）をもつ１６量体は、特に、オリゴヌクレオチドおよびその標的の濃度、反応液の塩含有量、およびヌクレオチドの正確な配列によるが、計算上約４１℃のＴｍ値をもつ。実際問題として、ハイブリダイゼーションの特異性を高めるためには、より長いオリゴヌクレオチドを選択する。長さ２０から２５ヌクレオチドのオリゴヌクレオチドは、そのらのＴｍｓ計算値（Ｔｍから約５℃の範囲）に近い温度で行なわれる反応に使用されれば特異的となる可能性が非常に高くなるため、しばしば使用される。さらに、Ｔｍｓ計算値が５０から７０℃の範囲で、このようなオリゴヌクレオチド（すなわち、２０〜２５量体）は、しばしばこの温度範囲付近で最適な活性を示す熱安定性酵素によって触媒される反応に適切に用いることができる。
【０２１１】
選択されるオリゴヌクレオチドの最大長も所望の特異性によって決まる。長すぎて部分的な相補配列に安定して結合する危険が高くなったり、所望のときに簡単に遊離できない（例えば、切断が起きた後、標的からの解離できない、または、反応液中の酵素および他の物質に適した反応温度で解離できない）ような長さは避けるべきである。
【０２１２】
ＩＮＶＡＤＥＲオリゴヌクレオチド特異的切断を行うためにオリゴヌクレオチドを設計および選択する最初の工程は、これら試料の一般原則に従う。各オリゴヌクレオチドは、各々が配列特異的プローブと考えられるものが、上記に列挙したガイドラインに従って選択されうる。すなわち、各オリゴヌクレオチドは、一般的に、２０〜４０ヌクレオチドの範囲の複雑な試料の中にある目的の標的配列だけにハイブリダイズすると合理的に予想できる長さをもつ。または、ＩＮＶＡＤＥＲオリゴヌクレオチド特異的切断アッセイ法は、これらのオリゴヌクレオチドの共同作用に依存するため、標的に架かる／結合する２種類のオリゴヌクレオチドの複合した長さを、この範囲内になるよう選択することができ、各個別のオリゴヌクレオチドを約１３〜１７ヌクレオチドの範囲にすることができる。反応に非熱安定性切断手段を使用するのであれば、このような設計を使用することができ、熱安定性切断手段を用いるときに使用した温度よりも低い温度で反応を行なう必要がある。いくつかの態様において、これらのオリゴヌクレオチドを、単一の標的核酸内で多数回結合させる（例えば、標的内の多数の変異体、または多数の類似配列を結合させる）ことが望ましい。本発明に係る方法は、特定のサイズのプローブまたはＩＮＶＡＤＥＲオリゴヌクレオチドに限定されるものではない。
【０２１３】
本アッセイ法のオリゴヌクレオチド対を設計する第二の工程は、上流の「ＩＮＶＡＤＥＲ」オリゴヌクレオチド配列をどの程度下流の「プローブ」配列に重複させるかを選択し、その結果、プローブをどのサイズに切断するかを選択する工程である。いくつかの好ましい態様において、プローブオリゴヌクレオチドは、代謝回転させることができる。すなわち、プローブは、温度による変性または重合による置換を行なう必要なしに、プローブ分子の別のコピーを結合および切断させるために離脱させることができる。本アッセイ法一つの態様において、切断因子によるエキソヌクレアーゼ的分解によってプローブの代謝回転を促進することができるが、本発明のいくつかの好ましい態様においては、代謝回転にとってこのエキソヌクレアーゼ活性は必要ではない。例えば、いくつかの態様においては、反応温度および反応条件を選択して、プローブが標的にハイブリダイズおよび解離しているという平衡状態を作り出す。別の態様において、非結合のプローブに標的鎖への結合を開始させ、結合したプローブを物理的に置換するための温度および反応条件を選択する。さらに別の態様において、プローブ置換のメカニズムのどちらか、または両方がいずれかの割合で起きるように温度および反応条件を選択する。本発明に係る方法は、特定のプローブ置換のメカニズムに限定されるものではない。プローブが標的に結合して切断構造を形成すると、何らかのメカニズムによって切断が起こりうる。標的へのプローブの結合と離脱を連続的に繰り返すと、標的核酸の各コピーに対するプローブの結合と切断を複数回行なうことができる。
【０２１４】
ｉ）重複をもたない配列
プローブ上の上流オリゴヌクレオチドの３’末端と所望の切断部位との関係は慎重に設計しなければならない。本明細書で使用されている構造特異的エンドヌクレアーゼと同じタイプのものを切断するのに適した部位は、二本鎖中の一塩基対であることが知られている（Ｌｙａｍｉｃｈｅｖら、前掲）。以前は、上流オリゴヌクレオチドまたはプライマーが存在することで、切断部位がこの好適な部位から５’側アームの一本鎖領域に移動できると考えられていた（Ｌｙａｍｉｃｈｅｖら、前掲、および米国特許第５，４４２，２５３号）。この以前に提唱されたメカニズムに対して、本発明を特定のメカニズムに限定しなくとも、プローブ（ミニプローブおよび中程度の長さのプローブなど）上の切断部位のすぐ５’側または上流にあるヌクレオチドは、効率的な切断を生じさせるために標的と塩基対合できるはずだと考えられる。本発明の場合、これは、目的とする切断部位のすぐ上流にあるプローブ配列中のヌクレオチドであると思われる。さらに、上記したように、プローブ中のその同一の部位に切断させるためには、上流オリゴヌクレオチドが、プローブの目的とする切断部位のすぐ上流に３’側塩基（すなわち、ヌクレオチド）を持たなければならない。ＩＮＶＡＤＥＲおよびプローブオリゴヌクレオチドが配列重複を共有している態様においては、このことは、上流オリゴヌクレオチドの３’末端ヌクレオチドとプローブオリゴヌクレオチドの切断部位の５’側を、対応する標的配列のヌクレオチドとの対合について競合状態に置くことになる。
【０２１５】
この競合の結果（切断がうまく行われている間どちらの塩基が対合するか）を調べるために、プローブおよびＩＮＶＡＤＥＲオリゴヌクレオチドを置換して、プローブまたはＩＮＶＡＤＥＲオリゴヌクレオチドが、この位置で標的配列とミスマッチするようにした。両方の配列が切断速度に与える効果について調べた。ＩＮＶＡＤＥＲオリゴヌクレオチドが３’末端で塩基対合しない場合には、切断速度が低下することはなかった。しかし、この塩基を除去すると、切断部位が目的の部位の上流に移動した。これに対して、プローブオリゴヌクレオチドは、ＩＮＶＡＤＥＲオリゴヌクレオチドが切断を指令していた部位のすぐ上流で標的と塩基対合しないと、切断速度は顕著に低下したが、このことは、競合があるときには、プローブオリゴヌクレオチドがこの位置で塩基対合する分子であることを示唆している。
【０２１６】
ＩＮＶＡＤＥＲオリゴヌクレオチドの上流の３’末端は、切断過程では対合していないが、正確な切断の位置決めには、依然として重要であると考えられる。切断位置を決めるのに３’末端ヌクレオチドのどの部分が必要かを調べるために、この位置で終結する、さまざまな方法で改変されたヌクレオチドをもつＩＮＶＡＤＥＲオリゴヌクレオチドを設計した。調べた糖には、３’リン酸基をもつ２’デオキシリボース、ジデオキシリボース、３’デオキシリボース、２’Ｏ−メチルリボース、アラビノース、および３’リン酸基をもつアラビノースが含まれる。３’リン酸を持つ脱塩基リボース（ａｂａｓｉｃ ｒｉｂｏｓｅ）、および持たない脱塩基リボースを調べた。リボース糖上の３−ニトロピロールおよび５−３ニトロインドールなどの合成「汎用」塩基を調べた。最後に、塩基様芳香環構造であるアクリジンを調べた。これは、糖基を持たない以前にヌクレオチドであったものの３’末端に結合したものを調べた。得られた結果は、（ＩＮＶＡＤＥＲオリゴヌクレオチドの３’末端にある）塩基の芳香環が、下流プローブ内の所望の部位に対する切断の検出を行なうための重要な部分であることを裏付けている。ＩＮＶＡＤＥＲオリゴヌクレオチドの３’末端部分は、標的核酸に対して相補的な塩基である必要はない。
【０２１７】
ｉｉ）ミニプローブおよびミディプローブ
上記したとおり、ＩＮＶＡＤＥＲオリゴヌクレオチド−特異的切断アッセイ法を、約１３〜２５ヌクレオチド（一般的には、２０〜２５ヌクレオチド）の長さをもつＩＮＶＡＤＥＲおよびプローブのオリゴヌクレオチドを用いて行なうことができる。また、オリゴヌクレオチドはそれ自体、標的鎖に沿って整列するが、共有結合しない短い塩基配列から構成されうるとも考えられる。これは、複合オリゴヌクレオチドの糖−リン酸骨格にニックがあるが、できた二本鎖中の塩基対合したヌクレオチドの連続には破綻がないということである。核酸の短い鎖が、より長い鎖に沿って連続的に整列する場合、それぞれのハイブリダイゼーションは、隣接する断片がハイブリダイズすることによって安定する。なぜなら、塩基対合は、骨格が実際に連続しているかのように、らせんに沿って積み重なることができるからである。この結合の協同性によって、長い方のオリゴヌクレオチドだけにハイブリダイズするセグメントについて予想されるものが過剰に存在するなかで各セグメントの相互作用に安定性がもたらされる。この観察結果の利用法の一つは、一般的には長さが１８ヌクレオチドの、ＤＮＡ配列決定のためのプライマーを、このようにしてハイブリダイズするよう設計された３種類の６量体オリゴヌクレオチドのセットから集めることであった（Ｋｏｔｌｅｒら、Ｐｒｏｃ． Ｎａｔｌ． Ａｃａｄ． Ｓｃｉ． ＵＳＡ， ９０： ４２４１ （１９９３）。得られた二重のニックをもつプライマーは、６量体のハイブリダイゼーションは崩壊するが、１８量体のハイブリダイゼーションは崩壊しないとされる温度で行なわれる反応で酵素によって伸長させることができる。
【０２１８】
複合または分割されたオリゴヌクレオチドは、ＩＮＶＡＤＥＲ−特異的切断アッセイ法に好適に適用される。例えば、プローブオリゴヌクレオチドを標的オリゴヌクレオチドに沿って連続および隣接した形で２つのオリゴヌクレオチドに分割し、下流オリゴヌクレオチド（プローブに類似）が、以下の２種類の小さな断片から組み立てられるようにすることができる。すなわち、６〜１０ヌクレオチドの短いセグメント（「ミニプローブ」と称する）であって、検出反応の過程で切断されるセグメント、およびミニプローブのすぐ下流にハイブリダイズするオリゴヌクレオチド（「スタッカー」と称する）であって、プローブのハイブリダイゼーションを安定させるのに役立つセグメントである。切断構造を形成させるため、切断活性をミニプローブの所望の領域に向かわせるための上流オリゴヌクレオチド（ＩＮＶＡＤＥＲオリゴヌクレオチド）が提供される。連結していない核酸の断片（すなわち、ミニプローブとスタッカー）からプローブを組み立てることによって、全部が証明された配列の再合成を必要とすることなく、配列の領域を変更することができる。そのため、検出システムの費用と融通性を高めることができる。さらに、非結合の複合オリゴヌクレオチドを使用すると、システムは、シグナル生成を達成するために完全に一致したハイブリダイゼーションをより厳密に要求するようになり、標的核酸配列における変異または変化を検出する高感度の方法として用いることが可能になる。
【０２１９】
一つの態様において、本発明に係る方法は、標的核酸と相互作用して構造特異的ヌクレオチドに対する切断構造を形成する少なくとも３種類のオリゴヌクレオチドを用いる。具体的には切断構造は、ｉ）一本鎖または二本鎖（二本鎖の標的核酸を使用する場合には、例えば加熱することによって一本鎖にすることができる）の標的核酸；ｉｉ）「スタッカー」と称される第一のオリゴヌクレオチドであって、標的核酸配列の第一の領域に相補的であることによって、この領域を規定する第一のオリゴヌクレオチド；ｉｉｉ）「ミニプローブ」と称される第二のオリゴヌクレオチドであって、標的核酸配列の第二の領域に相補的であることによって、この領域を規定する第二のオリゴヌクレオチド；ｉｖ）「ＩＮＶＡＤＥＲオリゴヌクレオチド」と称される第三のオリゴヌクレオチドであって、その５’部分が同じ核酸配列の第三の領域を規定し、その第二または３’部分が、第二のオリゴヌクレオチドによって規定される領域と重複する第三のオリゴヌクレオチドを含む。スタッカーを使用しない態様について上記したように、重複領域は、ＩＮＶＡＤＥＲオリゴヌクレオチドとプローブオリゴヌクレオチドの間に、配列の重複ではなく、物理的な重複がある領域を意味することもある。
【０２２０】
上記に引用した利点に加えて、切断構造を形成するオリゴヌクレオチドに複合的設計を使用することによって、ＩＮＶＡＤＥＲ−特異的切断アッセイ法を行うための反応条件の設計における自由度を高めることができる。上記したように、より長いプローブ（例えば、１６〜２５ヌクレオチド）を、そのＴｍよりも低い温度で行なわれる反応での検出に用いる場合は、プローブの切断が、その一部である二本鎖を不安定化する上で重要な役割を果たして、標的核酸上の認識部位の代謝回転と再使用を可能にする。これに対して、プローブのＴｍ以上の反応温度は、プローブが切断されなくても非常に速い速度でプローブ分子がハイブリダイズして、標的から遊離することを意味する。上流ＩＮＶＡＤＥＲオリゴヌクレオチドおよび切断因子が提供されるとき、プローブは特異的に切断されるが、この切断はプローブの交替には必要ではない。長い（例えば、１６〜２５ヌクレオチドの）プローブをこのように使用する場合には、この状態を達成するために必要となる温度は高く、平均の塩基組成をもつ２５量体でほぼ６５〜７０℃である。このような高い温度の利用を必要とするため、切断因子の選択は、熱安定性が高いものであって、検出法によるがプローブオリゴヌクレオチドの熱分解による反応のバックグラウンドに貢献できるものに限定される。ミニプローブによって、この後者のプローブ置換というメカニズムを低温で行なうことができる。したがって、低い反応温度を用いる態様にとっては、短いプローブほど好ましい。
【０２２１】
本発明に係るミニプローブは、所望の応用法に応じて、さまざまな長さにすることができる。一つの態様において、標準的なプローブ（例えば、１６〜２５ヌクレオチド）に較べて短く、６〜１０ヌクレオチドの範囲でもよい。このように短いプローブを使用するときには、スタッカーオリゴヌクレオチド非存在下ではミニプローブのハイブリダイゼーションが行われないという反応条件を選択することができる。このようにして、短いプローブに、より長い配列の統計的な特異性と選択性を持たせることができる。標的核酸に相補的な短い配列の中または連続した二本鎖の連結部位におけるミスマッチによって起こりうるような、ミニプローブ核酸とスタッカー核酸の協同的結合に混乱が起きると、この協同性が失われることがあり、それによって、短い二本鎖（すなわち、ミニプローブの二本鎖）の安定性は顕著に低下し、本発明に係るアッセイ法における切断産物の量が低下する。
【０２２２】
中程度の長さのプローブを使用することができるとも考えられる。そのようなプローブは、１１〜１５ヌクレオチド程度で、スタッカーオリゴヌクレオチドの補助がなくてもハイブリダイズし切断されうることなど、最初に記載したような長いプローブに付随する特徴のいくつかを融合させることができる。このようなプローブの予想Ｔｍよりも低い温度で、代謝回転のメカニズムは、２０ヌクレオチド程度のプローブについて検討したメカニズムと同様であり、不安定化および回転を行うための重複領域中の配列の除去によって左右される。
【０２２３】
中程度の長さのプローブは、高い温度でも使用することが可能で、予想Ｔｍ以上で、切断ではなく融解によってプローブの回転を促進することができる。しかし、上記したより長いプローブとは対照的に、このように温度に左右される代謝回転を利用できるようにするのに必要な温度はより低い（約４０〜６０℃）ため、反応液中の切断手段と核酸を両方とも熱分解から保護することができる。このようにして、場合によっては、中程度の長さのプローブは、上記のミニプローブと同様に作用することができる。ミニプローブにさらに類似しているのは、反応条件によっては、スタッカーが存在することによって、中程度の長さのプローブからの切断シグナルの蓄積が促進されることである。
【０２２４】
要するに、標準的な長さのプローブでは、通常、下流のスタッカーオリゴヌクレオチドが存在することは恩典とはならない（ただし、そのようなオリゴヌクレオチドが、プローブの結合を阻害する標的核酸構造も破壊する場合にはこの限りでない）ので、このプローブは、標的からオリゴヌクレオチドを効率的に遊離させるために、何種類かのヌクレオチドを除去する必要のある条件で使用することができる。反応温度を用いてプローブの交換を操作する場合には、標準的なプローブに、核酸および酵素が熱分解される危険性の高い温度を使用する必要がある可能性がある。
【０２２５】
ミニプローブは非常に短く、下流にスタッカーオリゴヌクレオチドが存在するときに最適に作用する。ミニプローブは、どの塩基が切断されるかに関係なく、標的上でプローブを迅速に交換させる反応温度を使用する反応条件によく適合する。十分な量の切断手段との反応において、よく結合するプローブは融解して離れる前に速やかに切断されるはずである。
【０２２６】
中程度の長さのプローブまたはミニプローブは、これらのプローブの特徴を組み合わせて、長いプローブに適した反応と同じ反応において使用することができる。好ましい態様において、中程度の長さのプローブは、プローブが標的にハイブリダイズして、切断の有無に関わらず迅速に遊離する十分に高い温度で使用される。中程度の長さのプローブは、一定の条件下では、スタッカー存在下でより高い効率を示すことができる。
【０２２７】
ミニプローブ、ミディ（すなわち、中程度の長さの）プローブ、およびロングプローブの区別は、一定したもので、長さのみに基づくものであるとは考えない。所定のプローブの効率は、それに特異的な配列、溶液条件の選択、温度の選択、および選択された切断手段によって変化する。
【０２２８】
本発明に係る切断構造を含むオリゴヌクレオチドの集合体は、プローブと標的の間のミスマッチを感知する。また、ＩＮＶＡＤＥＲオリゴヌクレオチドと標的との間のミスマッチを利用して、関係する標的配列を区別することができるとも考えられる。ＩＮＶＡＤＥＲ、プローブ、およびスタッカーオリゴヌクレオチドを含む３−オリゴヌクレオチドシステムにおいて、ミスマッチは、これらのオリゴヌクレオチドと標的の間で形成される二本鎖のいずれかの領域内に存在する可能性があると考えられる。好ましい態様において、検出されるミスマッチは、プローブの中に存在する。特に好ましい態様において、ミスマッチは、プローブの中の、プローブが標的にミスマッチしないときに切断される部位のすぐ上流（すなわち、５’側）にある塩基対に存在する。
【０２２９】
別の好ましい態様において、検出すべきミスマッチは、ミニプローブのハイブリダイゼーションによって規定される領域内に存在する。特に好ましい態様において、ミスマッチは、ミニプローブの中の、ミニプローブが標的にミスマッチしないときに切断される部位のすぐ上流（すなわち、５’側）にある塩基対に存在する。
【０２３０】
ｉｉｉ）ＩＮＶＡＤＥＲアッセイ法用オリゴヌクレオチドを設計するためのソフトウエア
本発明は、検出アッセイ法に使用するためのオリゴヌクレオチドを設計するためのシステムおよび方法を提供する。特に、本発明は、検出アッセイ法にとって望ましい反応条件（例えば、温度、緩衝液条件など）の下で、標的核酸の適当な領域（例えば、二次構造を含まない標的核酸領域など）にうまくハイブリダイズするオリゴヌクレオチドを設計するためのシステムおよび方法を提供する。これらのシステムおよび方法によって、同一の反応条件または実質的に同一の反応条件の下での検出アッセイ法においてすべてが機能する、多数の異なったオリゴヌクレオチド（例えば、標的核酸の異なった部位にハイブリダイズするオリゴヌクレオチド、または、２つもしくはそれ以上の異なった標的核酸にハイブリダイズするオリゴヌクレオチド）を設計することも可能になる。これらのシステムおよび方法を用いて、実験条件下で機能する対照用試料を設計することも可能である。
【０２３１】
本発明に係るシステムおよび方法は、特定の検出アッセイ法に限定されるものではなく、以下の説明は、ＳＮＰを検出するためのＩＮＶＡＤＥＲアッセイ法（サードウエーブテクノロジーズ社（Ｔｈｉｒｄ Ｗａｖｅ Ｔｅｃｈｎｏｌｏｇｉｅｓ）、ウィスコンシン州マディソン（Ｍａｄｉｓｏｎ， ＷＩ）；例えば、米国特許第５，８４６，７１７号、第５，９８５，５５７号、第５，９９４，０６９号、第６，００１，５６７号、ならびに国際公開公報第９７／２７２１４号および国際公開公報第９８／４２８７３号を参照されたい。なお、これらは参照として本明細書に組み入れられる）とともに使用されるときの発明を具体的に説明したものである。当業者には、本例示的実施例の具体的かつ一般的な特徴を、他の検出アッセイ法や、ＳＮＰ検出以外の目的をもつＩＮＶＡＤＥＲアッセイ法（例えば、ＤＮＡまたはＲＮＡの定量、ＲＮＡのスプライス部位検出など）を設計するときに利用するためにも広く適用できることが理解できると思われる。さらに、本明細書に記載されたアルゴリズムはすべて、別々のソフトウエア構成品として応用することができ、あるいは、下記のＩＮＶＡＤＥＲＣＲＥＡＴＩＯＲデザインシステムを使用せずに、ＩＮＶＡＤＥＲアッセイ法用プローブセットの設計をするため、マニュアルで計算することもできる。
【０２３２】
ＩＮＶＡＤＥＲＣＲＥＡＴＩＯＲプログラムを用いたＩＮＶＡＤＥＲアッセイ法用オリゴヌクレオチドの設計
ＳＮＰを検出するためのＩＮＶＡＤＥＲアッセイ法で使用するためにオリゴヌクレオチドを設計する、いくつかの態様において、目的の配列をＩＮＶＡＤＥＲＣＲＥＡＴＩＯＲプログラム（サードウエーブテクノロジーズ社（Ｔｈｉｒｄ Ｗａｖｅ Ｔｅｃｈｎｏｌｏｇｉｅｓ）、ウィスコンシン州マディソン（Ｍａｄｉｓｏｎ， ＷＩ））に入力する。上記したとおり、いくつかの起源から解析のために、ＩＮＶＡＤＥＲＣＲＥＡＴＩＯＲプログラムをホスティングするコンピュータに直接入力するか、通信ネットワーク（例えば、ＬＡＮ、イントラネット、またはインターネットによるネットワーク）によって連結された遠隔コンピュータを介して配列を入力する。このプローブによって、センス鎖およびアンチセンス鎖を設計できる。鎖は、一般的に、合成の容易さ、二次構造形成の最小化、および製造のしやすさに基づいて選択される。いくつかの態様において、ユーザーが設計すべき配列の鎖を選択する。別の態様において、ソフトウエアが自動的に鎖を選択する。最適なプローブ回転とシグナル生成を行なうための熱力学的パラメータ（ＡｌｌａｗｉおよびＳａｎｔａＬｕｃｉａ、Ｂｉｏｃｈｅｍｉｓｔｒｙ， ３６： １０５８１ ［１９９７］）を取り込むことによって、オリゴヌクレオチドプローブを設計して、予め選択された測定温度（例えば、６３℃）で操作することができる。これらの基準に基づいて、最終的なプローブセット（例えば、２つの対立遺伝子に対する一次プローブおよび一つのＩＮＶＡＤＥＲオリゴヌクレオチド）を選択する。
【０２３３】
いくつかの態様において、ＩＮＶＡＤＥＲＣＲＥＡＴＩＯＲシステムは、ＢＬＡＳＴ（米国国立衛生研究所国立医学図書館バイオテクノロジー情報センター（Ｎａｔｉｏｎａｌ Ｃｅｎｔｅｒ ｆｏｒ Ｂｉｏｔｅｃｈｎｏｌｏｇｙ Ｉｎｆｏｒｍａｔｉｏｎ， Ｎａｔｉｏｎａｌ Ｌｉｂｒａｒｙ ｏｆ Ｍｅｄｉｃｉｎｅ， Ｎａｔｉｏｎａｌ Ｉｎｓｔｉｔｕｔｅ ｏｆ Ｈｅａｌｔｈ）のウェブサイトで利用することができる）へのリンクを含む信頼性の高いサイトアクセス、および、ｍｆｏｌｄ（Ｚｕｋｅｒ， Ｓｃｉｅｎｃｅ， ２４４： ４８ ［１９８９］）を組み込んだソフトウエアプログラムであるＲＮＡｓｔｒｕｃｔｕｒｅ（ＲＮＡストラクチャー）（Ｍａｔｈｅｗｓら、ＲＮＡ ５： １４５８ ［１９９９］）にリンクすることができる信頼性の高いサイトアクセスをもつウェブを利用したプログラムである。ＲＮＡｓｔｒｕｃｔｕｒｅは、ＩＮＶＡＤＥＲＣＲＥＡＴＩＯＲによって作成されたオリゴヌクレオチドの設計案を、単一分子および二分子の複合体形成の可能性について試験する。ＩＮＶＡＤＥＲＣＲＥＡＴＩＯＲは、オープン・データベース・コネクティビティ（ＯＤＢＣ）に対応しており、エクスポート／統合のためにオラクル（Ｏｒａｃｌｅ）データベースを使用している。ほとんどのゲノムセンターはＵＮＩＸを利用しているため、ＵＮＩＸシステムで十分に作動するよう、ＩＮＶＡＤＥＲＣＲＥＡＴＩＯＲシステムにはオラクルが組み込まれている。
【０２３４】
いくつかの態様において、ＩＮＶＡＤＥＲＣＲＥＡＴＩＯＲ解析は、別のサーバー（例えば、サン（Ｓｕｎ）サーバー）上で提供されるため、大量のバッチジョブの解析を処理することができる。例えば、顧客は、２，０００個までのＳＮＰ配列を一つの電子メールで提出することができる。サーバーは、配列のバッチをＩＮＶＡＤＥＲＣＲＥＡＴＩＯＲソフトウエアに受け渡し、プログラムが開始されると、ＳＮＰのセットを設計する。いくつかの態様において、プローブセットの設計は、配列を受け取ってから２４時間以内にユーザーに返送される。
【０２３５】
いくつかの好ましい態様において、各ＩＮＶＡＤＥＲアッセイ反応には、二種類以上の標的特異的で標識されていないオリゴヌクレオチド、上流ＩＮＶＡＤＥＲオリゴヌクレオチドおよび下流プローブオリゴヌクレオチドが一次反応用に含まれる。ＩＮＶＡＤＥＲオリゴヌクレオチドは、一般的に、反応温度において安定して結合するよう設計され、プローブは、標的鎖と自由に会合したり解離したりするように設計され、また、非切断のプローブが重複するＩＮＶＡＤＥＲオリゴヌクレオチドに隣接してハイブリダイズしたときにのみ切断が起きるように設計される。いくつかの態様において、このプローブは、標的に相補的でない５’フラップまたは「アーム」であり、このフラップは、切断が起きたときにプローブから遊離する。いくつかの態様において、遊離したフラップは、ＩＮＶＡＤＥＲオリゴヌクレオチドとして二次反応に関与する。
【０２３６】
以下の考察で、ＩＮＶＡＤＥＲＣＲＥＡＴＩＯＲプログラム用のユーザーインターフェイスをどのように構成することができるかの実施例を示す。
【０２３７】
ユーザーは、例えば、コンピュータのデスクトップ画面（例えば、ウィンドウズ（Ｗｉｎｄｏｗｓ）のデスクトップ）上のアイコンをクリックするなどして作業画面を開いて（図４２）、アッセイ法を設計すべき標的配列に関連する情報を入力する。いくつかの態様において、ユーザーは標的配列を入力する。別の態様において、ユーザーは、データベースから配列を捕捉できるようにコードまたは番号を入力する。さらに別の態様においては、ユーザーの名前、標的配列に付いた認識番号、および／または受付番号など、付加的情報を提供することができる。好ましい態様において、ユーザーは、（例えば、チェックボックスやドロップダウンメニューによって）標的核酸がＤＮＡであるかＲＮＡであるかを指示する。別の好ましい態様において、ユーザーは、核酸が由来する生物種を指示する。特に好ましい態様において、ユーザーは、設計が一つの配列（すなわち、反応当たり一つの標的配列または対立遺伝子）であるか、複数の配列（すなわち、反応当たり複数の標的配列または対立遺伝子）のいずれを検出するものかを指示する。必要な選択と入力が終わったら、ユーザーは解析処理を開始させる。一つの態様において、ユーザーは、処理を続けるために「設計開始（Ｇｏ Ｄｅｓｉｇｎ Ｉｔ）」というボタンを押す。
【０２３８】
いくつかの態様において、処理を行なう前にソフトウエアはフィールドへの入力を認証する。いくつかの態様において、ソフトウエアは、すべてのフィールドに適当な型の情報が完全に入力されているかを確認する。別の態様において、ソフトウエアは、入力配列が、選択された要件（例えば、最小または最大の長さ、ＤＮＡまたはＲＮＡの含量）に適合しているかを確認する。いずれかのフィールドへの入力が正しくなされていないときには、エラーメッセージまたはダイアログボックスが現れる。好ましい態様において、エラーメッセージは、どのフィールドが不完全および／または不正確であるかを表示する。配列の入力が確認されると、ソフトウエアは、アッセイ法の設計を開始する。
【０２３９】
いくつかの態様において、注文を入力するフィールドに入力された情報によって、どのタイプの設計を作成すべきかが特定される。好ましい態様において、標的配列および多重配列のチェックボックスによって、どのタイプの設計を作成すべきかが特定される。設計の選択肢には、ＳＮＰアッセイ法、多重ＳＮＰアッセイ法（Ｍｕｌｔｉｐｌｅｘｅｄ ＳＮＰ ａｓｓａｙ：例えば、一つの反応において、異なった対立遺伝子に対するプローブセットを組み合わせる場合）、多数ＳＮＰアッセイ法（Ｍｕｌｔｉｐｌｅ ＡＮＰ ａｓｓａｙ：例えば、入力された配列が、設計されるプローブセットついて多数の変異部位をもっている場合）、および複数プローブアームアッセイ法などがあるが、これらに限定されない。
【０２４０】
いくつかの態様において、ＩＮＶＡＤＥＲＣＲＥＡＴＩＯＲソフトウエアは、ウェブ受注（ＷｅｂＯＥ）処理によって（すなわち、イントラ／インターネットブラウザ・インターフェイスによって）開始され、これらのパラメータは、メニューやチェックボックスによって入力されるのではなく、ＷｅｂＯＥからアプレット＜ｐａｒａｍ＞タグを介して転送される。
【０２４１】
多数ＳＮＰ設計の場合には、ユーザーは、使用する２つまたはそれ以上の設計を選択する。いくつかの態様において、これを選択すると、新しい画面（例えば、多数ＳＮＰ設計選択画面、図４３）が開く。いくつかの態様において、ソフトウエアは、標的配列中の各遺伝子座に設計を作成し、各スコアを出して、それらをこの画面上に表示する。そして、ユーザーは、使うべき設計を２つ選択することができる。いくつかの態様において、ユーザーは、（例えば、メニューまたはボタンを介して）第一と第二の設計を選択し、作業を続けるために「設計開始（Ｇｏ Ｄｅｓｉｇｎ Ｉｔ）」というボタンをクリックする。
【０２４２】
所定の反応温度で最適に作用するプローブ配列を選択するために、隣接モデル（ｎｅａｒｅｓｔ−ｎｅｉｇｈｂｏｒ ｍｏｄｅｌ）および公開されているＤＮＡ二本鎖形成パラメータ（ＡｌｌａｗｉおよびＳａｎｔａＬｕｃｉａ， Ｂｉｏｃｈｅｍｉｓｔｒｙ， ３６： １０５８１ ［１９９７］）を用いて、検出すべきＳＮＰの融解温度（Ｔｍ）を計算する。標的鎖がＲＮＡである態様において、ＲＮＡ／ＤＮＡヘテロ二本鎖の形成に適したパラメータを用いることができる。アッセイ用の塩濃度が、しばしば、隣接パラメーターが得られた溶液条件（１ Ｍ ＮａＣｌおよび二価金属なし）とは異なるため、また、酵素の有無と濃度が最適な反応温度に影響するため、計算されたＴｍ値を調整して、反応を行なうべき最適温度を決定しなければならない。これらの因子を補償する方法の一つは、融解温度を計算するときの塩濃度のために設けられる値を変化させることである。この調整のことを「塩補正」という。本明細書において、「塩補正」という用語は、核酸二本鎖に影響する塩以外のパラメーターまたは条件の効果を、該核酸鎖に対するＴｍ値の計算に反映させるために、塩濃度のために設けられた値を変化させることを意味する。核酸鎖の濃度のために設けられた値を変化させると、これらの計算結果にも影響する。０．５ Ｍ ＮａＣｌという値（ＳａｎｔａＬｕｃｉａ， Ｐｒｏｃ． Ｎａｔｌ． Ａｃａｄ． Ｓｃｉ． ＵＳＡ， ９５： １４６０ （１９９８））とプローブの約１ ｍＭおよび標的の１ ｆＭという核酸鎖濃度を用いることによって、プローブ−標的融解温度を計算するために使用するアルゴリズムを、ＩＮＶＡＤＥＲアッセイ法の最適な反応温度を予測するのに使用できるようにすることができた。３０個のプローブセットについて、この方法によって計算された最適なアッセイ温度と、実験によって決定された最適なアッセイ温度との平均偏差は約１．５℃である。
【０２４３】
下流プローブの分析物特異的領域（ＡＳＲ）の長さは、反応を行なうために選択された温度（例えば、６３℃）によって規定される。標的ＤＮＡ上の変異ヌクレオチド（目的の切断部位のプローブヌクレオチド５’に対合する標的塩基）の位置から始めて、３’末端に付加しながら、所望の反応温度に適合する計算上の最適反応温度（Ｔｍ＋酵素の作用を補償する塩補正値）になるまで、プローブの標的結合領域の長さを一度に一塩基対ごと増やしていくという反復法を用いる。好ましくは、プローブの非相補的アームを選択して、二次反応を同一の反応温度で繰り返すことを可能にする。ｍｆｏｌｄ（Ｚｕｋｅｒ， Ｓｃｉｅｎｃｅ， ２４４： ４８ ［１９８９］）またはＯｌｉｇｏ ５．０（ＲｙｃｈｌｉｋおよびＲｈｏａｄｓ， Ｎｕｃｌｅｉｃ Ａｃｉｄｓ Ｒｅｓ．， １７： ８５４３ ［１９８９］）などのプローブを用いて、反応を妨害しうる二量複合体または二次構造が形成される可能性について全部のプローブオリゴヌクレオチドをスクリーニングする。ＩＮＶＡＤＥＲオリゴヌクレオチドの設計も同じ原理に従う。端的には、標的ＤＮＡ上のＮ位から始めて、ＩＮＶＡＤＥＲオリゴヌクレオチドの３’末端を、被検試料に含まれると考えられるどちらの対立遺伝子にも相補的でないヌクレオチドをもつように設計する。ミスマッチは、切断に悪影響を与えず（Ｌｙａｍｉｃｈｅｖら、Ｎａｔｕｒｅ Ｂｉｏｔｅｃｈｎｏｌｏｇｙ， １７： ２９２ ［１９９９］）、また、おそらく同軸的安定化作用を最小化することによって、プローブの回転を促進することができる。標的ＤＮＡに相補的な付加的残基を、Ｎ−１位から始めて、ＩＮＶＡＤＥＲオリゴヌクレオチドと標的とのハイブリッドの安定性がプローブの安定性を超えるまで（そして、その結果、予定していたアッセイ反応温度を超えて）、一般的には、１５〜２０℃超えるまで、５’方向に付加して行く。
【０２４４】
いくつかの態様において、一次反応物から遊離した切断断片を二次反応で使用する。反応工程を同時に行なうことができるよう、一次反応と二次反応が同じ最適温度で起きるようにプローブ配列のすべてを選択することができることがアッセイ法設計の一つの特徴である。代わりの態様において、反応工程が最適温度で同時に起こらないように、異なった最適温度で作動するようにプローブを設計することができる。
【０２４５】
いくつかの態様において、ソフトウエアは、ユーザーに、以下のものが含まれるが、それらに限定されない、さまざまな設計の態様を変更する機会を提供する。すなわち、プローブ、標的およびＩＮＶＡＤＥＲオリゴヌクレオチドの最適温度と濃度、保護基、プローブのアーム、色素、キャッピング基およびその他の付加基、プローブおよび標的の各塩基（例えば、標的および／またはプローブから塩基を欠失させたり付加すること、または、ＩＮＶＡＤＥＲおよび／またはプローブおよび／または標的のオリゴヌクレオチドの内部塩基を変更すること）。いくつかの態様において、メニューから選択して変更を行える。好ましい態様において、この選択によって新しい画面が開く（例えば、デザイナーワークシート画面、図４４）。
【０２４６】
いくつかの態様において、ソフトウエアは、アッセイ法設計の品質（例えば、効率の見込み値）を表示するための採点システムを提供する。一つの態様において、採点システムは、理想的な設計を表す初期スコアの点数（例えば、１００点）を含み、また、アッセイ効率に有害な影響を及ぼすことが知られているか、そう思われている設計上の特徴にペナルティー値が割り当てられているシステムである。ペナルティー値は、設計の目的となるアッセイ法の型（例えば、一重鎖、多重鎖）、およびアッセイ反応が行なわれる温度などがあるがこれらに限定されない、配列以外のアッセイ法におけるパラメーターによって、さまざまに変更することができる。以下の例は、実験によって特定される情報に基づいたＩＮＶＡＤＥＲアッセイ法のいくつかの態様とともに使用するための例示的な採点基準を提供するものである。採点上ペナルティーを課せられる設計上の特徴を示す例には以下の例があるが、これらに限定されない［ペナルティー値を括弧内に示す。最初の数字は低温アッセイ法（例えば、６２〜６４℃）用のものであり、二番目の数字は、高温アッセイ法（例えば、６５〜６６℃）用のものである。
【０２４７】
１．［１００：１００］ ＩＮＶＡＤＥＲオリゴヌクレオチドの３’末端がプローブのアームに類似する：
2004521606.tif 000011
２．［７０：７０］ プローブが多型性を含む５塩基の直列配列（すなわち、一列になった５個の同じ塩基）を有する
３．［６０：６０］ プローブが多型性に隣接した５塩基の直列配列を有する
４．［５０：５０］ プローブが多型性から１塩基のところに５塩基の直列配列を有する
５．［４０：４０］ プローブが多型性から２塩基のところに５塩基の直列配列を有する
６．［５０：５０］ プローブの５塩基の直列配列がＧである−追加的ペナルティー
７．［１００：１００］ プローブがいずれかに６塩基の直列配列を有する
８．［９０：９０］ ２塩基または３塩基の配列が４回以上繰り返される
９．［１００：１００］ 縮重塩基がプローブ中に存在する
１０．［６０：９０］ プローブがハイブリダイズする領域が短い（６５〜６７℃用の設計では１３塩基以下；６２〜６４℃用の設計では１２塩基以下）
１１．［４０：９０］ プローブがハイブリダイズする領域が長い（６５〜６７℃用の設計では２９塩基以下；６２〜６４℃用の設計では２８塩基以下）
１２．［５：５］ プローブがハイブリダイズする領域の長さ−一塩基付加される毎のペナルティー
１３．［８０：８０］ プローブのアームの後ろに来る最初の３塩基を区別しにくいＩｎｓ／Ｄｅｌ設計
１４．［１００：１００］ プローブ標的の７．５℃の範囲内にあるＩＮＶＡＤＥＲオリゴヌクレオチドの計算上のＴｍ値（６５〜６７℃用の設計ではＩＮＶＡＤＥＲオリゴヌクレオチドが７０．５℃以下；６２〜６４℃用の設計ではＩＮＶＡＤＥＲオリゴヌクレオチドが６９．５℃以下）
１５．［２０：２０］ プローブの計算上のＴｍ値が２．０℃以上差がある
１６．［１００：１００］ プローブが、標的のＴｍ値と比べて２℃より低い計算上のＴｍ値をもつ
１７．［１０：１０］ 標的の一方の核酸鎖が、もう一方の鎖よりも８塩基長い
１８．［３０：３０］ ＩＮＶＡＤＥＲオリゴヌクレオチドがいずれかに６塩基の直列配列を有する−初期ペナルティー
１９．［７０：７０］ ＩＮＶＡＤＥＲオリゴヌクレオチドの６塩基の直列配列がＧである−追加的ペナルティー
２０．［１５：１５］ プローブがハイブリダイズする領域が、１４、１５もしくは２４〜２８塩基長（６５〜６７℃）、または１３、１４もしくは２６、２７塩基長い（６２〜６４℃）
２１．［１５：１５］ プローブが、多型を含むＧの４塩基の直列配列を有する
【０２４８】
特に好ましい態様において、設計における各オリゴヌクレオチドに関する温度をコンピュータで再計算し、変更されるたびに、採点をコンピュータで再計算する。いくつかの態様において、「説明」ボタンをクリックすれば、採点についての説明を見ることができる。いくつかの態様において、ＢＬＡＳＴ検索の選択肢が提供される。好ましい態様において、「ＢＬＡＳＴ設計」ボタンをクリックすると、ＢＬＡＳＴ検索が行なわれる。いくつかの態様において、この操作によって、ＢＬＡＳＴ処理を説明するダイアログボックスが表示される。好ましい態様において、ＢＬＡＳＴ検索の結果がデザイナーワークシート上に強調された形で表示される。
【０２４９】
いくつかの態様において、ユーザーは、「受諾」ボタンをクリックして設計を受諾する。別の態様においては、ユーザーの介入なしで設計を諒承する。好ましい態様において、プログラムが、諒承された設計を次の処理段階（例えば、作成、ファイルまたはデータベース）に送り込む。いくつかの態様において、プログラムは、画面上（例えば、出力ページ、図４５）に図示し、作成された最終設計を精査できるようにし、また、設計に注釈を付けられるようにする。好ましい態様において、ユーザーは、（例えば、「戻る」ボタンをクリックすることによって）デザイナーワークシートに戻ることができる。または、（例えば、「保存」ボタンをクリックすることによって）設計を保存し、（例えば、設計されたオリゴヌクレオチドを製造用に提示するために）続けることができる。
【０２５０】
いくつかの態様において、プログラムは、印刷（例えば、テキストのみの表示）のため、またはその他の出力（例えば、出力画面、図４６）のために最適化された設計図を表示する画面を作成する選択肢を提示する。好ましい態様において、出力画面は、印刷、または別のアプリケーションに出力する（例えば、別のアプリケーションにコピー・ペーストする）のに特に適した設計の説明を提供する。特に好ましい態様において、出力画面は別のウィンドウの中で開く。
【０２５１】
本発明は、ＩＮＶＡＤＥＲＣＲＥＡＴＩＯＲソフトウエアの使用に限定されるものではない。実際、ＧＣＧウィスコンシンパッケージ（ジェネティクスコンピュータグループ（Ｇｅｎｅｔｉｃｓ ｃｏｍｐｕｔｅｒ Ｇｒｏｕｐ）、ウィスコンシン州マディソン）、およびベクターＮＴＩ（インフォマックス（Ｉｎｆｏｒｍａｘ）、メリーランド州ロックビル（Ｒｏｃｋｖｉｌｌｅ， Ｍａｒｙｌａｎｄ））などがあるが、これらに限定されない、さまざまなソフトウエアプログラムが考案され、市販されている。
【０２５２】
ｂ）反応条件の設計
標的核酸（例えば、ＲＮＡおよびＤＮＡ）は、５’ヌクレアーゼまたはその他適当な切断因子を使用する、本発明に係る方法を用いて解析することができる。そのような核酸は、標準的な分子生物学的な技術を用いて得ることができる。例えば、核酸（ＲＮＡまたはＤＮＡ）は、組織試料（例えば、生検標本）、組織培養細胞、細菌および／またはウイルスを含む試料（細菌および／またはウイルスの培養物など）などから単離することができる。標的核酸は、ＤＮＡ鋳型からインビトロで転写したり、化学的に合成したり、または、ポリメラーゼ連鎖反応によって増幅することもできる。さらに、核酸は、ゲノム物質として、またはプラスミドや同様の染色体外ＤＮＡとして生物から単離することができ、または、制限酵素またはその他の切断因子、または剪断力で処理して生成されたこのような物質の断片であってもよい。また、断片は合成することができる。
【０２５３】
標的、プローブ、およびＩＮＶＡＤＥＲオリゴヌクレオチド核酸を集めて、本発明に係る切断反応に加えるときには、オリゴヌクレオチドを用いる酵素アッセイ法の設計で広く利用されているジデオキシヌクレオチド配列決定法、およびポリメラーゼ連鎖反応（ＰＣＲ）などの原理を用いる。これらのアッセイ法で行われるとき、オリゴヌクレオチドを十分に過剰な量提供して、標的核酸にハイブリダイズする速度が非常に速くなるようにする。これらのアッセイ法は、普通、反応混合液１マイクロリットルあたり各オリゴヌクレオチドを５０フェムトモルから２ピコモル加えて行なわれる。しかし、この範囲に限定されるわけではない。本明細書に記載した実施例においては、反応容量１マイクロリットルあたり２５０フェムトモルから５ピコモルのオリゴヌクレオチド量が用いられた。これらの値は、実証を容易にする目的で選ばれたのであって、本発明の実施をこれらの濃度に限定する趣旨ではない。他の分子生物学的反応で使用される別の（例えば、低い）オリゴヌクレオチド濃度も考えられる。
【０２５４】
ＩＮＶＡＤＥＲオリゴヌクレオチドは、標的核酸にハイブリダイズする各々のプローブオリゴヌクレオチドを切断させることに直ちに利用できるものであることが望ましい。本明細書に記載した態様のいくつかにおいて、ＩＮＶＡＤＥＲオリゴヌクレオチドは、プローブオリゴヌクレオチドよりも過剰に提供される。これは、そのような態様において、ＩＮＶＡＤＥＲオリゴヌクレオチドを直ちに利用できるものにする上で有効な方法であるが、本発明の実施が、ＩＮＶＡＤＥＲオリゴヌクレオチドをプローブに対して過剰であるという条件に限定されるものではなく、また、ＩＮＶＡＤＥＲ：プローブが特定の割合である場合に限定されるものでもない（例えば、本明細書に記載した態様のいくつかにおいては、プローブがＩＮＶＡＤＥＲオリゴヌクレオチドに対して過剰に提供される）。プローブが標的核酸に結合するときに必ずＩＮＶＡＤＥＲオリゴヌクレオチドが存在することを確実にする別の方法は、ＩＮＶＡＤＥＲオリゴヌクレオチドが、より安定して標的にハイブリダイズさせるように設計すること、すなわち、プローブよりも高いＴｍ値を持たせることである。これは、本明細書で検討した核酸二本鎖の安定性を上昇させる方法のいずれかによって行なうことができる（例えば、標的核酸に対する相補性の程度を高める）。
【０２５５】
オリゴヌクレオチド／標的ハイブリダイゼーションおよび切断因子の活性の両方に親和的な緩衝液条件を選択すべきである。核酸修飾酵素、特にＤＮＡ修飾酵素にとって最適な緩衝液条件には、一般的に、核酸鎖を塩基対合によって会合させるのに充分な量の一価および二価の塩が含まれる。本発明に係る方法を、本明細書に具体的に記載していない酵素性切断因子を用いて行なうときには、一般的に、反応を、その切断因子のヌクレアーゼ機能にとって最適だと報告されている緩衝液で行なうことができる。一般的には、本方法においてある切断因子が利用できるか否かを調べるには、問題の切断因子を、ＭＯＰＳ／ＭｎＣｌ２／ＫＣｌ緩衝液、または本明細書記載のＭｇ含有緩衝液の中、および、該因子を使用するのに適していると製造業者のデータシート、論文記事、または私信で報告されているいずれかの緩衝液の中で試験反応を行なう。
【０２５６】
ＩＮＶＡＤＥＲオリゴヌクレオチド特異的切断反応の生成物は、投入されたオリゴヌクレオチドの構造特異的切断によって生じる断片である。得られた切断オリゴヌクレオチドおよび／または非切断オリゴヌクレオチドは、（アクリルアミドまたはアガロースのゲル、紙など、さまざまな支持体上での）電気泳動、クロマトグラフィー、蛍光偏光、質量分析、およびチップ上でのハイブリダイゼーションなどの方法があるが、これらに限定されない数多くの方法で解析および分析することができる。いくつかの実施例では、切断反応の産物の解析に電気泳動による分離を用いて、本発明を具体的に説明している。しかし、切断産物の分析法は電気泳動に限定されるものではない。電気泳動法は、当技術分野において広く実施されており、また、平均的な実施者にとって簡単に利用できるものであることから、本発明に係る方法を具体的に説明するために電気泳動法を選択している。他の例として、切断産物の電気泳動または任意の他の分解を行うことなく、本発明が示される。
【０２５７】
プローブおよびＩＮＶＡＤＥＲオリゴヌクレオチドは、切断反応後にそれらの検出に役立つ標識を含むことができる。標識は、オリゴヌクレオチドの５’末端もしくは３’末端に置かれた放射性同位元素（例えば、３２Ｐまたは３５Ｓで標識されたヌクレオチド）であるか、または、オリゴヌクレオチド全体にわたって分布する標識（すなわち、均一に標識されたオリゴヌクレオチド）でもよい。標識は、直接検出が可能なフルオロフォア、または、二次的因子によって特異的に認識されうる反応基など、同位元素以外の検出可能な成分でもよい。例えば、ビオチン化オリゴヌクレオチドは、指示試薬（例えば、アルカリホスファターゼ、またはフルオロフォア）に結合したストレプトアビジン分子で検索することによって検出することができ、または、同様の指示薬に結合した特異的抗体を用いて、ジオキシゲニンなどのハプテンを検出することができる。また、反応基は、二次因子に結合するか、さもなければ二次因子と反応することができる別の核酸など、ヌクレオチドの特異的構成または配列、および酵素、または抗体などでもよい。いくつかの態様において、プローブは蛍光成分および消光成分によって標識することができ、その場合には、切断構造の切断によって消光成分から蛍光成分が分離して、検出可能なシグナルが生じる（例えば、ＦＲＥＴ検出法）。いくつかの態様において、ドナーであるフルオロフォア（ｆｌｕｏｒｏｐｈｏｒ）からのシグナルの消光における変化を検出するが、別の態様においては、受容体であるフルオロフォアからの発光の変化を検出する。さらに別の態様においては、ドナーと受容体の両者の発光に対するＦＲＥＴの作用を検出する。
【０２５８】
ＦＲＥＴ検出法のいくつかの態様において、蛍光発光体の蛍光の寿命を測定する（例えば、時間分解蛍光など）。時間分解蛍光検出法の態様を特定に標識系に限定するわけではないが、時間分解ＦＲＥＴ測定で有用なタグの例には、ユウロピウムキレート（Ｅｕ３＋； Ｂｉｏｓｃｌａｉｒら、Ｊ． Ｂｉｏｍｅｌｅｃｕｌａｒ Ｓｃｒｅｅｎｉｎｇ ５（５）： ３１９ ［２０００］）、ユウロピウムトリスビピリジンクリプテート（ｅｕｒｏｐｉｕｍ ｔｒｉｓｂｉｐｙｒｉｄｉｎｅ ｃｒｙｐｔａｔｅ）（ＴＢＰＥｕ３＋； Ａｌｐｈａ−Ｂａｚｉｎら、Ａｎａｌ． Ｂｉｏｃｈｅｍ． ２８６（１）： １７ ［２０００］）、およびルテニウムリガンド複合体（［Ｒｕ（ｂｐｙ）２（ｐｈｅｎ−ＩＴＣ）］２＋； Ｙｏｕｎら、Ａｎａｌ． Ｂｉｏｃｈｅｍ． ２３１（１）： ２４ ［１９９５］；Ｌａｋｏｗｉｃｚら、Ａｎａｌ． Ｂｉｏｃｈｅｍ． ２８８： ６２ ［２００１］）がある。
【０２５９】
ｃ）反応条件の最適化
ＩＮＶＡＤＥＲオリゴヌクレオチド特異的切断反応は、特異的核酸の存在を検出するのに有用である。ＩＮＶＡＤＥＲオリゴヌクレオチドおよびプローブヌクレオチドの選択および設計について上記した条件に加えて、特異的標的配列を検出するために、反応を行なう条件を最適化することができる。
【０２６０】
ＩＮＶＡＤＥＲオリゴヌクレオチド特異的切断アッセイ法を最適化する目的の一つは、標的核酸のコピー数が最も少ない場合でも特異的検出を可能にすることである。この目的を達成するには、反応の構成要素を組み合わせて、反応速度（例えば、１分間当たりの切断数）が最大になるよう、最大の効率で相互作用させることが望ましい。反応の全体的な効率に寄与する構成要素には、ハイブリダイゼーション速度、切断速度、および切断されたプローブの遊離効率などがある。
【０２６１】
切断速度は、選択される切断手段の関数であり、市販されている酵素製剤を用いるときには製造業者の説明書に従って、または、本明細書の実施例に記載されているとおりにして、最適化することができる。その他の要素（ハイブリダイゼーション速度、遊離効率）は、反応の実行法に依存しているため、これらの要素の最適化については下述する。
【０２６２】
核酸のハイブリダイゼーション速度に有意に影響する、切断反応の３つの要素は、核酸濃度、切断反応を行なう速度、および反応溶液中の塩濃度および／または他の電荷遮蔽イオン濃度である。
【０２６３】
このタイプのアッセイ法において使用されるオリゴヌクレオチドの濃度は、当技術分野において周知されており、上記されている通りである。オリゴヌクレオチド濃度を最適化する一般的な方法の一例は、パイロット試験のためにオリゴヌクレオチドの開始量を選択することで、ヌクレオチドを利用する多くの方法では、０．０１から２ μＭの濃度範囲が用いられる。最初の切断反応が行われたら、データに対して、実質的に切断産物から遊離した標的核酸の非存在下で反応が行われているか；切断部位は、ＩＮＶＡＤＥＲオリゴヌクレオチドの設計に従って特異的な位置になっているか；非切断プローブの存在下で特異的切断産物を簡単に検出することができるか（または、非切断物質の量が、選択された可視化法を圧倒しているか）について質問をすることができる。
【０２６４】
これらの質問に対して答えが否定的であれば、プローブ濃度が高すぎるため、適当な量が確認されるまで、プローブを段階希釈したものを用いて一連の反応を行わなければならないことが示唆される。所定の試料タイプ（例えば、精製されたゲノムＤＮＡ、体液抽出物、破砕細菌抽出物）において所定の標的核酸に対する適当量が確認された場合には、再最適化をする必要はない。存在する材料の複雑さがプローブ濃度の最適条件に影響を与えうるため、試料のタイプは重要である。
【０２６５】
逆に、選択した開始プローブ濃度が低すぎると、ハイブリダイゼーションの効率が悪くなるため反応が遅くなる。プローブの量を増加させながら試験すると、濃度が最適量を超える濃度ポイント（例えば、標的配列に依存しないバックグラウンド切断、または、切断産物の検出を阻害するなど、望ましくない効果が生じる濃度ポイント）を確認することができる。過剰なプローブによってハイブリダイゼーションが促進されるため、このポイントよりも少しだけ低いプローブ濃度を用いて反応を行なうことが望ましいが、そうしなければならないというわけではない。
【０２６６】
ＩＮＶＡＤＥＲオリゴヌクレオチドの濃度は、上記の設計について検討した条件に基づいて選択することができる。いくつかの態様において、ＩＮＶＡＤＥＲオリゴヌクレオチドは、プローブオリゴヌクレオチドよりも過剰に存在する。好ましい態様において、プローブオリゴヌクレオチドはＩＮＶＡＤＥＲオリゴヌクレオチドよりも過剰に存在する。
【０２６７】
温度も、オリゴヌクレオチドのハイブリダイゼーションにおいて重要な因子である。検討した温度範囲は、上記したように、かなりの部分、オリゴヌクレオチドの設計に依存する。特定の温度で反応を行わせたいときには（例えば、酵素の必要上、便宜上、測定装置または検出装置との適合上など）、反応で機能するオリゴヌクレオチドを、所望の反応温度で最適に機能するように設計することができる。各ＩＮＶＡＤＥＲ反応は、一次反応用の２種類以上の配列特異的オリゴヌクレオチド、すなわち、上流のＩＮＶＡＤＥＲオリゴヌクレオチドおよび下流のプローブオリゴヌクレオチドを含む。いくつかの態様において、ＩＮＶＡＤＥＲオリゴヌクレオチドは、反応温度で安定して結合するように設計されているが、プローブは、自由に標的に結合したり、解離したりできるように設計されていて、非切断のプローブが、重複するＩＮＶＡＤＥＲオリゴヌクレオチドに隣接するところにハイブリダイズしたときにだけ切断が起きるようになっている。好ましい態様において、標的に相補的でない５’フラップを含み、切断が起きると、このフラップがプローブから遊離するようになっている。遊離したフラップを直接的または間接的に検出することができる。いくつかの態様においては、下記で詳述するように、遊離したフラップは、二次反応にＩＮＶＡＤＥＲオリゴヌクレオチドとして関与する。
【０２６８】
ＩＮＶＡＤＥＲアッセイ法を最適にする条件とは、一般的に、最小量の標的核酸を特異的に検出することを可能にする条件である。そのような条件は、所定の時間枠の中、または所定量の核酸について、最も強い標的依存的シグナルを得られる条件、または、最も速いプローブ切断速度（すなわち、１分間に切断されるプローブ）を可能にする条件という特徴をもつ。
【０２６９】
上記したように、切断因子濃度が、切断反応にとって実際に最適な温度に影響を与えうる。さらに、さまざまな切断因子が、たとえ同一の濃度で使用されたとしても、最適な反応温度にさまざまに影響することがありえる（例えば、計算上のＴｍ値と観察された最適な反応温度との差異は、ある酵素の方が、他の酵素よりも大きい可能性がある）。さまざまな酵素または酵素濃度を用いる反応、または反応条件に加えられた別の変更にとっての適当な塩補正の決定は、以下の２つの工程を含む。ａ）新しい反応条件下で最適な反応条件を測定する工程、および、観察された最適条件と一致するか、それに非常に近い計算温度値を算出するためのＴｍ値アルゴリズムの範囲内で塩濃度を変化させる工程。最適な反応温度の測定は、一般的に、最適な温度に（温度を上昇させるか低下させるかして）近づくにつれて効率の増加が観察でき、また、最適な温度を過ぎると効率の低下が観察できるため、最適な温度と温度範囲が同定できるように選択された温度範囲で反応を行なうことを含む（Ｌｙａｍｉｃｈｅｖら、Ｂｉｏｃｈｅｍｉｓｔｒｙ， ３９： ９２５３ ［２０００］）。
【０２７０】
いくつかの態様において、一次反応から遊離した切断断片が合成カセットにハイブリダイズして二次切断反応を形成する場合には二次反応を利用する。いくつかの態様において、このカセットは蛍光成分と消光成分を含み、二次切断構造の切断によって消光成分から蛍光成分が分離して、検出可能なシグナルが生じる（例えば、ＦＲＥＴ検出法）。二次反応は、さまざまな方法で設計することができる。例えば、いくつかの態様においては、合成カセットは、２種類のオリゴヌクレオチド、すなわち、ＦＲＥＴ成分を含むオリゴヌクレオチド、および、ＩＮＶＡＤＥＲオリゴヌクレオチド（すなわち、一次反応物から遊離したフラップ）とＦＲＥＴオリゴヌクレオチドとをハイブリダイズさせて切断構造を形成させるＦＲＥＴ／ＩＮＶＡＤＥＲオリゴヌクレオチド架橋用オリゴヌクレオチドを含む。いくつかの態様において、合成カセットは、ヘアピン構造（すなわち、ＦＲＥＴオリゴヌクレオチドが、その３’末端で架橋用オリゴヌクレオチドとループによって連結している）一本鎖オリゴヌクレオチドとして提供される。このループは核酸、または核酸以外のスペーサーまたはリンカーでもよい。結合した分子は、まとめてＦＲＥＴカセットと言うことができる。ＦＲＥＴカセットを使用する二次反応において、二次反応物から遊離するフラップは、ＩＮＶＡＤＥＲオリゴヌクレオチドとして作用するが、ＦＲＥＴカセットに自由に結合したり、解離したりできるようにする必要がある。そうすることによって、遊離したフラップが、複数のＦＲＥＴカセットの切断を行なうことができるようになる。一次反応と二次反応の工程が同時に行なわれるよう、これらの反応が同一の最適温度で起きるようにすべてのプローブ配列を選択することも、アッセイ法設計の一つの態様である。これに代わる態様において、プローブを異なる最適温度で作用するように設計して、反応工程を最適温度で同時に行われないようにすることもできる。上記したように、プローブのＡＲＳを選択するために用いられる同一の反復処理法を、二次反応に関与する一次プローブの部分を設計するときに使用することができる。
【０２７１】
ハイブリダイゼーションの効率を決定する別の要因は、反応の塩濃度である。多くの場合、溶液条件の選択は、切断因子の条件、および購入した市販試薬の条件によって左右されるので、製造業者による指示が、このような情報の資料となる。特定の切断因子を利用するアッセイ法を開発するときは、その切断因子に最も適した緩衝液条件で、上記したオリゴヌクレオチドおよび温度の最適化を行う必要がある。
【０２７２】
いくつかの態様において、アッセイの効率を高めるために、さらに別の因子を反応混合液に含ませることができる。例えば、アミノグリコシドおよび他のポリアミンなどの荷電化合物が、ＤＮＡおよびＲＮＡの立体構造と機能を変えるために使用されてきた（例えば、ＥａｒｎｓｈａｗおよびＧａｉｔ， Ｎｕｃｌ． Ａｃｉｄｓ． Ｒｅｓ． ２６： ５５５１ ［１９９８］； ＲｏｂｉｎｓｏｎおよびＷａｎｇ， Ｎｕｃｌ． Ａｃｉｄｓ． Ｒｅｓ． ２４： ６７６ ［１９９６］； Ｊｅｒｉｎｅｉ， Ｊ． Ｍｏｌ． Ｂｉｏｌ． ３０４（５）： ７０７ ［２０００］； Ｓｃｈｒｏｅｄｅｒら、ＥＭＢＯ １９（１）： １ ［２０００］）。アミノグリコシド系抗生物質である硫酸ネオマイシンを（例えば、一次反応液中１μＭ）含有させことによって、例えば、バックグラウンドシグナルを低下させて、特定のＩＮＶＡＤＥＲアッセイプローブセットの検出限界を低下させるなどすることによって、アッセイ効率を高めることができる。ＩＮＶＡＤＥＲアッセイ反応に利用することができる、このタイプの化合物には、アミノグリコシド、オリコマー化アミノグリコシド、ならびにアミノグリコシドのバイオコンジュゲート（ｂｉｏｃｏｎｊｕｇａｔｅ）、および、スペルミンおよびヘキサアミンコバルトなどであるが、これらに限定されないその他のポリアニオンなどがある。
【０２７３】
「酵素なし」の対照によって、特定の反応条件下での、または、試験すべき試料の存在下での標識オリゴヌクレオチドの安定性を評価すること（例えば、混入ヌクレアーゼについて試料を評価すること）が可能になる。このようにして、酵素以外のすべての反応構成成分を入れた試験管の中に、基質とオリゴヌクレオチドを入れ、酵素を含む反応と同様に処理する。別の対照を入れることもできる。例えば、標的核酸以外のすべての成分による反応は、標的配列の存在に対する切断の依存性を確認するのに有用である。
【０２７４】
ｄ）切断因子の選択
いくつかの実施例で示したように、５’ヌクレアーゼには、切断反応で活性をもつ上流オリゴヌクレオチドを必要としないものもある。上流オリゴヌクレオチドがないと切断は遅いかも知れないが、それでも切断が生じる（Ｌｙａｍｉｃｈｅｖら、Ｓｃｉｅｎｃｅ ２６０， ７７８ ［１９９３］； Ｋａｉｓｅｒら、Ｊ． Ｂｉｏｌ． Ｃｈｅｍ．， ２７４： ２１３８７ ［１９９９］）。ＤＮＡ鎖が、プローブオリゴヌクレオチドがハイブリダイズする鋳型または標的配列であるとき、ＤＮＡポリメラーゼ由来の５’ヌクレアーゼ、および、メタノコッカス・ヤンナシイ由来のＦＥＮなど、いくつかのフラップエンドヌクレアーゼ（ＦＥＮ）は、重複部位を提供する上流オリゴヌクレオチドなしでも十分な切断を行なうことができる（Ｌｙａｍｉｃｈｅｖら、Ｓｃｉｅｎｃｅ ２６０， ７７８ ［１９９３］； Ｋａｉｓｅｒら、Ｊ． Ｂｉｏｌ． Ｃｈｅｍ．， ２７４： ２１３８７ ［１９９９］、および米国特許第５，８４３，６６９号）。これらは全体として、参照として本明細書に組み入れられる）。これらのヌクレアーゼは、ＩＮＶＡＤＥＲアッセイ法のいくつかの態様、例えば、ＩＮＶＡＤＥＲオリゴヌクレオチド非存在下でのプローブの切断が、目的とする解析を阻害することのない別の切断産物を生じるような態様、または、ＩＮＶＡＤＥＲオリゴヌクレオチド特異的な切断とＩＮＶＡＤＥＲオリゴヌクレオチド非依存的切断という２つのタイプの切断がともに起こるようにする態様などにおいて使用するよう選択される。
【０２７５】
別の態様において、プローブの切断が、上流にＩＮＶＡＤＥＲオリゴヌクレオチドが存在することに依存することが好ましいため、この要求性をもつ酵素が使用されることになる。アルカエグロブス・フルギダス（Ａｒｃｈｅａｏｇｌｏｂｕｓ ｆｕｌｇｉｄｕｓ）（Ａｆｕ）およびピロコッカス・フリオサス（Ｐｙｒｏｃｏｃｃｕｓ ｆｕｒｉｏｓｕｓ）（ｐｆｕ）由来のＦＥＮなど、別のＦＥＮは、ＤＮＡ標的上の重複構造を、重複のない構造（すなわち、上流のオリゴヌクレオチドを持たないか、重複しない上流オリゴヌクレオチドをもつ）を切断するよりもより速い速度で切断するため、本質的に重複に対する絶対的な要求性をもつと考えることもできる（Ｌｙａｍｉｃｈｅｖら、Ｎａｔ． Ｂｉｏｔｅｃｈｎｏｌ．， １７： ２９２  ［１９９９］； Ｋａｉｓｅｒら、Ｊ． Ｂｉｏｌ． Ｃｈｅｍ．， ２７４： ２１３８７ ［１９９９］）。ＲＮＡ標的がＤＮＡオリゴヌクレオチドプローブにハイブリダイズして切断構造を形成すると、ＦＥＮの多くは、重複の有無にかかわらず、下流にあるＤＮＡプローブを僅かしか切断しない。そのようなＲＮＡを含む構造では、ＤＮＡポリメラーゼ由来の５’ヌクレアーゼは、重複に対する強い要求性をもち、それが存在しないと、本質的に不活性である。ＲＮＡ標的の検出に使用する酵素の選択については、下記のＩＶ節：ＲＮＡ標的を含むＩＮＶＡＤＥＲオリゴヌクレオチド特異的切断反応において使用する改良された酵素の項で詳しく論じる。
【０２７６】
ｅ）多数対立遺伝子の検索
ＩＮＶＡＤＥＲオリゴヌクレオチド特異的切断反応は、また、混合試料集団において、各変異体または対立遺伝子を検出し定量化するのにも有用である。一例として、このような必要は、癌に関連した遺伝子における変異について癌試料を解析するときに存在する。癌からの生検試料には、正常細胞を有意に補うものが含まれている可能性があるので、ある試料中に、標的核酸の５％未満のコピー数しか存在していなくても、変異を検出することが望ましい。この場合、集団のどの画分が変異をもっているかを測定することも望ましい。同様の解析を行なって、別の遺伝子系における変異を調べることもできるので、本発明に係る方法を癌の解析に限定する意図はない。
【０２７７】
下記に示すように、一つの態様においては、一塩基の違いによるミスマッチでもあればプローブの切断は阻害するが、この領域で標的に完全に相補的である類似プローブは切断するという条件下で反応を行なうことができる。好ましい態様において、ミスマッチは、ミスマッチがなければ切断が起きる部位の５’末端に当たるプローブ中のヌクレオチドの位置で生じる。
【０２７８】
別の態様において、重複を厳密に要求する（例えば、上記したように、ＤＮＡ標的検出のためにＡｆｕ ＦＥＮを使用するか、または、ＲＮＡ標的検出のためにＤＮＡポリメラーゼの５’ヌクレアーゼを使用する）条件下でＩＮＶＡＤＥＲアッセイ法を行ない、一ヌクレオチドまたは別の配列変異を検出する代替的手段を提供することができる。一つの態様において、プローブは、変異があると思われる標的塩基の位置が、このプローブの標的に相補的な領域の５’末端になるようなものを選択する。上流のＩＮＶＡＤＥＲオリゴヌクレオチドは、一塩基の重複を生じるような位置にくる。標的とプローブオリゴヌクレオチドが問題の塩基で相補的であれば、重複が形成されて切断が起きる。しかし、この位置で標的がプローブに相補しなければ、プローブ中の該塩基は、非相補的な５’アームの一部となるため、ＩＮＶＡＤＥＲオリゴヌクレオチドとプローブオリゴヌクレオチドとの間に重複が生じず、切断は抑制される。
【０２７９】
異なる配列を一つの反応で検出することも考えられる。異なった配列に特異的なプローブを別々に標識することができる。例えば、プローブは、異なった色素もしくは別の検出可能成分、異なった長さなどをもつことができ、または、切断後の生成物の正味の電荷に差異を生じさせることもできる。これらの方法の一つで異なって標識されると、最終産物に対する各特異的標的配列の寄与分を計算することができる。これは、混合物中の異なった遺伝子の量を検出するときに適用することができる。混合物で検出され定量される異なった遺伝子は、（例えば、生検などの癌試料に見られるような）野生型および変異型遺伝子でもよい。この態様において、ある場合には、正確に同じ部位になるようにプローブを設計することもできるが、別の場合には、あるものを野生型配列に一致するように、また別のものを変異型配列に一致するように設計することもできる。一定の時間反応を行なった反応で得られた切断産物を定量的に検出することによって、混合物中の２種類の遺伝子の比率が明らかになる。このような解析法は、２種類の遺伝子に限定されるものではない。混合物中の多くの変異体を同様に測定することができる。
【０２８０】
または、一つの遺伝子の異なった部位を観察および定量し、その遺伝子の測定値を確認することができる。この態様においては、各プローブから出るシグナルは、同じものであると考えられる。
【０２８１】
集合体のシグナルを測定するために、多数のプローブを別々には標識しないで用いることも考えられる。これは、一つの遺伝子からのシグナルを増強するために、その遺伝子を検出するように設計された多数のプローブを使用するときに望ましい。この構成は、また、混合物中の無関係な配列を検出するためにも利用することができる。例えば、血液を集めるときには、誰か感染病原体の宿主になっている者がいないかを知ることが望ましい。どの病原体であるかに関わらず、血液は捨てられることになるので、本発明をそのような場面に応用する場合には、プローブ上のシグナルが別々である必要はなく、また、実際にも守秘のために望ましくないと思われる。
【０２８２】
２種類のオリゴヌクレオチドの系について上で説明した通り、検出反応の特異性は、検出用オリゴヌクレオチドの全セットのハイブリダイゼーションに関係する標的核酸配列の集合体の長さによって影響を受ける。例えば、複雑なゲノム中の一つの領域を検出することが望ましいという応用場面があるかもしれない。そのような場合、しばしば２０〜４０ヌクレオチドの標的核酸のより長いセグメントをハイブリダイズさせることによって、正確な認識を必要とするオリゴヌクレオチドのセットを選択することができる。別の例においては、標的試料の中にある多数の部位と相互作用するオリゴヌクレオチドのセットをもつことが望ましいこともあると思われる。これらの場合、一つの方法には、より短いため、統計的にはより一般的な核酸配列セグメントを認識するオリゴヌクレオチドのセットを用いる方法もあると思われる。
【０２８３】
好ましい態様の一つにおいて、ＩＮＶＡＤＥＲオリゴヌクレオチドとスタッカーオリゴヌクレオチドを最高度に安定するように設計し、その結果、反応過程で長時間標的配列に結合したままにさせることができる。これは、当業者に周知されている数多くの方法のいずれか、例えば、オリゴヌクレオチドがその長さ（全長で約５０ヌクレオチドまで）になるまで追加的なハイブリダイズする配列を付加したり、相補鎖が、自然の核酸鎖ほどには互いに反発しないようにするためにホスホロチオネートまたはペプチド−核酸残基など負電荷を低下させた残基を用いることなどによって行なうことができる。また、このような修飾は、これらの近傍オリゴヌクレオチドを混入したヌクレアーゼに対して抵抗性にする役にも立ち、それによって、反応過程の間、それらがより標的鎖上に存在することを保証することができる。さらに、ＩＮＶＡＤＥＲオリゴヌクレオチドおよびスタッカーオリゴヌクレオチドを標的に共有結合させることもできる（例えば、ソラレン架橋を利用することによって）。
【０２８４】
ｆ）プールされたＤＮＡおよびＲＮＡの試料への応用
いくつかの態様において、本発明は、ＩＮＶＡＤＥＲ検出試薬（例えば、一次プローブ、ＩＮＶＡＤＥＲプローブ、およびＦＲＥＴカセット）を用いて、プールされた試料を測定するための方法およびキットを提供する。いくつかの好ましい態様において、本キットには、ＩＮＶＡＤＥＲアッセイ法の実施方法に関する説明書、具体的には、多くの個体から集められた試料、または、一つの被検体（例えば、生検試料）から得られた多数の細胞から「プールされた」試料に対して、ＩＮＶＡＤＥＲ検出アッセイ法をどのように適用すべきかを関する説明書が入っている。
【０２８５】
特定の態様において、本発明は、ある集団の多数の個体（例えば、１０、５０、１００、または５００個体）から集められたプール試料、または、核酸配列が、一度に測定する多数の細胞に由来する一個の被検体から集められたプール試料における多型性を検出することを可能にする。この点について、本発明は、プールされた試料中の稀少な変異の頻度を検出することを可能にし、また、その集団の対立遺伝子頻度を確認することを可能にする。いくつかの態様において、次に、この対立遺伝子頻度を用いて、ＩＮＶＡＤＥＲ検出アッセイ法を個体の多型性の頻度に適用した（例えば、ＩＮＶＡＤＥＲ検出アッセイ法を用いて測定した）結果を解析することができる。これについて、見つけられた変異体の割合に依存する変異（例えば、ヘテロ接合消失変異）を解析することができ、病気の重さ、または病気の進行を判定することができる（例えば、Ｌａｐｉｄｕｓに付与された米国特許第６，１４６，８２８号および第６，２０３，９９３号を参照されたい。これらの文献は、遺伝子検査および統計的解析を用いて、病気の原因となる変異を発見し、または、病気の原因となる変異を含むとされる患者試料を同定する場合には、すべての目的で参照として本明細書に組み入れられる）。
【０２８６】
本発明のいくつかの態様において、広範な集団スクリーニングを行なう。いくつかの態様において、数百または数千の個体からのＤＮＡを集めることが最適である。このようなプールにおいては、例えば、一つの個体からのＤＮＡを検出することはできず、検出できるシグナルは、より大きな集団で検出される対立遺伝子の頻度を示す尺度を提供する。例えば、用いられるＤＮＡ量は、プールの中の個体数によって決まるのではなく、検出される対立遺伝子の頻度によって決まる。例えば、いくつかの態様において、アッセイは、９０分間の反応で２０〜４０ ｎｇのＤＮＡから十分なシグナルを生じる。この感度レベルは、非常に複雑なプールから１μｇのＤＮＡを解析したときに、集団の僅か約３〜５％に存在する対立遺伝子からの生じるシグナルに相当する。
【０２８７】
ｇ）ＲＮＡ検出法の応用
ＲＮＡ定量法は、基礎研究、薬学および臨床研究において次第に重要になりつつある。例えば、ウイルスＲＮＡの定量によって、病気の進行と治療効果を予測することができる。同様に、病気の組織対正常組織、または治療していない組織対治療した組織の遺伝子発現解析によって、関連する生体応答を同定したり、薬物の効果を評価することができる。ヒトゲノムプロジェクトの中心が遺伝子発現解析に移るにつれて、その分野では、多数の型の選択的に転写されたＲＮＡ、および／またはプロセシングされたＲＮＡを定量的にモニターすることができる、融通のきくＲＮＡ解析技術が必要とされるようになるはずである。
【０２８８】
多数の対立遺伝子の検出法について上記したように、多重方式のＲＮＡのＩＮＶＡＤＥＲアッセイ法は、同一の試料内における２種類以上の遺伝子の発現解析を可能にする。一次反応において、ＩＮＶＡＤＥＲオリゴヌクレオチドとプローブオリゴヌクレオチドをそれぞれのＲＮＡ標的にハイブリダイズさせることによって、一塩基重複基質を作出する。各プローブは、特異的な標的相補的領域、および、そのアッセイにおける特異的ｍＲＮＡのみと結合している特徴的な非相補的５’フラップを含む。特徴的なフラップは、本明細書で開示した無数の方法のいずれか（例えば、さまざまな標識、さまざまな標識をもつ、さまざまな二次切断系、特異的抗体、分析するときにサイズが変化すること、溶液中または表面上におけるハイブリダイゼーションによって検出されるさまざまな配列など）によって区別することができる。
【０２８９】
ＲＮＡ侵襲的切断アッセイ法は、上記したＤＮＡ検出法に用いられた方法同様、配列における２つの侵襲的切断反応を用いることができる（下記の発明の詳細な説明の第ＩＩ節で説明する）が、ＤＮＡポリメラーゼ由来の５’ヌクレアーゼに対する選択性（発明の詳細な説明の第ＩＶ節で詳述する）があることは、さらに方式を変化させることが好ましいことを示している。ＤＮＡ標的を検出するために一般的に用いられるＦＥＮの５’ヌクレアーゼとは異なり、一次反応と二次反応の両方でプローブの代謝回転メカニズムを利用するときにのみ、ＤＮＡ Ｐｏｌ関連５’ヌクレアーゼによるシグナル増幅が起こる（下記の発明の詳細な説明の第ＩＩ節で説明されているように、例えば、多数のＦＲＥＴカセットを切断させるために、ＩＮＶＡＤＥＲオリゴヌクレオチドが付いたり離れたりする、ＩＮＶＡＤＥＲオリゴヌクレオチドの代謝回転メカニズムとは対照的である）。結果として、好ましい態様において、ＲＮＡ検出法は、２つの反応を同時に行わせるのではなく、連続して行わせる方法を用いる。これらの態様においては、反応を実際に連続して行なわせるため、ＲＮＡ ＩＮＶＡＤＥＲアッセイ法によるシグナルは、標的依存的かつ時間依存的な態様で直線的に蓄積する。これに対して、ＤＮＡ ＩＮＶＡＤＥＲアッセイの一次反応と二次反応は、同時に行なうと、標的量の一次関数として、しかし、時間の二次関数としてシグナルを増幅する。連続的に行なう態様においては、ＲＮＡ ＩＮＶＡＤＥＲアッセイ法は、シグナルを発生させるために２種類の別々のオリゴヌクレオチド、二次プローブ（例えば、ＦＲＥＴプローブ）、および二次標的を使用する。
【０２９０】
ＲＮＡの侵襲的切断アッセイ法の重要な特徴は、例えば、チトクロームＰ４５０遺伝子ファミリーに見られるような、相同性の高いＲＮＡ配列を区別できることである。ＤＮＡ ＩＮＶＡＤＥＲアッセイ同様、ＲＮＡ ＩＮＶＡＤＥＲアッセイ法は一塩基の変化を区別することができる。いくつかの態様において、各プローブの最初の５’側の相補的塩基は、そのｍＲＮＡ標的の非保存的部位に位置していて、ミスマッチがあると重複構造を形成できため、プローブが切断されるのを阻止する。切断部位をスプライス部位に持ってくることによって、選択的スプライスｍＲＮＡ変異体を特異的に検出することができる。
【０２９１】
ｍＲＮＡ量の大きな変化をモニターするために、リアルタイム解析を用いて、アッセイ法の動的範囲を広げることができる。しかし、このアッセイ法は、時間または標的量に比例してシグナルを発生させることから、反応当たりに付加する試料量を変えて、全ＲＮＡの１ ｎｇに対するｍＲＮＡのコピー数を計算するだけで、安価な計測器の上で一回の終点測定による正確な定量が可能になる。さらに、絶対的な定量が必要でない場合には、このアッセイ法の直線的なシグナル増幅メカニズムおよび再現性によって、標準曲線を作る必要がなくなり、一つの遺伝子を簡単かつ正確に相対的定量するを可能にする。
【０２９２】
重複部位における変化は一塩基の変化であっても５’ヌクレアーゼ切断に影響を与えるため、ＲＮＡ ＩＮＶＡＤＥＲアッセイ法は、選択的スプライス変異体または編集されたＲＮＡ変異体を検出するのに特に適している。創薬研究におけるハイスループットな処理、薬剤代謝の監視および臨床試験の安全性、ならびにウイルスＲＮＡの臨床的負荷量監視など、ＲＮＡの定量を必要とするすべての領域で本技術を使用することができる。本方法による、以下の少なくとも２つの方法で、スプライス変異体をモニターすることができる。１）各エキソンを検出すること、または、２）特異的なスプライス部位を検出すること。
【０２９３】
スプライシングの後、より多いか、より少ないエキソンをもつ変異型がないか、ＲＮＡ集団を調べるために、問題となるエキソン各々について（または、成熟ＲＮＡのすべてのエキソンについて）ＩＮＶＡＤＥＲアッセイ法のプローブセットを設計する。エキソンを定量すると、エキソンが何種類のｍＲＮＡに存在しているかとは関係なしに、各エキソンの発現レベルが分かるだけではなく、その遺伝子のスプライス変異型の数に関する情報がもたらされる。各プローブとして、一つだけ、または数個のエキソンを含むミニ・インビトロ転写物を作成して、各エキソン毎に絶対的適量を行なうことができ、それによって、エキソン量の正確な比較が可能になる。特定のエキソンが既知の変異型すべてに存在していることが分かっているときには、いくつかの態様においては、異なった試料間を平均化するための内部対照として使用するために、そのエキソンに対するプローブセットを設計する。各エキソンのコピーを一個ずつもつＲＮＡ（例えば、「正常にスプライスされた」ＲＮＡ）は、プローブセットの集合体から一定の相対量のシグナル（各プローブセットの感度の違いを補正すれば、本質的にはすべてのエキソンについて等しい；第Ｖ節参照）を生じさせるはずである。スプライシングの変異は、エキソンの相対量を変化させる。例えば、産生されたＲＮＡのすべてが、正常なエキソンの一つを持っていなかった場合には、そのエキソンに対するシグナルはゼロに落ち、ＲＮＡの半分がそのエキソンを持っていなかった場合には、そのエキソンに対するシグナルは５０％に落ちる。スプライス変異型のより複雑な組み合わせ、およびさまざまにスプライスされたｍＲＮＡの混合物では、より複雑でより情報に富んだプロフィールが得られる。検出するのはエキソンに限定されない。ＲＮＡ集団を、通常、スプライシングによって除去されるイントロン配列の存在について観察することができる。そのように広範なエキソンスクリーニングによって、正常組織対病気組織や未治療細胞対治療済み細胞を（例えば、薬理ゲノム学的スクリーニングアッセイ法で）比較したときに生物学的に関連のある情報や診断情報が得られる。この種の測定結果をアレイを利用して記述することを選択的スプライシング検出アレイ法という（Ｄ． Ｂｌａｃｋ， Ｃｅｌｌ １０３： ３６７ ［２０００］）。ｍＲＮＡのＩＮＶＡＤＥＲアッセイ法でも同様の結果が得られるが、オリゴヌクレオチドによるアレイ方式よりも特異性が高く、より正確な定量による結果が得られる。
【０２９４】
これに代わる態様において、特異的なスプライス部位を調べることによって、選択的にスプライスされたｍＲＮＡを検出する。エキソンそのものではなく、スプライス部位を観察する利点は、非常に短いエキソン（例えば、１０ヌクレオチド未満）を含むスプライス変異体であっても、このアッセイ法によって正確に検出されることである。
【０２９５】
さらに、いくつかの態様において、ｍＲＮＡのＩＮＶＡＤＥＲアッセイ法を用いて、そのｍＲＮＡにおける選択的な開始部位と終止部位を観察したり、また、プロセシングされたＲＮＡおよびＲＮＡ断片、ならびにプロセシングされていないＲＮＡおよびＲＮＡ断片の寿命を観察する（例えば、誘導後の経時実験で用いられる）。
【０２９６】
ＩＩ．侵襲的切断反応の産物を連続する侵襲的切断反応に取り込むことによるシグナル増強
上記したように、侵襲的切断によって遊離したオリゴヌクレオチド産物を、引き続いて、切断産物の大きさの範囲内でオリゴヌクレオチドを用いる反応または読み出し法において使用することができる。本明細書記載のプライマー伸長および転写を含む反応に加えて、オリゴヌクレオチドを利用する別の酵素反応が侵襲的切断反応となる。本発明は、一次の侵襲的切断反応で遊離したオリゴヌクレオチドを成分として使用して、切断構造を完成させ、二次の侵襲的切断反応を可能にする方法を提供する。侵襲的切断による産物を連続して使用することは、一つの付加的工程に限定されるものではない。別個の侵襲的切断反応を連続して行なうことも考えられる。
【０２９７】
ポリメラーゼ連鎖反応は、核酸の標的セグメントのコピーを、指数的に蓄積するような速度で作出するＤＮＡ複製法を用いる。これは、ＤＮＡ鎖が分離したときに、各鎖それぞれに、新しい相補鎖の組み立てを可能にする十分な情報が含まれているという事実によって可能になる。新しい鎖が合成されると、同一の分子の数が倍増する。この処理を２０回繰り返すうちに、最初の鎖を百万倍に複製することができ、非常に稀少な配列も容易に検出できるようになる。２倍の数学的倍率で増える反応が、多数の増幅アッセイ法に取り入れられている。
【０２９８】
多数の連続的侵襲的切断反応を行なうことによって、本発明に係る方法は、標的分析物の余計なコピーを産生することなく、指数による数学的利益を獲得する。単純な侵襲的切断反応において、収率Ｙは、単に代謝回転率Ｋに反応時間ｔを乗じたものである（すなわち、Ｙ＝（Ｋ）（ｔ））。Ｙを単純な反応の収率を表すために用いる場合、各侵襲的切断工程の代謝回転率が同じであるとすると、化合物の収率（すなわち、多数の連続した反応）は、ｎを連続して行なわれる侵襲的切断反応の数とすると、単純にＹｎと表すことができる。各工程における収率が異なるとすれば、最終的な収率は、その連続した反応の各別の反応における収率を乗じて算出した数字で表される。例えば、一次侵襲切断反応が、３０分間に１０００個の産物を産生でき、そして、これらの産物がそれぞれ、順に１０００回のさらなる反応に加わることができるとしたら、２回目の反応では、１０００２コピー（１０００×１０００）の最終産物が存在することになる。このシリーズで３回目の反応をさらに行なったとしたら、理論的には収率は１０００３（１０００×１０００×１０００）となる。本発明に係る方法において、指数は、カスケードになった侵襲切断反応の数に基づく。これは、Ｙが二本鎖ＤＮＡにおける鎖数である２に限定され、指数ｎが実行されるサイクル数であるため、大量の産物を蓄積するには何回もの反復を必要とする、上記した増幅法（例えば、ＰＣＲ）と対比しうる点である。
【０２９９】
上記の指数的増幅法と本発明に係る方法とを区別するために、前者を交互反応と考えることができる。なぜなら、その反応産物を同じ反応にフィードバックするからである（例えば、事象１が複数の事象２をもたらし、事象２のそれぞれが複数の事象１をもたらす）。それに対し、本発明のいくつかの態様における事象は連続的である（例えば、事象１が複数の事象２をもたらし、事象２のそれぞれが複数の事象３をもたらすなどして、いずれの事象も、その連鎖の早い方の事象には寄与しない）。
【０３００】
また、交互法の感度も、これらのアッセイ法を、試料中における標的核酸配列の有無を判定するために使用するときには最大の弱点の一つとなる。これらの反応産物は、出発物質の検出可能なコピーであるため、それより前の反応産物が新しい反応物に混入すると、偽陽性の結果を生じることになる（すなわち、標的である分析物を実際には全く含んでいない試料において、標的核酸が検出されたように見えること）。さらに、各陽性反応における産物の濃度が非常に高いため、強い偽陽性シグナルを発生させるに十分な量のＤＮＡが、汚染された機器との接触やエアロゾルによって、非常に簡単に新しい反応と結びつくことができる。交互法とは対照的に、連続反応の最も濃縮された産物（すなわち、最終的な侵襲切断反応において遊離した産物）が、新しい被検試料に持ち越されても、同様の反応やカスケードを開始することはできない。本発明に係る反応は、交互法では必要になる高価な封じ込め対策（例えば、特別な機器、または隔離した実験スペース）なしで行なうことができるため、このことは、上記の指数的増幅法に対して顕著に有利な点である。最後から２番目の反応の産物を不注意に移すと、標的分析物が存在しないところで最終産物のバックグラウンドとなるが、偽陽性の結果を生むリスクに相当する量となるには、非常に大量の混入物が必要となると思われる。
【０３０１】
連続的という用語を使用するとき、本発明を、一つの侵襲切断反応またはアッセイが、別のプローブを侵襲的に切断するためのその後の反応が開始される前に完了しなければならないという構成に限定することを意図していない。むしろ、この用語は、各オリゴヌクレオチド種のコピーが１個だけアッセイで使用されるとしたら生じうる現象の順序を意味するものである。一次侵襲切断反応とは、標的核酸上に切断構造が形成されたことに反応して、どの事象が最初に起きるかを意味するものである。その後の反応は、二次反応、三次反応などと言われ、切断構造の集合を補助するためだけに役立ち、目的の核酸分析物とは無関係の、人為的な「標的」鎖を含むことができる。完全なアッセイ法は、望ましければ、場所的（例えば、別々の反応容器で）または時間的（例えば、温度、酵素同一性、または溶液条件など、その後の切断反応を可能にする反応条件を変えることを利用する）に分離された侵襲的切断工程によって構成することもできるが、反応構成要素のすべてを混合して、一次切断によって生じた産物が利用できるようになり次第、二次反応を開始できるようにすることも考えられる。このような方式では、別々の切断構造のコピーを含む一次切断、二次切断、および後の切断が同時に起こることになる。
【０３０２】
連続した反応の各回が、その後の回で別のプローブの切断に関与することができるオリゴヌクレオチドを産生するという、この種の直線的増幅法には、いくつかのレベルがあることが予想できる。一次反応は、目的の分析物に特異的であり、二次反応（および三次反応など）は、開始は一次反応によって左右されつつも、シグナルを生成するために用いられる。
【０３０３】
遊離した生成物は、その後の反応においていくつかの可能性に使用することができる。例えば、ある侵襲切断反応の産物が、二番目の反応における別のプローブを特異的に切断させるＩＮＶＡＤＥＲオリゴヌクレオチドとなる。このような例では、ＩＮＶＡＤＥＲオリゴヌクレオチドとプローブオリゴヌクレオチド（プローブ１）が第一の標的オリゴヌクレオチド（標的１）にアニーリングすることによって、第一の侵襲的切断構造が形成される。ＩＮＶＡＤＥＲオリゴヌクレオチドとプローブオリゴヌクレオチドのどの部分が標的にハイブリダイズすることができるかによって、標的核酸は、３つの領域に分割される。標的の領域１は、ＩＮＶＡＤＥＲオリゴヌクレオチドのみに相補性を有し、標的の領域３は、プローブのみに相補性を有し、また、標的の領域２は、ＩＮＶＡＤＥＲオリゴヌクレオチドとプローブオリゴヌクレオチドとの間の重複部を有する。
【０３０４】
プローブ１の切断によって「切断プローブ１」が遊離する。そして、遊離したプローブ１をＩＮＶＡＤＥＲオリゴヌクレオチドとして二番目の切断で用いる。第二の切断構造は、切断プローブ１、第二のプローブオリゴヌクレオチド（「プローブ２」）、および第二の標的核酸（「標的２」）をアニーリングすることによって形成される。いくつかの態様において、プローブ２および第二の標的核酸はそれぞれ、好ましくは、その３’末端と５’末端で共有結合しており、そのため、ヘアピンのステムとループを形成し、「カセット」と名付けられている。このループは、核酸、または核酸以外のスペーサーまたはリンカーでもよい。過剰量のカセット分子が包含されていると、切断プローブ１のそれぞれが、カセットの多数のコピーを切断させるためのＩＮＶＡＤＥＲとして作用することができるようになる。
【０３０５】
プローブ２を標識し、標識された切断プローブ２を検出することによって、第二の切断構造が切断されたことを検出することができるが、標識は、放射性同位元素（例えば、３２Ｐまたは３５Ｓ）、フルオロフォア（例えば、フルオロセイン）、二次因子により検出可能な反応基（例えば、ビオチン／ストレプトアビジン）、選択的な電荷逆転（第ＩＶ節で検討する）により検出可能な正荷電付加基などである。または、切断プローブ２は、テーリング（ｔａｉｌｉｎｇ）反応に使用するか、タンパク質結合部位を完成または活性化するために使用するか、または、本明細書に記載したオリゴヌクレオチド検出または使用する方法のいずれかによって検出または使用することができる。
【０３０６】
別の態様において、一次反応で切断されるプローブオリゴヌクレオチドは、折り畳まれてそれ自体の形に戻るように（すなわち、自己相補性をもつように）設計して、ＩＮＶＡＤＥＲオリゴヌクレオチドとしても標的オリゴヌクレオチドとしても作用することできる分子（「ＩＴ」複合体と称する）を作成することができる。そして、ＩＴ複合体は、二次反応に存在する別のプローブを切断することができる。二次プローブ分子（「プローブ２」）が過剰に含まれていると、各ＩＴ複合体は、切断された二次プローブのコピーを多数生成するための土台として作用することができる。ＩＮＶＡＤＥＲオリゴヌクレオチドとプローブオリゴヌクレオチドのどの部分が標的にハイブリダイズすることができるかによって、標的核酸は３つの領域に分割される（上記された通りであるが、スタッカーオリゴヌクレオチドが用いられるときには、標的は４つの領域に分割されることに留意されたい）。第二のプローブ（「プローブ２」）が、第一の切断構造の切断によって遊離したプローブ１（「切断プローブ１」）の断片にアニーリングすることによって、第二の切断構造が形成される。切断プローブ１の中に含まれている自己相補領域がアニーリングするため（この自己アニーリングした切断プローブ１がＩＴ複合体を形成する）、切断プローブ１は、ヘアピン、またはステム／ループ構造をその３’末端に形成する。ＩＴ複合体（切断プローブ１）は、３つの領域に分割される。ＩＴ複合体の領域１は、プローブ２の３’部位に相補性をもち、領域２は、切断プローブ１の３’末端とプローブ２の５’末端の両方に相補性をもち、また、領域３は、自己相補領域をもつ（すなわち、領域３は、切断プローブ１の３’部位に相補性をもつ）。ＩＴ複合体（すなわち、切断プローブ１）については、領域１が領域２の上流に位置し、領域２が領域３の上流に位置している。侵襲的切断の別の態様については、領域「２」は、切断プローブ１のＩＮＶＡＤＥＲオリゴヌクレオチド部位とプローブ２オリゴヌクレオチドとの間に配列の重複ではなく、物理的な重複がある領域に相当することがある。
【０３０７】
二次侵襲切断反応の切断産物（すなわち、切断プローブ２）を検出するか、または、次々に第三のプローブ分子とともに使用される、ＩＮＶＡＤＥＲ−標的を組み込んだ複合体であって、これも前の標的とは無関係な複合体を構成するように設計することができる。
【０３０８】
一次切断反応のオリゴヌクレオチド産物は、本明細書記載のオリゴヌクレオチドのいずれかの役割を果たすことができ（例えば、結合するＩＮＶＡＤＥＲオリゴヌクレオチド様配列をもたない標的として作用することができ、または、上記したようなスタッカーオリゴヌクレオチドとして作用することもできる）、同軸スタッキングによってプローブのハイブリダイゼーションを安定化することによって、二次反応で見られる代謝回転率を上昇させることができる。
【０３０９】
本発明のいくつかの態様における二次切断反応はＦＲＥＴカセットを含む。このような分子は、二次標的とＦＲＥＴ標識された切断可能配列をもたらし、連続的侵襲切断反応を均質に検出すること（すなわち、反応後に産物を分離したり、他の操作をすることなしに検出すること）が可能になる。別の好ましい態様では、ＦＲＥＴプローブと合成標的が別々のオリゴヌクレオチドとして提供される二次反応系を用いる。
【０３１０】
好ましい態様において、各その後の反応は、その前の切断産物によって（すなわち、それに依存して）促進され、その結果、最終産物が存在することが、標的分析物の存在を示す指標となる。しかし、二次反応における切断は、一次切断反応産物の存在に依存する必要はなく、一次切断反応産物が、単に、二次切断反応の速度を計測可能な形で促進することができればよい。
【０３１１】
要約すると、本発明に係るＩＮＶＡＤＥＲアッセイ法のカスケード（すなわち、連続的侵襲切断反応）は、直線的アッセイ法を２種類以上組み合わせたものであって、最終産物を指数的な速度で蓄積させることができるが、持ち越し汚染の大きなリスクはない。二次プローブの熱分解など、連続的切断によって生じるものではないのバックグラウンドは、一般的に、時間の経過とともに直線的に増加する。これに対して、２工程連続反応からのシグナル生成は、二次関数的な動力学に従う。したがって、ＩＮＶＡＤＥＲアッセイ反応法でインキュベートしている間に、計測時点を決めるか、または、リアルタイムで検出することを可能にする機器を使用して、経時的にデータを集めることで、時間が経過したときにシグナルが二次関数的に増加するか、直線的に増加するかだけに基づいて、真のシグナルとバックグラウンドを区別できるという魅力的な能力が提供される。例えば、図で見ると、本当のシグナルは二次曲線として表され、バックグラウンドの蓄積は直線になるため、バックグラウンドシグナル（例えば、ＦＲＥＴ検出法における蛍光）の絶対量がかなり多くても簡単に区別できる。
【０３１２】
本発明に係る連続的侵襲的切断増幅法は、本明細書記載の検出法（例えば、標準的方法によるか、または電荷逆転による、ゲルを利用した解析）、ポリメラーゼによる付加反応、タンパク質結合領域への取り込み反応に対する中間的ブーストとして用いることができる。このような組み合わせで使用されるとき、侵襲切断アッセイ法において特異的切断産物の産生を増加させると、読み出しシステムにかかる感度と特異性という負荷が軽減する。
【０３１３】
さまざまな検出プラットフォームが可能であることに加えて、カスケード法が、一回の反応で各分析物（すなわち、各標的核酸）の多重解析を行なうのに適している。多重方式は、２種類の型に分類することができる。一つの型では、臨床試料に存在することができる分析物のそれぞれの同一性（および量）、または、それぞれの分析物および内部対照の同一性を知ることが望ましい。一個の試料の中に、それぞれの分析物が多数存在することを同定するために、数種類の別個の二次的増幅系を含ませることができる。特定の標的配列（または内部対照）の存在に反応して切断される各プローブは、ＤＮＡポリメラーゼによって伸長されたさまざまな配列、またはＦＲＥＴ方式におけるさまざまな色素など、さまざまな検出可能成分に連結している別のカスケードが開始するように設計することができる。これによって、各特異的標的配列の最終産物への寄与度を計算して、遺伝子または対立遺伝子の混合物を含む試料において、さまざまな遺伝子または対立遺伝子を定量検出することが可能になる。
【０３１４】
第二の構成では、いくつかの分析物のうちどれが、試料中に存在するかを決定することが望ましいが、各分析物の正確な同一性は知る必要がない。例えば、血液を集めるときには、誰か感染病原体の宿主になっている者の血液が、血液試料中に存在するか否かを知ることが望ましい。どの病原体であるかに関わらず、血液は捨てられることになるので、本発明をこのような場面に応用する場合には、プローブ上のシグナルが別々である必要はなく、また、実際にも守秘のために望ましくないと思われる。この場合、さまざまな分析物特異的プローブの５’アーム（すなわち、切断によって遊離される５’部位）は同一であるため、同じ二次的シグナルカスケードを開始させる。同様の構成によって、一個の遺伝子に相補的なプローブを多数用いて、該遺伝子からのシグナルを増強するか、検出すべき遺伝子の対立遺伝子座が多数あるときには、確実に包含されるようにすることができる。
【０３１５】
一次的ＩＮＶＡＤＥＲアッセイ反応において、バックグラウンドを生じさせる原因として２つのものが考えられる。最初の原因は、標的、自分自身、または、反応液中に存在する他のオリゴヌクレオチドの一つにアニーリングしているプローブのＩＮＶＡＤＥＲオリゴヌクレオチド非依存的切断から生じる。この理由から、プライマーを持たない構造を効率的に切断できない酵素を使用する方が好ましい。酵素ＰｆｕのＦＥＮ−１は、上流オリゴヌクレオチドが存在しなければ、または、プローブと標的の複合体を侵襲することができない上流オリゴヌクレオチドが存在するだけならば、検出可能な切断を生じさせない。このことは、ＰｆｕのＦＥＮ−１ヌクレアーゼが、本発明に係る方法で使用するのに適していることを示している。
【０３１６】
他の構造特異的ヌクレアーゼも、本発明に係る方法で使用するのに適した酵素である。最初の実施例で検討したように、５’ヌクレアーゼには、このプライマー非依存的切断を有意に低下させる条件では使用できるものもある。例えば、ＤＮＡＰ Ｔａｑの５’ヌクレアーゼを用いてヘアピンを切断すると、反応液中に一価塩が入り込んで、プライマー非依存的切断が顕著に低下する（Ｌｙａｍｉｃｈｅｖら、［１９９３］、前掲）。
【０３１７】
ＩＩＩ．連続侵襲的切断反応における、シグナルおよびバックグラウンドに対するＡＲＲＥＳＴＯＲオリゴヌクレオチドの効果
上記したように、プローブ濃度が高くなると最終シグナルの収量が上がるため、切断されるプローブの濃度を利用して、シグナルの蓄積速度を上昇させることができる。しかし、大量のプローブが切断されないまま残留していると、引き続き切断産物を用いて検出またはさらなる増幅を行なう上で問題を生じる。その後の工程が、単純な検出（例えば、ゲル分析による検出）であれば、過剰な非切断材料が、シグナルを縞状にしたり、分散させたりして、または、検出用分子を圧倒して（例えば、放射活性の場合にはフィルムの露出過多、蛍光画像化装置の定量的検出限界を超過するなどして）バックグラウンドを生じる原因となる。この問題は、非切断プローブから生成物を区分することによって解決することができる。より複雑な検出方法においては、切断された産物を別の物質と相互作用させて切断を標示させるようにすることができる。上記したように、切断産物は、ハイブリダイゼーション、プライマー伸長反応、ライゲーション、または、侵襲的切断の指示など、オリゴヌクレオチドを使用する反応に用いることができる。これら何れの場合でも、反応を計画するときに、残留した非切断プローブをどうすべきか考える必要がある。プライマー伸長反応においては、非切断プローブは、鋳型にハイブリダイズして伸長する可能性がある。伸長するためには、切断によって正確な３’末端を生じる必要がある場合には、ハイブリダイズした非切断プローブは伸長しない。しかし、鋳型について切断産物と競合を生じる。鋳型が、切断プローブと非切断プローブを合わせたものよりも過剰に存在していれば、どちらのプローブも結合するための鋳型コピーを見つけることができるはずである。しかし、鋳型が限られた量しかないとすると、競合によって、利用可能な鋳型にうまく結合できる切断プローブの割合が低下してしまう。開始反応を作動させるために大過剰量プローブを用いたとすれば、残ったプローブも、切断産物より大過剰に存在することとなり、効果的な競合相手となって、最終的検出を行うための反応産物（例えば、伸長反応産物）の量を低下させてしまう。
【０３１８】
非切断プローブ物質が二次反応に関与すると、これらの反応におけるバックグラウンドを生じる原因となることがある。その後の反応のための切断プローブを提示することは、次の工程で使用される酵素にとって理想的な基質となることがあるが、酵素によっては、効率は低くても、非切断のプローブにも作用できる可能性がある。本発明を開発する過程で、ニックの入ったプロモーターの一方が付加的な非対合ヌクレオチドを持っていたとしても、そのようなプロモーターからの転写が促進されることが明らかになった。同様に、その後の反応が侵襲的切断となるときには、非切断プローブが、切断プローブとともに第二の切断構造を形成するための構成要素に結合することがある。本発明を開発する過程で行われた実験において、本明細書記載の５’ヌクレアーゼには、欠陥構造を切断する何らかの処置を触媒できることが見出された。低量であったとしても、この異常切断を陽性の標的特異的切断シグナルであると誤って解釈する可能性がある。
【０３１９】
非切断プローブが過剰にあることのこれらの消極的効果を考えると、明らかに、このような相互作用を防止する何らかの方法が必要である。上記したように、一次反応の後、常法によって、非切断プローブから切断産物を隔離することが可能である。しかし、これらの方法はしばしば時間がかかり、費用がかかり（例えば、使い捨てのカラムやゲルなど）、また、試料の誤操作や汚染の危険性を高める可能性がある。その後の反応のために新しい容器に最初の試料を移すことを必要としないように連続反応を設計することの方がより好ましい。
【０３２０】
本発明は、一次プローブと他の反応物との間における相互作用を低下させる方法を提供する。本方法は、非切断プローブがその後の反応に関与するのを特異的に回避する方法を提供する。このような回避は、次の反応工程に、非切断一次プローブと特異的に相互作用するように設計された薬剤を組み込むことによって行なうことができる。便宜上の理由で侵襲切断反応における一次プローブを検討すると、アッセイの設計に必要または望ましいときには、一連の侵襲切断工程中の反応工程でＡＲＲＥＳＴＯＲ分子を使用することができる。本発明に係るＡＲＲＥＳＴＯＲ分子は、特定の工程に限定されるものではない。
【０３２１】
一次反応から残留する非切断プローブを回避する方法は、切断プローブよりも大きな親和性を以て非切断プローブに結合するよう特異的に設計または選択することのできる因子を利用し、それによって、非切断プローブが大過剰に存在している場合でも、切断プローブ分子種が、その後の反応の構成要素に対して効率的に競合できるようにする。これらの因子は、一次プローブがその後の反応に加わることを停止させる機能をもつため「ＡＲＲＥＳＴＯＲ分子」と名付けられている。下記のさまざまな実施例では、侵襲切断アッセイ法において、オリゴヌクレオチドがＡＲＲＥＳＴＯＲ分子として提供されている。完全長の非切断プローブと切断プローブとを区別することができ、選択的に非切断プローブを結合するか、さもなければ無効にする分子または化学剤を設計して、本発明の意味する範囲内でＡＲＲＥＳＴＯＲ分子として作用させることができると考えられる。例えば、多数のインビトロ増幅（例えば、「ＳＥＬＥＸ」、米国特許第５，２７０，１６３号および第５，５６７，５８８号。これらは参照として本明細書に組み入れられる）の工程、および特定回数の捕捉またはその他の選択手段を通じて選択することができる「アプタマー（ａｐｔａｍｅｒｓ）」が得られるように、そのような特異性をもつ抗体を得ることができる。
【０３２２】
一つの態様において、ＡＲＲＥＳＴＯＲ分子はオリゴヌクレオチドである。別の態様において、ＡＲＲＥＳＴＯＲオリゴヌクレオチドは複合的なオリゴヌクレオチドであって、共有結合していないが、協同して結合し、また、同軸的スタッキングによって安定化する、２種類またはそれ以上の短いオリゴヌクレオチドを含む。好ましい態様において、オリゴヌクレオチドを修飾して、本発明に係る切断因子との相互作用を軽減させる。あるオリゴヌクレオチドをＡＲＲＥＳＴＯＲオリゴヌクレオチドとして使用すると、それをその後の反応工程には関与させないということを意図している。ＡＲＲＥＳＴＯＲオリゴヌクレオチドが一次プローブに結合すると、二次標的が加わって、あるいは、そのような関与がなくても、本発明のいくつかの態様において使用される５’ヌクレアーゼにより切断される基質となる二分枝構造を形成することができる。このような構造が形成されると、バックグラウンドに寄与するか、特異的シグナルが低下するか、または酵素に対する競合を起こすような目的外の切断がある程度起きるようになるかもしない。このような切断構造を形成しないＡＲＲＥＳＴＯＲオリゴヌクレオチドを提供することが好ましい。これを行なう方法の一つは、ＩＮＶＡＤＥＲオリゴヌクレオチドが切断構造の中の類似した位置を占める（すなわち、ＩＮＶＡＤＥＲオリゴヌクレオチドの３’末端が、対合しない５’アームの切断部位にある）ため、ＡＲＲＥＳＴＯＲオリゴヌクレオチドに、ＩＮＶＡＤＥＲオリゴヌクレオチドの活性を低下させることが分かっている修飾を加えることである。下記の実施例の項で、ＩＮＶＡＤＥＲオリゴヌクレオチドの３’末端の修飾が切断に与える影響を調べたところ、明らかに、ＩＮＶＡＤＥＲオリゴヌクレオチドの作用を弱めることが分かった。本明細書に記載されていない他の修飾も、ＡＲＲＥＳＴＯＲオリゴヌクレオチドを目的とする反応において用いられる切断酵素を用いた試験を行なうことによって、簡単に特徴を調べることができる。
【０３２３】
好ましい態様において、ＡＲＲＥＳＴＯＲオリゴヌクレオチドの骨格を修飾する。これを行なうと、ヌクレアーゼまたは温度による分解に対する抵抗性が高まり、使用する酵素にとって好適でない基質となる二本鎖構造（例えば、Ａ型二本鎖対Ｂ型二本鎖）がもたらされる。特に好ましい態様において、修飾は、核酸の骨格の２’Ｏ−メチル置換を含むが、特に好ましい態様において、２’Ｏ−メチル化修飾されたオリゴヌクレオチドは、さらに、３’末端アミン基を含む。
【０３２４】
ＡＲＲＥＳＴＯＲオリゴヌクレオチドの目的は、次の工程でどのような構成要素が用いられるとしても、結合について、切断プローブの少数集団と非切断プローブを競合させることである。２種類のプローブ種を完全に区別することができる（例えば、非切断のものにだけ結合して、非切断のものには結合しない）ＡＲＲＥＳＴＯＲオリゴヌクレオチドは、いくつかの態様において最も有益であるが、、本明細書記載の連続的ＩＮＶＡＤＥＲアッセイ法など、多くの応用場面においては、本発明に係るＡＲＲＥＳＴＯＲオリゴヌクレオチドは、単に部分的な識別能しかもたないが、意図したとおりの機能を果たすことができる。ＡＲＲＥＳＴＯＲオリゴヌクレオチドが切断されたプローブと相互作用すると、これら切断産物のある部位を検出することが妨げられ、それによって、所定量の標的物質から生成される絶対的なシグナル量が低下することがある。この同じＡＲＲＥＳＴＯＲオリゴヌクレオチドが、特異的シグナルが低下する係数よりも大きな係数によって、同時に、反応のバックグラウンド（すなわち、非標的特異的切断）を低下させる効果をもてば、シグナルの絶対量は低下しても、シグナルの有意性（すなわち、バックグラウンドに対するシグナルの比率）は上昇する。ＡＲＲＥＳＴＯＲ分子を含まない反応から生成されるバックグラウンドと特異的シグナルの量を、ＡＲＲＥＳＴＯＲ分子を含む反応から生成されるバックグラウンドと特異的シグナルの量と比較することによって、ＡＲＲＥＳＴＯＲ分子の可能な設計を、簡単な方法で調べることができる。特異性に対する絶対的なシグナルの許容できる交換レベルを構成するものは、さまざまな適用場面（例えば、標的量、読み取り感度など）で異なるので、本発明に係る方法を用いてユーザーが各自で決定することができる。
【０３２５】
ＩＶ．ＲＮＡ標的を含むＩＮＶＡＤＥＲオリゴヌクレオチド特異的切断反応において使用する改良された酵素
切断構造は、本明細書において、二本鎖を形成するプローブオリゴヌクレオチドと標的核酸の相互作用によって形成される構造と定義されており、得られた構造は、酵素などであるが、それに限定されない切断因子によって切断可能である。切断構造は、さらに、ホスフォジエステラーゼなどの因子による非特異的な切断に対する基質なる核酸分子とは対照的に、切断手段による特異的な切断に対する基質と定義される。酵素的切断因子に対する改良を考えるにあたって、切断構造の定義に当てはまる構造に対する該酵素の作用を考慮することができる。そのような構造の中にある部位における特異的切断が考えられる。
【０３２６】
酵素の改良は、一種類以上の構造物を切断する速度が上昇するものでも低下するものでもよい。また、改良によって、一種類以上の該切断構造に切断部位の増加または減少がもたらされてもよい。核酸切断アッセイ法に使用する、新しい構造特異的ヌクレアーゼのライブラリーを開発する上で、改良には、それぞれが特定のアッセイ法で用いられる特異的な基質構造に関連する多くの態様がある。
【０３２７】
一例として、本発明に係るＩＮＶＡＤＥＲオリゴヌクレオチド特異的切断アッセイ法の一態様を考えることができる。ＩＮＶＡＤＥＲオリゴヌクレオチド特異的切断アッセイ法において、切断された物質の蓄積は、酵素の挙動がもついくつかの特徴によって影響される。驚くまでもなく、代謝回転速度、または、一定の時間内に単一の酵素によって切断されうる構造体の数は、測定反応過程で処理される物質の量を決定する上で非常に重要である。酵素が基質を認識するのに長い時間かかるようであれば（例えば、基質が最適でない構造で提示された場合）、または、切断を行なうのに時間がかかるようであれば、生成物が蓄積する速度は、それらの工程が迅速に進んだときよりは低くなる。これらの工程が迅速でも、酵素が切断構造上に「しっかり留まって（ｈｏｌｄ ｏｎ）」いて、すぐには別の非切断構造に進めない場合には、速度に対して負の影響を与える。
【０３２８】
酵素の代謝回転速度だけが、酵素の挙動が生成物の蓄積速度に負の影響を与えるわけではない。生成物を可視化または測定するために用いられる方法が、正確に定義された生成物に特異的であれば、その定義から外れた生成物は検出されることがないため、生成物の蓄積速度は低くなるように見えるかも知れない。例えば、トリヌクレオチドを検出するための感度の高い検出装置であって、ジヌクレオチドやテトラヌクレオチド、または、３残基以外のオリゴヌクレオチドは検出しない装置を有している場合、本発明に係るＩＮＶＡＤＥＲ特異的切断アッセイ法において、誤った切断は、検出可能なシグナルを比例的に減少させることになると思われる。本明細書で提示した切断データから分かることであるが、通常、切断に好適な部位がプローブ内に一個あっても、しばしば、一次的な切断部位から１ヌクレオチド以上離れたところを切断してできる生成物が存在する。これらは、標的依存的で、かつ、非特異的なバックグラウンドではない生成物である。それにも関わらず、その後の可視化システムが一次生成物しか検出できなければ、これらはシグナルの消失を意味する。このような選択的可視化システムの例は、本明細書で提示した電荷逆転読み取り装置であり、そこでは、正電荷と負電荷の釣り合いによって、生成物の挙動が決まる。このようなシステムにおいては、余分なヌクレオチドがあったり、予想されるヌクレオチドを持たないと、間違った電荷バランスをもつ産物を残すことによって、正当な切断産物を最終検出から除外することができる。標準的なストリンジェントハイブリダイゼーションなど、オリゴヌクレオチドのヌクレオチド含量を感度よく区別することができるアッセイ法は、正当な生成物のある画分が、そのアッセイ法ではうまく検出できないとき、感度に問題を生じることが簡単に理解できる。
【０３２９】
これらの考察は、本発明に係る方法において使用すべき酵素における２つの非常に望ましい形質を示唆する。第一に、酵素が、認識、切断および遊離などの全切断反応を速やかに実行するほど、ＩＮＶＡＤＥＲオリゴヌクレオチド特異的切断アッセイ法においては、より強いシグナルが生成される可能性が高い。第二に、酵素が、構造内の単一の切断部位にうまく集中できるほど、選択的読み取り法において、よりたくさんの切断産物を検出するのに成功できる。
【０３３０】
ＩＮＶＡＤＥＲオリゴヌクレオチド特異的切断アッセイ法において使用される酵素の改良を行うために上記で引用した原理は、改良が求められる一つの方向を示す例として用いようとするものであり、改良された酵素活性の性質または応用法のいずれを制限しようとするものでもない。十分に改良されているものとして見なされるような活性変化の別の方向として、ＤＮＡＰ結合５’ヌクレアーゼを一例として用いることができる。本明細書記載のポリメラーゼ欠損５’ヌクレアーゼをいくつか作成する際に、ポリメラーゼドメインの実質的部分を欠失させて作成した酵素が、元のタンパク質では弱いか存在しない活性をもつことが発見された。これらの活性は、フォーク状になっていない構造を切断する能力、二本鎖の５’末端からエキソヌクレアーゼ的にヌクレオチドを除去する、非常に高い能力、および、遊離した５’末端がなくても環状分子を切断する未完成な能力を含んでいた。
【０３３１】
ＤＮＡポリメラーゼに由来する５’ヌクレアーゼ以外に、本発明は、ＤＮＡポリメラーゼに由来しない構造特異的ヌクレアーゼの使用も想定している。例えば、Ｐｏｌ Ｉ型ＤＮＡポリメラーゼの５’ヌクレアーゼに類似した基質特異性をもつ、真核生物および古細菌のエンドヌクレアーゼの種類が同定されている。これらはＦＥＮ１（フラップエンドヌクレアーゼ：Ｆｌａｐ ＥｎｄｏＮｕｃｌｅａｓｅ）、ＲＡＤ２、およびＸＰＧ（色素性乾皮症Ｇ群）タンパク質である。これらのタンパク質は、ＤＮＡ修復に関係があり、重合過程で伸長しているプライマーによって置換された５’アームに似た構造を好んで切断することが明らかにされている。同様のＤＮＡ修復酵素が、単細胞、および高等真核生物および古細菌から単離されており、真性細菌には関連するＤＮＡ修復タンパク質がある。類似した５’ヌクレアーゼも、Ｔ５およびＴ７などのバクテリオファージに随伴していた。
【０３３２】
最近、ＤＮＡＰＴａｑおよびＴ５ファージの５’−エキソヌクレアーゼの三次元構造が、Ｘ線回折法によって決定された（Ｋｉｍら、Ｎａｔｕｒｅ ３７６： ６１２ ［１９９５］；およびＣｅｓｋａら、Ｎａｔｕｒｅ ３８２： ９０ ［１９９５］）。この２種類の酵素は、アミノ酸配列の類似性が限定的なものであるにもかかわらず、非常によく似た三次元構造をもつ。Ｔ５ ５’−エキソヌクレアーゼのもっとも顕著な特徴は、タンパク質の活性部位によって形成される三角形の穴が存在することと２本のαヘリックスがあることである。ＤＮＡＰＴａｑの同じ領域は、結晶構造では乱れており、この領域が可塑的であることを示している。このため、この領域は、公開された三次元構造には示されていない。しかし、Ｔ５ ５’−エキソヌクレアーゼとの全体的な三次元構造の類似性、および、ＤＮＡＰＴａｑタンパク質の無秩序な領域のアミノ酸がαヘリックス形成に関係するアミノ酸であることに基づけば、ＤＮＡＰＴａｑの５’ヌクレアーゼドメインも同じ構造をもっている可能性が高い。このような穴または溝がＤＮＡＰＴａｑの５’ヌクレアーゼドメインに存在することは、基質特異性に基づいて予測されていた（Ｌｙａｍｉｃｈｅｖら、前掲）。
【０３３３】
該構造を正しく切断されるように配置するためには、切断構造の５’アームが、上記のらせん状アーチを通過するようにしなければならないことが示唆されている（Ｃｅｓｋａら、前掲）。本明細書記載の５’ヌクレアーゼの修飾の一つは、タンパク質のこのらせん状アーチ部位を開放して、ほとんど切断できない構造や全く切断できない構造をよりよく切断できるようにすることである（例えば、このような５’アームの通過を除外できる環状ＤＮＡ標的上の構造）。この方法を試すためのモデルとして選ばれた遺伝子構築物は、ＣＬＥＡＶＡＳＥ ＢＮと呼ばれる、ＤＮＡＰＴａｑから派生したが、ポリメラーゼドメインをもたない構築物であった。これは、ＤＮＡＰＴａｑの５’ヌクレアーゼドメインの全部を含んでいるため、構造的には、Ｔ５ ５’−エキソヌクレアーゼに非常に近似しているはずである。この５’ヌクレアーゼは、この種類のタンパク質に対する、このような物理的修飾の原理を実証するために選ばれた。本発明に係る、アーチを開放する修飾は、ＤＮＡポリメラーゼの５’ヌクレアーゼドメインに限定されるべきものではなく、切断活性に対する制約となるような開口部を含む構造特異的ヌクレアーゼに使用することが想定されている。本発明は、トロンビンの切断部位を、サーマス属由来ＤＮＡＰのらせん状アーチの中に、および、サーマス属由来５’ヌクレアーゼのらせん状アーチの中に挿入することを想定している。ＣＬＥＡＶＡＳＥ ＢＮ／トロンビンヌクレアーゼを用いる、本明細書に示されている具体的な例は、ヌクレアーゼドメインの内部に存在するらせん状アーチを開放するという概念を具体的に示しているに過ぎない。サーマス属由来のＤＮＡＰのアミノ酸配列は高度に保存されているので、本発明の教示するところにより、これらのＤＮＡＰ、および、これらのＤＮＡＰに由来する５’ヌクレアーゼに存在するらせん状アーチの中にトロンビン部位を挿入することが可能になる。
【０３３４】
らせん状アーチの開放は、アーチの中にプロテアーゼ部位を挿入して行なった。これにより、アーチをその先端部で開放するのに適したプロテアーゼによって、発現されたタンパク質の翻訳後分解を行なうことができた。この種のプロテアーゼは、特異的なアミノ酸配列の短い直鎖を認識する。そのようなプロテアーゼには、トロンビンおよび第Ｘａ因子がある。このようなプロテアーゼによるタンパク質の切断は、タンパク質のアミノ酸配列中にその部位が存在することと、折り畳まれた本来のタンパク質上の該部位への接触が可能であることによって決まる。結晶構造を用いても、タンパク質のある特定の領域がプロテアーゼによる切断に感受性があると予測するのは困難なことがある。結晶構造がない場合には、経験的に決めなければならない。
【０３３５】
プロテアーゼ切断部位を含むよう修飾されたタンパク質を部位特異的に切断するプロテアーゼを選択する際に、第一の工程は、未修飾のタンパク質を別の部位で切断されないか調べることである。例えば、第Ｘａ因子プロテアーゼおよびトロンビンプロテアーゼによるプロテアーゼ切断条件下で、ＤＮＡＰＴａｑとＣＬＥＡＶＡＳＥ ＢＮヌクレアーゼをインキュベートした。どちらのヌクレオチドタンパク質も、５’ヌクレアーゼドメイン内で第Ｘａ因子によって切断されたが、大量のトロンビンによってはどちらのヌクレアーゼも分解されなかった。したがって、最初にＣＬＥＡＶＡＳＥ ＢＮ酵素のアーチ開放を調べるためにトロンビンを選択した。
【０３３６】
本明細書記載のプロテアーゼ／ＣＬＥＡＶＡＳＥ修飾では、第Ｘａ因子プロテアーゼが、未修飾のヌクレアーゼタンパク質の許容できない部位、すなわち、最終産物の活性を危うくする可能性が高い領域で強力に切断した。本明細書で想定している他の未修飾ヌクレアーゼは、第Ｘａ因子に対しては敏感でないが、トロンビンや他の同様のプロテアーゼに敏感であるかもしれない。または、修飾を必要としているヌクレアーゼ機能に重要でない部位で、これらのプロテアーゼ、または他の同様のプロテアーゼに感受性を示すかもしれない。プロテアーゼ切断部位を付加することによる修飾を行なうためのタンパク質を取り上げる際には、どのプロテアーゼが別の領域において許容しうる切断レベルを生じさせるかを判定するために、未修飾のタンパク質をプロテアーゼを用いて試験すべきである。
【０３３７】
ＣＬＥＡＶＡＳＥ ＢＮタンパク質が発現される、クロニーングされたＤＮＡＰＴａｑセグメントを用いて、トロンビンによる切断部位をコードするヌクレオチドを、ヌクレアーゼ遺伝子の９０位のアミノ酸をコードする配列の近傍にインフレームで導入した。この位置は、ＤＮＡＰＴａｑの三次元構造と、Ｔ５ ５’エキソヌクレアーゼの構造の両方を参考にして、らせん状アーチの先端部であるか、その近傍であると判定されていた。ヌクレアーゼ遺伝子の部位特異的変異誘発によって、コードされるアミノ酸配列ＬＶＰＲＧＳを、らせん状アーチの先端部に挿入した。トロンビン切断部位にあるプロリン（Ｐ）は、ＣＬＥＡＶＡＳＥ ＢＮで通常この位置にあるプロリンを置換するために置かれていた。なぜなら、αヘリックスを破壊するアミノ酸で、このアーチの三次元構造にとっては重要である可能性があるからである。この構築物を発現させ、精製してから、トロンビンで切断した。分解された酵素が、標的核酸であるバクテリオファージＭ１３のゲノムＤＮＡで、スレッドモデル（ｔｈｒｅａｄｉｎｇ ｍｏｄｅｌ）による切断を促進するための遊離した５’末端を備えていないＤＮＡを切断できるかを調べた。
【０３３８】
このヌクレアーゼのらせん状アーチが、プロテアーゼ切断によって開放されたが、数多くある別の技術を用いて同じ目的を達成することができると考えられる。例えば、塩基配列を再配列して、発現されると、得られたタンパク質は、らせん状アーチの先端（９０位のアミノ酸）がこのタンパク質のアミノ末端になり、このタンパク質配列の本来のカルボキシル末端とアミノ末端が結合され、また、新しいカルボキシル末端が、本来の８９位のアミノ酸になるように設計されていよう。この方法には、外来配列を導入せず、酵素は一本のアミノ酸鎖であり、そのため、切断された５’ヌクレアーゼよりも安定性が高いだろうという利点がある。ＤＮＡＰＴａｑの結晶構造では、５’エキソヌクレアーゼドメインのカルボキシル末端とアミノ末端が互いに非常に近いところにあり、この両端は、時には必要な可塑的リンカーペプチド配列を使用しなくても、直接結合しうることを示唆している。このような遺伝子再配列は、その後のクロニーングと発現とともに、標準的なＰＣＲ組換え法、および当業者に既知のクロニーング技術によって行なうことができる。
【０３３９】
ＩＮＶＡＤＥＲ侵襲的切断反応は、ＲＮＡ標的鎖を検出するのに有用であることが示されている（例えば、米国特許第６．００１，５６７号を参照されたい。この文献は、その全部が参照として本明細書に組み入れられる）。ＤＮＡの検出にＩＮＶＡＤＥＲアッセイ法を用いたように（Ｌｙａｍｉｃｈｅｖら、Ｎａｔ． Ｂｉｏｔｅｃｈｎｏｌ．， １７： ２９２ ［１９９９］）、反応液中に存在する標的ＲＮＡの各コピーに対するプローブのコピーの多くを切断できる条件下で反応を行なわせることができる。一つの態様において、切断されているプローブの融解温度（Ｔｍ）に近い温度で反応を行なうことができ、その結果、切断されたプローブも非切断のプローブも、温度を周期的に変えなくても、標的鎖に付いたり離れたりを容易に繰り返すことができる。完全長のプローブは、ＩＮＶＡＤＥＲオリゴヌクレオチド存在下で標的に結合するたびに、５’ヌクレアーゼによって切断され、その結果、切断産物が蓄積される。この蓄積は、検出される配列に高度に特異的であり、反応時間および反応液中の標的濃度に比例するように設計することができる。別の態様において、反応温度を変化させ（すなわち、プローブを解離させることができる温度まで上昇させることができ）、次に、新しいプローブのコピーが標的にハイブリダイズし、酵素によって切断される温度まで低下させることができる。さらなる態様において、ＰＣＲと同様に、温度を上げたり下げたりする処理を何度も繰り返すか、周期的に行なう（ＭｕｌｌｉｓおよびＦａｌｏｏｎａ， Ｍｅｔｈｏｄｓ ｉｎ Ｅｎｚｙｍｏｌｏｇｙ， １５５： ３３５ ［１９８７］、Ｓａｉｋｉら、Ｓｃｉｅｎｃｅ ２３０： １３５０ ［１９８５］）。
【０３４０】
上記したように、ＲＮＡ標的鎖を含む侵襲的切断構造を切断するには、Ｐｏｌ Ａ型ＤＮＡポリメラーゼの５’ヌクレアーゼが好適である。本発明は、ＲＮＡを含む構造の切断を利用する検出法において改良された効率を示す酵素を提供する。特に、本発明に係る改変ポリメラーゼは、ＲＮＡ標的鎖を含む侵襲的切断構造のＤＮＡ部分の切断を利用する検出法において改良された効率を示す。
【０３４１】
本発明に係る５’ヌクレアーゼは、Ｐｏｌ Ａ型ＤＮＡポリメラーゼから派生させることができる。この種類の５’ヌクレアーゼに加えた改変を説明するときに使用した用語は、当技術分野において既知のＤＮＡポリメラーゼの構造を説明したものに対応する。大腸菌由来のＰｏｌ Ａ型ＤＮＡポリメラーゼのクレノウ断片（Ｃ末側３分の２の領域で、ＤＮＡ合成活性をもつが、５’ヌクレアーゼ活性はもたない）は、右手に似た物理的な形状をもつと説明されている。すなわち、「パーム」と呼ばれる開放領域、および、プライマー／鋳型二本鎖を保持する裂溝であって、一方を「フィンガー」ドメインによって規定され、他方を「サム」ドメインによって規定される裂溝をもつ（ＪｏｙｃｅおよびＳｔｅｉｔｚ， Ｔｒｅｎｄｓ ｉｎ Ｂｉｏｃｈｅｍｉｃａｌ Ｓｃｉｅｎｃｅ １２： ２２８ ［１９８７］）。これは、図５に示される。この物理的形態が、Ｐｏｌ Ａ型ＤＮＡポリメラーゼ、および逆転写酵素など、さらに別の鋳型依存型重合酵素の多くにとって一般的であることが証明されたため、手を使った用語法が当技術分野において知られるようになり、これらの酵素における活性部位は、しばしば、手の位置に対応させて説明される。本発明を制限する意図ではなく、参考のためにいうと、パームは、ポリメラーゼドメインのほぼ最初の２００アミノ酸から作られ、サムは、中央の１４０アミノ酸からできており、また、フィンガーは、次の１６０アミノ酸からできていて、残りの領域から裂溝の基部が形成されている（図６）。これらの構造の説明から外れる酵素もあるが、既知の酵素配列に対する配列相同性や、酵素の結晶構造を比較するなどの方法によって、これらのドメインに対応する同等のドメインおよび配列を同定することができる。
【０３４２】
本発明は特定の方法に限定されるものではないが、本発明に係る改良酵素を作成する際には、いくつかの方法が用いられる。最初に、ＲＮＡ標的上でのＤＮＡ鎖切断活性速度が異なるＴａｑおよびＴｔｈという２つのＤＮＡポリメラーゼを比較した。活性の違いに関係するドメインを同定するために、一連の化学的構築物を作成して、その活性を測定した。この工程で、Ｔａｑポリメラーゼに移入された場合には、ＴａｑＰｏｌに、天然型Ｔｔｈタンパク質と同等のＲＮＡ依存型切断活性を付与することができる、Ｔｔｈポリメラーゼの２つの領域が同定された。これらの領域が同定されたため、この活性に関与する特定のアミノ酸が調べられた。この２種類のタンパク質は、全体のアミノ酸配列で約８７％一致しており、同定された領域は、ほんの少数のアミノ酸が異なっているだけであった。これらのアミノ酸を一つずつ、または複数個変えることによって、ＴｔｈＰｏｌにおいて、ＴａｑＰｏｌタンパク質に導入された場合には、天然型ＴｔｈＰｏｌの切断速度まで、切断速度を増加させるアミノ酸のペアが同定された。
【０３４３】
これらのデータは、本発明の２つの重要な側面を明らかにする。一つは、特異的なアミノ酸を変えることによって、活性が低い方のポリメラーゼにＴａｑＰｏｌ様ＲＮＡ依存型切断活性を付与することができる。しかし、より広義には、これらの結果は、ＲＮＡを包含する切断構造の認識に関与する、これらポリメラーゼの領域を提供する。これらの重要な領域が同定されたことによって、これらのＤＮＡポリメラーゼのさまざまな機能に対する他のアミノ酸の関係についての公開情報、および、本発明の開発過程で行なわれた、コンピュータを利用した分子モデリングと合わせて、さらに改良された５’ヌクレアーゼを作成する合理的設計法を可能にした。また、この情報は、改良された性質をもつ酵素を速やかに作成して同定するための迅速なスクリーニング法と結合した指向的無作為変異誘発法（ｆｏｃｕｓｅｄ ｒａｎｄｏｍ ｍｕｔａｇｅｎｅｓｉｓ）も可能にした。本発明に係る、これらの方法を用いて、多様な改良ポリメラーゼが提供される。
【０３４４】
本発明に係る改良型５’ヌクレアーゼを作出し、選択する上で役に立つ方法を下記、および実施例において詳述する。５’ヌクレアーゼの切断活性をスクリーニングし、特徴づけるための一般的な手順が実施例には含まれている。方法の検討は以下の項目に分割される。Ｉ）キメラ構築物の作成と選択；ＩＩ）キメラ構築物からの情報に基づく部位特異的変異誘発；ＩＩＩ）分子モデリングと公開されている物理研究を利用する部位特異的変異誘発；ＩＶ）指向的無作為変異誘発
【０３４５】
１）キメラ構築物の作成と選択
図６に図解されているように、サーマス種に由来するＤＮＡポリメラーゼ酵素などのＰｏｌ Ａ型ＤＮＡポリメラーゼは、５’ヌクレアーゼドメインとポリメラーゼドメインという２つの顕著なドメインを含む。ポリメラーゼドメインは、このタンパク質のＣ末端側３分の２の領域に存在し、ＤＮＡ依存型およびＲＮＡ依存型のＤＮＡポリメラーゼ活性に関与する。Ｎ末端側３分の１の部分は、５’ヌクレアーゼドメインを含む。サーマス属のＰｏｌＡポリメラーゼでは、パーム領域は、およそ３００〜５００位のアミノ酸を含み、サム領域は５００〜６５０位のアミノ酸を含み、一方、フィンガー領域は、残りの６５０〜８３０位のアミノ酸から形成される（図６）。
【０３４６】
本発明の実験の多くで用いられ、本明細書でも説明されているＴａｑおよびＴｔｈ Ｐｏ１から派生したＴａｑ ＤＮ ＲＸ ＨＴおよびＴｔｈ ＤＮ ＲＸ ＨＴは、合成活性が低下し、キメラの構築を容易にするが、未修飾のＴａｑ ＰｏｌおよびＴｔｈ Ｐｏｌと本質的に同一の５’ヌクレアーゼ活性をもつ。特段の記載がない限り、以下の考察におけるＴａｑ Ｐｏｌ酵素およびＴｔｈ Ｐｏｌ酵素はＤＮ ＲＸ ＨＴ派生酵素を意味する。
【０３４７】
Ｔａｑ ＰｏｌおよびＴｔｈ Ｐｏｌは、ＤＮＡ標的構造については同様の切断を示す（図１０）が、ＩＬ−６ ＲＮＡ鋳型（図１０に示す）では、Ｔｔｈ Ｐｏｌは、Ｔａｑ Ｐｏｌよりも４倍速い切断速度をもつ（図１１および１２に示す）。Ｔａｑ ＰｏｌおよびＴｔｈ Ｐｏｌのアミノ酸配列（図８および９）は、約８７％一致しており、また、９２％より多くの類似性を示すので、これらの酵素間で相同性が高いため、Ｔａｑ ＰｏｌおよびＴｔｈ Ｐｏｌの間で一連のキメラ酵素を作成することができる。キメラ酵素の活性をＲＮＡ依存型５’ヌクレアーゼ活性に影響する、これらタンパク質の領域を同定するためのパラメータとして用いた。
【０３４８】
図７および図１９で図解されているＴａｑ Ｐｏｌ遺伝子およびＴｔｈ Ｐｏｌ遺伝子の間のキメラ構築物は、以下の制限エンドヌクレアーゼ部位によって規定されるＤＮＡ断片を交換して作成された：両方の遺伝子に共通なＥｃｏＲＩならびにＢａｍＨＩ、クロニーングベクター部位であるＳａｌＩ、および、部位特異的変異誘発によって両方の遺伝子の相同的な位置に作出されたＮｏｔＩ、ＢｓｔＢＩならびにＮｄｅＩ。制限酵素は以下の通りに略記される：ＥｃｏＲＩはＥ、ＮｏｔＩはＮ、ＢｓｔＢＩはＢｓ、ＮｄｅＩはＤ、ＢａｍＨＩはＢ、および、ＳａｌＩはＳ。
【０３４９】
ＩＬ−６ ＲＮＡ標的での侵襲的シグナル増幅アッセイ法を用いて各キメラ酵素の活性を評価し（図１０）、実施例に記載したとおりに、図１２に示す反復切断速度を測定した。ＮｏｔＩ部位でポリメラーゼドメインと５’ヌクレアーゼドメインを交換して作成した、最初の２つのキメラＴａｑ Ｔｔｈ（Ｎ）およびＴｔｈ Ｔａｑ（Ｎ）（図７）を比較したところ、Ｔａｑ Ｔｔｈ（Ｎ）は、Ｔｔｈ Ｐｏｌと同じ活性をもち、一方、その相手方であるＴｔｈ Ｔａｑ（Ｎ）はＴａｑ Ｐｏｌの活性を保持している（図１２）。この結果は、Ｔｔｈ Ｐｏｌの反復切断速度の速さは、そのポリメラーゼドメインに関連していることを示しており、ポリメラーゼドメインが５’ヌクレアーゼ活性に重要な役割をもつことを示唆している。
【０３５０】
次の工程は、対応するＴａｑ Ｐｏｌの配列に置き換えたとき、Ｔｔｈ Ｐｏｌ様ＲＮＡ非依存型５’ヌクレアーゼ活性を生じることができる、Ｔｔｈ Ｐｏｌポリメラーゼの最小領域を同定することであった。この目的のため、Ｔａｑ Ｔｔｈ（Ｎ）キメラを選択して、そのＴｔｈ Ｐｏｌ配列をＴａｑ Ｐｏｌの相同領域に置き換えて、一連の新しい構築物を作成した。まず、共通のＢａｍＨＩ部位をＴａｑ Ｔｔｈ（Ｎ−Ｂ）キメラとＴａｑ Ｔｔｈ（Ｂ−Ｓ）キメラを作成するための切断点として用いて（図７）、Ｔａｑ Ｔｔｈ（Ｎ）の対応領域を、Ｔａｑ ＰｏｌのポリメラーゼドメインのＮ末部分とＣ末部分に置き換えた。Ｔｔｈ Ｐｏｌの３２８位から５９３位のアミノ酸配列を有するＴａｑ Ｔｔｈ（Ｎ−Ｂ）は、Ｔａｑ Ｔｔｈ（Ｂ−Ｓ）の約３倍活性が高く、Ｔｔｈ Ｐｏｌよりも４０％活性が高い（図１２）。この結果、Ｔｔｈ ＰｏｌのポリメラーゼドメインのＮｏｔＩ−ＢａｍＨＩ部位が、Ｔｔｈ Ｐｏｌの優れたＲＮＡ依存型５’ヌクレアーゼ活性を決定しているということが確認される。
【０３５１】
これらのデータから、Ｔｔｈ Ｐｏｌの中心部をＴａｑ Ｐｏｌの相同部位（Ｔａｑ Ｔｔｈ（Ｎ−Ｂ）構築物）を置換するために使用したときには、主にＴａｑタンパク質から構成されているキメラタンパク質に優れたＲＮＡ認識能を付与することができると判定された。実際、このキメラタンパク質の回転速度は、親であるＴｔｈ Ｐｏｌの速度を上回っていた。Ｔｔｈ Ｐｏｌの活性上昇領域の一部を含むキメラを比較すると、各場合とも約５０％の領域（Ｔａｑ Ｔｔｈ（Ｎ−Ｄ）およびＴａｑ Ｔｔｈ（Ｄ−Ｂ）、図７および１２）は、親であるＴａｑ Ｐｏｌと比較しても、有意なＲＮＡ依存型活性の改善を示さなかった。この結果は、この活性にとって、この領域の各々半分の特徴が必要であることを示している。Ｔｔｈ挿入部分（Ｔａｑ Ｔｔｈ（Ｂｓ−Ｂ））よりも僅かに小さい部分をもつ構築物は、親であるＴｔｈ Ｐｏｌタンパク質の活性に近い活性を示したが、Ｔａｑ Ｔｔｈ（Ｎ−Ｂ）構築物の活性よりは低かった。
【０３５２】
２）キメラ構築物からの情報に基づく部位特異的変異誘発
ＢｓｔＢＩ部位およびＢａｍＨＩ部位の間でＴａｑ ＰｏｌおよびＴｔｈ Ｐｏｌのアミノ酸配列を比較したところ、２５残基だけが異なっていることが明らかになった（図１３）。これらのうち、１２個が保存的な変化であり、１３個の置換が電荷に変化をもたらすものである。キメラ酵素の解析によって、Ｔｔｈ ＰｏｌのＢｓｔＢＩ−ＮｄｅＩおよびＮｄｅＩ−ＢａｍＨＩの領域に、いくつか重要なアミノ酸の変異が存在していることが示唆されたため、部位特異的変異誘発を用いて、Ｔａｑ Ｔｔｈ（Ｄ−Ｂ）およびＴａｑ Ｔｔｈ（Ｎ−Ｄ）キメラのそれぞれＢｓｔＢＩ−ＮｄｅＩ領域とＮｄｅＩ−ＢａｍＨＩ領域にＴｔｈ Ｐｏｌ特異的なアミノ酸を導入した。単一変異誘発または二重変異誘発によって、Ｔａｑ Ｔｔｈ（Ｄ−Ｂ）のＢｓｔＢＩ−ＮｄｅＩ領域に６個のＴｔｈ Ｐｏｌ特異的置換体を作成したところ、一つの二重変異体Ｗ４１７Ｌ／Ｇ４１８ＫだけがＩＬ−６ ＲＮＡ標的によるＴｔｈ Ｐｏｌ活性を回復することができた（例えば、図１４参照）。同様に、Ｔａｑ Ｔｔｈ（Ｎ−Ｄ）のＮｄｅＩ−ＢａｍＨＩ領域の相同的な位置に１２個のＴｔｈ Ｐｏｌ特異的アミノ酸を導入したところ、それらのうちたった一つ（Ｅ５０７Ｑ）で、Ｔｔｈ Ｐｏｌと同程度になるまで切断速度が上昇した（例えば、図１４参照）。
【０３５３】
Ｗ４１７Ｌ、Ｇ４１８ＫおよびＥ５０７Ｑという置換が、Ｔａｑ Ｐｏｌの活性をＴｔｈ Ｐｏｌのレベルにまで引き上げるのに十分であることを確認するために、これらの変異を有するＴａｑ Ｐｏｌの変異体を作成して、ＩＬ−６ ＲＮＡ基質を用いてそれらの切断速度をＴｔｈ Ｐｏｌの切断速度と比較した。図１５は、Ｔａｑ Ｐｏｌ Ｗ４１７Ｌ／Ｇ４１８Ｋ／Ｅ５０７Ｑ変異体とＴａｑ Ｐｏｌ Ｇ４１８Ｋ／Ｅ５０７Ｑ変異体が、Ｔｔｈ Ｐｏｌよりも１．４倍高い活性をもち、Ｔａｑ Ｐｏｌよりも４倍高い活性をもつが、Ｔａｑ Ｐｏｌ Ｗ４１７Ｌ／Ｅ５０７Ｑ変異体はＴｔｈ Ｐｏｌと同じ活性で、それはＴａｑ Ｐｏｌよりは約３倍高いことを示している。これらの結果は、Ｔｔｈ ＰｏｌのＫ ４１８とＱ５０７が、Ｔａｑ Ｐｏｌに較べて優れたＲＮＡ依存型５’ヌクレアーゼ活性を規定する重要なアミノ酸であることを証明している。
【０３５４】
さらに別の生物であるサーマス・フィリフォルミス、およびサーマス・スコトダクタスのポリメラーゼＡ遺伝子に対応する変異を導入して、これらのアミノ酸が、ＤＮＡポリメラーゼのＲＮＡ依存型５’ヌクレアーゼ活性を向上させることができるかについて試験した。Ｔａｑ Ｐｏｌは、Ｗ４１７Ｌ変異とＥ５０７Ｑ変異を持つように改変して、Ｔｔｈ Ｐｏｌの対応する残基（Ｋ４１８およびＱ５０７）により類似させたところ、改良されたＲＮＡ依存型活性を示した。Ｔｆｉ ＰｏｌをＰ４２０ＫとＥ５０７Ｑをもつよう改変して、ＴｆｉＤＮ２Ｍを作成し、ＴｓｃＰｏｌをＥ４１６ＫとＥ５０５Ｑをもつよう改変して、ＴｓｃＤＮ２Ｍを作成した。これらの酵素が、ＤＮＡおよびＲＮＡを含むさまざまな構造物を切断する活性を、図２１および２２に図解したＩｄＴ２、ＩｒＴ３、ヘアピン、およびＸ構造を用いて、実施例１に記載したようにして測定し、その結果を図２５と表８に示した。どちらの酵素も、Ｔｔｈ Ｐｏｌ酵素またはＴａｑ ２Ｍ酵素よりはより低いＲＮＡ依存型切断活性をもつ。しかし、上記で引用した変異をこれらのポリメラーゼに導入すると、改変されていない酵素と較べて、ＲＮＡ依存型切断活性が２倍以上高くなった（図２５）。これらの結果は、本発明に係る方法を用いて、改良されたＲＮＡ依存型切断活性を、広範なポリメラーゼの中に導入できることを実証している。
【０３５５】
３）分子モデリングと公開されている物理研究を利用する部位特異的変異誘発
Ｌｉら（Ｌｉら、Ｐｒｏｔｅｉｎ Ｓｃｉ．， ７： １１１６ ［１９９８］）によって判定された、Ｔａｑ Ｐｏｌの大断片（ＫｌｅｎｔａｑＩ）とプライマー／鋳型ＤＮＡとの複合体の結晶構造Ｇ４１８Ｈ変異およびＥ５０７Ｑ変異の位置を図１７に示す。Ｅ５０７Ｑ変異は、プライマー鎖および鋳型鎖のバクボーンであるリン酸から最も近いところで、それぞれ、３．８Åおよび１８Å離れており、サム・サブドメインの先端に位置する。ＤＮＡポリメラーゼのクレノウ断片（Ｂｒｅｅｓｅら、Ｓｃｉｅｎｃｅ ２６０： ３５２ ［１９９３］）およびＴａｑ Ｐｏｌ（Ｅｏｍら、Ｎａｔｕｒｅ ３８２： ２７８ ［１９９６］）の共結晶構造によって、以前、サム領域とＤＮＡプライマー／鋳型の副溝の間に相互作用があることが示唆された。クレノウ断片のサム領域の先端にある、Ｔａｑ Ｐｏｌの４９４〜５１８位アミノ酸に相当する２４アミノ酸を欠失させると、ＤＮＡ結合親和性が１００倍以上低下する（Ｍｉｎｎｉｃｋら、Ｊ． Ｂｉｏｌ． Ｃｈｅｍ．， ２７１： ２４９５４ ［１９９６］）。これらの観察結果は、Ｅ５０７残基を含むサム領域が、上流にある基質二本鎖との相互作用に関与するという仮説と矛盾しない。
【０３５６】
Ｔａｑ Ｐｏｌと、重合方式で結合している二本鎖ＤＮＡとの共結晶構造（Ｌｉら、Ｐｒｏｔｅｉｎ Ｓｃｉ．， ７： １１１６ ［１９９８］、Ｅｏｍら、Ｎａｔｕｒｅ ３８２： ２７８ ［１９９６］）の共結晶構造によれば、Ｔａｑ Ｐｏｌのパーム領域におけるＷ４１７Ｌ変異とＧ４１８Ｋ変異（図１７）は、鋳型鎖および上流鎖の最も近いリン酸から約２５Åのところに位置している。クレノウ断片の類似したアミノ酸Ｗ５１３およびＰ５１４と、編集モードで結合しているＤＮＡの鋳型鎖との間で同じ距離が観察された（Ｂｒｅｅｓｅら、Ｓｃｉｅｎｃｅ ２６０： ３５２ ［１９９３］）。したがって、この領域の利用可能な共結晶実験からは、Ｔａｑ Ｐｏｌと重複基質との間に相互作用があることは示唆されない。
【０３５７】
酵素の作用機作を理解することは、本発明を実施する上では必要なく、また、本発明は、作用機作に限定されるものではないが、Ｔａｑ Ｐｏｌのパーム領域の４１７位と４１８位のアミノ酸は、この酵素が５’ヌクレアーゼとして機能するときにだけ、上流の基質二本鎖と相互作用するが、Ｔａｑ Ｐｏｌが重合モードに切り替わっているときには、これらのアミノ酸との相互作用は起きないということが提唱されている。この仮説は、本明細書において「５’ヌクレアーゼ」と呼ばれるＤＮＡポリメラーゼによる、新しい基質結合の形を示唆する。この仮説は、いくつかの証拠によって裏付けられている。本明細書記載のキメラ酵素実験は、５’ヌクレアーゼとポリメラーゼの活性に関与するポリメラーゼドメインの領域を明確に分離する。したがって、Ｗ４１７Ｌ変異とＧ４１８Ｋ変異は、Ｅ５０７Ｑ変異とともに、ＲＮＡ標的鎖をもつ基質に対するＴａｑ Ｐｏｌの５’ヌクレアーゼ活性に影響する（図１５）が、ＲＮＡ依存型ＤＮＡポリメラーゼ、またはＤＮＡ依存型ＤＮＡポリメラーゼのいずれの活性にも影響しない（図１６）。他方、Ｒ５７３Ａ、Ｒ５８７Ａ、Ｅ６１５Ａ、Ｒ７４６Ａ、Ｎ７５０ＡおよびＤ７８５Ｎなど、Ｔａｑ Ｐｏｌの活性部位における変異であって、重合モードにあるポリメラーゼ活性と基質結合親和性の両方に影響する大腸菌ＤＮＡのＰｏｌ Ｉのクレノウ断片における置換に対応するもの（Ｐｏｌｅｓｋｙら、Ｊ． Ｂｉｏｃｈｅｍ．， ２６５： １４５７９ ［１９９０］、Ｐｏｌｅｓｋｙら、Ｊ． Ｂｉｏｌ． Ｃｈｅｍ．， ２６７： ８４１７ ［１９９２］、Ｐａｎｄｅｙら、Ｅｕｒ． Ｊ． Ｂｉｏｃｈｅｍ．， ２１４： ５９ ［１９９３］）は、５’ヌクレアーゼ活性に殆ど、あるいは全く影響しないことが示された。ＤＡＬＩプログラム（ＨｏｌｍおよびＳａｎｄｅｒ， Ｊ． Ｍｏｌ． Ｂｉｏｌ．， ２３３： １２３ ［１９９３］、ＨｏｌｍおよびＳａｎｄｅｒ， Ｓｃｉｅｎｃｅ， ２７３： ５９５ ［１９９６］）およびＩｎｓｉｇｈｔ ＩＩ（モレキュラー・シミュレーション社（Ｍｏｌｅｃｕｌａｒ Ｓｉｍｕｌａｔｉｏｎ）， Ｎａｐｅｒｖｉｌｌｅ， ＩＬ）を用いて、Ｔａｑ Ｐｏｌ（Ｅｏｍら、Ｎａｔｕｒｅ ３８２： ２７８ ［１９９６］）、大腸菌のＰｏｌ Ｉおよびバシルス・ステアロサーモフィラスのＰｏｌ Ｉ（Ｋｉｅｆｅｒら、Ｎａｔｕｒｅ ３９１： ３０４ ［１９９８］）のポリメラーゼドメインの重ね合わせをしたところ、Ｗ４１７とＧ４１８を含む、Ｔａｑ Ｐｏｌのアミノ酸位４０２〜４５１にあるパーム領域が、構造的に、この３種類のポリメラーゼの間で高度に保存されていることを示している。しかし、残りのパームサブドメインの間には構造的な類似性はない。この観察結果は、真性細菌のＤＮＡポリメラーゼのこの領域には重要な役割があることを示唆している。
【０３５８】
５’ヌクレアーゼとポリメラーゼの活性は、正確に同調され、リガーゼが不適当に末端に結合したら、岡崎フラグメントのプロセシングまたはＤＮＡ修復の過程で欠失または挿入を引き起こしうるギャップや突出ではなく、ニックをもつ構造を作出しなければならない。以前提唱されたモデル（Ｋａｉｓｅｒら、Ｊ． Ｂｉｏｌ． Ｃｈｅｍ．， ２７４： ２１３８７ ［１９９９］）によると、上流鎖の３’末端のヌクレオチドが５’ヌクレアーゼドメインによって隔離されると、伸長を阻害され、合成を停止する。３’ヌクレオチドとの相互作用は、外見上、エンドヌクレアーゼ的に、置換された下流鎖の５’アームを除去する５’ヌクレアーゼを活性化する。この切断は、３’ヌクレオチドによって規定される部位で正確に切断されることによって起き、ニックを生じる。このモデルは、基質−酵素複合体の実質的な再配列を必要とするが、再配列は、該複合体を５’ヌクレアーゼのモードに転位させて、ポリメラーゼ活性部位からプライマー／鋳型を分離することを含みうる。
【０３５９】
鋳型と入ってきた鎖との間に形成された二本鎖と、フィンガーおよびサムというサブドメインによって形成される隙間との相互作用によって、ポリメラーゼ活性部位から遠くの位置に基質を再配置することを誘導することが可能である。このような相互作用は、サム領域におけるコンフォメーションの遷移を押し進め、鋳型／プライマー二本鎖をＷ４１７とＧ４１８のアミノ酸に密接させる。サム領域が顕著に可塑的であることは以前報告されており、それによって、このような変化を説明することができる（Ｂｒｅｅｓｅら、Ｓｃｉｅｎｃｅ ２６０： ３５２ ［１９９３］、Ｅｏｍら、Ｎａｔｕｒｅ ３８２： ２７８ ［１９９６］、Ｏｌｌｉｓら、Ｎａｔｕｒｅ ３１３： ７６２ ［１９９５］、Ｌｉら、ＥＭＢＯ， Ｊ． １７： ７５１４ ［１９９８］）。さらに、Ｌｉら（Ｌｉら、ＥＭＢＯ， Ｊ． １７： ７５１４ ［１９９８］）によって説明された「閉じた」構造から「開いた」構造への遷移など、隙間が開くのを助けるような、フィンガードメインのコンフォメーション変化も、このモデルと矛盾しない。ＤＮＡ Ｐｏｌ Ｉの公開された共結晶構造において５’ヌクレアーゼ結合モードが観察されなかったのは、構造の大部分が、重複した５’ヌクレアーゼ基質によってではなく、鋳型／プライマー基質によって、ポリメラーゼドメインだけが解けるからであると思われる。
【０３６０】
Ｔａｑ Ｐｏｌ、Ｔｔｈ Ｐｏｌ、およびＴａｑＰｏｌ Ｇ４１８Ｋ／Ｅ５０７Ｑについて、ＲＮＡを含む基質に対して２００〜３００ ｎＭでのＫｍ値が決定されている。これらの値は、すべてＤＮＡの重複基質によって、ＴｔｈＰｏｌについて＜１ ｎＭで評価されたＫｍ値に比べてより高い。このことは、ＲＮＡ鋳型が、基質の結合に悪影響を及ぼすことを示唆している。低親和性は、酵素が、基質によってＲＮＡ標的とともに採用されたＡ型二本鎖、またはＲＮＡ鎖のリボース２’ヒドロキシル基のいずれかと好ましくない相互作用をするということで説明することができる。真性細菌のＤＮＡポリメラーゼの５’ヌクレアーゼは、おそらくＡ型をもっていると思われるＲＮＡ下流プローブで効率的に切断できることから、これら２つの因子のうちでは、後者の可能性の方が高い（Ｌｙａｍｉｃｈｅｖら、Ｓｃｉｅｎｃｅ ２６０， ７７８ ［１９９３］）。さらに、共結晶研究によって、鋳型／プライマーの二本鎖が、複合体の中でＤＮＡポリメラーゼによって、部分的にＡ型に近いコンフォメーションを採用していることが示唆されている（Ｅｏｍら、Ｎａｔｕｒｅ ３８２： ２７８ ［１９９６］、Ｋｉｅｆｅｒら、Ｎａｔｕｒｅ ３９１： ３０４ ［１９９８］、Ｌｉら、ＥＭＢＯ， Ｊ． １７： ７５１４ ［１９９８］）。Ｇ４１８Ｋ／Ｅ５０７Ｑ変異は、ＴａｑＰｏｌのｋｃａｔ値を２倍以上に高めるが、Ｋｍ値には殆ど影響しない。変異によって、基質が、単に結合定数を高めるためではなく、より切断に適した方向に配置されるようになれば、このような効果が期待される。
【０３６１】
上記した変異解析以外に、酵素の特異的領域、酵素の構造−機能の関係、および酵素−基質相互作用を研究するための別の方法は、分子の実際の物理学的構造を調べることである。
【０３６２】
結晶学、ＮＭＲ、およびコンピュータならびにソフトウエアの技術が進むにつれて、分子構造の研究は、生体分子の構成、仕組み、および動態に興味をもつ者にとっては実行可能なツールとなってきている。分子モデリングは、タンパク質の構造の基礎にある相互作用の性質、および、どのようにしてタンパク質は基質と機能的に相互作用するかについての理解を深めてきた。さまざまなポリメラーゼまたはポリメラーゼタンパク質の部位、ＨＩＶの逆転写酵素、および他の核酸結合タンパク質について記載した多くの出版物が、タンパク質のコンフォメーション、コンフォメーションの変化、および、機能するために必要な分子間相互作用に関する機械論的な洞察を提供してきた。
【０３６３】
一例として、Ｄｏｕｂｉｅら（Ｄｏｕｂｉｅら、Ｎａｔｕｒｅ ３９１： ２５１ ［１９９８］）による報告は、Ｔ７ＤＮＡポリメラーゼの結晶構造を開示しており、また、どのアミノ酸領域が、基質の結合に影響する可能性が高いか、どれを重合のためには基質に接触させる必要があるか、また、どのアミノ酸が、金属イオンなどの補助因子に結合するかということに関する情報を提供している。この論文や他の論文で、多くのポリメラーゼが、配列類似性を共有するだけでなく、構造的な相同性も共有する。異なったポリメラーゼの特定の構造ドメインを積み重ねる（例えば、Ｔ７ポリメラーゼ、クレノウ断片編集複合体、リガンドをもたないＴａｑ ＤＮＡポリメラーゼ、およびＴａｑポリメラーゼ−ＤＮＡポリメラーゼ複合体）と、保存されたモチーフを明らかに識別することができる。
【０３６４】
具体的には、これら構造的起源および文献すべてからの情報をまとめて、ＤＮＡ、ＲＮＡ、またはヘテロ二本鎖と相互作用するタンパク質モデルを作成することができる。そして、モデルを調べて、基質認識や基質との接触に関与する可能性のあるアミノ酸を同定することができる。これらの観察結果に基づいてアミノ酸を変えることができ、また、実施例に記載された本発明に係る方法などのスクリーニング法を用いて、５’ヌクレアーゼタンパク質のさまざまな活性に与える効果を評価する。
【０３６５】
前記したドメイン交換解析法によって、ＲＮＡ依存型５’ヌクレアーゼ活性において重要なＴｔｈＤＮの配列が、タンパク質のポリメラーゼドメインに位置している。したがって、核酸認識に関して、ポリメラーゼドメインの構造データを調べると、アミノ酸の位置を決める方法であって、アミノ酸が変わると、５’ヌクレアーゼ反応においてＲＮＡ認識が変化するという方法が提供される。例えば、本発明を開発する過程で行われた解析法によって、大腸菌のＰｏｌ Ｉのポリメラーゼドメイン、すなわち、クレノウ断片が結合するプライマー／鋳型に関する公表された解析結果を調べた。表２は、クレノウ断片について測定された速度定数であり、数多くの変異がこれらの測定値に及ぼす効果を示している。ＴａｑＰｏｌにおいて対応するか、同様の位置にあるアミノ酸を右側の欄に示す。クレノウ断片と、ＤＮＡ鋳型またはプライマー／鋳型二本鎖との相互作用に顕著な影響を与える変異も、Ｋｄおよび相対的ＤＮＡ親和値の変化によって示されるように、ＴａｑＰｏｌ、および関連するキメラ派生体または変異体の対応する部位に作出されるときには有効であると考えられる。クレノウ断片の中に導入するときには、より高いＫｄ値をもたらし、またはより低い相対的ＤＮＡ親和性をもたらす変異を選択して、ＴａｑＰｏｌの中で調べた。これらのＴａｑ派生体（ｄｅｒｉｖａｔｉｖｅｓ）には、表２の右欄にアスタリスクで示したものがあるが、これらに限定されない。
【０３６６】
Ｒ６８２変異体など、クレノウ変異体については、試験のための選択をＤＮＡ親和性測定値に基づいて行わなかった。なぜなら、分子モデリングによって、鋳型／プライマー二本鎖とアミノ酸の何らかの態様間で何らかの相互作用が存在することが示唆された。同様に、Ｔａｑポリメラーゼ（またはＴａｑ派生体）の別の領域が、分子モデリングからの構造に関するデータおよび情報に基づいて変異誘発を行なうための標的となる。モデリングに基づくと、サム領域が、ＲＮＡ鋳型と接触すると考えられた。そのため、サム領域のアミノ酸で、それを改変したら、接触も変化するようなアミノ酸を捜した。例えば、図６および１７は、５０２位、５０４位および５０７位のアミノ酸が、サム領域の先端に存在することを示している。これらのアミノ酸を変更すると、酵素と基質の相互作用に影響を与えると考えられた。実施例１記載の活性スクリーニング法を用いて、有利な効果をもたらす変異を同定した。この方法を用いて、いくつかの改良酵素を作成した。例えば、ＴａｑＰｏｌのＨ７８４の位置は、クレノウのＨ８８１のアミノ酸に相当するが、これは、フィンガー領域のアミノ酸であり、そのため、プライマー／鋳型基質の結合に関係している可能性がある。クレノウ酵素のＨ８８１アミノ酸をアラニンで置換すると、ＤＮＡに対する親和性が野生型のレベルの３０〜４０％に低下する。ＴａｑＰｏｌに由来する酵素で同様に置換を調べた。Ｔａｑ派生体Ｗ４１７Ｌ／Ｇ４１８Ｋ／Ｅ５０７Ｑから出発して、７８４位のアミノ酸をヒスチジン（Ｈ）からアラニン（Ａ）に変えて、Ｗ４１７Ｌ／Ｇ４１８Ｋ／Ｅ５０７Ｑ／Ｈ７８４Ａ変異体を得、Ｔａｑ ４Ｍと名付けた。この変異体は、ＲＮＡ試験用ＩｒＴ１（図２４）被検基質に対して改良された５’ヌクレアーゼ活性を示した（データを表３に示す）。アミノ酸Ｒ５８７は、サム領域中にあり、コンピュータモデルにおいて、プライマー／鋳型二本鎖から非常に近い位置にあることから、変異を起こすために選択した。Ｒ５８７Ａ変異をＴａｑ ４Ｍに加えると、試験用ＩｒＴ１被検基質に対する活性がさらに一層向上した。さらに、４Ｍ変異体と較べて、図２２に示されたＸ構造の切断が低下すれば、この酵素機能にさらなる改良をもたらすことになる。
【０３６７】
重合反応においてＤＮＡ結合を低下させるアミノ酸変異のすべてが、５’ヌクレアーゼ活性に影響するわけではない。例えば、それぞれ、サムドメインとフィンガードメインに存在するアミノ酸に影響を与える変異Ｅ６１５Ａ、Ｒ６７７Ａなどは、図２１および２２の被検基質を用いて測定し、これらの変異を持たない親である変異体と較べると、５’ヌクレアーゼ活性に悪影響を与えるか、全く影響を与えない。Ｒ６７７Ａ変異を追加して、Ｔａｑ ４Ｍ変異体と比較した。本明細書記載の試験方法は、ＤＮＡを含む構造およびＲＮＡを含む構造について、非侵襲的基質および侵襲的基質の切断活性を変更する変異体を解析する便利な方法を提供する。このように、本発明は、適当な改良酵素のすべてを同定する方法を提供する。
【０３６８】
核酸標的に対する酵素の親和性を高めることのできる改変も調べた。上記の変異の多くが、クレノウ断片酵素にＤＮＡに対する親和性を低下させたことから、ＤＮＡ以外の鎖を含む構造をより許容しやすい酵素を作成することを目的として、これらの変異を選択した。通常、天然型ＤＮＡポリメラーゼは、ＤＮＡ／ＤＮＡ二本鎖に対する親和性と較べると、ＲＮＡ／ＤＮＡ二本鎖に対しては低い親和性を示す。本発明を開発する過程で、ＲＮＡ標的鎖ではなくＤＮＡを有する構造に対する選好性を回復させたり、増加させることなく、核酸基質に対する本発明に係るタンパク質の一般的な親和性を高めようとした。タンパク質と核酸基質との間の相互作用を変える手段として、さまざまな電荷をもったアミノ酸の置換を調べた。例えば、リシン（Ｋ）など、正に荷電したアミノ酸残基を付加すると、負に荷電した核酸に対するタンパク質の親和性は高くなると思われた。
【０３６９】
上記したように、サム領域における変化は、タンパク質と核酸基質との間の相互作用に影響を与えうる。一例において、Ｇ５０４Ｋという変異（サム領域の先端）をＴａｑ ４Ｍに導入したところ、ＲＮＡ標的に対するヌクレアーゼ活性は１５％上昇した。さらに正に荷電させる変異（Ａ５０２ＫおよびＥ５０７Ｋ）は、親であるＴａｑ４Ｍ酵素と比較すると、さらにＲＮＡ標的依存的活性が５０％向上した。
【０３７０】
公表された研究データおよび分子モデリングを、本発明を開発する過程で生じた結果とともに用いて、アミノ酸変異によって切断機能の一以上の特徴に観察可能な違いをもたらす可能性が高いと思われるタンパク質の領域を同定することができた。このようにして、領域を標的とすることもできるが、異なるアミノ酸の変異は、そのタンパク質の近傍または直近であっても、異なる作用を与えることが考えられた。例えば、Ａ５０２Ｋ置換によって、Ｔａｑ４ＭのＲＮＡ依存型切断活性は顕著に増加するが、５０２位から僅か３アミノ酸しか離れていない４９９位のアミノ酸をＧからＫに変えると、殆ど改善が見られなかった。実施例から分かるように、本発明に係る方法は、候補領域において数個のアミノ酸を、単独または併合して変異させ、その後、実施例１で提供されているスクリーニング法を用いてこの変異の効果を迅速に測定するというものである。
【０３７１】
これらのタンパク質のポリメラーゼドメインで見られるサム領域、パーム領域、およびハンド領域以外で、５’ヌクレアーゼおよびヌクレオチドドメインに特異的な領域を調べた。さまざまな５’ヌクレアーゼおよびヌクレオチドドメインに関する比較研究は、アミノ酸配列が酵素によって劇的に変化していても、殆どの酵素に共通する構造的特徴があることを示している。これらの特徴の２つは、ヘリックス−ヘアピン−ヘリックスモチーフ（Ｈ−ｈ−Ｈ）、および、アーチまたはループ構造である。Ｈ−ｈ−Ｈモチーフは、非配列特異的なＤＮＡ結合を仲介すると考えられている。これは、ヌクレアーゼ、Ｎ−グリコシラーゼ、リガーゼ、トポイソメラーゼ、およびポリメラーゼなど、タンパク質の１４ファミリーで見つかっている（Ｄｏｈｅｒｔｙら、Ｎｕｃｌ． Ａｃｉｄ． Ｒｅｓ．， ２４： ２４８８ ［１９９６］）。ＤＮＡ鋳型−プライマーに結合しているラットＤＮＡポリメラーゼｐｏｌβの結晶学的構造は、ｐｏｌβ Ｈ−ｈ−Ｈモチーフの骨格の窒素と、ＤＮＡ二本鎖プライマーのリン酸水素との間で非特異的水素結合が起こることを示している（Ｐｅｌｌｅｔｉｅｒら、Ｓｃｉｅｎｃｅ ２６４： １８９１ ［１９９４］）。ＴａｑポリメラーゼおよびＴｔｈポリメラーゼの５’ヌクレアーゼドメインのＨ−ｈ−Ｈドメインが、同様にして機能するため、酵素のＨｈＨ領域における変異は、活性を変更しないと考えられる。モチーフの形や構造を変えるために変異を導入することができ、または、モチーフの電荷を変えて、基質に対する親和性を高めたり低下することができる。
【０３７２】
真核生物、真性細菌、古細菌、およびファージなど多様な由来生物から得られる多くの５’ヌクレアーゼに共通するもう一つの構造は、アーチまたはループドメインである。バクテリオファージＴ５の５’エキソヌクレアーゼの結晶構造は、１本は正電荷をもち、もう１本は疎水性残基を含む２本のヘリックスによって形成される明確なアーチを示した（Ｃｅｓｋａら、Ｎａｔｕｒｅ ３８２： ９０ ［１９９５］）。興味深いことに、Ｌｙｓ８３、Ａｒｇ８６、およびＴｙｒ８２という３個の残基がＴ５とＴａｑの間で保存されているが、それらはすべてアーチの中にある。これらは、ＴａｑＤＮＡポリメラーゼのＬｙｓ８３、Ａｒｇ８６、およびＴｙｒ８２に対応する。Ｔａｑ（５’ヌクレアーゼ）の結晶構造も決定されている（Ｋｉｍら、Ｎａｔｕｒｅ ３７６： ６１２ ［１９９５］）。
【０３７３】
メタノコッカス・ヤンナシイに由来するフラップエンドヌクレアーゼ−１の結晶構造も、このようなループモチーフを示す（Ｈｗａｎｇら、Ｎａｔ． Ｓｔｒｕｃｔ． Ｂｉｏｌ．， ５： ７０７ ［１９９８］）。Ｍｊａ ＦＥＮ−１分子の骨格の結晶構造は、Ｔ５のエキソヌクレアーゼ、Ｔａｑの５’エキソヌクレアーゼ、およびＴ４ ＲＮａｓｅＨと重ね合わせることができる。これらすべてに共通する興味深い特徴は長いループである。ＦＥＮ−１のループは、多数の正に荷電した残基と芳香族残基からなり、一本鎖ＤＮＡ分子を収容するのに十分な大きさをもつ穴を形成する。Ｔ５エキソヌクレアーゼで対応する領域は、らせん状アーチを形成する３本のヘリックスである。Ｔ５エキソヌクレアーゼにおいて、らせん状アーチによって形成される穴の大きさは、Ｍｊ ＦＥＮ−１のＬ１ループによって形成される穴の半分よりも小さい。Ｔ４ ＲＮａｓｅＨ、またはＴａｑ ５’エキソヌクレアーゼにおいて、この領域の秩序が乱れる。アーチの領域は金属に結合するものもあれば、核酸基質に接触するアーチの領域もある。ｐｏｌファミリーのＤＮＡポリメラーゼから６個の５’ヌクレアーゼドメインのアミノ酸配列の配列比較を行なうと、１０個の酸性残基を含む、６個の高度に保存された配列モチーフがあるのが分かる（Ｋｉｍら、Ｎａｔｕｒｅ ３７６： ６１２ ［１９９５］）。
【０３７４】
アーチ領域における改変の効果を調べた。Ｔａｑポリメラーゼにおいて、アーチ領域は、アミノ酸の８０〜９５位および９６〜１０９位によって形成されている。このアーチ領域で部位特異的変異誘発法を行なった。ＦＥＮおよびポリメラーゼの５’ヌクレアーゼのアミノ酸配列の配列比較を行なったところ、Ｐ８８Ｅ、Ｐ９０ＥおよびＧ８０Ｅという３個のアミノ酸置換変異を設計することが示唆された。これらの置換を、Ｔａｑ４Ｍポリメラーゼ変異体を親となる酵素として、この上で行なった。その結果、図２２に示すＨＰ基質およびＸ基質に対するバックグラウンド活性は、すべての変異体で非常に強く抑制されたが、適正な基質（ＩｄＴおよびＩｒＴ、図２４）に対する所望の５’ヌクレアーゼ活性も低下する。ＴａｑポリメラーゼとＴｔｈポリメラーゼの間の配列相同性にも関わらず、ＨＰ基質およびＸ基質に対しては全く異なった活性を示す。また、ＴａｑポリメラーゼとＴｔｈポリメラーゼのアーチ領域の配列比較をすると、広範な配列同同領域と僅かな違いが明らかになる。これらの違いによって、Ｌ１０９ＦおよびＡ１１０Ｔという変異の設計がもたらされ、Ｔａｑ４Ｍを用いてＴａｑ４Ｍ Ｌ１０９Ｆ／Ａ１１０Ｔが作成され、変異Ｔａｑ４Ｍ Ｌ１０９Ｆ／Ａ１１０Ｔ／Ａ５０２Ｋ／Ｇ５０４Ｋ／Ｅ５０７Ｋ／Ｔ５１４Ｓを用いてＴａｑ４Ｍを作成した。これら２つの変異は、Ｔａｑ４Ｍ酵素を徹底的に変えて、バックグラウンドの基質特異性に関してはよりＴｔｈ酵素に似たものとなったが、ＤＮＡ基質およびＲＮＡ基質に対する５’ヌクレアーゼ活性はほとんど変わっていない。
【０３７５】
４）指向的無作為変異誘発法
上記したように、物理学的研究および分子モデリングを、単独あるいは併合して用いて、アミノ酸変異によって切断機能の一つ以上の特徴に目に見える違いをもたらす可能性が高いと思われるタンパク質の領域を同定することができる。前節では、変異特異的アミノ酸、およびアミノ酸の組み合わせを選択するために、この情報の利用法について説明した。改変された機能をもつ酵素を作成するもう一つの方法は、変異を無作為に導入することである。このような変異は、当技術分野において既知の多数の方法によって導入することができ、好適なヌクレオチドが誤って取り込まれるような条件下で行なわれるＰＣＲ増幅法（ＲＥＦ）、縮重領域をもつプライマーを使用する増幅法（すなわち、ある塩基位置では、それぞれ異なるが、同じ反応において、それ以外では同じオリゴヌクレオチドが異なった塩基をもつ）、および化学合成などがあるが、これらに限定されない。多くの無作為変異誘発法が当技術分野において知られており（Ｄｅｌ Ｒｉｏら、Ｂｉｏｔｅｃｈｎｉｑｕｅｓ、 １７： １１３２ ［１９９４］）、本発明に係る酵素の生産に取り入れることができる。本明細書に含まれる変異誘発法の具体的な方法についての考察は、単に一例として提示されているものに過ぎず、制限的なものではない。全体のタンパク質のある特定の領域だけを変異させるように無作為変異誘発を行なうとき、「指向的無作為変異誘発」と表現することができる。実験例に記載されているとおり、指向的無作為変異誘発法を適用して、その前に作成された酵素変異体のＨｈＨおよびサム・ドメインを変異させた。本方法の実施例を提示するために、これらのドメインを選んだのであって、指向的無作為変異誘発を特定のドメイン、または一つのドメインに限定するものではない。本方法は、いかなるドメインまたはタンパク質全体にも適用することができる。このようにして改変されたタンパク質を、実施例１記載のスクリーニング反応において、図２２および図２４に図解した被検基質を用いて切断活性を試験した。結果を表６および表７に示す。
【０３７６】
親であるＴａｑＳＳまたはＴｔｈＤＮ Ｈ７８５Ａ変異体を用いて、ＨｈＨ領域に対して無作為変異誘発法を行なった。作成された８変異体のうちのいずれも、親酵素と較べて改善を示したものはなかった（表６）。実際、１９８〜２０５位の残基間の領域を変異させると、ＤＮＡ基質およびＲＮＡ基質に対して約２〜５倍低い活性を示し、この領域が基質の認識にとって本質的な領域であることを示唆している。サム領域における変異誘発によって、５’ヌクレアーゼ活性が、ＤＮＡ標的では２０〜１００％、ＲＮＡ標的では約１０％向上した新しい変異が得られた（表７）。
【０３７７】
異なったサブドメインのそれぞれにおいて、多数のアミノ酸が、基質との接触において役割を果たす。これらの変異誘発は、基質結合を変えることによって基質特異性を変えることができる。さらに、基質に直接には接触しない核酸に導入された変異も、より長い範囲で、または一般的なコンフォメーション改変効果によって基質特異性を変えることもできる。これらの変異は、当技術分野において既知の方法である、無作為変異誘発法、部位特異的変異誘発法、およびキメラタンパク質作成法などであるが、これらに限定されない方法のいずれかによって導入することができる。
【０３７８】
上記したように、無作為変異誘発させる多くの方法が当技術分野において知られている。本明細書記載の指向的無作為変異誘発法に適用できる方法を、全遺伝子に適用することができる。さらに別の有用なキメラ構築物を、分子育種法（例えば、米国特許第５，８３７，４５８号、ならびに国際公開公報第００／１８９０６号、国際公開公報第９９／６５９２７号、国際公開公報第９８／３１８３７号、および国際公開公報第９８／２７２３０号を参照されたい。これらは、その全体が参照として本明細書に組み入れられる）を用いて作成することができる。選択した変異誘発法とは関係なく、本明細書記載の迅速スクリーニング法は、組換え分子の大集団の中で有益な変異を同定する迅速かつ効果的な方法を提供する。これによって、無作為変異誘発処理法が、有益な改良点をもつ改変５’ヌクレアーゼの大集団を作成するための扱いやすく実際的なツールになる。実施例として使用される酵素に対して用いるクロニーング法および変異誘発を行なうための方法を、他の熱安定性および非熱安定性のＡ型ポリメラーゼに適用することができる。なぜなら、これらの酵素間ではＤＮＡ配列の類似性が非常に高いからである。当業者は、配列の違いによって、例えば、キメラを作成するためには異なった制限エンドヌクレアーゼを使用することが必要になるなど、クロニーング法を変える必要がありうることを理解すると思われる。現存する選択的部位を選択することや、変異誘発によって選択的部位を導入することは、十分に確立した方法であり、当業者に既知である。
【０３７９】
酵素の発現および精製をさまざまな分子生物学的方法によって行なうことができる。下記の実施例は、そのような方法の一つを教示する。しかし、本発明は、クロニーング、タンパク質発現、または精製する方法によって限定されるものでないことを理解すべきである。本発明は、核酸構築物を適当な宿主細胞の中で発現させうることを想定している。さまざまなプロモーターおよび３’配列を、遺伝子構造物に結合させて、効率的な発現を達成するために、遺伝子の数多くの方法を利用することができる。。
【０３８０】
５）部位特異的変異誘発
本発明のいくつかの態様において、適当な技術（例えば、上記した技術の一つ以上のものであるが、これらに限定されない）のいずれかを用いて、異種性ドメインをもつ、改良された切断酵素（配列番号：２２１）を作成する。したがって、いくつかの態様において、部位特異的変異誘発法（例えば、トランスフォーマー部位特異的（Ｔｒａｎｓｆｏｒｍｅｒ Ｓｉｔｅ Ｄｉｒｅｃｔｅｄ）変異誘発キット（クローンテック（Ｃｌｏｎｅｔｅｃｈ））など市販のキットを用いるプライマー特異的変異誘発法）を用いて、本発明に係る切断酵素をコードする核酸を生成させるために、核酸配列全体にわたって複数の変異を作出することができる。いくつかの態様において、複数のプライマー特異的変異誘発工程を並行して行なって、本発明に係る切断酵素をコードする核酸を作成することができる。
【０３８１】
いくつかの態様において、複数のプライマー特異的変異誘発工程を、核酸配列の選択された部位に対して行ない、本発明に係る切断酵素の選択した部位に変異を作出する。別の態様において、選択された部位に変異をもつ核酸を、別の選択された部位に変異をもつ核酸と組換え（例えば、クロニーング、分子育種法、または、当技術分野において既知の他の組換え法のいずれかによって）、それによって、複数の選択された部位に変異をもち、本発明に係る切断酵素をコードする核酸を作出する。上記のいずれかの方法であって、部位特異的変異誘発法および無作為変異誘発法を含むが、これらに限定されない方法のいずれか、または、該方法を組み合わせた方法によって、選択された部位のそれぞれにおける変異を導入することができる。
【０３８２】
例えば、本発明の例示的態様の一つにおいて、配列番号：１０４の核酸配列（配列番号：１０４の構築については、実施例７を参照のこと）に対して複数のプライマー特異的変異誘発を行なうことによって、配列番号：２２２の核酸配列（配列番号：２２１の切断酵素をコードする核酸配列）を作成する。いくつかの態様において、別個の変異誘発反応を用いて各変異を導入する。得られた核酸（配列番号：２２２）がすべての変異を含むよう、連続して反応を行なう。本発明の別の例示的態様において、上記したように、配列番号：１１１のヌクレアーゼ部位（例えば、図６に図解されている）に複数のプライマー特異的変異誘発を行なうことによって、配列番号：２２２の核酸配列を作成する。次に、実施例４記載の組換え法を用いて、変異ヌクレアーゼ部位を、配列番号：１０４の「ポリメラーゼ」部位にＮｏｔＩ部位にて結合させ、配列番号：２２２をもち、配列番号：２２１の切断酵素をコードする一個の核酸を作成する。変異誘発した後、結果的に得られる改変ポリペプチドを産生させて、適当なアッセイ法（例えば、実施例１および６に記載されている方法であるが、それらに限定されない）を用いて、切断活性を調べる。いくつかの態様においては、適当な方法を用いて、配列番号：２２１の切断酵素をコードする核酸配列（例えば、配列番号：２２２）をさらに改変する。
【０３８３】
Ｖ． ＲＮＡ標的のＩＮＶＡＤＥＲアッセイ法による検出反応の設計
ＲＮＡ標的検出のＩＮＶＡＤＥＲアッセイ法の設計に関する方法は、特定のアッセイ法の要件に応じて変化する。例えば、ある態様においては、検出するもしくは解析するＲＮＡは、被検試料中に低レベルで存在し、従って高感度（すなわち、検出限界もしくはＬＯＤが低い）であることが好ましい。他の態様においては、ＲＮＡは豊富に存在し、検出アッセイ法の感度が特に高い必要はない。ある態様においては、検出するＲＮＡが試料中の検出を意図しない他のＲＮＡと類似しており、アッセイ法が高選択性であることが好ましい。他の態様においては、単一反応で複数の類似したＲＮＡが検出されることが好ましく、従ってこれらの類似したＲＮＡ間の差に関して選択性を示さないアッセイ法を提供する。
【０３８４】
ある態様では、反応において標的ＲＮＡ分子に関連したＤＮＡ分子を検出しないことが特に好ましい。ある態様においては、適切にスプライシングされたｍＲＮＡのみが選択された検出標的部位を提供するようなＲＮＡスプライス部位（ｓｐｌｉｃｅ ｊｕｎｃｔｉｏｎ）に対するＩＮＶＡＤＥＲアッセイ用のプローブセットを設計することによって、これが達成される。他の態様においては、ＤＮＡが二重鎖のまま（例えば、核酸を加熱しない、または変性条件にしない）であり、従って、ＩＮＶＡＤＥＲアッセイ反応において標的として働くことのないように試料を操作する。他の態様においては、核がインタクトな条件下で細胞を溶解することによって、アッセイ法による検出のために溶解液に細胞質ｍＲＮＡを放出させるが、ゲノムＤＮＡの検出を阻止、および防止する。
【０３８５】
ある態様においては、ＩＮＶＡＤＥＲアッセイ法を、配列（例えば、変異、ＳＮＰ、特定のスプライス部位）に特定変異を含む全ＲＮＡの検出もしくは定量に利用する。このような態様においては、ハイブリダイズするＩＮＶＡＤＥＲアッセイ法のプローブ・セットに関する部位の選択において、検出する塩基もしくは配列位置が決定因子となる。他の態様においては、全ＲＮＡの有無もしくは量を示すために、ＲＮＡ標的のいかなる部分を用いることもできる（例えば、遺伝子発現解析における場合のように）。この場合、プローブ・セットは、ＩＮＶＡＤＥＲアッセイ法における標的としての最大性能が得られるように選択したＲＮＡの部分を、標的とする（例えば、プローブ・ハイブリダイゼーションに関して特にアクセス可能であることが分かっている部位）。ＩＮＶＡＤＥＲアッセイ法のプローブ設計に関する説明を、以下の節に分ける。
ｉ．アクセス可能性に基づく標的部位の選択
ｉｉ． 選択性に基づく標的部位の選択
ｉｉｉ． オリゴヌクレオチド設計
ａ． 標的特異的領域： 長さおよび融解温度
ｂ． 非相補領域
ｃ． 折り畳みおよび二量体解析
ｉｖ． アッセイ性能の評価
ｖ． 設計およびアッセイ法の最適化
【０３８６】
ｉ．アクセス可能性に基づく標的部位の選択
検出に関する部位の選択について考慮すべきは、アッセイ法のプローブ・セットのハイブリダイゼーションにおける標的部位の利用可能性である。効率的なハイブリダイゼーションを可能とするＲＮＡの領域に関する予備知識なしに、与えられたＲＮＡ標的についてランダムに選択した相補的オリゴヌクレオチドを単純に利用することは、アプローチとしては非効果的なこともある。例えば、ランダムな設計に基づくアンチセンス・オリゴヌクレオチドを含む標的ＲＮＡによって試験した１８〜２０種から、遺伝子発現を有意に阻害するオリゴヌクレオチドが１種類得られると推定されている（Ｓｃｚａｋｉｅｌ， Ｆｒｏｎｔｅｉｒｓ ｉｎ Ｂｉｏｓｃｉｅｎｃｅｓ ５：１９４ ［２０００］； Ｐａｔｚｅｌら、Ｎｕｃｌｅｉｃ Ａｃｉｄｓ Ｒｅｓ．， ２７：４３２８ ［１９９９］； Ｐｅｙｍａｎら、Ｂｉｏｌ． Ｃｈｅｍ． Ｈｏｐｐｅ−Ｓｅｙｌｅｒ ３６７：１９５ ［１９９５］； Ｍｏｎｉａら、Ｎａｔｕｒｅ Ｍｅｄ．， ２：６６８ ［１９９６］）。ＲＮＡの二次構造および三次構造は、ＲＮＡの標的領域に対するオリゴヌクレオチドの結合能に影響を与える主要な原因であると考えられている（Ｖｉｃｋｅｒｓら、Ｎｕｃｌｅｉｃ Ａｃｉｄｓ Ｒｅｓ．， ２８：１３４０ ［２０００］； Ｌｉｍａら、Ｂｉｏｃｈｅｍｉｓｔｒｙ ３１：１２０５５ ［１９９２］； Ｕｈｌｅｎｂｅｃｋ， Ｊ． Ｍｏｌ． Ｂｉｏｌ．， ６５：２５ ［１９７２］； ＦｒｅｉｅｒおよびＴｉｎｏｃｏ、Ｂｉｏｃｈｅｍｉｓｔｒｙ １４：３３１０ ［１９７５］）。これは、ＲＮＡのいかなる構造モチーフをも切断し、代わりに相補的ＤＮＡオリゴヌクレオチドにハイブリダイズするハイブリダイゼーションの動力学および熱力学によるものである（Ｐａｔｚｅｌら、Ｎｕｃｌｅｉｃ Ａｃｉｄｓ Ｒｅｓ．， ２７：４３２８ ［１９９９］； Ｍａｔｈｅｗｓら、ＲＮＡ ５：１４５８ ［１９９９］）。従って、ハイブリダイゼーションに関して「アクセス可能な」ＲＮＡの領域を同定できれば、オリゴヌクレオチドの効果的な設計と選択にとって重要である。
【０３８７】
ＲＮＡにおいて、アクセス可能な領域を同定するために利用可能な複数の実験的および理論的な方法がある。これらは、ＲＮａｓｅＨフットプリンティング（Ｈｏら、Ｎａｔｕｒｅ Ｂｉｏｔｅｃｈｎｏｌｏｇｙ １６：５９ ［１９９８］； Ｍａｔｅｅｖａら、Ｎｕｃｌｅｉｃ Ａｃｉｄｓ Ｒｅｓ．， ２５：５０１０ ［１９９７］； Ｍａｔｅｅｖａら、Ｎａｔｕｒｅ Ｂｉｏｔｅｃｈｎｏｌｏｇｙ １６：１３７４ ［１９９８］）、オリゴヌクレオチド・ライブラリーの相補的アレイ（Ｓｏｕｔｈｅｒｎら、Ｎｕｃｌｅｉｃ Ａｃｉｄｓ Ｒｅｓ．， ２２：１３６８ ［１９９４］； ＭｉｒおよびＳｏｕｔｈｅｒｎ、Ｎａｔｕｒｅ Ｂｉｏｔｅｃｈｎｏｌｏｇｙ １７：７８８ ［１９９９］）、ランダム・ヘキサマーによる内部ガイド配列を含むリボザイム・ライブラリー（ＣａｍｐｂｅｌｌおよびＣｅｃｈ、ＲＮＡ １：５９８ ［１９９５］； Ｌａｎら、Ｓｃｉｅｎｃｅ ２８０：１５９３ ［１９９８］）、ならびにＲＮＡおよびＤＮＡ構造予測コンピューター・プログラム（Ｓｃｚａｌｄｅｌ， Ｆｒｏｎｔｉｅｒｓ ｉｎ Ｂｉｏｓｃｉｅｎｃｅｓ ５：１９４ ［２０００］； Ｐａｔｚｅｌら、Ｎｕｃｌｅｉｃ Ａｃｉｄｓ Ｒｅｓ．， ２７：４３２８ ［１９９９］； Ｚｕｋｅｒ， Ｓｃｉｅｎｃｅ ２４４：４８ ［１９８９］； Ｗａｌｔｏｎら、Ｂｉｏｔｅｃｈｎｏｌ． Ｂｉｏｅｎｇ．， ６５：１ ［１９９９］）の利用を含む。最近、ハイブリダイゼーションに関して、ＲＮＡ中のアクセス可能な部位を同定するためにプライマー伸長を利用した新しい方法が開発された。標的核酸（例えば、ｍＲＮＡ標的核酸）を、縮重配列の３’の領域を含む複数のプライマーと接触させ、プライマー伸長反応を実施する。標的核酸がＲＮＡ分子であれば、伸長反応に利用する好ましい酵素は、ＲＮＡ鋳型のＤＮＡコピーを生産する逆転写酵素である。標的核酸における折り畳み構造の有無は、伸長反応の開始および／もしくは効率に影響を与える。プライマーの伸長産物を解析して、アクセス可能な部位のマップを作製する。例えば、プライマーが、折り畳み構造に関係する配列と相補的であれば、特定の伸長産物が生じない。プライマーがハイブリダイゼーションできず、伸長産物の生産が起こらない標的核酸の領域は、アクセス不能な部位であると考えられる。対照的に、伸長産物があれば、標的核酸のアクセス可能な領域にプライマーが結合できたことを示す。本明細書においては、このような方法を、「ランダム・オリゴヌクレオチド・ライブラリーによる逆転写」もしくは「ＲＴ−ＲＯＬ」と呼ぶ（ＨＴ Ａｌｌａｗｉら、ＲＮＡ ７（２）：３１４−２７ ［２００１］）。ＲＴ−ＲＯＬもしくはアレイ・ハイブリダイゼーション等の物理的測定の利用によって、ＲＮＡ鎖上の部位におけるアクセス可能性の最も直接的な証拠が得られる。一般に、アクセス可能な領域に対するＩＮＶＡＤＥＲアッセイ法は、ＲＮＡ鎖のアクセス可能性のより低い領域に対するアッセイ法よりも、与えられたＲＮＡの量に対しより強いシグナルを生成する。まれなＲＮＡ（例えば、ＩＮＶＡＤＥＲアッセイ反応当たり約５，０００から１０，０００コピー未満）の検出に関しては、あるいは可能な限り最良の（すなわち、最も低い）検出限界が望まれるアッ��イにおいては、ＲＴ−ＲＯＬもしくは別の物理的分析法を用いてＲＮＡ構造を解析することによってアッセイ法の設計を始めるのが有益である。
【０３８８】
他の態様においては、ＬＯＤの低いアッセイ法を構築することよりも、アッセイ法の設計が簡単であることのほうが、特に重要である。構造予測ソフトウェアを用いれば、ＲＮＡのどの部分が単一鎖となっており、プローブ・ハイブリダイゼーションに関してよりアクセス可能であるかを簡単に調べることができる。まず手始めに、検出するＲＮＡ配列を電子ファイルに入力する。これは、手作業で入力することもできるし、ファイル（例えば、配列データファイルもしくはワード・プロセッサー用のファイル）からインポートすることもできる。ある態様においては、該配列をＧｅｎＢａｎｋまたはＥＭＢＬ等のデータベースからダウンロードする。次に、ｍｆｏｌｄ（Ｚｕｃｋｅｒ， Ｓｃｉｅｎｃｅ ２４４：４８ ［１９８９］）、ＯｌｉｇｏＷａｌｋ（Ｍａｔｈｅｗｓら、ＲＮＡ ５：１４５８ ［１９９９］）およびそれら両方の変形（Ｓｃｚａｋｉｅｌ， Ｆｒｏｎｔｉｅｒｓ ｉｎ Ｂｉｏｓｃｉｅｎｃｅｓ ５：１９４ ［２０００］； Ｐａｔｚｅｌら、Ｎｕｃｌｅｉｃ Ａｃｉｄｓ Ｒｅｓ．， ２７：４３２８ ［１９９９］； Ｗａｌｔｏｎら、Ｂｉｏｔｅｃｈｎｏｌ Ｂｉｏｅｎｇ．， ６５：１ ［１９９９］）等のプログラムを用いてＲＮＡ配列を解析することができる。
【０３８９】
標的ＲＮＡ構造の予測に関するｍｆｏｌｄ解析
ｍｆｏｌｄ解析の出力を利用した複数の方法によって、ＲＮＡ標的分子のアクセス可能な領域の同定を支援することができる。一態様においては、内部鎖の塩基対形成に対する関与が最も低い領域を同定するために、ｍｆｏｌｄ プログラムを用いて、「ＳＳカウント」ファイルを作製する。別の態様においては、ｍｆｏｌｄ プログラムを用いて、「．ｃｔ」 ファイルを作製する。このファイルは、ＯｌｉｇｏＷａｌｋ解析を実施する時に「ＲＮＡＳｔｒｕｃｔｕｒｅ３．５」で入力情報として利用する。好ましい態様においては、いずれかに利用する目的で、検出する配列をｍｆｏｌｄに入力する。好ましい態様においては、ｍｆｏｌｄ解析で用いる設定としては、以下のようなものを含む。
・折り畳み温度：３７℃（ＩＮＶＡＤＥＲ反応の実施温度が、これと同一温度でない場合でも）
・準至適％：５
・折り畳み数：５０
・ウインドウ・パラメーター：既定
・対をなす塩基の最大距離：無制限
・バッチ折り畳みを選択する
・準備が終了した段階で、結果を送付するｅ−メール・アドレスを入力する
・解像度：高い
・構造フォーマット： 塩基
・塩基数頻度：既定
・構造の回転角：０
・構造に関するコメント： ＳＳカウント
・１Ｍ  ＮａＣｌ（オーストラリアｍｆｏｌｄ インターネット・サイトのみ）
【０３９０】
結果の準備が終了した時点で、結果に関するウェブ・アドレスを含むｅ−メールのメッセージを送付する。以降のＩＮＶＡＤＥＲアッセイ法のプローブの設計分析に必要なファイルはＳＳカウントファイルのみであり、次にこれを、結果を含むページからダウンロードする。ヒト・ユビキチンのＧｅｎＢａｎｋエントリーコード（＃４５０６７１２）を用いたｍｆｏｌｄ解析の例を下記に示す。
【０３９１】
アクセス可能部位を同定するためのＳＳカウント分析
次に、エクセルのスプレッドシート・ファイルにＳＳカウント・ファイルをインポートして、以下の選択肢から選択を行う。データの種類＝ 区切＜ Ｎｅｘｔを押す＞； 区切＝選択（ｘ）スペース；（ｘ）複数の区切りを一回の＜Ｎｅｘｔを押す＞で処理する。データ・ファーマットのカラム＝一般。これらの選択肢を選択することによって、エクセルの３カ所のデータ・カラムにインポートされる（図３９）。第一のカラムの最初の行は、該パラメーターの下でｍｆｏｌｄが見つけ出す安定構造の総数である。ユビキチンの例では、１２種類の構造が見いだされた。
【０３９２】
第一のカラムの残りは、１から番号付けされたＲＮＡヌクレオチドの位置である。第二のカラムは、生のＳＳカウント数であり、対応する塩基が二次構造の一部として存在する不対塩基の数を表す。第３のカラムは、解析したＲＮＡの配列であり、番号付けした各位置の塩基を識別する。より少ない構造体（すなわち、カラム２でより多い数に対応するカラム３に示した塩基）に関連した塩基を調べることによって、内部鎖が不対塩基である確率がより高く、従って、ＩＮＶＡＤＥＲアッセイ法を利用して検出ができる可能性の高いｍＲＮＡ（カラム１における位置番号で識別される）の領域を同定することができる。
【０３９３】
データの見方の一つとして、ＲＮＡの１０ヌクレオチドからなる鎖（Ａｖｅ（１０） 指数）に関するランニング平均値ＳＳカウントを算出し、塩基対位置（例えば、 図４８を参照のこと）に対するＡｖｅ（１０）指数を図にする。
【０３９４】
別のプロットとしては、ｍｆｏｌｄによって見いだされる構造体の総数の割合（％）として表されるＡｖｅ（１０） 指数に対するヌクレオチド位置をグラフ化する（図３９）。生のＳＳカウントの表では、Ａｖｅ（１０） 指数のより高いＲＮＡ領域は、予測折り畳み構造の数が少ないものに相関する。Ａｖｅ（１０）指数をチャートもしくはグラフにすることで、データの複雑度を低減でき、より長い非構造性である確率の高いＲＮＡ部分を見つけだすことができる。例えば、ユーザーは、ランニング平均値のグラフから、ＩＮＶＡＤＥＲアッセイ法のプローブ設計に好適な領域の主なピーク面積をすべて取り出すことができる。このようにして、ＳＳカウントの候補リストを作製する。ヒトのユビキチンの例では、主たるピークが１つ、それ以外のピーク約６つ見いだされる（図３９）。
【０３９５】
次の工程では、各ピーク面積内の生の（すなわち、ランニング平均値ではない）ＳＳカウント・データに戻って参照し、ランニング平均値の値が変化する残基を同定する。これは、局所的 「ターン」 であり、一般的に、アッセイ法のプローブ・セットの切断部位に位置する良好な候補残基である。例えば、ヒト・ユビキチンでは、全体的にアクセス可能な領域内にある小さな局所的ターンに残基Ｇ１１９が 見いだされる（図４０）。この位置に切断部位を有するＩＮＶＡＤＥＲアッセイ法のプローブ・セットは、このＲＮＡの検出において良好な性能を示す。Ｇ１１４はより高い ％Ａｖｅ（１０）値を有しているが、切断部位をＧ１１４に設定しも、検出がより良好となるものではなかった。本発明を特定の機構に限定することなく、また本発明の実施に機構の理解は不必要であるが、Ｇ１１９の位置に比較して、この領域のプローブまたはＩＮＶＡＤＥＲオリゴヌクレオチドに対するアクセス可能性がより低いことが、その原因である可能性が高い。
【０３９６】
アクセス可能な部位の同定に関するＲＮＡＳｔｒｕｃｔｕｒｅ３．５を利用したＯｌｉｇｏＷａｌｋ構造予測
ある態様においては、ソフトウェア 「ＲＮＡＳｔｒｕｃｔｕｒｅ」（Ｍａｔｈｅｗｓら、ＲＮＡ ５：１４５８ ［１９９９］）のモジュールであるプログラムＯｌｉｇｏＷａｌｋを利用して、オリゴヌクレオチド結合に関しアクセス可能性のより高い部位の選択を行う。ＯｌｉｇｏＷａｌｋでは、ＲＮＡの二次構造予測（Ｚｕｃｋｅｒ， Ｓｃｉｅｎｃｅ ２４４：４８ ［１９８９］）のｍｆｏｌｄ に基づくアルゴリズムにおいて、ＲＮＡおよびＤＮＡ、ならびにそれらのハイブリッドに熱力学パラメーターのセットを利用する（ＡｌｌａｗｉおよびＳａｎｔａＬｕｃｉａ、Ｂｉｏｃｈｅｍｉｓｔｒｙ ３６：１０５８１ ［１９９７］； Ｍａｔｈｅｗｓら、Ｊ． Ｍｏｌ． Ｂｉｏｌ， ２８８：９１１ ［１９９９］； Ｓｕｇｉｍｏｔｏら、Ｂｉｏｃｈｅｍｉｓｔｒｙ ３４：１１２１１ ［１９９５］）。ＯｌｉｇｏＷａｌｋは、ＲＮＡ標的もしくはアンチセンス・オリゴヌクレオチドにおいて、いかなる構造モチーフをも切断する熱力学を考慮することによって、アンチセンス・オリゴマーのＲＮＡに対するハイブリダイゼーション全体の熱力学を推定し、アンチセンス・オリゴヌクレオチドの設計において最も好適なＲＮＡ標的の領域を予測する設計となっている。標的に対するオリゴマーの親和性は、自己構造化オリゴマーおよびオリゴマー−標的複合体に結合する標的の全ギッブス自由エネルギー変化として表される。この自由エネルギーは、通常、負の数であり、好適な結合を表し、「ｋｃａｌ／ｍｏｌ」単位で表現される。シグナル・プローブの検体特異的領域の長さにおける平均値と類似した８〜１５塩基のオリゴヌクレオチド・サイズを用いてＯｌｉｇｏＷａｌｋ 解析を実施する。ＲＮＡの長さに対し全結合エネルギーをプロットし、グラフのピークと谷を得る。負の最小値は、一般的にオリゴヌクレオチドの結合に関して最も好適な部位を示す。最もアクセス不能な領域は、正の結合エネルギー値を有し、一般的にアッセイ法のプローブを設計するには好ましくない部位である。
【０３９７】
好ましい態様においては、ＲＮＡＳｔｒｕｃｔｕｒｅ３．５のＯｌｉｇｏＷａｌｋモジュールを用いて、以下の設定を用いた８塩基の ＯｌｉｇｏＷａｌｋを実施し、結合エネルギーを決定する。
・破壊的局所構造
・準至適構造を含む
・オリゴ長：８ヌクレオチド
・オリゴの濃度：１００ｎＭ
・オリゴの種類：ＤＮＡ
・全標的ＲＮＡのウオークを実施
【０３９８】
これらのパラメーターをセットしたら、折り畳み（ｍｆｏｌｄの「．ｃｔ」 出力ファイル）を行う配列のファイルを選択し開く。配列の折り畳みを実施すれば、出力メニューを用いて報告書を作製することができる。報告書をエクセルにインポートし、上記で作製したデータをプロットする。好ましい態様においては、ＯｌｉｇｏＷａｌｋ データを、ＳＳカウント・データと共にグラフ化する。自由エネルギー最小値（すなわち、負の最大数）を示す領域は、通常、ハイブリダイゼーションに関してアクセス可能である可能性が高い。好ましい態様においては、プローブ・オリゴヌクレオチドの３’末端および標的結合領域の大部分は標的ＲＮＡのアクセス可能な領域に相補する。特に好ましい態様においては、対応するＩＮＶＡＤＥＲオリゴヌクレオチドに関する結合部位の大部分は、同一のアクセス可能な領域に存在する。別の好ましい態様においては、ＩＮＶＡＤＥＲオリゴヌクレオチドに関する結合部位は、近傍のアクセス可能な領域に存在する。
【０３９９】
通常、アクセス可能性のより低い部位にＩＮＶＡＤＥＲオリゴヌクレオチドが結合する位置に設定できる。本発明を特定の機構に限定することなく、一般的に、ＩＮＶＡＤＥＲオリゴヌクレオチドは、ＩＮＶＡＤＥＲアッセイ反応で用いるプローブ・オリゴヌクレオチドよりも長いことが知られている。なぜならば、通常、反応温度で標的に結合したままの状態を保つように設計し、対応するプローブよりも、約１２〜１５℃高いＴｍを有するように選択するためである。従って、ＩＮＶＡＤＥＲオリゴヌクレオチドは、局所的標的構造をより容易に切断するため、標的結合部位のアクセス可能性に対する依存性がより低くなる。
【０４００】
ＩＮＶＡＤＥＲアッセイ法のオリゴヌクレオチドを設計するために、アクセス可能な部位から選択を行う場合には、該部位の塩基組成も考慮する。アッセイ・オリゴヌクレオチドに関する結合部位のいずれかの部位において、一列に同一のヌクレオチドの繰り返しが４もしくは５ヌクレオチドを超えるもの（例えば、．．．ＡＡＡＡ．．．または．．．ＣＣＣＣ．．．） は、アッセイ法におけるプローブ・セットの性能を低下させる（例えば、バックグラウンドを増加させる、もしくは特異性を低下させることによって）ことが知られている。従って、好ましい態様においては、通常、４塩基あるいはそれ以上の繰り返しを含むものをさける。プローブ・セットにおけるオリゴヌクレオチドの長さに対する塩基組成の影響についても考慮する。多くの場合、ＡＴに富んだ配列を標的とする場合には、与えられた温度で反応させるときに、Ａ−ＴおよびＧ−Ｃ塩基の分布がより均一である配列を標的とするオリゴヌクレオチドの長さと比較して、より長いオリゴヌクレオチドを用いる必要がある。より長いオリゴヌクレオチドは、内部鎖構造および二量体構造を形成する傾向がある。従って、検出領域が可能であれば、標的領域のＡ−Ｔ塩基およびＧ−Ｃ塩基の分布がほぼ同一である（すなわち、約５０％のＧ−Ｃ含量）ことが好ましい。特に好ましい態様においては、結合部位を通じて、Ａ−ＴおよびＧ−Ｃの位置分布が均一に分布する（例えば、半分がすべてＡ−Ｔで、残りの半分が全部Ｇ−Ｃであるというようなことがないもの）。
【０４０１】
ｉｉ．選択性に基づく標的部位の選択
ある態様においては、相同の高いもしくは密接に関連したＲＮＡ標的（すなわち、配列が非常に類似した標的）を調べためにプローブ・セットを設計する。このような態様においては、例えば、ＭＥＧＡＬＩＧＮ（ＤＮＡｓｔａｒ Ｍａｄｉｓｏｎ， ＷＩ）等の並列化プログラムを用いて、ＲＮＡもしくは相同なｃＤＮＡ配列を比較する。
【０４０２】
ある態様においては、スプライス部位を検出するプローブ・セットを設計することによって選択性が得られる。ＮＣＢＩのウェブ・サイト（ＢＬＡＳＴ２配列）でＢＬＡＳＴメニューを利用した並列化プログラム（例えば、 ＭＥＧＡＬＩＧＮ）を用いて、ｃＤＮＡと遺伝子配列を並列化することによってスプライス部位を同定することができる。また、スプライス部位は、ＧｅｎＢａｎｋの報告（イントロン／エクソン部位）にリストされていることも多い。プローブおよびＩＮＶＡＤＥＲオリゴヌクレオチドがコード鎖（ｍＲＮＡ）に相補的であり、通常、切断部位ができる限るスプライス部位に近くなるように、ＩＮＶＡＤＥＲアッセイ法のオリゴヌクレオチド・セットを設計する。ある態様においては、ｍＲＮＡ内の異なるスプライス部位のアクセス可能性を、上記のようにして解析する。好ましい態様においては、プローブ・セットを設計して、同一ＲＮＡ標的内の他のスプライス部位のアクセス可能性と比較してアクセス可能性がより高い一カ所以上のスプライス部位を検出する。
【０４０３】
標的ＲＮＡに関連したＲＮＡの検出を排除する設計の態様においては、標的を区別する他の類似した配列と比較して標的ＲＮＡに独特な塩基を同定する目的で配列を検討する。通常、特有な塩基は、プローブ・オリゴヌクレオチドの標的特異的領域の５’末端にハイブリダイズするように配置する。ある態様においては、二つの隣接する塩基が、関連したＲＮＡと比較して標的に独特である。標的ＲＮＡの適当にアクセス可能な部分に、二つの特有な塩基が隣接して存在すれば、プローブおよびＩＮＶＡＤＥＲオリゴヌクレオチド・セットを設計する周囲の部位にこれらの塩基を利用することが好ましい。ある態様においては、プローブとの間に形成される二つの塩基対間にプローブの切断部位が存在するように、これら二つの特有な塩基を配置する。他の態様においては、特有な塩基の一方が、ＩＮＶＡＤＥＲオリゴヌクレオチドのハイブリダイゼーション部位の最後部に存在する（すなわち、ＩＮＶＡＤＥＲオリゴヌクレオチド の３’末端の最後から２番目の残基と塩基対形成する位置）。
【０４０４】
ある態様においては、標的ＲＮＡと類似しているが同一ではないＲＮＡの検出を、アッセイが含むように設計する。アッセイが包括的検出を行うように設計されている場合には、比較する配列を調べて、完全な相同性を有する部位を同定する。同一種もしくは種間で相同な配列を検出する目的でこのような設計を行うことができる。通常、プローブ・オリゴヌクレオチドのハイブリダイゼーション標的として、最も相同な領域を選択する。通常、ある程度の変異は許容され得る。例えば、それが、プローブの標的特異的領域の５’末端にハイブリダイズする塩基でない場合が該当する。ある態様においては、ＩＮＶＡＤＥＲアッセイ法のオリゴヌクレオチドにおいて縮重した塩基の利用によって、変異が生じる（例えば、合成プローブ、ＩＮＶＡＤＥＲおよび／もしくはスタッカー・オリゴヌクレオチド内の位置に塩基の混合物を用い、該混合物が、関連する標的ＲＮＡの集合に存在する特異的塩基の混合物を相補するように選択する）。
【０４０５】
ｉｉｉ．オリゴヌクレオチド設計
ａ．標的特異的領域： 長さおよび融解温度
オリゴヌクレオチドの設計に関して上記の節Ｉ（ａ）に記載したように、ある態様においては、検体特異的領域の長さは、反応を実施する温度によって決まる。所望の位置（例えば、標的ＲＮＡにおける変異の位置もしくはスプライス部位、またはＯｌｉｇｏＷａｌｋ解析において自由エネルギーの値が低い部位）から出発して、算出した至適反応温度（Ｔｍプラス酵素および他の反応条件効果を補償する塩の補正分）が所望の反応温度に一致するまで、ＡＳＲの長さを１塩基対ずつ増加させる反復法を用いる。通常、スタッキング・オリゴヌクレオチドを用いない場合には、算出したＴｍが約６０℃であり、スタッキング・オリゴヌクレオチドを用いた場合には（スタッキング・オリゴヌクレオチドは、通常、隣接するプローブオリゴヌクレオチドのＴｍを約５〜１５℃上昇させる）、Ｔｍが約５０〜５５℃であるＡＳＲとなるように、プローブを選択する。変異もしくはスプライス部位の位置が出発点となる場合には、プローブの３’末端に付加する。あるいは、プローブの３’末端が最もアクセス可能な部位に位置する場合には、５’方向に付加する。スタッカー・オリゴヌクレオチドを用いる態様においては、スタッカー・オリゴヌクレオチドの５’塩基に対し安定なスタッキング相互作用をするインターフェイスを有する３’塩基を含むようにプローブを設計することが好ましい。同軸スタッキングの安定性は、スタッキング塩基の同一性に大きく依存する。全体的には、同軸スタッキングの定性の傾向は、以下の順に従って減少する：
2004521606.tif 000012
スタッカーを利用する他の態様においては、安定性のより低いスタッキング相互作用が好ましい。このような場合には、プローブの３’塩基および／もしくはスタッカーの５’塩基を、スタッキング相互作用がより不安定になるように選択する。ある態様においては、プローブの３’塩基および／もしくはスタッカーの５’塩基を、標的鎖に関してミスマッチを有し、スタッキング相互作用の強度を低下させるように選択する。
【０４０６】
ＩＮＶＡＤＥＲオリゴヌクレオチドの設計にも、同一原理を用いる。簡単に説明すると、Ｎ位から出発して、次に、ＩＮＶＡＤＥＲ−標的ハイブリッドの安定性がプローブのそれを上回る（および、従って、計画したアッセイ反応温度）まで、残基Ｎ−１から開始する標的ＲＮＡに相補的な付加的残基を上流方向に付加する。好ましい態様においては、ＩＮＶＡＤＥＲ−標的ハイブリッドの安定性は、プローブのそれを１２〜１５℃上回る。通常、７５℃に近いＴｍとなるようにＩＮＶＡＤＥＲオリゴヌクレオチドを選択する。ＩＮＶＡＤＥＲＣＲＥＡＴＯＲ（Ｔｈｉｒｄ Ｗａｖｅ Ｔｅｃｈｎｏｌｏｇｉｅｓ， Ｍａｄｉｓｏｎ， ＷＩ）もしくはオリゴヌクレオチド５．０等のソフトウェアを利用して、このような計算の支援を行うこともできる。
【０４０７】
スタッキング・オリゴヌクレオチドを用いる場合には、類似した設計原理を利用する。通常、プローブ・オリゴヌクレオチドの３’末端に隣接した部位でハイブリダイズし、形成したスタッカー／標的ヘリックスが、プローブ／標的ヘリックスと同軸的にスタック可能に、スタッキング・オリゴヌクレオチドを設計する。天然の塩基を用いた場合の計算において算出したＴｍが約６０〜６５℃となるように、配列を選択する。しかしながら、通常、２’−Ｏ−メチル・ヌクレオチドのみを用いてスタッキング・オリゴヌクレオチドを合成し、従って、７５℃に近い実際のＴｍに関しては、実際のＴｍは算出したものより塩基当たり約０．８℃高くなる。
【０４０８】
ある態様においては、第二の反応にＡＲＲＥＳＴＯＲオリゴヌクレオチドを含む。第一のプローブと第二の標的鎖間の相互作用を排除する目的で、第二の反応において第一の反応に由来する残存非切断プローブを隔離するために、ＡＲＲＥＳＴＯＲオリゴヌクレオチドを利用する。ＡＲＲＥＳＴＯＲオリゴヌクレオチドは、通常、２’−Ｏ−メチル化されており、個々のプローブの標的特異的領域すべてに対し本質的に相補的である部分、およびプローブのフラップ領域（例えば、＋１塩基からアームの５’末端方向へカウントした６ヌクレオチド）の少なくとも一部と相補的である部分を含む。
【０４０９】
ｂ．非相補領域
プローブの５’アームの選択
プローブの非相補的アームが存在する場合には、これを好適に選択し（上記の方法による反復工程で）、第二の反応を特定の反応温度で実施することができる。第二の反応においては、第二のプローブは通常繰り返し利用され、切断した５’アーム（ＩＮＶＡＤＥＲオリゴヌクレオチドとして働く）を第二の標的鎖に安定に結合させることが必要である。
【０４１０】
ＩＮＶＡＤＥＲオリゴヌクレオチドの３’末端のミスマッチの選択
好ましい態様においては、ＩＮＶＡＤＥＲオリゴヌクレオチドの３’塩基は、標的鎖と相補的ではなく、以下の優先順位（ＩＮＶＡＤＥＲオリゴヌクレオチド３’塩基／標的塩基としてリストしてある）で選択する。
標的中のＣ：Ｃ／Ｃ＞Ａ／Ｃ＞Ｔ／Ｃ＞Ｇ／Ｃ
標的中のＡ：Ａ／Ａ＞Ｃ／Ａ＞Ｇ／Ａ＞Ｔ／Ａ
標的中のＧ：Ａ／Ｇ＞Ｇ／Ｇ＞Ｔ／Ｇ＞Ｃ／Ｇ
標的中のＵ：Ｃ／Ｕ＞Ａ／Ｕ＞Ｔ／Ｕ＞Ｇ／Ｕ
【０４１１】
ｃ．折り畳みおよび二量体解析
ある態様においては、標的ＲＮＡの非存在下における分子間および内部分子の可能な構造形成に関して、ＩＮＶＡＤＥＲアッセイ法に利用するオリゴヌクレオチドを検討する。通常、これは、予測される分子間および内部分子の相互作用が少ないプローブのアッセイ法にとって好ましい。ある態様においては、このような解析に、プログラム ＯＬＩＧＯ（例えば、 ＯＬＩＧＯ ５．０， Ｍｏｌｅｃｕｌａｒ Ｂｉｏｌｏｇｙ Ｉｎｓｉｇｈｔｓ， Ｉｎｃ．， Ｃａｓｃａｄｅ， ＣＯ）を利用する。他の態様においては、解析にプログラム ｍｆｏｌｄ を利用する。さらに別の態様においては、二量体解析にＲＮＡＳｔｒｕｃｔｕｒｅプログラムを利用することができる。次の節では、ＩＮＶＡＤＥＲアッセイ法のオリゴヌクレオチドの解析に関するこれらのプログラムの使用について、順次説明を行う。
【０４１２】
プローブ構造および相互作用の予測に関するＯＬＩＧＯ ５．０ 解析
ＯＬＩＧＯ ５．０を用いたＩＮＶＡＤＥＲオリゴヌクレオチドの解析は、以下の工程を含む。メニューの選択はすべて、大文字で示す。
【０４１３】
１．ＯＬＩＧＯ ５．０ を開始して、解析する個々のｍＲＮＡに関する配列ファイルを開く。以下の選択からなるメニューを用いて行う。
・ＦＩＬＥ−＞ＮＥＷを選択
・利用可能な最長の配列をペーストする
・ＡＣＣＥＰＴ ＆ ＱＵＩＴ（Ｆ６）を選択
【０４１４】
２．プログラムの設定を既定値にする
ＦＩＬＥ−＞ＲＥＳＥＴ−＞ＯＲＩＧＩＮＡＬ ＤＥＦＡＵＬＴＳを選択
【０４１５】
３．プローブ・オリヌクレオチドを同定する
・１６ヌクレオチド程度のＯＬＩＧＯ ＬＥＮＧＴＨを選択する（ｃｔｒｌ−Ｌ キーを用いてこの選択肢メニューを開く）。
・３’末端が切断部位の候補残基のところに来るまで、Ｃｕｒｒｅｎｔ Ｏｌｉｇｏの５’末端を示すカーソルを動かす。
・二量体およびヘアピン形成の程度を大まかに決定するために、ＡＮＡＬＹＳＥ−＞ＤＵＰＬＥＸ ＦＯＲＭＡＴＩＯＮ−＞ＣＵＲＲＥＮＴ ＯＬＩＧＯ（ｃｔｒｌ−Ｄ）を選択。
・検査領域の長さが所望の反応温度に対応することを確認する（例えば、 発明の詳細な説明のＩ（ｃ）、反応条件の最適化に記載の方法によるＴｍの計算を利用することによる）。
・ＯＬＩＧＯ ５．０「ＬＯＷＥＲ」のボタンを選択して、アンチセンス配列をコピーする（これは、実際のプローブ・オリゴヌクレオチドの検体特異的領域となり、ＲＮＡ鎖に対してアンチセンスである）。
・データベース・ファイルへのインポート。
・コンピューター・メモリに保存する。
【０４１６】
４．ＩＮＶＡＤＥＲオリゴヌクレオチドを同定する
・工程３で同定したプローブ・オリゴヌクレオチドに隣接する配列を選択する。
・ＯＬＩＧＯ ＬＥＮＧＴＨに関して、約２４ ヌクレオチドを選択する。
・検査領域の長さが所望の反応温度に対応することを確認する（例えば、発明の詳細な説明のＩ（ｃ）、反応条件の最適化に記載の方法によるＴｍの計算を利用することにより、ＩＮＶＡＤＥＲオリゴヌクレオチドについては約７５℃である）。ＯＬＩＧＯ ５．０「ＬＯＷＥＲ」のボタンを選択して、対応するアンチセンス配列（これは、実際のＩＮＶＡＤＥＲオリゴヌクレオチドの検体特異的領域である）をコピーする。
・データベース・ファイルへのインポート。
・コンピューター・メモリに保存する。
【０４１７】
５．切断したアーム配列の付加と ＩＮＶＡＤＥＲオリゴヌクレオチドのミスマッチ配列・上流プライマーとしてのプローブ・オリゴヌクレオチドをエクスポートする。
・下流プライマーとしてのＩＮＶＡＤＥＲオリゴヌクレオチドをエクスポートする。
・候補アーム配列（例えば、上記のようにして選択したもの）を付加するために、ＥＤＩＴ ＵＰＰＥＲ ＰＲＩＭＥＲ を実行する。
・アーム配列が新たな二次構造（上記のようにして解析したもの）を形成しないことを確認する。
・切断部位（上記に示したこのミスマッチ塩基に関する指針に従い選択したもの）に重複する３’ミスマッチのヌクレオチドに付加するために、ＥＤＩＴ ＬＯＷＥＲ ＰＲＩＭＥＲを実行する。
・「印刷／保存の選択肢」のボックスにおいて、上流プライマーおよび下流プライマーをすべて選択する。
・上流（プローブ）および下流（ＩＮＶＡＤＥＲ） オリゴヌクレオチドの ＰＲＩＮＴ ＡＮＡＬＹＳＩＳ、ならびに安定な二次構造を欠いていることを確認する。
・プログラムを停止する前に、ｍＲＮＡ 配列およびオリゴヌクレオチド配列のデータベース・ファイルの両方を保存する。
【０４１８】
通常、−６ΔＧよりも安定性の低い、分子内部形成を有することが検出されたオリゴヌクレオチドが好ましい。安定性のより低い構造は、ＣＬＥＡＶＡＳＥ酵素の基質となりづらいので、このような構造の切断はバックグラウンド・シグナルに寄与する可能性は低い。親和性が互いに低いプローブおよびＩＮＶＡＤＥＲオリゴヌクレオチドは、標的への結合により利用可能であり、最高のサイクリング効率が得られる。
【０４１９】
二量体化プローブ（すなわち、プローブ分子が別のプローブ分子とハイブリダイズしたプローブ）のＴｍは、標的とハイブリダイズしたプローブのＴｍよりも理想的に低く、ＩＮＶＡＤＥＲアッセイ反応を通常実施する高い温度でプローブが選択的に標的配列にハイブリダイズすることができる。同様に、自身もしくはプローブ分子にハイブリダイズした ＩＮＶＡＤＥＲオリゴヌクレオチドのＴｍは、ＩＮＶＡＤＥＲオリゴヌクレオチド／標的のＴｍよりも低くなくてはならない。二量体のＴｍ（すなわち、プローブ／プローブおよびプローブ／ＩＮＶＡＤＥＲオリゴヌクレオチド）は２５℃もしくはそれ以下であり、予定の反応温度で形成する確率を低下させることが好ましい。
【０４２０】
これらの複合体のそれぞれに関する融解温度は、上記の発明の詳細な説明のＩ（ｃ）の反応条件の最適化に記載の方法、あるいはＯＬＩＧＯソフトウェアを用いて決定することができる。上記に概説した工程に従いＲＮＡの部位およびＩＮＶＡＤＥＲアッセイ法のオリゴヌクレオチド・セットの候補を複数選択した後、好ましい選択規則に応じた程度、例えば、ＳＳカウントの平均値プロット（ピーク、谷、それ以外）における位置、ならびにプローブおよびＩＮＶＡＤＥＲオリゴヌクレオチド相互作用のエネルギー予測に従い、候補オリゴヌクレオチド・セットのランク付けを実施することができる。ある態様においては、該ランク付けしたプローブ・セットを、ランクの順に試験し、ＲＮＡ ＩＮＶＡＤＥＲアッセイにおいて好適な性能を有する１つあるいは複数のセットを同定する。他の態様においては、複数の上位ランクのセット（例えば、２つ、３つもしくはそれ以上）を選択して試験し、好適なもしくは所望の性能を有する１つまたは複数のセットを迅速に同定する。
【０４２１】
プローブ構造 Ｍｆｏｌｄ 解析と相互作用予測
プローブの解析とＩＮＶＡＤＥＲオリゴヌクレオチドの相互作用は、マイケル・ズーカー（Ｍｉｃｈａｅｌ Ｚｕｋｅｒ）によるＤＮＡのｍｆｏｌｄを用いて実施することができる。ｍｆｏｌｄは、Ｒｅｎｓｓｅｌａｅｒ Ｐｏｌｙｔｅｃｈｎｉｃ Ｉｎｓｔｉｔｕｔｅのｂｉｏｉｎｆｏ．ｍａｔｈ．ｒｐｉ．ｅｄｕ／〜ｍｆｏｌｄ／ｄｎａ／ｆｏｒｍｌ．ｃｇｉから入手可能である。既定のイオン条件は変えず、温度を３７℃に選択し、％準至適設定を７５に設定して、解析を実施する。プログラムを用いて各配列（例えば、プローブ、 ＩＮＶＡＤＥＲオリゴヌクレオチド、スタッカー等）の折り畳みを行い、単分子構造の形成（例えば、ヘアピン）の確認を実施する。ｍｆｏｌｄによって算出された単分子構造に関するエネルギーは、さらに計算をすることなくそのまま利用することができる。
【０４２２】
オリゴヌクレオチド配列（５’から３’）に続けて、小型の安定なヘアピンを形成する配列
2004521606.tif 000013
、さらに続けて、同一のオリゴヌクレオチド配列、再び５’から３’を入力することによって、与えられたオリゴヌクレオチドの２分子構造形成を評価する。これらのＴが一本鎖のままであり、このスペーサーにおけるＣとＧの並びが塩基対を形成するために必要な束縛値を入力する。強制的に塩基対を形成させるためには、コマンド「Ｆ」を利用し、塩基対の形成を禁止するためにはコマンド「Ｐ」を用いる。塩基対の強制もしくは禁止の位置は５’末端からカウントする。例えば、目的の配列が２０量体であれば、以下を入力する。
Ｆ ２１ ０ ５ ｛これによって、Ｃ２１からＣ２５までのＣが塩基対を作る｝
Ｐ ２６ ０ ４ ｛これによって、Ｔ２６からＴ２９までのＴが一本鎖を作る｝
Ｆ ３０ ０ ５ ｛これによって、Ｇ３０からＧ３４までのＧが塩基対を作る｝
【０４２３】
得られた構造を調べ、総計（すなわち、可能な構造熱力学値 ＝ ｍｆｏｌｄ構造熱力学値 − コア・ヘアピンの熱力学値）から中央のスペーサー・ヘアピンの安定性（すなわち、熱力学的測定値）を減ずることで、個々の安定性を推定することができる。ある態様においては、試験配列によって中央のヘアピンと形成した二量体間の最近隣間相互作用は、便宜上、本計算において無視する。さらに正確な解析には、この相互作用を考慮することが必要となる。
2004521606.tif 000014
によって形成したコア・ヘアピンは、以下の熱力学量を有する：
ΔＧ＝−５．３；ΔＨ＝−３７．８；ΔＳ＝−１０４．８。
【０４２４】
以下のプローブ配列を用いて、この過程を示す。
2004521606.tif 000015
該オリゴヌクレオチド配列の２分子構造は、以下の工程を用いてｍｆｏｌｄ解析で検討する。
１．ボックス型ｍｆｏｌｄ 配列において：
2004521606.tif 000016
２．束縛性のボックス型において：
Ｐ ３６ ０ ４
Ｆ ３１ ０ ５
Ｆ ４０ ０ ５
結果（１つを示す）：
2004521606.tif 000017
二重鎖安定性を評価するために：
2004521606.tif 000018
ヘアピン単独の熱力学的値を、完成した構造に関する値から減じる：
2004521606.tif 000019
Ｔｍ（℃）＝ ｛ΔＨ ／ ［ΔＳ ＋ Ｒ ｌｎ（ＣＴ／４）］｝ − ２７３．１５であり、Ｒがガス定数１．９８７（ｃａｌ／Ｋｍｏｌ）、ｌｎが自然対数、およびＣＴが一本鎖の総モル濃度である。この計算式を用いた場合には、該構造の非ヘアピン部分Ｔｍの計算値は４６．１℃である。
【０４２５】
上記の方法はコア・ヘアピン配列
2004521606.tif 000020
に対してのみ限定して利用されるものではなく、いずれの安定なヘアピン配列にも利用しうる。例えば、
2004521606.tif 000021
しかしながら、異なるヘアピン配列を用いた場合には、ｍｆｏｌｄを用いてその安定性を算出する必要があり、その熱力学量を以降の計算で利用する必要がある。
【０４２６】
オリゴヌクレオチドの相互作用予測のためのＲＮＡＳｔｒｕｃｔｕｒｅ
ＲＮＡＳｔｒｕｃｔｕｒｅプログラムを用いることによっても、二量体形成を評価することができる。 ｍｆｏｌｄとは異なり、ＲＮＡＳｔｒｕｃｔｕｒｅでは、可能な総てのオリゴヌクレオチド−オリゴヌクレオチド相互作用を計算することが可能であり、出力 ．ｃｔ ファイルを提供する。次に、ＲＮＡＳｔｒｕｃｔｕｒｅまたはＲＮＡｖｉｓ（１９９７， Ｐ． Ｒｉｊｋ， Ｕｎｉｖｅｒｓｉｔｙ ｏｆ Ａｎｔｗｅｒｐ（ＵＩＡ）、インターネット上ではｒｍａ．ｕｉａ．ａｃ．ｂｅ／ｒｎａｖｉｓで利用可能である）等の．ｃｔ閲覧プログラムを用いて構造を可視化し、最近隣モデル（Ｂｏｒｅｒら、１９７４）およびＤＮＡ最近隣パラメーター（Ａｌｌａｗｉ ＆ ＳａｎｔａＬｕｃｉａ， １９９７）を用いて二量体形成の安定性を評価する。
【０４２７】
例えば、配列
2004521606.tif 000022
の性質を評価するために、二量体形成に関する「ＲＮＡＳｔｒｕｃｔｕｒｅ」のＤＮＡフォールド・インターモレキュラー・モジュールを用いて、該配列をファイル（例えば、プローブ配列）に保存し、以下のパラメーターを設定する：
配列ファイル１：ｐｒｏｂｅ．ｓｅｑ
配列ファイル２：ｐｒｏｂｅ．ｓｅｑ
ＣＴファイル：ｄｉｍｅｒ．ｃｔ
最大％エネルギー差：５０
最大構造数：２０
ウインドウサイズ：変化させず
計算終了後、ＲＮＡＳｔｒｕｃｔｕｒｅの「ｖｉｅｗ」モジュールを用いて、得られた ．ｃｔ ファイルを見ることができる。通常、該．ｃｔ ファイルには複数の構造が含まれる。「ｖｉｅｗ」モジュールを用いて、個々のものを閲覧する。上記のように、ＲＮＡＳｔｒｕｃｔｕｒｅに従い試験配列が形成しうる二量体の１つを以下に示す：
2004521606.tif 000023
最近隣モデル（すなわち、ＤＮＡ最近隣およびミスマッチ・パラメーター ［Ａｌｌａｗｉ ＆ ＳａｎｔａＬｕｃｉａ， １９９７］を用いる）に従い、１ＭのＮａＣｌおよび１００μＭのプローブ濃度におけるこの二重鎖の安定性は、
2004521606.tif 000024
である。
配列ファイル１および２を入れ替えることによって、ＲＮＡＳｔｒｕｃｔｕｒｅを用いて、ＩＮＶＡＤＥＲアッセイ反応に存在する総てのＤＮＡオリゴヌクレオチド対の間における二量体形成の可能性を評価することができる。
【０４２８】
ｉｖ．アッセイ性能の評価
上記の指針に従い選択したプローブ・セットを、ＩＮＶＡＤＥＲアッセイ法で試験し、その性能を評価することができる。特定の所望の反応温度もしくはその付近の温度で実施するようにオリゴヌクレオチドを設計するが、与えられた設計において最高の性能が、正確に目的の温度で得られないこともある。従って、新しいＩＮＶＡＤＥＲアッセイ法のプローブ・セットを評価する場合には、設計温度を中心として約１０から１５℃の範囲にわたって複数の異なる反応温度でＩＮＶＡＤＥＲアッセイ法の性能を調べることが有益である。便宜上、一定量のＲＮＡ（例えば、反応当たり２．５アトモルのインビトロ転写産物）および一定時間（例えば、第一および第二の反応それぞれについて１時間）を用いて温度勾配サーマル・サイクラーで、温度の最適化を実施することができる。温度勾配試験によって、設計したプローブ・セットが最高の性能を発揮する（例えば、バックグラウンド・シグナルと比較した最高レベルの標的特異的シグナルは、通常、複数のゼロ標的バックグラウンド・シグナルもしくは「折り畳みゼロ」と表現する）温度が明らかになる。
【０４２９】
結果を検討して、測定した最適温度が操作における設定温度にどのくらい近いかを調べることができる。ある態様においては、前もって選択した温度もしくはそれに近い温度で働くプローブ・セットを含むことが好ましい。測定した最適温度が所望の反応温度より高い場合には、プローブ／標的のＴｍを減少させ得る方法（例えば、一塩基以上短くする、あるいは一塩基以上ミスマッチ塩基を含むように改変する）で、プローブの設計を変えることができる。スタッカー・オリゴヌクレオチドを利用せず、反応温度が所望の反応温度と比較して、その差が７℃を超える場合であって、性能（例えば、折り畳みゼロ）が許容可能である態様においては、プローブ・オリゴヌクレオチドに３’ミスマッチを用いることによって、アッセイ法の性能を変化させることなく反応温度の低下が可能となる。
【０４３０】
異なる量の標的ＲＮＡ（例えば、既知濃度の対照ＲＮＡのインビトロ転写産物）で反応を実施することによって、ＬＯＤを決定できる。好ましい態様においては、設計したアッセイにおいてＬＯＤは０．０５アトモル未満である。特に好ましい態様においては、設計したアッセイにおいてＬＯＤは０．０１アトモル未満である。設計したアッセイ法のＬＯＤを低下させることに関する上記の指針と同一指針を利用して、設計したアッセイ法のＬＯＤを上昇させることができる（すなわち、標的ＲＮＡの存在により感受性の低くするために）。例えば、同一反応中で豊富なＲＮＡおよびまれなＲＮＡを検出することが好ましいこともある。このような反応では、豊富なＲＮＡに関して生成するシグナルを減弱させ、まれな種に由来するシグナルより強くならないようにすることが好ましい。ある態様においては、シグナルの生成を低下させる（例えば、少なくとも０．５アトモル（これ未満ではない）のＬＯＤ）プローブ・セットを設計することによって、これを達成できる。ある態様においては、単一工程の ＩＮＶＡＤＥＲアッセイ法を用いて、試料中の豊富な標的を検出し、同一試料中の豊富ではない検体に関しては、節ＩＩに記載の方法でシグナルを増幅する連続的なＩＮＶＡＤＥＲ反応を用いる。好ましい態様においては、異なる検体に関して単一工程および連続的なＩＮＶＡＤＥＲアッセイ反応を単一反応で実施する。
【０４３１】
ある態様においては、既知量の標的に関するシグナルの蓄積を、異なる長さの時間反応させて測定する時間経過反応を実施する。この測定によって、直線的範囲、すなわち、時間および標的ＲＮＡの出発レベルに関する与えられたアッセイ法の設計を用いて正確な定量的測定が可能な範囲を得ることができる。
【０４３２】
ｖ．設計およびアッセイ法の最適化
設計したアッセイが上記の好ましい性能の基準を満たさない場合もある。ＩＮＶＡＤＥＲアッセイ反応における性能の複数の変数について、本明細書に記載する。ＲＮＡ標的の検出に関するＩＮＶＡＤＥＲアッセイ法の性能を最適化する場合には、これら変数を単独もしくは組み合わせて用いることができる。例えば、ある態様においては、スタッカー・オリゴヌクレオチドを用いる。本発明を特定の作用機構に限定することなく、ある態様においては、プローブもしくはＩＮＶＡＤＥＲオリゴヌクレオチドのハイブリダイゼーションの性質（例えば、Ｔｍ）を変化させることによって、スタッカー・オリゴヌクレオチドはアッセイ性能を改善することができる。ある態様においては、より短いプローブの利用を可能とすることによって、スタッカー・オリゴヌクレオチドが性能の改善に寄与する。他の態様においては、標的核酸の折り畳み構造を変化させることによって、スタッカー・オリゴヌクレオチドが性能の改善に寄与する。さらに別の態様においては、スタッカー・オリゴヌクレオチドの活性の促進は、これらの機構およびその他の機構を組み合わせて含むことができる。
【０４３３】
他の態様においては、標的部位を移動させることができる。ある態様においては、アクセス可能であることが疑われる部位に沿ってシフトする複数のプローブ・セットを試験することによって反応を最適化する。好ましい態様においては、このようなプローブ・セットは、アクセス可能な部位に沿って１〜２塩基増加シフトさせる。アクセス可能な部位があらかじめコンピューター解析によってのみ予測されている場合の態様においては、アクセス可能な部位の物理的検出を利用して、プローブ・セットの設計を最適化する。好ましい態様においてはアクセス可能な部位を検出するＲＴ−ＲＯＬ法を用いる。ある態様においては、プローブ・セットの設計に関する最適化には、標的部位を新たに同定したアクセス可能な部位にシフトさせることが必要である。
【０４３４】
例えば、アクセス可能な部位は同定されているが、プローブ・セットの性能が低い態様においては、プローブの５’アームの設計を変化させることによって、標的とする部位を変化させることなくアッセイ性能を改善することができる。他の態様においては、ＡＲＲＥＳＴＯＲオリゴヌクレオチドの長さを変化させる（例えば、プローブの５’アーム領域と相補的な部分の長さを増加させる）ことによって、バックグラウンド・シグナルを減少させ、プローブ・セットの性能を高めることができる。
【０４３５】
オリゴヌクレオチド設計における他の変数を利用してアッセイ法の性能を変化させることもできる。ある種の改変を行い、プローブ・セットの設計の理想的操作温度を好ましい温度範囲へシフトさせることもできる。例えば、より短いオリゴヌクレオチドの利用とミスマッチの導入は、通常Ｔｍを低下させ、設計したオリゴヌクレオチドの理想的操作温度を低下させる。逆に、より長いオリゴヌクレオチドの利用とスタッキング・オリゴヌクレオチドの使用は、通常、Ｔｍを増加させ、設計したオリゴヌクレオチドの理想的操作温度を増加させる。
【０４３６】
他の変数を用いて、アッセイ法におけるオリゴヌクレオチドの性能における他の局面を変化させることもできる。例えば、塩基類似体もしくは修飾塩基の利用によって、オリゴヌクレオチドの酵素認識を変化させることができる。ある態様においては、このような修飾塩基を用いて、ヌクレアーゼによる切断からオリゴヌクレオチドのある領域を保護することもできる。他の態様においては、修飾塩基の利用は、切断位置にはないオリゴヌクレオチドの切断構造構成能に影響し得る（例えば、プローブの切断を可能にするＩＮＶＡＤＥＲオリゴヌクレオチドとして作用する）。これらの修飾塩基は、「ブロッカー」または「ブロッキング」修飾と呼ばれる。ある態様においては、アッセイ・オリゴヌクレオチドは２’−Ｏ−メチル修飾を含む。他の態様においては、アッセイ・オリゴヌクレオチド は、３’末端修飾（例えば、ＮＨ２、３’ヘキサノール、３’リン酸、３’ビオチン）を含む。
【０４３７】
さらに別の態様においては、反応成分を変化させることによって、アッセイ法の性能に影響を与えることができる。例えば、オリゴヌクレオチドの濃度を変える。オリゴヌクレオチドの濃度は、反応の複数の局面に影響を与え得る。複合体の融解温度が、部分的に複合体成分の濃度の関数であるため、オリゴヌクレオチド成分の濃度変動を、反応最適化の一局面として用いることができる。本発明の方法においては、ＡＲＲＥＳＴＯＲオリゴヌクレオチドを用いて、ＩＮＶＡＤＥＲアッセイ反応における第一のプローブ・オリゴヌクレオチドの利用度を調節することができる。ある態様においては、ＡＲＲＥＳＴＯＲオリゴヌクレオチドを排除することもできる。酵素濃度、塩および二価イオン濃度および二価イオンの種類を含む他の反応成分を変化させることもできる。
【０４３８】
ＶＩ． ＲＮＡ ＩＮＶＡＤＥＲアッセイ法を実施するためのキット
ある態様においては、本発明は、本発明を実施するために必要な成分のうちの１つ以上を含むキットを提供する。例えば、本発明は、切断アッセイ法を実施するのに必要な本発明の酵素および／または反応成分を保存、または配送する（例えば、ＩＮＶＡＤＥＲアッセイ）キットを提供する。該キットは、酵素もしくはアッセイ法に必要なもしくは所望のいずれかの構成要素、またはそれら総てを含むことができる。このような要素としては、試薬自体、緩衝液、対照試薬（例えば、組織試料、陽性および陰性対照としての標的オリゴヌクレオチド等）、固体支持体、ラベル、文字および／もしくは絵による説明書、ならびに製品情報、阻害剤、標識および／もしくは検出試薬、包装に係わる環境調節材（例えば、氷、乾燥剤等）等が挙げられるが、これらのみに限定されるものではない。ある態様においては、キットは、必要な構成要素のサブセットを提供するが、残りの構成要素はユーザーが供給する仕様となっている。ある態様においては、該キットは、各容器が納品する構成要素のサブセットを含む２種類以上の異なる容器を含む。例えば、第一の容器（例えば、箱）は、酵素（例えば、好適な保存用緩衝液および容器に入った構造特異的な切断酵素）を含み、第二の箱はオリゴヌクレオチド（例えば、ＩＮＶＡＤＥＲオリゴヌクレオチド、プローブ・オリゴヌクレオチド、対照標的オリゴヌクレオチド等）を含む。ある態様においては、１種類以上の反応成分は、予め分注した形態（すなわち、再測定もしくは再分注の必要のない方法の一工程で使用する目的で予め測定済みのもの）で提供される。ある態様においては、選択した反応成分を混合し、予め一緒に分注する。好ましい態様においては、予め分注した反応成分は、予め分注されて、反応容器（反応チューブもしくは、例えば、マイクロタイタープレートのウェルが挙げられるがこれらのみに限定されない）に入った形態で提供される。特に好ましい態様においては、予め分注した反応成分を反応容器の底に乾燥させる（例えば、乾燥もしくは凍結乾燥）。
【０４３９】
さらに、ある態様においては、本発明は、キットもしくは試薬を、本発明の方法の用途に関する顧客に納品する方法を提供する。本発明の方法は、特定のグループの顧客に限定するものではない。実際、本発明の方法は、生物学的および医学的コミュニティの多くのセクターにおける顧客にキットもしくは試薬を提供する用途がある。このような顧客としては、学術的研究室の顧客、バイオテクノロジーおよび医学的産業の顧客、ならびに政府の研究室の顧客が挙げられるが、これらのみに限定されるものではない。本発明の方法は、キットもしくは試薬を顧客に提供する、マーケティング、販売、配送および学術（これらのみに限定されない）を含むすべての局面に関して提供を行うものである。
【０４４０】
本発明のある態様においては、キットもしくは試薬を顧客に納品する前に、品質管理（ＱＣ）および／または品質保証（ＱＡ）に関する実験を実施する。このようなＱＣおよびＱＡの技術は、通常、産業的利用に類似した実験における試薬の試験を含む（例えば、本明細書に記載のものと類似したアッセイ法を用いる）。試験は、製品の保持期限と広い範囲の溶液および／もしくは反応条件（例えば、温度、ｐＨ、光等）に対する耐性能を調べる実験を含むこともある。
【０４４１】
本発明のある態様においては、販売前に、本発明の組成物および／もしくは方法は、顧客に開示および／もしくは示される（例えば、印刷物もしくはウェブサイトによる広告、デモ等）その際、本発明の用途あるいは機能もしくは本発明の成分を示す。しかしながら、ある態様においては、販売されている製品に含まれる１種もしくは複数の成分の含有もしくは使用については、顧客に告知しない。このような態様においては、例えば、それがなぜどうのようにして働くのかに関する知識によってではなく（すなわち、キットもしくは反応混合物の成分をユーザーが知る必要はない）、製品（例えば、キット）の改善された、および／もしくは所望の機能によって  販売を進める。従って、本発明は、ユーザーがシステムの成分もしくは機構について知識があるなしに係わらず、ユーザーに利用可能なキット、試薬もしくはアッセイ法を作製するものである。
【０４４２】
従って、ある態様においては、 販売およびマーケティング活動は、本発明の方法および組成物の新規および／もしくは改善された性質に関する情報を提供することである。他の態様においては、マーケティングの材料としてこのような機構に関する情報を提供しない。ある態様においては、最も需要に見合ったアッセイ成分もしくは配送システムの種類に関して情報を得る目的で顧客から情報を収集する。このような情報は、キットの成分の設計およびマーケティング活動の設計において有用である。
【０４４３】
ＶＩＩ． 直接検出のためＩＮＶＡＤＥＲアッセイ法および特異的ＲＮＡ検体の測定
本発明の方法、組成物およびシステムを用いて検出もしくは測定するｍＲＮＡの具体例を以下に示す。
【０４４４】
ハウスキーピング対照
通常、試験試料中に予測可能な量もしくは不変量のＲＮＡを含む場合には、このようなＲＮＡが検出アッセイ法における有用な対照標的となる。このような対照は、アッセイ法が適切に機能しているかについての確認、および別のＲＮＡの試験結果を比較もしくは測定して、その結果を説明する助けとなる標準として利用できる等の複数の有用性を示すものであるが、これらのみに限定されるものではない。以下の遺伝子のｍＲＮＡは、本発明の方法において特定の用途がある。
【０４４５】
ヒト・ユビキチンおよびマウス／ラット・ユビキチン
ユビキチン・システムは、選択的タンパク質分解の主な経路である。本システムによる分解は、ＤＮＡ修復、細胞周期の進行、シグナル伝達、転写、および抗原提示等の各種の細胞機能を補助する。また、ユビキチン経路は、間違った折り畳みを起こした、間違った配置の、あるいはその他の異常なタンパク質を除去する。この経路では、保存性の高い７６アミノ酸のタンパク質であるユビキチン（Ｅ１）が基質タンパク質の特定のリジン残基に共有結合することが必要である。
【０４４６】
ヒト、ラット、およびマウスのグリセルアルデヒド−３−リン酸脱水素酵素（ＧＡＰＤＨ）
ＧＡＰＤＨは解糖および糖新生経路における重要な酵素である。このホモ４量体の酵素は、補助因子と無機リン酸の存在下でＤ−グリセルアルデヒド−３−リンを１，３−ジホスホグリセレートに変換する酸化的リン酸化を触媒する。ＧＡＰＤＨについて、各種の多様な生物学的性質が報告されている。これらには、エンドサイトーシス、ｍＲＮＡの制御、ｔＲＮＡのエクスポート、ＤＮＡ複製、ＤＮＡ修復および神経のアポプトーシス等の機能が含まれる。
【０４４７】
サイトカイン
現在も構成員が増え続けている  免疫系の細胞間でシグナルを伝達する制御タンパク質のファミリーが同定されている。これらのタンパク質はサイトカインと呼ばれ、造血系および免疫系の細胞の増殖および分化、ならびに生理活性を制御することが分かっている。骨髄、末梢血、胎児肝およびその他のリンパ性もしくは造血性器官由来の標的細胞に対し、サイトカインは広範な生物学的活性示す。本発明ではサイトカインの発現を検出する方法を記載する。このようなサイトカインとしては、下記のサイトカイン・ファミリーの例示的構成員が挙げられるが、これらのみに限定されるものではない。
【０４４８】
ヒト・オンコスタチンＭ
オンコスタチンＭは、特定の腫瘍由来および正常細胞株の増殖を制御する単一鎖からなる分泌性ポリペプチド・サイトカインである。複数種類の細胞が、オンコスタチンＭタンパク質に結合することが明らかになっている。複数種類の腫瘍細胞の増殖を阻害することが分かっているが、カポジ肉腫の細胞の増殖を刺激することも示されている。
【０４４９】
ヒト・トランスフォーミング増殖因子β（ＴＧＦ−β）
トランスフォーミング増殖因子β（ＴＧＦ−β）は、様々な異なるタイプの細胞において増殖、分化および形態形成を含む各種の反応を引き起こす構造的に関連したサイトカインのファミリーの構成員である。脊椎動物では、ＴＧＦ−β１からＴＧＦ−β５と呼ばれる、少なくとも５種類の異なるＴＧＦ−βの型のものが同定されている。これらは、アミノ酸配列の同一性の程度が高い（６０〜８０％）。ＴＧＦ−β１は、最初に正常なラット腎臓細胞に足場非依存性増殖を誘導する誘導能があるものとして特徴付けがなされたが、多くのタイプの細胞に対する効果は、分裂抑制性である。これは、正常および形質転換された上皮、内皮、繊維芽細胞、神経、リンパ系および造血系細胞を含む多くのタイプの細胞に強い増殖阻害性を示す。さらに、ＴＧＦ−βは、細胞外マトリックスの形成および細胞−マトリックスの接着工程の制御において中心的な役割を演じる。
【０４５０】
ヒト・単球化学誘引性タンパク質−１（ＭＣＰ−１）
このファミリーのサイトカインに属するものとして、ケモカインもしくはインタークラインとも呼ばれる新興の走化性サイトカインのグループが同定された。ケモカインの二つのサブファミリーとしては、染色体上の位置およびシステイン残基の構成に基づいて、αおよびβが知られている。
【０４５１】
βサブファミリータンパク質をコードするヒトの遺伝子は、第１７染色体（マウスの対応遺伝子は、マウスの第１１染色体にクラスターを形成している。この染色体は、ヒトの第１７染色体に対応する）に位置する。サブファミリーにおける相同性は種内で２８〜４５％の範囲であり、種間で２２〜５５％である。構成員の例としては、ヒトのタンパク質であるＭＣＰ−１（単球化学誘引性タンパク質−１）が挙げられる。ＭＣＰ−１は単球特異的に複数の効果を示す。これは、インビトロにおけるヒト単球に対する強力な化学誘引物質であり、細胞質内の遊離のカルシウム増加と単球の呼吸バーストを促進する。ＭＣＰ−１は、単球媒介性の制腫瘍性活性を活性化し、腫瘍障害活性を誘導することが報告されている。ＭＣＰ−１は、慢性関節リウマチおよび肺胞炎等の組織炎症過程における単球浸潤を媒介する重要な因子であることが知られている。本因子は、進行性の粥状硬化性病巣への単球−マクロファージの動員において基本的役割を担っている。
【０４５２】
ヒト腫瘍壊死因子α（ＴＮＦ−α）
腫瘍壊死因子α（ＴＮＦ−α、またカケクチンとも呼ばれる）は、宿主防衛の役割を担う重要なサイトカインである。サイトカインは、感染、侵入、傷害もしくは炎症に反応して、主にマクロファージおよび単球によって産生される。ＴＮＦ−αの誘導物質の例としては、細菌性エンドトキシン、細菌、ウイルス、リポ多糖（ＬＰＳ）およびＧＭ−ＣＳＦ、ＩＬ−１、ＩＬ−２およびＩＦＮ−γを含むサイトカインが挙げられる。
【０４５３】
サイトカインの防御効果にもかかわらず、ＴＮＦ−αの過剰発現は疾患状態、特に、感染性、炎症性および自己免疫性疾患を生じることが多い。この工程はアポプトーシス経路を含むことがある。敗血症症候群、細菌性髄膜炎、脳性マラリアおよびＡＤＩＳ等の感染性疾患；慢性関節リウマチ、炎症性腸疾患（クローン病を含む）、サルコイドーシス、多発性硬化症、川崎症候群、移植片対宿主疾患および移植拒絶反応（同種異系移植）等の自己免疫性疾患；および成人呼吸窮迫症候群、うっ血性心不全、急性肝不全および心筋梗塞等の臓器不全状態において、血漿ＴＮＦ−αが高レベルとなることが知られている。ＴＮＦ−αが関係する他の疾患としては、ぜんそく、虚血による脳傷害、非インスリン依存型糖尿病、インスリン依存型糖尿病、肝炎、アトピー性皮膚炎および膵臓炎が挙げられる。さらに、ＴＮＦ−α阻害剤は、癌の予防に有用であることが示唆されている。ＴＮＦ−α発現の上昇は、肥満にも一定の役割を果たしている。ＴＮＦ−αがヒトの脂肪細胞で発現し、通常、肥満に相関して発現が増加することが知られている。
【０４５４】
ヒト・インターロイキンー６（ＩＬ−６）
ＩＬ−６は、Ｂリンパ球分化因子、インターフェロンβ２、２６Ｋｄタンパク質、ハイブリドーマ／プラスマ細胞腫増殖因子、肝細胞刺激因子等で呼ばれるサイトカインに対する標準名である。
【０４５５】
ＩＬ−６は、活性化Ｂ細胞が抗体産生細胞に分化するのを誘導する。Ｔ細胞に関しては、ＩＬ−６は、マイトジェンによって刺激されたＴ細胞がＩＬ−２を産生し、特定のＴ細胞株もしくは胸腺細胞上にＩＬ−２受容体を発現誘導する。造血系細胞に関しては、ＩＬ−６は、ＩＬ−３の存在下で協同的に造血系幹細胞の増殖を誘導する。さらに、最近、ＩＬ−６はトロンボポエチン様の働きをすることが報告された。
【０４５６】
各種の細胞がＩＬ−６を産生する。リンパ球がＩＬ−６を産生し、またポリ（Ｉ）−ポリ（Ｃ）およびシクロヘキシミドで刺激したヒト繊維芽細胞がＩＬ−６を産生する。ポリ（Ａ）−ポリ（Ｕ）で刺激したマウスの細胞は、マウスのＩＬ−６を産生する。刺激の誘導因子は多様であり、ＩＬ−１、ＴＮＦおよびＩＮＦ−β等の既知のサイトカイン、ＰＤＧＦおよびＴＧＦ−β等の増殖因子、ＬＰＳ、ＰＭＡ、ＰＨＡ、コレラトキシン等が挙げられる。さらに、ヒト血管内皮細胞、マクロファージ、ヒトのオリゴブラストーマ等もＩＬ−６を産生することが報告されている。さらに、誘導物質を用いて細胞を刺激し、その後細胞をベラパミル、シクロヘキシミドもしくはアクチノマイシンＤ等の代謝阻害剤で処理することによっても、生産性をさらに促進させることが可能なことが知られている。
【０４５７】
ヒト・インターロイキン１β（ＩＬ−１β）
インターロイキン−１（ＩＬ−１）は、ＴおよびＢリンパ球の活性化に重要であり、および多くの炎症過程を媒介する。２種類の異なった分子種のＩＬ−１が単離されており、発現している。これらはＩＬ−１βおよびＩＬ−１αと呼ばれる。ヒト単球で産生されたｍＲＮＡおよびタンパク質レベルのいずれにおいても、ＩＬ−１βが主要な型である。これらヒトＩＬ−１の二つの分子種では、アミノ酸の相同性は２６％しかない。ポリペプチド配列が異なっているにもかかわらず、ＩＬ−１の二つの分子種は構造的に類似しており、ＩＬ−１分子の離れた領域にアミノ酸の相同性が限定される。また、二つの分子種のＩＬ−１は、発熱の誘導、徐波睡眠および好中球増加症、ＴおよびＢリンパ球活性化、繊維芽細胞の増殖、特定の細胞に対する細胞障害性、コラゲナーゼの誘導、肝性急性期タンパク質の合成およびコロニー刺激因子およびコラーゲン生産増加を含む同一の生物学的性質を有する。また、ＩＬ−１は内皮細胞を活性化し、白血球の接着性を増加させ、ＰＧＩ２およびＰＧＥ２（プロスタグランジン）放出、ならびに血小板活性化因子、凝血促進活性因子およびプラスミノーゲン活性化因子阻害因子の合成を促す。明らかに、ＩＬ−１は局所性および全身性宿主反応において中心的な役割を演じている。インビボにおけるＩＬ−１の生物学的効果の多くは、ピコモル（ｐｇ）濃度で起こるので、ＩＬ−１産生は宿主防衛機構の基本的な特徴を備えていると考えられる。
【０４５８】
ヒト・インターロイキン２（ＩＬ−２）
インターロイキン−２（ＩＬ−２）は、Ｔリンパ球の主たる増殖因子である。ヘルパーＴリンパ球の活性を制御することによって、ＩＬ−２は体液性および細胞性免疫反応を促進する。細胞障害性ＣＤ８ Ｔ細胞およびＮＫ細胞を刺激することによって、このサイトカインは、腫瘍およびウイルス感染に対する防衛機構に関与する。ＩＬ−２は、転移性メラノーマおよび腎腺癌の治療に利用される。ＩＬ−２は、多種類の癌の臨床治験に利用されている。また、ＨＩＶに感染した患者にも用いられ、ＣＤ４の総数を有意に増加させる。ヒトＩＬ−２は、１３３アミノ酸（ａａ）を含むタンパク質であり、４つのαヘリックスが各種の長さのループでつながって、３次元構造をとる。ＩＬ−２Ｒは、三本の鎖、すなわちα、βおよびγから構成される。ＩＬ−２Ｒαは、受容体ＩＬ−２ＲβおよびＩＬ−２Ｒγの親和性を制御し、ＩＬ−２シグナルの伝達に重要である。ＩＬ−２Ｒの該３本の鎖と相互作用するＩＬ−２の異なる分子領域が決定されている。より具体的には、ＩＬ−２のＮＨ２末端領域（残基 １〜３０）およびヘリックスＡがＩＬ−２／ＩＬ−２Ｒβ相互作用を制御することが分かっている。
【０４５９】
ヒト・インターロイキン８（ＩＬ−８）
ヒトＩＬ−８は、好中球活性化タンパク質、好中球遊走因子（ＮＣＦ）およびＴ細胞遊走因子等、様々の名称をもつサイトカインである。適当な刺激に応じて複数種類の細胞がＩＬ−８を分泌する。活性化された単球およびマクロファージ、ならびに胎児性繊維芽細胞がＩＬ−８を分泌する。
【０４６０】
ＩＬ−８は、好中球の遊走を誘導し、好中球の脱顆粒、超酸化物イオンの放出および単層内皮細胞への接着等の機能を活性化することが知られている。白血球の病巣への浸潤を含む状態に関しては、複数の既知の状態が存在する。肺嚢胞性線維症、特発性肺線維症、成人呼吸窮迫症候群、サルコイドーシスおよび膿胸等の等の肺疾患；乾癬等の皮膚疾患；慢性関節リウマチ；および炎症性腸疾患（クローン病）等が挙げられる。
【０４６１】
ヒトＩＬ−８のアミノ酸配列については、Ｍａｔｓｕｓｈｉｍａらが国際公開公報第８９／０８６６５号に記載している。さらに最近では、単球由来のＩＬ−８はＮ末端で明らかに様々な工程を受け、Ｍａｔｓｕｓｈｉｍａらが初めて開示したＩＬ−８は、実際にはＮ末端に付加的な７または５アミノ酸を有する因子の二つの分子種であること（Ｙｏｓｈｉｍｕｒａら、Ｍｏｌ Ｉｍｍｕｎｏｌ ２６：８７ ［１９８９］）が明らかになっている。単球由来の全ＩＬ−８の内訳は、最長の分子種が約８％、次に長い分子種が約４７％、および最も短い分子種が約４５％である。
【０４６２】
ヒト・インターロイキン１０（ＩＬ−１０）
最近発見されたリンフォカインであるインターロイキン１０（ＩＬ−１０）は、元々はインターフェロン−γの合成阻害因子として記載されていたものであり、体液性の免疫反応の主たるメディエーターであると考えられている。互に排他的であることが多い２種類の免疫反応は、体液性（抗体を媒介する）および遅延型過敏症である。
【０４６３】
これら二つの異なる免疫反応は２種類のヘルパーＴ細胞クローンによって起こるものであると考えられている。すなわち、Ｔｈ１およびＴｈ２ヘルパーＴ細胞であり、これらは異なったサイトカイン分泌パターンを示す。マウスＴｈ１細胞クローンは、インターフェロン−γおよびＩＬ−２を分泌し、選択的に遅延型過敏反応を誘導する。Ｔｈ２細胞クローンは、ＩＬ−４、ＩＬ−５およびＩＬ−１０を分泌し、体液性の反応を助ける。免疫反応における対照性の理由は、Ｔｈ１細胞クローンの分泌したインターフェロン−γが、インビトロでＴｈ２クローンの増殖を阻害し、Ｔｈ２細胞クローンの分泌したＩＬ−１０が、Ｔｈ１細胞クローンがサイトカイン分泌を阻害する。従って、２種類のＴヘルパー細胞は、相互に阻害性であり、２種類の対照的免疫反応の基盤を提供する。
【０４６４】
ＩＬ−１０はマウスおよびヒトＴ 細胞の双方からクローニングされ配列の決定がなされている。いずれの配列も、１７８アミノ酸のポリペプチドコードするオープン・リーディング・フレームを含みＮ末端は１８アミノ酸の疎水性のリーダー配列を含み、アミノ酸配列の相同性は７３％である。
【０４６５】
ヒト・インターロイキン４（ＩＬ−４）
インターロイキン−４（ＩＬ−４、これはＢ細胞刺激因子もしくはＢＳＦ−１としても知られている）は、元々、表面免疫グロブリンに対する低濃度の抗体に応答してＢ細胞増殖を刺激する能力を有するものとして特徴付けられた。さらに最近では、ＩＬ−４が、Ｔ細胞、肥満細胞、顆粒細胞、巨核球および赤血球の増殖共刺激を含む広範な生物学的活性を有することが示された。さらに、ＩＬ−４は複数のＩＬ−２およびＩＬ−３依存性細胞株の増殖を刺激し、休止期Ｂ細胞上のクラスＩＩ主要組織適合複合体分子の発現を誘導し、刺激されたＢ細胞からのＩｇＥ及びＩｇＧ１イソ型の分泌を促進する。マウスおよびヒトＩＬ−４は、組換えＤＮＡ技術および天然のマウスタンパク質の均一精製によって明確に特徴付けが行われている。
【０４６６】
初代細胞および哺乳動物由来のインビトロ細胞に発現するＩＬ−４に対する特異的細胞表面受容体が、ＩＬ−４の生物学的活性を媒介する。ＩＬ−４は該受容体に結合し、さらに各種の免疫エフェクター細胞に生物学的シグナルを伝達する。
【０４６７】
ヒト・インターフェロンγ（ＩＦＮ−γ）
インターロイキン同様、インターフェロンはサイトカインのクラスに属し、各種のものが存在する。すなわち、インターフェロン−α、インターフェロン−β、インターフェロン−γ、インターフェロン−ω、およびインターフェロン−τ等である。インターフェロン−γは糖タンパク質であり、そのアミノ酸配列は１９８２年に明らかにされた。成熟条件では、インターフェロン−γは１４３アミノ酸を有し、分子量は６３から７３キロダルトンである。
【０４６８】
非糖鎖付加型タンパク質の三次および四次構造は１９９１年に明らかにされた。これによれば、インターフェロン−γはホモ二量体として存在し、一方の単量体のＣ末端が他方の単量体のＮ末端近傍に位置するように単量体は互いに逆向きに配向している。これらの単量体はいずれも、６つのα−ヘリックスを有する。非特異的抗ウイルス性、抗増殖性および特に免疫調節性効果を有することから、インターフェロンγは、免疫インターフェロンとも呼ばれる。Ｔヘルパー−リンパ球におけるその産生は、マイトジェンおよび抗原によって刺激される。発現したインターフェロン−γの効果は、まだ正確には明らかにされていないが、鋭意研究がすすめられている。特に、インターフェロン−γは、マクロファージの活性化、およびクラス２の組織適合性抗原の合成を誘導する。インビトロでは、インターフェロン−γの活性は、通常、インターフェロン−γ処理によるウイルス誘導性細胞変性効果の低下によって調べる。抗原非特異的抗ウイルス性、抗増殖性および免疫調節性活性を有するので、例えば、腎臓腫瘍および慢性肉芽腫症のヒトに対する治療薬として好適である。
【０４６９】
チトクロームＰ４５０
チトクロームＰ−４５０という用語は、薬剤、発癌剤、および環境化学物質等のゼノバイオティックス、ならびにステロイドおよびプロスタグランジン等の複数のクラスのエンドバオティックスの代謝に最も重要な酵素のファミリーを表す（小胞体上に位置し、肝臓および小腸の細胞では該タンパク質の濃度は高い）。チトクロームＰ４５０ファミリーの構成員のレベルはまちまちであり、その発現および活性は、化学的環境、性別、発達段階、栄養、および年齢等の変数によって制御される。
【０４７０】
２００種類以上のチトクロームＰ４５０遺伝子が同定されている。これらのＰ４５０遺伝子には複数の分子種が存在し、それぞれは上記の化合物のクラスにおける個々の化学物質に対して特異性を示す。薬剤であっても発癌剤であってもよいが、基質が２種類以上のチトクロームＰ４５０によって代謝される場合もある。チトクロームＰ４５０の遺伝的多型によって、特定の薬剤およびその他の化学的化合物の生体内変換能が異なる形質的に異なった亜集団が生じる。
【０４７１】
本発明は、チトクロームＰ４５０ のｍＲＮＡを検出する方法を提供する。このようなチトクロームとしては、ヒトＣＹＰ １Ａ１、ヒトＣＹＰ １Ａ２、ヒトＣＹＰ ２Ｂ１、ヒトＣＹＰ ２Ｂ２、ヒトＣＹＰ ２Ｂ６、ヒトＣＹＰ ２Ｃ１９、ヒトＣＹＰ ２Ｃ９、ヒトＣＹＰ ２Ｄ６、ヒトＣＹＰ ３Ａ４、ヒトＣＹＰ ３Ａ５、ヒトＣＹＰ ３Ａ７、ラットＣＹＰ ２Ｅ１、ラットＣＹＰ ３Ａ１、ラットＣＹＰ ３Ａ２、ラットＣＹＰ ４Ａ１、ラットＣＹＰ ４Ａ２、およびラットＣＹＰ ４Ａ３が挙げられるが、これらのみに限定されるものではない。
【０４７２】
実施例
以下の実施例によって発明の好ましい特定の態様および局面を説明するが、これらは本発明の範囲を限定するものではない。
【０４７３】
本開示においては、 以下の略語を用いる。Ａｆｕ（アルカエグロブス・フルギダス（Ａｒｃｈａｅｏｇｌｏｂｕｓ ｆｕｌｇｉｄｕｓ））；Ｍｔｈ ｛メタバクテリウム・サーモオートトロフィカム（Ｍｅｔｈａｎｏｂａｃｔｅｒｉｕｍ ｔｈｅｒｍｏａｕｔｏｔｒｏｐｈｉｃｕｍ）｝；Ｍｊａ（メタノコッカス・ヤンナシイ（Ｍｅｔｈａｎｏｃｏｃｃｕｓ ｊａｎｎａｓｃｈｉｉ））；Ｐｆｕ（ピロコッカス・フリオサス（Ｐｙｒｏｃｏｃｃｕｓ ｆｕｒｉｏｓｕｓ））；Ｐｗｏ（ピロコッカス・ウォエセイ（Ｐｙｒｏｃｏｃｃｕｓ ｗｏｅｓｅｉ））；Ｔａｑ（サーマス・アクアティカス（Ｔｈｅｒｍｕｓ ａｑｕａｔｉｃｕｓ））；Ｔａｑ ＤＮＡＰ、ＤＮＡＰ Ｔａｑ、およびＴａｑ Ｐｏｌ Ｉ（サーマス・アクアティカスＤＮＡポリメラーゼＩ）；ＤＮＡＰＳｔｆ（ＤＮＡポリメラーゼのストフェル断片）；ＤＮＡＰＥｃｌ（大腸菌のＤＮＡポリメラーゼＩ）；Ｔｔｈ（サーマス・サーモフィラス（Ｔｈｅｒｍｕｓ ｔｈｅｒｍｏｐｈｉｌｕｓ））；Ｅｘ．（実施例（Ｅｘａｍｐｌｅ））；Ｆｉｇ．（図（Ｆｉｇｕｒｅ））；℃（摂氏）；ｇ（重力場）； ｈｒ（時間（ｈｏｕｒ））；ｍｉｎ（分（ｍｉｎｕｔｅ））；オリゴ（ｏｌｉｏ）（オリゴヌクレオチド（ｏｌｉｇｏｎｕｃｌｅｏｔｉｄｅ））；ｒｘｎ（反応）；ｖｏｌ（容積）；ｗ／ｖ（重量対容積）；ｖ／ｖ（容積対容積）；ＢＳＡ（ウシ血清アルブミン（ｂｏｖｉｎｅ ｓｅｒｕｍ ａｌｂｕｍｉｎ））；ＣＴＡＢ（臭化セチルトリメチルアンモニウム）；ＨＰＬＣ（高速液体クロマトグラフィー）；ＤＮＡ（デオキシリボ核酸）；ｐ（プラスミド）；μｌ（マイクロリットル）； ｍｌ（ミリリットル）；μｇ（マイクログラム）；ｍｇ（ミリグラム）；Ｍ（モル）；ｍＭ（ミリモル）；μＭ（マイクロモル）；ｐｍｏｌｅｓ（ピコモル）；ａｍｏｌｅｓ（アトモル）；ｚｍｏｌｅｓ（ゼプトモル）；ｎｍ（ナノメートル）； ｋｄａｌ（キロダルトン）；ＯＤ（光学密度）； ＥＤＴＡ（エチレンジアミン四酢酸）；ＦＩＴＣ（フルオレセイン・イソチオシアネート）；ＳＤＳ（ドデシル硫酸ナトリウム）； ＮａＰＯ４（リン酸ナトリウム）；ＮＰ−４０（ノニデットＰ−４０）；トリス（トリス（ヒドロキシメチル）−アミノメタン）； ＰＭＳＦ（フェニルメチルスルフォニルフルオリド）；ＴＢＥ（トリス−ホウ酸−ＥＤＴＡ、すなわち、ＨＣｌではなくホウ酸で滴定したトリス緩衝液でＥＤＴＡを含む）；ＰＢＳ（リン酸緩衝食塩水）；ＰＰＢＳ（１ｍＭ のＰＭＳＦを含むリン酸緩衝食塩水）；ＰＡＧＥ（ポリアクリルアミドゲル電気泳動）；Ｔｗｅｅｎ（ポリオキシエチレン−ソルビタン）；ＡＴＣＣ（アメリカン・タイプ・カルチャー・コレクション（Ａｍｅｒｉｃａｎ Ｔｙｐｅ Ｃｕｌｔｕｒｅ Ｃｏｌｌｅｃｔｉｏｎ）， Ｒｏｃｋｖｉｌｌｅ， ＭＤ）；Ｃｏｒｉｅｌｌ（Ｃｏｒｉｅｌｌ Ｃｅｌｌ Ｒｅｐｏｓｉｔｏｒｉｅｓ， Ｃａｍｄｅｎ， ＮＪ）；ＤＳＭＺ（Ｄｅｕｔｓｃｈｅ Ｓａｍｍｌｕｎｇ ｖｏｎ Ｍｉｋｒｏｏｒｇａｎｉｓｍｅｎ ｕｎｄ Ｚｅｌｌｃｕｌｔｕｒｅｎ， Ｂｒａｕｎｓｃｈｗｅｉｇ， Ｇｅｒｍａｎｙ）；Ａｍｂｉｏｎ（Ａｍｂｉｏｎ， Ｉｎｃ．， Ａｕｓｔｉｎ， ＴＸ）； Ｂｏｅｈｒｉｎｇｅｒ（Ｂｏｅｈｒｉｎｇｅｒ Ｍａｎｎｈｅｉｍ ���ｉｏｃｈｅｍｉｃａｌ， Ｉｎｄｉａｎａｐｏｌｉｓ， ＩＮ）；ＭＪ Ｒｅｓｅａｒｃｈ（ＭＪ Ｒｅｓｅａｒｃｈ， Ｗａｔｅｒｔｏｗｎ， ＭＡ）；Ｓｉｇｍａ（Ｓｉｇｍａ Ｃｈｅｍｉｃａｌ Ｃｏｍｐａｎｙ， Ｓｔ． Ｌｏｕｉｓ， ＭＯ）； Ｄｙｎａｌ（Ｄｙｎａｌ Ａ．Ｓ．， Ｏｓｌｏ， Ｎｏｒｗａｙ）；Ｇｕｌｌ（Ｇｕｌｌ Ｌａｂｏｒａｔｏｒｉｅｓ， Ｓａｌｔ Ｌａｋｅ Ｃｉｔｙ， ＵＴ）；Ｅｐｉｃｅｎｔｒｅ（Ｅｐｉｃｅｎｔｒｅ Ｔｅｃｈｎｏｌｏｇｉｅｓ， Ｍａｄｉｓｏｎ， ＷＴ）；Ｌａｍｐｉｒｅ（Ｂｉｏｌｏｇｉｃａｌ Ｌａｂｓ．， Ｉｎｃ．， Ｃｏｏｐｅｒｓｂｅｒｇ， ＰＡ）；ＭＪ Ｒｅｓｅａｒｃｈ（ＭＪ Ｒｅｓｅａｒｃｈ， Ｗａｔｅｒｔｏｗｎ．ＭＡ）；Ｎａｔｉｏｎａｌ Ｂｉｏｓｃｉｅｎｃｅｓ（Ｎａｔｉｏｎａｌ Ｂｉｏｓｃｉｅｎｃｅｓ， Ｐｌｙｍｏｕｔｈ， ＭＮ）；ＮＥＢ（Ｎｅｗ Ｅｎｇｌａｎｄ Ｂｉｏｌａｂｓ， Ｂｅｖｅｒｌｙ， ＭＡ；Ｎｏｖａｇｅｎ（Ｎｏｖａｇｅｎ， Ｉｎｃ．， Ｍａｄｉｓｏｎ， ＷＩ）；Ｐｒｏｍｅｇａ（Ｐｒｏｍｅｇａ， Ｃｏｒｐ．， Ｍａｄｉｓｏｎ， ＷＴ）；Ｓｔｒａｔａｇｅｎｅ（Ｓｔｒａｔａｇｅｎｅ Ｃｌｏｎｉｎｇ Ｓｙｓｔｅｍｓ， Ｌａ Ｊｏｌｌａ， ＣＡ）；Ｃｌｏｎｅｔｅｃｈ（Ｃｌｏｎｅｔｅｃｈ， Ｐａｌｏ Ａｌｔｏ， ＣＡ）；Ｐｈａｒｍａｃｉａ（Ｐｈａｒｍａｃｉａ， Ｐｉｓｃａｔａｗａｙ， ＮＪ）；Ｍｉｌｔｏｎ Ｒｏｙ（Ｍｉｌｔｏｎ Ｒｏｙ， Ｒｏｃｈｅｓｔｅｒ， ＮＹ）；Ａｍｅｒｓｈａｍ（Ａｍｅｒｓｈａｍ Ｉｎｔｅｒｎａｔｉｏｎａｌ， Ｃｈｉｃａｇｏ， ＩＬ）；およびＵＳＢ（Ｕ．Ｓ． Ｂｉｏｃｈｅｍｉｃａｌ， Ｃｌｅｖｅｌａｎｄ， ＯＨ）；Ｇｌｅｎ Ｒｅｓｅａｒｃｈ（Ｇｌｅｎ Ｒｅｓｅａｒｃｈ， Ｓｔｅｒｌｉｎｇ， ＶＡ）；Ｃｏｒｉｅｌｌ（Ｃｏｒｉｅｌｌ Ｃｅｌｌ Ｒｅｐｏｓｉｔｏｒｉｅｓ， Ｃａｍｄｅｎ， ＮＪ）；Ｇｅｎｔｒａ（Ｃｅｎｔｒａ， Ｍｉｎｎｅａｐｏｌｉｓ， ＭＮ）；Ｔｈｉｒｄ Ｗａｖｅ Ｔｅｃｈｎｏｌｏｇｉｅｓ（Ｔｈｉｒｄ Ｗａｖｅ Ｔｅｃｈｎｏｌｏｇｉｅｓ， Ｍａｄｉｓｏｎ， ＷＩ）；ＰｅｒＳｅｐｔｉｖｅ Ｂｉｏｓｙｓｔｅｍｓ（ＰｅｒＳｅｐｔｉｖｅ Ｂｉｏｓｙｓｔｅｍｓ， Ｆｒａｍｉｎｇｔｏｎ， ＭＡ）；Ｍｉｃｒｏｓｏｆｔ（Ｍｉｃｒｏｓｏｆｔ， Ｒｅｄｍｏｎｄ， ＷＡ）；Ｑｉａｇｅｎ（Ｑｉａｇｅｎ， Ｖａｌｅｎｃｉａ， ＣＡ）；Ｍｏｌｅｃｕｌａｒ Ｐｒｏｂｅｓ（Ｍｏｌｅｃｕｌａｒ Ｐｒｏｂｅｓ， Ｅｕｇｅｎｅ， ＯＲ）；ＶＷＲ（ＶＷＲ Ｓｃｉｅｎｔｉｆｉｃ）；Ａｄｖａｎｃｅｄ Ｂｉｏｔｅｃｈｎｏｌｏｇｉｅｓ（Ａｄｖａｎｃｅｄ Ｂｉｏｔｅｃｈｎｏｌｏｇｉｅｓ， ＩＮＣ．， Ｃｏｌｕｍｂｉａ， ＭＤ）；およびＰｅｒｋｉｎ Ｅｌｍｅｒ（ＰＥ Ｂｉｏｓｙｔｅｍｓ ａｎｄ Ａｐｐｌｉｅｄ Ｂｉｏｓｙｓｔｅｍｓ， Ｆｏｓｔｅｒ Ｃｉｔｙ， ＣＡとしても知られている）．
【０４７４】
実施例１
５’ヌクレアーゼ活性に関する迅速コロニー・スクリーニング
天然の５’ヌクレアーゼおよび本発明の酵素は各種の機能に関して直接試験することができる。このようなものとしては、ＲＮＡもしくはＤＮＡ標的に対する５’ヌクレアーゼ活性、および標的検出反応に存在し得る構造を代表する別の基質を用いたバックグラウンド特異性が挙げられるが、これらのみに限定されるものではない。好適な試験構造を有する核酸分子の例については、図１８Ａ〜Ｄおよび図２１〜２４に模式的に示した。下記のスクリーニング技術は、５’ヌクレアーゼを迅速かつ効率的に特徴付ける、および新規の５’ヌクレアーゼが改善されたもしくは所望の活性を有するか否かを決定する目的で開発した。ＲＮＡもしくはＤＮＡ標的に関し改善されたサイクリング速度を示す酵素、もしくは標的非依存性切断の低下した酵素は、より詳細に調べる意義がある。通常、ランダム変異誘発によって得られた改変タンパク質は、図１８Ａおよび図１８Ｂに示す基質を用いて迅速コロニー・スクリーニングにより試験した。次に、迅速タンパク質抽出を実施し、タンパク質抽出液を用いて別の構造に関する活性試験（例えば、図１８Ｃ〜Ｄに示す）を行った。酵素の改善された活性に関する初期スクリーニングもしくは以降のスクリーニングおよび特徴付けは、図２１〜図２４に図示したような他の切断複合体を用いて実施した。このような試験切断構造を形成させるために用いた特定の配列によって、本発明の範囲が限定されるものではない。迅速スクリーニングに関し同様の構造を形成させる類似の核酸を、どのように設計・作製するかは、当業者であれば理解できる。
【０４７５】
このような順序で試験することによって、全試験回数を減らし時間と試薬を節約できる。酵素機能を試験する試験の順序によって、本発明が限定されるものではない。次に、ＲＮＡもしくはＤＮＡ標的に対し合理的サイクリング速度を示す変異体を一晩培養し、迅速タンパク質抽出を行う。あるいは、切断試験のサブセットもしくは試験全部を同時に実施することもできる。
【０４７６】
便宜上、個々のタイプの迅速スクリーニングを別々のマイクロタイタープレート上で実施することもできる。例えば、ＲＮＡ ＩＮＶＡＤＥＲ活性試験に、１プレートを準備し、ＤＮＡ  ＩＮＶＡＤＥＲ活性試験に１プレートを用意する。１プレートで９０個程度の異なるコロニーをスクリーニングすることができる。スクリーニングしたコロニーは、もともとの（天然の）５’ヌクレアーゼのクローン、変異誘発反応（例えば、単一プレートから得る多くのコロニー）もしくは各種の反応（複数のプレートから選択したコロニー）に由来するもの等の各種起源に由来するものであってもよい。
【０４７７】
理想的には、同一の調製試薬を用いて、変異体として陽性対照および陰性対照を同一プレートに載せて実施する。良好な陽性対照の例としては、未改変酵素を含むコロニー、もしくは活性を新しい変異体と比較するためにあらかじめ改変されている酵素が挙げられる。例えば、Ｔａｑ ＤＮ ＲＸ ＨＴ構築物（下記）について変異誘発反応を実施した場合には、未改変Ｔａｑ ＤＮ ＲＸ ＨＴ構築物を、酵素活性に対する変異誘発の効果を比較するための標準として選択する。また、別の対照酵素を迅速スクリーニング試験に組み込むこともできる。例えば、Ｔｔｈ ＤＮ ＲＸ ＨＴ（下記；他で特記しない限り、以下に記載の ＴａｑＰｏｌ酵素およびＴｔｈＰｏｌ酵素は、ＤＮ ＲＸ ＨＴ 誘導体を表す）を、Ｔａｑ ＤＮ ＲＸ ＨＴと共に酵素活性の標準として組み込むこともできる。これによって、改変した酵素を異なる活性を有する２種類の既知の酵素と比較することができる。バックグラウンド反応レベル（すなわち、比較するヌクレアーゼ以外の起源による切断もしくはプローブ分解）を調べるために、陰性対照も実施すべきである。良好な陰性対照のコロニーとしては、クローニングおよび変異誘発に利用するベクターのみを含むもの、例えば、ｐＴｒｃ９９Ａベクターのみを含むコロニーが挙げられる。
【０４７８】
初期迅速スクリーニングの特異的変異誘発反応で選択されたコロニーの数に影響を与える２つの因子としては、以下が挙げられる：
（１）変異誘発反応で得られたコロニーの総数；（２）変異生成反応が部位特異的であるか、あるいはランダムに遺伝子全体もしくは遺伝子の領域にわたって分布するか。例えば、プレートに存在するのが高々５〜１０コロニーであれば、すべてのコロニーを試験することは容易である。数百のコロニーが存在するのであれば、これらのサブセットを解析することもできる。通常、部位特異的変異誘発反応では１０〜２０コロニーを試験し、単一ランダム変異誘発反応では通常、８０〜１００またはそれ以上のコロニーを試験する。
【０４７９】
記載されるように、これらの実験例に記載された改変５’ヌクレアーゼは下記に詳述される方法で試験した。
【０４８０】
Ａ． 迅速スクリーニング；ＲＮＡ標的に対するＩＮＶＡＤＥＲ活性（図１８Ａ）
２ｘ基質混合物を調製した。これは２０ｍＭ ＭＯＰＳ、ｐＨ７．５、１０ｍＭ ＭｇＳＯ４、２００ｍＭ ＫＣｌ、２μＭ ＦＲＥＴ−プローブオリゴ（配列番号：２２３）
2004521606.tif 000025
１μＭ ＩＮＶＡＤＥＲオリゴ（配列番号：２２４）
2004521606.tif 000026
および４ｎＭ ＲＮＡ標的（配列番号：２２５）
2004521606.tif 000027
を含む。５μｌの２ｘ基質混合物を９６ウェルマイクロタイタープレートの試料用ウェルの各々に分注した（ロープロフィール ＭＵＬＴＩＰＬＡＴＥ ９６， Ｍ．Ｊ． Ｒｅｓｅａｒｃｈ， Ｉｎｃ．）。
【０４８１】
単一コロニー（変異体、陽性対照および陰性対照のコロニー）を取り、細胞懸濁液を調製した。各々を２０μｌの水に懸濁した。９６ウェルマイクロタイタープレートを用いてコロニー当たり１ウェルで、簡便に実施することができる。
【０４８２】
最終反応条件が１０ｍＭ ＭＯＰＳ、ｐＨ７．５、５ｍＭ ＭｇＳＯ４、１００ｍＭ ＫＣｌ、１μＭ ＦＲＥＴ−プローブオリゴ、０．５μＭ  ＩＮＶＡＤＥＲオリゴ、および２ｎＭ ＲＮＡ標的となるように、５μｌの細胞懸濁液を適当な試験ウェルに添加した。ウェルを１０μｌの透明な（ｃｌｅａｒ）ＣＨＩＬＬＯＵＴ １４（Ｍ．Ｊ． Ｒｅｓｅａｒｃｈ， Ｉｎｃ．） 液体ワックスで覆い、試料を８５℃３分加熱し、次に５９℃で１時間保温した。保温後、Ｃｙｔｏｆｌｕｏｒ蛍光プレート読み取り装置を用い、以下のパラメータでプレートの測定を行った：励起４８５／２０、発光５３０／３０。
【０４８３】
Ｂ． 迅速スクリーニング；ＤＮＡ標的に対するＩＮＶＡＤＥＲ活性（図１８Ｂ）
２ｘ基質混合物を調製した。これは２０ｍＭ ＭＯＰＳ、ｐＨ７．５、１０ｍＭ ＭｇＳＯ４、２００ｍＭ ＫＣｌ、２μＭ ＦＲＥＴ−プローブオリゴ（配列番号：２２３）
2004521606.tif 000028
１μＭ ＩＮＶＡＤＥＲオリゴ（配列番号：２２４）
2004521606.tif 000029
１ｎＭ ＤＮＡ標的（配列番号：２２６）
2004521606.tif 000030
を含む。５μｌの２ｘ基質混合物を９６ウェルマイクロタイタープレートの試料用ウェルの各々に分注した（ＭＪ ロープロフィール）。
【０４８４】
単一コロニー（変異体、陽性対照および陰性対照のコロニー）を取り、細胞懸濁液を調製した。通常は、９６ウェルマイクロタイタープレートを用い、各々を２０μｌの水に懸濁した。
【０４８５】
最終反応条件が１０ｍＭ ＭＯＰＳ、ｐＨ７．５、５ｍＭ ＭｇＳＯ４、１００ｍＭ ＫＣｌ、１μＭ ＦＲＥＴ−プローブオリゴ、０．５μＭ  ＩＮＶＡＤＥＲオリゴ、および０．５ｎＭ ＤＮＡ標的となるように、５μｌの細胞懸濁液を適当な試験ウェルに添加した。ウェルを１０μｌの透明なＣＨＩＬＬＯＵＴ １４（Ｍ．Ｊ． Ｒｅｓｅａｒｃｈ， Ｉｎｃ．） 液体ワックスで覆い、試料を８５℃３分加熱し、次に５９℃で１時間保温した。保温後、Ｃｙｔｏｆｌｕｏｒ蛍光プレート読み取り装置を用い、以下のパラメータでプレートの測定を行った：励起４８５／２０、発光５３０／３０、ゲイン４０、ウェル当たりの読みが１０。
【０４８６】
Ｃ． 迅速タンパク質抽出（細胞の粗溶解物）
ＲＮＡもしくはＤＮＡ ＩＮＶＡＤＥＲアッセイ法で陽性もしくは予想と異なる結果を与えた変異体については、さらに、解析を行った。具体的には、Ｘ構造もしくはヘアピン基質（それぞれ図１８ＣおよびＤ）に対するバックグラウンド活性に関して解析を行った。上記のように、迅速コロニー・スクリーニングを利用することができる。基質を単純に変えることで、バックグラウンドもしくは異常な酵素活性に関する試験を実施できる。別の方法では、陽性クローンを一晩小規模培養し、迅速タンパク質抽出を行い、別のタンパク質機能に関してこの細胞の粗溶解物を試験する。利用しうる迅速タンパク質抽出法の一例を下記に詳述する。２〜５ｍｌのＬＢ（プラスミドを選択するために適当な抗生剤を含む；例えば、Ｍａｎｉａｔｉｓの分冊１〜３を参照のこと）に、残りの容積の２０μｌ水−細胞懸濁液を接種し、３７℃で一晩保温した。約１．４ｍｌの培養物を、１．５ｍｌの微量遠心チューブに移し、室温で３〜５分間最高速度で微量遠心して（例えば、エッペンドルフ５４１７卓上型微量遠心機で１４，０００ｒｐｍ）、細胞をペレットにした。上清を除き、細胞ペレットを１００μｌのＴＥＳ緩衝液（ｐＨ７．５）（シグマ）に懸濁した。リゾチーム（プロメガ）を最終濃度０．５μｇ／μｌで添加し、試料を室温で３０分間保温した。次に、試料を７０℃で１０分間加熱して、リゾチームを不活性化した。最高速度で５分微量遠心し、細胞デブリスをペレットにした。上清を除き、この細胞の粗溶解物を以下の酵素活性アッセイ法に用いた。
【０４８７】
Ｄ． 迅速スクリーニング：バックグラウンド特異性Ｘ構造の基質（図１８Ｃ）
上記で詳述した条件下で反応を実施した。１μｌの細胞粗溶解物を９μｌの反応成分に添加して、最終容積を１０μｌとした。最終濃度は、１０ｍＭ ＭＯＰＳ、ｐＨ７．５、５ｍＭ ＭｇＳＯ４、１００ｍＭ ＫＣｌ、１μＭ ＦＲＥＴ−プローブオリゴ（配列番号：２２３）、０．５μＭ Ｘ構造 ＩＮＶＡＤＥＲオリゴ（配列番号：２２７）
2004521606.tif 000031
および０．５ｎＭのＤＮＡ標的（配列番号：２２６）であった。ウェルを１０μｌの透明なＣＨＩＬＬＯＵＴ １４（Ｍ．Ｊ． Ｒｅｓｅａｒｃｈ， Ｉｎｃ．） 液体ワックスで覆い、反応液を８５℃３分加熱し、次に５９℃で１時間保温した。保温後、Ｃｙｔｏｆｌｕｏｒ蛍光プレート読み取り装置を用い、以下のパラメータでプレートの測定を行った：励起４８５／２０、発光５３０／３０、ゲイン４０、ウェル当たりの読みが１０。
【０４８８】
Ｅ． 迅速スクリーニング：バックグラウンド特異性ヘアピン基質（図１８Ｄ）
上記で詳述した条件下で反応を実施した。１μｌの細胞粗溶解物を９μｌの反応成分に添加して、最終容積を１０μｌとした。最終濃度は、１０ｍＭ ＭＯＰＳ、ｐＨ７．５、５ｍＭ ＭｇＳＯ４、１００ｍＭ ＫＣｌ、１μＭ ＦＲＥＴ−プローブオリゴヌクレオチド（配列番号：２２３）、および０．５ｎＭのＤＮＡ標的（配列番号：２２６）であった。ウェルを１０μｌの透明なＣＨＩＬＬＯＵＴ １４（Ｍ．Ｊ． Ｒｅｓｅａｒｃｈ， Ｉｎｃ．） 液体ワックスで覆い、反応液を８５℃３分加熱し、次に５９℃で１時間保温した。１時間保温後、Ｃｙｔｏｆｌｕｏｒ蛍光プレート読み取り装置を用い、以下のパラメータでプレートの測定を行った：励起４８５／２０、発光５３０／３０、ゲイン４０、ウェル当たりの読みが１０。
【０４８９】
Ｆ． ＩｒＴＩおよびＩｄＴ標的を用いた活性測定（図２４）
１０ｍＭ ＭＯＰＳ、ｐＨ  ７．５、０．０５％Ｔｗｅｅｎ ２０、０．０５％ノニデットＰ−４０、１０ μｇ／ｍｌ ｔＲＮＡ、１００ｍＭ ＫＣｌ、および５ｍＭ ＭｇＳＯ４を含む１０μｌの反応液で、５’ヌクレアーゼ活性のアッセイ法を実施した。プローブ濃度（配列番号：１６７）は２ｍＭであった。基質（ＩｒＴＩ（配列番号：２２８）またはＩｄＴ（配列番号：２２９）の最終濃度はそれぞれ、１０ｎＭまたは１ｎＭであった）、および実施例３の方法で調製した約２０ｎｇの酵素を、上記の反応緩衝液と混合し、ＣＨＩＬＬＯＵＴ（ＭＪ Ｒｅｓｅａｒｃｈ） 液体ワックスを重層した。反応液の反応温度５７℃にして、ＭｇＳＯ４を添加することによって開始し、１０分間保温した。次に、１０ｍＭのＥＤＴＡおよび０．０２％のメチルバイオレット（シグマ）を含む９５％のホルムアミドを１０μｌ添加することによって反応を停止した。７Ｍ尿素を含む４５ｍＭトリス−ホウ酸、ｐＨ８．３、１．４ｍＭ ＥＤＴＡを含む緩衝液中で２０％変性アクリルアミドゲル（架橋１９：１）で電気泳動を実施する直前に、試料を９０℃で１分間加熱した。他で特記しない限り、レーン当たり各１μｌの停止反応液を添加した。次に、ゲルを５０５ｎｍのフィルターを用いたＦＭＢＩＯ−１００蛍光性ゲルスキャナー（日立）上で走査した。ＦＭＢＩＯ 解析ソフトウェア（バージョン６．０（日立））を用い、非切断のおよび切断基質と一致しているバンドの強さから切断産物の分画を決定した。切断産物の分画は、２０％を上回らなかったため、おおよその切断初速度を測定することができた。回転率はこれらの反応条件（１／分）で標的分子当たり、分当たりに生成した切断シグナル・プローブ数として定義した。
【０４９０】
Ｇ． Ｘ構造（Ｘ）およびヘアピン（ＨＰ）標的による活性測定（図２２）
１０ｍＭ ＭＯＰＳ、ｐＨ７．５、０．０５％Ｔｗｅｅｎ ２０、０．０５％ノニデットＰ−４０、１０  μｇ／ｍｌ ｔＲＮＡ、１００ｍＭ ＫＣｌ、および５ｍＭ ＭｇＳＯ４を含む１０μｌの反応液で、５’ヌクレアーゼ活性のアッセイ法を実施した。ヘアピン構造形成（２２Ａ、配列番号：２３０および２３１）もしくはＸ構造形成（２２Ｂ、配列番号：２３０〜２３２）に関する各オリゴを最終濃度１μｍで添加した。実施例３の方法で調製した約２０ｎｇの試験酵素を上記の反応緩衝液と混合し、ＣＨＩＬＬＯＵＴ（ＭＪ Ｒｅｓｅａｒｃｈ） 液体ワックスを重層した。反応液の反応温度６０℃にして、ＭｇＳＯ４を添加することによって開始し、１０分間保温した。次に、１０ｍＭのＥＤＴＡおよび０．０２％のメチルバイオレット（シグマ）を含む９５％のホルムアミドを１０μｌ添加することによって反応を停止した。７Ｍ 尿素を含む４５ｍＭトリス−ホウ酸、ｐＨ８．３、１．４ｍＭ ＥＤＴＡを含む緩衝液中で２０％変性アクリルアミドゲル（架橋１９：１）で電気泳動を実施する直前に、試料を９０℃で１分間加熱した。他で特記しない限り、レーン当たり各１μｌの停止反応液を添加した。次に、ゲルを５０５ｎｍのフィルターを用いたＦＭＢＩＯ−１００蛍光性ゲルスキャナー（日立）上で走査した。ＦＭＢＩＯ 解析ソフトウェア（バージョン６．０（日立））を用い、非切断のおよび切断基質と一致しているバンドの強さから切断産物の分画を決定した。切断産物の分画は、２０％を上回らなかったため、おおよその切断初速度を測定することができた。回転率はこれらの反応条件（１／分）で標的分子当たり、分当たりに生成した切断シグナル・プローブ数として定義した。
【０４９１】
Ｈ． ヒトＩＬ−６標的による活性測定（図１０）
１０ｍＭ ＭＯＰＳ、ｐＨ７．５、０．０５％Ｔｗｅｅｎ ２０、０．０５％ノニデットＰ−４０、１０  μｇ／ｍｌ ｔＲＮＡ、１００ｍＭ ＫＣｌ、および５ｍＭ ＭｇＳＯ４を含む１０μｌの反応液で、５’ヌクレアーゼ活性のアッセイ法を実施した。ＩＬ−６ ＤＮＡ基質、０．０５ｎＭ ＩＬ−６ ＤＮＡ標的（配列番号：１６３）、各１μＭのプローブ（配列番号：１６２）およびＩＮＶＡＤＥＲ（配列番号：１６１）オリゴヌクレオチドを含む反応液を、６０℃３０分間反応させた。ＩＬ−６ ＲＮＡ標的の濃度が１ｎＭであり、反応の実施が５７℃で６０分間であることを除いて、同一条件下で、ＩＬ−６ ＲＮＡ標的（配列番号：１６０）を含む反応を実施した。各反応は、実施例３の方法で調製した約２０ｎｇの試験酵素を含んでいた。
【０４９２】
Ｉ． ｒ２５量体の合成標的による活性測定（図２３）
ｒ２５量体の合成標的（配列番号：２３３）を含む反応を、ｒ２５量体標的の濃度が５ｎＭであり、反応の実施が５８℃で６０分間であることを除いて、同一条件（１０ｍＭ ＭＯＰＳ、ｐＨ７．５、０．０５％Ｔｗｅｅｎ ２０、０．０５％ノニデットＰ−４０、１０μｇ／ｍｌ ｔＲＮＡ、１００ｍＭ ＫＣｌおよび５ｍＭ ＭｇＳＯ４）下で、各１μＭのプローブ（配列番号：２３４）およびＩＮＶＡＤＥＲ（配列番号：２３５）オリゴヌクレオチド存在下で実施した。各約２０ｎｇの試験酵素を反応液に添加した。酵素は実施例３の方法で調製した。
【０４９３】
上記の試験はいずれも、改変を加えて酵素活性の至適条件を得ることができる。例えば、酵素滴定を実施して、最大切断活性および最小バックグラウンド・シグナルを得る至適酵素濃度を決定することもできる。限定するものではないが、一例を挙げれば、多くの変異体酵素を１０ｎｇ、２０ｎｇおよび４０ｎｇの量で試験した。同様に、温度滴定を本試験に利用することもできる。タンパク質構造を改変することによって、温度要件を変えることができるので、温度の範囲を試験して問題とする変異体に最適な条件を同定すことができる。
【０４９４】
このようなスクリーニングで得られた結果（約２０ｎｇの変異体酵素を用いる）を表３〜８および図１２、図１４、図１５、図１９および図２５に示す。
【０４９５】
実施例２
ＤＮＡポリメラーゼおよび変異体ポリメラーゼの５’ヌクレアーゼのクローニングおよび発現
Ａ． サーマス・アクアティカスおよびサーマス・サーモフィラスのＤＮＡポリメラーゼ
１． ＴａｑＰｏｌおよびＴｔｈＰｏｌクローニング
サーマス属の真性細菌由来のＡ型ＤＮＡポリメラーゼは、タンパク質配列の同一性が非常に高く（ＤＮＡＳｔａｒ， ＷＩのＤＮＡ解析ソフトウェアのＬｉｐｍａｎ−Ｐｅａｒｓｏｎ 法を用いて、重合ドメインで９０％）、重合アッセイ法およびヌクレアーゼ・アッセイ法のいずれにおいても類似した挙動を示す。従って、このクラスの代表として、サーマス・アクアティカス（ＴａｑＰｏｌ）、サーマス・サーモフィラス（ＴｔｈＰｏｌ）およびサーマス・スコトダクタスのＤＮＡポリメラーゼ遺伝子を用いた。他の真性細菌のポリメラーゼ遺伝子としては、大腸菌（Ｅｓｃｈｅｒｉｃｈｉａ ｃｏｌｉ）、肺炎連鎖球菌（Ｓｔｒｅｐｔｏｃｏｃｃｕｓ ｐｎｅｕｍｏｎｉａｅ）、マイコバクテリウム−スメグマチス（Ｍｙｃｏｂａｃｔｅｒｉｕｍ ｓｍｅｇｍａｔｉｓ）、サーマス・サーモフィラス、サーマス種、サーモトガ・マリティマ（Ｔｈｅｒｍｏｔｏｇａ ｍａｒｉｔｉｍａ）、サーモサイフォ・アフリカヌス（Ｔｈｅｒｍｏｓｉｐｈｏ ａｆｒｉｃａｎｕｓ）、およびバチルス・ステアロサーモフィラス（Ｂａｃｉｌｌｕｓ ｓｔｅａｒｏｔｈｅｒｍｏｐｈｉｌｕｓ）が挙げられるが、これらのみに限定されるものではない。これらはいずれも好適である。
【０４９６】
ａ． ＴａｑＰｏｌ の初期単離：変異体ＴａｑＡ／Ｇ
Ｔａｑ ＤＮＡポリメラーゼ遺伝子は、配列番号：２３６および２３７に記載のオリゴヌクレオチドをプライマーとして用いて、サーマス・アクアティカスのＹＴ−１株（Ｌａｗｙｅｒら、上記）のゲノムＤＮＡからポリメラーゼ連鎖反応により増幅した。得られたＤＮＡ断片は、コード配列の５’末端に制限エンドヌクレアーゼＥｃｏＲＩの認識配列、コード配列の３’末端にＢｇｌＩＩ配列を有する。ＢｇｌＩＩで切断することによって、ＢａｍＨＩで得られる末端に適合する５’オーバーハングもしくは「接着末端」が得られる。ＰＣＲで増幅したＤＮＡは、ＥｃｏＲＩとＢａｍＨＩで消化した。ポリメラーゼ遺伝子のコード領域を含む２５１２ｂｐの断片をゲルによって精製した後、誘導性プロモーターを含むプラスミドに連結した。
【０４９７】
本発明の一態様においては、ハイブリッドｔｒｐ−ｌａｃ（ｔａｃ）プロモーターを含むｐＴＴＱ１８ベクターを用いた（Ｍ．Ｊ．Ｒ． Ｓｔａｒｋ， Ｇｅｎｅ ５：２５５ ［１９８７］）。ｔａｃプロモーターは、大腸菌のｌａｃリプレッサータンパク質の制御下にある。抑制をかけることで、細菌の増殖が所望のレベルに達するまで遺伝子産物の合成を抑制し、その時点で特異的誘導物質、イソプロピル−β−Ｄ−チオガラクトピラノシド（ＩＰＴＧ）を添加することによって抑制を解除する。このようなシステムによって、形質転換体の増殖を遅くする、または阻害する外来性タンパク質の発現を制御することができる。
【０４９８】
合成Ｐｔａｃ等の特に強い細菌性プロモーターがマルチコピー・プラスミド上に存在する場合には、適正なに抑制ができない。毒性の高いタンパク質をこのようなプロモーターの制御下に配置した場合には、誘導物質の非存在下であっても少量の漏出発現が起こり、これは細菌にとって有害となり得る。本発明の別の態様においては、クローニングした遺伝子の産物の合成を抑制する別の選択肢を考える。プラスミド・ベクター系列 ｐＥＴ−３に含まれているバクテリオファージＴ７の非細菌性プロモーターを利用して、クローニングした変異体 Ｔａｑポリメラーゼ遺伝子を発現させる（ＳｔｕｄｉｅｒおよびＭｏｆｆａｔｔ、Ｊ． Ｍｏｌ． Ｂｉｏｌ．， １８９：１１３ ［１９８６］）。このプロモーターは、Ｔ７ＲＮＡポリメラーゼによってのみ転写を開始する。ＢＬ２１（ＤＥ３）ｐＬＹＳ等の好適な株においては、ファージＴ７ ＲＮＡポリメラーゼ遺伝子は、細菌のゲノムに含まれ、ｌａｃオペレータの支配下にある。このような構成の利点は、複数コピーの遺伝子（プラスミド上）の発現が、単一コピーとして存在するので容易に抑制できるＴ７ ＲＮＡポリメラーゼの発現に完全に依存することである。
【０４９９】
好適な誘導性プロモーターを有するベクターには２つの例がある。他については当業者に公知である。なお、本発明の改善型ヌクレアーゼは発現システムの選択によって限定されるものではない。
【０５００】
ｐＴＴＱ１８ベクターへの連結に関しては、Ｔａｑ ポリメラーゼのコード領域（下記の理由で ｍｕｔＴａｑと呼ばれる；配列番号：２３８）を含むＰＣＲ産物のＤＮＡをＥｃｏＲＩとＢｇｌＩＩで消化し、標準的「接着末端」の条件（Ｓａｍｂｒｏｏｋら、「分子クローニング（Ｍｏｌｅｃｕｌａｒ Ｃｌｏｎｉｎｇ）」， Ｃｏｌｄ Ｓｐｒｉｎｇ Ｈａｒｂｏｒ Ｌａｂｏｒａｔｏｒｙ Ｐｒｅｓｓ， Ｃｏｌｄ Ｓｐｒｉｎｇ Ｈａｒｂｏｒ， ｐｐ． １．６３−１．６９ ［１９８９］）で、この断片をプラスミド・ベクター ｐＴＴＱｌ８のＥｃｏＲＩ／ＢａｍＨＩ部位に連結した。この構築物の発現によって、天然タンパク質の最初の２残基（Ｍｅｔ−Ａｒｇ）がベクター由来の３残基（Ｍｅｔ−Ａｓｎ−Ｓｅｒ）で置換されているが、ＰＣＲ産物のタンパク質配列の残りに関しては変更のない（配列番号：２３９）翻訳融合産物が得られる。大腸菌ＪＭ１０９ 株を構築物で形質転換し、天然タンパク質を発現する細菌の増殖を抑制する不完全抑制条件下で形質転換体をプレートに播種した。このようなプレーティング条件によって、増幅工程におけるＴａｑポリメラーゼの不正確性によって生じる等の、元々存在する変異を含む遺伝子が単離できる。
【０５０１】
この増幅／選択プロトコールを用いて、変異したＴａｑ ポリメラーゼ遺伝子（ｍｕｔＴａｑ）を含むクローンを単離した。まず、形質によって変異体を検出した。細胞粗抽出液中の温度安定性の５’ヌクレアーゼ活性は正常であったが、重合活性はほとんど無かった（おおよそ野生型 Ｔａｑ ポリメラーゼ活性の１％未満）。プライマー伸長反応によってポリメラーゼ活性を決定した。１０ｍＭ ＭＯＰＳ、ｐＨ７．５、５ｍＭ ＭｇＳＯ４、１００ｍＭ ＫＣｌを含む１０μｌの緩衝液中で反応を行った。各反応では、４０ｎｇの酵素を用いて、１０μＭポリ（Ａ）２８６もしくは１μＭポリ（ｄＡ）２７３鋳型のいずれか、４５μＭのｄＴＴＰおよび５μＭのＦｌ−ｄＵＴＰの存在下で６０℃３０分間、１０μＭ（ｄＴ）２５−３０プライマーから伸長を行った。１０μｌの停止溶液（９５％ホルムアミド、１０ｍＭ ＥＤＴＡ、０．０２％メチルバイオレット色素）で反応を停止した。試料（３μｌ）を１５％アクリルアミド変性ゲル（架橋１９：１）で分画し、Ｆｌ−ｄＵＴＰを取り込んだ分画を、５０５ｎｍの発光フィルターを備えるＦＭＢＩＯ−１００蛍光ゲルスキャナー（日立）を用いて定量した。
【０５０２】
組換え遺伝子のＤＮＡ配列解析によれば、２カ所のアミノ酸置換（ヌクレオチド１３９４位のＡからＧへの変化は、アミノ酸４６５位のＧｌｕをＧｌｙに変化させる（天然の核酸およびアミノ酸配列に従い番号付けされている：配列番号：１５３および１５７）；およびヌクレオチド２２６０位の別のＡからＧへの変化は、アミノ酸７５４位のＧｌｎをＡｒｇに変化させる）により、ポリメラーゼ・ドメインに変異が生じていた。ＧｌｎからＧｌｙへの変異は非保存的位置にあり、またＧｌｕからＡｒｇへの変異は、実質的に既知のＡ型ポリメラーゼ総てに保存されているアミノ酸を変化させるので、後者の変異はこのタンパク質の合成活性を低下させる原因の１つとなる可能性が高い。構築物のヌクレオチド配列は配列番号：３９に記載されている。この配列がコードする酵素をＴａｑ Ａ／Ｇと表す。
【０５０３】
ｂ． ＴｔｈＰｏｌの初期単離
細菌種サーマス・サーモフィラス（Ｔｔｈ）由来のＤＮＡポリメラーゼ酵素の生産は、このタンパク質の遺伝子を発現ベクターにクローニングし、大腸菌細胞で過剰発現させることによって実施した。１バイアルのＡＴＣＣ（ＡＴＣＣ＃２７６３４）の乾燥サーマス・サーモフィラス株ＨＢ−８からゲノムＤＮＡを調製した。ＤＮＡポリメラーゼ遺伝子を以下のプライマーを用いてＰＣＲにより増幅した。
2004521606.tif 000032
得られたＰＣＲ産物を、制限エンドヌクレアーゼＥｃｏＲＩおよびＳａｌＩで消化し、ＥｃｏＲＩ／ＳａｌＩ消化したプラスミド ベクターｐＴｒｃ９９Ｇ（実施例２Ｃ１に記載する）に挿入することによってプラスミド ｐＴｒｃＴｔｈ−１を作製した。このＴｔｈ ポリメラーゼ構築物は、５’オリゴヌクレオチドが偶然欠落して１残基のヌクレオチドを欠いている。その結果、ポリメラーゼ遺伝子は読み枠からはずれた。以下のオリゴヌクレオチドを用いて実施例４および５に記載の方法に従い、ｐＴｒｃＴｔｈ−１に部位特異的変異導入を行い、この間違いを修正した。
2004521606.tif 000033
これにより、プラスミド ｐＴｒｃＴｔｈ−２を作製した。ＴｔｈＰｏｌのタンパク質および該タンパク質をコードする核酸配列は、それぞれ配列番号：２４３および２４４に示した。
【０５０４】
ｃ． 組換えタンパク質の大規模調製
Ｔａｑ ＤＮＡポリメラーゼの調製プロトコール（Ｅｎｇｅｉｋｅら、Ａｎａｌ． Ｂｉｏｃｈｅｍ．， １９１：３９６ ［１９９０］）に基づく以下の技術を利用して、組換えタンパク質を次のように精製した。ｐＴｒｃ９９Ａ ＴａｑＰｏｌまたはｐＴｒｃ９９ＧＴｔｈＰｏｌのいずれかを含む大腸菌細胞（ＪＭ１０９株）を１００ｍｇ／ｍｌのアンピシリンを含む３ｍｌのＬＢに接種し、３７℃で１６時間培養した。一晩培養したものを総て、１００ｍｇ／ｍｌのアンピシリンを含む２００ｍｌまたは３５０ｍｌのＬＢに接種し、３７℃で激しく振盪しながら培養し、Ａ６００が０．８に達したところでＩＰＴＧ（１Ｍストック溶液）を最終濃度１ｍＭで添加した。培養を３７℃で１６時間継続した。
【０５０５】
誘導を行った細胞をペレットにし、細胞ペレットの重さを計った。等容量の２ｘ ＤＧ緩衝液（１００ｍＭ トリス−ＨＣｌ、ｐＨ７．６、０．１ｍＭ ＥＤＴＡ）を付加し、振盪してペレットを懸濁させた。５０ｍｇ／ｍｌのリゾチーム（シグマ）を最終濃度１ｍｇ／ｍｌで 添加し、細胞を室温で１５分間保温した。ボルテックスをしながら、デオキシコール酸（１０％溶液）を滴下し、 最終濃度を０．２％とした。１容量のＨ２Ｏおよび１容量の２ｘ ＤＧ緩衝液を添加し、得られた混合物の粘性を減らすために、混合物を氷上で２分間超音波処理した。超音波処理後、３Ｍ（ＮＨ４）２ＳＯ４ を最終濃度０．２Ｍで添加し、可溶化物を４℃で２０分間、１４，０００ｘｇで遠心した。上清を取り、７０℃で６０分間保温した。この時点で、１０％ポリエチレンイミン（ＰＥＩ）添加して０．２５％とした。氷上で３０分間保温後、混合物を４℃で２０分間、１４，０００ｘｇで遠心した。この時点で、上清を取り、（ＮＨ４）２ＳＯ４を添加し、次のようにしてタンパク質を沈殿させた。
【０５０６】
２容量の３Ｍ（ＮＨ４）２ＳＯ４を添加しタンパク質を沈殿させた。混合物を室温で一晩１６時間保温し、４℃で２０分間、１４，０００ｘｇで遠心した。タンパク質ペレットを０．５ｍｌのＱ緩衝液（５０ｍＭトリス−ＨＣｌ、ｐＨ８．０、０．１ｍＭ ＥＤＴＡ、０．１％Ｔｗｅｅｎ ２０）に懸濁した。Ｍｊａ ＦＥＮ−１の調製に関しては、固形の（ＮＨ４）２ＳＯ４を最終濃度３Ｍで添加した（〜７５％飽和）。混合物を氷上で３０分間保温し、上記のようにしてタンパク質をスピンダウンし、懸濁した。
【０５０７】
懸濁したタンパク質調製物を、Ａ２７９を調べて定量し、透析して１００  μｇ／ｍｌ ＢＳＡを含む５０％グリセロール、２０ｍＭトリス−ＨＣｌ、ｐＨ８．０、５０ｍＭ ＫＣｌ、０．５％Ｔｗｅｅｎ２０、０．５％ノニデットＰ−４０で保存した．
【０５０８】
Ｂ． サーマス・フィリフォルミスおよびサーマス・スコトダクタスのＤＮＡポリメラーゼ
１． サーマス・フィリフォルミスおよびサーマス・スコトダクタスのクローニング
ＤＳＭＺ（Ｄｅｕｔｓｃｈｅ Ｓａｍｍｌｕｎｇ ｖｏｎ Ｍｉｋｒｏｏｒｇａｎｉｓｍｅｎ ｕｎｄ Ｚｅｌｌｃｕｌｔｕｒｅｎ， Ｂｒａｕｎｓｃｈｗｅｉｇ， Ｇｅｒｍａｎｙ、菌株＃４６８７）から得たサーマス・フィリフォルミス（Ｔｆｉ）凍結乾燥品１バイアルに、１ｍｌのＣａｓｔｅｎｈｏｌｚ培地（ＤＳＭＺ培地８６）を加え、予め５０℃に加温した５００ｍｌのＣａｓｔｅｎｈｏｌｚ培地に接種した。激しく振盪しながら、７０℃で４８時間保温して培養した。培養後、８０００ｘｇで１０分間遠心して細胞を回収した。細胞ペレットを１０ｍｌのＴＥ（１０ ｍＭ トリス−ＨＣＬ、ｐＨ ８．０，１ｍＭ ＥＤＴＡ）に懸濁し、１ｍｌを取り分け、細胞を−２０℃で凍結した。１ｍｌを融解し、リゾチームを添加して１ｍｇ／ｍｌとし、 細胞を２３℃で３０分間保温した。２０％のＳＤＳ溶液（ドデシル硫酸ナトリウム）を最終濃度０．５％で添加した後、緩衝化フェノールで抽出した。水相をさらに、１：１フェノール−クロロホルムで抽出し、最後にクロロホルムで抽出した。１０分の１容量の３Ｍ酢酸ナトリウム（ｐＨ５．０）および２．５容量のエタノールを水相に添加して混合した。ＤＮＡを２０，０００ｘｇで５分間遠心することによってペレットにした。ＤＮＡペレットを７０％エタノールで洗浄し、風乾した。これを２００μｌのＴＥに再懸濁し、直接増幅に用いた。サーマス・スコトダクタス（Ｔｓｃ， ＡＴＣＣ＃５１５３２）を培養し、サーマス・フィリフォルミスに関して上記した方法でゲノムＤＮＡ を調製した。
【０５０９】
ＴｆｉのＤＮＡポリメラーゼＩ遺伝子（ＧｅｎＢａｎｋアクセッション番号ＡＦ０３０３２０）を単一断片として増幅することができなかった。そこで、２つの異なる断片を発現ベクター ｐＴｒｃ９９ａにクローニングした。２つの断片は、ＰＣＲオリゴヌクレオチドにおけるＴｆｉ ＤＮＡポリメラーゼのオープン・リーディング・フレーム（ＯＲＦ）の１３０８位にサイレント変異を導入することによって作製したＮｏｔＩ部位を重複・共有している。Ａｄｖａｎｔａｇｅ ｃＤＮＡ ＰＣＲキット（Ｃｌｏｎｅｔｅｃｈ）と以下のオリゴヌクレオチドを用いて、この遺伝子の３’側の半分を増幅した。
2004521606.tif 000034
反応によるＰＣＲ産物の長さは約１２００塩基対であった。制限酵素ＮｏｔＩおよびＳａｌＩで切断し、得られたＤＮＡをＮｏｔＩおよびＳａｌＩで切断したｐＴｒｃ９９ａに連結し、ｐＴｒｃ９９ａ−Ｔｆｉ３’を作製した。遺伝子の５’側の半分を上記の方法で以下に記載の２つのプライマー用いて増幅した。
2004521606.tif 000035
得られた１３００塩基対の断片を制限酵素ＥｃｏＲＩおよびＮｏｔＩで切断し、ＥｃｏＲＩおよびＮｏｔＩで切断したｐＴｒｃ９９ａ−Ｔｆｉ３’に連結して、ｐＴｒｃ９９ａ−ＴｆｉＰｏｌ（配列番号：２４９（対応するアミノ酸配列を配列番号：２５０に示した））を作製した。
【０５１０】
Ａｄｖａｎｔａｇｅ ｃＤＮＡ ＰＣＲキット（Ｃｌｏｎｅｔｅｃｈ）と以下の２つのプライマーを用いて、サーマス・スコトダクタスのＤＮＡポリメラーゼＩ遺伝子を増幅した。
2004521606.tif 000036
ＰＣＲ産物を制限酵素ＥｃｏＲＩおよびＳａｌＩで切断し、ＥｃｏＲＩおよびＳａｌＩで切断したｐＴｒｃ９９ａに連結し、ｐＴｒｃ９９ａ−ＴｓｃＰｏｌ（配列番号：２５３（対応するアミノ酸配列を配列番号：２５４に示した））を作製した。
【０５１１】
２．サーマス・フィリフォルミスおよびサーマス・スコトダクタスの発現と精製
タンパク質発現は、プラスミドをプロテアーゼ欠損大腸菌株 ＢＬ２１（Ｎｏｖａｇｅｎ）もしくは株 ＪＭ１０９（Ｐｒｏｍｅｇａ Ｃｏｒｐ．， Ｍａｄｉｓｏｎ， ＷＩ）に形質転換した。１００μｇ／ｍｌのアンピシリンを含むＬＢを含むフラスコに、ＬＢプレートの単一コロニーもしくは適当な株の凍結ストックを接種した。激しく振盪しながら３７℃で数時間培養した後、培養液に２００μｌの１Ｍイソプロピルガラクトシド（ＩＰＴＧ）を添加して誘導を行った。３７℃で１６時間培養を継続した後、回収を行った。８０００ｘｇで１５分間遠心して、細胞をペレットにした後、細胞ペレットを５ｍｌのＴＥＮ（１０ｍＭ トリス−ＨＣｌ、ｐＨ８．０、１ｍＭ ＥＤＴＡ、１００ｍＭ  ＮａＣｌ）に懸濁した。５０ｍｇ／ｍｌのリゾチームを１００μｌ添加して、細胞を室温で１５分間保温した。デオキシコール酸（１０％）を最終濃度０．２％で添加した。よく混合した後に、混合物の粘性を減らすために、細胞可溶化物を氷上で２分間超音波処理した。４℃で１５分間、２０，０００ｘｇで遠心することにより、細胞デブリスをペレットにした。上清を除き、１０％ポリエチルイミン（ＰＥＩ）を０．２５％添加した後、７０℃で３０分間保温した。氷上で３０分間保温後、混合物を４℃で２０分間、２０，０００ｘｇで遠心した。この時点で、酵素を含む上清を取り、１．２ｇの硫安を添加し、４℃で１時間保温してタンパク質を沈殿させた。４℃で１０分間、２０，０００ｘｇで遠心することによってタンパク質をペレットにした。４ｍｌのＨＰＬＣ緩衝液Ａ（５０ｍＭ トリス−ＨＣｌ、ｐＨ８．０、１ｍＭ ＥＤＴＡ）にペレット再懸濁した。Ｅｃｏｎｏ−Ｐａｃヘパリン・カートリッジ（バイオラッド）およびＤｉｏｎｅｘ ＤＸ ５００  ＨＰＬＣ装置を用いた親和性クロマトグラフィーによって、タンパク質をさらに精製した。簡単に説明すると、該カートリッジをＨＰＬＣ緩衝液Ａで平衡化し、酵素抽出液をカラムに添加し、同一緩衝液中のＮａＣｌ（０〜２Ｍ）の直線的勾配で溶出した。純粋なタンパク質は、０．５と１Ｍの間のＮａＣｌで溶出する。酵素ピークを採取し、５０％グリセロール、２０ｍＭ トリス−ＨＣ１、ｐＨ８、５０ｍＭ ＫＣｌ、０．５％Ｔｗｅｅｎ２０、０．５％ノニデットＰ４０、１００ｍｇ／ｍｌ ＢＳＡで透析した。
【０５１２】
Ｃ． ポリメラーゼ活性が低下し、５’ヌクレアーゼ活性が不変であるポリメラーゼ変異体の作製
節Ｃで作製した変異体は、すべて、実施例２Ａ１Ｃに記載の方法で発現させて精製した。
【０５１３】
１．修飾 ＴａｑＰｏｌ 遺伝子：ＴａｑＤＮ
ＴａｑＤＮと呼ぶ重合活性の欠損したＴａｑ ＤＮＡポリメラーゼ変異体を構築した。ＴａｑＤＮ ヌクレアーゼは、野性型のアスパラギン酸残基７８５位に代わりにアスパラギン残基を含む（Ｄ７８５Ｎ）。
【０５１４】
Ｔａｑ Ａ／Ｇ をコードする遺伝子から、ＴａｑＤＮ ヌクレアーゼをコードするＤＮＡを、２回の部位特異的変異誘発法によって構築した。まず、Ｔａｑ Ａ／Ｇ遺伝子（配列番号：２３８）の１３９７位のＧおよび２２６４位のＧをそれぞれＡに変化させ、野性型ＴａｑＰｏｌ 遺伝子を作製した。第２回目の変異誘導では、２３５６位のＧをＡに変化させることによって、野生型 ＴａｑＰｏｌ 遺伝子をＴａｑ ＤＮ 遺伝子に変換した。これらの操作は、次のように実施した。
【０５１５】
２段階法によって、Ｔａｑ Ａ／Ｇ ヌクレアーゼコードするＤＮＡを、ｐＴＴＱ１８プラスミドからｐＴｒｃ９９Ａ プラスミド（Ｐｈａｒｍａｃｉａ）に再クローニングした。まず、ｐＴｒｃ９９Ａ のマップ中の２７０位のＧを除去してｐＴｒｃ９９Ａベクターを改変し、ｐＴｒｃ９９Ｇクローニング・ベクターを作製した。この段階で、ｐＴｒｃ９９Ａ プラスミドＤＮＡをＮｃｏＩで切断し、４種類のｄＮＴＰの存在下で３７℃１５分間、大腸菌ポリメラーゼＩのクレノウ断片を用いて３’の陥凹端の平滑末端化を行った。６５℃で１０分間保温することによってクレノウ断片を不活性化し、プラスミドＤＮＡをＥｃｏＲＩで切断した。再び、４種類のｄＮＴＰの存在下で３７℃１５分間、末端をクレノウ断片を用いて平滑末端化した。次に、６５℃で１０分間保温して、クレノウ断片を失活させた。プラスミドＤＮＡをエタノール沈殿し、ライゲーションによって再び環化した。これを用いて、大腸菌ＪＭ１０９ 細胞（Ｐｒｏｍｅｇａ）を形質転換した。プラスミドＤＮＡを、単一コロニーから単離し、ｐＴｒｃ９９Ａ のマップにおける２７０位のＧを欠失をＤＮＡシーケンシングによって確認した。
【０５１６】
第二の工程において、ＥｃｏＲＩおよびＳａｌＩを用いて、Ｔａｑ Ａ／Ｇ ヌクレアーゼをコードするＤＮＡをｐＴＴＱ１８プラスミドから取り出し、Ｔａｑ Ａ／Ｇヌクレアーゼ遺伝子を含む該ＤＮＡ断片を１％アガロースゲルで分離し、Ｇｅｎｅｃｌｅａｎ ＩＩキット（Ｂｉｏ １０１， Ｖｉｓｔａ， ＣＡ）で単離した。精製した断片を、ＥｃｏＲＩおよびＳａｌＩで切断したｐＴｒｃ９９Ｇ ベクターに連結した。連結混合物を用いて、大腸菌 ＪＭ１０９コンピテント細胞（Ｐｒｏｍｅｇａ）を形質転換した。プラスミドＤＮＡを単一コロニーから単離し、Ｔａｑ Ａ／Ｇ ヌクレアーゼ遺伝子の挿入物を、ＥｃｏＲＩおよびＳａｌＩを用いた制限酵素分析によって確認した。
【０５１７】
ｐＴｒｃＡＧ Ｔａｑ Ａ／Ｇヌクレアーゼ遺伝子を含むプラスミドＤＮＡをｐＴｒｃ９９Ａベクターにクローニングし、ＱＩＡＧＥＮ Ｐｌａｓｍｉｄ Ｍａｘｉキット（ＱＩＡＧＥＮ、Ｃｈａｔｓｗｏｒｔｈ、ＣＡ）を用いて、製造元のプロトコールに従い、一晩培養したを２００ｍｌのＪＭ１０９から精製した。２種類の変異誘発用プライマーＥ４６５（配列番号：２５５）（Ｉｎｔｅｇｒａｔｅｄ ＤＮＡ Ｔｅｃｈｎｏｌｏｇｉｅｓ， Ｉｏｗａ）およびＲ７５４Ｑ（配列番号：２５６）（Ｉｎｔｅｇｒａｔｅｄ ＤＮＡ Ｔｅｃｈｎｏｌｏｇｉｅｓ， Ｉｏｗａ）、ならびに選択プライマーであるトランス・オリゴヌクレオチド ＡｌｗＮＩ／ＳｐｅＩ（Ｃｌｏｎｔｅｃｈ， Ｐａｌｏ Ａｌｔｏ， ＣＡ， カタログ番号６４８８−１）を利用して、ＴＲＡＮＳＦＯＲＭＥＲ 部位特異的変異誘発キット（Ｃｌｏｎｔｅｃｈ， Ｐａｌｏ Ａｌｔｏ， ＣＡ）のプロトコールに従い、ｐＴｒｃＡＧ プラスミドＤＮＡに変異を導入して、復帰した野性型ＴａｑＰｏｌ 遺伝子（ｐＴｒｃＷＴ）を作製した。
【０５１８】
野性型ＴａｑＰｏｌ 遺伝子を含む ｐＴｒｃＷＴ プラスミドＤＮＡを、ｐＴｒｃ９９Ａ ベクターにクローニングし、ＱＩＡＧＥＮ Ｐｌａｓｍｉｄ Ｍａｘｉキット（ＱＩＡＧＥＮ、Ｃｈａｔｓｗｏｒｔｈ、ＣＡ）を用いて、製造元のプロトコールに従い、一晩培養したを２００ｍｌのＪＭ１０９から精製した。次に、変異誘発用プライマーＤ７８５Ｎ（配列番号：２５７）（Ｉｎｔｅｇｒａｔｅｄ ＤＮＡ Ｔｅｃｈｎｏｌｏｇｉｅｓ）および選択プライマーであるスイッチ・オリゴヌクレオチド ＳｐｅＩ／ＡｌｗＮＩ（Ｃｌｏｎｔｅｃｈ， Ｐａｌｏ Ａｌｔｏ， ＣＡ， カタログ番号６３７３−１）を用いて、ＴＲＡＮＳＦＯＲＭＥＲ 部位特異的変異誘発キット（Ｃｌｏｎｔｅｃｈ， Ｐａｌｏ Ａｌｔｏ， ＣＡ）のプロトコールに従い、ｐＴｒｃＷＴに変異を誘発して、Ｔａｑ ＤＮ ヌクレアーゼをコードするＤＮＡを含むプラスミドを作製した。Ｔａｑ ＤＮ ヌクレアーゼをコードするＤＮＡを配列番号：２５８に、Ｔａｑ ＤＮ ヌクレアーゼのアミノ酸配列を配列番号：２５９に示した。
【０５１９】
２． 改変 ＴｔｈＰｏｌ遺伝子： Ｔｔｈ ＤＮ
上記のＴｔｈＰｏｌに変異を誘発することで Ｔｔｈ ＤＮ構築物を作製した。上記の部位特異的変異誘発により、７８７位にアスパラギン酸をコードする配列を、アスパラギンをコードする配列に変化させた。ｐＴｒｃＴｔｈ−２の変異誘発は以下のオリゴヌクレオチドを利用して実施した：
2004521606.tif 000037
これにより、プラスミド ｐＴｒｃＴｔｈＤＮを作製した。変異体タンパク質、およびタンパク質をコードする核酸配列は、それぞれＴｔｈＤＮ 配列番号：２６１および２６２とした。
【０５２０】
３． Ｔａｑ ＤＮ ＨＴおよびＴｔｈ ＤＮ ＨＴ
６残基のアミノ酸ヒスチジンを含むタグ（Ｈｉｓ−タグ）を、Ｔａｑ ＤＮおよびＴｔｈ ＤＮのカルボキシル末端に付加した。ＴＲＡＮＳＦＯＲＭＥＲ部位・部位特異的変異誘発キット（Ｃｌｏｎｔｅｃｈ）用いて、製造元の説明書に従い、部位特異的変異誘発を実施した。プラスミド ｐＴａｑ ＤＮおよびｐＴｔｈ ＤＮに用いた変異用オリゴヌクレオチドは、
配列１１７−０６７−０３、
2004521606.tif 000038
配列１３６−０３７−０５である。
いずれの変異誘発反応にも、選択プライマーであるトランスオリゴ ＡｌｗＮＩ／ＳｐｅＩ（Ｃｌｏｎｔｅｃｈ， カタログ番号６４８８−１）を用いた。得られた変異体遺伝子をＴａｑ ＤＮ ＨＴ（配列番号：２６５、核酸配列；配列番号：２６６、 アミノ酸配列）およびＴｔｈ ＤＮ ＨＴ（配列番号：２６７、核酸配列；配列番号：２６８、アミノ酸配列）と名付けた。
【０５２１】
４． Ｔａｑ ＤＮ ＨＴおよびＴｔｈ ＤＮ ＨＴの精製
実施例２Ｂ２のようにして、Ｔａｑ ＤＮ ＨＴおよびＴｔｈ ＤＮ ＨＴ タンパク質を大腸菌株 ＪＭ１０９で発現させた。硫安沈殿および遠心後、タンパク質ペレットを０．５ｍｌのＱ緩衝液（５０ｍＭ トリス−ＨＣｌ、ｐＨ８．０、０．１ｍＭ ＥＤＴＡ、０．１％ Ｔｗｅｅｎ ２０）に懸濁した。Ｈｉｓ−結合樹脂および緩衝液キット（Ｎｏｖａｇｅｎ）を用いて製造元の説明書に従い、親和性クロマトグラフィーにより、さらにタンパク質を精製した。１ｍｌのＨｉｓ−結合樹脂をカラムに移し、カラム 容積の３倍の滅菌水で洗浄した。５容量の１ｘ チャージ緩衝液を載せ、３容量の１ｘ 結合緩衝液で平衡化させた。４ｍｌの１ｘ 結合緩衝液をタンパク質試料に付加し、試料溶液をカラムに添加した。３ｍｌの１ｘ 結合緩衝液および３ｍｌの１ｘ 洗浄緩衝液で洗浄した後、結合したヒス−タグタンパク質を１ｍｌの１ｘ 溶出緩衝液で溶出した。次に、純粋な酵素を５０％グリセロール、２０ｍＭ トリス−ＨＣ１、ｐＨ８．０、５０ｍＭ ＫＣｌ、０．５％Ｔｗｅｅｎ２０、０．５％ノニデットＰ４０、１００μｇ／ｍｌ ＢＳＡで透析した。２７９ｎｍの吸収を測定し、酵素濃度を決定した。
【０５２２】
実施例３
ＤＮＡポリメラーゼ・ドメインのＮ末端部分を転移することにより、ＴａｑＰｏｌにＴｔｈＰｏｌのＲＮＡ依存性５’ヌクレアーゼ活性を付与することができる
Ａ． ＤＮＡもしくはＲＮＡ標的鎖のいずれかを有する基質の構造の調製および精製
ＰｅｒＳｅｐｔｉｖｅ Ｂｉｏｓｙｓｔｅｍｓの装置を用いて標準なホスホアミダイト化学（Ｇｌｅｎ Ｒｅｓｅａｒｃｈ）により、下流プローブ（配列番号：１６２）および上流プローブ（配列番号：１６１）、ならびにＩＬ−６ ＤＮＡ（配列番号：１６３）（図１０）標的鎖を合成した。 ５’末端をビオチンで標識した合成ＲＮＡ−ＤＮＡキメラ ＩｒＴ 標的（図２０Ａ）を、２’−ＡＣＥ ＲＮＡ 化学（Ｄｈａｒｍａｃｏｎ Ｒｅｓｅａｒｃｈ）を用いて合成した。製造元の説明書に従い酸触媒性加水分解で２’−保護基を除いた。５’末端が５’−フルオレセイン（Ｆ１）または５’−テトラクロロ−フルオレセイン（ＴＥＴ）で標識された下流のプローブを、Ｒｅｓｏｕｒｃｅ Ｑ カラム（Ａｍｅｒｓｈａｍ−Ｐｈａｎｎａｃｉａ Ｂｉｏｔｅｃｈ）を用いた逆相ＨＰＬＣによって精製した。ヒトＩＬ−６ ｃＤＮＡ（Ｍａｙら、Ｐｒｏｃ． Ｎａｔｌ． Ａｃａｄ． Ｓｃｉ．， ８３：８９５７ ［１９８６］に記載のヌクレオチド６４〜６９１の配列）のクローン化した断片を、Ｍｅｇａｓｃｒｉｐｔキット（Ａｍｂｉｏｎ）を用いてＴ７ ＲＮＡ ポリメラーゼでランオフ転写させることにより、６４８ヌクレオチド ＩＬ−６ ＲＮＡ標的（配列番号：１６０）（図１０）を合成した。最終的に、２０％変性ポリアクリルアミドゲルによる分離後、主たるバンドを切り出し溶出させることにより、全オリゴヌクレオチドを精製した。２６０ｎｍの吸収を測定し、オリゴヌクレオチド濃度を決定した。１０ｍＭ ＭＯＰＳ、ｐＨ７．５、０．０５％Ｔｗｅｅｎ２０、０．０５％ＮＰ−４０および１０ μｇ／ｍｌ ｔＲＮＡを含む緩衝液中でビオチン標識した ＩｒＴ 標的を、５倍過剰のストレプトアビジン（Ｐｒｏｍｅｇａ）とともに室温１０分間保温した。
【０５２３】
Ｂ． キメラ作製のための制限酵素部位導入
下記のキメラタンパク質作製に用いた制限酵素部位は、便宜的に選択した。以下の例における制限酵素部位を、機能ドメインの結晶構造その他の解析で示された周囲の領域（図６、図７および図１９参照）に配置するように設計した。天然もしくは部位特異的変異誘発法により作製した異なる部位を用いて、他の関連した生物由来のＡ型ポリメラーゼ遺伝子についても、同様な構築物を作製することができる。タンパク質機能に関していずれの変異もサイレントであることが好ましい。核酸配列およびタンパク質のアミノ酸配列を調べることによって、核酸配列に対応するアミノ酸配列に何らの影響も与えない変異を導入することができる。所望の核酸変異がアミノ酸に影響を与える場合には、新しいアミノ酸が置換したものと同一もしくは類似した性質になるように変化させることもできる。このような選択肢が可能でなければ、変異体酵素の機能を試験することによって、核酸の変化がタンパク質の活性、特異性もしくは機能に変化をもたらしたか否かについて調べることができる。本発明の改善した酵素を作製するために選択したもしくは導入した特定の制限酵素部位によって、本発明が限定されるものではない。
【０５２４】
Ｃ． Ｔｔｈ ＤＮ ＲＸ ＨＴおよびＴａｑ ＤＮ ＲＸ ＨＴの作製
変異誘発を実施し、特有な制限酵素部位を、Ｔａｑ ＤＮ ＨＴおよびＴｔｈ ＤＮ ＨＴ 酵素の両方のポリメラーゼ・ドメイン中の３カ所に付加的に導入した。Ｃｌｏｎｅｔｅｃｈ のＴｒａｎｓｆｏｒｍｅｒ部位特異的変異誘発キットを用いて、製造元の説明書に従い、部位特異的変異誘発を実施した。記載される全ての変異誘発反応に、２種類の異なる選択プライマーであるトランスオリゴ ＡｌｗＮＩ／ＳｐｅＩまたはスイッチオリゴＳｐｅＩ／ＡｌｗＮＩ（Ｃｌｏｎｔｅｃｈ， Ｐａｌｏ Ａｌｔｏ ＣＡ カタログ番号６４８８−１またはカタログ番号６３７３−１）のうちのいずれか一方を用いた。与えられた反応に利用する選択オリゴは、ベクター中の制限酵素部位の選択に依存する。変異誘発用プライマーは、いずれも標準的な合成化学で合成した。得られたコロニーは大腸菌株 ＪＭ１０９で発現した。
【０５２５】
それぞれＴａｑ ＤＮ ＨＴおよびＴｔｈ ＤＮ ＨＴ 遺伝子のセンス鎖に対応する変異誘発用プライマー
2004521606.tif 000039
を用いて、ＮｏｔＩ部位（アミノ酸の３２８位）を生成させた。センス鎖変異プライマー
2004521606.tif 000040
を用いて、ＢｓｔＩ（アミノ酸３８２位）およびＮｄｅＩ（アミノ酸４４３位）部位を両方の遺伝子に導入した。変異体プラスミドを過剰発現し、Ｑｉａｇｅｎ ＱｉａＰｒｅｐ Ｓｐｉｎ Ｍｉｎｉ Ｐｒｅｐキット（カタログ番号２７１０６）を用いて精製した。ＤＮＡシーケンシングおよび制限酵素マッピングを用いて、制限酵素部位の存在に関してベクターを試験した。これらの構築物をＴｔｈ ＤＮ ＲＸ ＨＴ（ＤＮＡ配列、配列番号：２７３；アミノ酸配列、配列番号：２７４）およびＴａｑ ＤＮ ＲＸ ＨＴ（ＤＮＡ配列、配列番号：２７５；アミノ酸配列、配列番号：２７６）と名付けた。
【０５２６】
Ｄ． キメラ
両遺伝子共通な制限エンドヌクレアーゼ部位ＥｃｏＲＩ（Ｅ）およびＢａｍＨＩ（Ｂ）；クローニング・ベクター部位ＳａｌＩ（Ｓ）；および部位特異的変異誘発法により両遺伝子の相同な位置に導入した新規の部位ＮｏｔＩ（Ｎ）、ＢｓｔＢＩ（Ｂｓ）、ＮｄｅＩ（Ｄ）で得られる相同なＤＮＡ断片を交換することによって、図１９に示すキメラ構築物を作製した。これらキメラ酵素の作製においては、２種類の異なるＤＮＡ断片を一緒に連結して最終構築物を得る。プラスミド・ベクターおよびＴａｑまたはＴｔｈ（または両方の一部）配列の一部を含むより大きいＤＮＡ断片を「ベクター」と呼ぶ。ＴａｑまたはＴｔｈ（または両方の一部）ポリメラーゼの配列を含むより小さいＤＮＡ断片を、「挿入物」と呼ぶ。
【０５２７】
制限酵素はいずれもＮｅｗ Ｅｎｇｌａｎｄ ＢｉｏｌａｂｓまたはＰｒｏｍｅｇａから購入した。製造元の説明書に従い、添付の緩衝液を用いて反応を実施した。個々の酵素の至適温度で、反応当たり約５００ｎｇのＤＮＡを２０μｌの容積で反応させた。酵素が反応緩衝液条件および反応温度に関して適合すれば、同時に２種類以上の酵素を単一反応（二重消化物）に用いた。緩衝液条件に関して酵素が不適合である可能性があれば、最も低い塩条件を必要とする酵素を最初に用いた。この反応が終了した後に、第二の酵素にとって至適もしくはより良い緩衝液条件に変え、第二の反応を実施した。これは、基礎分子生物学（Ｍａｎｉａｔｉｓ， 上記）の技術分野では公知の、通常利用される制限酵素消化の手順である。
【０５２８】
連結効率が最適となるように、制限酵素消化した断片をゲルで単離した。２μｌの１０ｘローディング色素（５０％ グリセロール、１ｘ ＴＡＥ、０．５％ ブロモフェノール・ブルー）を２０μｌの反応に添加した。全容量を添加し、１００ｍｌのアガロースゲル溶液当たり１μｌの１％臭化エチジウム溶液を含む１％の１ｘ ＴＡＢアガロースゲルで泳動した。消化した断片をＵＶ光下で可視化し、適当な断片（サイズで決定する）ゲルからを切り出した。次に、Ｑｉａｇｅｎ Ｇｅｌ Ｅｘｔｒａｃｔｉｏｎキット（カタログ番号２８７０６）を用いて製造元の説明書に従い、これらの断片を精製した。
【０５２９】
Ｎｅｗ Ｅｎｇｌａｎｄ Ｂｉｏｌａｂｓ（カタログ番号２０２Ｌ）のＴ４ ＤＮＡリガーゼ酵素を反応当たり４００ユニットおよび添付の反応緩衝液用いて、１０μｌの容積でライゲーションを行った。Ｑｉａｇｅｎで精製した断片（各ＤＮＡは、約２０〜５０ｎｇであるが、ゲルによる単離からの回収に依存する）のれぞれについて、１μｌでライゲーション反応を室温で１時間実施した。次に、大腸菌株 ＪＭ １０９をライゲーション産物で形質転換し、形質転換体の選択に関して１００μｇ／ｍｌのアンピシリンを含むＬＢ等の適当な増殖・選択培地に播種した。
【０５３０】
各連結反応に関して、所望の構築物の有無について６つの形質転換体を調べた。プラスミドＤＮＡを精製し、ＱｉａＰｒｅｐ Ｓｐｉｎ Ｍｉｎｉ Ｐｒｅｐキットを用いて製造元の説明書に従い単離した。ＤＮＡシーケンシングおよび制限酵素マッピングを用いて、構築物を確認した。
【０５３１】
キメラ酵素の発現および精製については、以下のように実施した。プラスミドを大腸菌株 ＪＭ１０９（Ｐｒｏｍｅｇａ）に形質転換した。ＪＭ１０９の対数増殖期の培養物（２００ｍｌ）を０．５ｍＭのＩＰＴＧ（Ｐｒｏｍｅｇａ）で誘導し、さらに１６時間培養した後、回収した。ペレットにした細胞を５ｍｌの１０ｍＭトリス−ＨＣｌ、ｐＨ８．３、１ｍＭ ＥＤＴＡ、０．５ｍｇ／ｍｌリゾチーム中で、室温１５分間保温することによって溶解し、可溶性タンパク質を含む粗抽出液を調製した。可溶化物を５ｍｌの１０ｍＭ トリス−ＨＣｌ、ｐＨ７．８、５０ｍＭ ＫＣｌ、１ｍＭ ＥＤＴＡ、０．５％Ｔｗｅｅｎ２０、０．５％ノニデットＰ−４０と混合し、７２℃で３０分間加熱した。１２，０００ｘｇで５分間遠心して、細胞のデブリスを除いた。タンパク質の最終精製は、Ｅｃｏｎｏ−Ｐａｃヘパリン・カートリッジ（Ｂｉｏ−Ｒａｄ）およびＤｉｏｎｅｘ ＤＸ ５００  ＨＰＬＣ装置を用いた親和性クロマトグラフィーで行った。簡単に説明すると、該カートリッジを５０ｍＭ トリス−ＨＣｌ、ｐＨ  ８、１ｍＭ ＥＤＴＡで平衡化し、酵素抽出液を同一の緩衝液に対して透析した。これをカラムに添加して、同一の緩衝液中のＮａＣｌ（０〜２Ｍ）の直線濃度勾配で溶出した。ＨＰＬＣ精製したタンパク質を透析し、５０％（ｖｏｌ／ｖｏｌ）グリセロール、２０ｍＭ トリス−ＨＣｌ、ｐＨ８．０、５０ｍＭ ＫＣｌ、０．５％Ｔｗｅｅｎ ２０、０．５％ノニデットＰ−４０およびｌ００μｇ／ｍｌ ＢＳＡにて保存した。この酵素をＳＤＳ−ＰＡＧＥで均一になるまで精製し、２７９ｎｍの吸収を測定して酵素濃度を決定した。
【０５３２】
１． ＴａｑＴｔｈ（Ｎ）およびＴｔｈＴａｑ（Ｎ）の構築
この２種類の酵素のポリメラーゼ・ドメインを含む改変を、まず実施した。制限エンドヌクレアーゼＥｃｏＲＩおよびＮｏｔＩを用いてそれぞれの遺伝子を切断することによって、ポリメラーゼ・ドメイン（タンパク質のＣ末端部分）からヌクレアーゼ・ドメイン（タンパク質のＮ末端）を分離した。 Ｔｔｈ ＤＮ ＲＸ ＨＴ 遺伝子由来の約９００塩基対の断片をＴａｑ ＤＮ ＲＸ ＨＴ 遺伝子の相同な部位にクローニングした。また、Ｔａｑ ＤＮ ＲＸ ＨＴ 遺伝子由来の約９００塩基対の断片をＴｔｈ ＤＮ ＲＸ ＨＴ 遺伝子の相同な部位にクローニングした。これにより、Ｔａｑ ＤＮ ＲＸ ＨＴ ５’ヌクレアーゼ・ドメインおよびＴｔｈ ＤＮ ＲＸ ＨＴ ポリメラーゼ・ドメインを含む（Ｎ）（ＤＮＡ配列、配列番号：６９；アミノ酸配列、配列番号：２）ならびにＴｔｈ ＤＮ ＲＸ ＨＴ ５’ヌクレアーゼ・ドメインおよびＴａｑ ＤＮ ＲＸ ＨＴ ポリメラーゼ・ドメインを含むＴｔｈＴａｑ（Ｎ）（ＤＮＡ配列、配列番号：７０；アミノ酸配列、配列番号：３）の２種類のキメラが得られた。
【０５３３】
２． ＴａｑＴｔｈ（Ｎ−Ｂ）の構築
Ｔａｑ ＤＮ ＲＸ ＨＴ構築物を酵素ＮｄｅＩおよびＢａｍＨＩで切断し、上記の方法で、より大型のベクター断片をゲルにより単離した。また、Ｔｔｈ ＤＮ ＲＸ ＨＴ構築物をＮｄｅＩおよびＢａｍＨＩで切断し、より小型の（約７９５塩基対）Ｔｔｈ断片をゲルで単離・精製した。上記の方法で、Ｔｔｈ ＮｄｅＩ−ＢａｍＨＩ挿入物をＴａｑ ＮｄｅＩ−ＢａｍＨＩベクターに連結し、ＴａｑＴｔｈ（Ｎ−Ｂ）（ＤＮＡ配列、配列番号：７１；アミノ酸配列、配列番号：４）を作製した。
【０５３４】
３． ＴａｑＴｔｈ（Ｂ−Ｓ）の構築
Ｔａｑ ＤＮ ＲＸ ＨＴ構築物を酵素ＢａｍＨＩおよびＳａｌＩで切断し、上記の方法で、より大型のベクター断片をゲルにより単離した。また、Ｔｔｈ ＤＮ ＲＸ ＨＴ構築物をＢａｍＨＩおよびＳａｌＩで切断し、より小型の（約７４１塩基対）Ｔｔｈ断片をゲルで単離・精製した。上記の方法で、Ｔｔｈ ＢａｍＨＩ−ＳａｌＩ挿入物をＴａｑ ＢａｍＨＩ−ＳａｌＩベクターに連結し、ＴａｑＴｔｈ（Ｂ−Ｓ）（ＤＮＡ配列、配列番号：７２；アミノ酸配列、配列番号：５）を作製した。
【０５３５】
４． ＴａｑＴｔｈ（Ｎ−Ｄ）の構築
Ｔａｑ ＤＮ ＲＸ ＨＴ構築物を酵素ＮｏｔＩおよびＮｄｅＩで切断し、上記の方法で、より大型のベクター断片を単離した。また、Ｔｔｈ ＤＮ ＲＸ ＨＴ構築物をＮｏｔＩおよびＮｄｅＩで切断し、より小型の（約３４５塩基対） Ｔｔｈ 断片をゲルで単離・精製した。上記の方法で、Ｔｔｈ ＮｏｔＩ−ＮｄｅＩ挿入物をＴａｑ ＮｏｔＩ−ＮｄｅＩベクターに連結し、ＴａｑＴｔｈ（Ｎ−Ｄ）（ＤＮＡ配列、配列番号：７３；アミノ酸配列、配列番号：６）を作製した。
【０５３６】
５． ＴａｑＴｔｈ（Ｄ−Ｂ）の構築
Ｔａｑ ＤＮ ＲＸ ＨＴ構築物を酵素ＮｄｅＩおよびＢａｍＨＩで切断し、上記の方法で、より大型のベクター断片を単離した。また、Ｔｔｈ ＤＮ ＲＸ ＨＴ構築物ＮｄｅＩおよびＢａｍＨＩで切断し、より小型の（約４５０塩基対）Ｔｔｈ 断片をゲルで単離・精製した。上記の方法で、Ｔｔｈ ＮｄｅＩ−ＢａｍＨＩ挿入物をＴａｑ ＮｄｅＩ−ＢａｍＨＩベクターに連結し、ＴａｑＴｔｈ（Ｄ−Ｂ）（ＤＮＡ配列、配列番号：７４；アミノ酸配列、配列番号：７）を作製した。
【０５３７】
６． ＴａｑＴｔｈ（Ｂｓ−Ｂ）の構築
Ｔａｑ ＤＮ ＲＸ ＨＴ構築物を酵素ＢｓｔＢＩおよびＢａｍＨＩで切断し、上記の方法で、より大型のベクター断片を単離した。また、Ｔｔｈ ＤＮ ＲＸ ＨＴ構築物をＢｓｔＢＩおよびＢａｍＨＩで切断し、より小型の（約６３３塩基対） Ｔｔｈ 断片をゲルで単離・精製した。上記の方法で、Ｔｔｈ ＮｄｅＩ−ＢａｍＨＩ挿入物をＴａｑ ＮｄｅＩ−ＢａｍＨＩベクターに連結し、 ＴａｑＴｔｈ（Ｂｓ−Ｂ）（ＤＮＡ配列、配列番号：７５；アミノ酸配列、配列番号：８）を作製した。
【０５３８】
７． ＴａｑＴｔｈ（Ｎ−Ｂｓ）の構築
Ｔａｑ ＤＮ ＲＸ ＨＴ構築物を酵素 ＮｏｔＩおよびＢｓｔＢＩで切断し、上記の方法で、より大型のベクター断片を単離した。また、Ｔｔｈ ＤＮ ＲＸ ＨＴ構築物をＮｏｔＩおよびＢｓｔＢＩで切断し、より小型の（約１６２塩基対） Ｔｔｈ 断片をゲルで単離・精製した。上記の方法で、Ｔｔｈ ＮｏｔＩ−ＢｓｔＢＩ挿入物をＴａｑ ＮｏｔＩ−ＢｓｔＢＩベクターに連結し、ＴａｑＴｔｈ（Ｎ−Ｂｓ）（ＤＮＡ配列、配列番号：７６；アミノ酸配列、配列番号：９）を作製した。
【０５３９】
８． ＴｔｈＴａｑ（Ｂ−Ｓ）の構築
Ｔｔｈ ＤＮ ＲＸ ＨＴ構築物を酵素ＢａｍＨＩおよびＳａｌＩで切断し、上記の方法で、より大型のベクター断片を単離した。また、Ｔａｑ ＤＮ ＲＸ ＨＴ構築物をＢａｍＨＩおよびＳａｌＩで切断し、より小型の（約７４１塩基対）Ｔｔｈ断片をゲルで単離・精製した。Ｔａｑ ＢａｍＨＩ−ＳａｌＩ挿入物をＴｔｈ ＢａｍＨＩ−ＳａｌＩベクターに連結し、ＴｔｈＴａｑ（Ｂ−Ｓ）（ＤＮＡ配列、配列番号：７７；アミノ酸配列、配列番号：１０）を作製した。
【０５４０】
９． Ｔｔｈ Ｔａｑ（Ｎ−Ｂ）の構築
Ｔｔｈ ＤＮ ＲＸ ＨＴ構築物を酵素 ＮｏｔＩおよびＢａｍＨＩで切断し、上記の方法で、より大型のベクター断片を単離した。また、Ｔａｑ ＤＮ ＲＸ ＨＴ構築物をＮｏｔＩおよびＢａｍＨＩで切断し、より小型の（約７９５塩基対）Ｔｔｈ断片をゲルで単離・精製した。Ｔａｑ ＮｏｔＩ−ＢａｍＨＩ挿入物をＴｔｈ ＮｏｔＩ−ＢａｍＨＩベクターに連結し、 ＴｔｈＴａｑ（Ｎ−Ｂ）（ＤＮＡ配列、配列番号：７８；アミノ酸配列、配列番号：１１）を作製した。
【０５４１】
これらキメラタンパク質の切断活性の特徴付けを、実施例１（Ａ節）に記載した方法で行い、ＲＮＡ標的に対する切断サイクリング速度の比較を図１２に示した。「発明の説明」でさらに説明されるように、これらのデータは、ＴａｑＰｏｌの一部を含むキメラタンパク質に対するＴｔｈＰｏｌ様のＲＮＡ依存性切断活性の付与においては、ＴｔｈＰｏｌ タンパク質の中央３分の１に見いだされる要素が重要であることを示す。
【０５４２】
実施例４
ＲＮＡ依存性５’ヌクレアーゼ活性に影響を与える改変が、ＲＮＡ依存性ＤＮＡポリメラーゼ活性にも影響を与えるとは限らない
ＴｔｈＰｏｌは、ＴａｑＰｏｌより活性の高いＲＮＡ鋳型依存性ＤＮＡポリメラーゼであることが知られている（ＭｙｅｒｓおよびＧｅｌｆａｎｄ、Ｂｉｏｃｈｅｍｉｓｔｒｙ ３０：７６６１ ［１９９１］）。サーマスＤＮＡ Ｐｏｌ Ｉ 酵素のＲＮＡ鋳型依存性５’ヌクレアーゼ活性が、ＲＮＡ依存性ポリメラーゼ活性に関与するか否かを調べる目的で、ポリメラーゼ欠損型ＴａｑＰｏｌおよびＴｔｈＰｏｌの作製に利用したＤ７８５ＮおよびＤ７８７Ｎ変異を、それぞれ逆にした。ＴａｑＴｔｈ（Ｎ）（ＤＮＡ配列、配列番号：７９；アミノ酸配列、配列番号：１２）、ＴａｑＴｔｈ（Ｎ−Ｂ）（ＤＮＡ配列、配列番号：８０；アミノ酸配列、配列番号：１３）、ＴａｑＴｔｈ（Ｂ−Ｓ）（ＤＮＡ配列、配列番号：８１；アミノ酸配列、配列番号：１４）キメラおよびＴａｑＰｏｌ（Ｗ４１７Ｌ／Ｇ４１８Ｋ／ Ｅ５０７Ｑ）（ＤＮＡ配列、配列番号：８２；アミノ酸配列、配列番号：１５）変異体タンパク質は同様にポリメラーゼ活性を回復した。
【０５４３】
選択したキメラもしくは変異体酵素に天然の非ＤＮ配列のＢａｍＨＩからＳａｌＩ までの断片を挿入することによって、上記の酵素変異体はいずれも、ポリメラーゼ機能を回復した。例えば、該変異体構築物 ＴａｑＴｔｈ（Ｎ−Ｂ）を制限酵素 ＢａｍＨＩ（アミノ酸の約５９３位）および制限酵素ＳａｌＩ（アミノ酸の約８４０位）で切断する。実施例３Ｄの方法で、より大きいベクター断片をゲルによって精製した。また、天然の ＴａｑＰｏｌ構築物を制限エンドヌクレアーゼＢａｍＨＩおよびＳａｌＩで切断し、天然のアミノ酸配列を含むより小さい挿入断片をゲルによって精製した。次に、挿入断片を実験例３Ｄに詳述するベクターに連結した。
【０５４４】
ポリ（ｄＡ）もしくはポリ（Ａ）鋳型の存在下で、フルオレセイン標識したｄＵＴＰでｄＴ２５−３５オリゴヌクレオチド・プライマーを伸長させることによって、これらのタンパク質のポリメラーゼ活性を評価した。１０ｍＭ ＭＯＰＳ、ｐＨ７．５、５ｍＭ ＭｇＳＯ４、１００ｍＭ ＫＣｌを含む１０μｌ緩衝液中でプライマー伸長反応を実施した。１０μＭポリ（Ａ）２８６もしくは１μＭポリ（ｄＡ）２７３鋳型、ならびに４５μＭ ｄＴＴＰおよび５μＭ Ｆｌ−ｄＵＴＰ存在下で、４０ｎｇの酵素を用いて、６０℃で３０分間１０μＭの（ｄＴ）２５−３０プライマーを伸長させた。１０μｌの停止溶液（９５％ ホルムアミド、 １０ｍＭ ＥＤＴＡ、０．０２％ メチルバイオレット色素）を用いて反応を停止した。試料（３μｌ）を１５％アクリルアミド変性ゲルで分画し、Ｆｌ−ｄＵＴＰを取り込んだ分画を、上記の５０５ｎｍのフィルターを備えたＦＭＢＩＯ−１００蛍光性ゲル・スキャナー（日立）を用いて定量した。
【０５４５】
図１６に示すように、本実験で用いた構築物ではいずれもＤＮＡ依存性ポリメラーゼの活性が非常に類似していたが、ＴｔｈＰｏｌ、ＴａｑＴｔｈ（Ｎ）およびＴａｑＴｔｈ（Ｂ−Ｓ）のＲＮＡ依存性ポリメラーゼ活性はＴａｑＰｏｌ、 ＴａｑＴｔｈ（Ｎ−Ｂ）およびＴａｑＰｏｌ Ｗ４１７Ｌ／Ｇ４１８Ｋ／Ｅ５０７Ｑ変異体の活性より、少なくとも６倍高い。これらの解析結果から、ＴｔｈＰｏｌの高いＲＮＡ依存性ＤＮＡポリメラーゼ活性は、ポリメラーゼ・ドメイン（おおよそ、アミノ酸５９３〜８３０）のＣ末端側半分で決まり、ＲＮＡ依存性５’ヌクレアーゼおよびポリメラーゼ活性は互いに独立であって、異なる領域によって制御されると結論付けることができる。
【０５４６】
実施例５
キメラの検索から得られた情報によるＴａｑ ＤＮ ＲＸ ＨＴの特異的点突然変異体
キメラの検索（実施例３、上記）によれば、ＲＮＡ依存性５’ヌクレアーゼの高い活性を決定するＴｔｈＰｏｌ 配列の部分は、おおよそアミノ酸３８２および５９３の間に位置するＢｓｔＢＩ−ＢａｍＨＩ領域を含むことが示唆される。Ｔｔｈ ＤＮ ＲＸ ＨＴおよびＴａｑ ＤＮ ＲＸ ＨＴ（それぞれ配列番号：１６５および１６４）のＢｓｔＢＩおよびＢａｍＨＩ領域にあるアミノ酸配列を比較すると、僅か２５残基の差が見いだされるに過ぎない（図１３）。これらの中では、１２アミノ酸の変化が保存性であり、１３残基の違いが電荷の変化を生じる。キメラ酵素の解析により、Ｔｔｈ ＤＮ ＲＸ ＨＴ のＢｓｔＢＩ−ＮｄｅＩ領域およびＮｄｅＩ−ＢａｍＨＩ領域の両方に重要な変異が存在することが示唆されることから、部位特異的変異誘発法を用いて、Ｔｔｈ ＤＮ ＲＸ ＨＴ 特異的アミノ酸を、それぞれＴａｑＴｔｈ（Ｄ−Ｂ）およびＴａｑＴｔｈ（Ｎ−Ｄ）のＢｓｔＢＩ−ＮｄｅＩ領域およびＮｄｅＩ−ＢａｍＨＩ領域に導入した。
【０５４７】
単回もしくは２回のアミノ酸変異誘発により、６つのＴｔｈ ＤＮ ＲＸ ＨＴ 特異的置換をＴａｑＴｔｈ（Ｄ−Ｂ）のＢｓｔＢＩ−ＮｄｅＩ領域に導入した。同様に、１２種類のＴｔｈ ＤＮ ＲＸ ＨＴ 特異的アミノ酸変異を、ＴａｑＴｔｈ（Ｎ−Ｄ）のＮｄｅＩ−ＢａｍＨＩ領域の相同な位置に導入した。
【０５４８】
いずれの変異誘発反応に関しても充分な出発材料を得るために、ＱＩＡＧＥＮ Ｐｌａｓｍｉｄ Ｍａｘｉキット（ＱＩＡＧＥＮ， Ｃｈａｔｓｗｏｒｔｈ， ＣＡ）を用い製造元のプロトコールに従って、一晩培養した２００ｍｌの ＪＭ１０９から、プラスミドＤＮＡを精製した。いずれの部位特異的変異も、Ｔｒａｎｓｆｏｒｍｅｒ部位特異的変異誘発法キット（Ｃｌｏｎｔｅｃｈを用いて） 製造元のプロトコールに従って導入した。各部位に用いた変異誘発用プライマーの特異的配列情報は、下記に示した。記載される全ての変異誘発反応に、異なる２種類の選択プライマーの一方、トランスオリゴ ＡｌｗＮＩ／ＳｐｅＩもしくはスイッチオリゴ ＳｐｅＩ／ＡｌｗＮＩ（Ｃｌｏｎｔｅｃｈ， Ｐａｌｏ Ａｌｔｏ， ＣＡ カタログ番号６４８８−１またはカタログ番号６３７３−１）を使用した。与えられた反応に利用する選択オリゴは、ベクター中の制限酵素部位の選択に依存する。変異誘発用プライマーは、いずれも標準的な合成化学で合成した。大腸菌株 ＪＭ１０９でコロニーを得た。
【０５４９】
１． ＴａｑＴｔｈ（Ｄ−Ｂ） Ｅ４０４Ｈ（ＤＮＡ配列、配列番号：８３；アミノ酸配列、配列番号：１６）の構築
変異誘発用プライマー：
2004521606.tif 000041
を用いてｐＴｒｃ９９Ａ ＴａｑＴｔｈ（Ｄ−Ｂ）ＤＮＡの部位特異的変異誘発を実施し、Ｅ４０４Ｈ変異を導入した。
【０５５０】
２． ＴａｑＴｔｈ（Ｄ−Ｂ） Ｆ４１３Ｈ／Ａ４１４Ｒ（ＤＮＡ配列、配列番号：８４；アミノ酸配列、配列番号：１７）の構築
ＤＮＡ変異誘発用プライマー：
2004521606.tif 000042
を用いてｐＴｒｃ９９Ａ ＴａｑＴｔｈ（Ｄ−Ｂ）ＤＮＡの部位特異的変異誘発を実施し、Ｆ４１３ＨおよびＡ４１４Ｒ変異を導入した。
【０５５１】
３． ＴａｑＴｔｈ（Ｄ−Ｂ） Ｗ４１７Ｌ／Ｇ４１８Ｋ（ＤＮＡ配列、配列番号：８５；アミノ酸配列、配列番号：１８）の構築
変異誘発用プライマー：
2004521606.tif 000043
を用いてｐＴｒｃ９９Ａ ＴａｑＴｔｈ（Ｄ−Ｂ）ＤＮＡの部位特異的変異誘発を実施し、Ｗ４１７ＬおよびＧ４１８Ｋ変異を導入した。
【０５５２】
４． ＴａｑＴｔｈ（Ｄ−Ｂ） Ａ４３９Ｒ（ＤＮＡ配列、配列番号：８６；アミノ酸配列、配列番号：１９）の構築
変異誘発用プライマー：
2004521606.tif 000044
を用いてｐＴｒｃ９９Ａ ＴａｑＴｔｈ（ＮＤ−Ｂ）ＤＮＡの部位特異的変異誘発を実施し、Ａ４３９Ｒ変異を導入した。
【０５５３】
５． ＴａｑＴｔｈ（Ｎ−Ｄ）Ｌ４５１Ｒ（ＤＮＡ配列、配列番号：８７；アミノ酸配列、配列番号：２０）の構築
変異誘発用プライマー：
2004521606.tif 000045
を用いてｐＴｒｃ９９ＡｔａｑＴｔｈ（Ｎ−Ｄ）ＤＮＡの部位特異的変異誘発を実施し、Ｌ４１５変異を導入した。
【０５５４】
６． ＴａｑＴｔｈ（Ｎ−Ｄ） Ｒ４５７Ｑ（ＤＮＡ配列、配列番号：８８；アミノ酸配列、配列番号：２１）の構築
変異誘発用プライマー：
2004521606.tif 000046
を用いてｐＴｒｃ９９ＡｔａｑＴｔｈ（Ｎ−Ｄ）ＤＮＡの部位特異的変異誘発を実施し、Ｌ４１５Ｑ変異を導入した。
【０５５５】
７． ＴａｑＴｔｈ（Ｎ−Ｄ） Ｖ４６３Ｌ（ＤＮＡ配列、配列番号：８９；アミノ酸配列、配列番号：２２）の構築
変異誘発用プライマー：
2004521606.tif 000047
を用いてｐＴｒｃ９９ＡｔａｑＴｔｈ（Ｎ−Ｄ）ＤＮＡの部位特異的変異誘発を実施し、Ｖ４６３Ｌ変異を導入した。
【０５５６】
８． ＴａｑＴｔｈ（Ｎ−Ｄ） Ａ４６８Ｒ（ＤＮＡ配列、配列番号：９０；アミノ酸配列、配列番号：２３）の構築
変異誘発用プライマー：
2004521606.tif 000048
を用いてｐＴｒｃ９９ＡｔａｑＴｔｈ（Ｎ−Ｄ）ＤＮＡの部位特異的変異誘発を実施し、Ａ４６８Ｒ変異を導入した。
【０５５７】
９． ＴａｑＴｔｈ（Ｎ−Ｄ） Ａ４７２Ｅ（ＤＮＡ配列、配列番号：９１；アミノ酸配列、配列番号：２４）の構築
変異誘発用プライマー：
2004521606.tif 000049
を用いてｐＴｒｃ９９ＡｔａｑＴｔｈ（Ｎ−Ｄ）ＤＮＡの部位特異的変異誘発を実施し、Ａ４７２Ｅ変異を導入した。
【０５５８】
１０． ＴａｑＴｔｈ（Ｎ−Ｄ） Ｇ４９９Ｒ（ＤＮＡ配列、配列番号：９２；アミノ酸配列、配列番号：２５）の構築
変異誘発用プライマー：
2004521606.tif 000050
を用いてｐＴｒｃ９９ＡｔａｑＴｆｈ（Ｎ−Ｄ）ＤＮＡの部位特異的変異誘発を実施し、Ｇ４９９Ｒ変異を導入した。
【０５５９】
１１． ＴａｑＴｔｈ（Ｎ−Ｄ） Ｅ５０７Ｑ（ＤＮＡ配列、配列番号：９３；アミノ酸配列、配列番号：２６）の構築
変異誘発用プライマー：
2004521606.tif 000051
を用いてｐＴｒｃ９９ＡｔａｑＴｔｈ（Ｎ−Ｄ）ＤＮＡの部位特異的変異誘発を実施し、Ｅ５０７Ｑ変異を導入した。
【０５６０】
１２． ＴａｑＴｔｈ（Ｎ−Ｄ） Ｙ５３５Ｈ（ＤＮＡ配列、配列番号：９４；アミノ酸配列、配列番号：２７）の構築
変異誘発用プライマー：
2004521606.tif 000052
を用いてｐＴｒｃ９９ＡｔａｑＴｔｈ（Ｎ−Ｄ）ＤＮＡの部位特異的変異誘発を実施し、Ｙ５３５Ｈ変異を導入した。
【０５６１】
１３． ＴａｑＴｔｈ（Ｎ−Ｄ） Ｓ５４３Ｎ（ＤＮＡ配列、配列番号：９５；アミノ酸配列、配列番号：２８）の構築
変異誘発用プライマー：
2004521606.tif 000053
を用いてｐＴｒｃ９９ＡｔａｑＴｔｈ（Ｎ−Ｄ）ＤＮＡの部位特異的変異誘発を実施し、Ｓ５４３Ｎ変異を導入した。
【０５６２】
１４． ＴａｑＴｔｈ（Ｎ−Ｄ） Ｉ５４６Ｖ（ＤＮＡ配列、配列番号：９６；アミノ酸配列、配列番号：２９）の構築
変異誘発用プライマー：
2004521606.tif 000054
を用いてｐＴｒｃ９９ＡｔａｑＴｔｈ（Ｎ−Ｄ）ＤＮＡの部位特異的変異誘発を実施し、Ｉ５４６Ｖ変異を導入した。
【０５６３】
１５． ＴａｑＴｔｈ（Ｎ−Ｄ） Ｄ５５１Ｓ／Ｉ５５３Ｖ（ＤＮＡ配列、配列番号：９７；アミノ酸配列、配列番号：３０）の構築
変異誘発用プライマー：
2004521606.tif 000055
を用いてｐＴｒｃ９９ＡｔａｑＴｔｈ（Ｎ−Ｄ）ＤＮＡの部位特異的変異誘発を実施し、Ｄ５５１ＳおよびＩ５５３Ｖ変異を導入した。
【０５６４】
１６． ＴａｑＤＮ ＲＸ ＨＴ Ｗ４１７Ｌ／Ｇ４１８Ｋ／Ｅ５０７Ｑ（ＤＮＡ配列、配列番号：９８；アミノ酸配列、配列番号：３１）の構築
ＴａｑＴｔｈ（Ｄ−Ｂ）Ｗ４１７Ｌ／Ｇ４１８Ｋ をＴａｑＴｔｈ（Ｎ−Ｄ） Ｅ５０７Ｑと組み合わせることによって、ＴａｑＤＮ ＲＸ ＨＴ Ｗ４１７Ｌ／Ｇ４１８Ｋ／Ｅ５０７Ｑ の三重変異体を作製した。ＴａｑＴｔｈ（Ｄ−Ｂ）Ｗ４１７Ｌ／Ｇ４１８Ｋを制限酵素ＮｄｅＩおよびＢａｍＨＩで切断し、実施例３に詳述した方法で、より大型のベクター断片を単離した。また、ＴａｑＴｔｈ（Ｎ−Ｄ） Ｅ５０７Ｑ構築物をＮｄｅＩおよびＢａｍＨＩで切断し、実施例３詳述した方法で、小型の（約７９５塩基対） 断片をゲルで単離・精製した。実施例３詳述した方法で、ＮｄｅＩ−ＢａｍＨＩ挿入物をゲルで精製したベクターに連結した。
【０５６５】
１７． ＴａｑＤＮ ＲＸ ＨＴ Ｗ４１７Ｌ／Ｅ５０７Ｑ（ＤＮＡ配列、配列番号：９９；アミノ酸配列、配列番号：３２）の構築
上記のＴａｑＤＮ ＲＸ ＨＴ Ｗ４１７Ｌ／Ｇ４１８Ｋ／Ｅ５０７Ｑから出発し、変異誘発用プライマー：
2004521606.tif 000056
を用いて、部位特異的変異誘発反応を実施し、アミノ酸４１８位のＫを、野生型アミノ酸Ｇに戻した。Ｔｒａｎｓｆｏｒｍｅｒ部位特異的変異誘発キット（Ｃｌｏｎｅｔｅｃｈ）を用いて製造元の説明書に従い、実験例４に記載する方法で部位特異的変異誘発を実施した。
【０５６６】
１８． ＴａｑＤＮ ＲＸ ＨＴ Ｇ４１８Ｋ／Ｅ５０７Ｑ（ＤＮＡ配列、配列番号：１００；アミノ酸配列、配列番号：３３）の構築
上記のＴａｑＤＮ ＲＸ ＨＴ Ｗ４１７Ｌ／Ｇ４１８Ｋ／Ｅ５０７Ｑから出発し、変異誘発用プライマー：
2004521606.tif 000057
を用いて、部位特異的変異誘発反応を実施し、アミノ酸４１７位のＬを、野生型アミノ酸Ｗに戻した。Ｔｒａｎｓｆｏｒｍｅｒ部位特異的変異誘発キット（Ｃｌｏｎｅｔｅｃｈ）を用いて製造元の説明書に従い、実験例４に記載する方法で部位特異的変異誘発を実施した。
【０５６７】
実施例３に詳述する方法で、変異体タンパク質の発現および精製を行い、これらタンパク質の切断活性の特徴付けは、実施例１Ａ節）に記載する方法で実施した。ＲＮＡ標的に対する、これら変異体タンパク質の選択の切断サイクリング速度の比較を図１４に示した。「発明の説明」でさらに、説明されるように、これらのデータは、ＲＮＡ依存性活性（すなわち、 Ｔｔｈ のＤ−ＢおよびＮ−Ｄ部分）を独立に高めることのできないＴｔｈＰｏｌの部分との組み合わせでＴａｑＰｏｌの一部を含むキメラタンパク質に対するＴｔｈＰｏｌ様のＲＮＡ依存性切断活性を付与するためには、領域４１７／４１８およびアミノ酸５０７のアミノ酸が重要であることを示す。「発明の説明」に記載されているように、Ｗ４１７Ｌ、 Ｇ４１８ＫおよびＥ５０７Ｑ 置換のみを含む Ｔａｑ ＤＮ ＲＸ ＨＴ 変種を作製した。実施例１に記載の方法で、ＩＬ−６ ＲＮＡ基質に対する Ｔｔｈ ＤＮ ＲＸ ＨＴの切断速度を比較することによって、これらの変異がＴａｑ ＤＮ ＲＸ ＨＴ 活性をＴｆｈ ＤＮ ＲＸ ＨＴ レベルまで充分増加させることを明らかにした。図１５、Ｔａｑ ＤＮ ＲＸ ＨＴ Ｗ４１７Ｌ／Ｇ４１８Ｋ／Ｅ５０７ＱおよびＴａｑ ＤＮ ＲＸ ＨＴ Ｇ４１８Ｋ／Ｅ５０７Ｑ変異体がＴｔｈ ＤＮ ＲＸ ＨＴ より１．４倍高い活性を有し、Ｔａｑ ＤＮ ＲＸ ＨＴよりも４倍高い活性を示すが、Ｔａｑ ＤＮ ＲＸ ＨＴ Ｗ４１７Ｌ／Ｅ５０７Ｑ変異体がＴａｑ ＤＮ ＲＸ ＨＴより３倍高い酵素活性を有することを表している。これらの結果は、ＴｔｈＰｏｌのＫ４１８およびＱ５０７は、ＴａｑＰｏｌと比較してより高いＲＮＡ依存性５’ヌクレアーゼ活性を提供する、特に重要なアミノ酸であることを示している。
【０５６８】
実施例６
Ｔａｑ ＤＮ ＲＸ ＨＴ Ｇ４１８Ｋ／Ｅ５０７Ｑ ５’ヌクレアーゼのＲＮＡ依存性５’ヌクレアーゼとしての性質は、最適な塩および温度に関してＴｔｈ ＤＮ ＲＸ ＨＴに類似している
Ｇ４１８Ｋ／Ｅ５０７Ｑ変異が、ＲＮＡ標的の切断速度の増加に加えて、Ｔａｑ ＤＮ ＲＸ ＨＴ変異体に有意な性質の変化をもたらしたか否かを調べる目的で、温度と塩濃度および二価イオンが異なるアッセイ条件下で、ＲＮＡ鋳型依存性５’ヌクレアーゼ・アッセイ法によって、 Ｔａｑ ＤＮ ＲＸ ＨＴ Ｇ４１８Ｋ／Ｅ５０７Ｑ（配列番号：３３）、Ｔａｑ ＤＮ ＲＸ ＨＴ（配列番号：２７６）、およびＴｔｈ ＤＮ ＲＸ ＨＴ（配列番号：２７４） 酵素を比較した。図２０Ａに示すように、本試験で用いる上流のＤＮＡおよび基質の鋳型ＲＮＡ鎖は、単一ＩｒＴ分子（配列番号：１６６）に結合させた。標識した下流のプローブ（配列番号：１６７）は大過剰であった。標的ＲＮＡ鎖の５’末端をビオチン−ストレプトアビジン複合体でブロッキングし、反応中に酵素によって非特異的分解が起こることを防いだ（Ｌｙａｍｉｃｈｅｖら、Ｓｃｉｅｎｃｅ ２６０：７７８ ［１９９３］， Ｊｏｈｎｓｏｎら、Ｓｃｉｅｎｃｅ ２６９：２３８ ［１９９５］）。図２０Ｂに、Ｔａｑ ＤＮ ＲＸ ＨＴ Ｇ４１８Ｋ／Ｅ５０７Ｑ、Ｔａｑ ＤＮ ＲＸ ＨＴおよびＴｔｈ ＤＮ ＲＸ ＨＴの切断速度を温度の関数としてプロットした。黒丸はＴａｑ ＤＮ ＲＸ ＨＴ酵素を表す。白丸はＴｔｈ ＤＮ ＲＸ ＨＴ酵素を表し、ＸｓはＴａｑ ＤＮ ＲＸ ＨＴ Ｇ４１８Ｋ／Ｅ５０７Ｑ 酵素を表す。ＩｒＴ基質に対する ＴｔｈおよびＴａｑ ＤＮ ＲＸ ＨＴ 酵素の活性の差は、実施例１に記載された切断アッセイ法で試験した場合のＩＬ−６ ＲＮＡ基質における差よりさらに大きい。Ｇ４１８Ｋ／Ｅ５０７Ｑ変異は、Ｔａｑ 酵素の活性を１０倍以上増加させ、Ｔｔｈ 酵素と比較して２５％増加させる。３種類の酵素はいずれも、切断シグナル増幅反応および同一の至適温度に関する典型的な温度プロフィールを示す。同一条件下では、ＩｒＴ（配列番号：１６８）に対するＤＮＡ基質類似体のいずれにおいても、Ｇ４１８Ｋ／Ｅ５０７Ｑ変異は、Ｔａｑ ＤＮ ＲＸ ＨＴのＤＮＡ依存性５’ヌクレアーゼ活性に対して有意な効果を示さなかった。
【０５６９】
ＩｒＴ基質に対するＴａｑ ＤＮ ＲＸ ＨＴ Ｇ４１８Ｋ／Ｅ５０７Ｑ、Ｔａｑ ＤＮ ＲＸ ＨＴおよびＴｔｈ ＤＮ ＲＸ ＨＴの５’ヌクレアーゼ活性における、ＫＣｌおよびＭｇＳＯ４濃度の効果については、図２０ＣおよびＤに示した。いずれの酵素の活性も類似した塩依存性を示し、至適ＫＣｌ濃度は、Ｔａｑ ＤＮ ＲＸ ＨＴ Ｇ４１８Ｋ／Ｅ５０７ＱおよびＴｔｈ ＤＮ ＲＸ ＨＴについては１００ｍＭであり、Ｔａｑ ＤＮ ＲＸ ＨＴについては５０ｍＭであった。いずれの酵素に対しても至適ＭｇＳＯ４濃度は、約８ｍＭであった。図２０のデータの解析によれば、Ｔａｑ ＤＮ ＲＸ ＨＴ Ｇ４１８Ｋ／Ｅ５０７Ｑの性質は、Ｔａｑ ＤＮ ＲＸ ＨＴよりもＴｔｈ ＤＮ ＲＸ ＨＴの性質により近く、ＲＮＡ標的に対する基質の認識において、Ｇ４１８Ｋ／Ｅ５０７Ｑ変異が重要な役割を占めることを示唆する。
【０５７０】
ＲＮＡ対ＤＮＡ標的の存在下で５’ヌクレアーゼ活性が低下する機構を明らかにするために、過剰のＩｒＴ基質（配列番号：１６６）および下流のプローブ（配列番号：１６７）を用い、一定の酵素濃度で、これら３種類の酵素のミカエリス定数（Ｋｍ）および最大触媒速度（ｋｃａｔ）を決定した。これらの測定に関しては、１０μｌの反応液の組成としては、１０ｍＭ ＭＯＰＳ、ｐＨ７．５、０．０５％Ｔｗｅｅｎ２０、０．０５％ノニデットＰ−４０、１０μｇ／ｍｌ ｔＲＮＡ、４ｍＭ ＭｇＣｌ２、１ｎＭの酵素（Ｔａｑ ＤＮ ＲＸ ＨＴ， Ｔｔｈ ＤＮ ＲＸ ＨＴまたはＴａｑ ＤＮ ＲＸ ＨＴ Ｇ４１８Ｋ／Ｅ５０７Ｑ）およびＩｒＴ 標的および下流のプローブの等モル混合物異なる濃度（０．１２５μＭ、０．２５μＭおよび０．５μＭまたは１μＭ）で含む。各酵素および各基質濃度における切断の動力学は４６℃で測定した。反応は、１０ｍＭ ＥＤＴＡおよび０．０２％メチルバイオレット（Ｓｉｇｍａ）を含む９５％のホルムアミドを１０μｌ添加することによって停止した。停止した消化反応液の各１μｌを、４５ｍＭ トリス−ホウ酸、ｐＨ ８．３、１．４ｍＭ  ＥＤＴＡ緩衝液中で、７Ｍ尿素を含む２０％変性アクリルアミドゲル（架橋１９：１）を用いて分画した。ゲルは、５８５ｎｍフィルターを用いたＦＭＢＩＯ−１００蛍光性ゲルス・キャナー（日立）上で走査した。切断産物の分画（ＦＭＢＩＯ 解析ソフトウェア（バージョン６．０（日立）を用いて非切断のおよび切断基質に対応するバンドの強度から決定した）を、反応時間の関数としてプロットした。初期切断速度は、切断動力学の直線部から決定し、切断産物濃度を酵素濃度および反応時間（分の単位で）で除したものと定義した。ＩｒＴ基質に対する各酵素のミカエリス定数Ｋｍおよび最大触媒速度ｋｃａｔを基質濃度の関数としての切断初速度のプロットから決定した。
【０５７１】
これら３種類の酵素は類似したＫｍ値（２００〜３００ｎＭの範囲）およびｋｃａｔ値を有し、Ｔａｑ ＤＮ ＲＸ ＨＴおよびＴｔｈ ＤＮ ＲＸＨＴに関してはおおよそ４分−１、Ｔａｑ ＤＮ ＲＸ ＨＴ Ｇ４１８Ｋ／Ｅ５０７Ｑに関してはおおよそ９分−１であることが明らかになった。Ｇ４１８Ｋ／Ｅ５０７Ｑ変異はＴａｑ ＤＮ ＲＸ ＨＴのｋｃａｔを２倍位以上増加させるが、Ｋｍに対してほとんど効果を示さないことは、変異によって切断により適切な位置に基質を配置するよりも、むしろ単純に結合定数を増加させることを示唆する。
【０５７２】
実施例７
ＲＮＡ依存性５’ヌクレアーゼ活性をさらに改善するための分子モデリングの利用
Ａ． 点変異体
機能の変化した酵素を得るために、予め決まった位置の部位特異的変異誘発法もしくはランダム変異誘発法で配列に変異を導入した。キメラ試験の結果、関係する開示文献および分子モデリングに基づいて、部位特異的変異誘発の位置を選択した。上記で説明した二つのＴｔｈ ＤＮ ＲＸ ＨＴ 酵素およびＴａｑ ＤＮ ＲＸ ＨＴ 酵素から、それぞれさらに７種類の変異体酵素および２０種類の変異体酵素を作製した。いくつかの変異体酵素は、複数の変異誘発法反応によって得た。すなわち２カ所以上の変異を導入して最終産物を得た。他で特記しない限り、実施例２Ｃ２に記載のＴｔｈ ＤＮ ＲＸ ＨＴ構築物（配列番号：２７３）または実施例２Ｃ１に記載のＴａｑ ＤＮ ＲＸ ＨＴ構築物（配列番号：２７５）を用いて変異反応を実施した。いずれの変異誘発反応に関しても充分な出発材料を得るために、ＱＩＡＧＥＮ Ｐｌａｓｍｉｄ Ｍａｘｉキット（ＱＩＡＧＥＮ， Ｃｈａｔｓｗｏｒｔｈ， ＣＡ）を用いて製造元のプロトコールに従って、一晩培養した２００ｍｌのＪＭ１０９からプラスミドＤＮＡを精製した。いずれの部位特異的変異も、Ｔｒａｎｓｆｏｒｍｅｒ部位特異的変異誘発法キット（Ｃｌｏｎｔｅｃｈ）を用いて製造元のプロトコールに従って導入した。記載される全ての変異誘発反応に、２種類の異なる選択プライマーであるトランスオリゴ ＡｌｗＮＩ／ＳｐｅＩまたはスイッチオリゴＳｐｅＩ／ＡｌｗＮＩ（Ｃｌｏｎｔｅｃｈ， Ｐａｌｏ Ａｌｔｏ ＣＡ カタログ番号６４８８−１またはカタログ番号６３７３−１）のうちのいずれか一方を用いた。与えられた反応に利用する選択オリゴは、ベクター中の制限酵素部位の選択に依存する。部位特異的変異誘発およびランダム変異誘発の変異誘発用プライマーは、いずれも標準的な合成化学で合成した。それぞれの反応に関して得られたコロニーは大腸菌株 ＪＭ１０９で発現した。ランダム突然変異誘発法を以下に説明する。
【０５７３】
変異体は、実施例１に詳述される迅速スクリーニング・プロトコールで試験した。次に、より詳細な分析が必要な場合、もしくはより大規模なタンパク質調製が必要な場合には、実施例３に詳述される方法で、変異体タンパク質を発現および精製した。
【０５７４】
１． Ｔｔｈ ＤＮ ＲＸ ＨＴ Ｈ６４１Ａ、Ｔｔｈ ＤＮ ＲＸ ＨＴ Ｈ７４８Ａ、Ｔｔｈ ＤＮ ＲＸ ＨＴ Ｈ７８６Ａの構築
変異誘発用プライマー：
2004521606.tif 000058
を用いて、ｐＴｒｃ９９Ａ Ｔｔｈ ＤＮ ＲＸ ＨＴ ＤＮＡの部位特異的変異誘発を実施し、Ｈ６４１Ａ変異（ＤＮＡ配列、配列番号：１０１；アミノ酸配列、配列番号：３４）を導入した。あるいは、変異誘発用プライマー：
2004521606.tif 000059
を用いて、Ｈ７４８Ａ変異体（ＤＮＡ配列、配列番号：１０２；アミノ酸配列、配列番号：３５）を作製した。あるいは、変異誘発用プライマー：
2004521606.tif 000060
を用いて、Ｈ７８６Ａ変異体酵素（ＤＮＡ配列、配列番号：１０３；アミノ酸配列、配列番号：３６）を作製した。
【０５７５】
２． Ｔｔｈ ＤＮ ＲＸ ＨＴ（Ｈ７８６Ａ／Ｇ５０６Ｋ／Ｑ５０９Ｋ）の構築
上記で作製した変異体 Ｔｔｈ ＤＮ ＲＸ ＨＴ Ｈ７８６Ａから出発して、変異誘発用プライマー：
2004521606.tif 000061
を用いて、部位特異的変異誘発を実施し、「ＴｔｈＡＫＫ」（ＤＮＡ配列、配列番号：１０４；アミノ酸配列、配列番号：３７）と命名した変異体を作製した。
【０５７６】
３． Ｔａｑ ＤＮ ＲＸ ＨＴ（Ｗ４１７Ｌ／Ｇ４１８Ｋ／Ｅ５０７Ｑ／Ｈ７８４Ａ）の構築
突然変異誘発性オリゴヌクレオチド
2004521606.tif 000062
を用いて、部位特異的変異誘発反応を実施し、Ｈ７８４Ａ変異を導入し、「Ｔａｑ４Ｍ」（ＤＮＡ配列、配列番号：１０５；アミノ酸配列、配列番号：３８）と命名した変異体を作製した。
【０５７７】
４． Ｔａｑ４Ｍ Ｈ６３９Ａ、Ｔａｑ４Ｍ Ｒ５８７Ａ、Ｔａｑ４Ｍ Ｇ５０４ＫおよびＴａｑ４Ｍ Ｇ８０Ｅの構築
プライマー：
2004521606.tif 000063
を用いて、Ｔａｑ４Ｍ変異体に部位特異的変異誘発を実施し、Ｔａｑ ４Ｍ Ｈ６３９Ａ変異体（ＤＮＡ配列、配列番号：１０６；アミノ酸配列、配列番号：３９）を作製した。また、プライマー：
2004521606.tif 000064
を用いて、Ｔａｑ ４Ｍ Ｒ５８７Ａ（ＤＮＡ配列、配列番号：１０７；アミノ酸配列、配列番号：４０）を作製した。また、プライマー：
2004521606.tif 000065
を用いて、Ｔａｑ ４Ｍ Ｇ５０４Ｋ（ＤＮＡ配列、配列番号：１０８；アミノ酸配列、配列番号：４１）を作製した。また、プライマー：
2004521606.tif 000066
を用いて、Ｔａｑ ４Ｍ Ｇ８０Ｅ変異体（ＤＮＡ配列、配列番号：１０９；アミノ酸配列、配列番号：４２）を作製した。
【０５７８】
５． Ｔａｑ ４Ｍ Ｐ８８Ｅ／Ｐ９０ＥおよびＴａｑ ４Ｍ Ｌ１０９Ｆ／Ａ１１０Ｔの構築
上記のＴａｑ ４Ｍ から出発して、部位特異的変異誘発用プライマー：
2004521606.tif 000067
を用いて、部位特異的変異誘発を実施し、Ｐ８８Ｅ／Ｐ９０Ｅ変異（ＤＮＡ配列、配列番号：１１０；アミノ酸配列、配列番号：４３）を作製した。また、プライマー：
2004521606.tif 000068
を用いて、Ｌ１０９Ｆ／Ａ１１０Ｔ変異（ＤＮＡ配列、配列番号：１１１；アミノ酸配列、配列番号：４４）を作製した。
【０５７９】
６． Ｔａｑ ＤＮ ＲＸ ＨＴ（Ｗ４１７Ｌ／Ｇ４１８Ｋ／Ｇ４９９Ｒ／Ａ５０２Ｋ／Ｉ５０３Ｌ ／Ｇ５０４Ｋ／ Ｅ５０７Ｋ／Ｈ７８４Ａ）の構築
まず構築物 Ｔａｑ４Ｍ（Ｔａｑ Ｗ４１７Ｌ／Ｇ４１８Ｋ／Ｇ５０４Ｋ／Ｅ５０７Ｑ／Ｈ７８４Ａ）を鋳型として用いて、２種類のＰＣＲ反応を実施した。プライマー：
2004521606.tif 000069
を用いて、６２０塩基対のＰＣＲ断片が得られた。プライマー：
2004521606.tif 000070
を用いて、別の５１０塩基対のＰＣＲ産物が得られた。この２種類のＰＣＲ産物は、外側のプライマー１５８−８４−０１および３３０−０６−０３を用いて最終的に組換えＰＣＲ増幅を実施すると１１８２塩基対産物が得られるような重複を有している。製造元の説明書に従い、組換えＰＣＲ産物を制限酵素 ＮｏｔＩおよびＢａｍＨＩで消化して、７９３塩基対の断片を得た。また、元のプラスミド Ｔａｑ４Ｍを同一の酵素で消化して、用いた連結用ベクターとして用いた。いずれのＤＮＡ断片も、連結前に、ＴＡＥアガロースゲルによって精製した。断片をベクターに連結し、ＪＭ１０９ 細胞を形質転換した。このようにして、変異Ｇ４９９Ｒ、Ａ５０２Ｋ、Ｉ５０３ＬおよびＥ５０７Ｋ、ならびに制限エンドヌクレアーゼ部位、ＡｇｅＩを導入した。この構築物を「Ｔａｑ ８Ｍ」（ＤＮＡ配列、配列番号：１１２；アミノ酸配列、配列番号：４５）と命名した。
【０５８０】
Ｂ． ランダム変異誘発
ランダム変異誘発法で機能が変化した多数の酵素を作製した。ランダム変異誘発法において標的とするタンパク質領域は、分子モデリングのデータおよび文献情報に基づいて選択した。異なる変異誘発用プライマーを用いて、タンパク質の異なる領域に変異を導入した。上記のＴａｑ変異体である Ｔａｑ ４Ｍ Ｇ５０４Ｋ（Ｔａｑ ＤＮ ＲＸ ＨＴ Ｗ４１７Ｌ／Ｇ４１８Ｋ／Ｇ５０４Ｋ／Ｅ５０７Ｑ／Ｈ７８４Ａ／）（配列番号：１０８）にランダム突然変異誘発を実施し、他で特記しない限り、Ｔａｑ８Ｍ（配列番号：１１２）について変異誘発反応で作製した変異体ＰＣＲ断片の相同領域を交換した。
【０５８１】
また、上記のＴｔｈ ＤＮ ＲＸ ＨＴ Ｈ７８６Ａ（配列番号：１０３）について、ランダム突然変異誘発を実施した。Ｔｔｈ ＤＮ ＲＸ ＨＴ Ｈ７８６Ａ 鋳型から作製した変異体ＰＣＲ断片相同領域、もとのＴｔｈ ＤＮ ＲＸ ＨＴ Ｈ７８６Ａのものと交換した。
【０５８２】
１．アミノ酸残基５００〜５０７位または５１３〜５２０位におけるランダム変異体
第一の変異オリゴヌクレオチド：
2004521606.tif 000071
を、
2004521606.tif 000072
と共に用いて、Ｔａｑ ポリメラーゼ変異体Ｔａｑ ＤＮ ＲＸ ＨＴ Ｗ４１７Ｌ／Ｇ４１８Ｋ／Ｇ５０４Ｋ／Ｅ５０７Ｑ／Ｈ７８４Ａ（配列番号：１０８）のアミノ酸の５００位から５０７位にランダムな残基を導入した。括弧内の塩基の９１％のみが不変であり、残りの９％の塩基が他の３種類の塩基の混合物となるようにプライマー ５３５−０５４−０１を合成することによって、これを達成した。このオリゴの最初の不変な配列は、Ｇ４９９Ｒ、Ａ５０２ＫおよびＱ５０７Ｋ変異を含む。
【０５８３】
５００〜５０７の領域に変異を導入する目的で、プライマー５３５−０５４−０１およびプライマー１５８−８４−０１、およびＡｄｖａｎｔａｇｅ ｃＤＮＡ ＰＣＲキット（Ｃｌｏｎｅｔｅｃｈ）、また上記のＴａｑ変異体を標的としてＰＣＲ反応に用いた。次に、このＰＣＲ断片を１％ＴＡＥアガロースゲルで泳動し、切り出して、ＱＩＡｑｕｉｃｋ Ｇｅｌ Ｅｘｔｒａｃｔｉｏｎキット（Ｑｉａｇｅｎ， Ｖａｌｅｎｃｉａ ＣＡ， カタログ番号２８７０６）で精製した。精製した断片をＮｏｔＩおよびＡｇｅＩで切断し、ＮｏｔＩおよびＡｇｅＩで直鎖状にしたｐＴａｑ８Ｍに連結した。ＪＭ１０９大腸菌細胞（Ｐｒｏｍｅｇａ）を得られた産物で形質転換した。下に記載した方法で、クローンを試験した。
【０５８４】
第二の突然変異オリゴヌクレオチド（異なる反応中で用いられる）：
2004521606.tif 000073
を、
2004521606.tif 000074
と共に用いて、アミノ酸５１３−５２０のランダムな残基に導入した。また、プライマー５３５−０５４−０２の括弧内の塩基は、９１％のみが野性型で、おのおの３％が残りの３種類のヌクレオチドである。
【０５８５】
５１３−５２０の領域に変異を導入する目的で、プライマー ５３５−０５４−０２およびプライマー５３５−０５４−０２、ならびに鋳型として上記のＴａｑ ＤＮ ＲＸ ＨＴ Ｗ４１７Ｌ／Ｇ４１８Ｋ／Ｇ５０４Ｋ／ Ｅ５０７Ｑ／Ｈ７８４Ａ（配列番号：１０８）をＰＣＲ反応に用いた。上記のようにして、得られたＰＣＲ断片を精製し、制限酵素 ＡｇｅＩおよびＢａｍＨＩで切断した。次に、切断した断片を、ＡｇｅＩおよびＢａｍＨＩで直鎖状にしたＴａｑ８Ｍ構築物に連結した。連結産物でＪＭ１０９大腸菌細胞を形質転換した。実施例１に記載した方法で、クローンを試験した。これらから作製した変異体は、以下のものである。Ｔａｑ ＤＮ ＲＸ ＨＴ Ｗ４１７Ｌ／Ｇ４１８Ｋ／Ｇ４９９Ｒ／Ａ５０２Ｋ／Ｋ５０４Ｎ／Ｅ５０７Ｋ／Ｈ７８４Ａ（Ｍｌ−１３）（ＤＮＡ配列、配列番号：１１３；アミノ酸配列、配列番号：４６）。Ｔａｑ ＤＮ ＲＸ ＨＴ Ｗ４１７Ｌ／Ｇ４１８Ｋ／Ｇ４９９Ｒ／Ｌ５００Ｉ／Ａ５０２Ｋ／Ｇ５０４Ｋ／Ｑ５０７Ｈ／Ｈ７８４Ａ（Ｍｌ−３６）（ＤＮＡ配列、配列番号：１１４；アミノ酸配列、配列番号：４７）。Ｔａｑ ＤＮ ＲＸ ＨＴ Ｗ４１７Ｌ／Ｇ４１８Ｋ／Ｇ４９９Ｒ／Ａ５０２Ｋ／Ｉ５０３Ｌ／Ｇ５０４Ｋ／Ｅ５０７Ｋ／Ｔ５１４Ｓ／Ｈ７８４Ａ．（Ｍ２−２４）（ＤＮＡ配列、配列番号：１１５；アミノ酸配列、配列番号：４８）。Ｔａｑ ＤＮ ＲＸ ＨＴ Ｗ４１７Ｌ／Ｇ４１８Ｋ／Ｇ４９９Ｒ／Ａ５０２Ｋ／Ｉ５０３Ｌ／Ｇ５０４Ｋ／Ｅ５０７Ｋ／ Ｖ５１８Ｌ／Ｈ７８４Ａ（Ｍ２−０６）（ＤＮＡ配列、配列番号：１１６；アミノ酸配列、配列番号：４９）。
【０５８６】
２． ＴｔｈＤＮ ＲＸ ＨＴ Ｈ７８６Ａ ランダム変異誘発法
ＴｔｈＤＮ ＲＸ ＨＴ Ｈ７８６Ａ（配列番号：３６）酵素のヘリックス−ヘアピン−ヘリックス領域の変異体を作製する目的で、鋳型としてＨ７８６Ａ（配列番号：１０３）変異体を用いて異なる２種のＰＣＲ上記反応を実施した。組換えＰＣＲ上記反応が実施可能に、２種のＰＣＲ産物を重複させる（Ｈｉｇｕｃｈｉ、「ＰＣＲ技術（ＰＣＲ Ｔｅｃｈｎｏｌｏｇｙ）」， Ｈ． Ａ． Ｅｒｉｉｃｈ編、Ｓｔｏｃｋｔｏｎ Ｐｒｅｓｓ、Ｎｅｗ Ｙｏｒｋ． ｐｐ６ｌ−７０ ［１９８９］）。次に、断片の末端およびＴｔｈＤＮ Ｈ７８６Ａ 配列内に位置する制限酵素部位を用いて、この最終的なＰＣＲ産物を、ＴｔｈＤＮ Ｈ７８６Ａ変異体の相同領域と交換した。
【０５８７】
上記のＴｔｈＤＮ Ｈ７８６Ａ から出発して、プライマー：
2004521606.tif 000075
を用いて、６２０塩基対のＰＣＲ断片が得られた。Ａｄｖａｎｔａｇｅ ｃＤＮＡ ＰＣＲキット（Ｃｌｏｎｔｅｃｈ）を用いて製造元の説明書に従い、ＰＣＲ反応を実施した。このＰＣＲ産物は、アミノ酸１〜１９４位を含む。この反応によっては、変異は何も導入されないが、ＥｃｏＲＩ制限酵素部位が５’末端に存在する。
【０５８８】
上記のＴｔｈＤＮ ＲＸ ＨＴ Ｈ７８６Ａから出発して、変異誘発用プライマー：
2004521606.tif 000076
を用いて、７８７塩基対のＰＣＲ断片を作製した。ＰＣＲ反応は上記のように実施した。この断片は、変異誘発用プライマー６０４−０８−０５によりランダム変異を含む。配列の９１％が野性型で、残りの９％が残りの３種類の塩基を均等に有するように、このプライマーの括弧内の塩基を合成した。
【０５８９】
この２種類の断片は重複を有しており、組換えＰＣＲ反応で結合させた。プライマー３９０−７６−０８および２０９−７４−０２を添加し、製造元の説明書に従いＡｄｖａｎｔａｇｅ ｃＤＮＡ ＰＣＲキット（Ｃｌｏｎｔｅｃｈ）を用いた。１３８０塩基対の産物は、この反応で生成した。
【０５９０】
製造元の説明書に従い、組換えＰＣＲ産物を制限酵素ＥｃｏＲＩおよびＮｏｔＩで切断し、９８６塩基対の断片を得た。同一の酵素で切断することによって、ＴｔｈＤＮ ＲＸ ＨＴ Ｈ７８６Ａ を調製した。次に、断片をベクターに連結し、ＪＭ１０９ 細胞を形質転換した。この反応セットから作製した新規の変異体は以下のものを含む。ＴｔｈＤＮ ＲＸ ＨＴ Ｈ７８６Ａ／Ｐ１９７Ｒ／Ｋ２００Ｒ（ＤＮＡ配列、配列番号：１１７；アミノ酸配列、配列番号：５０）。ＴｔｈＤＮ ＲＸ ＨＴ Ｈ７８６Ａ／Ｋ２０５Ｙ（ＤＮＡ配列、配列番号：１１８；アミノ酸配列、配列番号：５１）。ＴｔｈＤＮ ＲＸ ＨＴ Ｈ７８６Ａ／Ｇ２０３Ｒ（ＤＮＡ配列、配列番号：１１９； アミノ酸配列、配列番号：５２）。
【０５９１】
３． Ｔａｑ ＤＮ ＲＸ ＨＴ Ｗ４１７Ｌ／Ｇ４１８Ｋ／Ｈ７８４Ａ Ｌ１０９Ｆ／Ａ１１０Ｔ／Ｇ４９９Ｒ／Ａ５０２Ｋ／Ｉ５０３Ｌ／Ｇ５０４Ｋ／Ｅ５０７Ｋ／Ｔ５１４Ｓ（Ｔａｑ ＳＳ）の構築
上記のＴａｑ ＤＮ ＲＸ ＨＴ Ｗ４１７Ｌ／Ｇ４１８Ｋ／Ｇ４９９Ｒ／Ａ５０２Ｋ／Ｉ５０３Ｌ／Ｇ５０４Ｋ／Ｅ５０７Ｋ／Ｔ５１４Ｓ／Ｈ７８４Ａ（配列番号：１１５）変異体から出発し、プライマー：
2004521606.tif 000077
を適当な選択プライマーと共に用い、部位特異的変異誘発反応を実施して、Ｌ１０９ＦおよびＡ１１０Ｔ変異を導入し、この「ＴａｑＳＳ」（ＤＮＡ配列、配列番号：１２０；アミノ酸配列、配列番号：５３）と命名した酵素を作製した。
【０５９２】
４． Ｔａｑ ＤＮ ＲＸ ＨＴ Ｗ４１７Ｌ／Ｇ４１８Ｌ／Ｈ７８４Ａ Ｐ８８Ｅ／Ｐ９０Ｅ／Ｇ４９９Ｒ／Ａ５０２Ｋ／Ｉ５０３Ｌ／Ｇ５０４Ｋ／Ｅ５０７Ｋ／Ｔ５１４Ｓの構築
上記のＴａｑ ＤＮ ＲＸ ＨＴ Ｗ４１７Ｌ／Ｇ４１８Ｋ／Ｇ４９９Ｒ／Ａ５０２Ｋ／Ｉ５０３Ｌ／Ｇ５０４Ｋ／Ｅ５０７Ｋ／Ｔ５１４Ｓ／Ｈ７８４Ａ（配列番号：１１５）変異体から出発し、プライマー：
2004521606.tif 000078
を適当な選択プライマーと共に用い、部位特異的変異誘発反応を実施し、Ｐ８８ＥおよびＰ９０Ｅ変異を導入して、この酵素（ＤＮＡ配列、配列番号：１２１；アミノ酸配列、配列番号：５４）を作製した。
【０５９３】
５． ＴａｑＳＳ ランダム変異誘発法
ランダム突然変異生成を用いて、ＴａｑＳＳ変異体（配列番号：１２０）のヘリックス−ヘアピン−ヘリックス・ドメインに付加的変化を導入する。上記の実施例９の方法で、変異誘発を実施した。第一の工程では、重複を有する異なる２種類のＰＣＲ産物を生成させた。オリゴ３９０−７６−０８（配列番号：３１４）および
2004521606.tif 000079
を利用して、ＰＣＲ産物の一方は、断片にＥｃｏＲＩ部位を導入したが変異は導入しなかった。第二のＰＣＲ産物では、変異誘発用プライマー：
2004521606.tif 000080
およびプライマー２０９−７４−０２（配列番号：３１６）を利用した。この断片は、ランダム点突然変異を含み、組換えＰＣＲを第一の断片と組み合わせた場合には、制限酵素ＥｃｏＲＩおよびＮｏｔＩで切断し、同様にＥｃｏＲＩおよびＮｏｔＩで切断したＴａｑＳＳ構築物に連結した。次に、連結した構築物でＪＭ１０９を形質転換した。下記のようにして、コロニーをスクリーニングした。この変異誘発で得た酵素は以下のものを含む。ＴａｑＳＳ Ｋ１９８Ｎ（ＤＮＡ配列、配列番号：１１２；アミノ酸配列、配列番号：５５）。ＴａｑＳＳ Ａ２０５Ｑ（ＤＮＡ配列、配列番号：１２３；アミノ酸配列、配列番号：５６）。ＴａｑＳＳ Ｉ２００Ｍ／Ａ２０５Ｇ（ＤＮＡ配列、配列番号：１２４；アミノ酸配列、配列番号：５７）。ＴａｑＳＳ Ｋ２０３Ｎ（ＤＮＡ配列、配列番号：１２５；アミノ酸配列、配列番号：５８）。ＴａｑＳＳ Ｔ２０４Ｐ（ＤＮＡ配列、配列番号：１２６；アミノ酸配列、配列番号：５９）。
【０５９４】
６． ＴａｑＳＳ Ｒ６７７Ａの構築
酵素のアーチ領域およびポリメラーゼ領域の両方に配列変異を導入する目的で、ＴａｑＳＳに別の特異的点突然変異を導入した。オリゴ：
2004521606.tif 000081
を用いて、上記のように、部位特異的変異誘発を実施して、ＴａｑＳＳ Ｒ６７７Ａ変異体（ＤＮＡ配列、配列番号：１２７；アミノ酸配列、配列番号：６０）を作製した。
【０５９５】
７． ＴａｑＴｔｈＡＫＫ（ＤＮＡ配列、配列番号：１２８；アミノ酸配列、配列番号：６１）およびＴｔｈＴａｑ５Ｍ（ＤＮＡ配列、配列番号：１２９；アミノ酸配列、配列番号：６２）の構築
Ｔｔｈ ＤＮ ＲＸ ＨＴ（Ｈ７８６Ａ／Ｇ５０６Ｋ／Ｑ５０９Ｋ）（配列番号：１０４；ここではＴｔｈＡＫＫと略記される）またはＴａｑ ４Ｍ Ｇ５０４（配列番号：１０８；ここではＴａｑ ５Ｍと略記される）を制限エンドヌクレアーゼＥｃｏＲＩおよびＮｏｔＩで切断して、キメラ変異体 ＴａｑＴｔｈＡＫＫおよびＴｔｈＴａｑ５Ｍ を作製した。実施例３Ｄに詳述した方法で、より小さい挿入断片とより大きいベクター断片をゲルによって精製した。実施例３Ｄに記載の方法で、二つの変異体間で挿入断片を交換し連結した。構築物配列のスクリーニングおよび確認は、実施例３Ｄで実施した。
【０５９６】
実施例８
他のポリメラーゼのＲＮＡ依存性 ５’ヌクレアーゼ活性の改善
ＴａｑＰｏＩ／ＴｔｈＰｏｌの組換え、変異誘発法およびモデリングから得た情報を用いて、別のＤＮＡポリメラーゼについて同様な変異を作製し、これらの酵素の切断活性に対する効果を検討した。実施例２に記載の方法で、サーマス・フィリフォルミス（ＴｆｉＰｏｌ）およびサーマス・スコトダクタス（ＴｓｃＰｏｌ）のＤＮＡポリメラーゼをクローニングし、精製した。これら２種類のタンパク質の変異誘発について下記に説明する。
【０５９７】
Ａ． ＴｆｉＰｏｌＤＮ２Ｍの構築
ＱｕｉｋＣｈａｎｇｅ部位特異的変異誘発キット（Ｓｔｒａｔａｇｅｎｅ）を用いて製造元のプロトコールに従い、ｐＴｒｃ９９ａ−ＴｆｉＰｏｌ（配列番号：２４９）の変異誘発を実施した。以下の２種類のオリゴヌクレオチドを用いて、Ｐ４２０Ｋ変異を導入した：
2004521606.tif 000082
以下の２種類のオリゴヌクレオチドを用いて、Ｅ５０７Ｑ変異を導入した：
2004521606.tif 000083
以下の２種類のオリゴヌクレオチドを用いて、Ｄ７８５Ｎ変異を導入した：
2004521606.tif 000084
これら３種類の変異をすべて含むプラスミドを、ｐＴｒｃ９９ａ−ＴｆｉＰｏｌＤＮ２Ｍ（ＤＮＡ配列、配列番号：１３０；アミノ酸配列、配列番号：６３）と命名した。
【０５９８】
Ｂ． ＴｓｃＰｏｌＤＮ２Ｍの構築
ＱｕｉｋＣｈａｎｇｅ部位特異的変異誘発キット（Ｓｔｒａｔａｇｅｎｅ）を用いて製造元のプロトコールに従い、ｐＴｒｃ９９ａ−ＴｓｃＰｏｌ（配列番号：２５３）の変異誘発を実施した。以下の２種類のオリゴヌクレオチドを用いて、Ｅ４１６Ｋ変異を導入した：
2004521606.tif 000085
以下の２種類のオリゴヌクレオチドを用いて、Ｅ５０５Ｑ変異を導入した：
2004521606.tif 000086
以下の２種類のオリゴヌクレオチドを用いて、Ｄ７８３Ｎ変異を導入した：
2004521606.tif 000087
これら３種類の変異をすべて含むプラスミドを、ｐＴｒｃ９９ａ−ＴｓｃＰｏｌＤＮ２Ｍ（ＤＮＡ配列、配列番号：１３１；アミノ酸配列、配列番号：６４）と命名した。
【０５９９】
Ｃ． Ｔｓｃ、Ｔｆｉ、ＴｔｈおよびＴａｑ変異体のキメラ
１． ＴｆｉＴｔｈ ＡＫＫ（ＤＮＡ配列、配列番号：１３２；アミノ酸配列、配列番号：６５）、ＴｓｃＴｔｈＡＫＫ（ＤＮＡ配列、配列番号：１３３；アミノ酸配列、配列番号：６６）、ＴｆｉＴａｑ５Ｍ（ＤＮＡ配列、配列番号：１３４；アミノ酸配列、配列番号：６７）およびＴｓｃＴａｑ５Ｍ（ＤＮＡ配列、配列番号：１３５；アミノ酸配列、配列番号：６８）の構築
Ｔｔｈ ＤＮ ＲＸ ＨＴ（Ｈ８６Ａ／Ｇ５０６Ｋ／Ｑ５０９Ｋ）（ここではＴｔｈＡＫＫと略記される、配列番号：１０４）またはＴａｑ ４Ｍ Ｇ５０４（ここではＴａｑ ５Ｍと略記される；配列番号：１０８）およびＴｆｉ ＤＮ ２Ｍ（配列番号：１３０）またはＴｓｃ ＤＮ ２Ｍ（配列番号：１３１）間でキメラ酵素を作製する目的で、部位特異的変異誘発法により、別の制限エンドヌクレアーゼ部位をＴｆｉおよびＴｓｃ と命名した変異体に導入した。突然変異誘発プライマー：
2004521606.tif 000088
を用いて、Ｔｆｉ ＤＮ ２Ｍのアミノ酸の１位にＥｃｏＲＩ部位およびアミノ酸の３３１位にＮｏｔＩ 部位を導入した。変異誘発用プライマー：
2004521606.tif 000089
を用いて、Ｔｓｃ ＤＮ ２Ｍのアミノ酸の１位にＥｃｏＲＩ部位およびアミノ酸の３２７位にＮｏｔＩ 部位を導入した。Ａｄｖａｎｃｅ ｃＤＮＡ ＰＣＲキット（Ｃｌｏｎｅｔｅｃｈ）を用いて製造元の説明書に従い、標的としてＴｆｉ ＤＮ ２Ｍまたは Ｔｓｃ ＤＮ ２Ｍを用いて対応するプライマーでＰＣＲ反応を行った。１０１７塩基対のＰＣＲ産物をＥｃｏＲＩおよびＮｏｔＩの両方で切断し、実施例３Ｄの方法でゲルによって精製した９９３塩基対の挿入断片を得た。また、変異体 Ｔａｑ４Ｍ Ｇ５０４Ｋ（配列番号：１０８）およびＴｍ ＤＮ ＲＸ ＨＴ（Ｈ７８６Ａ／Ｇ５０６Ｋ／Ｑ５０９Ｋ）（配列番号：１０４）をＥｃｏＲＩおよびＮｏｔＩで切断し、より大きいベクター断片を上記のようにゲルで単離した。実施例３Ｄに詳述される方法で、ライゲーションを行い、新しい構築物のスクリーニングおよび確認を実施した。
【０６００】
実施例９
改善したＲＮＡ依存性５’ヌクレアーゼ活性を有する別の酵素
Ｔｆｉ ＤＮ ２Ｍ（ΔＮ）の生成
後のクローニング工程を促進するため、ＴｆｉＰｏｌＤＮ２Ｍ 遺伝子（実施例８Ａに記載の配列番号：１３０）のポリメラーゼ領域から内因性制限酵素部位（ＮｏｔＩ）を除き、特有なＮｏｔＩ部位をより有利な位置に挿入した。
【０６０１】
内因性ＮｏｔＩ部位は次のように除いた。変異誘発用プライマー：
2004521606.tif 000090
とＱＵＩＫＣＨＡＮＧＥ 部位特異的変異誘発キット（Ｓｔｒａｔａｇｅｎｅ）用い、製造元の説明書に従って実施した。新しい構築物を、Ｔｆｉ ＤＮ ２Ｍ（ΔＮ）（ＤＮＡ配列、配列番号：３４０；アミノ酸配列、配列番号：３４１）と命名した。
【０６０２】
Ｔｆｉ ＤＮ ２Ｍ（Ｎ）、Ｔｓｃ ＤＮ ２Ｍ（Ｎ）の調製
Ｔｆｉ ＤＮ ２Ｍ（ΔＮ）（配列番号：３４０）に特有なＮｏｔＩ部位（アミノ酸の３２８位）を導入する目的で、プライマー：
2004521606.tif 000091
と、鋳型としてＴｆｉ ＤＮ ２Ｍ（ΔＮ）（配列番号：３４０）をＰＣＲ上記反応で用いた。得られたＰＣＲ断片を精製し、制限酵素 ＮｏｔＩおよびＳａｌＩで切断した。次に、切断した断片を、ＮｏｔＩおよびＳａｌＩで消化して構築物 ＴｆｉＴｔｈＡＫＫ（実施例８Ｃに記載の配列番号：１３２）に連結した。新しい構築物は、Ｔｆｉ ＤＮ ２Ｍ（Ｎ）（ＤＮＡ配列、配列番号：３４５；アミノ酸配列、配列番号：３４６）と命名した。
【０６０３】
変異体 ＴｓｃＰｏｌ ＤＮ ２Ｍ（上記の実施例８Ｂに記載されている）にＮｏｔＩ制限エンドヌクレアーゼ部位を導入する目的で、プライマー：
2004521606.tif 000092
と、鋳型としてＴｓｃＰｏｌＤＮ２Ｍ（配列番号：１３１）を用いてＰＣＲを実施した。次に、ＰＣＲ産物をＮｏｔＩ−ＳａｌＩで消化した断片を、ＮｏｔＩおよびＳａｌＩで消化したＴｓｃＴｍＡＫＫ ベクター（配列番号：１３３）にサブクローニングした。得られた構築物を、Ｔｓｃ ＤＮ ２Ｍ（Ｎ）（ＤＮＡ配列、配列番号：３４７；アミノ酸配列、配列番号：３４８）と命名した。
【０６０４】
Ｔｆｉ ＤＮ ２Ｍ（Ｎ）ＡＫＫおよびＴｓｃ ＤＮ２Ｍ（Ｎ）ＡＫＫの調製
「ＡＫＫ」変異セット（Ｇ５０４Ｋ／Ｅ５０７Ｋ／Ｈ７８４Ａ／Ｄ７８５Ｎ）を導入する目的で、Ｔｆｉ ＤＮ ２Ｍ（Ｎ）変異体（ＤＮＡ配列、配列番号：３４５）の部位特異的変異誘発を実施した。プライマー：
2004521606.tif 000093
を用いて、Ｔｆｉ ２Ｍ（Ｎ）ＡＫＫ変異体（ＤＮＡ配列、配列番号：３５８；アミノ酸配列、配列番号：３５９）を作製した。この構築物を「ＴｆｉＡＫＫ」と命名した。
【０６０５】
ＴｓｃＤＮ ２Ｍ（Ｎ）構築物（ＤＮＡ配列、配列番号：３４７）に、「ＡＫＫ」変異セット（Ｇ５０２Ｋ／Ｅ５０５Ｋ／Ｈ７８２Ａ／Ｄ７８３Ｎ）を導入する目的で、プライマー：
2004521606.tif 000094
を用いて、Ｔｓｃ２Ｍ（Ｎ）ＡＫＫ（ＤＮＡ配列、配列番号：３４６；アミノ酸配列、配列番号：３６５）を作製した。この構築物を、「Ｔｓｃ ＡＫＫ」と命名した。
【０６０６】
組換えＰＣＲによる点突然変異体の構築
ＴｔｈＡＫＫ（Ｐ１９５Ａ）およびＴｔｈＡＫＫ（Ｐ１９５Ｋ）の構築
ＴｔｈＡＫＫ構築物のヌクレアーゼ・ドメインにおけるアミノ酸の１９５位（Ｐ１９５ＡまたはＰ１９５Ｋ）に変異を導入する目的で、変異誘発用プライマー：
2004521606.tif 000095
およびプライマー：
2004521606.tif 000096
をＰＣＲ反応に用いて、７８７塩基 対の断片を調製した。プライマー：
2004521606.tif 000097
と、同一鋳型を反応に用いて別のＰＣＲ断片を得た。
【０６０７】
この２種類の断片は重複を有しており、組換えＰＣＲ反応で結合させた。外側のプライマー３９０−０７６−０８および２０９−０７４−０２を添加し、製造元の説明書に従いＡｄｖａｎｔａｇｅ ｃＤＮＡ ＰＣＲキット（Ｃｌｏｎｔｅｃｈ）を用いた。この反応によって１３８０塩基対の産物が生成した。
【０６０８】
組換えＰＣＲ産物を制限酵素ＥｃｏＲＩおよびＮｏｔＩで切断し、９８６塩基対の断片を得た。同一の酵素で切断してＴｔｈＡＫＫ構築物を調製した。次に、断片をベクター連結し、ＪＭ１０９ 細胞を形質転換した。この反応セットから作製した新規の変異体は、ＴｔｈＡＫＫ（Ｐ１９５Ａ）（ＤＮＡ配列、配列番号：３７３；アミノ酸配列、配列番号：３７４）およびＴｔｈＡＫＫ（Ｐ１９５Ｋ）（ＤＮＡ配列、配列番号：３７５；アミノ酸配列、配列番号：３７６）を含む。
【０６０９】
ＴｔｈＡＫＫ（Ｎ４１７Ｋ／Ｌ４１８Ｋ）の構築
同一の方法を用いて、ＴｔｈＡＫＫ（Ｎ４１７Ｋ／Ｌ４１８Ｋ）を構築した。変異誘発用プライマー：
2004521606.tif 000098
２種類の重複ＰＣＲ断片を生成させた。該２種類の産物を組み合わせ、外側のプライマー７００−１０−０３および１５８−０８４−０１で増幅した。組換えＰＣＲ産物を、制限酵素 ＮｏｔＩおよびＢａｍＨＩで切断し、ＮｏｔＩ／ＢａｍＨＩで予め切断した ＴｔｈＡＫＫ構築物に連結した。この変異体を、ＴｔｈＡＫＫ（Ｎ４１７Ｋ／Ｌ４１８Ｋ）（ＤＮＡ配列、配列番号：３７９；アミノ酸配列、配列番号：３８０）と命名した。
【０６１０】
部位特異的変異誘発による別の ＴｔｈＡＫＫ点突然変異体の構築
ＴｔｈＡＫＫ（Ｐ２５５Ｌ）の構築
変異誘発用プライマー：
2004521606.tif 000099
を用いて、ＴｔｈＡＫＫ構築物に部位特異的変異誘発を実施し、ＴｔｈＡＫＫ（Ｐ２５５Ｌ）（ＤＮＡ配列、配列番号：３８３；アミノ酸配列、配列番号：３８４）を作製した。
【０６１１】
ＴｔｈＡＫＫ（Ｆ３１１Ｙ）の構築
変異誘発用プライマー：
2004521606.tif 000100
を用いて、ＴｔｈＡＫＫ構築物に部位特異的変異誘発を実施し、ＴｔｈＡＫＫ（Ｆ３１１Ｙ）（ＤＮＡ配列、配列番号： ３８７；アミノ酸配列、配列番号： ３８８）を作製した。
【０６１２】
ＴｔｈＡＫＫ（Ｎ２２１Ｈ／Ｒ２２４Ｑ）の構築
変異誘発用プライマー：
2004521606.tif 000101
を用いて、ＴｔｈＡＫＫ構築物に部位特異的変異誘発を実施し、ＴｔｈＡＫＫ（Ｎ２２１Ｈ／Ｒ２２４Ｑ）（ＤＮＡ配列、配列番号：３９１；アミノ酸配列、配列番号：３９２）を作製した。
【０６１３】
ＴｔｈＡＫＫ（Ｒ２５１Ｈ）の構築
変異誘発用プライマー：
2004521606.tif 000102
を用いて、ＴｆｈＡＫＫ構築物に部位特異的変異誘発を実施し、ＴｔｈＡＫＫ（Ｒ２５１Ｈ）（ＤＮＡ配列、配列番号：３９５；アミノ酸配列、配列番号：３９６）を作製した。
【０６１４】
ＴｔｈＡＫＫ（Ｐ２Ｓ５Ｌ／Ｒ２５１Ｈ）の構築
変異誘発用プライマー：
2004521606.tif 000103
を用いて、ＴｔｈＡＫＫ（Ｐ２５５Ｌ）構築物に部位特異的変異誘発を実施し、ＴｔｈＡＫＫ（Ｐ２５５Ｌ／Ｒ２５１Ｈ）（ＤＮＡ配列、配列番号：３９９；アミノ酸配列、配列番号：４００）を作製した。
【０６１５】
Ｔｔｈ ＡＫＫ Ｌ４２９Ｖ（ＤＮＡ配列、配列番号：４０１；アミノ酸配列、配列番号：４０２）の構築
変異誘発用プライマー：
2004521606.tif 000104
およびリバースプライマー：
2004521606.tif 000105
を使用して、Ｔｔｈ ＡＫＫ構築物上にパーム領域のランダム変異誘発を実施し、パーム領域にランダム変異を導入した。ブラケットは、表記の９１％の塩基と３％のその他すべての塩基の合成を示す。
【０６１６】
Ｔｔｈ ＡＫＫ Ｅ４２５Ｖ（ＤＮＡ配列、配列番号：４０５；アミノ酸配列、配列番号：４０６）の構築
変異誘発用プライマー：
2004521606.tif 000106
およびリバースプライマー：
2004521606.tif 000107
を使用して、Ｔｔｈ ＡＫＫ構築物上にパーム領域のランダム変異誘発を実施し、パーム領域にランダム変異を導入した。ブラケットは、表記の９１％の塩基と３％のその他すべての塩基の合成を示す。
【０６１７】
ＴｔｈＡＫＫＬ４２２Ｎ／Ｅ４２５Ｋ（ＤＮＡ塩基配列番号：４０７；アミノ酸配列、配列番号：４０８）の構築
変異誘発用プライマー：
2004521606.tif 000108
およびリバースプライマー：
2004521606.tif 000109
を使用して、Ｔｔｈ ＡＫＫ構築物上にパーム領域のランダム変異誘発を実施し、パーム領域にランダム変異を導入した。ブラケットは、表記の９１％の塩基と３％のその他すべての塩基の合成を示す。
【０６１８】
Ｔｔｈ ＡＫＫ Ｌ４２２Ｆ／Ｗ４３０Ｃ（ＤＮＡ配列、配列番号：４０９；アミノ酸配列、配列番号：４１０）の構築
変異誘発用プライマー：
2004521606.tif 000110
およびリバースプライマー：
2004521606.tif 000111
を用いて、Ｔｔｈ ＡＫＫ ＤＮＡパーム領域のランダム変異誘発を実施し、パーム領域にランダム変異を導入した。ブラケットは、表記の９１％の塩基と３％のその他すべての塩基の合成を示す。
【０６１９】
Ｔｔｈ ＡＫＫ Ａ５０４Ｆ（ＤＮＡ配列、配列番号：４１１；アミノ酸配列、配列番号：４１２）の構築
変異誘発用プライマー：
2004521606.tif 000112
およびリバースプライマー：
2004521606.tif 000113
を使用して、Ｔｔｈ ＡＫＫ構築物上に部位特異的飽和変異誘発を実施し、Ａ５０４ アミノ酸にランダム変異を導入した。
【０６２０】
Ｔｔｈ ＡＫＫ Ａ５０４Ｖ（ＤＮＡ配列、配列番号：４１５；アミノ酸配列、配列番号：４１６）の構築
変異誘発用プライマー：
2004521606.tif 000114
およびリバースプライマー：
2004521606.tif 000115
を使用して、Ｔｔｈ ＡＫＫ構築物上に部位特異的飽和変異誘発を実施し、Ａ５０４ アミノ酸にランダム変異を導入した。
【０６２１】
Ｔｔｈ ＡＫＫ Ａ５０４Ｓ（ＤＮＡ配列、配列番号：４１７；アミノ酸配列、配列番号：４１８）の構築
変異誘発用プライマー：
2004521606.tif 000116
およびリバースプライマー：
2004521606.tif 000117
を使用して、Ｔｔｈ ＡＫＫ構築物上に部位特異的飽和変異誘発を実施し、Ａ５０４ アミノ酸にランダム変異を導入した。
【０６２２】
Ｔｔｈ ＡＫＫ Ｓ５１７Ｇ（ＤＮＡ配列、配列番号：４１９；アミノ酸配列、配列番号：４２０）の構築
変異誘発用プライマー：
2004521606.tif 000118
およびリバースプライマー：
2004521606.tif 000119
を使用して、Ｔｔｈ ＡＫＫ構築物上に部位特異的飽和変異誘発を実施し、Ｓ５１７アミノ酸にランダム変異を導入した。
【０６２３】
Ｔｔｈ ＡＫＫ Ａ５１８Ｌ（ＤＮＡ配列、配列番号：４２３；アミノ酸配列、配列番号：４２４）の構築
変異誘発用プライマー：
2004521606.tif 000120
およびリバースプライマー：
2004521606.tif 000121
を使用して、Ｔｔｈ ＡＫＫ構築物上に部位特異的飽和変異誘発を実施し、Ａ５１８アミノ酸にランダム変異を導入した。
【０６２４】
Ｔｔｈ ＡＫＫ Ａ５１８Ｒ（ＤＮＡ配列、配列番号：４２６；アミノ酸配列、配列番号：４２７）の構築
変異誘発用プライマー：
2004521606.tif 000122
およびリバースプライマー：
2004521606.tif 000123
を使用して、Ｔｔｈ ＡＫＫ構築物上に部位特異的飽和変異誘発を実施し、Ａ５１８アミノ酸にランダム変異を導入した。
【０６２５】
Ｔａｑ５Ｍ Ｌ４５１Ｒ（ＤＮＡ配列、配列番号：４２８；アミノ酸配列、配列番号：４２９）の構築
変異誘発用プライマー：
2004521606.tif 000124
を使用して、Ｔａｑ ５Ｍ構築物上に部位特異的変異誘発を実施し、Ｔａｑ ５Ｍ 酵素にＬ４５１Ｒ変異を導入した。
【０６２６】
Ｔｔｈ ＡＫＫ Ａ５０４Ｋ（ＤＮＡ配列、配列番号：４３１；アミノ酸配列、配列番号：４３２）の構築
変異誘発用プライマー：
2004521606.tif 000125
およびリバースプライマー：
2004521606.tif 000126
を用いて、Ｔｔｈ ＡＫＫ構築物上に部位特異的変異誘発を実施し、Ｔｔｈ ＡＫＫ 酵素にＡ５０４Ｋ変異導入した。
【０６２７】
Ｔｔｈ ＡＫＫ Ｈ６４１Ａ（ＤＮＡ配列、配列番号：４３５；アミノ酸配列、配列番号：４３６）の構築
変異誘発用プライマー：
2004521606.tif 000127
およびリバースプライマー：
2004521606.tif 000128
を用いて、Ｔｔｈ ＡＫＫ構築物上に部位特異的変異誘発を実施し、Ｔｔｈ ＡＫＫ 酵素にＨ６４１Ａ変異導入した。
【０６２８】
Ｔｔｈ ＡＫＫ Ｔ５０８Ｐ（ＤＮＡ配列、配列番号：４３９；アミノ酸配列、配列番号：４４０）の構築
変異誘発用プライマー：
2004521606.tif 000129
およびリバースプライマー：
2004521606.tif 000130
を用いて、Ｔｔｈ ＡＫＫ構築物上に部位特異的変異誘発を実施し、Ｔｔｈ ＡＫＫ 酵素にＴ５０８Ｐ変異導入した。
【０６２９】
ＴｔｈＡＫＫ 酵素およびα−ペプチド間のキメラ融合におけるキメラと変異
コロニーのブルー・ホワイト・スクリーニング（Ｗｕら、Ｎｕｃｌｅｉｃ Ａｃｉｄｓ Ｒｅｓｅａｒｃｈ， ２４：１７１０ ［１９９６］）基づく、完全長融合タンパク質の発現が不可能となる変異（フレームシフト、欠失、挿入等を含む）の検出のために、ＴｔｈＡＫＫ−ｌａｃＺ−α−ペプチドのキメラ・融合を構築した。
【０６３０】
変異誘発用プライマー：
2004521606.tif 000131
を用いて、ＴｔｈＡＫＫ ＤＮＡに部位特異的変異誘発を実施し、ＴｔｈＡＫＫのＣ末端の６ｘＨｉｓタグの後のＳａｌＩ部位にｌａｃＺ αペプチドが挿入されたｐＴｔｈＡＫＫ−Ｌを調製した。プライマー：
2004521606.tif 000132
を用いて、まず、ｐＣＲＩＩ−ＴＯＰＯ ベクター（Ｉｎｖｉｔｒｏｇｅｎ）から、αペプチド（２０１アミノ酸を有する）をＰＣＲで増幅した次に、ＰＣＲ産物を、制限酵素ＳａｌＩで消化し、同一の酵素で消化した ｐＴｔｈＡＫＫ−Ｌ ベクターに連結して、キメラ構築物 ＴｔｈＡＫＫ−αペプチド（ＤＮＡ配列、配列番号：４８１；アミノ酸配列、配列番号：４８２）を作製した。挿入物の方向をシーケンシングによって確認した。
【０６３１】
ＴｔｈＴｓｃＡＫＫおよびＴｔｈＴｆｉＡＫＫ 酵素の構築
ＴｔｈＡＫＫ構築物を酵素ＥｃｏＲＩおよびＮｏｔＩで切断し、より小さい挿入断片をゲルで単離した。また、ＴｓｃＡＫＫもしくはＴｆｉＡＫＫ構築物を、ＥｃｏＲＩおよびＮｏｔＩで切断し、より大型の断片をゲルで単離して精製した。 Ｔｔｈ挿入物（ヌクレアーゼ ドメイン）をＴｓｃＡＫＫおよびＴｆｉＡＫＫ ベクター（ポリメラーゼ・ドメイン）に連結し、ＴｔｈＴｓｃＡＫＫ（ＤＮＡ配列、配列番号：４４７；アミノ酸配列、配列番号：４４８）およびＴｔｈＴｆｉＡＫＫ（ＤＮＡ配列、配列番号：４４９；アミノ酸配列、配列番号：４５０）キメラ構築物を作製した。
【０６３２】
基質特異性を改善するためのＴｔｈ ポリメラーゼＦＴ変異
Ｔａｑ（ＦＴ）ＴｔｈＡＫＫの構築
変異誘発用プライマー：
2004521606.tif 000133
を用いて ＴａｑＴｔｈＡＫＫ構築物に部位特異的変異誘発を実施して、Ｌ１０７Ｆ／Ａ１０８Ｔ変異を導入し、Ｔａｑ（ＦＴ）ＴｔｈＡＫＫ（ＤＮＡ配列、配列番号：４８４；アミノ酸配列、配列番号：４８５）を作製した。
【０６３３】
Ｔｆｉ（ＦＴ）ＴｔｈＡＫＫの構築
変異誘発用プライマー：
2004521606.tif 000134
を用いて、ＴｆｉＴｔｈＡＫＫ構築物に部位特異的変異誘発を実施して、Ｌ１０７Ｆ／Ｖ１０８Ｔ変異を導入し、Ｔｆｉ（ＦＴ）ＴｔｈＡＫＫ（ＤＮＡ配列、配列番号：３４９；アミノ酸配列、配列番号：４８８）を作製した。
【０６３４】
Ｔｆｉ（ＦＴ） ＤＮ ２Ｍ（Ｎ）およびＴｓｃ（ＦＴ） ＤＮ ２Ｍ（Ｎ）変異体
Ｔｆｉ ＤＮ ２Ｍ（Ｎ）変異体（ＤＮＡ配列、配列番号：３４５）のＮｏｔＩおよびＳａｌＩ断片を単離し、予めＮｏｔＩ−ＳａｌＩで消化した Ｔｆｉ（ＦＴ）ＴｔｈＡＫＫ（ＤＮＡ配列、配列番号：３４９；アミノ酸配列、配列番号：４８８）に挿入することによって、Ｌ１０７Ｆ／Ｖ１０８Ｔ変異を導入して、Ｔｆｉ（ＦＴ） ＤＮ ２Ｍ（Ｎ）変異体（ＤＮＡ配列、配列番号：３５０；アミノ酸配列、配列番号：３５１）を得た。このＴｓｃに基づく構築物にＬ１０７ＦまたはＥ１０８Ｔ変異を付加する目的で、同一の方法を実施した。Ｔｓｃ ＤＮ ２Ｍ（Ｎ）変異体（ＤＮＡ配列、配列番号：３４８）をＮｏｔＩおよびＳａｌＩで切断した断片を、予めＮｏｔＩ−ＳａｌＩで消化した Ｔｓｃ（ＦＴ）ＴｔｈＡＫＫ（ＤＮＡ配列、配列番号：４９１）ベクターに挿入し、Ｔｓｃ（ＦＴ） ＤＮ ２Ｍ（Ｎ）変異体（ＤＮＡ配列、配列番号：３５２；アミノ酸配列、配列番号：３５３）を作製した。
【０６３５】
Ｔｆｉ（ＦＴ） ＡＫＫおよび  Ｔｓｃ（ＦＴ） ＡＫＫの構築
上記のＴｆｉ（ＦＴ）ＤＮ２Ｍ（Ｎ）構築物（ＤＮＡ配列、配列番号：３５０）から出発し、プライマー：
2004521606.tif 000135
を用いて、部位特異的変異誘発法により変異（Ｈ７８４Ａ、Ｇ５０４ＫおよびＥ５０７Ｋ）の「ＡＫＫ」セットを導入した。得られた変異体構築物は、Ｔｆｉ（ＦＴ）ＡＫＫ（ＤＮＡ配列、配列番号：３６６；アミノ酸配列、配列番号：３６７）と命名した。
【０６３６】
同様に、プライマー：
2004521606.tif 000136
を用い、鋳型としてＴｓｃ（ＦＴ）ＤＮ２Ｍ（Ｎ）変異体（ＤＮＡ配列、配列番号：３５２）を用いて、部位特異的変異誘発反応を実施し、Ｔｓｃ（ＦＴ）ＡＫＫ変異体（ＤＮＡ配列、配列番号：３６８；アミノ酸配列、配列番号：３６９）を作製した。
【０６３７】
Ｔｓｃ（ＦＴ）ＴｔｈＡＫＫの構築
変異誘発用プライマー：
2004521606.tif 000137
およびリバースプライマー：
2004521606.tif 000138
を用いて、ＴｓｃＴｔｈＡＫＫ構築物に部位特異的変異誘発を実施し、Ｌ１０７Ｆ／Ｅ１０８Ｔ変異を導入して、Ｔｓｃ（ＦＴ）ＴｔｈＡＫＫ（ＤＮＡ配列、配列番号：４５４；アミノ酸配列、配列番号：４９１）を作製した。
【０６３８】
Ｔａｑ（ＦＴ）ＴｓｃＡＫＫおよびＴａｑ（ＦＴ）ＴｆｉＡＫＫ 酵素の構築
Ｔａｑ（ＦＴ）ＴｔｈＡＫＫ構築物を酵素ＥｃｏＲＩおよびＮｏｔＩで切断し、より小さい挿入断片をゲルで単離した。また、ＴｓｃＡＫＫもしくはＴｆｉＡＫＫ構築物を、ＥｃｏＲＩおよびＮｏｔＩで切断し、より大型の断片をゲルで単離して精製した。 Ｔａｑ（ＦＴ）挿入物（ヌクレアーゼ・ドメイン）をＴｓｃＡＫＫおよびＴｆｉＡＫＫ ベクター（ポリメラーゼ・ドメイン）に連結し、 Ｔａｑ（ＦＴ）ＴｓｃＡＫＫ（ＤＮＡ配列、配列番号：４４３；アミノ酸配列、配列番号：４４４）およびＴａｑ（ＦＴ）ＴｆｉＡＫＫ（ＤＮＡ配列、配列番号：４４５；アミノ酸配列、配列番号：４４６）キメラ構築物を作製した。
【０６３９】
ＴａｑＥＦＴ−Ｔｔｈ（ＡＫＫ）（ＤＮＡ配列、配列番号：５０１；アミノ酸配列、配列番号：５０２）の構築
変異誘発用プライマー：
2004521606.tif 000139
を用いて、Ｔａｑ（ＦＴ）−Ｔｔｈ（ＡＫＫ） ＤＮＡ（配列番号：４８４）に部位特異的変異誘発を実施し、Ｋ７０Ｅ変異を導入した。
【０６４０】
Ｔａｑ（ＥＦＴ）ＴｔｈＡＫＫの酵素活性を改善するための付加的変異
ＴａｑＥＦＴ−Ｔｔｈ（ＡＫＫ）−Ａ／Ｍｌ（ＤＮＡ配列、配列番号：５０５；アミノ酸配列、配列番号：５０６）の構築
変異誘発用プライマー：
2004521606.tif 000140
を用いて、Ｔａｑ（ＥＦＴ）−Ｔｔｈ（ＡＫＫ） ＤＮＡ（配列番号：５０１）に部位特異的変異誘発を実施し、Ｇ４ＥＡ変異を導入した。
【０６４１】
ＴａｑＥＦＴ−Ｔｔｈ（ＡＫＫ）−Ｂ／Ｍ２（ＤＮＡ配列、配列番号：５０９；アミノ酸配列、配列番号：５１０）の構築
変異誘発用プライマー：
2004521606.tif 000141
を用いて、Ｔａｑ（ＥＦＴ）−Ｔｔｈ（ＡＫＫ） ＤＮＡ（配列番号：５０１）に部位特異的変異誘発を実施し、Ｈ２９Ｆ変異を導入した。
【０６４２】
ＴａｑＥＦＴ−Ｔｔｈ（ＡＫＫ）−Ｃ／Ｍ３（ＤＮＡ配列、配列番号：５１３；アミノ酸配列、配列番号：５１４）の構築
変異誘発用プライマー：
2004521606.tif 000142
を用いて、Ｔａｑ（ＥＦＴ）−Ｔｔｈ（ＡＫＫ） ＤＮＡ（配列番号：５０１）に部位特異的変異誘発を実施し、Ｋ５７Ｒ変異を導入した。
【０６４３】
ＴａｑＥＦＴ−Ｔｔｈ（ＡＫＫ）−Ｄ／Ｍ５（ＤＮＡ配列、配列番号：５１７；アミノ酸配列、配列番号：５１８）の構築
変異誘発用プライマー：
2004521606.tif 000143
を用いて、Ｔａｑ（ＥＦＴ）−Ｔｔｈ（ＡＫＫ） ＤＮＡ（配列番号：５０１）に部位特異的変異誘発を実施し、Ｓ１２５Ｔ変異を導入した。
【０６４４】
ＴａｑＥＦＴ−Ｔｔｈ（ＡＫＫ）−Ｅ／Ｍ６（ＤＮＡ配列、配列番号：５２１；アミノ酸配列、配列番号：５２２）の構築
変異誘発用プライマー：
2004521606.tif 000144
を用いて、Ｔａｑ（ＥＦＴ）−Ｔｔｈ（ＡＫＫ） ＤＮＡ（配列番号：５０１）に部位特異的変異誘発を実施し、Ｒ２０６Ｌ変異を導入した。
【０６４５】
ＴａｑＥＦＴ−Ｔｔｈ（ＡＫＫ）−Ｆ／Ｍ７（ＤＮＡ配列、配列番号：５２５；アミノ酸配列、配列番号：５２６）の構築
変異誘発用プライマー：
2004521606.tif 000145
を用いて、Ｔａｑ（ＥＦＴ）−Ｔｔｈ（ＡＫＫ） ＤＮＡ（配列番号：５０１）に部位特異的変異誘発を実施し、Ｒ２６９ＧおよびＲ２７１Ｋ変異を導入した。
【０６４６】
ＴａｑＥＦＴ−Ｔｔｈ（ＡＫＫ）−Ｇ／Ｍ８（ＤＮＡ配列、配列番号：５２９；アミノ酸配列、配列番号：５３０）の構築
変異誘発用プライマー：
2004521606.tif 000146
を用いて、Ｔａｑ（ＥＦＴ）−Ｔｔｈ（ＡＫＫ） ＤＮＡ（配列番号：５０１）に部位特異的変異誘発を実施し、Ｅ２９０Ｇ、Ｓ２９１Ｇ、Ｐ２９２Ｅ、Ａ２９４ＰおよびＬ２９５Ｒ変異を導入した。
【０６４７】
ＴａｑＥＦＴ−Ｔｔｈ（ＡＫＫ）−Ｈ／Ｍ９（ＤＮＡ配列、配列番号：５３３；アミノ酸配列、配列番号：５３４）の構築
変異誘発用プライマー：
2004521606.tif 000147
を用いて、Ｔａｑ（ＥＦＴ）−Ｔｍ（ＡＫＫ） ＤＮＡ（配列番号：５０１）に部位特異的変異誘発を実施し、Ａ３２８Ｃ変異を導入した。
【０６４８】
ＴａｑＥＦＴ−Ｔｔｈ（ＡＫＫ）−Ｉ／Ｍ１０（ＤＮＡ配列、配列番号：５３７；アミノ酸配列、配列番号：５３８）の構築
変異誘発用プライマー：
2004521606.tif 000148
を用いて、Ｔａｑ（ＥＦＴ）−Ｔｔｈ（ＡＫＫ） ＤＮＡ（配列番号：５０１）に部位特異的変異誘発を実施し、Ｅ２１０Ｋ変異を導入した。
【０６４９】
ＴａｑＥＦＴ−Ｔｔｈ（ＡＫＫ）−Ｍｌ−９（ＤＮＡ配列、配列番号：５４１；アミノ酸配列、配列番号：５４２）の構築
鋳型として構築物 ＴａｑＥＦＴ−Ｔｔｈ（ＡＫＫ）（配列番号： ５０１）を用い、また以下の変異誘発用プライマー対を用いて、異なる７種類のＰＣＲ反応を実施した。
ＰＣＲ反応１では：
2004521606.tif 000149
を用いて、１０８塩基対の断片を得た。ＰＣＲ反応２では：
2004521606.tif 000150
を用いて、１１７塩基対の断片を得た。ＰＣＲ反応３では：
2004521606.tif 000151
を用いて、２３７塩基対の断片を得た。ＰＣＲ反応４では：
2004521606.tif 000152
を用いて、２７６塩基対の断片を得た。ＰＣＲ反応５では：
2004521606.tif 000153
を用いて、２８８塩基対の断片を得た。ＰＣＲ反応６では：
2004521606.tif 000154
を用いて、１１３塩基対の断片を得た。ＰＣＲ反応７では：
2004521606.tif 000155
を用いて、１５７塩基対の断片を得た。これら７種のＰＣＲ産物は、重複を有しており、プライマー非存在下でのＰＣＲ増幅により適当な１００５塩基対の産物を生じ、Ｋ７０Ｅ、Ｇ４ＥＡ、Ｈ２９Ｆ、Ｋ５７Ｒ、Ｓ１２５Ｔ、Ｒ２０６Ｌ、Ｒ２６９Ｇ、Ｒ２７１Ｋ、Ｅ２９０Ｇ、Ｓ２９１Ｇ、Ｐ２９２Ｅ、Ａ２９４Ｐ、Ｌ２９５ＲおよびＡ３２８Ｃ変異が導入される。外側のプライマー： １０４４−０３８−１（配列番号：５０７）および１０４４−０３８−１８（配列番号：５３６）を用いて産物をさらに増幅し、ｐＰＣＲ−Ｓｃｒｉｐｔ−Ａｍｐにクローニングした。プライマー： １０４４−０３８−１（配列番号：５０７）および１０４４−０３８−１８（配列番号：５３６）を用いて、この構築物から、再び、ヌクレアーゼ・ドメインを増幅し、ＥｃｏＲＩおよびＮｏｔＩで消化した。消化したＰＣＲ産物を、ＥｃｏＲＩおよびＮｏｔＩで消化したＴａｑＥＦＴ−Ｔｔｈ（ＡＫＫ）構築物に連結し、タンパク質発現およびスクリーニングを目的として、ＪＭ１０９を形質転換した。
【０６５０】
ＴａｑＥＦＴ−Ｔｔｈ（ＡＫＫ）−Ｍｌ−１０（ＤＮＡ配列、配列番号：５４３；アミノ酸配列、配列番号：５４４）の構築
鋳型として構築物 ＴａｑＥＦＴ−Ｔｔｈ（ＡＫＫ）（配列番号： ５０１）を用い、また以下の変異誘発用プライマー対を用いて、異なる７種類のＰＣＲ反応を実施した。ＰＣＲ反応１では：
2004521606.tif 000156
を用いて、１０８塩基対の断片を得た。ＰＣＲ反応２では：
2004521606.tif 000157
を用いて、１１７塩基対の断片を得た。ＰＣＲ反応３では：
2004521606.tif 000158
を用いて、２３７塩基対の断片を得た。ＰＣＲ反応４では：
2004521606.tif 000159
を用いて、２９９塩基対の断片を得た。ＰＣＲ反応５では：
2004521606.tif 000160
を用いて、２２８塩基対の断片を得た。ＰＣＲ反応６では：
2004521606.tif 000161
を用いて、１１３塩基対の断片を得た。ＰＣＲ反応７では：
2004521606.tif 000162
を用いて、１５７塩基対の断片を得た。これら７種のＰＣＲ産物は、重複を有しており、プライマー非存在下でのＰＣＲ増幅により適当な１００５塩基対の産物を生じ、Ｋ７０Ｅ、Ｇ４ＥＡ、Ｈ２９Ｐ、Ｋ５７Ｒ、Ｓ１２５Ｔ、Ｒ２０６Ｌ、Ｅ２１０Ｋ、Ｒ２６９Ｇ、Ｒ２７１Ｋ、Ｅ２９０Ｇ、Ｓ２９１Ｇ、Ｐ２９２Ｅ、Ａ２９４Ｐ、Ｌ２９５ＲおよびＡ３２８Ｃ変異が導入される。外側のプライマー： １０４４−０３８−１（配列番号：５０７）および１０４４−０３８−１８（配列番号：５３６）を用いて産物をさらに増幅し、ｐＰＣＲ−Ｓｃｒｉｐｔ−Ａｍｐにクローニングした。プライマー： １０４４−０３８−１（配列番号：５０７）および１０４４−０３８−１８（配列番号：５３６）を用いて、この構築物から、再び、ヌクレアーゼ・ドメインを増幅し、ＥｃｏＲＩおよびＮｏｔＩで消化した。消化したＰＣＲ産物を、ＥｃｏＲＩおよびＮｏｔＩで消化したＴａｑＥＦＴ−Ｔｔｈ（ＡＫＫ）構築物に連結し、タンパク質発現およびスクリーニングを目的として、ＪＭ１０９を形質転換した。
【０６５１】
基質特異性をさらに改善するためのＦＥＮ 酵素のＫ６９Ｅ変異
Ｔｔｈ（Ｋ６９Ｅ）ＡＫＫ、Ｔａｑ（Ｋ６９Ｅ）ＴｔｈＡＫＫ、Ｔｆｉ（Ｋ６９Ｅ）ＴｔｈＡＫＫおよびＴｓｃ（Ｋ６９Ｅ）ＴｔｈＡＫＫおよび変異体の構築
変異誘発用プライマー：
2004521606.tif 000163
を用いて、ＴｔｈＡＫＫ、ＴａｑＴｔｈＡＫＫ、ＴｆｉＴｔｈＡＫＫおよびＴｓｃＴｔｈＡＫＫ ＤＮＡに部位特異的変異誘発を実施し、Ｋ６９Ｅ変異を導入して、Ｔｔｈ（Ｋ６９Ｅ）ＡＫＫ（ＤＮＡ配列、配列番号：４５２；アミノ酸配列、配列番号：４９４）、Ｔａｑ（Ｋ６９Ｅ）ＴｈＡＫＫ、（ＤＮＡ配列、配列番号：４９５；アミノ酸配列、配列番号：４９６）、Ｔｆｉ（Ｋ６９Ｅ）ＴｔｈＡＫＫ（ＤＮＡ配列、配列番号：４９７；アミノ酸配列、配列番号：４９８）およびＴｓｃ（Ｋ６９Ｅ）ＴｔｈＡＫＫ（ＤＮＡ配列、配列番号：４９９；アミノ酸配列、配列番号：５００）変異体酵素を作製した。
【０６５２】
Ｔｓｃ（１６７−３３４）ＴｔｈＡＫＫの構築
２種の重複ＰＣＲ断片を作製した。プライマー：
2004521606.tif 000164
および鋳型として Ｔｔｈ（Ｋ６９Ｅ）ＡＫＫ（ＤＮＡ配列、配列番号：４５２）を用いた。またプライマー：
2004521606.tif 000165
および鋳型としてＴｓｃ（Ｋ６９Ｅ）ＴｔｈＡＫＫ（ＤＮＡ配列、配列番号：４５４）を用いた。２種の産物を組み合わせて、外側のプライマー３９０−７６−０８および２０９−０７４−０２で増幅した。組換えＰＣＲ産物を制限酵素ＥｃｏＲＩおよびＮｏｔＩで切断し、同一の酵素で切断して調製したベクター ＴｔｈＡＫＫに連結し、Ｔｓｃ（１６７−３３３）ＴｔｈＡＫＫ構築物（ＤＮＡ配列、配列番号：４５５；アミノ酸配列、配列番号：４５６）を得た。
【０６５３】
Ｔｓｃ（２２２−３３４）ＴｔｈＡＫＫの構築
２種の重複ＰＣＲ断片を作製した。プライマー：
2004521606.tif 000166
および鋳型としてＴｔｈ（Ｋ６９Ｅ）ＡＫＫ（ＤＮＡ配列、配列番号：４５２）を用いた。またプライマー：
2004521606.tif 000167
および鋳型としてＴｓｃ（Ｋ６９Ｅ）ＴｔｈＡＫＫ（ＤＮＡ配列、配列番号：４５４）を用いた。２種の産物を組み合わせて、外側のプライマー３９０−７６−０８および２０９−０７４−０２で増幅した。組換えＰＣＲ産物を制限酵素ＥｃｏＲＩおよびＮｏｔＩで切断し、同一の酵素で切断して調製したベクター ＴｔｈＡＫＫ に連結し、Ｔｓｃ（２２２−３３４）ＴｆｈＡＫＫ構築物（ＤＮＡ配列、配列番号：４５９；アミノ酸配列、配列番号：４６０）を得た。
【０６５４】
Ｔｆｉ（２２２−３３４）ＴｔｈＡＫＫの構築
２種の重複ＰＣＲ断片を作製した。プライマー：
2004521606.tif 000168
および鋳型として Ｔｔｈ（Ｋ６９Ｅ）ＡＫＫ（ＤＮＡ配列、配列番号：４５２）を用いた。またプライマー：
2004521606.tif 000169
および鋳型として Ｔｆｉ（Ｋ６９Ｅ）ＴｔｈＡＫＫ（ＤＮＡ配列、配列番号：４９７）を用いた。２種の産物を組み合わせて、外側のプライマー３９０−７６−０８および２０９−０７４−０２で増幅した。組換えＰＣＲ産物を制限酵素ＥｃｏＲＩおよびＮｏｔＩで切断し、同一の酵素で切断して調製したベクターＴｔｈＡＫＫ に連結し、Ｔｆｉ（２２２−３３４）ＴｔｈＡＫＫ構築物（ＤＮＡ配列、配列番号：４６３；アミノ酸配列、配列番号：４６４）を得た。
【０６５５】
Ｔｆｉ（１６７−３３４）ＴｔｈＡＫＫの構築
２種の重複ＰＣＲ断片を作製した。プライマー：
2004521606.tif 000170
および鋳型として Ｔｔｈ（Ｋ６９Ｅ）ＡＫＫ（ＤＮＡ配列、配列番号：４５２）を用いた。またプライマー：
2004521606.tif 000171
および鋳型として Ｔｆｉ（Ｋ６９Ｅ）ＴｔｈＡＫＫ（ＤＮＡ配列、配列番号：４９８）を用いた。２種の産物を組み合わせて、外側のプライマー３９０−７６−０８および２０９−０７４−０２で増幅した。組換えＰＣＲ産物を制限酵素ＥｃｏＲＩおよびＮｏｔＩで切断し、同一の酵素で切断して調製したベクター ＴｔｈＡＫＫ に連結し、Ｔｆｉ（１６７−３３３）ＴｔｈＡＫＫ構築物（ＤＮＡ配列、配列番号：４６７；アミノ酸配列、配列番号：４６８）を得た。
【０６５６】
Ｔｓｃ（ｌｌｌ−３３４）ＴｔｈＡＫＫの構築
２種の重複ＰＣＲ断片を作製した。プライマー：
2004521606.tif 000172
および鋳型としてＴｔｈ（Ｋ６９Ｅ）ＡＫＫ（ＤＮＡ配列、配列番号：４５２）を用いた。またプライマー：
2004521606.tif 000173
および鋳型としてＴｓｃ（Ｋ６９Ｅ）ＴｔｈＡＫＫ（ＤＮＡ配列、配列番号：４９９）を用いた。２種の産物を組み合わせて、外側のプライマー３９０−７６−０８および２０９−０７４−０２で増幅した。組換えＰＣＲ産物を制限酵素ＥｃｏＲＩおよびＮｏｔＩで切断し、同一の酵素で切断して調製したベクター ＴｔｈＡＫＫ に連結し、Ｔｓｃ（１６７−３３３）ＴｔｈＡＫＫ構築物（ＤＮＡ配列、配列番号：４７１；アミノ酸配列、配列番号：４７２）を得た。
【０６５７】
Ｔｓｃ（ｌ−１６７）ＴｔｈＡＫＫの構築
２種の重複ＰＣＲ断片を作製した。プライマー：
2004521606.tif 000174
および鋳型としてＴｓｃ（Ｋ６９Ｅ）ＴｔｈＡＫＫ（ＤＮＡ配列、配列番号：４９９）を用いた。またプライマー：
2004521606.tif 000175
および鋳型としてＴｔｈ（Ｋ６９Ｅ）ＡＫＫ（ＤＮＡ配列、配列番号：４５２）を用いた。２種の産物を組み合わせて、外側のプライマー３９０−７６−０８および２０９−０７４−０２で増幅した。組換えＰＣＲ産物を制限酵素ＥｃｏＲＩおよびＮｏｔＩで切断し、同一の酵素で切断して調製したベクター ＴｔｈＡＫＫに連結し、Ｔｓｃ（ｌ−１６７）ＴｔｈＡＫＫ構築物（ＤＮＡ配列、配列番号：４７５；アミノ酸配列、配列番号：４７６）を得た。
【０６５８】
ＡｆｕＦＥＮ 酵素の改変
ｐＡｆｕＦＥＮの構築
プラスミド ｐＡｆｕＦＥＮ１は、米国特許出願第０９／６８４，９３８号および国際公開公報第９８／２３７７４号（いずれもその全文が本明細書に参照として組み入れられる）に記載の方法で調製した。簡単に説明すると、ＤＳＭＺ（ＤＳＭＺ ＃４３０４）から得た１バイアル（おおよそ５ｍｌの培養物）のＡ．フルギダス（Ａ． ｆｕｌｇｉｄｕｓ）菌から、ＤＮＡ ＸＴＲＡＸキット（Ｇｕｌｌ Ｌａｂｏｒａｔｏｒｉｅｓ， Ｓａｌｔ Ｌａｋｅ Ｃｉｔｙ， ＵＴ）を用いて、製造元のプロトコールに従い、ゲノムＤＮＡを調製した。最終ＤＮＡペレットを１００μｌのＴＥ（１０ｍＭトリス−ＨＣ１、ｐＨ８．０、１ｍＭ ＥＤＴＡ）に再懸濁した。１μｌマイクロリットルのＤＮＡ溶液を用いて、ＡＤＶＡＮＴＡＧＥ ｃＤＮＡ ＰＣＲキット（Ｃｌｏｎｅｔｅｃｈ）によりＰＣＲを実施した。ＰＣＲは製造元の推奨に従い実施した。
【０６５９】
ＮｃｏＩ部位を生成する１塩基対の置換含むことをを除外して、５’末端のプライマーは、Ａｆｕ ＦＥＮ−１ 遺伝子の５’末端と相補的である。ＳａｌＩ部位を生成する２塩基の置換を含むことを除外して３’末端 プライマーは、ＦＥＮ−１ ＯＲＦの下流にあるＡｆｕ ＦＥＮ−１ 遺伝子の３’末端と相補的である。５’および３’末端プライマーの配列は、それぞれ、
2004521606.tif 000176
である。得られた断片のクローニングは、ＰｆｕＦＥＮ１ 遺伝子に関する米国特許出願第５，９９４，０６９号（様々な目的で本明細書にその全文が組み入れられる）に記載される方法で実施し、プラスミド ｐＴｒｃ９９−ＡＦＦＥＮｌを作製した。発現を目的として、精製を簡便に進めるためにヒスチジン・テールを付加しｐＴｒｃ９９−ＡＦＦＥＮｌを改変して、ｐＴｒｃＡｆｕＨｉｓプラスミドを構築した。このヒスチジン・テールを付加する目的で、標準ＰＣＲプライマーによる部位特異的変異誘発法を用いて、ｐＴｒｃ９９−ＡＦＦＥＮｌコード領域の最後のアミノ酸コドンと停止コドン間に６残基のヒスチジンをコードする配列を挿入した。得られたプラスミドを ｐＴｒｃＡｆｕＨｉｓと命名した。次に、上記のようにしてタンパク質を発現させ、Ｎｉ＋＋ 親和性 カラムに結合して精製した。
【０６６０】
Ａｆｎ（Ｙ２３６Ａ）、Ａ４６−５の構築
鋳型ＡｆｕＦＥＮ（配列番号：５５６）から２種の重複ＰＣＲ断片を作製した。これには、プライマー：
2004521606.tif 000177
およびプライマー：
2004521606.tif 000178
を用いた。２種の産物を組み合わせて、外側のプライマー７００−１０−０３および３９０−０７６−０８で増幅した。組換えＰＣＲ産物を制限酵素ＮｃｏＩおよびＳａｌＩで切断し、同一の酵素で切断して調製したＡｆｕＦＥＮ構築物にライゲートし、 Ａｆｕ（Ｙ２３６Ａ）構築物（ＤＮＡ配列、配列番号：５４９；アミノ酸配列、配列番号：５５０）を得た。
【０６６１】
Ａｆｕ（Ｙ２３６Ｒ）、Ａ５６−９の構築
鋳型ＡｆｕＦＥＮから２種の重複ＰＣＲ断片を作製した。これには、プライマー：
2004521606.tif 000179
およびプライマー：
2004521606.tif 000180
を用いた。２種の産物を組み合わせて、外側のプライマー７００−１０−０３および３９０−０７６−０８で増幅した。組換えＰＣＲ産物を制限酵素ＮｃｏＩおよびＳａｌＩで切断し、同一の酵素で切断して調製したＡｆｕＦＥＮ構築物にライゲートし、 Ａｆｕ（Ｙ２３６Ｒ）構築物（ＤＮＡ配列、配列番号：５５２；アミノ酸配列、配列番号：５５３）を得た。
【０６６２】
２． ＦＥＮ酵素およびサーマスポリメラーゼ誘導体のキメラ
以下の酵素構築物は、ＡｆｕＦＥＮ 酵素のポリメラーゼ・ドメインおよびサーマスポリメラーゼのポリメラーゼ・ドメインの部分を組み合わせた。これらの組み合わせは、分子モデリングで得られる情報に基づいて設計した。
【０６６３】
Ａｆｕ３３６−Ｔｔｈ２９６（ＡＫＫ）、ＡＴ１−１の構築
２種の重複ＰＣＲ断片を作製した。第一の断片は、鋳型としてＡｆｕＦＥＮ構築物（配列番号：５５６）を用い、プライマーとして
2004521606.tif 000181
を用いて作製した。第二の断片は、鋳型としてＴｔｈＡＫＫ（配列番号：５５８）を用い、プライマーとして
2004521606.tif 000182
を用いて作製した。二つの産物は配列重複領域を含み、組み合わせて、組換えＰＣＲ反応で外側のプライマー３９０−０７６−０８および３９０−０７６−０９で増幅した。組換えＰＣＲ産物を制限酵素ＢｓｐＥＩおよびＳａｌＩで切断し、同一の酵素で切断して調製したＡｆｕＦＥＮ構築物に連結し、Ａｆｕ３３６−Ｔｔｈ２９６（ＡＫＫ）構築物（ＤＮＡ配列、配列番号：５５９；アミノ酸配列、配列番号：５６０）を得た。
【０６６４】
Ａｆｕ３２８−Ｔｔｈ２９６（ＡＫＫ）、ＡＴ２−３の構築
２種の重複ＰＣＲ断片を作製した。第一のものには、プライマー：
2004521606.tif 000183
および鋳型としてＡｆｕＦＥＮ（ＤＮＡ配列、配列番号：５５６）を用い、第二のものには、プライマー：
2004521606.tif 000184
および鋳型としてＴｔｈＡＫＫ（ＤＮＡ配列、配列番号：５５８）を用いた。２種の産物を組み合わせて、外側のプライマー３９０−０７６−０８および３９０−０７６−０９で増幅した。組換えＰＣＲ産物を制限酵素ＢｓｐＥＩおよびＳａｌＩで切断し、同一の酵素で切断して調製したベクター ｐＡｆｕＦＥＮ にライゲートし、 Ａｆｕ３３６−Ｔｔｈ２９６（ＡＫＫ）構築物（ＤＮＡ配列、配列番号：５６３；アミノ酸配列、配列番号：５６４）を得た。
【０６６５】
Ａｆｕ３３６−Ｔａｑ５Ｍの構築
Ｔａｑ５Ｍ構築物（配列番号：４１）を酵素ＮｏｔＩおよびＳａｌＩで切断し、より小さい挿入断片をゲルで単離した。また、Ａｆｕ３３６−Ｔｔｈ２９６（ＡＫＫ）構築物（ＤＮＡ配列、配列番号：５５９）を同一の制限酵素で切断し、より大きいベクター断片を精製した。次に、挿入物（Ｔａｑ５Ｍのポリメラーゼ・ドメイン）ベクターに連結し、Ａｆｕ３３６−Ｔａｑ５Ｍ構築物（ＤＮＡ配列、配列番号：５６５；アミノ酸配列、配列番号：５６６）を作製した。
【０６６６】
Ａｆｉｉ３３６−ＴａｑＤＮの構築
ＴａｑＤＮＨＴ構築物を酵素ＮｏｔＩおよびＳａｌＩで切断し、より小さい挿入断片をゲルで単離した。また、Ａｆｕ３３６−Ｔｔｈ２９６（ＡＫＫ）構築物（ＤＮＡ配列、配列番号：５５９）を同一の制限酵素で切断し、より大きいベクター断片を精製した。次に、挿入物（ＴａｑＤＮ ポリメラーゼ・ドメイン）をベクターに連結し、 Ａｆｕ３３６−Ｔａｑ５Ｍ構築物（ＤＮＡ配列、配列番号：５６７；アミノ酸配列、配列番号：５６８）を作製した。
【０６６７】
サーマスポリメラーゼのランダム・キメラ化
ＤＮＡシャフリングの原理に基づいて（ＶｏｌｋｏｖおよびＡｒｎｏｌｄ、Ｍｅｔｈｏｄｓ ｉｎ Ｅｎｚｙｍｏｌｏｇｙ ３２８：４５６ ［２０００］）サーマスポリメラーゼのランダム・キメラ化により、ランダム変異誘発法で機能が変化した多数の酵素を作製した。以下のキメラ作製には下記の方法を用いた。
【０６６８】
プライマー：
2004521606.tif 000185
を用いて、ランダム・キメラ化を実施する目的の遺伝子をＰＣＲ増幅し、おおよそ１．４ｋｂｐの鋳型を作製した。約２μｇのＤＮＡ鋳型を同一の比率で混合し、次に１５℃で約１分間ＤＮａｓｅＩ（０．３３Ｕ）により消化して、サイズが５０〜２００ｂｐの断片を調製した。４％アガロースゲルでＤＮＡ断片を精製し、ＱＩＡＥＸＩＩ ゲル抽出キット（ＱＩＡＧＥＮ）を用いて製造元の説明書に従い抽出した。断片の再アセンブリー反応（ＰＣＲプログラム：９４℃３分、９４℃３０秒−５２℃１分−７２℃２分＋５秒／サイクルで４０サイクル、７２℃４分）を実施するために、精製した断片（１０μｌ）を１０μｌの２ｘＰＣＲプレ混合物液（５倍希釈、クローン化Ｐｆｕ緩衝液、各０．４ｍＭのｄＮＴＰ、０．０６Ｕ／μｌのクローン化Ｐｆｕ ＤＮＡポリメラーゼ， ＳＴＲＡＴＡＧＥＮＥカタログ番号６００１５３、添付の緩衝液）に添加した。次に、ネステッド・プライマー対：
2004521606.tif 000186
を利用して、再アセンブル産物（１０倍希釈を１μｌ）をＰＣＲで増幅した。これは、ＣＬＯＮＴＥＣＨ ＧＣ ｍｅｌｔ ｃＤＮＡ ＰＣＲキット（カタログ番号Ｋ１９０７−Ｙ）を用いて、製造元の説明書に従って実施した。精製したＰＣＲ産物を制限酵素ＥｃｏＲＩおよびＮｏｔＩで消化し、次に同一の酵素で切断して調製した ＴｔｈＡＫＫ構築物に連結し、連結混合物でＪＭ１０９ コンピテント細胞を形質転換し、酵素活性に関してコロニーをスクリーニングした。
【０６６９】
１． ランダム・キメラＳ２６およびＳ３６の作製
これらのキメラ酵素を作製するために用いた鋳型は、ＴｔｈＡＫＫ、ＴａｑＴｔｈＡＫＫ、ＴｓｃＴｔｈＡＫＫおよびＴｆｉＴｔｈＡＫＫ構築物のヌクレアーゼ・ドメインであった。第一の活性スクリーニングに基づいて、２種類のクローンで活性の改善が認められた。次に、ランダム・キメラ Ｓ２６（ＤＮＡ配列、配列番号：５７１；アミノ酸配列、配列番号：５７２）およびＳ３６（ＤＮＡ配列、配列番号：５７３；アミノ酸配列、配列番号：５７４）の配列を決定し、単離した。
【０６７０】
２． Ｓ２６およびＳ３６の基質特異性を改善するためのＬ１０７Ｆ／Ｅ１０８Ｔ、 Ｌ１０９Ｆ／Ｖ１１０ＴおよびＫ６９Ｅ変異の導入
Ｓ２６（ＦＴ）の構築
変異誘発用プライマー：
2004521606.tif 000187
を用いて、ｐＳ２６ ＤＮＡに部位特異的変異誘発を実施し、Ｌ１０７Ｆ／Ｅ１０８Ｔ変異を導入し、Ｓ２６（ＦＴ）（ＤＮＡ配列、配列番号：５７５；アミノ酸配列、配列番号：５７６）を作製した。
【０６７１】
Ｓ３６（ＦＴ）の構築
変異誘発用プライマー：
2004521606.tif 000188
を用いて、ｐＳ２６ ＤＮＡに部位特異的変異誘発を実施し、Ｌ１０９Ｆ／Ｖ１１０Ｔ変異を導入し、Ｓ３６（ＦＴ）（ＤＮＡ配列、配列番号：５７７；アミノ酸配列、配列番号：５７８）を作製した。
【０６７２】
Ｓ２６（Ｋ６９Ｅ）の構築
変異誘発用プライマー：
2004521606.tif 000189
を用いて、ｐＳ２６ ＤＮＡに部位特異的変異誘発を実施し、Ｋ６９Ｅ変異を導入し、Ｓ２６（Ｋ６９Ｅ）（ＤＮＡ配列、配列番号：５７９；アミノ酸配列、配列番号：５８０）を作製した。
【０６７３】
Ｓ２６（ＦＴ／Ｋ６９Ｅ）の構築
変異誘発用プライマー：
2004521606.tif 000190
を用いて、Ｓ２６（ＦＴ）ＤＮＡに部位特異的変異誘発を実施し、Ｋ６９Ｅ変異を導入し、Ｓ２６（ＦＴ／Ｋ６９Ｅ）（ＤＮＡ配列、配列番号：５８１；アミノ酸配列、配列番号：５８２）を作製した。
【０６７４】
３． さらに別のランダムなキメラ、 Ｎ３Ｄ７、Ｎ１Ａ１２ Ｎ１Ｃ４およびＮ２Ｃ３
これらのキメラ酵素を作製するために用いた鋳型は、Ｔｔｈ（Ｋ６９Ｅ）ＡＫＫ、Ｔａｑ（Ｋ６９Ｅ）ＴｔｈＡＫＫ、Ｔｓｃ（Ｋ６９Ｅ）ＴｔｈＡＫＫ、およびＴｆｉ（Ｋ６９Ｅ）ＴｔｈＡＫＫ構築物のヌクレアーゼ・ドメインであった。第一の 活性スクリーニングに基づいて、４種類のクローンは、活性が改善されていることが示された。次に、ランダム・キメラ Ｎ３Ｄ７（ＤＮＡ配列、配列番号：５８３；アミノ酸配列、配列番号：５８４）、Ｎ１Ａ１２（ＤＮＡ配列、配列番号：５８５；アミノ酸配列、配列番号：５８６）、Ｎ１Ｃ４（ＤＮＡ配列、配列番号：５８７；アミノ酸配列、配列番号：５８８）およびＮ２Ｃ３（ＤＮＡ配列、配列番号：５８９；アミノ酸配列、配列番号：５９０）の配列を決定し、それぞれ単離した。
【０６７５】
実施例１０
酵素の上流オリゴヌクレオチドの存在依存性に関する試験
構造特異的ヌクレアーゼを連続する侵襲的切断反応に利用する場合には、（１）上流のオリゴヌクレオチドの非存在下、および（２）上流オリゴヌクレオチドおよび下流プローブ・オリゴヌクレオチド間の重複の非存在下では、酵素がプローブ切断能をほとんど有しないことが好ましい。図２６ａ〜ｅは、用いることのできる複数の構造を表す。これらのタイプの構造それぞれについて酵素の活性を調べる。構造ａ（図２６ａ）は、上流のオリゴヌクレオチドの非存在下でプローブ・オリゴヌクレオチドをバクテリオファージＭ１３ ＤＮＡ（図２６のＭ１３配列は配列番号：２１７に示す）上の標的部位と共に並列したものを示す。構造ｂ（図２６ｂ）は、標識したプローブ（標識は星印で表す）と重複する領域を含まない上流のオリゴヌクレオチド含む。構造ｃ、ｄおよびｅ（図２６ｃ〜ｅ）では、上流オリゴヌクレオチドは、下流のプローブ・オリゴヌクレオチドに対しそれぞれ、１、３もしくは５ヌクレオチドの重複を含み、これらの構造はそれぞれ好適な侵襲的切断構造を表す。これらの構造それぞれについて、酵素 Ｐｆｕ ＦＥＮ−１の活性を試験した。いずれの反応も２回ずつ実施した。
【０６７６】
各反応は、Ｔｗｅｅｎ２０およびノニデットＰ−４０をそれぞれ０．０５％含む１０ｍＭ ＭＯＰＳ（ｐＨ７．５）、７．５ｍＭ ＭｇＣｌ２の１０μｌ中に、１μＭの５’ＴＥＴ 標識プローブ・オリゴヌクレオチド ８９−１５−１（配列番号：２１２）、５０ｎＭ上流オリゴヌクレオチド（オリゴ ８１−６９−２ ［配列番号：２１６］、オリゴ ８１−６９−３ ［配列番号：２１５］、オリゴ ８１−６９−４ ［配列番号：２１４］、オリゴ ８１−６９−５ ［配列番号：２１３］のいずれか、または上流オリゴヌクレオチドを含まない）、１フェムトモルＭ１３標的ＤＮＡ、１０ｍｇ／ｍｌ ｔＲＮＡおよび１０ｎｇのＰｆｕ ＦＥＮ−１を含む。
【０６７７】
最終容積８μｌに酵素およびＭｇＣｌ２以外の全成分を混合して、１０μｌのＣＨＩＬＬＯＵＴ 液体ワックスを重層した。試料を反応温度６９℃まで加熱した。２μｌの容積でＰｆｕ ＦＥＮ−１およびＭｇＣｌ２を添加することによって、反応を開始した。６９℃で３０分間保温後、１０μｌの９５％ホルムアミド、１０ｍＭ ＥＤＴＡ、０．０２％メチルバイオレットで反応を停止した。電気泳動の直前に試料を９０℃で１分間加熱し、４５ｍＭトリス−ホウ酸（ｐＨ８．３）、１．４ｍＭ ＥＤＴＡ緩衝液中で７Ｍ尿素を含む２０％の変性アクリルアミドゲル（架橋１９：１）により泳動した。次に、ＦＭＢＩＯ−１００ Ｈｉｔａｃｈｉ ＦＭＢＩＯ 蛍光撮影装置でゲルを解析した。得られた像を図２７に示す。
【０６７８】
図２７において、「ａ」のレーンは、上流のオリゴヌクレオチド（構造ａ）非存在下で実施した反応で生成した産物を含み、レーン「ｂ」はプローブ／標的二重鎖（構造ｂ）を切断しない上流のオリゴヌクレオチド含む。レーン「ｃ」、「ｄ」および「ｅ」  は、プローブ／標的二重鎖を、それぞれ１、３および５塩基を切断する上流のオリゴヌクレオチドを用いて実施した反応において生成した産物を含む。非切断のプローブおよび切断産物のサイズ（ヌクレオチドの）は、図２７の像の左に示した。構造ａおよび構造ｂを利用した場合には、プローブの切断は検出不能であった。対照的に、侵襲的切断構造（構造 ｃ〜ｅ）を用いたときには、切断産物が生成した。Ｐｆｕ ＦＥＮ−１ 酵素がプローブの特異的な切断のための上流の重複オリゴヌクレオチドを必要とすることを、このデータは示している。
【０６７９】
構造ａ〜ｅを切断する酵素の試験が可能かを調べることによって、酵素が連続する侵襲的切断反応に好適に利用可能かを検討できる（図２６ａ〜ｅに示す特異的オリゴヌクレオチド配列は試験反応に利用する必要がないことは、当業者であれば理解しうる。これらの構造は単に好適な試験構造を例示したものである）。好ましい酵素であれば、構造ａおよび構造ｂをほとんどあるいは全く切断しない。また、構造ｃ〜ｅを特異的に切断する（すなわち、侵襲的切断構造を形成するために用いたオリゴヌクレオチド間の重複の程度から期待されるサイズの切断産物を生成する）。
【０６８０】
実施例１１
第二の侵襲的切断反応において感度の全体的な増加を可能とする第一の侵襲的切断反応の産物の利用
上記の「発明の説明」に記載したように、第一の反応の産物を用いて第二の侵襲的切断を実施し、第二の反応における切断構造を完成させることによって、侵襲的切断反応の検出感度を増加し得る。本実施例では、第一の侵襲的切断反応で切断されたプローブを利用することによって、表記のように、第二の侵襲的切断反応に利用する組み込まれたＩＮＶＡＤＥＲオリゴヌクレオチドおよび標的分子を形成させる。
【０６８１】
第一のプローブが内部相補性を含み、第一の侵襲的切断反応において切断された場合に、産物（「切断プローブ１」）が組み込まれたＩＮＶＡＤＥＲオリゴヌクレオチドを含む標的鎖を形成可能に設計する。新たに成形された標的／ＩＮＶＡＤＥＲ分子にハイブリダイズすると、該反応において目的の部位で切断される第二のプローブを提供する。連続する侵襲的切断の性能によるシグナル利得を示すため、上に記載する標準的侵襲的切断アッセイ法を同時に実施した。
【０６８２】
いずれの反応も二重に実施した。各標準（すなわち、非連続）侵襲的切断反応は、１０ｍＭ ＭＯＰＳ（ｐＨ７．５）、８ｍＭ ＭｇＣｌ２、それぞれ０．０５％Ｔｗｅｅｎ２０およびノニデットＰ−４０を含む１０μｌに、１μＭの５’フルオレセイン標識プローブ・オリゴ：
2004521606.tif 000191
および
１０ｎＭの上流オリゴ：
2004521606.tif 000192
ならびに１０から１００アトモルのＭ１３標的ＤＮＡ、１０ｍｇ／ｍｌ ｔＲＮＡおよび１０ｎｇのＰｆｕ ＦＥＮ−１を含む。容積７μｌに酵素およびＭｇＣｌ２以外の全成分を混合して、１０μｌのＣＨＩＬＬＯＵＴ液体ワックスを重層した。試料を反応温度６２℃まで加熱した。２μｌの容積でＰｆｕ ＦＥＮ−１およびＭｇＣｌ２を添加することによって、反応を開始した。６２℃で３０分間保温後、１０μｌの９５％ホルムアミド、１０ｍＭ ＥＤＴＡ、０．０２％メチルバイオレットで反応を停止した。
【０６８３】
各連続する侵襲的切断反応は、１０ｍＭ ＭＯＰＳ（ｐＨ７．５）、８ｍＭ ＭｇＣｌ２、それぞれ０．０５％Ｔｗｅｅｎ２０およびノニデットＰ−４０を含む１０μｌに、１μＭの５’フルオレセイン標識オリゴヌクレオチド：
2004521606.tif 000193
１０ｎＭの上流オリゴヌクレオチド：
2004521606.tif 000194
ならびに１μＭの５’フルオレセイン標識オリゴヌクレオチド １０６−３２（第二のプローブもしくは「プローブ ２」、５’Ｆｌ−ＴＧＴＴＴＴＧＡＣＣＴ ＣＣＡ−３’；配列番号：５９３）、１から１００アトモルのＭ１３標的ＤＮＡ、１０ｍｇ／ｍｌ ｔＲＮＡおよび１０ｎｇのＰｆｕ ＦＥＮ−１を含む。容積８μｌに酵素およびＭｇＣｌ２以外の全成分を混合して、１０μｌのＣＨＩＬＬＯＵＴ液体ワックスを重層した。試料を反応温度６２℃まで加熱した。（この温度は、プローブ１が第一の標的にアニーリングする最適温度である）。２μｌの容積でＰｆｕ ＦＥＮ−１およびＭｇＣｌ２を添加することによって、反応を開始した。６２℃で１５分間保温後、温度を５８℃に下げ（この温度は、この温度は、プローブ２が第二の標的にアニーリングする最適温度である）、試料をさらに１５分間保温した。１０μｌの９５％ホルムアミド、２０ｍＭ ＥＤＴＡ、０．０２％メチルバイオレットで反応を停止した。
【０６８４】
電気泳動の直前に、標準および連続する侵襲的切断反応の双方の試料を９０℃で１分間加熱した。４５ｍＭのトリス−ホウ酸緩衝液（ｐＨ８．３）、１．４ｍＭ ＥＤＴＡ中で、７Ｍ尿素を含む２０％変性アクリルアミドゲル（架橋１９：１）で泳動した。次に、分子ダイナミックス ＦｌｕｏｒＩｍａｇｅｒ ５９５でゲルを解析した。得られた像を図２８ａに示す。各産物のバンドの蛍光強度を測定したグラフを図２８ｂに示す。
【０６８５】
図２８ａにおいて、レーン１〜５は、標的を含まない（レーン１）、および１０アトモルの標的（レーン２および３）または１００アトモルの標的（レーン４および５）を含む標準侵襲的切断反応において生成した産物を含む。非切断のプローブは、パネルのほぼ下半分の各レーンにおいて、暗いバンドとして観察され、切断産物は、パネルの下に近いより小さい黒いバンドとして観察される。切断産物の位置を図２８ａの左に矢印で表した。レーン１〜５に観察される灰色のラダー・バンドは、プローブの熱分解によるものであって、標的ＤＮＡの有無には関係しない。残りのレーンは、１アトモルの標的（レーン６および７）、１０アトモルの標的（レーン８および９）および１００アトモルの標的（レーン１０および１１）を含む連続する侵襲的切断反応において生成した産物を示す。非切断の第一のプローブ（プローブ １；標識した 「１非切断」）が、パネルの上部付近に観察され、切断された第一のプローブは「１： 切断」として表される。同様に、非切断、および切断された 第二のプローブは、それぞれ「２： 非切断」および「２： 切断」として表される。
【０６８６】
図２８ｂのグラフでは、標準反応（「系列１」）で生成した産物の量を連続反応の第二の工程（「系列２」）で生成した産物の量と比較する。標的ＤＮＡを欠いた反応において測定したバックグラウンドの蛍光レベルを、各測定から差し引いた。１００アトモルの標的ＤＮＡを含む標準侵襲的切断アッセイ法のシグナルは、１アトモルの標的を含む連続する侵襲的切断アッセイ法のシグナルとほとんど同程度であることが、グラフ下の表から分かる。このことは、第二の切断構造を含むことが、アッセイ感度を１００倍から２００倍増加させることを示す。本酵素を用いてわずか３０分実施した標準アッセイ法では、１０アトモルの標的の存在下で検出可能な産物を生成しないが、このシグナル増加によって、連続する侵襲的切断アッセイ法を用いたアトモル以下のレベルでの標的核酸の検出が容易になる。
【０６８７】
連続する侵襲的切断アッセイで標的の量が１０倍もしくは１００倍減少した場合には、同一比率でシグナル強度が減少した。系列として反応を実施した場合であっても、侵襲的切断アッセイ法の定量性が保持されており、感度と定量性の双方を有する核酸検出法を提供することを示す。
【０６８８】
本実施例においては、用いた２種のプローブは異なる至適ハイブリダイゼーション温度（すなわち、与えられた反応条件で最大の回転率を与える実験的に決定される温度）を有しているが、同一の至適ハイブリダイゼーション温度を有し、保温中の温度シフトが不必要となるように、プローブを選択（すなわち、設計）することもできる。
【０６８９】
実施例１２
連続する侵襲的切断反応終了後の産物は、以降の同様な反応を汚染することはない
「発明の説明」に記載したように、連続する侵襲的切断反応で起こる複数の侵襲的切断事象の連続的性質は、ポリメラーゼ連鎖反応および類似した倍加アッセイ法の反復的性質と対照的に、第二の切断反応における新しいシグナル生成に第一の切断反応の産物が関与しないので、連続する侵襲的切断反応が、類似反応の産物の汚染を受けないことを意味している。新規に構成した反応に大量の終結反応物を添加する場合には、持ち込み標的の量によって生じたバックグラウンドは、既に切断された持ち込みのプローブの量と合わさる。本実施例においては、第一の反応における、かなりの大部分が第二の反応に持ち込まれて有意なシグナルを生成するはずであることが示される。
【０６９０】
上記のようにして、１００アトモルの標的ＤＮＡを用いて、最初のもしくは第一の連続する侵襲的切断反応を実施した。第一の反応の一部を導入し、他の標的ＤＮＡは全く含まないようにすることを除いて実施例１１に記載の方法で、５種の反応からなる第二のセットを調製した。これらの第二の反応を、上記のように開始し、保温した。０％、０．０１％、０．１％、１％または１０％の第一の反応物を含む。１００アトモルの標的を含む対照反応も、第二のセットに含まれる。上記の方法で、反応を停止し、電気泳動によって分画して可視化した。得られた像を図２９に示す。第一のプローブ、非切断の第二のプローブおよび切断第二のプローブは、それぞれ、左に「１：切断」、「２： 非切断」および「２：切断」として示した。
【０６９１】
図２９においては、レーン１は、第一の反応の結果示す。パネルの下に蓄積した産物が示される。レーン２は、さらに増幅することなく汚染のレベルのから期待されるシグナルのレベルを示すために、同一反応の１：１０希釈を表している。レーン３〜７は、不純物として添加した、それぞれ０％、１０％、１％、０．１％または０．０１％の第一の反応物を含む連続する切断反応の結果を示す。また、レーン８は、連続的反応におけるシステムの活性を確認するために１００アトモルの標的ＤＮＡを添加した対照反応を示す。前もって切断されたもの１０％を移し（レーン２）、レーン１の反応から移した標的の１０％をさらに増幅させる場合には、レーン４のシグナル・レベルは期待通りであった。さらに希釈した場合のいずれのレベルにおいても、シグナルはバックグラウンドから容易に区別されない。これらのデータは、１つの反応から別の反応に大量に移すと検出可能であるが、エアロゾルもしくは設備汚染から期待される少量による相互汚染が、容易に偽陽性の結果により誤謬をもたらすことはないことを示している。これらのデータは、１つの反応の産物が故意に新鮮な試料に持ち込まれるときには、これらの産物は新しい反応において関与せず、反応で生成する標的依存性のシグナルのレベルに影響を与えないことも示している。
【０６９２】
実施例１３
侵襲的切断によるヒト・サイトメガロウイルスＤＮＡの検出
上記の実施例では、ヒトゲノムＤＮＡの存在下で少量のウィルスＤＮＡを検出する侵襲的切断反応の検出能を示した。本実施例では、図３０に示すヒト・サイトメガロウイルス（ＨＣＭＶ）の主要最初期遺伝子の３１０４〜３０６１の領域を標的とするプローブおよびＩＮＶＡＤＥＲオリゴヌクレオチドを設計した。図３０では、ＩＮＶＡＤＥＲオリゴ（８９−４４；配列番号：２１９）およびフルオレセイン（Ｆｌ）標識プローブ・オリゴ（８９−７６；配列番号：２１８）は、ウィルスＤＮＡ（配列番号：２２２０）のヌクレオチド３０５７〜３１１０に対応するＨＣＭＶゲノムの領域にそってアニーリングすることが示される。本実施例で用いるプローブは、ポリピリミジン・プローブであり、本明細書に記載されるように、ポリピリミジン・プローブの利用によって、プローブ・オリゴの熱解離によって生じるバックグラウンド・シグナルが減少する。
【０６９３】
ゲノム・ウィルスＤＮＡはＡｄｖａｎｃｅｄ Ｂｉｏｔｅｃｈｎｏｌｏｇｉｅｓ， Ｉｎｃｏｒｐｏｒａｔｅｄ（Ｃｏｌｕｍｂｉａ， ＭＤ）から購入した。Ａｄｖａｎｃｅｄ Ｂｉｏｔｅｃｈｎｏｌｏｇｉｅｓによれば、該ＤＮＡは、１マイクロリットル当たり１７０アトモル（１ｘ１０８コピー）の濃度であると推定されている（しかしながら、保証されるものではない）。同一反応を４回実施した。各反応は、１０ｍＭ ＭＯＰＳ（ｐＨ７．５）、６ｍＭ ＭｇＣｌ２および各０．０５％のＴｗｅｅｎ２０およびノニデットＰ−４０の１０μｌ中に、１μＭの５’フルオレセイン標識プローブ・オリゴヌクレオチド８９−７６（配列番号：２１８）、１００ｎＭの ＩＮＶＡＤＥＲオリゴヌクレオチド８９−４４（配列番号：２１９）、１ｎｇ／ｍｌヒトゲノムＤＮＡ、および図３１の各レーンの上に記載された量の標的ＨＣＭＶのＤＮＡについての５つののうちの一つ、および１０ｎｇの Ｐｆｕ ＦＥＮ−１ を含む。最終容積７μｌに、標識プローブ、酵素およびＭｇＣｌ２以外の全成分を混合して、１０μｌのＣＨＩＬＬＯＵＴ液体ワックスを重層した。試料を反応温度９５℃まで５分間加熱した後、６２℃に冷やした。３μｌの容積でプローブ、Ｐｆｕ ＦＥＮ−１およびＭｇＣｌ２を添加することによって、反応を開始した。６２℃で６０分間保温後、１０μｌの９５％ホルムアミド、１０ｍＭ ＥＤＴＡ、０．０２％メチルバイオレットで反応を停止した。電気泳動の直前に、標準および連続する侵襲的切断反応の双方の試料を９０℃で１分間加熱した。４５ｍＭのトリス−ホウ酸緩衝液（ｐＨ８．３）、１．４ｍＭ ＥＤＴＡ中で、７Ｍ尿素を含む２０％変性アクリルアミドゲル（架橋１９：１）で泳動した。次に、分子ダイナミックス ＦｌｕｏｒＩｍａｇｅｒ ５９５でゲルを解析した。
【０６９４】
得られた像を図３１に示す。複製反応は、レーンの各セット（０−１７０アトモル）の上に示されている反応の標的ＨＣＭＶ ＤＮＡ含有量を含む４レーンからなるグループで泳動した。パネルの上３分の１に非切断のプローブ（「非切断８９−７６」）が観察され、パネルの下３分の２に切断産物（「切断８９−７６」）が観察される。蓄積された切断産物の強度は、反応における標的ＤＮＡの量に比例することが分かる。さらに、該反応では、ヒトゲノムＤＮＡのバックグラウンド中であってもプローブが非切断である標的ＤＮＡを含まない（「標的を含まない」）ことが明確である。図３１に示す各反応は１０ｎｇのヒトゲノムＤＮＡを含むが、ゲノムＤＮＡを最大で２００ｎｇ含む場合には、蓄積された産物の量にわずかに影響がある。反応混合液１０μｌ当たり２００ｎｇは、シグナル蓄積が有意に減少することなく耐性であるゲノムＤＮＡの最大量であった。なお、この量は、尿０．２ｍｌ中のＤＮＡ（通常、新生児に対してＨＣＭＶの試験に用いる量）よりも多く、約５μｌの全血に見いだされる量に相当する。
【０６９５】
これらの結果は、標準（すなわち、非連続）侵襲的切断反応がウィルスＤＮＡの検出に関する高感度で、特異的かつ再現性のある手段であることを示している。１．７アトモルの標的の検出は、大雑把に１０６コピーのウイルスの検出と等価である。これは、先天的に感染した新生児の０．２ｍｌｓの尿中のウイルス・ゲノムの数と等価である（０．２ｍｌｓ当たり１０２から１０６ゲノムに等価である；Ｓｔａｇｎｏら、Ｊ． Ｉｎｆｅｃｔ． Ｄｉｓ．， １３２；５６８ ［１９７５］）。連続する侵襲的切断アッセイ法の利用によって、より少ない数のウィルスＤＮＡ分子の検出も可能となり、異種性ＤＮＡをさらに大量に含む血液中での検出が容易になる（ｍｌ当たり１０１から１０５ウイルス粒子；Ｐｅｃｔｏｒら、Ｊ． Ｃｌｉｎ． Ｍｉｃｒｏｂｉｏｌ．， ３０：２３５９ ［１９９２］）。
【０６９６】
上記から、本発明が核酸配列および核酸配列中の変異の検出ならびに特徴付けを可能とする試薬および方法を提供することが明らかである。 本発明の ＩＮＶＡＤＥＲ部位特異的切断反応および連続的ＩＮＶＡＤＥＲ部位特異的切断反応は、直接検出アッセイ法の利点（例えば、容易な定量性および持ち込み汚染のリスクが最小であること）を二重もしくは三重オリゴヌクレオチド・ハイブリダイゼーション・アッセイ法の特異性と組み合わせた理想的な直接検出法を提供する。
【０６９７】
「発明の説明」に記載されるように、連続する侵襲的切断反応の利用においては、残存し、第二の標的と相互作用する、および結合に関して切断プローブと競合する、もしくは生成した構造の低レベル切断によりバックグラウンドを生じる非切断の初期もしくは第一のプローブの問題が存在する。このことを、図３２および３３に模式的に示した。図３２に示した反応では、第二の切断反応に関するＩＮＶＡＤＥＲオリゴヌクレオチドを形成する第一の切断構造を生じる切断産物を利用する。第二の標的、第二のプローブおよび非切断の第一のプローブ間で成形された構造を工程２ａに示す右手型構造として図３２に示す。この構造は、５’ヌクレアーゼによって、非常に低効率で（すなわち、大抵の反応条件では 約１％未満）認識され切断される。しかし、得られた産物は、特異的産物と区別が困難なため、偽陽性の結果を与えることがある。実施例１１に記載のように、切断された第一のプローブが組み込まれたＩＮＶＡＤＥＲ／標的（ＩＴ）分子を生じるときには、同一の効果が得られる。好ましくない複合体の形成を工程２ａに示す右手型構造として図３３に模式的に示す。
【０６９８】
これらの連続的ＩＮＶＡＤＥＲアッセイ法、各々に関し、各種の組成でＡＲＲＥＳＴＯＲオリゴヌクレオチドを添加することにより行った改善を、以下の実施例に示す。これらＡＲＲＥＳＴＯＲオリゴヌクレオチドは、系列の第一の切断反応に由来する残存非切断プローブに結合するように設計されており、このことによってその効力が高まり、また以降の反応における非特異的バックグラウンドが低減する。
【０６９９】
実施例１４
「ＡＲＲＥＳＴＯＲ」オリゴヌクレオチドは複数連続する侵襲的切断アッセイ法の感度を改善する
本実施例では、ＩＴプローブ・システム３３を用いたシグナル生成に対するＡＲＲＥＳＴＯＲオリゴヌクレオチド含有の効果を示す。第一の切断反応中に標的核酸を認識する部分において、ＡＲＲＥＳＴＯＲオリゴヌクレオチドが第一のプローブにハイブリダイズする。ＡＲＲＥＳＴＯＲオリゴヌクレオチドの添加効果を検討することに加えて、相補性の異なる距離で、第二のＩＴ構造を構成する 第一のプローブの領域へと伸長するＡＲＲＥＳＴＯＲオリゴヌクレオチドを利用することの効果についても調べた。各セットの反応条件における非特異的バックグラウンド・レベル（すなわち、標的核酸に関係しない）を示す目的で、一定の濃度範囲で標的ＤＮＡを含む反応もしくは標的ＤＮＡを欠いた反応において、これらの効果を比較した。
【０７００】
これらの反応の標的ＤＮＡは、血清型ａｄｗ株の完全長のＢ型肝炎ウイルスゲノムを含む断片である。ポリメラーゼ連鎖反応を用いて、プラスミド ｐＡＭ６（ＡＴＣＣ ＃４５０２０Ｄ）から本材料を調製した。ＰＣＲは、ベクターに基づくフォワードプライマー、オリゴ番号：
2004521606.tif 000195
およびリバースプライマー、オリゴ番号：
2004521606.tif 000196
を用いて実施し、完全長のＨＢＶ挿入物である約３．２ｋｂのアンプリコンを増幅した。サイクリングの条件は、９５℃５分のプラスミド変性後、９５℃３０秒−６０℃４０秒−７２℃４分を３０サイクルであり、その後最終伸長を７２℃１０分間実施した。得られたアンプリコンをｐＡＭ６＃２と命名し、２ＭのＮＨ４ＯＡｃに調整して、イソプロパノール沈殿で回収した。真空で乾燥した後、ＤＮＡを１０ｍＭトリス ｐＨ．０、０．１ｍＭ ＥＤＴＡ中で溶解した。濃度を、既知濃度の標準と比較しながらＩＮＶＡＤＥＲアッセイしＯＤ２００で測定した。
【０７０１】
ＩＮＶＡＤＥＲ反応は次のように実施した。「Ａ」、「Ｂ」、 「Ｃ」、「Ｄ」および「Ｅ」と名付けた５種類のマスター混合液を調製した。いずれの混合液も、混合液８μｌにつき、１２．５ｍＭ  ＭＯＰＳ、ｐＨ７．５、５００フェムトモルの第一のＩＮＶＡＤＥＲオリゴ ＃２１８−５５−０５（配列番号：５９６）、１０ｎｇのヒトゲノムＤＮＡ（Ｎｏｖａｇｅｎ）および３０ｎｇのＡｆｕＦＥＮ１酵素を含む。混合物Ａは付加ＨＢＶゲノムのアンプリコンＤＮＡ含まない。混合物Ｂは、６００分子のＨＢＶゲノム・アンプリコンＤＮＡ ｐＡＭ６ ＃２を含む。混合物Ｃは、６，０００分子の ｐＡＭ６ ＃２を含む。混合物Ｄは、６０，０００分子のｐＡＭ６ ＃２を含む。混合物Ｅは、６００，０００の分子 ｐＡＭ６ ＃２を含む。混合液を反応チューブに分注した（８μｌ／チューブ）。 混合物Ａを、チューブ１、２、１１、１２、２１および２２へ分注した。混合物Ｂを、チューブ ３、４、１３、１４、２３および２４へ分注した。混合物Ｃを、チューブ５、６、１５、１６、２５および２６へ分注した。混合物Ｄを、チューブ７、８、１７、１８、２７および２８へ分注した。混合物Ｅを、チューブ９、１０、１９、２０、２９および３０へ分注した。試料を９５℃で４分間保温し、ＨＢＶゲノムのアンプリコンＤＮＡを変性させた。 次に、反応を６７℃に冷却し、各２μｌに３７．５ｍＭ ＭｇＣｌ２および２．５ピコモルの２１８−９５−０６（配列番号：５７９）を含む２μｌの混合物を各試料に添加した。試料６７℃で６０分間保温した。３種の反応マスター混合液を調製した。いずれの混合液も、各２μｌ混合物に１０ピコモルの第二のプローブ・オリゴヌクレオチド ＃２２８−４８−０４（配列番号：５９８）を含む。混合液２Ａは、他のオリゴヌクレオチドを含まず、 混合物２Ｂは、５ピコモルの「ＡＲＲＥＳＴＯＲ」 オリゴ ＃ ２１８−９５−０３（配列番号：５９９）を含み、混合物２Ｃは５ピコモルの「ＡＲＲＥＳＴＯＲ」 オリゴ ＃ ２１８−９５−０１（配列番号：６００）を含む。６７℃で６０分間保温（上記の第一の反応）後、２μｌの第二の反応混合物を各試料に添加した。混合液２Ａを試料 ＃１−１０に添加した。混合液２Ｂを、試料 ＃１１−２０に、 混合液２Ｃを試料 ＃２１−３０に添加した。温度を５２℃に調整し、試料を５２℃で３０分間保温した。次に、１０μｌの９５％ホルムアミド、５ｍＭのＥＤＴＡおよび０．０２％の クリスタルバイオレットの溶液を添加することによって反応を停止した。いずれの試料も９５℃で２分間加熱し、４５ｍＭトリス−ホウ酸（ｐＨ８．３）および１．４ｍＭのＥＤＴＡの緩衝液中で、４μｌの各試料を７Ｍ尿素を含む２０％ 変性アクリルアミドゲル（架橋１９：１）で電気泳動によって分画した。Ｍｏｌｅｃｕｌａｒ Ｄｙｎａｍｉｃｓ Ｆｌｕｏｒｏｉｍａｇｅｒ ５９５を用い、励起４８８、発光５３０ で、結果を画像化した。得られた像を図３４に示す。
【０７０２】
図３４において、パネルＡは、第二の反応にＡＲＲＥＳＴＯＲオリゴヌクレオチドを含まない場合の標的の滴定結果を示す。パネルＢは、第一のプローブの非標的相補的領域に２ヌクレオチド伸長したＡＲＲＥＳＴＯＲオリゴヌクレオチドを用いて標的滴定した結果を示す。パネルＣは、第一のプローブの非標的相補的領域へ４ヌクレオチド伸長したＡＲＲＥＳＴＯＲオリゴヌクレオチドを用いて同様の標的滴定を行った結果を示す。各パネルの下に近い位置に第二の切断反応の産物がバンドとして観察される。各パネルの最初の２レーン（すなわち、１および２、１１および１２、ならびに２１および２２）は、標的ＤＮＡを含まず、産物のバンドと一緒に移動するシグナルは、各セットの条件下での非特異的バックグラウンドを表している。
【０７０３】
バックグラウンド・シグナルはいずれも減少し、ＡＲＲＥＳＴＯＲオリゴヌクレオチドのいずれかの分子種を含むことで予測可能性が高まることが、これらのパネルを視覚的に調べることで分かる。標的を含まない対照レーンにおけるバックグラウンドを低下させることに加えて、より希釈した標的量を含む反応におけるバックグラウンドを減少させることで、反応に含まれる標的をより正確に反映するシグナルを与えることができ、従って複数の連続する侵襲的切断反応の定量的範囲を改善できる。
【０７０４】
これらの条件下で第二の切断反応にＡＲＫＥＳＴＯＲオリゴヌクレオチドを含むことの影響を定量するために、最大量の標的を含む反応に由来する平均的な産物のバンド・シグナル（すなわち、レーン９および１０、 レーン１９および２０、ならびに レーン２９および３０のシグナルの平均値）を各パネルの標的を含まない対照レーンの平均シグナルと比較して、各条件セットにおける「折り畳みバックグラウンド（ｆｏｌｄ ｏｖｅｒ ｂａｃｋｇｒｏｕｎｄ）」、バックグラウンドに対するシグナル増幅因子を決定する。ＡＲＲＥＳＴＯＲオリゴヌクレオチドを含まない反応の場合には、パネルＡでは、折り畳みバックグラウンド は５．３、パネルＢでは、折り畳みバックグラウンド１２．７およびパネルＣでは、折り畳みバックグラウンド１３．４であり、本システムにおいて、ＡＲＲＥＳＴＯＲオリゴヌクレオチドを含む場合には、ＡＲＲＥＳＴＯＲオリゴヌクレオチドを含まない反応に対して少なくともシグナル特異性が二倍になり、少なくともシステムの本態様においては、非標的相補的領域に向かって僅かに伸長した ＡＲＲＥＳＴＯＲオリゴヌクレオチドは、僅かではあるがより効果的であることを示している。これは、オリゴヌクレオチドを使用によって、これらの反応の特異性が高まる利点、すなわち低レベルの標的核酸では、特に恩典を有するという利点を明らかに示している。
【０７０５】
実施例１５
「ＡＲＲＥＳＴＯＲ」オリゴヌクレオチドは、バックグラウンド・シグナルを増加させることなく、より高濃度の第一のプローブを利用し得る
侵襲的切断反応におけるプローブ濃度を増加させることによって、与えられた標的ＤＮＡの量に関して生成するグナルの量を劇的に増加させることができる。この説明は特定の機構に限定するものではないが、プローブ濃度の増加が、切断プローブを非切断コピーによって置換する速度を増加させることにより、切断反応の見かけの回転率を増加させるものであると考えられる。残念なことに、以前は、本効果を複数の連続的ＩＮＶＡＤＥＲアッセイ法の第一の切断反応に適用することができなかった。なぜならば、残存する非切断第一のプローブが第二の標的にハイブリダイズ可能であり、切断された分子と競合するので、第二の反応の効力が低下してしまうためである。第一のプローブの濃度の上昇は、この問題を悪化させる。さらに、上記のようにして得られた複合体は、低レベルで切断され得るので、バックグラウンドへの寄与があるのである。従って、第一のプローブの増加は、第二の反応を遅くする効果とこのような非標的特異的バックグラウンド・レベルを増加させる効果の二重に負の効果を示す。ＡＲＲＥＳＴＯＲオリゴヌクレオチドを用いて、残存する第一のプローブを隔離するもしくは中和することにより、これら第二の反応にこの濃度促進効果を適用できる。
【０７０６】
この効果を明らかにするために、２種類の反応を実施した。第一の反応では、一定範囲の濃度の第一のプローブを用いて、反応を実施したが、第二の反応には、ＡＲＲＥＳＴＯＲオリゴヌクレオチドを含めなかった。第二の反応では、同一濃度のプローブを用いたが、第二の反応にＡＲＲＥＳＴＯＲオリゴヌクレオチドを添加した。
【０７０７】
いずれの反応も２回ずつ実施した。第一のＩＮＶＡＤＥＲ反応は最終容積１０μｌで行い、１０ｍＭ ＭＯＰＳ、ｐＨ７．５、７．５ｍＭ ＭｇＣｌ２、５００ ｆｍの第一のＩＮＶＡＤＥＲ（２１８−５５−０５；配列番号：５９６）；３０ｎｇのＡｆｕＦＥＮ１酵素および１０ｎｇのヒトゲノムＤＮＡを含む。偶数番号の反応はいずれも１００ゼプトモルのＨＢＶ ｐＡＭ６ ＃２ アンプリコンを含む（図３５ＡおよびＢ参照）。反応は、１０ピコモル、２０ピコモル、５０ピコモル、１００ピコモル、もしくは１５０ピコモルの第一のプローブ（２１８−５５−０２； 配列番号：６０１）を含む。ＭＯＰＳ、標的およびＩＮＶＡＤＥＲオリゴヌクレオチドを混合して最終容積７μｌにした。試料を９５℃５分間加熱変性して、６７℃に冷却した。５分間の変性の間に、ＭｇＣｌ２、プローブおよび酵素を混合した。３μｌのＭｇＣｌ２、プローブおよび酵素の混合物を上記の最終濃度で添加することによって、第一のＩＮＶＡＤＥＲ反応を開始した。反応液を６７℃で３０分保温した。次に、反応を５２℃に冷却し、各第一のＩＮＶＡＤＥＲ反応に、４μｌの総容積で以下の第二の反応成分を加えた。すなわち、２．５ピコモルの第二の標的（オリゴ番号２１８−９５−０４；配列番号：６０２）；１０ピコモルの第二のプローブ（オリゴ番号 ２２８−４８−０４；配列番号：５９８）である。ＡＲＲＥＳＴＯＲオリゴヌクレオチドを含む反応は、４０ピコモル、８０ピコモル、２００ピコモル、４００ピコモルもしくは６００ピコモルのＡＲＲＥＳＴＯＲオリゴヌクレオチド（オリゴ番号 ２１８−９５−０１；配列番号：６００）を含み、この混合物を含む各反応に第一のプローブの量に対して４倍モル過剰に加えた。次に反応を５２℃で３０分間保温した。反応は、１０ｍＭ ＥＤＴＡおよび０．０２％クリスタルバイオレットを含む９５％のホルムアミド溶液を１０μｌ添加することによって停止した。試料はいずれも９５℃で１分間加熱し、４μｌの各試料を、４５ｍＭトリス−ホウ酸（ｐＨ８．３）および１．４ｍＭのＥＤＴＡを含む緩衝液中で、７Ｍ尿素を含む２０％変性アクリルアミドゲル（架橋１９：１）の電気泳動によって分画した。Ｍｏｌｅｃｕｌａｒ Ｄｙｎａｍｉｃｓ Ｆｌｕｏｒｏｉｍａｇｅｒ ５９５（励起４８８、 発光５３０）を用いて、結果を画像化した。ＡＲＲＥＳＴＯＲオリゴヌクレオチドを含む、または含まない反応に関して得られた像を、それぞれ図３５Ａおよび図３５Ｂに示した。第二のプローブの切断産物が、各パネルの下付近にバンドとして観察される。
【０７０８】
図３５Ａでは、レーンのセット１および２は、第一のプローブを１０ピコモル含み、セット３および４は、２０ピコモル、セット５および６は５０ピコモル、セット７および８は１００ピコモル、ならびにセット９およ１０は１５０ピコモル含む。第一のプローブ量の増加によって、標的を含まないレーン（奇数）においてはバックグラウンドを僅かに増加させる組み合わせ効果を示すが、標的（偶数番号のレーン）の存在下では特異的シグナルが減少し、プローブを増加させることによってシグナルを増加させるアプローチをこれらの連続的な反応に適用することが不可能であることを示す「折り畳みバックグラウンド」の尺度とみなす反応の特異性を低下させることが、視覚的検索により分かる。
【０７０９】
図３５Ｂでは、レーンのセット１および２は１０ピコモルの第一のプローブを含み、セット３および４は２０ピコモル、セット５および６は５０ピコモル、セット７および８は１００ピコモル、ならびにセット９および１０は１５０ピコモルを含む。さらに、各反応は第二の切断反応前に添加した４倍モル過剰のＡＲＲＥＳＴＯＲオリゴヌクレオチドを含む。標的を含まないレーン（奇数）におけるバックグラウンドはいずれの場合にも低いが、標的の存在下における（偶数番号のレーン）特異的シグナルは、第一のプローブの量の増加にともなって増加し、本標的レベルにおける「折り畳みバックグラウンド」感度をより増大させることが、視覚的検索によって分かる。
【０７１０】
これらの効果を定量的に比較するために、非特異的および特異的な切断由来の産物の蛍光シグナルを測定した。結果をグラフで図３５Ｃに示す。用いた第一のプローブの量と比較して、反応中に切断された第二のプローブの割合（％）の尺度としてグラフ化して示す。標的を含まない反応に由来するプロットを調べることによって、ＡＲＲＥＳＴＯＲオリゴヌクレオチドの非存在下におけるバックグラウンドが、一般的に、およそ２倍高く、いずれもプローブ量の増加に伴って僅かに増加することを調べた。しかしながら、特異的シグナルは、二つの反応セット間ではより劇的に違いがある。第一のプローブが増加すると非ＡＲＲＥＳＴＯＲオリゴヌクレオチド反応のシグナルは定常的に減少するが、ＡＲＲＥＳＴＯＲオリゴヌクレオチド反応のシグナルは増加し続ける。試験した第一のプローブ濃度が最も高い時には、非ＡＲＲＥＳＴＯＲオリゴヌクレオチド反応はバックグラウンドに対して１．７倍の特異的シグナルを有するに過ぎず、ＡＲＲＥＳＴＯＲオリゴヌクレオチド反応では、バックグラウンド対して６．５倍のシグナルを有する１００ゼプトモル（６０，０００コピー）の標的が検出され、従って、ＡＲＲＥＳＴＯＲオリゴヌクレオチドを含む場合には、連続する侵襲的切断反応が改善される。
【０７１１】
実施例１６
骨格の改変は、３’−アミンを含まないすべて天然の「ＡＲＲＥＳＴＯＲ」オリゴであるＡＲＲＥＳＴＯＲオリゴヌクレオチドの性能を改善する
上記２つの実施例に示した反応では、２’Ｏ−メチルリボース骨格を用いて構築し、３’末端ヌクレオチドに陽性電荷のアミン基を含まないＡＲＲＥＳＴＯＲオリゴヌクレオチドを用いた。第一のプローブ／ＡＲＲＥＳＴＯＲオリゴヌクレオチド複合体と相互作用する酵素が特異的に減少するように修飾を施した。２’Ｏ−メチル修飾したオリゴヌクレオチドは、５’ヌクレアーゼによる切断に対して幾分耐性であり、アンチセンスを利用している場合にはヌクレアーゼで緩やかに分解されることが、本発明の開発中に明らかとなった（例えば、Ｋａｗａｓａｋｉら、Ｊ． Ｍｅｄ． Ｃｈｅｍ．， ３６：８３１ ［１９９３］を参照のこと）。
【０７１２】
オリゴヌクレオチドの３’端にアミノ基が存在する場合には、直接的な侵襲的切断能が減少する。このようにしてＡＲＲＥＳＴＯＲオリゴヌクレオチドが切断構造を形成する可能性を低減する目的で、本実施例および他の実施例に記載する実験において、アミノ基を含むように設計した。
【０７１３】
最初の設計のＡＲＲＥＳＴＯＲオリゴヌクレオチド（「ブロッカー」と記載することもある）はこれらの修飾を含まず、これらの分子が連続する侵襲的切断アッセイ法のバックグラウンド切断を低下させる利点を提供することは何ら見いだされなかった。実際のところ、おそらく別の切断構造に対する要素を提供することによって予期しない部位に切断を誘起し、バックグラウンドに寄与することもあると考えられる。これらの反応におけるバックグラウンド・ノイズに対する、天然および修飾ＡＲＲＥＳＴＯＲオリゴヌクレオチドの効果を、実施例では検討した。
【０７１４】
ＡＲＲＥＳＴＯＲオリゴヌクレオチドを含まない同一の反応に対する比較によって、すべて天然のＡＲＲＥＳＴＯＲオリゴヌクレオチド（すなわち、塩基類似体もしくは修飾を含まないＡＲＲＥＳＴＯＲオリゴヌクレオチド）の効力を検討した。いずれの反応も２回ずつ次のように実施した。それぞれを８μｌに１２．５ｍＭのＭＯＰＳ（ｐＨ７．５）、５００フェムトモルの第一のＩＮＶＡＤＥＲオリゴヌクレオチド ＃２１８−５５−０５（配列番号：５９６）、 １０ｎｇのヒトゲノムＤＮＡ（Ｎｏｖａｇｅｎ）および３０ｎｇのＡｆｕＦＥＮ１酵素含む２種類のマスター混合液を調製した。混合物ＡはＨＢＶゲノムのアンプリコンＤＮＡ含まず、混合物Ｂは６００，０００ 分子のＨＢＶゲノム・アンプリコン ＤＮＡ ｐＡＭ６ ＃２を含む。混合液を以下のように、８μｌ／チューブで反応チューブに分注した。混合物Ａを、チューブ１、２、５および６に、混合物Ｂをチューブ３、４、７および８に分注した。試料を９５℃で４分間保温し、ＨＢＶゲノムのアンプリコンＤＮＡを変性させた。次に、反応を６７℃に冷却し、各２μｌに３７．５ｍＭ ＭｇＣｌ２および１０ピコモルの ２１８−５５−０２Ｂ（配列番号：６０３）を含む２μｌの混合物を各試料に添加した。次に、試料を６７℃で３０分間保温した。各３μｌに１０ピコモルの第二のプローブ・オリゴ ＃２２８−４８−０４Ｎ（配列番号：６０４）および２．５ピコモルの第二の標的 オリゴヌクレオチド ＃２１８−９５−０４（配列番号：６０２）を含む２種類の第二の反応マスター混合液を調製した。混合液２Ａは、他のオリゴヌクレオチドを含まず、混合物２Ｂは５０ピコモルの天然 「ＡＲＲＥＳＴＯＲ」 オリゴヌクレオチド ＃２４１−６２−０２（配列番号： ６０５）を含む。最初６７℃で３０分間保温した後、温度を５２℃に調整して、３μｌの第二の反応混合物を各試料に以下のようにして添加した。混合液２Ａを試料＃１〜４に添加した。混合液２Ｂを試料＃５〜８に添加した。次に、試料を５２℃で３０分間保温した。反応は、１０ｍＭ  ＥＤＴＡおよび０．０２％クリスタルバイオレットを含む９５％のホルムアミド溶液を１０μｌ添加することによって停止した。
【０７１５】
いずれの試料も９５℃で２分間加熱し、４μｌの各試料を、４５ｍＭトリス−ホウ酸（ｐＨ８．３）および１．４ｍＭのＥＤＴＡを含む緩衝液中で、７Ｍ尿素を含む２０％変性アクリルアミドゲル（架橋１９：１）の電気泳動によって分画した。Ｍｏｌｅｃｕｌａｒ Ｄｙｎａｍｉｃｓ Ｆｌｕｏｒｏｉｍａｇｅｒ ５９５（励起４８８、 発光５３０）を用いて、結果を画像化した。得られた像を図３６Ａに示した。
【０７１６】
ＡＲＲＥＳＴＯＲオリゴヌクレオチドに対する各種の修飾の効果を比較するために、塩基はすべて天然であるが、３’末端にアミンを含む ＡＲＲＥＳＴＯＲオリゴヌクレオチド、２’Ｏ−メチル・ヌクレオチドおよび３’末端にアミンを含む３’部分を有するＡＲＲＥＳＴＯＲオリゴヌクレオチド；およびすべて２’Ｏ−メチル・ヌクレオチドを含み、３’末端にアミンを含むＡＲＲＥＳＴＯＲオリゴヌクレオチドを用いて反応を実施した。これらを、ＡＲＲＥＳＴＯＲオリゴヌクレオチドを含まない反応と比較した。反応は次のように実施した。２種のマスター混合液を調製した。いずれの混合液も、各７μｌが１４．３ｍＭのＭＯＰＳ（ｐＨ７．５）、５００フェムトモルの第一のＩＮＶＡＤＥＲオリゴ ＃２１８−５５−０５（配列番号：５９６）および１０ｎｇのヒトゲノムＤＮＡ（Ｎｏｖａｇｅｎ）を含む。混合物ＡはＨＢＶゲノムのアンプリコンＤＮＡ含ます、混合物Ｂは６００，００分子のＨＢＶゲノム・アンプリコンＤＮＡ ｐＡＭ６ ＃２を含む。混合液を７μｌ／チューブで反応チューブに分注した。混合物Ａをチューブ １、２、５、６、９、１０、１３および１４に、混合物Ｂをチューブ ３、４、７、８、１１、１２、１５および１６に分注した。試料を９５℃で４分加熱してＨＢＶのＤＮＡを変性させた。次に、反応を６７℃に冷却し、３μｌ当たり２５ｍＭのＭｇＣｌ２、２５ピコモル ２１８−５５−０２Ｂ（配列番号：６０３）および３０ｎｇのＡｆｕＦＥＮ１酵素を含む３μｌの混合物を各試料に添加した。次に、試料を６７℃で３０分間保温した。４種の反応マスター混合液を調製した。いずれの混合液も、３μｌ中に１０ピコモルの第二のプローブ・オリゴヌクレオチド ＃２２８−４８−０４Ｂ（配列番号：６０６）および２．５ピコモルの第二の標的オリゴヌクレオチド ＃２１８−９５−０４（配列番号：６０２）を含む。混合液２Ａは他のオリゴヌクレオチドを含まず、混合物２Ｂは１００ピコモルの天然およびアミンＡＲＲＥＳＴＯＲオリゴヌクレオチド ＃ ２４１−６２−０１（配列番号：６０７）を含み、混合物２Ｃは１００ピコモルの部分的にＯ−メチルおよびアミンを含むオリゴヌクレオチド ＃ ２４１−６２−０３（配列番号：６０８）を含み、混合物２Ｄはに１００ピコモルのすべてＯ−メチルおよびアミンであるオリゴヌクレオチド ＃ ２４１−６４−０１（配列番号：６０９）を含む。最初に６７℃で３０分間保温した後、温度を５２℃に調整し、３μｌの第二の反応混合物を以下のようにして各試料に添加した。混合物２Ａを試料＃１〜４に添加した。混合液２Ｂを試料＃５〜８に添加した。混合物２Ｃを試料＃９〜１２に添加した。また、混合物２Ｄを試料＃１３〜１６に添加した。試料を５２℃で３０分間保温した。次に、反応は、１０ｍＭ ＥＤＴＡおよび０．２％クリスタルバイオレットを含む９５％のホルムアミド溶液を１０μｌ添加することによって停止した。
【０７１７】
いずれの試料も９５℃で２分間加熱し、４μｌの各試料を、４５ｍＭトリス−ホウ酸（ｐＨ８．３）および１．４ｍＭのＥＤＴＡを含む緩衝液中で、７Ｍ尿素を含む２０％変性アクリルアミドゲル（架橋１９：１）の電気泳動によって分画した。Ｍｏｌｅｃｕｌａｒ Ｄｙｎａｍｉｃｓ Ｆｌｕｏｒｏｉｍａｇｅｒ ５９５（励起４８８、 発光５３０）を用いて、結果を画像化した。得られた像を図３６Ｂに示した。
【０７１８】
図３６Ａにおいて、左側のパネルは、ＡＲＲＥＳＴＯＲオリゴヌクレオチドを含まない反応を示し、右側のパネルは、すべてが天然であるＡＲＲＥＳＴＯＲオリゴヌクレオチドを含む反応のデータを示す。各パネルの最初の２レーンは標的を含まない対照であり、第二のセットのレーンは標的を含む。各パネルの下４分の１に切断産物が見える。特異的反応産物が泳動された位置を左右に矢印で示した。
【０７１９】
これらのデータを調べた結果、ＡＲＲＥＳＴＯＲオリゴヌクレオチドの非存在下で実施した複数回の反応は、質的に再現性を示し、標的が存在する時にのみ有意な切断が起こることが分かった。対照的に、反応が別の非修飾オリゴヌクレオチドを含む場合には、複数レーン間で大きく異なっていた（例えば、レーン５および６には同一の反応物を含むが、顕著に異なる結果を生じた）。 すべて天然であるＡＲＲＥＳＴＯＲオリゴヌクレオチドを添加した場合には、これらの標的を含まないレーンでは、むしろバックグラウンドが減少し、他の部位における切断が増加した（すなわち、パネルを挟む矢印で示したもの以外のバンド）。このような理由で、図３６Ｂに示す効果を有する上記のような修飾を利用した。
【０７２０】
図３６Ｂの最初の４レーンは、ＡＲＲＥＳＴＯＲオリゴヌクレオチドを含まず、ＨＢＶ標的（それぞれ、レーン１および２、ならびにレーン３および４）を含むあるいは含まない二重反応の産物を示す。次の４つのレーン５、６、７および８は、３’末端アミンを有する天然ＡＲＲＥＳＴＯＲオリゴヌクレオチドを用いた。レーン９、１０および１１、１２では、２’Ｏ−メチル・ヌクレオチドを含む３’部分と３’末端にアミンを有するＡＲＲＥＳＴＯＲオリゴヌクレオチドを用いた。レーン１３、１４および１５、１６では、すべて２’Ｏ−メチル・ヌクレオチドであり、３’末端アミンを有するＡＲＲＥＳＴＯＲオリゴヌクレオチドを用いた。各パネルの下に３分の１に第二のプローブの切断産物が観察される。
【０７２１】
これらのデータの視覚的検索によって、天然ＡＲＲＥＳＴＯＲオリゴヌクレオチドの３’末端にアミンを付加することによって、図３６Ａに見られる異常切断が抑制されるが、本ＡＲＲＥＳＴＯＲオリゴヌクレオチドは、 非ＡＲＲＥＳＴＯＲオリゴヌクレオチドの対照と比較して反応の性能を改善しないことが分かる。対照的に、ＡＲＲＥＳＴＯＲオリゴヌクレオチドに ２’Ｏ−メチル・ヌクレオチドを利用することによって、置換が部分的なものであっても、完全なものであっても、バックグラウンドが減少する。このような修飾の相対効果を定量する目的で、同時に移動する産物のバンドそれぞれからの蛍光を測定し、二重複製レーンのシグナルを平均し、標的核酸を含む各反応について「折り畳みバックグラウンド」を算出した。
【０７２２】
ＡＲＲＥＳＴＯＲオリゴヌクレオチドを省略した場合には、標的特異的シグナル（レーン３、４）は、標的を含まないバックグラウンドに対して２７倍であり、天然ＡＲＲＥＳＴＯＲオリゴヌクレオチドおよびアミンでは、バックグラウンドに対し１７倍のシグナル与えた。部分的な２’Ｏ−メチルおよびアミンでは、バックグラウンドに対し４７倍のシグナル与えた。すべて２’Ｏ−メチルおよびアミンである場合には、バックグラウンドに対し３３倍のシグナル与えた。
【０７２３】
これらの図面は、いずれの修飾も複数の連続する侵襲的切断アッセイ法の特異性に対して有効であることを示している。また、部分的であれ完全にであれ２’Ｏ−メチル置換骨格の利用はこれらの反応の特異性を顕著に改善することも示している。本発明の各種の態様において、修飾の数がいずれであれ、ＡＲＲＥＳＴＯＲオリゴヌクレオチドもしくはヌクレアーゼに耐性第一の標的を形成する複合体の修飾によって同様に促進が起こるようにする。
【０７２４】
実施例１７
複数の連続する侵襲的切断アッセイ法におけるシグナル増強に対するＡＲＲＥＳＴＯＲオリゴヌクレオチドの長さの効果
「発明の説明」に記載されるように、ＡＲＲＥＳＴＯＲオリゴヌクレオチドの至適長さは、ＩＮＶＡＤＥＲ反応他の核酸要素の設計、特に、第一のプローブの設計に依存する。本実施例では、２種類の異なる第二のプローブを用いたシステムでＡＲＲＥＳＴＯＲオリゴヌクレオチドの長さの相違の効果を調べた。第一のプローブ・オリゴヌクレオチドにハイブリダイズし得るこれらのＡＲＲＥＳＴＯＲオリゴヌクレオチドを並列させた模式図を図３７Ｃに示す。この図では、標的核酸を認識する第一のプローブの領域を下線で示した。下線付けされていない部分、および下線で示された部分の第一の塩基は、第一の切断で遊離する部分であり、第二もしくは以降の切断構造に関与し続ける。
【０７２５】
いずれの反応も２回ずつ実施した。ＩＮＶＡＤＥＲ反応は最終容積１０μｌで行い、１０ｍＭ ＭＯＰＳ、ｐＨ７．５、ｍＭ ＭｇＣｌ２、５００フェムトモルの第一のＩＮＶＡＤＥＲ ２４１−９５−０１（配列番号：６１０）、２５ピコモルの第一のプローブ ２４１−９５−０２（配列番号：６１１）、３０ｎｇのＡｆｕＦＥＮ１酵素、および１０ｎｇのヒトゲノムＤＮＡを含む。また、１アトモルのＨＢＶアンプリコン ｐＡＭ ６ ＃２を含むこともある。ＭＯＰＳ、標的ＤＮＡ、およびＩＮＶＡＤＥＲオリゴヌクレオチドを混合して最終容積７μｌにした。試料を９５℃５分間加熱変性して、６７℃に冷却した。５分間の変性の間に、ＭｇＣｌ２、プローブおよび酵素を混合した。３μｌのＭｇＣｌ２、プローブ、および酵素の混合物を上記の最終濃度で添加することによって、第一のＩＮＶＡＤＥＲ反応を開始した。反応液を６７℃で３０分保温した。次に、反応を５２℃に冷却し、各第一のＩＮＶＡＤＥＲ反応に、３μｌのの総容積で以下の第二の反応成分を加えた。すなわち、２．５ピコモルの第二の標的２４１−９５−０７（配列番号：６１２）；１０ピコモルの第二のプローブ ２２８−４８−０４（配列番号：５９８）または２２８−４８−０４Ｎ（配列番号：６０４）および２４１−９５−０３（配列番号：６１３）、２４１−９５−０４（配列番号：６１４）、２４１−９５−０５（配列番号：６１５）または２４１−９５−０６（配列番号：６１６）のいずれかの１００ピコモルのＡＲＲＥＳＴＯＲオリゴヌクレオチドである。ＡＲＲＥＳＴＯＲオリゴヌクレオチドの効果に関する対照として、ＡＲＲＥＳＴＯＲオリゴヌクレオチドを省略した反応を用いた。
【０７２６】
反応を５２℃で３４分間保温し、次に、反応は、１０ｍＭ ＥＤＴＡおよび０．０２％クリスタルバイオレットを含む９５％のホルムアミド溶液を１０μｌ添加することによって停止した。試料はいずれも９５℃で１分間加熱し、４μｌの各試料を、４５ｍＭトリス−ホウ酸（ｐＨ８．３）および１．４ｍＭのＥＤＴＡを含む緩衝液中で、７Ｍ尿素を含む２０％変性アクリルアミドゲル（架橋１９：１）の電気泳動によって分画した。Ｍｏｌｅｃｕｌａｒ Ｄｙｎａｍｉｃｓ Ｆｌｕｏｒｏｉｍａｇｅｒ ５９５（励起４８８、 発光５３０）を用いて、結果を画像化した。より短い、およびより長い第二のプローブを含む反応に関して得られた像を、それぞれ図３７Ａおよび図３７Ｂに示した。
【０７２７】
各々の図において、各レーンの下半分にバンドとして切断産物が観察される。各図の最初の４レーンは、ＡＲＲＥＳＴＯＲオリゴヌクレオチドを含まず、ＨＢＶ標的を含むあるいは含まない（それぞれレーンのセット１および２）二重反応の産物であり、次の４レーンのセット３および４では最も短いＡＲＲＥＳＴＯＲ ２４１−９５−０３（配列番号：６１３）を用いた。レーン５および６では、２４１−９５−０４（配列番号：６１４） を用いた。レーン７および８では、２４１−９５−０５（配列番号：６１５）を用いた。レーン９および１０では、２４１−９５−０６（配列番号：６１６）を用いた。
【０７２８】
問題としている主たるバックグラウンドは、「標的を含まない」対照レーン（奇数；このバンドは、各ゲル・パネルの下に近い標的特異的シグナルと一緒に移動する）バンドである。最も短いＡＲＲＥＳＴＯＲオリゴヌクレオチドが、このバックグラウンドを抑制することにおいて最も効果が低く、ＡＲＲＥＳＴＯＲオリゴヌクレオチドが以降の切断反応に関与する部分へさらに伸長した時に効力が増すことが、見て分かる。このような効果の差があったとしても、これらのデータから、ＡＲＲＥＳＴＯＲオリゴヌクレオチドの設計の許容範囲が広いことが分かる。長さの選択は、ＡＲＲＥＳＴＯＲオリゴヌクレオチドを用いた反応を実施する際の温度、第一のプローブと標的との間、ならびに第一のプローブと第二の標的との間で形成する二重鎖の長さ、および反応中の異なる核酸種の相対濃度によって影響を受ける。
【０７２９】
実施例１８
複数の連続する侵襲的切断アッセイ法におけるシグナル増強に対するＡＲＲＥＳＴＯＲオリゴヌクレオチド濃度の効果
これらの切断反応にＡＲＲＥＳＴＯＲオリゴヌクレオチドを含むことの効果を検討する際には、第一のプローブが過剰の濃度である時のＡＲＲＥＳＴＯＲオリゴヌクレオチド濃度が、非特異的もしくは特異的シグナルの収率に影響を与えるか否か、ＡＲＲＥＳＴＯＲオリゴヌクレオチドの長さが一つの因子となるか否かを調べることが焦点であった。これら２種の変数については、以下の実施例で調べた。
【０７３０】
いずれの反応も２回ずつ実施した。第一のＩＮＶＡＤＥＲ反応は最終容積１０μｌで行い、１０ｍＭ ＭＯＰＳ、ｐＨ７．５、７．５ｍＭ ＭｇＣｌ２、５００フェムトモルの第一のＩＮＶＡＤＥＲ ２４１−９５−０１（配列番号：６１０）、２５ピコモルの 第一のプローブ ２４１−９５−０２（配列番号：６１１）；３０ｎｇのＡｆｕＦＥＮ１酵素、および１０ｎｇのヒトゲノムＤＮＡを含む。標的ＤＮＡを含む場合には、上記のＨＢＶアンプリコン ｐＡＭ ６ ＃２を１アトモル含む。ＭＯＰＳ、標的およびＩＮＶＡＤＥＲオリゴヌクレオチドを混合して最終容積７μｌにした。試料を９５℃５分間加熱変性して、６７℃に冷却した。５分間の変性の間に、ＭｇＣｌ２、プローブおよび酵素を混合した。３μｌのＭｇＣｌ２、 プローブおよび酵素の混合物を上記の最終濃度で添加することによって、第一のＩＮＶＡＤＥＲ反応を開始した。反応液を６７℃で３０分保温した。次に、反応を５２℃に冷却し、各第一のＩＮＶＡＤＥＲ反応に、以下の第二の反応成分を加えた。すなわち、２．５ピコモルの第二の標的２４１−９５−０７（配列番号：６１２）、１０ピコモルの第二のプローブ ２２８−４８−０４（配列番号：５９８）、また、５０、１００、もしくは２００ピコモルのＡＲＲＥＳＴＯＲオリゴヌクレオチド ２４１−９５−０３（配列番号：６１３）または２４１−９５−０５（配列番号：６１５）を含むこともある。総容積は３μｌであった。次に、反応を５２℃で３５分間保温した。反応は、１０ｍＭ ＥＤＴＡおよび０．０２％クリスタルバイオレットを含む９５％のホルムアミド溶液を１０μｌ添加することによって停止した。試料はいずれも９５℃で１分間加熱し、４μｌの各試料を、４５ｍＭトリス−ホウ酸（ｐＨ８．３）および１．４ｍＭのＥＤＴＡを含む緩衝液中で、７Ｍ尿素を含む２０％変性アクリルアミドゲル（架橋１９：１）の電気泳動によって分画した。Ｍｏｌｅｃｕｌａｒ Ｄｙｎａｍｉｃｓ Ｆｌｕｏｒｏｉｍａｇｅｒ ５９５（励起４８８、 発光５３０）を用いて、結果を画像化した。得られた像を、複合化像として、図３８に示した。
【０７３１】
各２重の反応をゲルの隣接したレーンに添加して、単一レーン番号とした。奇数番号のレーンはいずれも標的を含まない対照である。レーン１および２は、ＡＲＲＥＳＴＯＲオリゴヌクレオチドを含まない。レーン３〜８は、より短いＡＲＲＥＳＴＯＲオリゴヌクレオチド２４１−９５−０３（配列番号：６１３）を含む反応の結果を示す。レーン９〜１４は、より長いＡＲＲＥＳＴＯＲオリゴヌクレオチド２４１−９５−０５（配列番号：６１５）を含む反応の結果を示す。各パネルの下３分の１に第二の反応の切断産物が観察できる。これらのデータを目視で検索する（すなわち、バックグラウンドのバンドに対するの特異的産物の比較）ことによって、それぞれのＡＲＲＥＳＴＯＲオリゴヌクレオチドが、いずれの濃度においても有効であることが分かる。
【０７３２】
ＡＲＲＥＳＴＯＲオリゴヌクレオチドの長さおよび濃度の相対効果を定量するために、同時に移動する産物のバンドの各々を測定し、二重レーンのシグナルを平均し、「折り畳みバックグラウンド」（シグナル＋標的／シグナル−標的）を標的核酸を含む各反応について算出した。ＡＲＲＥＳＴＯＲオリゴヌクレオチドを含まない反応では、バックグラウンドに対し約２７倍のシグナルを得た。より短いＡＲＲＥＳＴＯＲオリゴヌクレオチドを５０、１００もしくは２００ピコモル含む場合には、それぞれ、バックグラウンドに対し４２倍、５１倍および６０倍の産物を生成した。このことは、最も低い濃度の短いＡＲＲＥＳＴＯＲ は、より長いＡＲＲＥＳＴＯＲオリゴヌクレオチド（例えば、上記の実施例を参照）よりも効果が低いことを示し、ＡＲＲＥＳＴＯＲオリゴヌクレオチドの濃度を増加させることによって、ＡＲＲＥＳＴＯＲオリゴヌクレオチド：第一のプローブ比を増加させ、これを補償することが可能となる。
【０７３３】
対照的に、５０、１００もしくは２００ピコモルでより長いＡＲＲＥＳＴＯＲオリゴヌクレオチドを含む場合には、それぞれバックグラウンドに対して、６０倍、３２倍および２４倍の産物が生成した。最も低い濃度において、より短いＡＲＲＥＳＴＯＲオリゴヌクレオチドと比較した時のこのより長いＡＲＲＥＳＴＯＲオリゴヌクレオチドの効果は、上記の実施例と合致した。しかしながら、濃度が増加すると、特異的産物の収率は減少した。このことは、第二の切断反応の要素と競合する効果を示唆するものである。
【０７３４】
このデータは、複数の特異的反応の設計において、ＡＲＲＥＳＴＯＲオリゴヌクレオチドを好適に利用できることを示している。濃度の選択は、ＡＲＲＥＳＴＯＲオリゴヌクレオチドを用いた反応を実施する際の温度、第一のプローブと標的との間、ならびに第一のプローブと第二の標的との間、および第一のプローブとＡＲＲＥＳＴＯＲオリゴヌクレオチド間で形成する二重鎖の長さによって影響を受ける。
【０７３５】
本明細書に記載されるＨＢＶ以外の標的核酸オリゴヌクレオチドの選択（例えば、オリゴヌクレオチドの組成および長さ）、および本明細書に記載されるモデルに従う切断反応条件の最適化については、分子生物学的方法における、当業者に公知の通常の方法および通常的な実施に従う。
【０７３６】
切断構造を作り出すためには、上流のＩＮＶＡＤＥＲオリゴヌクレオチドおよび下流のプローブ・オリゴヌクレオチド間に重複を必要とする酵素も存在することを、実施例１０は示している（図２７）。それが、ＩＮＶＡＤＥＲオリゴヌクレオチド中の重複塩基でしかないとしても（例えば、図３０に示すＨＣＭＶプローブを有する場合）、ＩＮＶＡＤＥＲオリゴヌクレオチドの３’末端のヌクレオチドは、標的鎖と相補的である必要はないことも明らかとなった。重複の要件によって、核酸試料中の単一塩基多型（ＳＮＰ）もしくは変異の検出に簡便性の基礎を与えることができる。
【０７３７】
単一塩基の変異を検出するためには、少なくとも２種のオリゴヌクレオチド（例えば、プローブとＩＮＶＡＤＥＲオリゴヌクレオチド）が標的核酸に対し縦列にハイブリダイズして、反応中のＣＬＥＡＶＡＳＥ 酵素が認識する重複構造を形成する。不対合「フラップ」は、プローブの５’端に含まれる。酵素は該重複を認識して、不対合フラップを切断し、標的特異的産物としてこれを遊離する。重複構造に強い選択性を有する酵素、すなわち、非重複構造を切断するよりも、かなり高い頻度で重複構造を切断する酵素としては、アルカエグロブス・フルギダス（Ａｒｃｈａｅｏｇｌｏｂｕｓ ｆｕｌｇｉｄｕｓ）およびピロコッカス・フリオサス由来のＦＥＮ−１ 酵素が挙げられ、このような酵素は、変異およびＳＮＰの検出に特に好ましい。
【０７３８】
実施例１９
ｍＲＮＡ ＩＮＶＡＤＥＲアッセイ法を実施するためのキット
ある態様においては、本発明は、本発明を実施するために必要な成分のうちの１つまたは複数を含むキットを提供する。例えば、本発明は、切断アッセイ法を実施するのに必要な本発明の酵素および／もしくは反応成分（例えば、ＩＮＶＡＤＥＲアッセイ法）を保存、もしくは配送するためのキットを提供する。一例として、しかしながら本発明のキットを成分の特定の配置もしくは組み合わせに限定することなく、本発明を実施するためのキットの一態様を、以下の節に記載する。
【０７３９】
ある態様においては、本発明のキットは、以下の試薬を提供する：
2004521606.tif 000197
【０７４０】
本発明の方法に好適に利用される第一のオリゴヌクレオチドおよび第二のオリゴヌクレオチドの例を図４１に示す。表記のオリゴヌクレオチドは本発明の複数の方法および変法に利用されるが、これらのＩＮＶＡＤＥＲアッセイ法のオリゴヌクレオチド・セットは本発明のキットにおいて特定の用途がある。図４１に示すオリゴヌクレオチド・セットを個々のセットとして利用し、個々の標的ＲＮＡを検出することができる。あるいは、単一反応において２つもしくはそれ以上の検体あるいは対照を検出するために二重もしくは複数の反応において、組み合わせることができるこれらのプローブ・セット（例えば、オリゴヌクレオチドおよび／もしくはその配列）の設計は、本明細書に提供される反応の設計および最適化に関する指針を用いて、ＤＮＡ検出アッセイ法の用途に利用し得る。本発明の検出アッセイおよびキットに利用される別のオリゴヌクレオチドを図４７に示す。
【０７４１】
ある態様においては、本発明のキットは、本発明の方法を実施するためにユーザーによって供給される付加的な要素（例えば、試薬、提供元、および／もしくは設備）のリストを提供する。例えば、このような付加的な要素のリストを特定の要素に限定するものではないが、このようなリストの態様の１つとしては、以下ものが挙げられる。
・ＲＮａｓｅ不含Ｈ２Ｏ（例えば、ＤＥＰＣ処理したもの）
・透明なＣＨＩＬＬＯＵＴ−１４ 液体ワックス（ＭＪ Ｒｅｓｅａｒｃｈ）もしくはＲＮａｓｅ不含の光学グレードの鉱油（Ｓｉｇｍａ、カタログ番号Ｍ−５９０４）
・リン酸緩衝食塩水（ＭｇＣｌ２およびＣａＣｌ２不含）
・９６ウェルポリプロピレン・マイクロプレート（ＭＪ Ｒｅｓｅａｒｃｈ、カタログ番号ＭＳＰ−９６０１）
・０．２ｍｌの薄壁チューブ
・サーマシール（Ｔｈｅｒｍａｓｅａｌ）ウェル・テープ（例えば、 ＧｅｎｅＭａｔｅ、カタログ番号Ｔ−２４１７−５）
・多チャネル・ピペット（０．５〜１０μｌ、２．５〜２０μｌ、２０〜２００μｌ）
・サーマル・サイクラーまたはその他の加熱源（例えば、実験室用乾燥器または加温ブロック）
・蛍光マイクロプレート読み取り装置（好適なプレート読み取り装置は、光学フィルターを備え、以下の性質を有したトップ・リーディング型のもの）
2004521606.tif 000198
【０７４２】
ある態様においては、本発明のキットは、本発明の方法の実施を容易にするためにユーザーによって供給される選択的な要素（例えば、試薬、提供元、および／もしくは設備）のリストを提供する。例えば、このような選択的な要素のリストを特定の要素に限定するものではないが、このようなリストの態様の１つとしては、以下ものが挙げられる。
・ｔＲＮＡ 溶液、２０ｎｇ／μｌ（Ｓｉｇｍａ， Ｒ−５６３６）
・１ｘ停止液（１０ｍＭ トリス−ＨＣｌ、ｐＨ８、１０ｍＭ ＥＤＴＡ）
・黒色不透明の９６ウェルマイクロプレート（例えば、 ＣＯＳＴＡＲ、カタログ番号３９１５）
・電動反複ピペット（２５０μｌ）
【０７４３】
キットのある態様においては、詳細なプロトコールが提供される。好ましい態様においては、ＩＮＶＡＤＥＲアッセイ反応の調製プロトコール（例えば、処方、反応混合物の好ましい作製法）が提供される。 特に好ましい態様においては、反応混合物の調製プロトコールは、本発明の方法の実施の際の失敗のリスクを低減するためにコンピュータもしくはグラフの支援を含む（例えば、複数反応に必要な試薬の容量計算を容易にする表、および多数のアッセイ反応を含む複数ウェルのアッセイ・プレートの配置を支援する指針となるプレートのレイアウト）。このようなプロトコールを、特定の成分もしくは形態に限定するものではないが、一例として、本発明のキットは以下のプロトコールを含む。
【０７４４】
Ｉ． ｍＲＮＡ ＩＮＶＡＤＥＲアッセイ法の詳細なプロトコール
１．各実験の実施に関するマイクロプレート・レイアウトの計画を立てる。４０試料、６つの標準、標的を含まない対照のマイクロプレート・レイアウトの例を図４０に示す。標的を含まない対照の組成（ｔＲＮＡ担体または１ｘ細胞溶解緩衝液１）および定量用の標準は絶対的定量に必要である。
【０７４５】
２．単一アッセイもしくは２重アッセイ用の第一の反応混合液を調製する。アッセイ（Ｘ容積）に必要な反応組成の容積を算出するために、反応の数（試料および対照の両方）に１．２５ を掛ける［ｘ容積（μｌ）＝反応数 ｘ １．２５］。最後の試薬を添加した後、第一の反応混合液を簡単にボルテックスして混合液をよく混ぜる。第一の反応混合液からマイクロプレート当たり５μｌを取り分ける（本工程では、電動反複ピペットが推薦される）。
【０７４６】
第一の反応混合液
単一アッセイ・フォーマット
2004521606.tif 000199
二重アッセイ・フォーマット
2004521606.tif 000200
【０７４７】
３．標的を含まない対照、標準、もしくは試料（全ＲＮＡもしくは細胞可溶化物）をそれぞれ５μｌ適当なウェルに添加し、１〜２回ピペッティングして混合する。各反応に１０μｌの透明なＣＨＴＬＬＯＵＴまたは鉱油を重層する。サーマシールウェル・テープでマイクロプレートを密封する。
【０７４８】
４．サーマル・サイクラーまたは乾燥器中で反応を９０℃で６０分間保温する。
【０７４９】
５．第一の反応を保温しながら、単一もしくは２重アッセイ用の第二のＦＲＥＴ反応混合液を準備する。反応の数（試料および対照の両方）に１．２５を掛けて［Ｘ容積（μｌ）＝反応数ｘ１．２５］、必要な組成容積（Ｘ容積）を算出する。第二のＦＲＥＴ反応液の一部を、複数の０．２ｍｌ薄壁チューブまたは８連ストリップ（１２反応の列には７０μｌ／チューブで充分である）に添加する。
【０７５０】
第二のＦＲＥＴ反応混合液
単一アッセイ・フォーマット
2004521606.tif 000201
二重アッセイ・フォーマット
2004521606.tif 000202
【０７５１】
６．第一の反応の保温が終了した後、マイクロプレートの密封を解除し、多チャネル・ピペットを用いてウェル当たり５μｌの第二のＦＲＥＴ反応混合液を添加する。１〜２回ピペッティングして混合する。マイクロプレートをウェル・テープで再び密封し、製品情報シートに表記されるように、マイクロプレートを６０℃で６０分または９０分保温する。第二の反応の保温時間は異なってもよい。詳細については、「ｍＲＮＡ ＩＮＶＡＤＥＲアッセイ法の操作手順に関する注意」の節２を参照のこと。
【０７５２】
７．２種類の方法（直接測定または停止と移し替え）のうちのいずれかを用いて、反応を測定することができる。
注意：マイクロプレートの測定を実施する前に、マイクロプレートの密封を解除する。
【０７５３】
直接測定法
・この方法ではアッセイ法のダイナミックレンジを拡大するために複数のデータ・セットを取得することができる。第二のＩＮＶＡＤＥＲ反応中に、トップ・リーディング型の蛍光マイクロプレート読み取り装置で直接マイクロプレートの測定を行うことができる。
・ＰｅｒＳｅｐｔｉｖｅ Ｂｉｏｓｙｓｔｅｍ Ｃｙｔｏｆｌｕｏｒ ４０００装置に推薦される設定を以下に示す。
2004521606.tif 000203
注意：至適ゲインの設定は装置毎に異なるので、最良のシグナル／バックグラウンド比（標的を含まない対照のシグナルで除した試料の生のシグナル）、または標的を含まない対照試料の測定値（約１００ＲＦＵ）を与えるようにゲインを調整する。光源としてキセノンランプを使用する蛍光マイクロプレート読み取り装置は一般的に、より高いＲＦＵを与える。マイクロプレートの直接測定については、製造元の推奨に従い調整を行うために、蛍光マイクロプレート読み取り装置の探針の高さ、およびプレートがどのように配置されているかを知る必要がある。
【０７５４】
停止と移し替え法
１． ＲＮａｓｅ不含Ｈ２Ｏを含むＩＸ 停止液（ｌ０ｍＭ トリス−ＨＣｌ（ｐＨ８）、ｌ０ｍＭ ＥＤＴＡ）を調製する。多チャネル・ピペットを用いて、ウェル当たり１００μｌを添加する。
２． 希釈した反応液１００μｌを黒色マイクロプレート（例えば、ＣＯＳＴＡＲ（Ｃｏｒｎｉｎｇ）、カタログ番号３９１５）に移し替える。
３．直接測定法と同一のパラメーターを用いて、マイクロプレートの測定を行うが、標的対照試料の測定値が約１００ＲＦＵ（上記の「注意」を参照のこと）となるようにゲインを調整しておく。
【０７５５】
ある態様においては、補助的方法， 例えば、付加的な試薬の調製、または本発明の方法に利用する試料の調製のための補助的方法に関するプロトコール等補足文書を提供する。好ましい態様においては、補足文書には、熟練していない、あるいは経験のないユーザーでも該方法およびキットを使いこなすことができるように指針および注意事項のリストが含まれる。特に好ましい態様においては、補足文書は、問題解決の指針、例えば、ユーザーが遭遇しうる問題を記述した指針、およびこのような問題を解決するもしくは避けるためのユーザー支援をする解決法もしくは訂正の示唆を与える指針を含む。
【０７５６】
このような補足文書を特定の内容に限定するものではないが、例えば、本発明のキットは以下の方法および指針を含む。
【０７５７】
ＩＩ． ＲＮａｓｅの汚染の防止
試料調製および試験中のＲＮａｓｅの汚染を防止するため、一態様においては、ユーザーに以下の注意事項に注意を払うように告知する。
・試料および試薬への接触を避けるために、常時使い捨て手袋を着用する。
・相互汚染を防止するために、試料およびアッセイ試薬の調製では、薄壁ポリプロピレン・チューブおよびエアロゾル障壁を備えたピペット・チップを含む保証済みＲＮａｓｅ不含使い捨て製品を使用する。
・試料および／もしくは試薬の希釈にはＲＮａｓｅ不含（ＤＥＰＣ処理した）Ｈ２Ｏを使用する。
・アッセイ法の準備中は、ＲＮＡ試料および対照を氷上に保持する。
【０７５８】
ＩＩＩ． 試料および対照の調製
注意：標準と試料の両方を反応当たり５μｌの添加に相当する濃度に希釈する。
例１：５アトモルの標準の濃度 は１アトモル／μｌである。 １アトモル＝１０−１８＝６０２，０００分子。
例２：１００ｎｇの試料の濃度は２０ｎｇ／μｌである。
【０７５９】
Ａ． 対照の調製
標的を含まない対照：
全ＲＮＡフォーマット：ｔＲＮＡ担体（２０ｎｇ／μｌ）
細胞可溶化物フォーマット：１ｘ細胞溶解緩衝液１（１０ｘ細胞溶解緩衝液１を１ｘＲＮａｓｅ不含Ｈ２Ｏで希釈する）
陽性対照：
ＲＮＡ標準（Ｓｔｄ）（１００アトモル／μｌのインビトロ転写産物）
１． 陽性対照をｔＲＮＡ担体（全ＲＮＡ試料を用いる場合）、あるいは１ｘ細胞溶解緩衝液１［１０ｘ細胞溶解緩衝液１を １ｘＲＮａｓｅ不含Ｈ２Ｏで希釈する］（細胞可溶化物の試料を用いる場合）で希釈してＲＮＡ標準を調製する。各キットに含まれる製品情報シートには、推薦される標準の試験濃度および調製法を示す。
２．各実施においては新しい標準のセットを用いて行うことが推薦される。反応の準備中は、標準を氷上に保持する。
【０７６０】
Ｂ． 全ＲＮＡ試料の調製
１．全ＲＮＡは、細胞または組織から、選択した調製法に関する製造元の説明書に従い調製する。推薦される方法としては、ＴＲＩＺＯＬ（Ｌｉｆｅ Ｔｅｃｈｎｏｌｏｇｉｅｓ， Ｒｏｃｋｖｉｌｌｅ， ＭＤ）、ＲＮＥＡＳＹ（Ｑｉａｇｅｎ， Ｖａｌｅｎｃｉａ， ＣＡ）およびＲＮＡ ＷＩＺ（Ａｍｂｉｏｎ， Ａｕｓｔｉｎ， ＴＸ）が挙げられる。
２．全ＲＮＡ試料をＲＮａｓｅ不含Ｈ２Ｏで適当な濃度に希釈する。
【０７６１】
Ｃ． 細胞可溶化物試料の調製 − ９６ウェルマイクロプレートによる
注意：本細胞可溶化物による検出法では、９６ウェル組織培養マイクロプレートで培養した付着細胞を用いる。通常、ウェル当たり１０，０００〜４０，０００細胞を播種する。細胞の種類および／もしくはｍＲＮＡの発現レベルに依存して、異なる播種密度が必要なこともある。より詳細にについては、「手順の注意」を参照のこと。高い発現を示す細胞では、細胞可溶化物のシグナルを減弱させるために以下の方法を用いることができる：
・ウェル当たり少ない細胞数で播種する。
・反応に添加する前に、細胞可溶化物を１ｘ細胞溶解緩衝液１で希釈する（例えば、２．５μｌ可溶化物 ＋ ２．５μｌの１ｘ細胞溶解緩衝液１）。
・第二のＦＲＥＴ反応混合液を添加した後、推薦される６０〜９０分の代わりに、１５〜３０分間マイクロプレートの反応を測定する。
１．１０ｘ細胞溶解緩衝液１をＲＮａｓｅ不含Ｈ２Ｏで１ｘ濃度に希釈する。
２．多チャネル・ピペットを用いて、単層細胞を乱さないように慎重に付着細胞のウェルから培地を除く。
３．細胞を２００μｌのＰＢＳ（ＭｇＣｌ２およびＣａＣｌ２不含）で１回洗浄し、多チャネル・ピペットで残存するＰＢＳを慎重に除く。
４．ウェル当たり４０μｌの１ｘ細胞溶解緩衝液１を添加する。細胞を室温で３〜５分間溶解する。
５．多チャネル・ピペットを用いて、各可溶化物試料を２５μｌを慎重に９６ウェルマイクロプレートに移す。ウェルの底から細胞試料を移すことは避ける。
６．各可溶化物試料に１０μｌの透明なＣＨＩＬＬＯＵＴまたは鉱油を重層する（加熱性のふたを備えるサーマル・サイクラーを用いる場合には、重層の必要はない）。
７． サーマシールウェル・テープでマイクロプレートを密封する。細胞のヌクレアーゼを不活性化する目的で、直ちにサーマル・サイクラーまたは乾燥器中で可溶化物を７５〜８０℃で１５分間加熱する。
８．加温加温工程中に、反応の準備を進める。説明についてはｍＲＮＡ ＩＮＶＡＤＥＲアッセイ法の詳細なプロトコール（上記）を参照のこと。
９．熱失活の工程後、直ちに可溶化物試料を反応マイクロプレートに添加する。あるいは、後の試験のために可溶化物試料を−７０℃の冷凍庫に急速に移してもよい（長期安定性については明らかではなく、各細胞の種類によって異なる）。
【０７６２】
ＩＶ． ｍＲＮＡ ＩＮＶＡＤＥＲの操作手順に関する注意
アッセイ法
１．ＲＮＡ試料の種類およびＲＮＡ試料の量に関する最適化
組織または細胞から調製した全ＲＮＡ試料を用いてアッセイ法の性能を最適化する。ｍＲＮＡ ＩＮＶＡＤＥＲアッセイ法の性能に関して、複数の全ＲＮＡ調製法／キットの確認を行った。
・ＴＲＩＺＯＬ（Ｌｉｆｅ Ｔｅｃｈｎｏｌｏｇｉｅｓ， Ｒｏｃｋｖｉｌｌｅ， ＭＤ）
・ＲＮｅａｓｙ（Ｑｉａｇｅｎ， Ｖａｌｅｎｃｉａ， ＣＡ）
・ＲＮＡ ＷＩＺ（Ａｍｂｉｏｎ， Ａｕｓｔｉｎ， ＴＸ）
【０７６３】
シグナル生成を阻害することのあるゲノムＤＮＡのレベルを最小にする方法またはキットを使用することが重要である。最大の検出限界とダイナミックレンジを与える全ＲＮＡ試料の量を決定するために（通常、１〜２００ｎｇであるが、遺伝子の発現レベルに依存する）、予備実験の実施が推奨される。
【０７６４】
また、複数の細胞種の可溶化物試料を用いて、アッセイ法の確認を行った。９６ウェル組織培養マイクロプレートにおける推薦される細胞密度は、ウェル当たり１０，０００〜４０，０００細胞であるが、細胞種および目的遺伝子の発現レベルに依存する。与えられた細胞株および／もしくはモニターする遺伝子に関する予備実験の実施が推奨される。このような実験では、異なるレベルの細胞密度および／もしくは１ｘ細胞溶解緩衝液１で可溶化物試料の希釈することを含む（例えば、５μｌの試料を添加する場合に、１μｌの可溶化物試料と４μｌの１ｘ細胞溶解緩衝液１を混合することによって、１μｌの試験レベルを調製する）。
【０７６５】
２．ダイナミックレンジの調整：第二の反応の保温時間を変える
ほとんどの検体では、第二の反応の保温時間の長さはプロトコールに示した時間で充分である。しかしながら、第二のＦＲＥＴ試薬添加後の時間を変えて、反応マイクロプレートを測定することによって、直線的検出範囲（シグナル／バックグラウンド＜１５〜２５）を調整することができる。例えば、高発現の試料では１５〜３０分で検出されることが多い。直接測定法（ｍＲＮＡ ＩＮＶＡＤＥＲアッセイ法の詳細なプロトコールの工程７）では、早期の測定によって試験試料が充分なシグナルを与えないのであれば、反応マイクロプレートをさらに保温することができるので、第二の反応の時間を簡単に最適化できる。
【０７６６】
第二の反応の蛍光シグナルの時間経過を追跡することによって、アッセイ法のダイナミックレンジを拡大することもできる。複数の時間点における直接測定によって、低コストの装置の利用が可能となる。あるいは、実時間蛍光装置を用いて、他のｍＲＮＡ定量法と同程度のダイナミックレンジを達成することもできる。
【０７６７】
３．ダイナミックレンジの調整：試料レベルを変える
ＦＲＥＴ検出法によってアッセイが非常に単純化されるが、終点測定法を用いた場合には、通常、ダイナミックレンジは対数スケールで２〜３に限定される。しかしながら、ｍＲＮＡ ＩＮＶＡＤＥＲアッセイ法のシグナルは、標的レベルおよび時間の両方に対し直線的に生成するものなので、対数スケール３を超えるダイナミックレンジ（例えば、高発現の遺伝子には必要である）の拡大法として最も簡単なものは、全ＲＮＡ試料のレベルを調整することである。規格化した試料シグナルを用いて、遺伝子発現比の変化（処理した試料のシグナルを未処理の試料のシグナルで除す）を高い信頼性で算出することができる。標準曲線で決まる直線的検出範囲内のシグナルを与える試料のレベルを試験することによって、これを達成することができる。例えば、高レベルに誘導した試料の誘導比は次のようにして計算する。
誘導比 ＝（１ｎｇの処理試料の正味のシグナル ｘ １００）／１００ｎｇの未処理の試料の正味のシグナル
【０７６８】
Ｖ． 問題解決指針
2004521606.tif 000204
【０７６９】
付録Ａ
ｍＲＮＡ ＩＮＶＡＤＥＲ単一アッセイ用ワークシート
ｍＲＮＡ ＩＮＶＡＤＥＲアッセイ法
・試料および対照を調製する。
・第一の反応混合液を調製する。簡単にボルテックスし、ウェル当たり５μｌで分注する。
・ウェル当たり５μｌの試料もしくは対照を添加し、１〜２回ピペッティングする。
・ウェル当たり１０μｌの ＣＨＩＬＬＯＵＴまたは鉱油を添加する。
・第一の反応を６０℃で９０分間保温する。
・第二のＦＲＥＴ反応混合液を調製し、簡単にボルテックスを行う。
・多チャネル・ピペットを用いて、ウェル当たり５μｌで分注し、１〜２回ピペッティングする。
・第二の反応を６０℃で９０分間保温する。
・蛍光マイクロプレート読み取り装置（ＦＡＭ 色素： Ｅｘ． ４８５ ｎｍ／Ｅｍ． ５３０ ｍｎ）でマイクロプレートを測定する。
【０７７０】
第一の反応混合液
2004521606.tif 000205
第二のＦＲＥＴ反応混合液
2004521606.tif 000206
【０７７１】
付録Ｂ
ｍＲＮＡ ＩＮＶＡＤＥＲ ２重アッセイ用ワークシート
ｍＲＮＡ ＩＮＶＡＤＥＲアッセイ法
・試料および対照を調製する。
・第一の反応混合液を調製する。ウェル当たり５μｌで分注する。
・ウェル当たり５μｌの試料もしくは対照を添加し、１〜２回ピペッティングする。
・ウェル当たり１０μｌの ＣＨＩＬＬＯＵＴまたは鉱油を添加する。
・第一の反応を６０℃で９０分間保温する。
・第二のＦＲＥＴ反応混合液を調製し、簡単にボルテックスを行う。
・多チャネル・ピペットを用いて、ウェル当たり５μｌで分注し、１〜２回ピペッティングする。
・第二の反応を６０℃で９０分間保温する。
・蛍光マイクロプレート読み取り装置（ＦＡＭ 色素： Ｅｘ． ４８５ ｎｍ／Ｅｍ． ５３０ ｎｍ；赤色色素： Ｅｘ． ５６０ｎｍ／Ｅｍ． ６２０ｎｍ）でマイクロプレートを測定する。
【０７７２】
第一の反応混合液
2004521606.tif 000207
第二のＦＲＥＴ反応混合液
2004521606.tif 000208
【０７７３】
【表２】
2004521606.tif 000209
【０７７４】
【表３】
2004521606.tif 000210
2004521606.tif 000211
【０７７５】
2004521606.tif 000212
2004521606.tif 000213
【０７７６】
2004521606.tif 000214
2004521606.tif 000215
【０７７７】
2004521606.tif 000216
2004521606.tif 000217
【０７７８】
2004521606.tif 000218
2004521606.tif 000219
【０７７９】
2004521606.tif 000220
2004521606.tif 000221
【０７８０】
本明細書に上記した刊行物および特許は、いずれも本明細書に参照として組み入れられる。本発明の範囲と精神から逸脱することなく、記載される本発明の方法およびシステムから様々な改変および変更が可能であることは、当業者であれば理解しうる。本発明は特に好ましい態様との関連において記載されているが、本発明の主張をそのような特定の態様にのみに限定することは適切ではない。実際、当業者には明らかである本発明の実施に関して記載された方法の各種の改変は、特許請求の範囲に含まれるものである。
【図面の簡単な説明】
【図１】連続する侵襲的切断反応の模式図を示す。工程Ａでは、上流のＩＮＶＡＤＥＲオリゴヌクレオチドおよび下流のプローブが標的核酸鎖と結合して切断構造を形成する。工程Ｂでは、Ａから切断されたシグナル・プローブの一部が第二の標的核酸鎖および標識シグナル・プローブと結合して第二の切断構造を形成する。工程Ｃでは、標識された第二の切断構造体が切断して検出可能なシグナルを生成する。
【図２】ＲＮＡ標的鎖（配列番号：１４１）を含む侵襲的切断構造の複数例について、模式図を示す。パネルＡは、 ＩＮＶＡＤＥＲオリゴヌクレオチド（配列番号：１４２）およびプローブ（配列番号：１４３）を表す。パネルＢは、ＩＮＶＡＤＥＲオリゴヌクレオチド（配列番号：１４４）およびプローブ（配列番号：１４３）を表す。パネルＣは、ＩＮＶＡＤＥＲオリゴヌクレオチド（配列番号：１４５）およびプローブ（配列番号：１４５）を表す。パネルＤは、ＩＮＶＡＤＥＲオリゴヌクレオチド（配列番号：１４５）およびプローブ（配列番号：１４６）を表す。
【図３】配列番号：１４７〜１５２の標識された侵襲的切断構造体ではない構造の２例を模式図に示す。
【図４】標的配列変異の検出に有用な侵襲的切断構造の模式図を示す。Ａでは、２つのプローブ間で重複を有する侵襲的切断構造が成形され、矢印は本発明の酵素で切断可能であることを示す。Ｂでは、標的配列の変異が下流のプローブに相補的な領域を除去し、重複を除去する。パネルＢにおいて矢印が示されていなければ、パネルＡにおいて図示したものと比較して本構造の切断速度が低下していることを示している。
【図５】Ｌｉらが調べた重合法におけるプライマー／鋳型ＤＮＡとＫｌｅｎｔａｑ１の三重複合体のＸ線構造の図を示す（Ｌｉら、Ｐｒｏｔｅｉｎ Ｓｃｉ．， ７：１１１６ ［１９９８］）。物理的形態の特徴間の正確な境界を示すものではないが、本文中で「フィンガー」、「サム）」および「パーム」領域と呼ばれる部分は、大雑把に、それぞれ丸、四角および卵形で表す。
【図６】サーマス・アクアティカス（Ｔｈｅｒｍｕｓ ａｑｕａｔｉｃｕｓ）由来のＤＮＡポリメラーゼ遺伝子の模式図を示す。本試験で用いた制限酵素部位が、上に記載されている。タンパク質の各種の構造もしくは機能ドメインをコードするおおよその領域は、その下に両端にやじりを有する矢印で示した。
【図７】ＴａｑＰｏｌ遺伝子とＴｔｈＰｏｌ遺伝子の一部を含むキメラ構築物の模式図を示す。白いボックスおよび斜線付けされたボックスはそれぞれ、ＴａｑＰｏｌ配列およびＴｔｈＰｏｌ配列を表す。数字はＴａｑＰｏｌのアミノ酸配列に対応する。ＴａｑＰｏｌの５’ヌクレアーゼおよびポリメラーゼ・ドメイン、ならびにポリメラーゼ・ドメインのパーム、サムおよびフィンガー領域を示す。用いた制限酵素部位の略号は以下の通りである。Ｅ、ＥｃｏＲＩ；Ｎ、ＮｏｔＩ；Ｂｓ、ＢｓｔＢＩ；Ｄ、ＮｄｅＩ；Ｂ、ＢａｍＨＩ；およびＳ、ＳａｌＩ。
【図８Ａ〜Ｈ】サーマス・アクアティカス（配列番号：１５３）、サーマス・フラバス（Ｔｈｅｒｍｕｓ ｆｌａｖｕｓ）（配列番号：１５４）およびサーマス・サーモフィラス（Ｔｈｅｒｍｕｓ ｔｈｅｒｍｏｐｈｉｌｕｓ）（配列番号：１５５）から単離したポリメラーゼ遺伝子のヌクレオチド構造の比較を示す。コンセンサス配列（配列番号：１５６）を、各列の上に示した。
【図９Ａ〜Ｃ】サーマス・アクアティカス（配列番号：１５７）、サーマス・フラバス（配列番号：１５８）およびサーマス・サーモフィラス（配列番号：１）から単離したポリメラーゼのアミノ酸配列の比較を示す。コンセンサス配列（配列番号：１５９）を、各列の上に示した。
【図１０】ヒトＩＬ−６のＲＮＡ標的鎖（配列番号：１６０）および上流プローブ（配列番号：１６１）に関する切断シグナル増幅反応の基質の配列に関して、提唱する構造を示す。下流のプローブ（配列番号：１６２）の切断部位は矢印で表した。ＩＬ−６ ＤＮＡ標的鎖（配列番号：１６３）の配列は下に示した。
【図１１】表記の酵素、およびＤＮＡ標的鎖（Ａ）もしくはＲＮＡ標的鎖（Ｂ）のいずれかを有する、図１０に示したＩＬ−６基質を用いた侵襲的切断アッセイ法の産物を示す蛍光撮影装置による像を示す。
【図１２】Ｔａｑ ＤＮ ＲＸ ＨＴ、Ｔｔｈ ＤＮ ＲＸ ＨＴおよびＴａｑ−Ｔｔｈキメラ酵素と、ＲＮＡ標的鎖を有するＩＬ−６基質とのサイクリング切断活性の比較を表す。
【図１３】ＴａｑＰｏｌ（配列番号：１６４）およびＴｔｈＰｏｌ（配列番号：１６５）のＢｓｔＩ−ＢａｍＨＩ断片のアミノ酸配列の比較を示す。類似したアミノ酸の対については、濃い灰色で斜線付けした。並列したアミノ酸で電荷の差を有するものは、濃い灰色で斜線付けした。数字は、ＴａｑＰｏｌのアミノ酸配列に対応する。部位特異的変異誘発法で対応するＴｔｈＰｏｌ のアミノ酸を変化させたアミノ酸は、（＋）で表した。
【図１４】Ｔａｑ ＤＮ ＲＸ ＨＴ、Ｔａｑ−Ｔｔｈキメラ酵素および表記の付加的なアミノ酸修飾を有するキメラ酵素と、ＲＮＡ標的鎖を有するＩＬ−６基質とのサイクリング切断活性の比較を示す。
【図１５】Ｔａｑ ＤＮ ＲＸ ＨＴ、Ｔｔｈ ＤＮ ＲＸ ＨＴおよび表記の付加的なアミノ酸修飾を有するＴａｑ ＤＮ ＲＸ ＨＴとＲＮＡ標的鎖を有するＩＬ−６基質のサイクリング切断活性の比較を示す。
【図１６】ＴａｑＰｏｌ、ＴｔｈＰｏｌおよびＴａｑ−Ｔｔｈキメラ酵素ならびに表記のアミノ酸修飾を有するＴａｑＰｏｌの重合活性の比較を示す。
【図１７】Ｌｉらが調べた重合法におけるプライマー／鋳型ＤＮＡとＫｌｅｎｔａｑ１の三重複合体のＸ線構造の図を示す（Ｌｉら、Ｐｒｏｔｅｉｎ Ｓｃｉ．， ７：１１１６ ［１９９８］）。アミノ酸Ｇ４１８およびＥ５０７を示した。
【図１８Ａ〜Ｄ】酵素の各種の切断活性測定に用いた基質の例の模式図を示す。基質を、例えば、表記のように、検出および測定を促進するＦＲＥＴ検出に関する蛍光性色素および消光基で標識する。１８Ａおよび１８Ｂの基質は、それぞれＲＮＡおよびＤＮＡ標的鎖を有する侵襲的切断構造体である。１８Ｃには、Ｘ構造の例を示し、１８Ｄにはヘアピン構造の例を示す。いずれも、侵襲的切断反応における別の構造に対する酵素活性を評価する目的に利用する。
【図１９】ＴａｑＰｏｌ遺伝子とＴｔｈＰｏｌ遺伝子の一部を含むキメラ構築物の模式図を示す。白いボックスおよび斜線付けされたボックスはそれぞれ、ＴａｑＰｏｌおよびＴｔｈＰｏｌ配列を示す。キメラはＤＮ、 ＲＸおよびＨＴ 修飾をも含む。表では、表記の切断基質に対する各タンパク質の切断活性を比較している。
【図２０】Ａは、侵襲的切断基質を含むＲＮＡの模式図を示す。標的分子（配列番号：１６６）の５’末端は、記載されているようにビオチンで修飾され、ストレプトアビジンでブロックされている。切断部位を有する下流のプローブ（配列番号：１６７）も示した。パネルＢ〜Ｄは、異なる反応温度、ＫＣｌ濃度およびＭｇＳＯ４濃度の条件下で反応させた、表記の基質の切断におけるＴａｑ ＤＮ ＲＸ ＨＴ Ｇ４１８Ｋ／Ｅ５０７Ｑ変異体の性質の解析を示す。
【図２１】侵襲的切断活性に関する酵素の試験に用いたモデル基質の模式図を示す。２１Ａに示した分子は、ＤＮＡ標的鎖（配列番号：１６８）を、２１Ｂに示したモデルは、標的鎖を含むＲＮＡ（配列番号：１６７）を提供する。２１ＡおよびＢのいずれも下流プローブ（配列番号：１６６）を表す。
【図２２】別の非侵襲的構造に対する、酵素の切断活性の試験に用いるモデル基質の模式図を示す。
【図２３】酵素の侵襲的切断活性に関する試験に用いるモデル基質の模式図を示す。
【図２４】酵素のＲＮＡもしくはＤＮＡ標的鎖に対する侵襲的切断活性に関する試験に用いるモデル基質の模式図を示す。
【図２５】Ｔｔｈ ＤＮ ＲＸ ＨＴ、Ｔａｑ ２Ｍ、ＴｆｉＰｏｌ、Ｔｓｃ ＰｏｌおよびＴｆｉならびにＴｓｃ由来の変異体酵素のサイクリング切断活性に関する比較を示す。
【図２６】上流のオリゴヌクレオチドの存在下もしくは非存在下における酵素のプローブ切断能の決定に用いた構造体を表す。図２６は、オリゴヌクレオチド ８９−１５−１（配列番号：２１２）、オリゴヌクレオチド ８１−６９−５（配列番号：２１３）、オリゴヌクレオチド ８１−６９−４（配列番号：２１４）、オリゴヌクレオチド ８１−６９−３（配列番号：２１５）、オリゴヌクレオチド ８１−６９−２（配列番号：２１６）およびＭ１３ｍｐｌ８（配列番号：２１７）の一部の配列を表す。
【図２７】プローブの特異的切断に関して、Ｐｆｕ ＦＥＮ−１ の、上流重複オリゴヌクレオチド依存性を示す蛍光撮影装置による像を示す。
【図２８ａ】標準（すなわち、非連続する侵襲的切断反応）および連続する侵襲的切断反応において生成した産物の量を比較した、蛍光撮影装置による像を示す。
【図２８ｂ】標準もしくは基本的（すなわち、非連続する侵襲的切断反応）および連続する侵襲的切断反応（「ＩＮＶＡＤＥＲ ｓｑｒｄ」）（ｙ軸 ＝ 蛍光ユニット；ｘ軸＝アトモルの標的）において生成した産物の量を比較したグラフを表す。
【図２９】連続する侵襲的切断反応終結後の産物が以降の類似した反応で相互汚染しないことを示す蛍光撮影装置による像を示す。
【図３０】ＨＣＭＶウィルスＤＮＡの検出に関する侵襲的切断反応に用いたオリゴヌクレオチドの配列を示す。図３０は、オリゴヌクレオチド ８９−７６（配列番号：２１８）、オリゴヌクレオチド ８９−４４（配列番号：２１９）およびＨＣＭＶゲノムのヌクレオチド３０５７〜３１１０（配列番号：２２０）の配列を示す。
【図３１】侵襲的切断反応を用いたヒトゲノムＤＮＡを含む試料中のＨＣＭＶウィルスＤＮＡの高感度検出を示す蛍光撮影装置による像を示す。
【図３２】第一の侵襲的切断反応に由来する切断プローブが、第二の侵襲的切断反応においてＩＮＶＡＤＥＲオリゴヌクレオチドとして利用され、ＡＲＲＥＳＴＯＲオリゴヌクレオチドが、第二のプローブの切断で、残存する非切断の第一のプローブの作用を阻害する本発明の一態様の模式図を示す。
【図３３】第一の侵襲的切断反応に由来する切断プローブが、第二の侵襲的切断反応で組み込みＩＮＶＡＤＥＲ−標的複合体として利用され、ＡＲＲＥＳＴＯＲオリゴヌクレオチドが、第二のプローブの切断で、残存する非切断の第一のプローブの作用を阻害する本発明の一態様の模式図を示す。
【図３４】２種類の異なる長さの２’Ｏ−メチル化され、かつ３’末端アミンを有する修飾型ＡＲＲＥＳＴＯＲオリゴヌクレオチドの蛍光撮影装置による３種類の像を示す。いずれも、第一の侵襲的切断反応に由来する切断プローブを第二の侵襲的切断反応における組み込みＩＮＶＡＤＥＲ−標的複合体として利用する反応の第二の工程に含まれる第二のプローブの非特異的バックグラウンド切断を減少させる。
【図３５Ａ】第一の侵襲的切断反応に由来する切断プローブが、第二の侵襲的切断反応においてＩＮＶＡＤＥＲオリゴヌクレオチドとして利用される反応の第一段階での第一のプローブの濃度が増加することの、非特異的および特異的な切断シグナルに対する効果を示す蛍光撮影装置による像を示す。
【図３５Ｂ】反応の第一段階での第一のプローブの濃度が増加することおよび第一の侵襲的切断反応に由来する切断プローブが、第二の侵襲的切断反応においてＩＮＶＡＤＥＲオリゴヌクレオチドとして利用される反応の第二の工程に２’Ｏ−メチル化され、かつ３’末端アミンを有する修飾ＡＲＲＥＳＴＯＲオリゴヌクレオチドを含むことの、非特異的および特異的な切断シグナルに対する効果を示す蛍光撮影装置による像を示す。
【図３５Ｃ】第一の侵襲的切断反応に由来する切断プローブが、第二の侵襲的切断反応においてＩＮＶＡＤＥＲオリゴヌクレオチドとして利用される反応の第二の工程における２’Ｏ−メチル化され、かつ３’末端アミンを有する修飾ＡＲＲＥＳＴＯＲオリゴヌクレオチドの存在あるいは非存在下で、反応の第一段階での第一のプローブの濃度が増加することの、非特異的および特異的な切断シグナルに対する効果の比較に関して、マイクロソフト・エクセル（ＭＩＣＲＯＳＯＦＴ ＥＸＣＥＬ）ソフトウェアのスプレッドシートを用いて得られたグラフを示す。
【図３６Ａ】第一の侵襲的切断反応に由来する切断プローブが、第二の侵襲的切断反応においてＩＮＶＡＤＥＲオリゴヌクレオチドとして利用される反応の第二の工程において、非修飾ＡＲＲＥＳＴＯＲオリゴヌクレオチドを含むことの、非特異的および特異的な切断シグナルに対する効果を示す蛍光撮影装置による２種類の像を示す。
【図３６Ｂ】第一の侵襲的切断反応に由来する切断プローブが、第二の侵襲的切断反応においてＩＮＶＡＤＥＲオリゴヌクレオチドとして利用される反応の第二の工程において、３’末端アミン修飾ＡＲＲＥＳＴＯＲオリゴヌクレオチド、部分的に２’Ｏ−メチル置換し、かつ部分的に３’末端アミンを有する修飾ＡＲＲＥＳＴＯＲオリゴヌクレオチド、または完全に２’Ｏ−メチル化し、かつ完全に３’末端アミンを有する修飾ＡＲＲＥＳＴＯＲオリゴヌクレオチドを含むことの、非特異的および特異的な切断シグナルに対する効果を示す蛍光撮影装置による２種類の像を示す。
【図３７Ａ】第一の侵襲的切断反応に由来する切断プローブが、第二の侵襲的切断反応においてＩＮＶＡＤＥＲオリゴヌクレオチドとして利用される反応の第二の工程で、異なる長さのＡＲＲＥＳＴＯＲオリゴヌクレオチドを含むことの、非特異的および特異的な切断シグナルに対する効果を比較した、蛍光撮影装置による２種類の像を示す。
【図３７Ｂ】第一の侵襲的切断反応に由来する切断プローブが、第二の侵襲的切断反応においてＩＮＶＡＤＥＲオリゴヌクレオチドとして利用される反応の第二の工程で、異なる長さのＡＲＲＥＳＴＯＲオリゴヌクレオチドを含むことの、非特異的および特異的な切断シグナルに対する効果を比較した、蛍光撮影装置による２種類の像を示す。ここでは、図３７Ａの反応において用いたより長い変種の第二のプローブを試験する。
【図３７Ｃ】複数の異なる長さのＡＲＲＥＳＴＯＲオリゴヌクレオチドと共に並列させた第一のプローブの模式図を示す。ＨＢＶ標的配列と相補的な第一のプローブの領域を下線で示した。相補性に従ってＡＲＲＥＳＴＯＲオリゴヌクレオチドをプローブと並列させた。
【図３８】２種類の異なる長さの第二のプローブを用いた、第一の侵襲的切断反応に由来する切断プローブが、第二の侵襲的切断反応においてＩＮＶＡＤＥＲオリゴヌクレオチドとして利用される反応の第二の工程で、異なる長さのＡＲＲＥＳＴＯＲオリゴヌクレオチドを含むことの、非特異的および特異的な切断シグナルに対する効果を比較した、蛍光撮影装置による２種類の像を示す。
【図３９】ｍｆｏｌｄによって見いだされる、特定の塩基を含む構造の総数の割合（％）として表されるｍｆｏｌｄ解析におけるＳＳカウントの出力に由来するヒト・ユビキチンＲＮＡの１０ヌクレオチドの鎖について算出したランニング平均値（Ａｖｅ（１０）指数）を、塩基の位置に対してプロットしたグラフである。
【図４０】４０検体、６種の標準、および１種類の非標的対照を含むＲＮＡ ＩＮＶＡＤＥＲアッセイ法のマイクロプレートのレイアウトの一例を示す。
【図４１】表記の遺伝子もしくは転写産物のヒト（ｈ）、マウス（ｍ）およびラット（ｒ）のＲＮＡの検出に利用するＩＮＶＡＤＥＲアッセイ法の組成を示す。
【図４２】ＩＮＶＡＤＥＲＣＲＥＡＴＯＲの注文入力画面（Ｏｒｄｅｒ Ｅｎｔｒｙ Ｓｃｒｅｅｎ）のコンピューター・ディスプレイを示す。
【図４３】ＩＮＶＡＤＥＲＣＲＥＡＴＯＲの多数ＳＮＰ設計選択画面（Ｍｕｌｔｉｐｌｅ ＳＮＰ Ｄｅｓｉｇｎ Ｓｅｌｅｃｔｉｏｎ ｓｃｒｅｅｎ）のコンピューター・ディスプレイを示す。
【図４４】ＩＮＶＡＤＥＲＣＲＥＡＴＯＲのデザイナーワークシート画面（Ｄｅｓｉｇｎｅｒ Ｗｏｒｋｓｈｅｅｔ ｓｃｒｅｅｎ）のコンピューター・ディスプレイを示す。
【図４５】ＩＮＶＡＤＥＲＣＲＥＡＴＯＲの出力ページ画面（Ｏｕｔｐｕｔ Ｐａｇｅ ｓｃｒｅｅｎ）のコンピューター・ディスプレイを示す。
【図４６】ＩＮＶＡＤＥＲＣＲＥＡＴＯＲのプリンタ用出力画像（Ｐｒｉｎｔｅｒ Ｒｅａｄｙ Ｏｕｔｐｕｔ ｓｃｒｅｅｎ）のコンピューター・ディスプレイを示す。
【図４７】ＲＮＡ標的核酸の検出に利用するＩＮＶＡＤＥＲアッセイ法の構成要素（配列番号：７０９〜２６４０）を示す。構成要素は、検出するＲＮＡ検体当たりに群分けする。複数のプローブ、ＩＮＶＡＤＥＲオリゴヌクレオチド、スタッカー・オリゴヌクレオチド、ＡＲＲＥＳＴＯＲオリゴヌクレオチド、またはその他の構成要素が提供されれば、特に断らない限り、複数の構成要素のいずれをも利用できる。他で特定しない限り、オリゴヌクレオチドは５’−３’方向で表す。
【図４８】塩基対の位置に対するＡｖｅ（１０）指数を示すチャートである。
【図１】
2004521606.tif 000222
【図２】
2004521606.tif 000223
【図３】
2004521606.tif 000224
【図４】
2004521606.tif 000225
【図５】
2004521606.tif 000226
【図６】
2004521606.tif 000227
【図７】
2004521606.tif 000228
【図８Ａ】
2004521606.tif 000229
【図８Ｂ】
2004521606.tif 000230
【図８Ｃ】
2004521606.tif 000231
【図８Ｄ】
2004521606.tif 000232
【図８Ｅ】
2004521606.tif 000233
【図８Ｆ】
2004521606.tif 000234
【図８Ｇ】
2004521606.tif 000235
【図８Ｈ】
2004521606.tif 000236
【図９Ａ】
2004521606.tif 000237
【図９Ｂ】
2004521606.tif 000238
【図９Ｃ】
2004521606.tif 000239
【図１０】
2004521606.tif 000240
【図１１】
2004521606.tif 000241
【図１２】
2004521606.tif 000242
【図１３】
2004521606.tif 000243
【図１４】
2004521606.tif 000244
【図１５】
2004521606.tif 000245
【図１６】
2004521606.tif 000246
【図１７】
2004521606.tif 000247
【図１８Ａ】
2004521606.tif 000248
【図１８Ｂ】
2004521606.tif 000249
【図１８Ｃ】
2004521606.tif 000250
【図１８Ｄ】
2004521606.tif 000251
【図１９】
2004521606.tif 000252
【図２０】
2004521606.tif 000253
【図２１】
2004521606.tif 000254
【図２２】
2004521606.tif 000255
【図２３】
2004521606.tif 000256
【図２４】
2004521606.tif 000257
【図２５】
2004521606.tif 000258
【図２６】
2004521606.tif 000259
【図２７】
2004521606.tif 000260
【図２８】
2004521606.tif 000261
【図２９】
2004521606.tif 000262
【図３０】
2004521606.tif 000263
【図３１】
2004521606.tif 000264
【図３２】
2004521606.tif 000265
【図３３】
2004521606.tif 000266
【図３４】
2004521606.tif 000267
【図３５Ａ】
2004521606.tif 000268
【図３５Ｂ】
2004521606.tif 000269
【図３５Ｃ】
2004521606.tif 000270
【図３６Ａ】
2004521606.tif 000271
【図３６Ｂ】
2004521606.tif 000272
【図３７Ａ】
2004521606.tif 000273
【図３７Ｂ】
2004521606.tif 000274
【図３７Ｃ】
2004521606.tif 000275
【図３８】
2004521606.tif 000276
【図３９】
2004521606.tif 000277
【図４０】
2004521606.tif 000278
【図４１】
2004521606.tif 000279
2004521606.tif 000280
2004521606.tif 000281
2004521606.tif 000282
2004521606.tif 000283
2004521606.tif 000284
2004521606.tif 000285
2004521606.tif 000286
2004521606.tif 000287
【図４２】
2004521606.tif 000288
【図４３】
2004521606.tif 000289
【図４４】
2004521606.tif 000290
【図４５】
2004521606.tif 000291
【図４６】
2004521606.tif 000292
【図４７】
2004521606.tif 000293
2004521606.tif 000294
2004521606.tif 000295
2004521606.tif 000296
2004521606.tif 000297
2004521606.tif 000298
2004521606.tif 000299
2004521606.tif 000300
2004521606.tif 000301
2004521606.tif 000302
2004521606.tif 000303
2004521606.tif 000304
2004521606.tif 000305
2004521606.tif 000306
2004521606.tif 000307
2004521606.tif 000308
2004521606.tif 000309
2004521606.tif 000310
2004521606.tif 000311
2004521606.tif 000312
2004521606.tif 000313
2004521606.tif 000314
2004521606.tif 000315
2004521606.tif 000316
2004521606.tif 000317
2004521606.tif 000318
2004521606.tif 000319
2004521606.tif 000320
2004521606.tif 000321
2004521606.tif 000322
2004521606.tif 000323
2004521606.tif 000324
2004521606.tif 000325
2004521606.tif 000326
2004521606.tif 000327
2004521606.tif 000328
2004521606.tif 000329
2004521606.tif 000330
2004521606.tif 000331
2004521606.tif 000332
2004521606.tif 000333
2004521606.tif 000334
2004521606.tif 000335
2004521606.tif 000336
2004521606.tif 000337
2004521606.tif 000338
2004521606.tif 000339
2004521606.tif 000340
2004521606.tif 000341
2004521606.tif 000342
2004521606.tif 000343
2004521606.tif 000344
2004521606.tif 000345
2004521606.tif 000346
2004521606.tif 000347
2004521606.tif 000348
2004521606.tif 000349
2004521606.tif 000350
2004521606.tif 000351
2004521606.tif 000352
2004521606.tif 000353
2004521606.tif 000354
2004521606.tif 000355
2004521606.tif 000356
2004521606.tif 000357
2004521606.tif 000358
2004521606.tif 000359
2004521606.tif 000360
2004521606.tif 000361
2004521606.tif 000362
2004521606.tif 000363
2004521606.tif 000364
2004521606.tif 000365
【図４８】
2004521606.tif 000366
【国際公開パンフレット】
2004521606.tif 000367
2004521606.tif 000368
2004521606.tif 000369
2004521606.tif 000370
2004521606.tif 000371
2004521606.tif 000372
2004521606.tif 000373
2004521606.tif 000374
2004521606.tif 000375
2004521606.tif 000376
2004521606.tif 000377
2004521606.tif 000378
2004521606.tif 000379
2004521606.tif 000380
2004521606.tif 000381
2004521606.tif 000382
2004521606.tif 000383
2004521606.tif 000384
2004521606.tif 000385
2004521606.tif 000386
2004521606.tif 000387
2004521606.tif 000388
2004521606.tif 000389
2004521606.tif 000390
2004521606.tif 000391
2004521606.tif 000392
2004521606.tif 000393
2004521606.tif 000394
2004521606.tif 000395
2004521606.tif 000396
2004521606.tif 000397
2004521606.tif 000398
2004521606.tif 000399
2004521606.tif 000400
2004521606.tif 000401
2004521606.tif 000402
2004521606.tif 000403
2004521606.tif 000404
2004521606.tif 000405
2004521606.tif 000406
2004521606.tif 000407
2004521606.tif 000408
2004521606.tif 000409
2004521606.tif 000410
2004521606.tif 000411
2004521606.tif 000412
2004521606.tif 000413
2004521606.tif 000414
2004521606.tif 000415
2004521606.tif 000416
2004521606.tif 000417
2004521606.tif 000418
2004521606.tif 000419
2004521606.tif 000420
2004521606.tif 000421
2004521606.tif 000422
2004521606.tif 000423
2004521606.tif 000424
2004521606.tif 000425
2004521606.tif 000426
2004521606.tif 000427
2004521606.tif 000428
2004521606.tif 000429
2004521606.tif 000430
2004521606.tif 000431
2004521606.tif 000432
2004521606.tif 000433
2004521606.tif 000434
2004521606.tif 000435
2004521606.tif 000436
2004521606.tif 000437
2004521606.tif 000438
2004521606.tif 000439
2004521606.tif 000440
2004521606.tif 000441
2004521606.tif 000442
2004521606.tif 000443
2004521606.tif 000444
2004521606.tif 000445
2004521606.tif 000446
2004521606.tif 000447
2004521606.tif 000448
2004521606.tif 000449
2004521606.tif 000450
2004521606.tif 000451
2004521606.tif 000452
2004521606.tif 000453
2004521606.tif 000454
2004521606.tif 000455
2004521606.tif 000456
2004521606.tif 000457
2004521606.tif 000458
2004521606.tif 000459
2004521606.tif 000460
2004521606.tif 000461
2004521606.tif 000462
2004521606.tif 000463
2004521606.tif 000464
2004521606.tif 000465
2004521606.tif 000466
2004521606.tif 000467
2004521606.tif 000468
2004521606.tif 000469
2004521606.tif 000470
2004521606.tif 000471
2004521606.tif 000472
2004521606.tif 000473
2004521606.tif 000474
2004521606.tif 000475
2004521606.tif 000476
2004521606.tif 000477
2004521606.tif 000478
2004521606.tif 000479
2004521606.tif 000480
2004521606.tif 000481
2004521606.tif 000482
2004521606.tif 000483
2004521606.tif 000484
2004521606.tif 000485
2004521606.tif 000486
2004521606.tif 000487
2004521606.tif 000488
2004521606.tif 000489
2004521606.tif 000490
2004521606.tif 000491
2004521606.tif 000492
2004521606.tif 000493
2004521606.tif 000494
2004521606.tif 000495
2004521606.tif 000496
2004521606.tif 000497
2004521606.tif 000498
2004521606.tif 000499
2004521606.tif 000500
2004521606.tif 000501
2004521606.tif 000502
2004521606.tif 000503
2004521606.tif 000504
2004521606.tif 000505
2004521606.tif 000506
2004521606.tif 000507
2004521606.tif 000508
2004521606.tif 000509
2004521606.tif 000510
2004521606.tif 000511
2004521606.tif 000512
2004521606.tif 000513
2004521606.tif 000514
2004521606.tif 000515
2004521606.tif 000516
2004521606.tif 000517
2004521606.tif 000518
2004521606.tif 000519
2004521606.tif 000520
2004521606.tif 000521
2004521606.tif 000522
2004521606.tif 000523
2004521606.tif 000524
2004521606.tif 000525
2004521606.tif 000526
2004521606.tif 000527
2004521606.tif 000528
2004521606.tif 000529
2004521606.tif 000530
2004521606.tif 000531
2004521606.tif 000532
2004521606.tif 000533
2004521606.tif 000534
2004521606.tif 000535
2004521606.tif 000536
2004521606.tif 000537
2004521606.tif 000538
2004521606.tif 000539
2004521606.tif 000540
2004521606.tif 000541
2004521606.tif 000542
2004521606.tif 000543
2004521606.tif 000544
2004521606.tif 000545
2004521606.tif 000546
2004521606.tif 000547
2004521606.tif 000548
2004521606.tif 000549
2004521606.tif 000550
2004521606.tif 000551
2004521606.tif 000552
2004521606.tif 000553
2004521606.tif 000554
2004521606.tif 000555
2004521606.tif 000556
2004521606.tif 000557
2004521606.tif 000558
2004521606.tif 000559
2004521606.tif 000560
2004521606.tif 000561
2004521606.tif 000562
2004521606.tif 000563
2004521606.tif 000564
2004521606.tif 000565
2004521606.tif 000566
2004521606.tif 000567
2004521606.tif 000568
2004521606.tif 000569
2004521606.tif 000570
2004521606.tif 000571
2004521606.tif 000572
2004521606.tif 000573
2004521606.tif 000574
2004521606.tif 000575
2004521606.tif 000576
2004521606.tif 000577
2004521606.tif 000578
2004521606.tif 000579
2004521606.tif 000580
2004521606.tif 000581
2004521606.tif 000582
2004521606.tif 000583
2004521606.tif 000584
2004521606.tif 000585
2004521606.tif 000586
2004521606.tif 000587
2004521606.tif 000588
2004521606.tif 000589
2004521606.tif 000590
2004521606.tif 000591
2004521606.tif 000592
2004521606.tif 000593
2004521606.tif 000594
2004521606.tif 000595
2004521606.tif 000596
2004521606.tif 000597
2004521606.tif 000598
2004521606.tif 000599
2004521606.tif 000600
2004521606.tif 000601
2004521606.tif 000602
2004521606.tif 000603
2004521606.tif 000604
2004521606.tif 000605
2004521606.tif 000606
2004521606.tif 000607
2004521606.tif 000608
2004521606.tif 000609
2004521606.tif 000610
2004521606.tif 000611
2004521606.tif 000612
2004521606.tif 000613
2004521606.tif 000614
2004521606.tif 000615
2004521606.tif 000616
2004521606.tif 000617
2004521606.tif 000618
2004521606.tif 000619
2004521606.tif 000620
2004521606.tif 000621
2004521606.tif 000622
2004521606.tif 000623
2004521606.tif 000624
2004521606.tif 000625
2004521606.tif 000626
2004521606.tif 000627
2004521606.tif 000628
2004521606.tif 000629
2004521606.tif 000630
2004521606.tif 000631
2004521606.tif 000632
2004521606.tif 000633
2004521606.tif 000634
2004521606.tif 000635
2004521606.tif 000636
2004521606.tif 000637
2004521606.tif 000638
2004521606.tif 000639
2004521606.tif 000640
2004521606.tif 000641
2004521606.tif 000642
2004521606.tif 000643
2004521606.tif 000644
2004521606.tif 000645
2004521606.tif 000646
2004521606.tif 000647
2004521606.tif 000648
2004521606.tif 000649
2004521606.tif 000650
2004521606.tif 000651
2004521606.tif 000652
2004521606.tif 000653
2004521606.tif 000654
2004521606.tif 000655
2004521606.tif 000656
2004521606.tif 000657
2004521606.tif 000658
2004521606.tif 000659
2004521606.tif 000660
2004521606.tif 000661
2004521606.tif 000662
2004521606.tif 000663
2004521606.tif 000664
2004521606.tif 000665
2004521606.tif 000666
2004521606.tif 000667
2004521606.tif 000668
2004521606.tif 000669
2004521606.tif 000670
2004521606.tif 000671
2004521606.tif 000672
2004521606.tif 000673
2004521606.tif 000674
2004521606.tif 000675
2004521606.tif 000676
2004521606.tif 000677
2004521606.tif 000678
2004521606.tif 000679
2004521606.tif 000680
2004521606.tif 000681
2004521606.tif 000682
2004521606.tif 000683
2004521606.tif 000684
2004521606.tif 000685
2004521606.tif 000686
2004521606.tif 000687
2004521606.tif 000688
2004521606.tif 000689
2004521606.tif 000690
2004521606.tif 000691
2004521606.tif 000692
2004521606.tif 000693
2004521606.tif 000694
2004521606.tif 000695
2004521606.tif 000696
2004521606.tif 000697
2004521606.tif 000698
2004521606.tif 000699
2004521606.tif 000700
2004521606.tif 000701
2004521606.tif 000702
2004521606.tif 000703
2004521606.tif 000704
2004521606.tif 000705
2004521606.tif 000706
2004521606.tif 000707
2004521606.tif 000708
2004521606.tif 000709
2004521606.tif 000710
2004521606.tif 000711
2004521606.tif 000712
2004521606.tif 000713
2004521606.tif 000714
2004521606.tif 000715
2004521606.tif 000716
2004521606.tif 000717
2004521606.tif 000718
2004521606.tif 000719
2004521606.tif 000720
2004521606.tif 000721
2004521606.tif 000722
2004521606.tif 000723
2004521606.tif 000724
2004521606.tif 000725
2004521606.tif 000726
2004521606.tif 000727
2004521606.tif 000728
2004521606.tif 000729
2004521606.tif 000730
2004521606.tif 000731
2004521606.tif 000732
2004521606.tif 000733
2004521606.tif 000734
2004521606.tif 000735
2004521606.tif 000736
2004521606.tif 000737
2004521606.tif 000738
2004521606.tif 000739
2004521606.tif 000740
2004521606.tif 000741
2004521606.tif 000742
2004521606.tif 000743
2004521606.tif 000744
2004521606.tif 000745
2004521606.tif 000746
2004521606.tif 000747
2004521606.tif 000748
2004521606.tif 000749
2004521606.tif 000750
2004521606.tif 000751
2004521606.tif 000752
2004521606.tif 000753
2004521606.tif 000754
2004521606.tif 000755
2004521606.tif 000756
2004521606.tif 000757
2004521606.tif 000758
2004521606.tif 000759
2004521606.tif 000760
2004521606.tif 000761
2004521606.tif 000762
2004521606.tif 000763
2004521606.tif 000764
2004521606.tif 000765
2004521606.tif 000766
2004521606.tif 000767
2004521606.tif 000768
2004521606.tif 000769
2004521606.tif 000770
2004521606.tif 000771
2004521606.tif 000772
2004521606.tif 000773
2004521606.tif 000774
2004521606.tif 000775
2004521606.tif 000776
2004521606.tif 000777
2004521606.tif 000778
2004521606.tif 000779
2004521606.tif 000780
2004521606.tif 000781
2004521606.tif 000782
2004521606.tif 000783
2004521606.tif 000784
2004521606.tif 000785
2004521606.tif 000786
2004521606.tif 000787
2004521606.tif 000788
2004521606.tif 000789
2004521606.tif 000790
2004521606.tif 000791
2004521606.tif 000792
2004521606.tif 000793
2004521606.tif 000794
2004521606.tif 000795
2004521606.tif 000796
2004521606.tif 000797
2004521606.tif 000798
2004521606.tif 000799
2004521606.tif 000800
2004521606.tif 000801
2004521606.tif 000802
2004521606.tif 000803
2004521606.tif 000804
2004521606.tif 000805
2004521606.tif 000806
2004521606.tif 000807
2004521606.tif 000808
2004521606.tif 000809
2004521606.tif 000810
2004521606.tif 000811
2004521606.tif 000812
2004521606.tif 000813
2004521606.tif 000814
2004521606.tif 000815
2004521606.tif 000816
2004521606.tif 000817
2004521606.tif 000818
2004521606.tif 000819
2004521606.tif 000820
2004521606.tif 000821
2004521606.tif 000822
2004521606.tif 000823
2004521606.tif 000824
2004521606.tif 000825
2004521606.tif 000826
2004521606.tif 000827
2004521606.tif 000828
2004521606.tif 000829
2004521606.tif 000830
2004521606.tif 000831
2004521606.tif 000832
2004521606.tif 000833
2004521606.tif 000834
2004521606.tif 000835
2004521606.tif 000836
2004521606.tif 000837
2004521606.tif 000838
2004521606.tif 000839
2004521606.tif 000840
2004521606.tif 000841
2004521606.tif 000842
2004521606.tif 000843
2004521606.tif 000844
2004521606.tif 000845
2004521606.tif 000846
2004521606.tif 000847
2004521606.tif 000848
2004521606.tif 000849
2004521606.tif 000850
2004521606.tif 000851
2004521606.tif 000852
2004521606.tif 000853
2004521606.tif 000854
2004521606.tif 000855
2004521606.tif 000856
2004521606.tif 000857
2004521606.tif 000858
2004521606.tif 000859
2004521606.tif 000860
2004521606.tif 000861
2004521606.tif 000862
2004521606.tif 000863
2004521606.tif 000864
2004521606.tif 000865
2004521606.tif 000866
2004521606.tif 000867
2004521606.tif 000868
2004521606.tif 000869
2004521606.tif 000870
2004521606.tif 000871
2004521606.tif 000872
2004521606.tif 000873
2004521606.tif 000874
2004521606.tif 000875
2004521606.tif 000876
2004521606.tif 000877
2004521606.tif 000878
2004521606.tif 000879
2004521606.tif 000880
2004521606.tif 000881
2004521606.tif 000882
2004521606.tif 000883
2004521606.tif 000884
2004521606.tif 000885
2004521606.tif 000886
2004521606.tif 000887
2004521606.tif 000888
2004521606.tif 000889
2004521606.tif 000890
2004521606.tif 000891
2004521606.tif 000892
2004521606.tif 000893
2004521606.tif 000894
2004521606.tif 000895
2004521606.tif 000896
2004521606.tif 000897
2004521606.tif 000898
2004521606.tif 000899
2004521606.tif 000900
2004521606.tif 000901
2004521606.tif 000902
2004521606.tif 000903
2004521606.tif 000904
2004521606.tif 000905
2004521606.tif 000906
2004521606.tif 000907
2004521606.tif 000908
2004521606.tif 000909
2004521606.tif 000910
2004521606.tif 000911
2004521606.tif 000912
2004521606.tif 000913
2004521606.tif 000914
2004521606.tif 000915
2004521606.tif 000916
2004521606.tif 000917
2004521606.tif 000918
2004521606.tif 000919
2004521606.tif 000920
2004521606.tif 000921
2004521606.tif 000922
2004521606.tif 000923
2004521606.tif 000924
2004521606.tif 000925
2004521606.tif 000926
2004521606.tif 000927
2004521606.tif 000928
2004521606.tif 000929
2004521606.tif 000930
2004521606.tif 000931
2004521606.tif 000932
2004521606.tif 000933
2004521606.tif 000934
2004521606.tif 000935
2004521606.tif 000936
2004521606.tif 000937
2004521606.tif 000938
2004521606.tif 000939
2004521606.tif 000940
2004521606.tif 000941
2004521606.tif 000942
2004521606.tif 000943
2004521606.tif 000944
2004521606.tif 000945
2004521606.tif 000946
2004521606.tif 000947
2004521606.tif 000948
2004521606.tif 000949
2004521606.tif 000950
2004521606.tif 000951
2004521606.tif 000952
2004521606.tif 000953
2004521606.tif 000954
2004521606.tif 000955
2004521606.tif 000956
2004521606.tif 000957
2004521606.tif 000958
2004521606.tif 000959
2004521606.tif 000960
2004521606.tif 000961
2004521606.tif 000962
2004521606.tif 000963
2004521606.tif 000964
2004521606.tif 000965
2004521606.tif 000966
2004521606.tif 000967
2004521606.tif 000968
2004521606.tif 000969
2004521606.tif 000970
2004521606.tif 000971
2004521606.tif 000972
2004521606.tif 000973
2004521606.tif 000974
2004521606.tif 000975
2004521606.tif 000976
2004521606.tif 000977
2004521606.tif 000978
2004521606.tif 000979
2004521606.tif 000980
2004521606.tif 000981
2004521606.tif 000982
2004521606.tif 000983
2004521606.tif 000984
2004521606.tif 000985
2004521606.tif 000986
2004521606.tif 000987
2004521606.tif 000988
2004521606.tif 000989
2004521606.tif 000990
2004521606.tif 000991
2004521606.tif 000992
2004521606.tif 000993
2004521606.tif 000994
2004521606.tif 000995
2004521606.tif 000996
2004521606.tif 000997
2004521606.tif 000998
2004521606.tif 000999
2004521606.tif 001000
2004521606.tif 001001
2004521606.tif 001002
2004521606.tif 001003
2004521606.tif 001004
2004521606.tif 001005
2004521606.tif 001006
2004521606.tif 001007
2004521606.tif 001008
2004521606.tif 001009
2004521606.tif 001010
2004521606.tif 001011
2004521606.tif 001012
2004521606.tif 001013
2004521606.tif 001014
2004521606.tif 001015
2004521606.tif 001016
2004521606.tif 001017
2004521606.tif 001018
2004521606.tif 001019
2004521606.tif 001020
2004521606.tif 001021
2004521606.tif 001022
2004521606.tif 001023
2004521606.tif 001024
2004521606.tif 001025
2004521606.tif 001026
2004521606.tif 001027
2004521606.tif 001028
2004521606.tif 001029
2004521606.tif 001030
2004521606.tif 001031
2004521606.tif 001032
2004521606.tif 001033
2004521606.tif 001034
2004521606.tif 001035
2004521606.tif 001036
2004521606.tif 001037
2004521606.tif 001038
2004521606.tif 001039
2004521606.tif 001040
2004521606.tif 001041
2004521606.tif 001042
2004521606.tif 001043
2004521606.tif 001044
2004521606.tif 001045
2004521606.tif 001046
2004521606.tif 001047
2004521606.tif 001048
2004521606.tif 001049
2004521606.tif 001050
2004521606.tif 001051
2004521606.tif 001052
2004521606.tif 001053
2004521606.tif 001054
2004521606.tif 001055
2004521606.tif 001056
2004521606.tif 001057
2004521606.tif 001058
2004521606.tif 001059
2004521606.tif 001060
2004521606.tif 001061
2004521606.tif 001062
2004521606.tif 001063
2004521606.tif 001064
2004521606.tif 001065
2004521606.tif 001066
2004521606.tif 001067
2004521606.tif 001068
2004521606.tif 001069
2004521606.tif 001070
2004521606.tif 001071
2004521606.tif 001072
2004521606.tif 001073
2004521606.tif 001074
2004521606.tif 001075
2004521606.tif 001076
2004521606.tif 001077
2004521606.tif 001078
2004521606.tif 001079
2004521606.tif 001080
2004521606.tif 001081
2004521606.tif 001082
2004521606.tif 001083
2004521606.tif 001084
2004521606.tif 001085
2004521606.tif 001086
2004521606.tif 001087
2004521606.tif 001088
2004521606.tif 001089
2004521606.tif 001090
2004521606.tif 001091
2004521606.tif 001092
2004521606.tif 001093
2004521606.tif 001094
2004521606.tif 001095
2004521606.tif 001096
2004521606.tif 001097
2004521606.tif 001098
2004521606.tif 001099
2004521606.tif 001100
2004521606.tif 001101
2004521606.tif 001102
2004521606.tif 001103
2004521606.tif 001104
2004521606.tif 001105
2004521606.tif 001106
2004521606.tif 001107
2004521606.tif 001108
2004521606.tif 001109
2004521606.tif 001110
2004521606.tif 001111
2004521606.tif 001112
2004521606.tif 001113
2004521606.tif 001114
2004521606.tif 001115
2004521606.tif 001116
2004521606.tif 001117
2004521606.tif 001118
2004521606.tif 001119
2004521606.tif 001120
2004521606.tif 001121
2004521606.tif 001122
2004521606.tif 001123
2004521606.tif 001124
2004521606.tif 001125
2004521606.tif 001126
2004521606.tif 001127
2004521606.tif 001128
2004521606.tif 001129
2004521606.tif 001130
2004521606.tif 001131
2004521606.tif 001132
2004521606.tif 001133
2004521606.tif 001134
2004521606.tif 001135
2004521606.tif 001136
2004521606.tif 001137
2004521606.tif 001138
2004521606.tif 001139
2004521606.tif 001140
2004521606.tif 001141
2004521606.tif 001142
2004521606.tif 001143
2004521606.tif 001144
2004521606.tif 001145
2004521606.tif 001146
2004521606.tif 001147
2004521606.tif 001148
2004521606.tif 001149
2004521606.tif 001150
2004521606.tif 001151
2004521606.tif 001152
2004521606.tif 001153
2004521606.tif 001154
2004521606.tif 001155
2004521606.tif 001156
2004521606.tif 001157
2004521606.tif 001158
2004521606.tif 001159
2004521606.tif 001160
2004521606.tif 001161
2004521606.tif 001162
2004521606.tif 001163
2004521606.tif 001164
2004521606.tif 001165
2004521606.tif 001166
2004521606.tif 001167
2004521606.tif 001168
2004521606.tif 001169
2004521606.tif 001170
2004521606.tif 001171
2004521606.tif 001172
2004521606.tif 001173
2004521606.tif 001174
2004521606.tif 001175
2004521606.tif 001176
2004521606.tif 001177
2004521606.tif 001178
2004521606.tif 001179
2004521606.tif 001180
2004521606.tif 001181
2004521606.tif 001182
2004521606.tif 001183
2004521606.tif 001184
2004521606.tif 001185
2004521606.tif 001186
2004521606.tif 001187
2004521606.tif 001188
2004521606.tif 001189
2004521606.tif 001190
2004521606.tif 001191
2004521606.tif 001192
2004521606.tif 001193
2004521606.tif 001194
2004521606.tif 001195
2004521606.tif 001196
2004521606.tif 001197
2004521606.tif 001198
2004521606.tif 001199
2004521606.tif 001200
2004521606.tif 001201
2004521606.tif 001202
2004521606.tif 001203
2004521606.tif 001204
2004521606.tif 001205
2004521606.tif 001206
2004521606.tif 001207
2004521606.tif 001208
2004521606.tif 001209
2004521606.tif 001210
2004521606.tif 001211
2004521606.tif 001212
2004521606.tif 001213
2004521606.tif 001214
2004521606.tif 001215
2004521606.tif 001216
2004521606.tif 001217
2004521606.tif 001218
2004521606.tif 001219
2004521606.tif 001220
2004521606.tif 001221
2004521606.tif 001222
2004521606.tif 001223
2004521606.tif 001224
2004521606.tif 001225
2004521606.tif 001226
2004521606.tif 001227
2004521606.tif 001228
2004521606.tif 001229
2004521606.tif 001230
2004521606.tif 001231
2004521606.tif 001232
2004521606.tif 001233
2004521606.tif 001234
2004521606.tif 001235
2004521606.tif 001236
2004521606.tif 001237
2004521606.tif 001238
2004521606.tif 001239
2004521606.tif 001240
2004521606.tif 001241
2004521606.tif 001242
2004521606.tif 001243
2004521606.tif 001244
2004521606.tif 001245
2004521606.tif 001246
2004521606.tif 001247
2004521606.tif 001248
2004521606.tif 001249
2004521606.tif 001250
2004521606.tif 001251
2004521606.tif 001252
2004521606.tif 001253
2004521606.tif 001254
2004521606.tif 001255
2004521606.tif 001256
2004521606.tif 001257
2004521606.tif 001258
2004521606.tif 001259
2004521606.tif 001260
2004521606.tif 001261
2004521606.tif 001262
2004521606.tif 001263
2004521606.tif 001264
2004521606.tif 001265
2004521606.tif 001266
2004521606.tif 001267
2004521606.tif 001268
2004521606.tif 001269
2004521606.tif 001270
2004521606.tif 001271
2004521606.tif 001272
2004521606.tif 001273
2004521606.tif 001274
2004521606.tif 001275
2004521606.tif 001276
2004521606.tif 001277
2004521606.tif 001278
2004521606.tif 001279
2004521606.tif 001280
2004521606.tif 001281
2004521606.tif 001282
2004521606.tif 001283
2004521606.tif 001284
2004521606.tif 001285
2004521606.tif 001286
2004521606.tif 001287
2004521606.tif 001288
2004521606.tif 001289
2004521606.tif 001290
2004521606.tif 001291
2004521606.tif 001292
2004521606.tif 001293
2004521606.tif 001294
2004521606.tif 001295
2004521606.tif 001296
2004521606.tif 001297
2004521606.tif 001298
2004521606.tif 001299
2004521606.tif 001300
2004521606.tif 001301
2004521606.tif 001302
2004521606.tif 001303
2004521606.tif 001304
2004521606.tif 001305
2004521606.tif 001306
2004521606.tif 001307
2004521606.tif 001308
2004521606.tif 001309
2004521606.tif 001310
2004521606.tif 001311
2004521606.tif 001312
2004521606.tif 001313
2004521606.tif 001314
2004521606.tif 001315
2004521606.tif 001316
2004521606.tif 001317
2004521606.tif 001318
2004521606.tif 001319
2004521606.tif 001320
2004521606.tif 001321
2004521606.tif 001322
2004521606.tif 001323
2004521606.tif 001324
2004521606.tif 001325
2004521606.tif 001326
2004521606.tif 001327
2004521606.tif 001328
2004521606.tif 001329
2004521606.tif 001330
2004521606.tif 001331
2004521606.tif 001332
2004521606.tif 001333
2004521606.tif 001334
2004521606.tif 001335
2004521606.tif 001336
2004521606.tif 001337
2004521606.tif 001338
2004521606.tif 001339
2004521606.tif 001340
2004521606.tif 001341
2004521606.tif 001342
2004521606.tif 001343
2004521606.tif 001344
2004521606.tif 001345
2004521606.tif 001346
2004521606.tif 001347
2004521606.tif 001348
2004521606.tif 001349
2004521606.tif 001350
2004521606.tif 001351
2004521606.tif 001352
2004521606.tif 001353
2004521606.tif 001354
2004521606.tif 001355
2004521606.tif 001356
2004521606.tif 001357
2004521606.tif 001358
2004521606.tif 001359
2004521606.tif 001360
2004521606.tif 001361
2004521606.tif 001362
2004521606.tif 001363
2004521606.tif 001364
2004521606.tif 001365
2004521606.tif 001366
2004521606.tif 001367
2004521606.tif 001368
2004521606.tif 001369
2004521606.tif 001370
2004521606.tif 001371
2004521606.tif 001372
2004521606.tif 001373
2004521606.tif 001374
2004521606.tif 001375
2004521606.tif 001376
2004521606.tif 001377
2004521606.tif 001378
2004521606.tif 001379
2004521606.tif 001380
2004521606.tif 001381
2004521606.tif 001382
2004521606.tif 001383
2004521606.tif 001384
2004521606.tif 001385
2004521606.tif 001386
2004521606.tif 001387
2004521606.tif 001388
2004521606.tif 001389
2004521606.tif 001390
2004521606.tif 001391
2004521606.tif 001392
2004521606.tif 001393
2004521606.tif 001394
2004521606.tif 001395
2004521606.tif 001396
2004521606.tif 001397
2004521606.tif 001398
2004521606.tif 001399
2004521606.tif 001400
2004521606.tif 001401
2004521606.tif 001402
2004521606.tif 001403
2004521606.tif 001404
2004521606.tif 001405
2004521606.tif 001406
2004521606.tif 001407
2004521606.tif 001408
2004521606.tif 001409
2004521606.tif 001410
2004521606.tif 001411
2004521606.tif 001412
2004521606.tif 001413
2004521606.tif 001414
2004521606.tif 001415
2004521606.tif 001416
2004521606.tif 001417
2004521606.tif 001418
2004521606.tif 001419
2004521606.tif 001420
2004521606.tif 001421
2004521606.tif 001422
2004521606.tif 001423
2004521606.tif 001424
2004521606.tif 001425
2004521606.tif 001426
2004521606.tif 001427
2004521606.tif 001428
2004521606.tif 001429
2004521606.tif 001430
2004521606.tif 001431
2004521606.tif 001432
2004521606.tif 001433
2004521606.tif 001434
2004521606.tif 001435
2004521606.tif 001436
2004521606.tif 001437
2004521606.tif 001438
2004521606.tif 001439
2004521606.tif 001440
2004521606.tif 001441
2004521606.tif 001442
2004521606.tif 001443
2004521606.tif 001444
2004521606.tif 001445
2004521606.tif 001446
2004521606.tif 001447
2004521606.tif 001448
2004521606.tif 001449
2004521606.tif 001450
2004521606.tif 001451
2004521606.tif 001452
2004521606.tif 001453
2004521606.tif 001454
2004521606.tif 001455
2004521606.tif 001456
2004521606.tif 001457
2004521606.tif 001458
2004521606.tif 001459
2004521606.tif 001460
2004521606.tif 001461
2004521606.tif 001462
2004521606.tif 001463
2004521606.tif 001464
2004521606.tif 001465
2004521606.tif 001466
2004521606.tif 001467
2004521606.tif 001468
2004521606.tif 001469
2004521606.tif 001470
2004521606.tif 001471
2004521606.tif 001472
2004521606.tif 001473
2004521606.tif 001474
2004521606.tif 001475
2004521606.tif 001476
2004521606.tif 001477
2004521606.tif 001478
2004521606.tif 001479
2004521606.tif 001480
2004521606.tif 001481
2004521606.tif 001482
2004521606.tif 001483
2004521606.tif 001484
2004521606.tif 001485
2004521606.tif 001486
2004521606.tif 001487
2004521606.tif 001488
2004521606.tif 001489
2004521606.tif 001490
2004521606.tif 001491
2004521606.tif 001492
2004521606.tif 001493
2004521606.tif 001494
2004521606.tif 001495
2004521606.tif 001496
2004521606.tif 001497
2004521606.tif 001498
2004521606.tif 001499
2004521606.tif 001500
2004521606.tif 001501
2004521606.tif 001502
2004521606.tif 001503
2004521606.tif 001504
2004521606.tif 001505
2004521606.tif 001506
2004521606.tif 001507
2004521606.tif 001508
2004521606.tif 001509
2004521606.tif 001510
2004521606.tif 001511
2004521606.tif 001512
2004521606.tif 001513
2004521606.tif 001514
2004521606.tif 001515
2004521606.tif 001516
2004521606.tif 001517
2004521606.tif 001518
2004521606.tif 001519
2004521606.tif 001520
2004521606.tif 001521
2004521606.tif 001522
2004521606.tif 001523
2004521606.tif 001524
2004521606.tif 001525
2004521606.tif 001526
2004521606.tif 001527
2004521606.tif 001528
2004521606.tif 001529
2004521606.tif 001530
2004521606.tif 001531
2004521606.tif 001532
2004521606.tif 001533
2004521606.tif 001534
2004521606.tif 001535
2004521606.tif 001536
2004521606.tif 001537
2004521606.tif 001538
2004521606.tif 001539
2004521606.tif 001540
2004521606.tif 001541
2004521606.tif 001542
2004521606.tif 001543
2004521606.tif 001544
2004521606.tif 001545
2004521606.tif 001546
2004521606.tif 001547
2004521606.tif 001548
2004521606.tif 001549
2004521606.tif 001550
2004521606.tif 001551
2004521606.tif 001552
2004521606.tif 001553
2004521606.tif 001554
2004521606.tif 001555
2004521606.tif 001556
2004521606.tif 001557
2004521606.tif 001558
2004521606.tif 001559
2004521606.tif 001560
2004521606.tif 001561
2004521606.tif 001562
2004521606.tif 001563
2004521606.tif 001564
2004521606.tif 001565
2004521606.tif 001566
2004521606.tif 001567
2004521606.tif 001568
2004521606.tif 001569
2004521606.tif 001570
2004521606.tif 001571
2004521606.tif 001572
2004521606.tif 001573
2004521606.tif 001574
2004521606.tif 001575
2004521606.tif 001576
2004521606.tif 001577
2004521606.tif 001578
2004521606.tif 001579
2004521606.tif 001580
2004521606.tif 001581
2004521606.tif 001582
2004521606.tif 001583
2004521606.tif 001584
2004521606.tif 001585
2004521606.tif 001586
2004521606.tif 001587
2004521606.tif 001588
2004521606.tif 001589
2004521606.tif 001590
2004521606.tif 001591
2004521606.tif 001592
2004521606.tif 001593
2004521606.tif 001594
2004521606.tif 001595
2004521606.tif 001596
2004521606.tif 001597
2004521606.tif 001598
2004521606.tif 001599
2004521606.tif 001600
2004521606.tif 001601
2004521606.tif 001602
2004521606.tif 001603
2004521606.tif 001604
2004521606.tif 001605
2004521606.tif 001606
2004521606.tif 001607
2004521606.tif 001608
2004521606.tif 001609
2004521606.tif 001610
2004521606.tif 001611
2004521606.tif 001612
2004521606.tif 001613
2004521606.tif 001614
2004521606.tif 001615
2004521606.tif 001616
2004521606.tif 001617
2004521606.tif 001618
2004521606.tif 001619
2004521606.tif 001620
2004521606.tif 001621
2004521606.tif 001622
2004521606.tif 001623
2004521606.tif 001624
2004521606.tif 001625
2004521606.tif 001626
2004521606.tif 001627
2004521606.tif 001628
2004521606.tif 001629
2004521606.tif 001630
2004521606.tif 001631
2004521606.tif 001632
【国際公開パンフレット（コレクトバージョン）】
2004521606.tif 001633
【国際調査報告】
2004521606.tif 001634
2004521606.tif 001635
2004521606.tif 001636
2004521606.tif 001637